(57)【要約】【課題】不具合を抑制できる遊技機を提供すること。【解決手段】第１位置とその第１位置とは異なる第２位置へと可動可能な可動手段は、可動手段へと誘導された遊技球が入球可能な開口手段と、その開口手段より入球した遊技球を保持することが可能な保持手段と、その保持手段により保持された遊技球を移動することが可能な移動手段があり、開口手段より入球した遊技球を可動手段の外部へと排出することが可能な排出動作を移動手段により実行させることが可能な排出制御手段において入球した遊技球を排出するものである。【選択図】図１
2020099783.tif 000002
【特許請求の範囲】
【請求項１】
遊技球が入球可能な入球手段と、
第１位置とその第１位置とは異なる第２位置へと可動可能な可動手段と、
前記入球手段に入球した遊技球を前記可動手段へと誘導することが可能な誘導手段と、を有し、
前記可動手段は、
前記誘導手段に誘導された遊技球が入球可能な開口手段と、
その開口手段より入球した遊技球を保持することが可能な保持手段と、
その保持手段により保持された遊技球を移動することが可能な移動手段と、を有し、
前記遊技機は、
前記開口手段より入球した遊技球を前記可動手段の外部へと排出することが可能な排出動作を前記移動手段により実行させることが可能な排出制御手段を有するものであることを特徴とする遊技機。
【請求項２】
遊技の制御を実行可能な主制御手段と、
その主制御手段より出力される制御信号に基づいて、遊技の制御を実行することが可能な従制御手段と、
前記入球手段に遊技球が入球したことを検出することが可能な入球検出手段と、を有し、
前記主制御手段は、前記入球検出手段により遊技球が入球したことが検出されたことに基づいて、入球信号を前記従制御手段に対して出力する出力手段を有し、
前記従制御手段は、
前記開口手段より遊技球が入球したことを検出可能な開口検出手段と、
前記可動手段を可動制御することが可能な可動制御手段と、
前記遊技機に電源が投入された場合に、前記可動手段に対して予め定められた初期動作を前記可動制御手段により実行させる初期動作制御手段と、
前記初期動作が実行されている期間に前記入球信号を受信した場合に、少なくとも前記初期動作が終了するまでの期間、前記開口検出手段により遊技球が入球したことが検出されたことに基づいて、前記排出動作を前記排出制御手段により実行させる初期排出動作制御手段と、を有するものであることを特徴とする請求項１記載の遊技機。
【請求項３】
前記移動手段により所定位置に移動されている場合に、前記保持手段は、前記開口手段より入球した遊技球を保持可能に構成されているものであることを特徴とする請求項２記載の遊技機。
【請求項４】
前記所定期間は、前記主制御手段より特定の制御信号を受信した後、所定秒数が経過するまでの期間であることを特徴とする請求項３記載の遊技機。
【請求項５】
前記主制御手段は、
判定を実行可能な判定手段と、
その判定手段による判定結果を示すための識別情報を表示手段に動的表示させる動的表示手段と、
その動的表示手段により実行される前記識別情報の動的表示態様を決定する動的表示態様決定手段と、
前記表示手段に特定の前記判定結果を示すための前記識別情報が停止表示された場合に前記入球手段を遊技球が入球し易い特別状態に可変させることが可能な特別状態設定手段と、を有するものであることを特徴とする請求項１から４いずれかに記載の遊技機。
【発明の詳細な説明】
【技術分野】
【０００１】
本発明は、パチンコ機などの遊技機に関するものである。
【背景技術】
【０００２】
従来より、パチンコ機などの遊技機は、当たり等の当否判定結果を報知する為の演出の一つとして可動する可動物を遊技者の視認可能な位置に可動させて、遊技者に斬新な印象を与えて、遊技者が早期に遊技に飽きてしまうことを防止できる遊技機が提案されていた。
【先行技術文献】
【特許文献】
【０００３】
【特許文献１】特開２０１２−１３０８０２号公報
【発明の概要】
【発明が解決しようとする課題】
【０００４】
ところで、上記した遊技機では、可動することによる不具合が発生する問題点があった。上記した遊技機において、不具合を抑制できる遊技機を提供することを目的とする。
【課題を解決するための手段】
【０００５】
この目的を達成するために請求項１記載の遊技機は、遊技球が入球可能な入球手段と、第１位置とその第１位置とは異なる第２位置へと可動可能な可動手段と、前記入球手段に入球した遊技球を前記可動手段へと誘導することが可能な誘導手段と、を有し、前記可動手段は、前記誘導手段に誘導された遊技球が入球可能な開口手段と、その開口手段より入球した遊技球を保持することが可能な保持手段と、その保持手段により保持された遊技球を移動することが可能な移動手段と、を有し、前記遊技機は、前記開口手段より入球した遊技球を前記可動手段の外部へと排出することが可能な排出動作を前記移動手段により実行させることが可能な排出制御手段を有するものである。
【０００６】
請求項２記載の遊技機は、請求項１記載の遊技機において、遊技の制御を実行可能な主制御手段と、その主制御手段より出力される制御信号に基づいて、遊技の制御を実行することが可能な従制御手段と、前記入球手段に遊技球が入球したことを検出することが可能な入球検出手段と、を有し、前記主制御手段は、前記入球検出手段により遊技球が入球したことが検出されたことに基づいて、入球信号を前記従制御手段に対して出力する出力手段を有し、前記従制御手段は、前記開口手段より遊技球が入球したことを検出可能な開口検出手段と、前記可動手段を可動制御することが可能な可動制御手段と、前記遊技機に電源が投入された場合に、前記可動手段に対して予め定められた初期動作を前記可動制御手段により実行させる初期動作制御手段と、前記初期動作が実行されている期間に前記入球信号を受信した場合に、少なくとも前記初期動作が終了するまでの期間、前記開口検出手段により遊技球が入球したことが検出されたことに基づいて、前記排出動作を前記排出制御手段により実行させる初期排出動作制御手段と、を有するものである。
【０００７】
請求項３記載の遊技機は、請求項２記載の遊技機において、前記移動手段により所定位置に移動されている場合に、前記保持手段は、前記開口手段より入球した遊技球を保持可能に構成されているものである。
【０００８】
請求項４記載の遊技機は、請求項３記載の遊技機において、前記所定期間は、前記主制御手段より特定の制御信号を受信した後、所定秒数が経過するまでの期間である。
【０００９】
請求項５記載の遊技機は、請求項１から４いずれかに記載の遊技機において、前記主制御手段は、判定を実行可能な判定手段と、その判定手段による判定結果を示すための識別情報を表示手段に動的表示させる動的表示手段と、その動的表示手段により実行される前記識別情報の動的表示態様を決定する動的表示態様決定手段と、前記表示手段に特定の前記判定結果を示すための前記識別情報が停止表示された場合に前記入球手段を遊技球が入球し易い特別状態に可変させることが可能な特別状態設定手段と、を有するものである。
【発明の効果】
【００１０】
請求項１記載の遊技機によれば、遊技球が入球可能な入球手段と、第１位置とその第１位置とは異なる第２位置へと可動可能な可動手段と、前記入球手段に入球した遊技球を前記可動手段へと誘導することが可能な誘導手段と、を有し、前記可動手段は、前記誘導手段に誘導された遊技球が入球可能な開口手段と、その開口手段より入球した遊技球を保持することが可能な保持手段と、その保持手段により保持された遊技球を移動することが可能な移動手段と、を有し、前記遊技機は、前記開口手段より入球した遊技球を前記可動手段の外部へと排出することが可能な排出動作を前記移動手段により実行させることが可能な排出制御手段を有するものである。
【００１１】
よって、遊技の興趣を向上することができるという効果がある。
【００１２】
請求項２記載の遊技機によれば、請求項１記載の遊技機の奏する効果に加え、次の効果を奏する。即ち、遊技の制御を実行可能な主制御手段と、その主制御手段より出力される制御信号に基づいて、遊技の制御を実行することが可能な従制御手段と、前記入球手段に遊技球が入球したことを検出することが可能な入球検出手段と、を有し、前記主制御手段は、前記入球検出手段により遊技球が入球したことが検出されたことに基づいて、入球信号を前記従制御手段に対して出力する出力手段を有し、前記従制御手段は、前記開口手段より遊技球が入球したことを検出可能な開口検出手段と、前記可動手段を可動制御することが可能な可動制御手段と、前記遊技機に電源が投入された場合に、前記可動手段に対して予め定められた初期動作を前記可動制御手段により実行させる初期動作制御手段と、前記初期動作が実行されている期間に前記入球信号を受信した場合に、少なくとも前記初期動作が終了するまでの期間、前記開口検出手段により遊技球が入球したことが検出されたことに基づいて、前記排出動作を前記排出制御手段により実行させる初期排出動作制御手段と、を有するものである。
【００１３】
よって、遊技の興趣を向上することができるという効果がある。
【００１４】
請求項３記載の遊技機によれば、請求項２記載の遊技機の奏する効果に加え、次の効果を奏する。即ち、前記移動手段により所定位置に移動されている場合に、前記保持手段は、前記開口手段より入球した遊技球を保持可能に構成されているものである。
【００１５】
よって、遊技の興趣を向上することができるという効果がある。
【００１６】
請求項４記載の遊技機によれば、請求項３記載の遊技機の奏する効果に加え、次の効果を奏する。即ち、前記所定期間は、前記主制御手段より特定の制御信号を受信した後、所定秒数が経過するまでの期間である。
【００１７】
よって、遊技の興趣を向上することができるという効果がある。
【００１８】
請求項５記載の遊技機によれば、請求項１から４いずれかに記載の遊技機の奏する効果に加え、次の効果を奏する。即ち、前記主制御手段は、判定を実行可能な判定手段と、その判定手段による判定結果を示すための識別情報を表示手段に動的表示させる動的表示手段と、その動的表示手段により実行される前記識別情報の動的表示態様を決定する動的表示態様決定手段と、前記表示手段に特定の前記判定結果を示すための前記識別情報が停止表示された場合に前記入球手段を遊技球が入球し易い特別状態に可変させることが可能な特別状態設定手段と、を有するものである。
【００１９】
よって、遊技の興趣を向上することができるという効果がある。
【図面の簡単な説明】
【００２０】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】パチンコ機の分解斜視正面図である。
【図６】動作ユニットおよび遊技盤の分解斜視正面図である。
【図７】動作ユニットの正面図である。
【図８】動作ユニットの正面図である。
【図９】動作ユニットの正面図である。
【図１０】動作ユニットの正面図である。
【図１１】遊技盤の分解斜視正面図である。
【図１２】（ａ）は、一般入賞口ユニットの正面図であり、（ｂ）は、図１２（ａ）のＸＩＩｂ−ＸＩＩｂ線における一般入賞口ユニットの断面図である。
【図１３】図２のＸＩＩＩ−ＸＩＩＩ線における遊技盤の断面図である。
【図１４】図１３の範囲ＸＩＶにおける遊技盤の部分拡大断面図である。
【図１５】一般入賞口ユニットの背面図である。
【図１６】図１３の範囲ＸＩＶにおける遊技盤の部分拡大断面図である。
【図１７】センターフレームの分解斜視正面図である。
【図１８】（ａ）は、第１ユニットの正面図であり、（ｂ）は、第１ユニットの側面図であり、（ｃ）は、第１ユニットの背面図である。
【図１９】第１ユニットの分解斜視正面図である。
【図２０】第１ユニットの分解斜視背面図である。
【図２１】図１８（ｂ）のＸＸＩ−ＸＸＩ線における第１ユニットの断面図である。
【図２２】図２１に示す第１ユニットの模式断面図である。
【図２３】図１８（ｂ）のＸＸＩＩＩ−ＸＸＩＩＩ線における第１ユニットの断面図である。
【図２４】（ａ）は、図２１のＸＸＩＶａ−ＸＸＩＶａ線における第１ユニットの断面図であり、（ｂ）は、図２１のＸＸＩＶｂ−ＸＸＩＶｂ線における第１ユニットの断面図であり、（ｃ）は、図２１のＸＸＩＶｃ−ＸＸＩＶｃ線における第１ユニットの断面図である。
【図２５】（ａ）は、図２１の範囲ＸＸＶａにおける第１ユニットの部分拡大図であり、（ｂ）は、図２５（ａ）のＸＸＩＶｂ−ＸＸＩＶｂ線における第１ユニットの断面図である。
【図２６】（ａ）は、図２１の範囲ＸＸＶａにおける第１ユニットの部分拡大図であり、（ｂ）は、図２６（ａ）のＸＸＩＶｂ−ＸＸＩＶｂ線における第１ユニットの断面図である。
【図２７】（ａ）は、図２５（ａ）のＸＸＶＩＩａ−ＸＸＶＩＩａ線における第１ユニットの模式断面図であり、（ｂ）は、図２５（ａ）のＸＸＶＩＩｂ−ＸＸＶＩＩｂ線における第１ユニットの模式断面図であり、（ｃ）は、図２５（ａ）のＸＸＶＩＩｃ−ＸＸＶＩＩｃ線における第１ユニットの模式断面図である。
【図２８】（ａ）は、図２５（ａ）のＸＸＶｂ−ＸＸＶｂ線における第１ユニットの模式断面図であり、（ｂ）は、図２５（ａ）のＸＸＶＩＩＩｂ−ＸＸＶＩＩＩｂ線における第１ユニットの模式断面図である。
【図２９】（ａ）は、第２ユニットの正面図であり、（ｂ）は、第２ユニットの背面図である。
【図３０】第２ユニットの分解斜視正面図である。
【図３１】第２ユニットの分解斜視背面図である。
【図３２】図２９のＸＸＸＩＩ−ＸＸＸＩＩ線における第２ユニットの断面図である。
【図３３】（ａ）は、センターフレームの正面図であり、（ｂ）は、センターフレームの側面図である。
【図３４】（ａ）は、センターフレームの斜視正面図であり、（ｂ）は、センターフレームの斜視背面図である。
【図３５】センターフレームの分解斜視背面図である。
【図３６】図３３のＸＸＸＶＩ−ＸＸＸＶＩ線におけるセンターフレームの断面図である。
【図３７】（ａ）は、遊技盤の模式断面図であり、（ｂ）は、遊技盤の模式分解断面図である。
【図３８】（ａ）は、背面ケースの正面図であり、（ｂ）は、背面ケースの背面図である。
【図３９】（ａ）は、背面ケースの分解斜視正面図であり、（ｂ）は、背面ケースの分解斜視背面図である。
【図４０】（ａ）は、背面ケースの正面図であり、（ｂ）は、背面ケースの背面図である。
【図４１】（ａ）は、背面ケースの正面図であり、（ｂ）は、背面ケースの背面図である。
【図４２】（ａ）は、背面ケースおよび基板ボックスの斜視背面図であり、（ｂ）は、背面ケースおよび基板ボックスの背面図である。
【図４３】下変位ユニットの正面図である。
【図４４】下変位ユニットの背面図である。
【図４５】下変位ユニットの分解斜視正面図である。
【図４６】下変位ユニットの分解斜視背面図である。
【図４７】退避状態における下変位ユニットの正面図である。
【図４８】第１張出状態における下変位ユニットの正面図である。
【図４９】第２張出状態における下変位ユニットの正面図である。
【図５０】退避状態における下変位ユニットの背面図である。
【図５１】第１張出状態における下変位ユニットの背面図である。
【図５２】第２張出状態における下変位ユニットの背面図である。
【図５３】（ａ）は退避状態における、（ｂ）は第１張出状態における、（ｃ）は第２張出状態における、第１リンク部材とカム部材との背面図である。
【図５４】図５０のＬＩＶａ−ＬＩＶａ線における下変位ユニットの断面模式図であり、（ｂ）は、図５１のＬＩＶｂ−ＬＩＶｂ線における下変位ユニットの断面模式図である。
【図５５】（ａ）は、図５０のＬＶａ−ＬＶａ線における下変位ユニットの断面図であり、（ｂ）は、図５１のＬＶｂ−ＬＶｂ線における下変位ユニットの断面図であり、（ｃ）は、図５２のＬＶｃ−ＬＶｃ線における下変位ユニットの断面図である。
【図５６】（ａ）は、図５２のＬＶＩａ−ＬＶＩａ線における下変位ユニットの断面図であり、（ｂ）は、第２張出状態における下変位ユニットの第１リンク部材およびカム部材の正面図である。
【図５７】（ａ）は、下変位部材の正面図であり、（ｂ）は、下変位部材の背面図である。
【図５８】下変位部材の分解斜視正面図である。
【図５９】下変位部材の分解斜視背面図である。
【図６０】（ａ）及び（ｂ）は、下変位部材の正面図である。
【図６１】第１位置における下変位部材の正面図である。
【図６２】第２位置における下変位部材の正面図である。
【図６３】第３位置における下変位部材の正面図である。
【図６４】（ａ）から（ｃ）は、下変位部材の部分拡大図である。
【図６５】（ａ）から（ｃ）は、下変位部材の正面図である。
【図６６】（ａ）から（ｃ）は、下変位部材の正面図である。
【図６７】（ａ）から（ｃ）は、下変位部材の正面図である。
【図６８】（ａ）から（ｃ）は、下変位部材の正面図である。
【図６９】（ａ）は、図６８（ｂ）の範囲ＬＸＩＸａにおける下変位部材の部分拡大図であり、（ｂ）は、図６８（ａ）の範囲ＬＸＩＸｂにおける下変位部材の部分拡大図である。
【図７０】（ａ）は、振分けユニットの上面図であり、（ｂ）は、振分けユニットの背面図である。
【図７１】振分けユニットの分解正面斜視図である。
【図７２】振分けユニットの分解背面斜視図である。
【図７３】図７０（ａ）のＬＸＸＩＩＩ−ＬＸＸＩＩＩ線における振分けユニットの断面図である。
【図７４】（ａ）及び（ｂ）は、図７３の範囲ＬＸＸＩＶにおける振分けユニットの部分拡大図である。
【図７５】（ａ）及び（ｂ）は、振分けユニットの部分拡大図である。
【図７６】（ａ）及び（ｂ）は、振分けユニットの部分拡大図である。
【図７７】（ａ）及び（ｂ）は、振分けユニットの部分拡大図である。
【図７８】（ａ）及び（ｂ）は、振分けユニットの部分拡大図である。
【図７９】振分けユニットおよび下変位ユニットの正面図である。
【図８０】振分けユニットおよび下変位ユニットの上面図である。
【図８１】下変位ユニットの正面図である。
【図８２】振分けユニットの断面図である。
【図８３】下変位ユニットの正面図である。
【図８４】振分けユニットの断面図である。
【図８５】下変位ユニットの正面図である。
【図８６】振分けユニットの断面図である。
【図８７】回転ユニットの正面図である。
【図８８】回転ユニットの背面図である。
【図８９】回転ユニットの分解斜視正面図である。
【図９０】回転ユニットの分解背面斜視図である。
【図９１】装飾ユニットの正面図である。
【図９２】（ａ）は、図９１の矢印ＸＣＩＩａ方向視における装飾ユニットの側面図であり、（ｂ）は、図９１の矢印ＸＣＩＩｂ方向視における装飾ユニットの側面図である。
【図９３】装飾ユニットの分解斜視正面図である。
【図９４】装飾ユニットの分解斜視背面図である。
【図９５】図８９の矢印ＸＣＶａ方向視における回転ユニットであり、（ｂ）は、図８９の矢印ＸＣＶｂにおける回転ユニットである。
【図９６】図８９の矢印ＸＣＶａ方向視における回転ユニットであり、（ｂ）は、図８９の矢印ＸＣＶｂにおける回転ユニットである。
【図９７】（ａ）は閉鎖状態の、（ｂ）は中間状態の、（ｃ）は開放状態の、それぞれにおける装飾ユニットおよび右伝達部材の側面図である。
【図９８】（ａ）は開放状態の、（ｂ）は中間状態の、（ｃ）は閉鎖状態の、それぞれにおける装飾ユニットおよび右伝達部材の側面図である。
【図９９】（ａ）は閉鎖状態における装飾ユニットの側面図であり、（ｂ）は開放状態における装飾ユニットの側面図である。
【図１００】（ａ）は、回転体の正面図であり、（ｂ）は、図１００（ａ）の矢印Ｃｂ方向視における回転体の側面図であり、（ｃ）は、図１００（ａ）の矢印Ｃｃ方向視における回転体の側面図である。
【図１０１】回転体の分解斜視正面図である。
【図１０２】回転体の分解斜視背面図である。
【図１０３】（ａ）は、開閉部材が閉鎖状態における回転体の側面図であり、（ｂ）は、開閉部材が開放状態における回転体の側面図である。
【図１０４】（ａ）及び（ｂ）は、装飾ユニットの側面図である。
【図１０５】下変位ユニットおよび回転ユニットの正面図である。
【図１０６】図１０５の矢印ＣＶＩ方向視における下変位ユニットの上面図である。
【図１０７】下変位ユニットおよび回転ユニットの正面図である。
【図１０８】（ａ）は、球受台の上面図であり、（ｂ）は、球受台の正面図であり、（ｃ）は、図１０８（ａ）のＣＶＩＩＩｃ−ＣＶＩＩＩｃ線における球受台の断面図である。
【図１０９】球受台の分解斜視図である。
【図１１０】（ａ）及び（ｂ）は、球受台の断面図である。
【図１１１】（ａ）及び（ｂ）は、図８７のＣＸＩ−ＣＸＩ線における回転ユニットの断面模式図である。
【図１１２】上変位ユニットの正面図である。
【図１１３】上変位ユニットの分解斜視正面図である。
【図１１４】上変位ユニットの分解斜視背面図である。
【図１１５】上変位部材が退避位置に配置された状態における上変位ユニットの正面図である。
【図１１６】上変位部材が中間位置に配置された状態における上変位ユニットの正面図である。
【図１１７】上変位部材が張出位置に配置された状態における上変位ユニットの正面図である。
【図１１８】（ａ）は、可変部の正面図であり、（ｂ）は、可変部の背面図である。
【図１１９】第２実施形態における下変位部材の分解斜視正面図である。
【図１２０】下変位部材の正面図である。
【図１２１】第３位置における下変位部材の正面図である。
【図１２２】（ａ）は、第３実施形態における下変位部材の正面図であり、（ｂ）は、下変位部材の背面図である。
【図１２３】下変位部材の分解斜視正面図である。
【図１２４】下変位部材の分解斜視背面図である。
【図１２５】（ａ）及び（ｂ）は、下変位部材の正面図である。
【図１２６】（ａ）は、第１位置における下変位部材の正面図であり、（ｂ）は、第２位置における下変位部材の正面図である。
【図１２７】（ａ）は、第３位置における下変位部材の正面図であり、（ｂ）は、第２位置における下変位部材の正面図である。
【図１２８】第４実施形態における下変位ユニットの正面図である。
【図１２９】下変位ユニットの正面図である。
【図１３０】下変位ユニットの正面図である。
【図１３１】（ａ）は、第５実施形態における振分けユニットの上面図であり、（ｂ）は、振分けユニットの背面図である。
【図１３２】振分けユニットの分解斜視正面図である。
【図１３３】振分けユニットの分解斜視背面図である。
【図１３４】図１３１（ａ）のＣＸＸＸＩＶ−ＣＸＸＸＩＶ線における振分けユニットの断面図である。
【図１３５】（ａ）及び（ｂ）は、図１３４の範囲ＣＸＸＸＶにおける振分けユニットの部分拡大図である。
【図１３６】第６実施形態における回転ユニットの正面図である。
【図１３７】回転ユニットの分解斜視正面図である。
【図１３８】振分けユニットの分解斜視背面図である。
【図１３９】（ａ）から（ｃ）は、図１３８の矢印ＣＸＸＸＩＸ方向視における装飾ユニットの側面図である。
【図１４０】（ａ）から（ｃ）は、図１３８の矢印ＣＸＸＸＩＸ方向視における装飾ユニットの側面図である。
【図１４１】第７実施形態における変位ユニットの側面模式図である。
【図１４２】変位ユニットの側面模式図である。
【図１４３】変位部材に遊技球が保持された場合における変位ユニットの側面模式図である。
【図１４４】変位部材に遊技球が保持された場合における変位ユニットの側面模式図である。
【図１４５】第８実施形態におけるパチンコ機の正面図である。
【図１４６】回転操作ユニットの分解斜視正面図である。
【図１４７】図１４５のＣＸＬＶＩＩ−ＣＸＬＶＩＩ線におけるパチンコ機の断面模式図である。
【図１４８】パチンコ機の断面模式図である。
【図１４９】第９実施形態における第１リンク部材の斜視正面図であり、（ｂ）は、下変位ユニットの断面模式図である。
【図１５０】第１０実施形態における遊技盤の断面図である。
【図１５１】第１１実施形態における下変位部材の分解斜視正面図である。
【図１５２】（ａ）及び（ｂ）は、下変位部材の正面図である。
【図１５３】（ａ）は、下変位部材の正面図であり、（ｂ）は、図１５３（ａ）のＣＬＩＩＩｂ−ＣＬＩＩＩｂ線における下変位部材の断面模式図であり、（ｃ）は、図１５３（ａ）のＣＬＩＩＩｃ−ＣＬＩＩＩｃ線における下変位部材の断面模式図である。
【図１５４】（ａ）は、第１２実施形態における球受部の分解斜視正面図であり、（ｂ）は、球受部の正面図である。
【図１５５】（ａ）及び（ｂ）は、下変位部材の正面図であり、（ｃ）は、図１５５（ｂ）のＣＬＶｃ−ＣＬＶｃ線における下変位部材の断面模式図である。
【図１５６】（ａ）は、第１３実施形態における特別入賞装置の正面図であり、（ｂ）は、特別入賞装置の斜視正面図であり、（ｃ）は、図１５６（ａ）のＣＬＶＩｃ−ＣＬＶＩｃ線における特別入賞装置の断面図である。
【図１５７】特別入賞装置の分解斜視正面図である。
【図１５８】（ａ）は、特別入賞装置の上面図であり、（ｂ）は、図１５８（ａ）のＣＬＶＩＩＩｂ−ＣＬＶＩＩＩｂ線における特別入賞装置の断面図である。
【図１５９】（ａ）は、第１４実施形態における背面ケースの背面図であり、（ｂ）は、図１５９（ａ）のＣＬＩＸｂ−ＣＬＩＸｂ線における背面ケースの模式断面図である。
【図１６０】（ａ）は、第１５実施形態における背面ケースの模式断面図であり、（ｂ）は、第１６実施形態における背面ケースの模式断面図である。
【図１６１】（ａ）は、第１７実施形態における背面ケースの背面図であり、（ｂ）は、図１６１（ａ）のＣＬＸＩｂ−ＣＬＸＩｂ線における背面ケースの断面図である。
【図１６２】（ａ）は、第１８実施形態における背面ケースの正面図であり、（ｂ）は、背面ケースの背面図である。
【図１６３】（ａ）は、背面ケースの正面図であり、（ｂ）は、背面ケースの背面図である。
【図１６４】（ａ）は、遊技盤の模式上面図であり、（ｂ）は、パチンコ機１０の模式上面図である。
【図１６５】第１９実施形態における係合部材の分解斜視正面図である。
【図１６６】（ａ）は、背面ケースの正面図であり、（ｂ）は、図１６５のＣＬＸＶＩｂ−ＣＬＸＶＩｂ線におけるワンウェイの断面図である。
【図１６７】第２０実施形態における背面ケースおよび回転ユニットの分解斜視図である。
【図１６８】（ａ）は、係合部材の正面図であり、（ｂ）は、回転ユニット及び係合部材の背面図である。
【図１６９】（ａ）は、回転ユニットおよび係合部材の背面図であり、（ｂ）は、背面ケース２０３００の背面図である。
【図１７０】図１７０は、第２１実施形態における背面ケースおよび回転ユニットの分解斜視図である。
【図１７１】（ａ）は、回転ユニットおよび係合部材の背面図であり、（ｂ）は、図１７１（ａ）のＣＬＸＸＩｂ−ＣＬＸＸＩｂ線における回転ユニットの模式断面図である。
【図１７２】（ａ）は、回転ユニットおよび係合部材の背面図であり、（ｂ）は、背面ケース及び回転ユニットの模式断面図である。
【図１７３】（ａ）は、回転ユニットおよび係合部材の背面図であり、（ｂ）は、背面ケース及び回転ユニットの模式断面図である。
【図１７４】係合部材および固定部材の斜視正面図である。
【図１７５】（ａ）及び（ｂ）は、背面ケースの正面図である。
【図１７６】（ａ）は、図１７５（ｂ）のＣＬＸＸＶＩａ−ＣＬＸＸＶＩａ線における背面ケースの模式断面図である。
【図１７７】第２４実施形態における背面ケースの正面図であり、図１７７（ｂ）は、図１７７（ａ）のＣＬＸＸＶＩＩｂ−ＣＬＸＸＶＩＩｂ線における背面ケースの断面図である。
【図１７８】図１７７（ｂ）のＣＬＸＸＶＩＩＩ−ＣＬＸＸＶＩＩＩ線における背面ケースの断面図である。
【図１７９】（ａ）及び（ｂ）は、第２５実施形態における遊技盤の断面図である。
【図１８０】（ａ）及び（ｂ）は、第２６実施形態における遊技盤の断面図である。
【図１８１】（ａ）及び（ｂ）は、第２７実施形態における遊技盤の断面図である。
【図１８２】（ａ）は、第２８実施形態における遊技盤の断面図であり、（ｂ）は、第２９実施形態における遊技盤の断面図である。
【図１８３】（ａ）は、第３０実施形態における一般入賞口ユニットの断面図であり、（ｂ）は、第３１実施形態における一般入賞口ユニットの断面図である。
【図１８４】第３２実施形態における特別入賞装置の分解斜視正面図である。
【図１８５】（ａ）は、特別入賞装置の正面図であり、（ｂ）は、特別入賞装置の上面図であり、（ｃ）は、図１８５（ａ）のＣＬＸＸＸＶｃ−ＣＬＸＸＸＶｃ線における特別入賞装置の断面図である。
【図１８６】（ａ）は、特別入賞装置の断面図であり、（ｂ）は、図１８６（ａ）のＣＬＸＸＸＶＩｂ−ＣＬＸＸＸＶＩｂ線における特別入賞装置の断面図である。
【図１８７】（ａ）は、第３３実施形態における第１経路部材の分解斜視正面図であり、（ｂ）は、特別入賞装置の断面図である。
【図１８８】（ａ）は、第３４実施形態における遊技盤の正面図であり、（ｂ）は、図１８８（ａ）のＣＬＸＸＸＶＩＩＩｂ−ＣＬＸＸＸＶＩＩＩｂ線における遊技盤の断面図である。
【図１８９】遊技盤の分解斜視正面図である。
【図１９０】図１８８のＣＸＣ−ＣＸＣ線におけるパチンコ機の断面図である。
【図１９１】（ａ）は、第３５実施形態における遊技盤の正面図であり、（ｂ）は、（ａ）のＣＸＣＩｂ−ＣＸＣＩｂ線における遊技盤の断面図である。
【図１９２】特別入賞装置の分解斜視図である。
【図１９３】（ａ）から（ｃ）は、図１９１（ｂ）のＣＸＣＩＩＩ−ＣＸＣＩＩＩ線における遊技盤１３の断面図である。
【図１９４】（ａ）は、第３６実施形態における遊技盤を模式的に示した分解斜視正面図であり、（ｂ）は、遊技盤の断面模式図である。
【図１９５】（ａ）は、第３７実施形態における遊技盤を模式的に示した分解斜視正面図であり、（ｂ）は、遊技盤の断面模式図である。
【図１９６】第３８実施形態における下変位部材の分解斜視正面図である。
【図１９７】（ａ）は、下変位部材の正面図であり、（ｂ）は、図１９７（ａ）のＣＸＣＶＩＩｂ−ＣＸＣＶＩＩｂ線における下変位部材の断面図であり、（ｃ）は、図１９７（ａ）のＣＸＣＶＩＩｃ−ＣＸＣＶＩＩｃ線における下変位部材の断面図である。
【図１９８】第３９実施形態における下変位部材の分解斜視背面図である。
【図１９９】（ａ）は、下変位部材の正面図であり、図１９９（ｂ）及び図１９９（ｃ）は、下変位部材の断面図である。
【図２００】（ａ）は、第４０実施形態における第１ユニットの模式断面図であり、図２００（ｂ）は、図２００（ａ）のＣＣｂ−ＣＣｂ線における第１ユニットの模式断面図である。
【図２０１】（ａ）は、第４１実施形態における第１ユニットの模式断面図であり、（ｂ）は、図２０１（ａ）のＣＣＩｂ−ＣＣＩｂ線における第１ユニットの模式断面図である。
【図２０２】（ａ）は、図２０１（ａ）のＣＣＩＩａ−ＣＣＩＩａ線における第１ユニットの模式断面図であり、（ｂ）は、図２０１（ａ）のＣＣＩＩｂ−ＣＣＩＩｂ線における第１ユニットの模式断面図である。
【図２０３】第４２実施形態における背面ケースの分解斜視正面図である。
【図２０４】（ａ）は、背面ケースの正面図であり、（ｂ）は、図２０４（ａ）のＣＣＩＶｂ−ＣＣＩＶｂ線における背面ケースの模式断面図である。
【図２０５】（ａ）は、背面ケースの正面図であり（ｂ）は、図２０５（ａ）のＣＣＶｂ−ＣＣＶｂ線における背面ケースの模式断面図である。
【図２０６】（ａ）は、遊技盤の背面図であり、（ｂ）は、図２０６（ａ）のＣＣＶＩｂ−ＣＣＶＩｂ線における遊技盤の断面図である。
【図２０７】第１制御例におけるパチンコ機の遊技盤の正面図である。
【図２０８】第１制御例における特別入賞装置の内部構造を模式的に示した模式図である。
【図２０９】（ａ）は、表示画面の領域区分設定と有効ライン設定とを模式的に示した図であり、（ｂ）は、実際の表示画面を例示した図である。
【図２１０】（ａ）は、第１制御例における１６Ｒ確変大当たりの変動を示した表示内容の一例を示した図であり、（ｂ）は、１６Ｒ確変大当たり変動時の回転ユニットの表示態様の一例である。
【図２１１】（ａ）は、第１制御例における６Ｒ確変大当たりの変動を示した表示内容の一例を示した図であり、（ｂ）は、６Ｒ確変大当たり変動時の回転ユニットの表示態様の一例である。
【図２１２】（ａ）は、第１制御例におけるＣＨＡＲＧＥ演出中の変動を示した表示内容の一例を示した図であり、（ｂ）は、第１制御例におけるＣＨＡＲＧＥ演出中の変動停止を示した表示内容の一例を示した図である。
【図２１３】（ａ）は、第１制御例における特殊図柄停止後のルーレット演出を示した表示内容の一例を示した図であり、（ｂ）は、第１制御例におけるルーレット演出の結果を示した表示内容の一例を示した図である。
【図２１４】（ａ）は、第１制御例におけるボタン押下有効期間が発生の表示内容の一例を示した図であり、（ｂ）は、第１制御例におけるボタン押下有効期間が一定期間経過時の表示内容の一例を示した図である。
【図２１５】（ａ）は、第１制御例におけるボタン押下中の表示内容の一例を示した図であり、（ｂ）は、第１制御例における各ボタン押下有効期間表示が一致した後のボタン演出が融合した場合の一例を示した図である。
【図２１６】第１制御例におけるボタン押下演出中の期間を示したタイミングチャートである。
【図２１７】（ａ）は、第１制御例におけるボタン自動押下演出１の表示内容の一例を示した図であり、（ｂ）は、第１制御例におけるボタン自動押下演出２の表示内容の一例を示した図である。
【図２１８】第１制御例におけるボタン自動押下演出３の表示内容の一例を示した図である。
【図２１９】（ａ）は、第１制御例における大当たり遊技中にアタッカ入賞した場合の表示内容の一例を示した図であり、（ｂ）は、第１制御例における大当たり遊技中に疑似アタッカに入賞した場合の表示内容の一例を示した図である。
【図２２０】主制御装置１１０のＲＡＭ２０３内に設けられるカウンタ等について模式的に示した模式図である。
【図２２１】（ａ）は、第１制御例における主制御装置のＲＯＭの構成を模式的に示した模式図であり、（ｂ）は、第１制御例における主制御装置のＲＡＭの構成を模式的に示した模式図である。
【図２２２】（ａ）は、特別図柄大当たり乱数テーブルの内容を模式的に示した模式図であり、（ｂ）は、小当たり乱数テーブルの内容を模式的に示した模式図であり、（ｃ）は、普通当たり乱数テーブルの内容を模式的に示した模式図である。
【図２２３】（ａ）は、大当たり種別選択テーブルの内容を模式的に示した模式図であり、（ｂ）は、特図１大当たり種別選択テーブルの内容を模式的に示した模式図であり、（ｃ）は、特図２大当たり種別選択テーブルの内容を模式的に示した模式図である。
【図２２４】変動パターン選択テーブルの構成を模式的に示した模式図である。
【図２２５】通常・潜確用変動パターン選択テーブルの内容を模式的に示した模式図である。
【図２２６】確変用変動パターン選択テーブルの内容を模式的に示した模式図である。
【図２２７】（ａ）は、第１制御例における音声ランプ制御装置のＲＯＭの構成を模式的に示した模式図であり、（ｂ）は、第１制御例における音声ランプ制御装置のＲＡＭの構成を模式的に示した模式図である。
【図２２８】（ａ）は、保留ランク選択テーブルの内容を模式的に示した模式図であり、（ｂ）は、保留態様選択テーブルの内容を模式的に示した模式図である。
【図２２９】宝箱態様選択テーブルの内容を模式的に示した模式図である。
【図２３０】演出カウンタ群の内容を模式的に示した模式図である。
【図２３１】第１制御例における表示制御装置の電気的構成を示すブロック図である。
【図２３２】（ａ）〜（ｃ）は、電源投入時画像を説明する説明図である。
【図２３３】（ａ）は、背面Ａを説明する説明図であり、（ｂ）は、背面Ｂ〜Ｄを説明する説明図である。
【図２３４】（ａ）〜（ｃ）は、背面Ｅを説明する説明図である。
【図２３５】表示データテーブルの一例を模式的に示した模式図である。
【図２３６】転送データテーブルの一例を模式的に示した模式図である。
【図２３７】描画リストの一例を模式的に示した模式図である。
【図２３８】主制御装置内のＭＰＵにより実行されるタイマ割込処理を示すフローチャートである。
【図２３９】主制御装置内のＭＰＵにより実行される特別図柄変動処理を示すフローチャートである。
【図２４０】主制御装置内のＭＰＵにより実行される特別図柄２変動開始処理を示すフローチャートである。
【図２４１】主制御装置内のＭＰＵにより実行される特別図柄１変動開始処理を示すフローチャートである。
【図２４２】主制御装置内のＭＰＵにより実行される小当たり設定処理を示すフローチャートである。
【図２４３】主制御装置内のＭＰＵにより実行される遊技状態更新処理を示すフローチャートである。
【図２４４】主制御装置内のＭＰＵにより実行される始動入賞処理を示すフローチャートである。
【図２４５】主制御装置内のＭＰＵにより実行される先読み処理を示すフローチャートである。
【図２４６】主制御装置内のＭＰＵにより実行される普通図柄変動処理を示すフローチャートである。
【図２４７】主制御装置内のＭＰＵにより実行される普通図柄変動開始処理を示すフローチャートである。
【図２４８】主制御装置内のＭＰＵにより実行されるスルーゲート通過処理を示すフローチャートである。
【図２４９】主制御装置内のＭＰＵにより実行される普図先読み処理を示すフローチャートである。
【図２５０】主制御装置内のＭＰＵにより実行されるその他入賞処理を示すフローチャートである。
【図２５１】主制御装置内のＭＰＵにより実行されるＮＭＩ割込処理を示すフローチャートである。
【図２５２】主制御装置内のＭＰＵにより実行される立ち上げ処理を示すフローチャートである。
【図２５３】主制御装置内のＭＰＵによりメイン処理を示すフローチャートである。
【図２５４】主制御装置内のＭＰＵにより実行される大当たり制御処理を示すフローチャートである。
【図２５５】主制御装置内のＭＰＵにより実行される小当たり制御処理を示すフローチャートである。
【図２５６】音声ランプ制御装置内のＭＰＵにより実行される立ち上げ処理を示すフローチャートである。
【図２５７】音声ランプ制御装置内のＭＰＵにより実行されるメイン処理を示すフローチャートである。
【図２５８】音声ランプ制御装置内のＭＰＵにより実行されるコマンド判定処理を示すフローチャートである。
【図２５９】音声ランプ制御装置内のＭＰＵにより実行される変動パターン受信処理を示すフローチャートである。
【図２６０】音声ランプ制御装置内のＭＰＵにより実行される入賞情報関連処理を示すフローチャートである。
【図２６１】音声ランプ制御装置内のＭＰＵにより実行される保留態様選択処理を示すフローチャートである。
【図２６２】音声ランプ制御装置内のＭＰＵにより実行される宝箱態様選択処理を示すフローチャートである。
【図２６３】音声ランプ制御装置内のＭＰＵにより実行される当たり関連処理を示すフローチャートである。
【図２６４】音声ランプ制御装置内のＭＰＵにより実行される右アタッカ大当たり関連処理を示すフローチャートである。
【図２６５】音声ランプ制御装置内のＭＰＵにより実行される疑似アタッカ演出処理を示したフローチャートである。
【図２６６】音声ランプ制御装置内のＭＰＵにより実行される停止処理を示したフローチャートである。
【図２６７】音声ランプ制御装置内のＭＰＵにより実行される変動表示設定処理を示したフローチャートである。
【図２６８】音声ランプ制御装置内のＭＰＵにより実行される変動演出設定処理を示したフローチャートである。
【図２６９】音声ランプ制御装置内のＭＰＵにより実行される操作演出設定処理を示したフローチャートである。
【図２７０】音声ランプ制御装置内のＭＰＵにより実行されるチャージ演出設定処理を示したフローチャートである。
【図２７１】音声ランプ制御装置内のＭＰＵにより実行される枠ボタン入力監視・演出処理を示したフローチャートである。
【図２７２】音声ランプ制御装置内のＭＰＵにより実行される液晶演出実行管理処理を示したフローチャートである。
【図２７３】音声ランプ制御装置内のＭＰＵにより実行される操作演出管理処理を示したフローチャートである。
【図２７４】表示制御装置内のＭＰＵにより実行されるメイン処理を示したフローチャートである。
【図２７５】表示制御装置内のＭＰＵにより実行されるブート処理を示したフローチャートである。
【図２７６】（ａ）は、表示制御装置内のＭＰＵにより実行されるコマンド割込処理を示したフローチャートであり、（ｂ）は、表示制御装置内のＭＰＵにより実行されるＶ割込処理を示したフローチャートである。
【図２７７】表示制御装置内のＭＰＵにより実行されるコマンド判定処理を示したフローチャートである。
【図２７８】（ａ）は、表示制御装置内のＭＰＵにより実行される変動パターンコマンド処理を示したフローチャートであり、（ｂ）は、表示制御装置内のＭＰＵにより実行される停止種別コマンド処理を示したフローチャートである。
【図２７９】（ａ）は、表示制御装置内のＭＰＵにより実行される予告演出表示処理を示したフローチャートであり、（ｂ）は、表示制御装置内のＭＰＵにより実行される変動差替切替処理を示したフローチャートである。
【図２８０】（ａ）は、表示制御装置内のＭＰＵにより実行される操作演出コマンド処理を示したフローチャートであり、（ｂ）は、表示制御装置内のＭＰＵにより実行されるボタン融合表示処理を示したフローチャートである。
【図２８１】表示制御装置内のＭＰＵにより実行される疑似入賞表示処理を示すフローチャートである。
【図２８２】表示制御装置内のＭＰＵにより実行されるエラーコマンド処理を示すフローチャートである。
【図２８３】表示制御装置内のＭＰＵにより実行される表示設定処理を示したフローチャートである。
【図２８４】（ａ）は、表示制御装置内のＭＰＵにより実行される警告画像設定処理を示したフローチャートであり、（ｂ）は、表示制御装置内のＭＰＵにより実行されるポインタ更新処理を示したフローチャートである。
【図２８５】（ａ）は、表示制御装置内のＭＰＵにより実行される転送設定処理を示したフローチャートであり、（ｂ）は、表示制御装置内のＭＰＵにより実行される常駐画像転送設定処理を示したフローチャートである。
【図２８６】表示制御装置内のＭＰＵにより実行される通常画像転送設定処理を示したフローチャートである。
【図２８７】表示制御装置内のＭＰＵにより実行される描画処理を示したフローチャートである。
【図２８８】（ａ）は、第２制御例におけるポイント獲得演出開始の表示内容の一例を示した図であり、（ｂ）は、ポイント獲得演出終了を示した表示内容の一例を示した図である。
【図２８９】（ａ）は、第２制御例における保留球でのポイント獲得演出の表示内容の一例を示した図であり、（ｂ）は、リーチ選択変動パターンを示した表示内容の一例を示した図である。
【図２９０】（ａ）は、第２制御例における疑似変動の表示内容の一例を示した図であり、（ｂ）は、ポイント消費再変動を示した表示内容の一例を示した図である。
【図２９１】（ａ）は、第２制御例における図柄ＨＯＬＤ選択画面の表示内容の一例を示した図であり、（ｂ）は、第２制御例における図柄ＨＯＬＤ画面の表示内容の一例を示した図である。
【図２９２】（ａ）は、第２制御例における音声ランプ制御装置のＲＯＭの構成を模式的に示した模式図であり、（ｂ）は、第２制御例における音声ランプ制御装置のＲＡＭの構成を模式的に示した模式図である。
【図２９３】第２制御例における保留ありのポイント選択テーブルの内容を模式的に示した模式図である。
【図２９４】第２制御例における保留なしのポイント選択テーブルの内容を模式的に示した模式図である。
【図２９５】（ａ）は、第２制御例における変動ポイント選択テーブルの内容を模式的に示した模式図であり、（ｂ）は、第２制御例における表示位置の内容を模式的に示した模式図である。
【図２９６】（ａ）は、第２制御例における当たり消費ポイント選択テーブルの内容を模式的に示した模式図であり、（ｂ）は、第２制御例における外れ消費ポイント選択テーブルの内容を模式的に示した模式図である。
【図２９７】第２制御例における音声ランプ制御装置内のＭＰＵにより実行されるメイン処理を示すフローチャートである。
【図２９８】第２制御例における音声ランプ制御装置内のＭＰＵにより実行されるコマンド判定処理２を示したフローチャートである。
【図２９９】第２制御例における音声ランプ制御装置内のＭＰＵにより実行される変動パターン受信処理２を示したフローチャートである。
【図３００】第２制御例における音声ランプ制御装置内のＭＰＵにより実行されるポイント選択処理を示したフローチャートである。
【図３０１】第２制御例における音声ランプ制御装置内のＭＰＵにより実行される枠ボタン入力監視・演出処理２を示したフローチャートである。
【図３０２】第２制御例における音声ランプ制御装置内のＭＰＵにより実行される予告設定処理を示したフローチャートである。
【図３０３】第２制御例における音声ランプ制御装置内のＭＰＵにより実行される特殊ポイント選択処理を示したフローチャートである。
【図３０４】第２制御例における音声ランプ制御装置内のＭＰＵにより実行される消費リーチ選択処理を示したフローチャートである。
【図３０５】第２制御例における表示制御装置内のＭＰＵにより実行されるＶ割込処理２を示したフローチャートである。
【図３０６】第２制御例における表示制御装置内のＭＰＵにより実行されるコマンド判定処理２を示したフローチャートである。
【図３０７】（ａ）〜（ｃ）は、第３制御例における下変位部材の正面図である。
【図３０８】（ａ）は、第３制御例における音声ランプ制御装置のＲＯＭの構成を模式的に示した模式図であり、（ｂ）は、第３制御例における音声ランプ制御装置のＲＡＭの構成を模式的に示した模式図である。
【図３０９】第３制御例における初期動作データの内容を模式的に示した模式図である。
【図３１０】（ａ）は、第３制御例における発射動作データの内容を模式的に示した模式図であり、（ｂ）は、第３制御例における原点動作データの内容を模式的に示した模式図である。
【図３１１】（ａ）は、第３制御例における第１動作データの内容を模式的に示した模式図であり、（ｂ）は、第３制御例における第２動作データの内容を模式的に示した模式図である。
【図３１２】第３制御例における表示制御装置内のＭＰＵにより実行される初期動作設定処理を示したフローチャートである。
【図３１３】第３制御例における音声ランプ制御装置内のＭＰＵにより実行されるメイン処理を示すフローチャートである。
【図３１４】第３制御例における音声ランプ制御装置内のＭＰＵにより実行される初期排出動作設定処理を示すフローチャートである。
【図３１５】第３制御例における音声ランプ制御装置内のＭＰＵにより実行される動作制御処理を示すフローチャートである。
【図３１６】第３制御例における音声ランプ制御装置内のＭＰＵにより実行される第１動作設定処理を示すフローチャートである。
【図３１７】第３制御例における音声ランプ制御装置内のＭＰＵにより実行される排出動作設定処理を示すフローチャートである。
【図３１８】第３制御例における音声ランプ制御装置内のＭＰＵにより実行される第２動作設定処理を示すフローチャートである。
【図３１９】第３制御例における音声ランプ制御装置内のＭＰＵにより実行される発射動作設定処理を示すフローチャートである。
【図３２０】第４制御例におけるパチンコ機の遊技盤の正面図である。
【図３２１】第４制御例における特別入賞装置の内部構造を模式的に示した模式図である。
【図３２２】第４制御例におけるパチンコ機のゲームフローを模式的に示した模式図である。
【図３２３】第４制御例における遊技状態に対応して実行される演出の流れを模式的に示した模式図である。
【図３２４】（ａ）は、第４制御例における潜確演出Ａモード中の演出を示した表示内容の一例を示した図であり、（ｂ）は、第４制御例における潜確演出Ｂモード中の演出を示した表示内容の一例を示した図である。
【図３２５】（ａ）は、第４制御例における特別図柄当たり乱数４テーブルの内容を模式的に示した模式図であり、（ｂ）は、第４制御例における小当たり乱数４テーブルの内容を模式的に示した模式図であり、（ｃ）は、第４制御例における普通当たり乱数４テーブルの内容を模式的に示した模式図である。
【図３２６】（ａ）は、第４制御例における特図１大当たり種別選択４テーブルの内容を模式的に示した模式図であり、（ｂ）は、第４制御例における特図２大当たり種別選択４テーブルの内容を模式的に示した模式図である。
【図３２７】第４制御例における変動パターン選択４テーブルの内容を模式的に示した模式図である。
【図３２８】第４制御例における通常、確変用４テーブルの内容を模式的に示した模式図である。
【図３２９】（ａ）は、第４制御例における潜確用４テーブルの内容を模式的に示した模式図であり、（ｂ）は、第４制御例における時短用４テーブルの内容を模式的に示した模式図である。
【図３３０】第４制御例における主制御装置のＲＡＭの構成を模式的に示した模式図である。
【図３３１】第４制御例における音声ランプ制御装置のＲＡＭの構成を模式的に示した模式図である。
【図３３２】第４制御例における主制御装置内のＭＰＵにより実行される特別図柄変動処理４を示したフローチャートである。
【図３３３】第４制御例における主制御装置内のＭＰＵにより実行される第１特別図柄変動開始処理４を示したフローチャートである。
【図３３４】第４制御例における主制御装置内のＭＰＵにより実行される第１特別図柄大当たり判定処理４を示したフローチャートである。
【図３３５】第４制御例における主制御装置内のＭＰＵにより実行される第１特別図柄変動パターン選択処理４を示したフローチャートである。
【図３３６】第４制御例における主制御装置内のＭＰＵにより実行される第１特別図柄変動実行中処理４を示したフローチャートである。
【図３３７】第４制御例における主制御装置内のＭＰＵにより実行される第１特別図柄変動停止処理４を示したフローチャートである。
【図３３８】第４制御例における主制御装置内のＭＰＵにより実行される第２特別図柄変動開始処理４を示したフローチャートである。
【図３３９】第４制御例における主制御装置内のＭＰＵにより実行される第２特別図柄大当たり判定処理４を示したフローチャートである。
【図３４０】第４制御例における主制御装置内のＭＰＵにより実行される特図２外れ変動処理４を示したフローチャートである。
【図３４１】第４制御例における主制御装置内のＭＰＵにより実行される第２特別図柄変動パターン選択処理４を示したフローチャートである。
【図３４２】第４制御例における主制御装置内のＭＰＵにより実行される特図２外れ変動パターン選択処理４を示したフローチャートである。
【図３４３】第４制御例における主制御装置内のＭＰＵにより実行される第２特別図柄変動実行中処理４を示したフローチャートである。
【図３４４】第４制御例における主制御装置内のＭＰＵにより実行される第２特別図柄変動停止処理４を示したフローチャートである。
【図３４５】第４制御例における主制御装置内のＭＰＵにより実行される特図２外れ停止処理４を示したフローチャートである。
【図３４６】第４制御例における主制御装置内のＭＰＵにより実行される普通図柄変動処理４を示したフローチャートである。
【図３４７】第４制御例における主制御装置内のＭＰＵにより実行される大当たり終了処理を示したフローチャートである。
【図３４８】第４制御例における音声ランプ制御装置内のＭＰＵにより実行されるメイン処理４を示したフローチャートである。
【図３４９】第４制御例における音声ランプ制御装置内のＭＰＵにより実行されるコマンド判定処理４を示したフローチャートである。
【図３５０】第４制御例における音声ランプ制御装置内のＭＰＵにより実行される状態コマンド処理４を示したフローチャートである。
【図３５１】第４制御例における音声ランプ制御装置内のＭＰＵにより実行される疑似演出設定処理を示したフローチャートである。
【図３５２】第１制御例の変形例におけるパチンコ機の遊技盤の正面図である。
【発明を実施するための形態】
【００２１】
以下、本発明の実施形態について、添付図面を参照して説明する。まず、図１から図１１１を参照し、第１実施形態として、本発明をパチンコ遊技機（以下、単に「パチンコ機
」という）１０に適用した場合の一実施形態について説明する。図１は、第１実施形態に
おけるパチンコ機１０の正面図であり、図２はパチンコ機１０の遊技盤１３の正面図であ
り、図３はパチンコ機１０の背面図である。
【００２２】
なお、以下の説明では、図１に示す状態のパチンコ機１０に対して、紙面手前側を前方
（正面）側として、紙面奥側を後方（背面）側として説明する。また、図１に示す状態の
パチンコ機１０に対して、上側を上方（上）側として、下側を下方（下）側として、右側
を右方（右）側として、左側を左方（左）側としてそれぞれ説明する。さらに、図中の矢
印Ｕ−Ｄ，Ｌ−Ｒ，Ｆ−Ｂは、パチンコ機１０の上下方向，左右方向，前後方向をそれぞ
れ示している。
【００２３】
図１に示すように、パチンコ機１０は、略矩形状に組み合わせた木枠により外殻が形成
される外枠１１と、その外枠１１と略同一の外形形状に形成され外枠１１に対して開閉可
能に支持された内枠４とを備えている。外枠１１には、内枠４を支持するために正面視（
図１参照）左側の上下２カ所に金属製のヒンジ１８が取り付けられ、そのヒンジ１８が設
けられた側を開閉の軸として内枠４が正面手前側へ開閉可能に支持されている。
【００２４】
内枠４には、多数の釘や入賞口６３，６４等を有する遊技盤１３（図２参照）が裏面側
から着脱可能に装着される。この遊技盤１３の前面を球（遊技球）が流下することにより
弾球遊技が行われる。なお、内枠４には、球を遊技盤１３の前面領域に発射する球発射ユ
ニット１１２ａ（図４参照）やその球発射ユニット１１２ａから発射された球を遊技盤１
３の前面領域まで誘導する発射レール（図示せず）等が取り付けられている。
【００２５】
内枠４の前面側には、その前面上側を覆う前扉５と、その下側を覆う下皿ユニット１５
とが設けられている。前扉５および下皿ユニット１５を支持するために正面視（図１参照
）左側の上下２カ所に金属製のヒンジ１９が取り付けられ、そのヒンジ１９が設けられた
側を開閉の軸として前扉５および下皿ユニット１５が正面手前側へ開閉可能に支持されて
いる。なお、内枠４の施錠と前扉５の施錠とは、シリンダ錠２０の鍵穴２１に専用の鍵を
差し込んで所定の操作を行うことでそれぞれ解除される。
【００２６】
前扉５は、装飾用の樹脂部品や電気部品等を組み付けたものであり、その略中央部には
略楕円形状に開口形成された窓部５ｃが設けられている。前扉５の裏面側には２枚の板ガ
ラス８を有するガラスユニット１６が配設され、そのガラスユニット１６を介して遊技盤
１３の前面がパチンコ機１０の正面側に視認可能となっている。
【００２７】
前扉５には、球を貯留する上皿１７が前方へ張り出して上面を開放した略箱状に形成さ
れており、この上皿１７に賞球や貸出球などが排出される。上皿１７の底面は正面視（図
１参照）右側に下降傾斜して形成され、その傾斜により上皿１７に投入された球が球発射
ユニット１１２ａ（図４参照）へと案内される。また、上皿１７の上面には、枠ボタン２
２が設けられている。この枠ボタン２２は、例えば、第３図柄表示装置８１（図２参照）
で表示される演出のステージを変更したり、スーパーリーチの演出内容を変更したりする
場合などに、遊技者により操作される。
【００２８】
前扉５には、その周囲（例えばコーナー部分）に各種ランプ等の発光手段が設けられて
いる。これら発光手段は、大当たり時や所定のリーチ時等における遊技状態の変化に応じ
て、点灯又は点滅することにより発光態様が変更制御され、遊技中の演出効果を高める役
割を果たす。窓部５ｃの周縁には、ＬＥＤ等の発光手段を内蔵した電飾部２９〜３３が設
けられている。パチンコ機１０においては、これら電飾部２９〜３３が大当たりランプ等
の演出ランプとして機能し、大当たり時やリーチ演出時等には内蔵するＬＥＤの点灯や点
滅によって各電飾部２９〜３３が点灯または点滅して、大当たり中である旨、或いは大当
たり一歩手前のリーチ中である旨が報知される。また、前扉５の正面視（図１参照）左上
部には、ＬＥＤ等の発光手段が内蔵され賞球の払い出し中とエラー発生時とを表示可能な
表示ランプ３４が設けられている。
【００２９】
また、右側の電飾部３２下側には、前扉５の裏面側を視認できるように裏面側より透明
樹脂を取り付けて小窓３５が形成され、遊技盤１３前面の貼着スペースＫ１（図２参照）
に貼付される証紙等がパチンコ機１０の前面から視認可能とされている。また、パチンコ
機１０においては、より煌びやかさを醸し出すために、電飾部２９〜３３の周りの領域に
クロムメッキを施したＡＢＳ樹脂製のメッキ部材３６が取り付けられている。
【００３０】
窓部５ｃの下方には、貸球操作部４０が配設されている。貸球操作部４０には、度数表
示部４１と、球貸しボタン４２と、返却ボタン４３とが設けられている。パチンコ機１０
の側方に配置されるカードユニット（球貸しユニット）（図示せず）に紙幣やカード等を
投入した状態で貸球操作部４０が操作されると、その操作に応じて球の貸出が行われる。
具体的には、度数表示部４１はカード等の残額情報が表示される領域であり、内蔵された
ＬＥＤが点灯して残額情報として残額が数字で表示される。球貸しボタン４２は、カード
等（記録媒体）に記録された情報に基づいて貸出球を得るために操作されるものであり、
カード等に残額が存在する限りにおいて貸出球が上皿１７に供給される。返却ボタン４３
は、カードユニットに挿入されたカード等の返却を求める際に操作される。なお、カード
ユニットを介さずに球貸し装置等から上皿１７に球が直接貸し出されるパチンコ機、いわ
ゆる現金機では貸球操作部４０が不要となるが、この場合には、貸球操作部４０の設置部
分に飾りシール等を付加して部品構成は共通のものとしても良い。カードユニットを用い
たパチンコ機と現金機との共通化を図ることができる。
【００３１】
上皿１７の下側に位置する下皿ユニット１５には、その中央部に上皿１７に貯留しきれ
なかった球を貯留するための下皿５０が上面を開放した略箱状に形成されている。下皿５
０の右側には、球を遊技盤１３の前面へ打ち込むために遊技者によって操作される操作ハ
ンドル５１が配設される。
【００３２】
操作ハンドル５１の内部には、球発射ユニット１１２ａの駆動を許可するためのタッチ
センサ５１ａと、押下操作している期間中には球の発射を停止する発射停止スイッチ５１
ｂと、操作ハンドル５１の回動操作量（回動位置）を電気抵抗の変化により検出する可変
抵抗器（図示せず）などが内蔵されている。操作ハンドル５１が遊技者によって右回りに
回動操作されると、タッチセンサ５１ａがオンされると共に可変抵抗器の抵抗値が回動操
作量に対応して変化し、その可変抵抗器の抵抗値に対応した強さ（発射強度）で球が発射
され、これにより遊技者の操作に対応した飛び量で遊技盤１３の前面へ球が打ち込まれる
。また、操作ハンドル５１が遊技者により操作されていない状態においては、タッチセン
サ５１ａおよび発射停止スイッチ５１ｂがオフとなっている。
【００３３】
下皿５０の正面下方部には、下皿５０に貯留された球を下方へ排出する際に操作するた
めの球抜きレバー５２が設けられている。この球抜きレバー５２は、常時、右方向に付勢
されており、その付勢に抗して左方向へスライドさせることにより、下皿５０の底面に形
成された底面口が開口して、その底面口から球が自然落下して排出される。この球抜きレ
バー５２の操作は、通常、下皿５０の下方に下皿５０から排出された球を受け取る箱（一
般に「千両箱」と称される）を置いた状態で行われる。下皿５０の右方には、上述したよ
うに操作ハンドル５１が配設され、下皿５０の左方には灰皿５３が取り付けられている。
【００３４】
図２に示すように、遊技盤１３は、正面視略正方形状に切削加工したベース板６０に、
球案内用の多数の釘（図示せず）や風車の他、レール７６，７７、一般入賞口６３、第１
入賞口６４、第２入賞口６４０、可変入賞装置６５、第１スルーゲート６６、可変表示装
置ユニット８０等を組み付けて構成され、その周縁部が内枠４（図１参照）の裏面側に取
り付けられる。ベース板６０は薄い板材を張り合わせた木材からなり、その正面側からベ
ース板６０の背面側に配設された各種構造体を遊技者に目視できないように形成される。
一般入賞口６３、第１入賞口６４、第２入賞口６４０、可変入賞装置６５、可変表示装置
ユニット８０は、ルータ加工によってベース板６０に形成された貫通穴に配設され、遊技
盤１３の前面側からタッピングネジ等により固定されている。
【００３５】
遊技盤１３の前面中央部分は、前扉５の窓部５ｃ（図１参照）を通じて内枠４の前面側
から視認することができる。以下に、主に図２を参照して、遊技盤１３の構成について説
明する。
【００３６】
遊技盤１３の前面には、帯状の金属板を略円弧状に屈曲加工して形成した外レール７７
が植立され、その外レール７７の内側位置には外レール７７と同様に帯状の金属板で形成
した円弧状の内レール７６が植立される。この内レール７６と外レール７７とにより遊技
盤１３の前面外周が囲まれ、遊技盤１３とガラスユニット１６（図１参照）とにより前後
が囲まれることにより、遊技盤１３の前面には、球の挙動により遊技が行われる遊技領域
が形成される。遊技領域は、遊技盤１３の前面であって２本のレール７６，７７とレール
間を繋ぐ樹脂製の外縁部材７３とにより区画して形成される領域（入賞口等が配設され、
発射された球が流下する領域）である。
【００３７】
２本のレール７６，７７は、球発射ユニット１１２ａ（図４参照）から発射された球を
遊技盤１３上部へ案内するために設けられたものである。内レール７６の先端部分（図２
の左上部）には戻り球防止部材６８が取り付けられ、一旦、遊技盤１３の上部へ案内され
た球が再度球案内通路内に戻ってしまうといった事態が防止される。外レール７７の先端
部（図２の右上部）には、球の最大飛翔部分に対応する位置に返しゴム６９が取り付けら
れ、所定以上の勢いで発射された球は、返しゴム６９に当たって、勢いが減衰されつつ中
央部側へ跳ね返される。
【００３８】
遊技領域の正面視左側下部（図２の左側下部）には、発光手段である複数のＬＥＤおよ
び７セグメント表示器を備える第１図柄表示装置３７Ａ，３７Ｂが配設されている。第１
図柄表示装置３７Ａ，３７Ｂは、主制御装置１１０（図４参照）で行われる各制御に応じ
た表示がなされるものであり、主にパチンコ機１０の遊技状態の表示が行われる。本実施
形態では、第１図柄表示装置３７Ａ，３７Ｂは、球が、第１入賞口６４へ入賞したか、第
２入賞口６４０へ入賞したかに応じて使い分けられるように構成されている。具体的には
、球が、第１入賞口６４へ入賞した場合には、第１図柄表示装置３７Ａが作動し、一方で
、球が、第２入賞口６４０へ入賞した場合には、第１図柄表示装置３７Ｂが作動するよう
に構成されている。
【００３９】
また、第１図柄表示装置３７Ａ，３７Ｂは、ＬＥＤにより、パチンコ機１０が確変中か
時短中か通常中であるかを点灯状態により示したり、変動中であるか否かを点灯状態によ
り示したり、停止図柄が確変大当たりに対応した図柄か普通大当たりに対応した図柄か外
れ図柄であるかを点灯状態により示したり、保留球数を点灯状態により示すと共に、７セ
グメント表示装置により、大当たり中のラウンド数やエラー表示を行う。なお、複数のＬ
ＥＤは、それぞれのＬＥＤの発光色（例えば、赤、緑、青）が異なるよう構成され、その
発光色の組み合わせにより、少ないＬＥＤでパチンコ機１０の各種遊技状態を示唆するこ
とができる。
【００４０】
なお、本パチンコ機１０では、第１入賞口６４，第２入賞口６４０のいずれかに入賞が
あったことを契機として抽選が行われる。パチンコ機１０は、その抽選において、大当た
りか否かの当否判定（大当たり抽選）を行うと共に、大当たりと判定した場合はその大当
たり種別の判定も行う。ここで判定される大当たり種別としては、１５Ｒ確変大当たり、
４Ｒ確変大当たり、１５Ｒ通常大当たりが用意されている。第１図柄表示装置３７Ａ，３
７Ｂには、変動終了後の停止図柄として抽選の結果が大当たりであるか否かが示されるだ
けでなく、大当たりである場合はその大当たり種別に応じた図柄が示される。
【００４１】
ここで、「１５Ｒ確変大当たり」とは、最大ラウンド数が１５ラウンドの大当たりの後
に高確率状態へ移行する確変大当たりのことであり、「４Ｒ確変大当たり」とは、最大ラ
ウンド数が４ラウンドの大当たりの後に高確率状態へ移行する確変大当たりのことである
。また、「１５Ｒ通常大当たり」は、最大ラウンド数が１５ラウンドの大当たりの後に、
低確率状態へ移行すると共に、所定の変動回数の間（例えば、１００変動回数）は時短状
態となる大当たりのことである。
【００４２】
また、「高確率状態」とは、大当たり終了後に付加価値としてその後の大当たり確率が
アップした状態、いわゆる確率変動中（確変中）の時をいい、換言すれば、特別遊技状態
へ移行し易い遊技の状態のことである。本実施形態における高確率状態（確変中）は、後
述する第２図柄の当たり確率がアップして第２入賞口６４０へ球が入賞し易い遊技の状態
を含む。「低確率状態」とは、確変中でない時をいい、大当たり確率が通常の状態、即ち
、確変の時より大当たり確率が低い状態をいう。また、「低確率状態」のうちの時短状態
（時短中）とは、大当たり確率が通常の状態であると共に、大当たり確率がそのままで第
２図柄の当たり確率のみがアップして第２入賞口６４０へ球が入賞し易い遊技の状態のこ
とをいう。一方、パチンコ機１０が通常中とは、確変中でも時短中でもない遊技の状態（
大当たり確率も第２図柄の当たり確率もアップしていない状態）である。
【００４３】
確変中や時短中は、第２図柄の当たり確率がアップするだけではなく、第２入賞口６４
０に付随する第１電動役物６４０ａが開放される時間も変更され、通常中と比して長い時
間が設定される。第１電動役物６４０ａが開放された状態（開放状態）にある場合は、そ
の第１電動役物６４０ａが閉鎖された状態（閉鎖状態）にある場合と比して、第２入賞口
６４０へ球が入賞しやすい状態となる。よって、確変中や時短中は、第２入賞口６４０へ
球が入賞し易い状態となり、大当たり抽選が行われる回数を増やすことができる。
【００４４】
なお、確変中や時短中において、第２入賞口６４０に付随する第１電動役物６４０ａの
開放時間を変更するのではなく、または、その開放時間を変更することに加えて、１回の
当たりで第１電動役物６４０ａが開放する回数を通常中よりも増やす変更を行うものとし
てもよい。また、確変中や時短中において、第２図柄の当たり確率は変更せず、第２入賞
口６４０に付随する第１電動役物６４０ａが開放される時間および１回の当たりで第１電
動役物６４０ａが開放する回数の少なくとも一方を変更するものとしてもよい。また、確
変中や時短中において、第２入賞口６４０に付随する第１電動役物６４０ａが開放される
時間や、１回の当たりで第１電動役物６４０ａを開放する回数は変更せず、第２図柄の当
たり確率だけを、通常中と比してアップするよう変更するものであってもよい。
【００４５】
遊技領域には、球が入賞することにより５個から１５個の球が賞球として払い出される
複数の一般入賞口６３が配設されている。また、遊技領域の中央部分には、可変表示装置
ユニット８０が配設されている。可変表示装置ユニット８０には、第１入賞口６４、第２
入賞口６４０のいずれかの入賞（始動入賞）をトリガとして、第１図柄表示装置３７Ａ，
３７Ｂにおける変動表示と同期させながら、第３図柄の変動表示を行う液晶ディスプレイ
（以下単に「表示装置」と略す）で構成された第３図柄表示装置８１と、第１スルーゲー
ト６６の球の通過をトリガとして第２図柄を変動表示するＬＥＤで構成される第２図柄表
示装置（図示せず）とが設けられている。
【００４６】
また、可変表示装置ユニット８０には、第３図柄表示装置８１の外周を囲むようにして
、センターフレーム８６が配設されている。このセンターフレーム８６の中央に開口され
る開口部から第３図柄表示装置８１が視認可能とされる。
【００４７】
第３図柄表示装置８１は９インチサイズの大型の液晶ディスプレイで構成されるもので
あり、表示制御装置１１４（図４参照）によって表示内容が制御されることにより、例え
ば上、中および下の３つの図柄列が表示される。各図柄列は複数の図柄（第３図柄）によ
って構成され、これらの第３図柄が図柄列毎に横スクロールして第３図柄表示装置８１の
表示画面上にて第３図柄が可変表示されるようになっている。本実施形態の第３図柄表示
装置８１は、主制御装置１１０（図４参照）の制御に伴った遊技状態の表示が第１図柄表
示装置３７Ａ，３７Ｂで行われるのに対して、その第１図柄表示装置３７Ａ，３７Ｂの表
示に応じた装飾的な表示を行うものである。なお、表示装置に代えて、例えばリール等を
用いて第３図柄表示装置８１を構成するようにしても良い。
【００４８】
第２図柄表示装置は、球が第１スルーゲート６６を通過する毎に表示図柄（第２図柄（
図示せず））としての「○」の図柄と「×」の図柄とを所定時間交互に点灯させる変動表
示を行うものである。パチンコ機１０では、球が第１スルーゲート６６を通過したことが
検出されると、当たり抽選が行われる。その当たり抽選の結果、当たりであれば、第２図
柄表示装置において、第２図柄の変動表示後に「○」の図柄が停止表示される。また、当
たり抽選の結果、外れであれば、第２図柄表示装置において、第３図柄の変動表示後に「
×」の図柄が停止表示される。
【００４９】
パチンコ機１０は、第２図柄表示装置における変動表示が所定図柄（本実施形態におい
ては「○」の図柄）で停止した場合に、第２入賞口６４０に付随された第１電動役物６４
０ａが所定時間だけ作動状態となる（開放される）よう構成されている。
【００５０】
第２図柄の変動表示にかかる時間は、遊技状態が通常中の場合よりも、確変中または時
短中の方が短くなるように設定される。これにより、確変中および時短中は、第２図柄の
変動表示が短い時間で行われるので、当たり抽選を通常中よりも多く行うことができる。
よって、当たり抽選において当たりとなる機会が増えるので、第２入賞口６４０の第１電
動役物６４０ａが開放状態となる機会を遊技者に多く与えることができる。よって、確変
中および時短中は、第２入賞口６４０へ球が入賞しやすい状態とすることができる。
【００５１】
なお、確変中または時短中において、当たり確率を高める、１回に当たりに対する第１
電動役物６４０ａの開放時間や開放回数を増やすなど、その他の方法によっても、確変中
または時短中に第２入賞口６４０へ球が入賞しやすい状態としている場合は、第２図柄の
変動表示にかかる時間を遊技状態にかかわらず一定としてもよい。一方、第２図柄の変動
表示にかかる時間を、確変中または時短中において通常中よりも短く設定する場合は、当
たり確率を遊技状態にかかわらず一定にしてもよいし、また、１回の当たりに対する第１
電動役物６４０ａの開放時間や開放回数を遊技状態にかかわらず一定にしてもよい。
【００５２】
第１スルーゲート６６は、可変表示装置ユニット８０の右側の領域において遊技盤に組
み付けられる。第１スルーゲート６６は、遊技盤に発射された球のうち、遊技盤を流下す
る球の一部が通過可能に構成されている。第１スルーゲート６６を球が通過すると、第２
図柄の当たり抽選が行われる。当たり抽選の後、第２図柄表示装置にて変動表示を行い、
当たり抽選の結果が当たりであれば、変動表示の停止図柄として「○」の図柄を表示し、
当たり抽選の結果が外れであれば、変動表示の停止図柄として「×」の図柄を表示する。
【００５３】
球の第１スルーゲート６６の通過回数は、合計で最大４回まで保留され、その保留球数
が上述した第１図柄表示装置３７Ａ，３７Ｂにより表示されると共に第２図柄保留ランプ
（図示せず）においても点灯表示される。第２図柄保留ランプは、最大保留数分の４つ設
けられ、第３図柄表示装置８１の下方に左右対称に配設されている。
【００５４】
なお、第２図柄の変動表示は、本実施形態のように、第２図柄表示装置において複数の
ランプの点灯と非点灯を切り換えることにより行うものの他、第１図柄表示装置３７Ａ，
３７Ｂおよび第３図柄表示装置８１の一部を使用して行うようにしても良い。同様に、第
２図柄保留ランプの点灯を第３図柄表示装置８１の一部で行うようにしても良い。また、
第１スルーゲート６６の球の通過に対する最大保留球数は４回に限定されるものでなく、
３回以下、又は、５回以上の回数（例えば、８回）に設定しても良い。また、スルーゲー
トの組み付け数は２つに限定されるものではなく、３つ以上の複数であっても良い。また
、スルーゲートの組み付け位置は可変表示装置ユニット８０の左右両側に限定されるもの
ではなく、例えば、可変表示装置ユニット８０の下方でも良い。また、第１図柄表示装置
３７Ａ，３７Ｂにより保留球数が示されるので、第２図柄保留ランプにより点灯表示を行
わないものとしてもよい。
【００５５】
可変表示装置ユニット８０の下方には、球が入賞し得る第１入賞口６４が配設されてい
る。この第１入賞口６４へ球が入賞すると遊技盤１３の裏面側に設けられる第１入賞口ス
イッチ（図示せず）がオンとなり、その第１入賞口スイッチのオンに起因して主制御装置
１１０（図４参照）で大当たりの抽選がなされ、その抽選結果に応じた表示が第１図柄表
示装置３７Ａで示される。
【００５６】
一方、第１入賞口６４の正面視右方には、球が入賞し得る第２入賞口６４０が配設され
ている。第２入賞口６４０へ球が入賞すると遊技盤１３の裏面側に設けられる第２入賞口
スイッチ（図示せず）がオンとなり、その第２入賞口スイッチのオンに起因して主制御装
置１１０（図４参照）で大当たりの抽選がなされ、その抽選結果に応じた表示が第１図柄
表示装置３７Ｂで示される。
【００５７】
また、第１入賞口６４，第２入賞口６４０は、それぞれ、球が入賞すると５個の球が賞
球として払い出される入賞口の１つにもなっている。なお、本実施形態においては、第１
入賞口６４へ球が入賞した場合に払い出される賞球数と第２入賞口６４０へ球が入賞した
場合に払い出される賞球数とを同じに構成したが、第１入賞口６４へ球が入賞した場合に
払い出される賞球数と第２入賞口６４０へ球が入賞した場合に払い出される賞球数とを異
なる数、例えば、第１入賞口６４へ球が入賞した場合に払い出される賞球数を３個とし、
第２入賞口６４０へ球が入賞した場合に払い出される賞球数を５個として構成してもよい
。
【００５８】
さらに、第１入賞口６４の正面視左側には、球が入賞し得る第３入賞口８２が配設され
ている。第３入賞口８２は、球が入賞すると送球ユニット６００を介して後述する振分け
ユニット５００の第１開口５１１へ入賞した球を送球することができる。即ち、第３入賞
口８２は後述する第１開口５１１と連通した状態で配置されている。
【００５９】
第３入賞口８２には第３電動役物８２ａが付随されている。この第３電動役物８２ａは
、遊技盤１３に対して回転変位して開閉可能に構成されており、通常は第３電動役物８２
ａが閉鎖状態（縮小状態）となって球が第３入賞口８２へ入賞し難い状態となっている。
一方、第１入賞口６４又は第２入賞口６４０の入賞を契機とする大当たりの判定があった
場合、その大当たり前、後、又は大当たり中に、第３電動役物８２ａが所定時間開放（拡
大状態）となり、球が第３入賞口８２へ入賞しやすい状態となる。また、第３入賞口８２
の下流側には、通過した球を検出するセンサ装置ＳＥ１が搭載される。
【００６０】
なお、第３電動役物８２ａの開放のタイミングは、第１入賞口６４及び第２入賞口５６
４０の入賞を契機にして行われるものでなくても良く、第１スルーゲート６６寝の球の通
過を契機として行われる第２図柄の変動表示の結果、「○」の図柄が第２図柄表示装置に
表示された場合、開放されるものであっても良い。
【００６１】
第２入賞口６４０には第１電動役物６４０ａが付随されている。この第１電動役物６４
０ａは開閉可能に構成されており、通常は第１電動役物６４０ａが閉鎖状態（縮小状態）
となって、球が第２入賞口６４０へ入賞しにくい状態となっている。一方、第１スルーゲ
ート６６への球の通過を契機として行われる第２図柄の変動表示の結果、「○」の図柄が
第２図柄表示装置に表示された場合、第１電動役物６４０ａが開放状態（拡大状態）とな
り、球が第２入賞口６４０へ入賞しやすい状態となる。
【００６２】
上述した通り、確変中および時短中は、通常中と比して第２図柄の当たり確率が高く、
また、第２図柄の変動表示にかかる時間も短いので、第２図柄の変動表示において「○」
の図柄が表示され易くなって、第１電動役物６４０ａが開放状態（拡大状態）となる回数
が増える。更に、確変中または時短中は、第１電動役物６４０ａが開放される時間も、通
常中より長くなる。よって、確変中または時短中は、通常時と比して、第２入賞口６４０
へ球が入賞しやすい状態を作ることができる。
【００６３】
ここで、第１入賞口６４に球が入賞した場合と第２入賞口６４０へ球が入賞した場合と
で、大当たりとなる確率は、低確率状態であっても高確率状態でも同一である。しかしな
がら、大当たりとなった場合に選定される大当たりの種別として１５Ｒ確変大当たりとな
る確率は、第２入賞口６４０へ球が入賞した場合のほうが第１入賞口６４へ球が入賞した
場合よりも高く設定されている。一方、第１入賞口６４は、第２入賞口６４０にあるよう
な第１電動役物６４０ａは有しておらず、球が常時入賞可能な状態となっている。
【００６４】
よって、通常中においては、第２入賞口６４０に付随する電動役物が閉鎖状態にある場
合が多く、第２入賞口６４０に入賞しづらいので、電動役物のない第１入賞口６４へ向け
て、可変表示装置ユニット８０の左方を球が通過するように球を発射し（所謂「左打ち」
）、第１入賞口６４への入賞によって大当たり抽選の機会を多く得て、大当たりとなるこ
とを狙った方が、遊技者にとって有利となる。
【００６５】
一方、確変中や時短中は、第１スルーゲート６６に球を通過させることで、第２入賞口
６４０に付随する第１電動役物６４０ａが開放状態となりやすく、第２入賞口６４０に入
賞しやすい状態であるので、第２入賞口６４０へ向けて、可変表示装置ユニット８０の右
方を球が通過するように球を発射し（所謂「右打ち」）、第１スルーゲート６６を通過さ
せて第１電動役物６４０ａを開放状態にすると共に、第２入賞口６４０への入賞によって
１５Ｒ確変大当たりとなることを狙った方が、遊技者にとって有利となる。
【００６６】
このように、本実施形態のパチンコ機１０は、パチンコ機１０の遊技状態（確変中であ
るか、時短中であるか、通常中であるか）に応じて、遊技者に対し、球の発射の仕方を「
左打ち」と「右打ち」とに変えさせることができる。よって、遊技者に対して、球の打ち
方に変化をもたらすことができるので、遊技を楽しませることができる。
【００６７】
第１入賞口６４の右側には可変入賞装置６５が配設されており、その略中央部分に横長
矩形状の特定入賞口（大開放口）６５ａが設けられている。パチンコ機１０においては、
第１入賞口６４，第２入賞口６４０のいずれかの入賞に起因して行われた大当たり抽選が
大当たりとなると、所定時間（変動時間）が経過した後に、大当たりの停止図柄となるよ
う第１図柄表示装置３７Ａ又は第１図柄表示装置３７Ｂを点灯させると共に、その大当た
りに対応した停止図柄を第３図柄表示装置８１に表示させて、大当たりの発生が示される
。その後、球が入賞し易い特別遊技状態（大当たり）に遊技状態が遷移する。この特別遊
技状態として、通常時には閉鎖されている特定入賞口６５ａが、所定時間（例えば、３０
秒経過するまで、或いは、球が１０個入賞するまで）開放される。
【００６８】
この特定入賞口６５ａは、所定時間が経過すると閉鎖され、その閉鎖後、再度、その特
定入賞口６５ａが所定時間開放される。この特定入賞口６５ａの開閉動作は、最高で例え
ば１５回（１５ラウンド）繰り返し可能にされている。この開閉動作が行われている状態
が、遊技者にとって有利な特別遊技状態の一形態であり、遊技者には、遊技上の価値（遊
技価値）の付与として通常時より多量の賞球の払い出しが行われる。
【００６９】
可変入賞装置６５は、具体的には、特定入賞口６５ａを覆う横長矩形状の開閉板と、そ
の開閉板の下辺を軸として前方側に開閉駆動するための大開放口ソレノイド（図示せず）
とを備えている。特定入賞口６５ａは、通常時は、球が入賞できないか又は入賞し難い閉
状態になっている。大当たりの際には大開放口ソレノイドを駆動して開閉板を前面下側に
傾倒し、球が特定入賞口６５ａに入賞しやすい開状態を一時的に形成し、その開状態と通
常時の閉状態との状態を交互に繰り返すように作動する。
【００７０】
なお、上記した形態に特別遊技状態は限定されるものではない。特定入賞口６５ａとは
別に開閉される大開放口を遊技領域に設け、第１図柄表示装置３７Ａ，３７Ｂにおいて大
当たりに対応したＬＥＤが点灯した場合に、特定入賞口６５ａが所定時間開放され、その
特定入賞口６５ａの開放中に、球が特定入賞口６５ａ内へ入賞することを契機として特定
入賞口６５ａとは別に設けられた大開放口が所定時間、所定回数開放される遊技状態を特
別遊技状態として形成するようにしても良い。また、特定入賞口６５ａは１つに限るもの
ではなく、１つ若しくは２以上の複数（例えば３つ）配置しても良く、また配置位置も第
１入賞口６４の右側に限らず、例えば、可変表示装置ユニット８０の左方でも良い。
【００７１】
遊技盤１３の下側における右隅部には、証紙や識別ラベル等を貼着するための貼着スペ
ースＫ１が設けられ、貼着スペースＫ１に貼られた証紙等は、前扉５の小窓３５（図１参
照）を通じて視認することができる。
【００７２】
遊技盤１３には、第１アウト口７１が設けられている。遊技領域を流下する球であって
、いずれの入賞口６３，６４，６５ａ，６４０，８２，にも入賞しなかった球は、第１ア
ウト口７１を通って図示しない球排出路へと案内される。第１アウト口７１は、第１入賞
口６４の下方に配設される。
【００７３】
遊技盤１３には、球の落下方向を適宜分散、調整等するために多数の釘が植設されてい
るとともに、風車等の各種部材（役物）とが配設されている。
【００７４】
図３に示すように、パチンコ機１０の背面側には、制御基板ユニット９０，９１と、裏
パックユニット９４とが主に備えられている。制御基板ユニット９０は、主基板（主制御
装置１１０）と音声ランプ制御基板（音声ランプ制御装置１１３）と表示制御基板（表示
制御装置１１４）とが搭載されてユニット化されている。制御基板ユニット９１は、払出
制御基板（払出制御装置１１１）と発射制御基板（発射制御装置１１２）と電源基板（電
源装置１１５）とカードユニット接続基板１１６とが搭載されてユニット化されている。
【００７５】
裏パックユニット９４は、保護カバー部を形成する裏パック９２と払出ユニット９３と
がユニット化されている。また、各制御基板には、各制御を司る１チップマイコンとして
のＭＰＵ、各種機器との連絡をとるポート、各種抽選の際に用いられる乱数発生器、時間
計数や同期を図る場合などに使用されるクロックパルス発生回路等が、必要に応じて搭載
されている。
【００７６】
なお、主制御装置１１０、音声ランプ制御装置１１３および表示制御装置１１４、払出
制御装置１１１および発射制御装置１１２、電源装置１１５、カードユニット接続基板１
１６は、それぞれ基板ボックス１００〜１０４に収納されている。基板ボックス１００〜
１０４は、ボックスベースと該ボックスベースの開口部を覆うボックスカバーとを備えて
おり、そのボックスベースとボックスカバーとが互いに連結されて、各制御装置や各基板
が収納される。
【００７７】
また、基板ボックス１００（主制御装置１１０）および基板ボックス１０２（払出制御
装置１１１および発射制御装置１１２）は、ボックスベースとボックスカバーとを封印ユ
ニット（図示せず）によって開封不能に連結（かしめ構造による連結）している。また、
ボックスベースとボックスカバーとの連結部には、ボックスベースとボックスカバーとに
亘って封印シール（図示せず）が貼着されている。この封印シールは、脆性な素材で構成
されており、基板ボックス１００，１０２を開封するために封印シールを剥がそうとした
り、基板ボックス１００，１０２を無理に開封しようとすると、ボックスベース側とボッ
クスカバー側とに切断される。よって、封印ユニット又は封印シールを確認することで、
基板ボックス１００，１０２が開封されたかどうかを知ることができる。
【００７８】
払出ユニット９３は、裏パックユニット９４の最上部に位置して上方に開口したタンク
１３０と、タンク１３０の下方に連結され下流側に向けて緩やかに傾斜するタンクレール
１３１と、タンクレール１３１の下流側に縦向きに連結されるケースレール１３２と、ケ
ースレール１３２の最下流部に設けられ、払出モータ２１６（図４参照）の所定の電気的
構成により球の払出を行う払出装置１３３とを備えている。タンク１３０には、遊技ホー
ルの島設備から供給される球が逐次補給され、払出装置１３３により必要個数の球の払い
出しが適宜行われる。タンクレール１３１には、当該タンクレール１３１に振動を付加す
るためのバイブレータ１３４が取り付けられている。
【００７９】
また、払出制御装置１１１には状態復帰スイッチ１２０が設けられ、発射制御装置１１
２には可変抵抗器の操作つまみ１２１が設けられ、電源装置１１５にはＲＡＭ消去スイッ
チ１２２が設けられている。状態復帰スイッチ１２０は、例えば、払出モータ２１６（図
４参照）部の球詰まり等、払出エラーの発生時に球詰まりを解消（正常状態への復帰）す
るために操作される。操作つまみ１２１は、発射ソレノイドの発射力を調整するために操
作される。ＲＡＭ消去スイッチ１２２は、パチンコ機１０を初期状態に戻したい場合に電
源投入時に操作される。
【００８０】
次に、図４を参照して、本パチンコ機１０の電気的構成について説明する。図４は、パ
チンコ機１０の電気的構成を示すブロック図である。
【００８１】
主制御装置１１０には、演算装置である１チップマイコンとしてのＭＰＵ２０１が搭載
されている。ＭＰＵ２０１には、該ＭＰＵ２０１により実行される各種の制御プログラム
や固定値データを記憶したＲＯＭ２０２と、そのＲＯＭ２０２内に記憶される制御プログ
ラムの実行に際して各種のデータ等を一時的に記憶するためのメモリであるＲＡＭ２０３
と、そのほか、割込回路やタイマ回路、データ送受信回路などの各種回路が内蔵されてい
る。主制御装置１１０では、ＭＰＵ２０１によって、大当たり抽選や第１図柄表示装置３
７Ａ，３７Ｂおよび第３図柄表示装置８１における表示の設定、第２図柄表示装置におけ
る表示結果の抽選といったパチンコ機１０の主要な処理を実行する。
【００８２】
なお、払出制御装置１１１や音声ランプ制御装置１１３などのサブ制御装置に対して動
作を指示するために、主制御装置１１０から該サブ制御装置へ各種のコマンドがデータ送
受信回路によって送信されるが、かかるコマンドは、主制御装置１１０からサブ制御装置
へ一方向にのみ送信される。
【００８３】
ＲＡＭ２０３は、各種エリア、カウンタ、フラグのほか、ＭＰＵ２０１の内部レジスタ
の内容やＭＰＵ２０１により実行される制御プログラムの戻り先番地などが記憶されるス
タックエリアと、各種のフラグおよびカウンタ、Ｉ／Ｏ等の値が記憶される作業エリア（
作業領域）とを有している。なお、ＲＡＭ２０３は、パチンコ機１０の電源の遮断後にお
いても電源装置１１５からバックアップ電圧が供給されてデータを保持（バックアップ）
できる構成となっており、ＲＡＭ２０３に記憶されるデータは、すべてバックアップされ
る。
【００８４】
停電などの発生により電源が遮断されると、その電源遮断時（停電発生時を含む。以下
同様）のスタックポインタや、各レジスタの値がＲＡＭ２０３に記憶される。一方、電源
投入時（停電解消による電源投入を含む。以下同様）には、ＲＡＭ２０３に記憶される情
報に基づいて、パチンコ機１０の状態が電源遮断前の状態に復帰される。ＲＡＭ２０３へ
の書き込みはメイン処理（図示せず）によって電源遮断時に実行され、ＲＡＭ２０３に書
き込まれた各値の復帰は電源投入時の立ち上げ処理（図示せず）において実行される。な
お、ＭＰＵ２０１のＮＭＩ端子（ノンマスカブル割込端子）には、停電等の発生による電
源遮断時に、停電監視回路２５２からの停電信号ＳＧ１が入力されるように構成されてお
り、その停電信号ＳＧ１がＭＰＵ２０１へ入力されると、停電時処理としてのＮＭＩ割込
処理（図示せず）が即座に実行される。
【００８５】
主制御装置１１０のＭＰＵ２０１には、アドレスバスおよびデータバスで構成されるバ
スライン２０４を介して入出力ポート２０５が接続されている。入出力ポート２０５には
、払出制御装置１１１、音声ランプ制御装置１１３、第１図柄表示装置３７Ａ，３７Ｂ、
第２図柄表示装置、第２図柄保留ランプ、特定入賞口６５ａの開閉板の下辺を軸として前
方側に開閉駆動するための大開放口ソレノイドや電動役物を駆動するためのソレノイドな
どからなるソレノイド２０９が接続され、ＭＰＵ２０１は、入出力ポート２０５を介して
これらに対し各種コマンドや制御信号を送信する。
【００８６】
また、入出力ポート２０５には、図示しないスイッチ群およびスライド位置検出センサ
Ｓや回転位置検出センサＲを含むセンサ群などからなる各種スイッチ２０８、電源装置１
１５に設けられた後述のＲＡＭ消去スイッチ回路２５３が接続され、ＭＰＵ２０１は各種
スイッチ２０８から出力される信号や、ＲＡＭ消去スイッチ回路２５３より出力されるＲ
ＡＭ消去信号ＳＧ２に基づいて各種処理を実行する。
【００８７】
払出制御装置１１１は、払出モータ２１６を駆動させて賞球や貸出球の払出制御を行う
ものである。演算装置であるＭＰＵ２１１は、そのＭＰＵ２１１により実行される制御プ
ログラムや固定値データ等を記憶したＲＯＭ２１２と、ワークメモリ等として使用される
ＲＡＭ２１３とを有している。
【００８８】
払出制御装置１１１のＲＡＭ２１３は、主制御装置１１０のＲＡＭ２０３と同様に、Ｍ
ＰＵ２１１の内部レジスタの内容やＭＰＵ２１１により実行される制御プログラムの戻り
先番地などが記憶されるスタックエリアと、各種のフラグおよびカウンタ、Ｉ／Ｏ等の値
が記憶される作業エリア（作業領域）とを有している。ＲＡＭ２１３は、パチンコ機１０
の電源の遮断後においても電源装置１１５からバックアップ電圧が供給されてデータを保
持（バックアップ）できる構成となっており、ＲＡＭ２１３に記憶されるデータは、すべ
てバックアップされる。なお、主制御装置１１０のＭＰＵ２０１と同様、ＭＰＵ２１１の
ＮＭＩ端子にも、停電等の発生による電源遮断時に停電監視回路２５２から停電信号ＳＧ
１が入力されるように構成されており、その停電信号ＳＧ１がＭＰＵ２１１へ入力される
と、停電時処理としてのＮＭＩ割込処理（図示せず）が即座に実行される。
【００８９】
払出制御装置１１１のＭＰＵ２１１には、アドレスバスおよびデータバスで構成される
バスライン２１４を介して入出力ポート２１５が接続されている。入出力ポート２１５に
は、主制御装置１１０や払出モータ２１６、発射制御装置１１２などがそれぞれ接続され
ている。また、図示はしないが、払出制御装置１１１には、払い出された賞球を検出する
ための賞球検出スイッチが接続されている。なお、該賞球検出スイッチは、払出制御装置
１１１に接続されるが、主制御装置１１０には接続されていない。
【００９０】
発射制御装置１１２は、主制御装置１１０により球の発射の指示がなされた場合に、操
作ハンドル５１の回動操作量に応じた球の打ち出し強さとなるよう球発射ユニット１１２
ａを制御するものである。球発射ユニット１１２ａは、図示しない発射ソレノイドおよび
電磁石を備えており、その発射ソレノイドおよび電磁石は、所定条件が整っている場合に
駆動が許可される。具体的には、遊技者が操作ハンドル５１に触れていることをタッチセ
ンサ５１ａにより検出し、球の発射を停止させるための発射停止スイッチ５１ｂがオフ（
操作されていないこと）を条件に、操作ハンドル５１の回動操作量（回動位置）に対応し
て発射ソレノイドが励磁され、操作ハンドル５１の操作量に応じた強さで球が発射される
。
【００９１】
音声ランプ制御装置１１３は、音声出力装置（図示しないスピーカなど）２２６におけ
る音声の出力、ランプ表示装置（電飾部２９〜３３、表示ランプ３４など）２２７におけ
る点灯および消灯の出力、変動演出（変動表示）や予告演出といった表示制御装置１１４
で行われる第３図柄表示装置８１の表示態様の設定などを制御するものである。演算装置
であるＭＰＵ２２１は、そのＭＰＵ２２１により実行される制御プログラムや固定値デー
タ等を記憶したＲＯＭ２２２と、ワークメモリ等として使用されるＲＡＭ２２３とを有し
ている。
【００９２】
音声ランプ制御装置１１３のＭＰＵ２２１には、アドレスバスおよびデータバスで構成
されるバスライン２２４を介して入出力ポート２２５が接続されている。入出力ポート２
２５には、主制御装置１１０、表示制御装置１１４、音声出力装置２２６、ランプ表示装
置２２７、その他装置２２８、枠ボタン２２などがそれぞれ接続されている。その他装置
２２８には、駆動モータＫＭ１，ＫＭ２，ＫＭ３が含まれる。
【００９３】
音声ランプ制御装置１１３は、主制御装置１１０から受信した各種のコマンド（変動パ
ターンコマンド、停止種別コマンド等）に基づいて、第３図柄表示装置８１の表示態様を
決定し、決定した表示態様をコマンド（表示用変動パターンコマンド、表示用停止種別コ
マンド等）によって表示制御装置１１４へ通知する。また、音声ランプ制御装置１１３は
、枠ボタン２２からの入力を監視し、遊技者によって枠ボタン２２が操作された場合は、
第３図柄表示装置８１で表示されるステージを変更したり、スーパーリーチ時の演出内容
を変更したりするように、表示制御装置１１４へ指示する。ステージが変更される場合は
、変更後のステージに応じた背面画像を第３図柄表示装置８１に表示させるべく、変更後
のステージに関する情報を含めた背面画像変更コマンドを表示制御装置１１４へ送信する
。ここで、背面画像とは、第３図柄表示装置８１に表示させる主要な画像である第３図柄
の背面側に表示される画像のことである。表示制御装置１１４は、この音声ランプ制御装
置１１３から送信されるコマンドに従って、第３図柄表示装置８１に各種の画像を表示す
る。
【００９４】
また、音声ランプ制御装置１１３は、表示制御装置１１４から第３図柄表示装置８１の
表示内容を表すコマンド（表示コマンド）を受信する。音声ランプ制御装置１１３では、
表示制御装置１１４から受信した表示コマンドに基づき、第３図柄表示装置８１の表示内
容に合わせて、その表示内容に対応する音声を音声出力装置２２６から出力し、また、そ
の表示内容に対応させてランプ表示装置２２７の点灯および消灯を制御する。
【００９５】
表示制御装置１１４は、音声ランプ制御装置１１３および第３図柄表示装置８１が接続
され、音声ランプ制御装置１１３より受信したコマンドに基づいて、第３図柄表示装置８
１における第３図柄の変動演出などの表示を制御するものである。また、表示制御装置１
１４は、第３図柄表示装置８１の表示内容を通知する表示コマンドを適宜音声ランプ制御
装置１１３へ送信する。音声ランプ制御装置１１３は、この表示コマンドによって示され
る表示内容にあわせて音声出力装置２２６から音声を出力することで、第３図柄表示装置
８１の表示と音声出力装置２２６からの音声出力とをあわせることができる。
【００９６】
電源装置１１５は、パチンコ機１０の各部に電源を供給するための電源部２５１と、停
電等による電源遮断を監視する停電監視回路２５２と、ＲＡＭ消去スイッチ１２２（図３
参照）が設けられたＲＡＭ消去スイッチ回路２５３とを有している。電源部２５１は、図
示しない電源経路を通じて、各制御装置１１０〜１１４等に対して各々に必要な動作電圧
を供給する装置である。その概要としては、電源部２５１は、外部より供給される交流２
４ボルトの電圧を取り込み、各種スイッチ２０８などの各種スイッチや、ソレノイド２０
９などのソレノイド、モータ等を駆動するための１２ボルトの電圧、ロジック用の５ボル
トの電圧、ＲＡＭバックアップ用のバックアップ電圧などを生成し、これら１２ボルトの
電圧、５ボルトの電圧およびバックアップ電圧を各制御装置１１０〜１１４等に対して必
要な電圧を供給する。
【００９７】
停電監視回路２５２は、停電等の発生による電源遮断時に、主制御装置１１０のＭＰＵ
２０１および払出制御装置１１１のＭＰＵ２１１の各ＮＭＩ端子へ停電信号ＳＧ１を出力
するための回路である。停電監視回路２５２は、電源部２５１から出力される最大電圧で
ある直流安定２４ボルトの電圧を監視し、この電圧が２２ボルト未満になった場合に停電
（電源断、電源遮断）の発生と判断して、停電信号ＳＧ１を主制御装置１１０および払出
制御装置１１１へ出力する。停電信号ＳＧ１の出力によって、主制御装置１１０および払
出制御装置１１１は、停電の発生を認識し、ＮＭＩ割込処理を実行する。なお、電源部２
５１は、直流安定２４ボルトの電圧が２２ボルト未満になった後においても、ＮＭＩ割込
処理の実行に充分な時間の間、制御系の駆動電圧である５ボルトの電圧の出力を正常値に
維持するように構成されている。よって、主制御装置１１０および払出制御装置１１１は
、ＮＭＩ割込処理（図示せず）を正常に実行し完了することができる。
【００９８】
ＲＡＭ消去スイッチ回路２５３は、ＲＡＭ消去スイッチ１２２（図３参照）が押下され
た場合に、主制御装置１１０へ、バックアップデータをクリアさせるためのＲＡＭ消去信
号ＳＧ２を出力するための回路である。主制御装置１１０は、パチンコ機１０の電源投入
時に、ＲＡＭ消去信号ＳＧ２を入力した場合に、バックアップデータをクリアすると共に
、払出制御装置１１１においてバックアップデータをクリアさせるための払出初期化コマ
ンドを払出制御装置１１１に対して送信する。
【００９９】
次いで、図５から図１０を参照して、動作ユニット２００の概略構成について説明する
。図５は、パチンコ機１０の分解斜視正面図であり、図６は、動作ユニット２００及び遊
技盤１３の分解斜視正面図である。また、図７から図１０は、動作ユニット２００の正面
図である。
【０１００】
なお、図７では、上変位部材９４０が上方に退避されると共に、下変位部材４４０が下
方に退避された状態が、図８では、図７に示す状態から、上変位部材９４０が下方に回転
変位された状態が、図９では、図７に示す状態から、下変位部材４４０が後述する第１張
出位置に張り出された状態が、図１０では、下変位部材４４０が、最大の張り出し位置で
ある第２張出位置に変位された状態が、それぞれ図示される。
【０１０１】
図５及び図６に示すように、動作ユニット２００は、箱状に形成される背面ケース３０
０を備え、その背面ケース３００の内部空間に、上変位ユニット９００、下変位ユニット
４００、回転ユニット７００及び遊技盤１３の背面に取着される振分けユニット５あ００
と送球ユニット６００とが収容される。
【０１０２】
背面ケース３００は、正面視略矩形の底壁部３０１と、その底壁部３０１の４辺の外縁
から正面へ向けて立設される外壁部３０２とを備え、それら各壁部３０１，３０２により
一面側（正面側）が開放された箱状に形成される。底壁部３０１には、その中央に正面視
矩形の開口３０１ａが開口形成され、その開口３０１ａを通じて、底壁部３０１の背面に
配設される第３図柄表示装置８１（図２参照）が視認可能とされる。
【０１０３】
上変位ユニット９００は、背面ケース３００の底壁部３０１のうちの開口３０１ａの上
側部分に配設される正面視矩形横長のベース部材９１０と、そのベース部材９１０に摺動
可能に配設される上変位部材９４０とを備え、背面ケース３００の開口３０１ａ（即ち、
第３図柄表示装置８１）の正面側で、上変位部材９４０を摺動させつつ回転変位させる演
出を実行可能に形成される。なお、上変位ユニット９００の詳しい説明は後述する。
【０１０４】
下変位ユニット４００は、背面ケース３００の底壁部３０１のうちの開口３０１ａの下
側部分に配設される正面視矩形横長のベース部材４１０と、そのベース部材４１０に摺動
可能に配設される下変位部材４４０とを備え、背面ケースの開口３０１ａ（即ち、第３図
柄表示装置８１）の正面側で、下変位部材４４０を摺動させつつ回転変位させる演出を実
行可能に形成される。なお、下変位ユニット４００の詳しい説明は後述する。
【０１０５】
回転ユニット７００は、背面ケース３００の底壁部３０１のうちの開口３０１ａの下側
部分の正面視右側（矢印）に配設される正面視略矩形の背面ベース７２０と、その背面ベ
ース７２０の前方に配設される回転体８００とを備え、遊技盤１３の正面視右側下方に形
成される透明の板部を介して回転体８００を回転変位させる演出を遊技者に視認可能とさ
れる。なお、回転ユニット７００の詳細な説明については後述する。
【０１０６】
送球ユニット６００は、遊技盤１３の背面側に取着され、遊技盤１３の第３入賞口８２
から遊技盤１３の背面側に送球される遊技球を後述する振分けユニット５００の第１開口
５１１に送球する経路が形成される。
【０１０７】
振分けユニット５００は、遊技盤１３の背面側に取着される経路形成部材５１０と、経
路形成部材５１０との対向に所定の隙間を形成した状態で配設されるベース板５２０と、
そのベース板５２０に取着され経路形成部材５１０とベース板５２０との対向間を流下す
る遊技球を各送球経路（第２送球経路ＫＲ２又は第３送球経路ＫＲ３）に振り分ける振分
け部材５４０とを備える。この振分け部材５４０に振り分けられた遊技球が下変位ユニッ
ト４００に送球される。なお、振分けユニット５００の詳しい説明は後述する。
【０１０８】
＜第１の装飾体と第２の装飾体が前後方向に隣り合う位置に配置される＞
次いで、図１１から図１６を参照して、遊技盤１３に配設される一般入賞口ユニット１
５０について説明する。
【０１０９】
初めに、図１１及び図１２を参照して、一般入賞口ユニット１５０について説明する。
図１１は、遊技盤１３の分解斜視正面図であり、図１２（ａ）は、一般入賞口ユニット１
５０の正面図であり、図１２（ｂ）は、図１２（ａ）のＸＩＩｂ−ＸＩＩｂ線における一
般入賞口ユニット１５０の断面図である。
【０１１０】
図１１及び図１２に示すように、遊技盤１３は、正面視略矩形状の板部材から形成され
るベース板６０と、そのベース板６０に形成される開口部分に配設されるセンターフレー
ム８６及び一般入賞口ユニット１５０と、を備える。
【０１１１】
ベース板６０は、正面視において中央部分に開口される第１開口部６０ａと、レール部
材７６，７７により形成される遊技領域の重力方向下側に開口される第２開口部６０ｂと
、を備える。第１開口部６０ａには、センターフレーム８６が配設され、第２開口部６０
ｂには、一般入賞口ユニット１５０が配設される。また、ベース板６０には、正面側（矢
印Ｆ方向側）に装飾（模様や図柄等）が形成されたシールが貼付されて、遊技者にその装
飾を視認させることができる。なお、ベース板６０の正面側の装飾は、シールに限られる
ものではなく、ベース板６０の正面に装飾が印刷（塗装）されるものであっても良い。
【０１１２】
一般入賞口ユニット１５０は、遊技盤１３の遊技領域（ベース板６０の正面）に配設さ
れ、遊技領域を流下する遊技球の経路を変更可能とされる。また、一般入賞口ユニット１
５０は、内レール７６及び外レール７７により囲われて形成される遊技領域に対して、正
面視（矢印Ｂ方向視）における重力方向下側（矢印Ｄ方向側）の端部に沿う位置に配置さ
れる。なお、図１３〜図１６では、ベース板６０に配設されるシールが装飾部材６０ｃの
符号を付して図示される。また、本実施形態では、装飾部材６０ｃにキャラクター（人）
が描かれる。
【０１１３】
一般入賞口ユニット１５０は、正面視において三日月状に形成される本体部１５１と、
その本体部１５１の端部から正面側（矢印Ｆ方向側）に立設される第１立設部１５２と、
その第１立設部１５２の重力方向上側（矢印Ｕ方向側）の端部から遊技領域の中央側に向
かって延設される第２立設部１５３と、本体部１５１の背面側に配設される装飾部材１５
４と、本体部１５１の正面側に形成される複数（本実施形態では３個）の一般入賞口６３
と、を主に備える。
【０１１４】
本体部１５１は、ベース板６０の板厚方向に開口される第２開口部６０ｂの開口形状よ
りも若干大きい外形に設定され、第２開口部６０ｂの開口に覆設された状態でベース板６
０の正面側に配設される。また、第２開口部６０ｂにより、本体部１５１に配設される一
般入賞口６３に流入する遊技球を遊技盤１３（ベース板６０）の背面側に送球できる。さ
らに、本体部１５１は、正面視において内側部分から外側の端部に向かうほどベース板６
０側に傾斜する傾斜面１５１ａと、ベース板６０側（矢印Ｂ方向側）の背面に凹設される
凹部１５１ｂと、その凹部１５１ｂを除いた本体部１５１の背面を形成する背面部１５１
ｄと、を主に備えて形成される。
【０１１５】
傾斜面１５１ａは、ベース板６０の正面に対して略３０度ほど傾斜して形成される。こ
れにより、遊技盤１３の遊技領域を流下する遊技球を、傾斜面１５１ａに当接させて傾斜
面１５１ａの傾斜に沿って流下させて、本体部１５１の正面側に移動させることができる
。
【０１１６】
ここで、本体部１５１の端部に傾斜面１５１ａが形成されず、本体部１５１の側面が、
ベース板６０の正面に対して垂直に形成される場合には、遊技盤１３の遊技領域を流下す
る遊技球が、本体部１５１の側面に対して直交する方向から当接（衝突）して、その当接
した遊技球が流下方向と反対方向に跳ね返る恐れがある。
【０１１７】
これに対し、本実施形態では、傾斜面１５１ａにより、本体部１５１の側面に当接する
遊技球を本体部の正面側に移動させることができるので、遊技領域を流下する遊技球の流
下が一時的に停滞することを抑制できる。その結果、ベース板６０の正面側から一般入賞
口ユニット１５０の本体部１５１の正面に遊技球をスムーズに流下させることができる。
【０１１８】
背面部１５１ｄは、上述したように本体部１５１の背面であり、背面視における凹部１
５１ｂの周囲に一定の幅で形成される。また、背面部１５１ｄは、一般入賞口ユニット１
５０がベース板６０に配設された状態において、ベース板６０（装飾部材６０ｃ）の正面
に当接して配設される。
【０１１９】
凹部１５１ｂは、正面側（矢印Ｆ方向側）に向かって凹設される。また、凹部１５１ｂ
は、凹設方向の底面となる凹設底面１５１ｂ２と、その凹設底面１５１ｂ２の外縁から背
面側（矢印Ｂ方向側）に向かって立設される内側面１５１ｂ３と、を有する。
【０１２０】
凹設底面１５１ｂ２は、後述する装飾部材１５４の接着面であり、本体部１５１の正面
と平行な平面として形成される。これにより、本体部１５１を介して装飾部材１５４の装
飾を視認した場合に、装飾部材１５４の装飾を一様に視認させることができる。
【０１２１】
内側面１５１ｂ３は、正面視における前後方向（矢印Ｆ−Ｂ方向）に延設される。また
、内側面１５１ｂ３の正面視における形状は、後述する装飾部材１５４の外形と略同一に
形成される。これにより、凹部１５１ｂに装飾部材１５４を配設した場合に、装飾部材１
５４が凹部１５１ｂの外側に突出することを抑制できる。従って、一般入賞口ユニット１
５０が、ベース板６０に配設された際に、背面部１５１ｄとベース板６０との間に装飾部
材１５４が挟まることで本体部１５１の背面部１５１ｄとベース板６０との間に隙間が形
成されることを抑制できる。これにより、本体部１５１がベース板６０に対して、通常の
配設位置よりも正面側に張り出すことを抑制できる。その結果、ベース板６０の正面側か
ら一般入賞口ユニット１５０の本体部１５１の正面に遊技球をスムーズに流下させること
ができる。
【０１２２】
凹部１５１ｂは、その凹設空間に後述する装飾部材１５４を収容する凹みであり、凹設
深さ（正面側（矢印Ｆ方向側）への凹設距離）が、装飾部材１５４の厚み寸法よりも大き
く設定される。また、凹部１５１ｂは、正面視における本体部１５１の端部から本体部１
５１の内側に一定の距離を隔てた位置で本体部１５１の端部の形状に沿って凹設される。
【０１２３】
よって、凹部１５１ｂの内側に装飾部材１５４を配設した場合に、装飾部材１５４の背
面が、本体部１５１よりも背面側に張り出すことを抑制できる。従って、一般入賞口ユニ
ット１５０がベース板６０に配設された際に、凹設底面１５１ｂ２とベース板６０との間
に装飾部材１５４が挟まることで本体部１５１の背面部１５１ｄとベース板６０との間に
隙間が形成されることを抑制できる。これにより、本体部１５１がベース板６０に対して
通常の配設位置よりも正面側に張り出すことを抑制できる。その結果、本体部１５１の重
力方向上方（矢印Ｕ方向）から一般入賞口ユニット１５０の本体部１５１の正面に遊技球
をスムーズに流下させることができる。
【０１２４】
第１立設部１５２は、遊技領域の端部側（内レール７６側）における本体部１５１の端
部から正面側（矢印Ｆ方向側）に立設される。第１立設部１５２は、その立設寸法がベー
ス板６０（装飾部材６０ｃ）の正面に植立される内レール７６の植立方向の幅寸法と略同
一に設定される。また、第１立設部１５２は、遊技盤１３の正面側を覆う前扉５のガラス
ユニット１６との対向間の間隔が遊技球の直径よりも小さく設定される。これにより、本
体部１５１の正面側を流下する遊技球を、遊技領域の重力方向下側の端部で第１立設部１
５２に衝突させることができる。その結果、本体部１５１の正面側を流下する遊技球が内
レール７６に衝突することを抑制でき、内レール７６が遊技球と衝突して曲げられること
を抑制できる。
【０１２５】
ここで、内レール７６と外レール７７との対向間は、球発射ユニット１１２ａ（図４参
照）から発射された遊技球を遊技盤１３の上部へ案内するための空間であり、内レール７
６と外レール７７との対向間に補強等を配設するスペースが限られる。そのため、内レー
ル７６が曲がることを防止する目的で補強を配設することが困難であり、遊技領域を流下
する遊技球が内レール７６に衝突して、内レール７６が曲がる恐れがあった。
【０１２６】
これに対して、本実施形態では、遊技領域内に配設される一般入賞口ユニット１５０（
第１立設部１５２）により遊技領域を流下する遊技球が内レール７６に衝突しにくくする
ことができる。従って、内レール７６が曲ることで、内レール７６及び外レール７７の対
向間の距離が変更されることを抑制できる。その結果、遊技球を安定して遊技領域に打ち
出すことができる。
【０１２７】
第２立設部１５３は、正面視において第１立設部１５２の重力方向上側（矢印Ｕ方向側
）の端部から遊技領域の中央（第１入賞口６４）に向かって下降傾斜して延設される（図
２参照）。これにより、内レール７６とセンターフレーム８３との対向間（図２参照）を
流下する遊技球が、第２立設部１５３の下降傾斜する延設部分の上面（矢印Ｕ方向側の面
）に送球されると、その遊技球を第２立設部１５３の下降傾斜に沿って転動させて、遊技
領域の中央に向けて送球することができる。これにより、内レール７６と外レール７７と
の対向間側（矢印Ｌ方向側）の遊技領域を流下する遊技球を、遊技領域の中央に配設され
る第１入賞口６４に入賞（流入）させやすくできる。
【０１２８】
装飾部材１５４は、板状に形成されると共に、本体部１５１の背面側に接着される。ま
た、装飾部材１５４は、本体部１５１側の正面にベース板６０の装飾部材６０ｃに形成さ
れる装飾と正面視において連なる装飾が形成される。これにより、ベース板６０に形成さ
れる装飾を装飾部材１５４の装飾と合わせて１の装飾に視認させることができる。なお、
本実施形態では、装飾部材１５４にキャラクター（人）の一部が描かれており、装飾部材
６０ｃのキャラクターと装飾部材１５４のキャラクターとを合わせて１人のキャラクター
として視認させることができる。
【０１２９】
また、装飾部材１５４は、光透過性材料から形成される。これにより、ベース板６０の
背面側（矢印Ｂ方向側）から第２開口部６０ｂを通した光を装飾部材１５４の背面から入
射させて、装飾部材１５４の正面側（矢印Ｆ方向側）から出射させることができる。よっ
て、装飾部材１５４の正面に形成される装飾を明るくして、遊技者に視認させることがで
き、遊技者に装飾部材１５４の装飾を視認させやすくできる。
【０１３０】
次いで、図１３を参照して、ベース板６０と一般入賞口ユニット１５０とについて説明
する。図１３は、図２のＸＩＩＩ−ＸＩＩＩ線における遊技盤１３の断面図である。
【０１３１】
図１３に示すように、装飾部材１５４は、ベース板６０の第２開口部６０ｂの正面視に
おける開口形状よりも外形が大きく形成される。これにより、一般入賞口ユニット１５０
がベース板６０に配設されると、装飾部材１５４の端部は、本体部１５１の凹部１５１ｂ
の凹設底面１５１ｂ２とベース板６０（装飾部材６０ｃ）との間に配置される。よって、
本体部１５１と装飾部材１５４との接着が経年劣化等により剥がれた場合に、装飾部材１
５４が遊技盤１３から脱落することを抑制できる。
【０１３２】
また、装飾部材１５４は、ベース板６０と前後方向（矢印Ｆ−Ｂ方向）において重なる
幅寸法が、後述する本体部１５１の背面から突設される突起１５５が挿入されるベース板
６０の円形状の開口６０ｇ（図１１参照）の直径よりも大きく設定される。これにより、
装飾部材１５４の本体部１５１に対する配置の位置ずれ、又は、装飾部材６０ｃを形成し
た位置のずれにより、正面視における装飾部材１５４及び装飾部材６０ｃの装飾の間に隙
間が形成されることを抑制できる。その結果、ベース板６０の装飾部材６０ｃと装飾部材
１５４の装飾とを１の装飾として遊技者に認識させやすくできる。
【０１３３】
また、本体部１５１に配設される３個の一般入賞口６３は、遊技盤１３の背面側に配設
される振り分けユニット５００（図７１参照）の開口５１４〜５１６に接続されており、
一般入賞口６３に入賞した遊技球は、振り分けユニット５００の第４送球経路ＫＲ４に送
球される。なお、振り分けユニット５００についての詳しい説明は後述する。
【０１３４】
さらに、振り分けユニット５００には、正面側に光を照射可能な光源を備える基板（図
示しない）がベース板５２０（図７１参照）に配設されており、その基板から照射される
光がベース板６０の第２開口部６０ｂを挿通して一般入賞口ユニット１５０の背面に照射
される。
【０１３５】
よって、第２開口部６０ｂは、一般入賞口ユニット１５０の一般入賞口６３から入賞す
る遊技球の経路および一般入賞口ユニット１５０の背面に光を照射する空間として利用さ
れる。これにより、遊技球を送球するための開口と、光を通過させるための開口と、２箇
所の開口を分けて形成する必要がなくなるので、一般入賞口ユニット１５０の背面の全域
に光を照射しやすくすることができると共に、一般入賞口ユニット１５０の本体部１５１
の全域に一般入賞口６３を配置することができる。その結果、一般入賞口ユニット１５０
の設計の自由度を向上することができると共に、一般入賞口ユニット１５０の全域から光
を出射して一般入賞口ユニット１５０の装飾（装飾部材１５４）を遊技者に視認させやす
くできる。
【０１３６】
また、本実施形態によれば、図１３に示すように、遊技盤１３のベース板６０の装飾部
材６０ｃと連なる装飾の装飾部材１５４は、ベース板６０の正面に沿って配設される本体
部１５１の背面に配置されるので、ベース板６０の装飾部材６０ｃと装飾部材１５４の装
飾とを前後方向（矢印Ｆ−Ｂ方向）に隣合う（近づいた）位置に配置することができる。
これにより、装飾部材６０ｃ及び装飾部材１５４の正面視に対して傾斜した角度（例えば
、パチンコ機１０（図１参照）の重力方向上側端部と同じ高さの視点）から装飾部材６０
ｃ及び装飾部材１５４を視認した際に、一般入賞口ユニットの装飾が一般入賞口ユニット
の正面に配設される場合に比べて、装飾部材６０ｃ及び装飾部材１５４の装飾がずれて視
認されることを抑制できる。その結果、ベース板６０の装飾部材６０ｃと装飾部材１５４
の装飾との連結部分を遊技者の視点に関わらず同様の位置関係で遊技者に視認させること
ができ、遊技盤１３の意匠性を向上できる。
【０１３７】
次いで、図１４を参照して、装飾部材１５４及びベース板６０の装飾部材６０ｃの連結
について詳しく説明する。図１４は、図１３の範囲ＸＩＶにおける遊技盤１３の部分拡大
断面図である。なお、図１４では、遊技者に視認される光の経路が２点鎖線で図示される
。
【０１３８】
上述したように、ベース板６０の装飾部材６０ｃと装飾部材１５４の装飾とは、合わせ
て１の装飾として遊技者に視認される。従って、ベース板６０の装飾部材６０ｃと装飾部
材１５４の装飾とを１の装飾（模様）として遊技者に視認させるために、両者の装飾の位
置ずれを抑える必要がある。しかしながら、ベース板６０に装飾を形成する際、又は、本
体部１５１に装飾部材１５４を配設する際に、その装飾を正確な位置（毎回同じ位置）に
配置することが困難である。従って、ベース板６０に一般入賞口ユニット１５０を配設し
た場合に、ベース板６０の装飾部材６０ｃに対する装飾部材１５４の装飾の位置がずれて
配設されることで、装飾部材６０ｃと装飾部材１５４との装飾を合わせて１の装飾として
遊技者に視認させにくくなるという問題点があった。
【０１３９】
これに対して、本実施形態によれば、装飾部材１５４は、その端部が傾斜面１５１ａの
背面側に配置される。これにより、装飾部材１５４の装飾とベース板６０の装飾部材６０
ｃの装飾との連結部分が、遊技者から正確に認識されにくくする（連結部分をぼやかして
遊技者に視認させる）ことができる。よって、装飾部材６０ｃと装飾部材１５４とを１の
装飾として遊技者に認識させることができる。
【０１４０】
詳しく説明すると、図１４に示すように、装飾部材１５４の装飾と装飾部材６０ｃの装
飾との連結部（以下、「境界Ｐ１」（図１４参照）と称す）は、本体部１５１の傾斜面１
５１ａの背面側に位置される。よって、境界Ｐ１から遊技者の視点に向かって出射される
光と、本体部１５１の正面と傾斜面１５１ａとの連結部（以下、「境界Ｐ２」（図１４参
照）と称す）から遊技者の視点に向かって出射される光とを、装飾部材６０ｃ又は装飾部
材１５４の異なる位置で反射した光にすることができる（即ち、境界Ｐ１から遊技者の視
点に向かって出射される光の経路上に、境界Ｐ２が形成されることを抑制できる）。
【０１４１】
従って、境界Ｐ１では、装飾部材１５４に対する装飾部材６０ｃの配置のずれが装飾の
位置ずれとして遊技者に認識されやすく、又、境界Ｐ２では、光の屈折方向の違いによる
装飾の位置ずれが遊技者に認識されやすいところ、境界Ｐ１及び境界Ｐ２のそれぞれの位
置から遊技者が視認する装飾を異なる位置の装飾にすることができるので、境界Ｐ１及び
境界Ｐ２における装飾の位置ずれが、同一の位置で遊技者に視認されることを抑制できる
。従って、境界Ｐ１における装飾の位置ずれと、境界Ｐ２における装飾の位置ずれとが合
わさり、装飾の位置ずれ量が大きくなって遊技者に認識されることを抑制できる。その結
果、装飾部材６０ｃと装飾部材１５４との装飾を遊技者に１の装飾として認識させやすく
でき、遊技盤１３の意匠性を向上できる。
【０１４２】
さらに、境界Ｐ１を傾斜面１５１ａの背面側に配置することで、遊技者の視点において
、装飾部材６０ｃ及び本体部１５１の連結部（以下、「境界Ｐ３」（図１４参照）と称す
）と、境界Ｐ２との間に境界Ｐ１を配置することができる。よって、本体部１５１から光
が出射する際に光が屈折することによる装飾の位置ずれ位置（境界Ｐ２，Ｐ３）の間に、
境界Ｐ１を配置することができる。従って、装飾の位置がずれて認識される領域が間延び
することを抑制できる。即ち、装飾の位置がずれて視認される領域を遊技盤１３の正面に
対して限定的にすることができる。その結果、装飾の位置ずれ領域を遊技盤１３の遊技領
域に対して、少なくすることができるので、装飾部材６０ｃ及び装飾部材１５４の装飾を
遊技者に１の装飾として認識させやすくできる。
【０１４３】
なお、本実施例では、ベース板６０の装飾部材６０ｃにキャラクターの顔が装飾され、
一般入賞口ユニット１５０の装飾部材１５４に装飾部材６０ｃに装飾されたキャラクター
の体が装飾される。即ち、装飾部材６０ｃと装飾部材１５４との装飾の連結部分には、そ
の装飾の輪郭が位置される。よって、装飾部材６０ｃと装飾部材１５４との連結部分の位
置ずれを装飾の輪郭線であると遊技者に認識させることができる。その結果、装飾部材６
０ｃ及び装飾部材１５４の装飾を遊技者に１の装飾として認識させやすくできる。
【０１４４】
さらに、本実施例では、ベース板６０の装飾部材６０ｃにキャラクターの顔の首元まで
が装飾され、一般入賞口ユニット１５０の装飾部材１５４に装飾部材１５４に装飾部材６
０ｃに装飾されたキャラクターの体が着用する服が装飾され、キャラクターの顔（首）と
服との色合いが異なるもの（本実施例では、顔が肌色で服が黒色）で装飾される。これに
より、装飾部材６０ｃと装飾部材１５４との連結部分の位置ずれを色合いの異なる部分と
することで、装飾部材６０ｃと装飾部材１５４とが分割されていることを遊技者に認識さ
せにくくすることができる。その結果、装飾部材６０ｃ及び装飾部材１５４の装飾を遊技
者に１の装飾として認識させやすくできる。
【０１４５】
本体部１５１には、上述したように背面側に凹部１５１ｂが凹設され、その内側に装飾
部材１５４が配設される。また、凹部１５１ｂの内側の側面（内側面１５１ｂ３）の形状
は、正面視における装飾部材１５４の外形と略同一に設定される。これにより、装飾部材
１５４を本体部１５１に配設する際には、凹部１５１ｂの内側面１５１ｂ３をガイド（位
置決め）として利用することができる。その結果、装飾部材１５４を本体部１５１に貼付
する際に、装飾部材１５４の配置が本体部１５１に対して位置ずれすることを抑制できる
。
【０１４６】
さらに、本体部１５１の背面側には円柱状に突出する突起１５５（図１５参照）が複数
個所（本実施形態では、３箇所（図１５参照））に形成される。突起１５５は、一般入賞
口ユニット１５０をベース板６０に配設する場合にベース板６０との位置決めをする位置
決め突起であり、ベース板６０に凹設される凹部６０ｄに挿入される。また、突起１５５
は、少なくとも１箇所（本実施形態では１箇所）が、凹部１５１ｂの凹設底面１５１ｂ２
から突設され、装飾部材１５４に形成される開口に挿入される。従って、突起１５５を本
体部１５１に装飾部材１５４を配設する場合の位置決めとして利用することができる。
【０１４７】
よって、突起１５５により、一般入賞口ユニット１５０をベース板６０に配設する際の
位置決めをすることができると共に、装飾部材１５４を本体部１５１に配設する際の位置
決めをすることができる。従って、装飾部材６０ｃの正面側に装飾部材１５４を配置する
際の位置決めとなる部分を同一の部分とすることができるので、装飾部材６０ｃの装飾と
装飾部材１５４の装飾とが位置ずれすることを抑制できる。その結果、装飾部材６０ｃの
装飾と装飾部材１５４の装飾とを合わせて１の装飾として遊技者に認識させやすくできる
。
【０１４８】
さらに、凹設底面１５１ｂ２から突設される突起１５５は、後述する範囲Ｅ１（図１５
参照）の領域（接着テープ１５４ａの貼付領域）に形成される。これにより、本体部１５
１に装飾部材１５４を配設する際に、装飾部材１５４の開口に突起１５５を挿入した状態
で、装飾部材１５４の縁部の一箇所を凹部１５１ｂの内側面１５１ｂ３に位置を合わせて
配設することで、本体部１５１に対して装飾部材１５４の２箇所を位置決めすることがで
きる。従って、装飾部材１５４の縁部を凹部１５１ｂの内側面１５１ｂ３の２箇所で位置
をあわせて、装飾部材１５４を本体部１５１に配設する必要がなくなる。その結果、装飾
部材１５４の本体部１５１への配設作業を簡易にできる。
【０１４９】
次いで、図１５及び図１６を参照して、本体部１５１と装飾部材１５４との接着につい
て説明する。図１５は、一般入賞口ユニット１５０の背面図であり、図１６は、図１３の
範囲ＸＩＶにおける遊技盤１３の部分拡大断面図である。なお、図１５では、装飾部材１
５４に貼付される接着テープ１５４ａの範囲が、Ｅ１の符号を付して２点鎖線で図示され
る。また、図１４では、遊技者に視認される光の経路が２点鎖線で図示される。なお、本
実施形態では、接着テープ１５４ａが、光透過性の両面のテープから形成されて、範囲Ｅ
１に貼付される。
【０１５０】
図１５及び図１６に示すように、装飾部材１５４と本体部１５１とを接着する接着テー
プ１５４ａは、装飾部材１５４の端部に沿って一定の幅で貼付される。これにより、接着
テープ１５４ａが貼付されていない領域（範囲Ｅ１以外の部分）では、接着テープ１５４
ａの厚みの分、本体部１５１（凹設底面１５１ｂ２）と装飾部材１５４（装飾部材の正面
）との間に所定の幅の隙間（空間）が形成される。
【０１５１】
また、接着テープ１５４ａは、装飾部材１５４の端部から境界Ｐ３を通過して傾斜面１
５１ａと直交する仮想線ＰＫ１（図１４参照）を超える領域に接着される。これにより、
本体部１５１を通過して傾斜面１５１ａから出射される光が、装飾部材１５４の装飾の影
響を受ける部分（波長が変化される部分）を接着テープ１５４ａを貼付した範囲Ｅ１（装
飾部材１５４の端部）とすることができる。その結果、遊技者が所定以上の角度から一般
入賞口ユニット１５０を視認した場合にも、装飾部材６０ｃと装飾部材１５４の装飾とを
１の装飾として遊技者に視認させやすくすることができる。
【０１５２】
ここで、遊技者が、通常よりも高い位置（例えば、パチンコ機１０（図１参照）の重力
方向上側端部と同じ高さの視点）から遊技盤１３を視認する場合には、図１６に示すよう
に、傾斜面１５１ａから遊技者の目線に向かって抜け出る光Ｌが、本体部１５１の正面お
よび背面を繰り返し反射して、本体部１５１の内部を通過する。この場合、装飾部材１５
４の正面の全域が接着テープ１５４ａを介して本体部１５１と当接するものであると、装
飾部材１５４側で反射される度に装飾部材１５４の装飾により光の波長が変更される。従
って、本体部１５１の内部を通過して傾斜面１５１ａから出射される光は、装飾部材１５
４の端部の装飾による波長の変化のみで反射することができない。よって、傾斜面１５１
ａから遊技者に認識される装飾が本体部１５１の正面から遊技者に視認される装飾の波長
と異なるために、本体部１５１と傾斜面１５１ａとで、装飾が連ならなくなるという問題
点があった。
【０１５３】
これに対し、本実施形態では、装飾部材１５４の本体部１５１への接着部分を範囲Ｅ１
のみとすることで、本体部１５１の内部を反射して通過する光Ｌが、装飾部材１５４の装
飾の影響を受けないよう（光の波長が変更されないよう）にすることができる。その結果
、図１６に示すように、本体部１５１を通過して傾斜面１５１ａから出射される光が、装
飾部材１５４の装飾の影響を受ける部分（波長が変化される部分）を接着テープ１５４ａ
を貼付した範囲Ｅ１（装飾部材１５４の端部）とすることができ、遊技者に視認される傾
斜面１５１ａの装飾と隣合う装飾と連なるものとして遊技者に視認させやすくできる。そ
の結果、遊技盤１３の意匠性を向上できる。
【０１５４】
次いで、図１７から図３６を参照して、特別入賞装置５５０について説明する。初めに
、図１７を参照して、特別入賞装置５５０の配設方法について説明する。図１７は、セン
ターフレーム８６の分解斜視正面図である。
【０１５５】
図１７に示すように、センターフレーム８６は、ベース板６０の中央の開口を取り囲む
略円形の枠状に形成されるベース枠８６ａと、そのベース枠８６ａの径方向外側に突出さ
れる突設部８６ｂと、を備えて構成される。
【０１５６】
ベース枠８６ａは、ベース板６０の中央の開口に沿う形状とされ、その中央の開口の内
側にベース枠８６ａの一部が挿入されると共に、ベース枠８６ａの一部を除く部分がベー
ス板６０の正面側に張り出した状態でベース板６０に配設される。
【０１５７】
突設部８６ｂは、遊技盤１３の遊技領域に対して、正面視右側（矢印Ｒ方向側）に突設
される。これにより、突設部８６ｂに配設される特別入賞装置５５０を遊技領域に対して
正面視右側（矢印Ｒ方向側）に配設することができ、特別遊技状態となった際の右打ち時
の遊技球の送球経路の一部を特別入賞装置５５０により構成することができる。
【０１５８】
また、突設部８６ｂは、前後方向（矢印Ｆ−Ｂ方向）に開口する開口部８６ｂ１と、そ
の開口部８６ｂ１の上方（矢印Ｕ方向）に位置し背面側（矢印Ｂ方向側）に向かって凹設
される凹部８６ｂ２と、を主に備える。
【０１５９】
開口部８６ｂ１は、後述する特別入賞装置５５０の第１ユニット５５１の一部が挿入さ
れる。これにより、第１ユニット５５１を、突設部８６ｂの背面側に配設される特別入賞
装置５５０の第２ユニット５５２と開口部８６ｂ１を介して連結することができる。
【０１６０】
凹部８６ｂ２は、後述する特別入賞装置５５０の第１ユニット５５１の一部を内側に収
容可能とされる。また、凹部８６ｂ２には、遊技球の通過を検知可能な検出装置８６ｂ３
が配設される。これにより、第１ユニット５５１の凹部８６ｂ２の内側に収容される部分
を通過する遊技球を検出することができる。
【０１６１】
特別入賞装置５５０は、センターフレーム８６の突設部８６ｂの正面側（矢印Ｆ方向側
）に配設される第１ユニット５５１と、突設部８６ｂの背面側（矢印Ｂ方向側）に配設さ
れる第２ユニット５５２と、を主に備えて構成される。
【０１６２】
第１ユニット５５１は、その内部を遊技球が流下可能な空間（経路）を備え、一部が遊
技盤１３の遊技領域に配設される。また、第１ユニット５５１は、第２ユニット５５２を
挿通されたネジによりセンターフレーム８６に配設される。なお、第１ユニット５５１及
び第２ユニット５５２の配設方法についての詳しい説明は後述する。
【０１６３】
次いで、図１８から図２０を参照して、特別入賞装置５５０の第１ユニット５５１の構
成について説明する。図１８（ａ）は、第１ユニット５５１の正面図であり、図１８（ｂ
）は、第１ユニット５５１の側面図であり、図１８（ｃ）は、第１ユニット５５１の背面
図である。図１９は、第１ユニット５５１の分解斜視正面図であり、図２０は、第１ユニ
ット５５１の分解斜視背面図である。
【０１６４】
図１８から図２０に示すように、第１ユニット５５１は、正面側に配設される第１経路
部材５６０と、その第１経路部材５６０の背面側に配設される第２経路部材５７０と、そ
の第２経路部材５７０の背面に配設される第３経路部材５８０と、を主に備えて形成され
る。
【０１６５】
第１経路部材５６０は、遊技盤１３の遊技領域の正面に沿った板状に形成される正面板
５６４と、上方側（矢印Ｕ方向側）が開放する断面略Ｕ字状に形成され、正面板５６４の
上方側端部から背面側に突設される第１受入部５６１、第２受入部５６２及び第３受入部
５６３と、その第１受入部５６１、第２受入部５６２及び第３受入部５６３の下側（矢印
Ｄ方向側）に連なって形成されると共に、正面板５６４の一部の端部に沿って延設される
第１壁部５６５と、その第１壁部５６５の下方に形成され、所定の間隔を隔てた２箇所か
ら突設される２組の第２壁部５６６及び第３壁部５６７と、を主に備える。
【０１６６】
正面板５６４は、後述する第２経路部材５７０又は第３経路部材５８０との対向間に形
成される遊技球の流下経路の正面側の壁部となる板部材であり、光透過部材から形成され
る。これにより、遊技者は、第１ユニット５５１の内部を流下する遊技球を正面板５６４
を介して（通して）視認することができる。
【０１６７】
また、正面板５６４は、第２経路部材５７０側（背面側（矢印Ｂ方向側）に突設される
案内部５６４ａを備える。
【０１６８】
案内部５６４ａは、第１ユニット５５１の内側を流下する遊技球により、正面板５６４
の壁面の全域が汚れることを抑制する壁部であり、後述する第２経路部材５７０又は第３
経路部材５８０との対向間を流下する遊技球の流下経路に沿って延設される。また、案内
部５６４ａは、第１ユニット５５１を流下する遊技球の転動面から遊技球の半径分離れた
位置に突設される。言い換えると、案内部５６４ａは、第１経路部材５６０を流下する遊
技球の中心位置と、略同一の位置に突設される。これにより、正面板５６４と遊技球とが
当接する部分を案内部５６４ａの突設先端部に限定することができる。従って、正面板５
６４の全域に遊技球と当接することにより傷が生じることや遊技球に付着した汚れが移着
することを抑制できる。その結果、正面板５６４を介して第１経路部材５６０の内部を流
下する遊技球を遊技者に視認させやすくできる。
【０１６９】
第１受入部５６１、第２受入部５６２及び第３受入部５６３は、第１ユニット５５１の
上方（矢印Ｕ方向）の遊技領域から流下する遊技球を第１ユニット５５１の内部に受け入
れる部分であり、上方側の開口が遊技球の直径よりも大きい寸法に設定される。また、第
１受入部５６１、第２受入部５６２及び第３受入部５６３は、正面板５６４の上方側（矢
印Ｕ方向側）の端部に左右方向（矢印Ｌ−Ｒ方向）に並設される。
【０１７０】
第１受入部５６１は、第２受入部５６２及び第３受入部５６３よりも遊技球の受け入れ
幅（左右方向（矢印Ｌ−Ｒ方向）の幅寸法）が大きく設定される。これにより、特別入賞
装置５５０に流入する遊技球は、第２受入部５６２又は第３受入部５６３よりも第１受入
部５６１に流入しやすくされる。
【０１７１】
また、第１受入部５６１は、第１ユニット５５１の内側に形成される流下経路に連通さ
れる。これにより、第１受入部５６１に受け入れられた遊技球は、第１ユニット５５１の
内側を流下される。なお、第１ユニット５５１の遊技球の流下経路については後述する。
【０１７２】
第２受入部５６２及び第３受入部５６３は、後述する第２ユニット５５２の内側に形成
される流下経路に連通される。これにより、第２受入部５６２及び第３受入部５６３に受
け入れられた遊技球が第２ユニット５５２の内側を流下される。なお、第２ユニット５５
２の流下経路については後述する。
【０１７３】
第１壁部５６５は、後述する第２経路部材５７０に形成される第４壁部５７３との対向
間に遊技球を送球する空間を形成する内壁である。第１壁部５６５は、一端が上述した第
１受入部５６１の下方側に連結され、他端側が第２受入部５６２及び第３受入部５６３の
下側に亘って左右方向（矢印Ｌ−Ｒ方向）に延設される上方側壁部５６５ａと、背面視略
Ｃ字状に湾曲して形成され上方側壁部５６５ａに連結する湾曲壁部５６５ｂと、から主に
構成される。
【０１７４】
上方側壁部５６５ａは、後述する第４壁部５７３の上面（矢印Ｕ方向側の面）を遊技球
が転動する際に、その転動面の上方を覆う内壁であり、第４壁部５７３の上面と直交する
方向に遊技球の直径よりも上方側（矢印Ｕ方向側）に離間する位置に形成される。
【０１７５】
湾曲壁部５６５ｂは、後述する第４壁部５７３の上面を転動する遊技球の転動方向を変
更する内壁であり、第４壁部５７３の転動側端部と対向する位置に形成される。また、湾
曲壁部５６５ｂは、第４壁部５７３の転動側端部を中心とする半円弧状に形成される。こ
れにより、第４壁部５７３の上面を転動する遊技球を、湾曲壁部５６５ｂの内壁に沿って
流下させることで、第４壁部５７３の下面側に案内することができると共に、その転動方
向を第４壁部５７３の上面の転動方向と反対にすることができる。
【０１７６】
第２壁部５６６は、第１ユニット５５１の内部を流下する遊技球の主の流下経路から分
岐する経路の空間を形成する内壁であり、正面板５６４の背面から突設される一対の壁部
の対向間が、遊技球の直径よりも若干大きい寸法に設定される。これにより、第１ユニッ
ト５５１を流下する経路を増やすことができる。
【０１７７】
第３壁部５６７は、第１ユニット５５１の内部を流下する遊技球の主の送球経路（主経
路ＳＫ３）から分岐する経路の内面を形成する壁部であり、正面板５６４の背面から突設
される一対の壁部の対向間が、遊技球の直径よりも若干大きい寸法に設定される。これに
より、第１ユニット５５１を流下する遊技球の経路を増やすことができる。
【０１７８】
また、第２壁部５６６と第３壁部５６７とは、それぞれ下流側の端部が第１ユニット５
５１の左右方向（矢印Ｌ−Ｒ方向）の反対側に配置される。これにより、後述する分岐通
路から第１ユニット５５１の左右方向の両側に遊技球を送球することができる。
【０１７９】
第２経路部材５７０は、第１経路部材５６０の正面板５６４と対向する板状のベース板
５７１と、そのベース板５７１の正面から第１経路部材５６０側に突設される第４壁部５
７３と、その第４壁部５７３から下方側に所定の距離離間する位置に突設される第５壁部
５７４と、その第５壁部５７４から下方側に所定の距離離間する位置に突設される第６壁
部５７５と、を主に備えて形成される。
【０１８０】
ベース板５７１は、第１経路部材５６０の正面板５６４と遊技球の直径よりも若干大き
い距離を隔てる位置に配設される。これにより、正面板５６４とベース板５７１との間に
遊技球を流下させることができる。また、ベース板５７１は、第１受入部５６１、第２受
入部５６２及び第３受入部５６３のそれぞれに対応する位置に開口する第１開口部５７１
ａ、第２開口部５７１ｂ及び第３開口部５７１ｃと、第１開口部５７１ａの下方に開口す
る第４開口部５７１ｄと、第５壁部５７４及び第６壁部５７５のそれぞれの上方に開口す
る第５開口部５７１ｅ及び第６開口部５７１ｆと、第５壁部５７４および第６壁部５７５
の間に位置し背面側に凹設される凹設部５７１ｇと、を備える。
【０１８１】
第１開口部５７１ａ、第２開口部５７１ｂ及び第３開口部５７１ｃは、上述した第１経
路部材５６０の第１受入部５６１、第２受入部５６２及び第３受入部５６３に流入する遊
技球をベース板５７１の背面側に通過させる開口である。
【０１８２】
また、ベース板５７１は、第１開口部５７１ａ、第２開口部５７１ｂ及び第３開口部５
７１ｃの下側端部から背面側に突出する第１転動部５７６、第２転動部５７７及び第３転
動部５７８を備える。これにより、第１開口部５７１ａを通過する遊技球は、後述する第
３経路部材５８０に、第２開口部５７１ｂ又は第３開口部５７１ｃを通過する遊技球は、
後述する第２ユニット５５２に、それぞれ送球される。
【０１８３】
第１開口部５７１ａ及び第４開口部５７１ｄは、背面側に後述する第３経路部材５８０
の一部が覆設される。これにより、第１開口部５７１ａを通過する遊技球は、第４開口部
５７１ｄからベース板５７１の正面側（矢印Ｆ方向側）に送球される。
【０１８４】
第４壁部５７３は、第４開口部５７１ｄの下側端部に沿ってベース板５７１から突設さ
れると共に、左右方向（矢印Ｌ−Ｒ方向）に延設される。また、第４壁部５７３は、ベー
ス板５７１の正面視左側に開口される第４開口部５７１ｄ側から正面視右側（矢印Ｒ方向
側）に向かう程、上面が下方に傾斜して形成される。これにより、第４開口部５７１ｄを
通過してベース板５７１の正面側に送球される遊技球を、第４壁部５７３の上面に乗せる
と共に、第４壁部５７３の上面の傾斜によりベース板５７１の右側（矢印Ｒ方向側）に送
球できる。
【０１８５】
第５壁部５７４は、上述した第１壁部５６５の湾曲壁部５６５ｂから送球される遊技球
の転動面となる部分であり、第４壁部５７３の下面と直交する方向に遊技球の直径よりも
下方側に離間する位置に突設されると共に、ベース板５７１の左右方向（矢印Ｌ−Ｒ方向
）に延設される。また、第５壁部は、湾曲壁部５６５ｂ側（矢印Ｒ方向側）から後述する
凹設部５７４ｇ側（矢印Ｌ方向側）に向かう程、上面（矢印Ｕ方向側の面）が下方に傾斜
して形成される。これにより、湾曲壁部５６５ｂから第５壁部５７４の上面に送球される
遊技球を、凹設部５７４ｇ側に転動させることができる。さらに、第５壁部５７４は、遊
技球の転動面に下方側に向かって凹む第１受入凹部５７４ａ及び第２受入凹部５７４ｂを
備える。
【０１８６】
第１受入凹部５７４ａ及び第２受入凹部５７４ｂは、第５壁部５７４の延設方向に並設
される。また、第１受入凹部５７４ａ及び第２受入凹部５７４ｂは、凹設幅および凹設深
さが、遊技球の直径よりも大きい寸法に設定される。さらに、第１受入凹部５７４ａ及び
第２受入凹部５７４ｂの内側には、ベース板５７１に開口する第５開口部５７１ｅが形成
される。これにより、第１受入凹部５７４ａ又は第２受入凹部５７４ｂに流入する遊技球
は、第５開口部５７１ｅを通過してベース板５７１の背面側に送球される。
【０１８７】
凹設部５７４ｇは、第５壁部５７４の下流側端部（矢印Ｌ方向側の端部）の上方に形成
されており、第５壁部５７４の上面を転動する遊技球を凹設部５７４ｇの内側に流入させ
ると共に凹設部５７４ｇの下方（矢印Ｄ方向）に形成される第６壁部５７５の上部に送球
することができる。
【０１８８】
第６壁部５７５は、第５壁部５７４を転動して凹設部５７４ｇに送球される遊技球の転
動面となる部分であり、第５壁部５７４の下面から下方側に遊技球の直径よりも離間する
位置でベース板５７１から突設され、ベース板５７１の左右方向（矢印Ｌ−Ｒ）方向に延
設される。また、第６壁部５７５は、凹設部５７４ｇ側（矢印Ｌ方向側）から上述した第
３壁部５６７側に向かって上面が下方に傾斜して形成される。これにより、凹設部５７４
ｇから第６壁部５７５の上面に送球される遊技球を、第３壁部５６７により形成される送
球経路側に転動させることができる。また、第６壁部５７５は、遊技球の転動面に下方側
に向かって凹む第３受入凹部５７５ａ及び第４受入凹部５７５ｂを備える。
【０１８９】
第３受入凹部５７５ａ及び第４受入凹部５７５ｂは、第６壁部５７５の延設方向に並設
される。また、第３受入凹部５７５ａ及び第４受入凹部５７５ｂは、凹設幅および凹設深
さが、遊技球の直径よりも大きい寸法に設定される。さらに、第３受入凹部５７５ａ及び
第４受入凹部５７５ｂの内側には、ベース板５７１に開口する第６開口部５７１ｆが形成
される。これにより、第３受入凹部５７５ａ及び第４受入凹部５７５ｂに流入した遊技球
は、第６開口部５７１ｆを通過してベース板５７１の背面側に送球される。
【０１９０】
第３経路部材５８０は、第２経路部材５７０の重力方向上方側（矢印Ｕ方向側）の背面
に配設される第１覆設部材５８１と、第２経路部材５７０の重力方向下方側（矢印Ｄ方向
側）の背面に配設される第２覆設部材５８２と、第１覆設部材５８１及び第２覆設部材５
８２の間に配設される第１駆動ユニット５８３と、第２覆設部材５８２の背面に配設され
る第２駆動ユニット５８４とを主に備えて構成される。
【０１９１】
第１覆設部材５８１は、上述した第１開口部５７１ａ及び第４開口部５７１ｄの背面側
に配設される湾曲部５８１ａと、その湾曲部５８１ａの下方側に連なる板状の取付部５８
１ｂと、を主に備える。
【０１９２】
湾曲部５８１ａは、第１開口部５７１ａ及び第４開口部５７１ｄ（第２経路部材５７０
）側が開放される断面Ｕ字状に湾曲して形成され、その内側に第１転動部５７６が配設さ
れる（図２４（ａ）参照）。また、湾曲部５８１ａの湾曲内側の壁面と第１転動部５７６
の突設先端部との離間距離は、遊技球の直径よりも大きく設定される。これにより、第１
転動部５７６を転動する遊技球を湾曲部５８１ａの内壁に沿って流下させて、第１転動部
５８１ａの下方側に送球することができる。よって、背面側に湾曲する湾曲部５８１ａに
遊技球を送球することで、遊技球の転動時間を長くすることができる。その結果、遊技盤
１３の遊技領域と平行な平面上に遊技球の転動面を確保できない場合でも、遊技球の転動
速度を遅くすることができる。
【０１９３】
さらに、湾曲部５８１ａは、下方側の端部が、第４開口部５７１ｄの下側内縁よりも若
干高い位置に配置される。これにより、第１転動部５７６から湾曲部５８１ａの内壁に沿
って流下されて第４開口部５７１ｄに送球された遊技球が逆流して、湾曲部５８１ａの内
側に流入することを抑制できる。
【０１９４】
取付部５８１ｂは、第１覆設部材５８１を第２経路部材５７０の背面に締結するための
ネジを挿通する貫通孔５８１ｂ１が２箇所に貫通形成される。また、取付部５８１ｂは、
背面側に向かって円柱状に突設される柱状体５５１ａを備える。柱状体５５１ａは、後述
する第２ユニット５５２を第１ユニット５５１に締結するためのネジ穴が先端に穿設され
る。これにより、第２ユニット５５２の背面側から挿通されるネジを柱状体５５１ａに螺
合させて第１ユニット５５１と第２ユニット５５２とを締結することができる。
【０１９５】
第２覆設部材５８２は、第６開口部５７１ｆの背面側に配設される第２湾曲部５８２ａ
と、第１受入凹部５７４ａ〜第４受入凹部５７５ｂの背面側に配設される背面側壁部５８
２ｂと、を主に備える。
【０１９６】
第２湾曲部５８２ａは、第６開口部５７１ｆ（第２経路部材５７０）側が開放される断
面Ｕ字状に湾曲して形成される（図２４（ｃ）参照）。また、第２湾曲部５８２ａは、正
面側から背面側に向かって立設される立設壁５８２ａ１をＵ字の内側に備える。立設壁５
８２ａ１により、第２湾曲部５８２ａの内部空間が、正面視左側（矢印Ｌ方向側）の第１
空間５８２ａ２と、立設壁５８２ａ１を間に挟んで第１空間５８２ａ２の隣に形成される
第２空間５８２ａ３とに分けられる。
【０１９７】
第１空間５８２ａ２及び第２空間５８２ａ３は、遊技球の直径よりも大きい空間であり
、正面側から背面側に向かって形成される。また、第１空間５８２ａ２及び第２空間５８
２ａ３は、背面側で連結される。また、第１空間５８２ａ２の内面は、背面側に向かう程
、下方に傾斜して形成され、第２空間５８２ａ３の内面は正面側に向かう程、下方に傾斜
して形成される。これにより、凹設部５７１ｇから第２湾曲部５８２ａに送球される遊技
球は、第１空間５８２ａ２の傾斜により、背面側に転動されると共に背面側の端部で第２
湾曲部５８２ａの湾曲により第２空間５８２ａ３に送球され、第２空間５８２ａ３の傾斜
により正面側に転動され、第６開口部５７１ｆの開口を通過して、ベース板５７１の正面
側に送球される。
【０１９８】
背面側壁部５８２ｂは、第１受入凹部５７４ａ〜第４受入凹部５７５ｂに送球されて、
第５開口部５７１ｅ及び第６開口部５７１ｆを通過する遊技球を特別入賞装置５５０の下
方に案内する送球経路の背面側の壁部である。これにより、第１受入凹部５７４ａ〜第４
受入凹部５７５ｂに送球される遊技球を回収することができる。従って、第１受入凹部５
７４ａ〜第４受入凹部５７５ｂに送球されて、後述する検出装置ＳＥ３〜ＳＥ６を通過し
て遊技価値を遊技者に付与した遊技球が再度遊技領域を流下して、遊技価値が再度遊技者
に付与されることを防止できる。
【０１９９】
第１駆動ユニット５８３は、電力により前後方向に変位する軸を備える第１ソレノイド
５８３ａと、その第１ソレノイド５８３ａの軸に連結される第１可変板５８３ｂと、第１
ソレノイド５８３ａ及び第１可変板５８３ｂの周囲を囲む第１保護部材５８３ｃと、を主
に備える。
【０２００】
第１可変板５８３ｂは、左右方向（矢印Ｌ−Ｒ方向）に長い矩形状の板部材であり、第
１ソレノイド５８３ａの軸の変位に合わせて前後方向（矢印Ｆ−Ｂ方向）に変位される。
また、第１可変板５８３ｂが正面側に張り出された状態では、その第１可変板５８３ｂの
先端が上述した第５開口部５７１ｅに挿入されると共に、第１受入凹部５７４ａ及び第２
受入凹部５７４ｂの上側に配置される。これにより、第１可変板５８３ｂが正面側に張り
出された状態では、その第１可変板５８３ｂにより第１受入凹部５７４ａ及び第２受入凹
部５７４ｂへの遊技球の流入を防止することができる。
【０２０１】
第１保護部材５８３ｃは、第２経路部材５７０側が開放する箱状に形成され、その内部
に第１ソレノイド５８３ａの軸と第１可変板５８３ｂとを連結する機構が配設される。ま
た、第１保護部材５８３ｃは、前後方向に貫通する貫通孔５８３ｃ１を複数備える。
【０２０２】
貫通孔５８３ｃ１は、第１駆動ユニット５８３を第２経路部材５７０に締結するための
ネジを挿通する部分である。貫通孔５８３ｃ１を挿通されたネジは、第１覆設部材５８１
の貫通孔５８１ｂ１、又は、第２覆設部材５８２の貫通孔５８２ｂ１を挿通されて、第２
経路部材５７０に穿設される孔に螺合される。よって、第１駆動ユニット５８３を第２経
路部材５７０に配設することで、第１覆設部材５８１及び第２覆設部材５８２を第２経路
部材５７０に配設することができる。これにより、第１覆設部材５８１及び第２覆設部材
５８２のネジの締結部分を少なくすることができ、製造コストを削減できる。
【０２０３】
また、第１覆設部材５８１又は第２覆設部材５８２を第２経路部材５７０と第１駆動ユ
ニット５８３との間に挟んだ状態とすることができるので、第１駆動ユニット５８３が、
特別入賞装置５５０から無理に外された場合に、第１覆設部材５８１又は第２覆設部材５
８２と第２経路部材５７０との締結を不完全として、遊技球が第１覆設部材５８１又は第
２覆設部材５８２を通過できない状態としやすい。その結果、不正がされた状態で、遊技
が継続されることを抑制できる。
【０２０４】
第２駆動ユニット５８４は、第１駆動ユニット５８３と同様に、電力により前後方向に
変位する軸を備える第２ソレノイド５８４ａと、その第２ソレノイド５８４ａの軸に連結
される第２可変板５８４ｂと、第２ソレノイド５８４ａ及び第２可変板５８４ｂの周囲を
覆う第２保護部材５８４ｃと、を主に備える。
【０２０５】
第２可変板５８４ｂは、左右方向（矢印Ｌ−Ｒ方向）に長い板状体から形成されると共
に、正面視においてクランク状に屈曲して形成される。また、第２可変板５８４ｂが正面
側に張り出された状態では、その第２可変板５８４ｂの先端が、上述した第６開口部５７
１ｆに挿入されると共に、第３受入凹部５７５ａ及び第４受入凹部５７５ｂの上側に配置
される。これにより、第２可変板５８４ｂが正面側に張り出された状態では、その第２可
変板５８４ｂにより第３受入凹部５７５ａ及び第４受入凹部５７５ｂへの遊技球の流入を
防止することができる。
【０２０６】
第２保護部材５８４ｃは、第２経路部材５７０側が開放する箱状に形成され、その内部
に第２ソレノイド５８４ａの軸と第２可変板５８４ｂとを連結する機構が配設される。ま
た、第２保護部材５８４ｃは、第１経路部材５６０の第２壁部５６６により形成される送
球経路の背面側を覆う背面側壁部５８４ｃ１を備える。これにより、背面側壁部５８４ｃ
１と第２壁部５６６とで送球経路を形成できるだけでなく、背面側壁部５８４ｃ１と第２
壁部５６６とで、第２経路部材５７０を覆うことができる。その結果、第１ユニット５５
１の側面から不正部材が挿入されて、第２経路部材５７０に配設される検出装置ＳＥ３〜
ＳＥ６に不正が行われることを抑制しやすくできる。
【０２０７】
次いで、図２１から図２４を参照して第１受入部５６１から第１ユニット５５１の内部
に流入する遊技球の送球経路について説明する。図２１は、図１８（ｂ）のＸＸＩ−ＸＸ
Ｉ線における第１ユニット５５１の断面図である。図２２は、図２１に示す第１ユニット
５５１の模式断面図である。図２３は、図１８（ｂ）のＸＸＩＩＩ−ＸＸＩＩＩ線におけ
る第１ユニット５５１の断面図である。図２４（ａ）は、図２１のＸＸＩＶａ−ＸＸＩＶ
ａ線における第１ユニット５５１の断面図であり、図２４（ｂ）は、図２１のＸＸＩＶｂ
−ＸＸＩＶｂ線における第１ユニット５５１の断面図であり、図２４（ｃ）は、図２１の
ＸＸＩＶｃ−ＸＸＩＶｃ線における第１ユニット５５１の断面図である。
【０２０８】
なお、第１ユニット内部に流入する遊技球は、遊技球の主経路ＳＫ１〜ＳＫ６を主経路
ＳＫ１、主経路ＳＫ２、主経路ＳＫ３、主経路ＳＫ４、主経路ＳＫ５、主経路ＳＫ６の順
に流下する。又は、主経路ＳＫ１〜ＳＫ６を流下する途中の主経路ＳＫ３から主経路ＳＫ
３に連通する副経路ＨＫ１に流入されて副経路ＨＫ１を流下する。もしくは、主経路ＳＫ
１〜主経路ＳＫ６を流下する途中の主経路ＳＫ５から主経路ＳＫ５に連通する副経路ＨＫ
２又は副経路ＨＫ３のどちらかに流入されて副経路ＨＫ２又は副経路ＨＫ３のどちらかを
流下する。
【０２０９】
また、副経路ＨＫ１〜ＨＫ３には、遊技球の通過を検知する検出装置ＳＥ３〜ＳＥ６が
配設されており、その検出装置ＳＥ３〜ＳＥ６の遊技球の検出により、遊技者に所定の遊
技価値が付与される。本実施形態では、所定の球数の賞球により、遊技者に遊技価値が付
与される。
【０２１０】
図２１から図２４に示すように、主経路ＳＫ１は、第１覆設部材５８１の湾曲部５８１
ａ及び第２経路部材５７０の第１転動部５７６（図２４（ａ）参照）により形成される空
間であり、第１開口部５７１ａと第４開口部５７１ｄとを連通する。上述したように、湾
曲部５８１ａは、第１開口部５７１ａ及び第４開口部５７１ｄ（第２経路部材５７０）側
が開放される断面Ｕ字状に湾曲して形成され、主経路ＳＫ１を通過する遊技球を背面側に
迂回させることができる。これにより、正面視における領域が限られる空間（第１開口部
５７１ａ又は第４開口部５７１ｄの内側を遊技球が通過する際に、遊技球の左右方向にお
ける移動量を少なくすることができるので、主経路ＳＫ１を通過する遊技球を遊技者に視
認させやすくすることができる。これにより、第１ユニット５５１を通過する遊技球を遊
技者に視認させやすくして、遊技者の興趣を高めることができる。
【０２１１】
また、後述するように、主経路ＳＫ１に流入する遊技球は、遊技者に所定の遊技価値が
付与されるので、遊技者に遊技価値が付与される可能性がある遊技球の転動を遊技者に視
認させやすくできる。その結果、遊技者に興趣を与えやすくすることができる。なお、主
経路ＳＫ１は、後述する主経路ＳＫ２と連通されており、主経路ＳＫ１を通過する遊技球
を主経路ＳＫ２に流入させることができる。
【０２１２】
また、主経路ＳＫ１の湾曲部５８１ａは、上述したセンターフレーム８６の凹部８６ｂ
２（図１７参照）に収容されて配設される。これにより、主経路ＳＫ１に遊技球が詰まっ
た（流れが遅い）場合に、その不具合を検出装置８６ｂ３（図１７参照）により検出して
、エラーを報知することができる。
【０２１３】
さらに、主経路ＳＫ１の通路幅は、遊技球の直径よりも若干大きく設定されると共に、
検出装置ＳＥ３〜ＳＥ７（図２３参照）の遊技球が通過する開口よりも小さく設定される
。これにより、基準の遊技球の直径（１１ミリメートル）よりも直径の大きい遊技球（不
正な遊技球）が製造されて、その球で不正（遊技）が行われた場合に、その球を主経路Ｓ
Ｋ１の内側に留めることができる。よって、不正な遊技球が、主経路ＳＫ１の下流側に配
設される検出装置ＳＥ３〜ＳＥ７に流下して不正が行われることを抑制できる。また、不
正な遊技球を主経路ＳＫ１に留めることで、検出装置８６ｂ３（図１７参照）により検出
して、エラー（不正）を報知することができる。なお、この場合の不正とは、検出装置Ｓ
Ｅ３〜ＳＥ７のいずれかの開口に不正な遊技球を嵌めて、検出装置ＳＥ３〜ＳＥ７に検出
を継続させて、不正な遊技球の払い出し（遊技価値）を得ることである。
【０２１４】
主経路ＳＫ２は、第１経路部材５６０の第１壁部５６５と、第２経路部材５７０の第４
壁部５７３との間に形成される空間である。主経路ＳＫ２に流入される遊技球は、第４壁
部５７３の上面を転動して流下される。上述したように、第４壁部５７３は、左右方向（
矢印Ｌ−Ｒ方向）に延設され第４開口部５７１ｄから離間するにつれて下降傾斜して形成
される。
【０２１５】
従って、上述した湾曲部５８１ａ（背面側への湾曲経路）は、遊技球の送球方向の切り
替え部分（主経路ＳＫ１と主経路ＳＫ２との連結部分）に形成されるので、遊技者が、主
経路ＳＫ１を流下する遊技球を見失うことを抑制できる。即ち、左右方向に延びる直線状
の送球経路（例えば、主経路ＳＫ２）の途中に背面側に湾曲する経路が形成される場合に
は、その湾曲する経路で一定の加速度で転動する遊技球の加速度が変化される（小さくな
る）ので、遊技球を追っていた目線が遊技球よりも先行してしまうことで、遊技者が遊技
球を見失う恐れがある。
【０２１６】
これに対し、遊技球の転動方向が切り替えられて本来遊技球の転動速度が遅くされる部
分に背面側への湾曲経路を形成するので、遊技者の目線が遊技球よりも先行することを抑
制して、遊技者が遊技球を見失うことを抑制できる。
【０２１７】
また、主経路ＳＫ１の内壁である湾曲部５８１ａは、遊技盤１３の左右方向中央部に対
して若干右方（矢印Ｒ方向）に配設される第１ユニット５５１の正面視左側（矢印Ｌ方向
側の端部）に形成される。よって、遊技盤１３の正面に位置する遊技者から第１ユニット
５５１を視認しやすい側に、背面側への湾曲経路（主経路ＳＫ１）が形成されるので、遊
技者が主経路ＳＫ１から主経路ＳＫ２を通過する遊技球を見失うことを抑制しやすくでき
る。
【０２１８】
また、主経路ＳＫ２は、湾曲経路ＷＫ１に連通されており、湾曲経路ＷＫ１を介して、
後述する主経路ＳＫ３と連通される。これにより、主経路ＳＫ２を通過する遊技球は、湾
曲経路ＷＫ１を介して、主経路ＳＫ３に流入される。なお、湾曲経路ＷＫ１についての詳
しい説明は後述する。
【０２１９】
主経路ＳＫ３は、第２経路部材５７０の第４壁部５７３と、第５壁部５７４との間に形
成される空間である。主経路ＳＫ３に流入される遊技球は、第５壁部５７４の上面を転動
して流下される。また、主経路ＳＫ３には、上述した第１駆動ユニット５８３の第１可変
板５８３ｂが張出時に主経路ＳＫ３上に突出される。この主経路ＳＫ３上に第１可変板５
８３ｂが突出した状態では、第５壁部５７４の上部を転動する遊技球が、第１可変板５８
３ｂの上面を転動して主経路ＳＫ４に送球される。
【０２２０】
一方、主経路ＳＫ３上から第１可変板５８３ｂが退避した状態では、第５壁部５７４に
形成される第１受入凹部５７４ａ及び第２受入凹部５７４ｂの内部に形成される空間の副
経路ＨＫ１に遊技球が流入される。副経路ＨＫ１は、第５開口部５７１ｅを介して背面側
壁部５８２ｂにより形成される回収経路に送球される。
【０２２１】
この様に、第１ユニット５５１は、遊技球の送球経路上に張り出し、又は、送球経路上
から退避する第１可変板５８３ｂを備え、第１可変板５８３ｂの変位により、第１ユニッ
ト５５１の主経路ＳＫ３を流下する遊技球が副経路ＨＫ１に案内される場合と、主経路Ｓ
Ｋ４に案内される場合と、に変更することができるので、第１ユニット５５１を流下する
遊技球の流下方向に変化を与えることができる。
【０２２２】
この場合、副経路ＨＫ１に流入する遊技球は、遊技者に所定の遊技価値が付与されるの
で、遊技者に、遊技球が副経路ＨＫ１に流入したかどうかを注視させることができる。ま
た、第１可変板５８３ｂは、第１ユニット５５１に形成される送球経路の途中に配置され
、遊技者の視認方向（矢印Ｆ−Ｂ方向）に変位されるので、遊技者から第１可変板５８３
ｂの変位を視認させにくくすることができる。その結果、第１ユニット５５１の流下する
遊技球に注視させることができ、遊技者に遊技球の流下による興趣を与えやすくできる。
【０２２３】
また、副経路ＨＫ１は、正面視において遊技球を右側（矢印Ｒ方向側）から左側（矢印
Ｌ方向側）に送球する主経路ＳＫ３と、その主経路ＳＫ３の下方に位置し遊技球を左側か
ら右側に送球する主経路ＳＫ６との間を形成する第５壁部５７４に形成される。従って、
副経路ＨＫ１は、遊技球を左右に送球させる間の空間を利用して形成されるので、第１ユ
ニット５５１の外形が上下方向に大きくなることを抑制できる。その結果、第１ユニット
５５１の外形を小さくすることで、遊技者が遊技球を目で追う範囲を狭めることができ、
遊技者に第１ユニット５５１を流下する遊技球を視認させやすくすることができる。
【０２２４】
主経路ＳＫ４は、凹設部５７１ｇと第１経路部材５６０の突起５６８とにより形成され
る空間である。主経路ＳＫ４に流入する遊技球は、突起５６８に当接して凹設部５７１ｇ
の内側（背面側）に送球された後に、凹設部の内面に沿って突起５６８の周囲を転動して
凹設部の外側（正面側）に送球される。即ち、遊技球は、突起５６８を迂回するように転
動される。また、主経路ＳＫ４は、主経路ＳＫ５に連通されており、主経路ＳＫ４を通過
する遊技球を主経路ＳＫ５に流入させることができる。
【０２２５】
主経路ＳＫ５は、上述した第３経路部材５８０の第２覆設部材５８２の第１空間５８２
ａ２及び第２空間５８２ａ３により形成される空間である。主経路ＳＫ５に流入される遊
技球は、上述したように第１空間５８２ａ２の内部を背面側に転動した後に、第２空間５
８２ａ３の内部を正面側に転動される。また、主経路ＳＫ５には、上述した第２駆動ユニ
ット５８４の第２可変板５８４ｂが張出時に主経路ＳＫ５上に突出する。この主経路ＳＫ
５上に第２可変板５８４ｂが突出した状態では、第２湾曲部５８２ａの内部を転動する遊
技球が、主経路ＳＫ６に送球される。
【０２２６】
一方、主経路ＳＫ５上から第２可変板５８４ｂが退避した状態では、第６壁部５７５に
形成される第３受入凹部５７５ａ及び第４受入凹部５７５ｂの内部に形成される空間の副
経路ＨＫ２に遊技球が流下される。副経路ＨＫ２は、第６開口部５７１ｆを介して背面側
壁部５８２ｂにより形成される回収経路に送球される。
【０２２７】
また、主経路ＳＫ５を構成する第２湾曲部５８２ａは、上述したように背面側に湾曲し
て形成されており、主経路ＳＫ５を通過する遊技球を背面側に迂回させることができる。
これにより、正面視における領域が所定の限られた空間に設定される場合でも、遊技球が
転動可能な距離を長くすることができる。
【０２２８】
さらに、第２可変板５８４ｂは、主経路ＳＫ５の上流側の一部と、主経路ＳＫ５の下流
側の一部とで張出し、又は、退避の変位がされるように構成され、それら主経路ＳＫ５の
上流側と主経路ＳＫ５の下流側との間に背面側への湾曲経路が形成されるので、主経路Ｓ
Ｋ５を通過する遊技球により遊技者に遊技価値が付与される可能性がある時間を長くでき
る。その結果、遊技者に興趣を与える時間を長くすることができる。
【０２２９】
主経路ＳＫ４と主経路ＳＫ５との連通部分には、副経路ＨＫ３が連通される。副経路Ｈ
Ｋ３は、第１経路部材５６０の第２壁部５６６と、第３経路部材５８０の背面側壁部５８
４ｃ１との対向間に形成される空間である。
【０２３０】
副経路ＨＫ３は、主経路ＳＫ４から主経路ＳＫ５に遊技球が流入した際の遊技球の流下
方向（正面視右方向（矢印Ｒ方向）と異なる方向（正面視左方向（矢印Ｌ方向））に開口
される。また、副経路ＨＫ３は、その流入口の下側内縁が第２可変板５８４ｂよりも下方
（矢印Ｄ方向）に設定される。
【０２３１】
ここで、遊技球が主経路ＳＫ４から主経路ＳＫ５に正常に（重力以外の外力が作用しな
い状態で）流下する場合には、主経路ＳＫ４から主経路ＳＫ５又は副経路ＨＫ２に遊技球
が流入される。一方、遊技球が主経路ＳＫ４から副経路ＨＫ２に流入するタイミングで第
２可変板５８４ｂが張出されて第２可変板５８４ｂの先端面と遊技球が当接して、遊技球
に重力以外の外力が作用した場合には、第２可変板５８４ｂにより副経路ＨＫ３の流入口
に遊技球が押し出されて副経路ＨＫ３に流入される。
【０２３２】
よって、第１ユニット５５１は、遊技球の送球経路上に張り出し、又は、送球経路上か
ら退避する第２可変板５８４ｂを備え、第２可変板５８４ｂの変位により、第１ユニット
５５１の主経路ＳＫ４又は主経路ＳＫ５を流下する遊技球が主経路ＳＫ５、副経路ＨＫ２
又は副経路ＨＫ３のいずれかに案内されるので、第１ユニット５５１を流下する遊技球の
流下方向に変化を与えることができる。
【０２３３】
この場合、副経路ＨＫ２又は副経路ＨＫ３に流入する遊技球により遊技者に所定の遊技
価値が付与されるので、遊技者に、遊技球が副経路ＨＫ２又は副経路ＨＫ３に流入したか
どうかを注視させることができる。また、第２可変板５８４ｂは、第１ユニット５５１に
形成される送球経路の途中に配置されるので、遊技者から板部材５８４ｂ２の変位を視認
させにくくすることができる。その結果、第１ユニット５５１を流下する遊技球に注視さ
せることができ、遊技者に遊技球の流下による興趣を与えやすくできる。
【０２３４】
また、上述したように、主経路ＳＫ４を挟んで上流側では、第１可変板５８３ｂにより
、遊技球の流下する経路が切り替えられる。よって、上流側の副経路ＨＫ１に流入せず遊
技者に遊技価値が付与されていない遊技球をさらに下流に流下させて副経路ＨＫ２又はＨ
Ｋ３に流入させることができる。従って、遊技者に遊技価値が一度付与される可能性があ
った遊技球を流下経路の切り替え部分を通過させることで、遊技球が副経路ＨＫ２及びＨ
Ｋ３に流入する願望を遊技者に再度持たせることができる。
【０２３５】
さらに、遊技球の流下する経路が切り替えられる主経路ＳＫ３と主経路ＳＫ５との間に
は、背面側に湾曲する主経路ＳＫ４が配設される。従って、正面視における所定の範囲内
で遊技球を転動させることができ、遊技者に遊技球の位置を認識させやすくできる。即ち
、主経路ＳＫ３を流下した後に、主経路ＳＫ４を通して遊技球の位置を遊技者に認識させ
ることで、主経路ＳＫ４の下流に連結される主経路ＳＫ５を転動する遊技球を遊技者に注
視させやすくできる。その結果、遊技球が副経路ＨＫ２及びＨＫ３に流入する遊技球を遊
技者に視認させやすくでき、遊技者の興趣を向上できる。
【０２３６】
また、第２可変いた５８４ｂの正面側の左右の両端部には、左右方向の端部に向かう程
、背面側に傾斜する傾斜面５８４ｂ１（図２４（ｃ）参照）が形成される。これにより、
遊技球が主経路ＳＫ４から副経路ＨＫ２に流入するタイミングで第２可変板５８４ｂが張
出されて第２可変板５８４ｂの先端面と遊技球とが当接した際に、傾斜面５８４ｂ１によ
り遊技球を副経路ＨＫ３の流入口側に押し出すことができる。従って、傾斜面５８４ｂ１
及び副経路ＨＫ２により第２可変板５８４ｂと第１経路部材５６０との間に遊技球が挟ま
ることを防止することができると共に、遊技球が流下されるタイミングの違いにより流下
方向が切り替えられる経路を複数（本実施形態では３経路）形成することができる。
【０２３７】
主経路ＳＫ６は、第１経路部材５６０の第３壁部５６７で囲われる空間である。主経路
ＳＫ６を流下する遊技球は、遊技盤１３の遊技領域に送球される。従って、第１受入部５
６１に流入した遊技球が、第１受入凹部５７４ａ〜第４受入凹部５７５ｂに流入されない
場合には、遊技者に遊技価値が付与されず、主経路ＳＫ６から遊技盤１３の遊技領域に送
球されて、遊技盤１３に形成されるアウト口７１から回収される。
【０２３８】
＜遊技球を前後方向に変位させる案内手段＞
次いで、図２５から図２８を参照して、主経路ＳＫ２から主経路ＳＫ３への遊技球の流
下について説明する。図２５（ａ）及び図２６（ａ）は、図２１の範囲ＸＸＶａにおける
第１ユニット５５１の部分拡大図であり、図２５（ｂ）及び図２６（ｂ）は、図２５（ａ
）のＸＸＶｂ−ＸＸＶｂ線における第１ユニット５５１の断面図である。図２７（ａ）は
、図２５（ａ）のＸＸＶＩＩａ−ＸＸＶＩＩａ線における第１ユニット５５１の模式断面
図であり、図２７（ｂ）は、図２５（ａ）のＸＸＶＩＩｂ−ＸＸＶＩＩｂ線における第１
ユニット５５１の模式断面図であり、図２７（ｃ）は、図２５（ａ）のＸＸＶＩＩｃ−Ｘ
ＸＶＩＩｃ線における第１ユニット５５１の模式断面図である。図２８（ａ）は、図２５
（ａ）のＸＸＶｂ−ＸＸＶｂ線における第１ユニット５５１の模式断面図であり、図２８
（ｂ）は、図２５（ａ）のＸＸＶＩＩＩｂ−ＸＸＶＩＩＩｂ線における第１ユニット５５
１の模式断面図である。なお、図２６では、湾曲経路ＷＫ１を流下する遊技球が図示され
る。
【０２３９】
図２５から図２８に示すように、主経路ＳＫ２、主経路ＳＫ３及び湾曲経路ＷＫ１は、
第２経路部材５７０のベース板５７１に、背面側に向かって断面円弧状に凹設される第１
凹部５７１ｈ、第２凹部５７１ｉ及び第３凹部５７１ｊと、主経路ＳＫ２上の内壁から正
面側に階段状に突出する第１段部５７１ｋと、主経路ＳＫ３上の内壁から階段状に突出す
る第２段部５７１ｍと、を備える。
【０２４０】
第１経路部材５６０の正面板５６４は、第１凹部５７１ｈ、第２凹部５７１ｉ及び第３
凹部５７１ｊと対向する位置に、それぞれ第１凸部５６４ｂ、第２凸部５６４ｃ及び第３
凸部５６４ｄが突設される。
【０２４１】
第２凹部５７１ｉと第２凸部５６４ｃとの対向間寸法Ｌ１１（図２８（ａ）参照）は、
遊技球の直径よりも大きい値に設定されると共に、正面板５６４及びベース板５７１の対
向間の距離寸法Ｌ１２（図２８（ａ）参照）よりも小さい値に設定される。これにより、
第１凹部５７１ｈ、第２凹部５７１ｉ及び第３凹部５７１ｊと、第１凸部５６４ｂ、第２
凸部５６４ｃ及び第３凸部５６４ｄとの対向間に送球される遊技球を第１凹部５７１ｈ、
第２凹部５７１ｉ及び第３凹部５７１ｊと、第１凸部５６４ｂ、第２凸部５６４ｃ及び第
３凸部５６４ｄに当接させて、遊技球の転動（流下）速度を遅くすることができる。
【０２４２】
また、第１凹部５７１ｈ及び第１凸部５６４ｂの対向間寸法と、第３凹部５７１ｊ及び
第３凸部５６４ｄの対向間寸法とは、第２凹部５７１ｉと第２凸部５６４ｃとの対向間寸
法Ｌ１１と略同一の距離に設定される。
【０２４３】
さらに、第１凸部５６４ｂ、第２凸部５６４ｃ及び第３凸部５６４ｄの突設先端面と、
第１凹部５７１ｈ、第２凹部５７１ｉ及び第３凹部５７１ｊを除くベース板５７１の正面
との対向間の距離寸法Ｌ１３（図２８（ａ）参照）は、遊技球の直径よりも小さく設定さ
れる。これにより、第１凹部５７１ｈ、第２凹部５７１ｉ及び第３凹部５７１ｊと、第１
凸部５６４ｂ、第２凸部５６４ｃ及び第３凸部５６４ｄとの対向間に送球される遊技球を
第１凸部５６４ｂ、第２凸部５６４ｃ及び第３凸部５６４ｄに衝突させることができる。
その結果、遊技球の転動（流下）速度を遅くすることができる。
【０２４４】
また、この場合、第１凸部５６４ｂ、第２凸部５６４ｃ及び第３凸部５６４ｄに当接し
た遊技球は、第１凹部５７１ｈ、第２凹部５７１ｉ及び第３凹部５７１ｊの内側を流下さ
れる。従って、流下する遊技球を第１凹部５７１ｈ、第２凹部５７１ｉ及び第３凹部５７
１ｊの凹設方向に案内することができる。
【０２４５】
段部５７１ｋは、主経路ＳＫ２の背面側の内壁から正面側に突出される。また、段部５
７１ｋは、主経路ＳＫ２の経路内における下流側に形成される。段部５７１ｋは、主経路
ＳＫ２の上流側の端部が、ベース板５７１の正面から正面側に突出した位置に設定される
と共に、下流側の端部が彎曲経路ＷＫ１の背面と同一の位置に設定される。これにより、
主経路ＳＫ２を流下する遊技球を、段部５７１ｋに当接させて、正面側に移動させること
ができる。
【０２４６】
また、段部５７１ｋは、上流側の端部が上流側から下流側に向かって正面側に突出する
傾斜面として形成される。これにより、主経路ＳＫ２を流下して段部５７１ｋの上流側の
端部に当接する遊技球を正面側に案内しつつ下流側に流下させることができる。
【０２４７】
さらに、段部５７１ｋは、上流側の端部が、正面板５６４に形成される第１凸部５６４
ｂよりも主経路ＳＫ２の上流側に形成される。これにより、段部５７１ｋに当接して正面
側に案内される遊技球を第１凸部５６４ｂに当接させやすくすることができる。
【０２４８】
第１凹部５７１ｈは、主経路ＳＫ２を構成するベース板５７１に凹設されており、正面
視において、水平方向（矢印Ｌ−Ｒ方向）に長い楕円形状に形成される。また、第１凹部
５７１ｈは、段部５７１ｋにより正面側に突出された位置におけるベース板５７１に形成
される。第１凹部５７１ｈの上下方向の中心における背面側への凹設深さは、段部５７１
ｋの正面側への高さ寸法Ｌ２２（図２７（ｂ）参照）と、略同一に設定される。これによ
り、暴れずに主経路ＳＫ２を送球される遊技球を、第１凹部５７１ｈの凹設方向（背面側
（矢印Ｂ方向側）に変位させなくても、第１凹部５７１ｈの内側に流入させることができ
る。
【０２４９】
一方、暴れた状態で主経路ＳＫ２を送球される遊技球は、段部５７１ｋの上流側の端部
に当接させて、主経路ＳＫ２の正面側に案内して、正面板５６４の第１凸部５６４ｂに当
接させる。これにより、遊技球の暴れを抑制しつつ、遊技球を第１凹部５７１ｈの内側に
送球することができる。
【０２５０】
さらに、第１凹部５７１ｈは、主経路ＳＫ２の上流側における遊技球の転動面（第４壁
部５７３の矢印Ｕ方向側の面）から直交する方向の凹設底面までの高さ寸法Ｙ８（図２５
（ａ）参照）が遊技球の半径分に設定され、主経路ＳＫ２の下流側における遊技球の転動
面（第４壁部５７３の矢印Ｕ方向側の面）から直交する方向の凹設底面までの高さ寸法Ｙ
９（図２５（ａ）参照）が遊技球の半径分よりも高く設定される。これにより、主経路Ｓ
Ｋ２を流下する遊技球を第１凹部５７１ｈに沿って送球する際に、重力方向上側（矢印Ｕ
方向側）に持ち上がる方向の抵抗を遊技球に作用させて、遊技球の転動速度を小さくする
ことができる。その結果、湾曲経路ＷＫ１に流入する遊技球の転動速度を十分に小さくす
ることができ、遊技球をスムーズに流下させやすくすることができる。
【０２５１】
第１凹部５７１ｈの断面における半径Ｘ１１（図２７（ｂ）参照）は、遊技球の半径よ
りも大きい値に設定されており、第１凹部５７１ｈの内側に遊技球が送球された際に、そ
の内壁に遊技球を当接可能とされる。これにより、第１凹部５７１ｈと当接する遊技球の
当接部分が２箇所になることを抑制して、当接部分が増えることによる遊技球の転動に対
する抵抗が大きくなることを抑制できる。その結果、遊技球が主経路ＳＫ２で停止するこ
とを抑制できる。
【０２５２】
第１凹部５７１ｈと対向する位置に形成される第１凸部５６４ｂは、第１凹部５７１ｈ
の上流側の端部から主経路ＳＫ２の遊技球の送球方向（図２７（ｂ）の矢印Ｒ方向）に離
間する位置に形成され、その離間する値が遊技球の半径よりも小さい寸法に設定される。
これにより、主経路ＳＫ２を流下する遊技球を第１凸部５６４ｂに当接させて第１凹部５
７１ｈの内側に送球しやすくできる。
【０２５３】
第２凹部５７１ｉは、湾曲経路ＷＫ１のベース板５７１に凹設されており、正面視にお
ける外形が重力方向（矢印Ｕ−Ｄ方向）に長い楕円形状に形成される。また、第２凹部５
７１ｉは、正面視における上下方向（矢印Ｕ−Ｄ方向）中央位置が、湾曲経路ＷＫ１の経
路の中間位置に設定される。さらに、第２凹部５７１ｉは、正面視における左右方向（矢
印Ｌ−Ｒ方向）中央位置が湾曲経路ＷＫ１の送球方向に対して直交する方向の中央位置に
形成される。
【０２５４】
なお、主経路ＳＫ１、湾曲経路ＷＫ１及び主経路ＳＫ２は、正面視において遊技球の送
球方向に対して直交する幅寸法Ｌ１８（図２５（ａ）参照）がすべて同一の寸法に設定さ
れており、その幅寸法Ｌ１８が、遊技球の直径の略１．１倍に設定される。
【０２５５】
また、第１凹部５７１ｈ、第２凹部５７１ｉ及び第３凹部５７１ｊは、正面視における
短手方向の最大の幅寸法が、上述した幅寸法Ｌ１８の略１／２に設定される。これにより
、各経路（主経路ＳＫ１、湾曲経路ＷＫ１及び主経路ＳＫ２）を通過する遊技球の中心を
第１凹部５７１ｈ、第２凹部５７１ｉ及び第３凹部５７１ｊの正面側を通過させることが
できるので、遊技球を第１凹部５７１ｈ、第２凹部５７１ｉ及び第３凹部５７１ｊの内側
に送球しやすくできる。
【０２５６】
段部５７１ｍは、主経路ＳＫ３の背面側の内壁から正面側に突出される。また、段部５
７１ｍは、主経路ＳＫ３の経路内における上流側に形成される。段部５７１ｍは、主経路
ＳＫ３の下流側の端部が、ベース板５７１の正面側に突出した位置に設定されると共に、
上流側の端部が彎曲経路ＷＫ１の背面と同一の位置に設定される。これにより、主経路Ｓ
Ｋ３を流下する遊技球が、段部５７１ｍよりも下流側に送球された後に、段部５７１ｍを
超えて上流側に逆流（跳ね返る）することを抑制できる。
【０２５７】
第３凹部５７１ｊは、主経路ＳＫ３の内壁を構成するベース板５７１に形成されており
、正面視において、水平方向（矢印Ｌ−Ｒ方向）に長い楕円形状に形成される。また、第
３凹部５７１ｊは、段部５７１ｍにより正面側に突出された位置におけるベース板５７１
に形成される。第３凹部５７１ｊの上下方向の中心における背面側への凹設深さは、段部
５７１ｍの正面側への高さ寸法Ｌ２３（図２７（ｃ）参照）と、略同一に設定される。こ
れにより、主経路ＫＲ３を送球される遊技球を、第３凹部５７１ｊの内側から外側に流出
させやすくできる。
【０２５８】
さらに、主経路ＳＫ３の下流側における第３凹部５７１ｊの端部は、後述する副経路Ｈ
Ｋ１に流下する経路を切り替える第１可変板５８３ｂの主経路ＳＫ３の上流側における端
部（矢印Ｒ方向側の端部）の重力方向上方（矢印Ｕ方向）に配置される。これにより、第
１可変板５８３ｂの停止位置がその変位により重力方向上方にずれた場合（可変板５８３
ｂが、湾曲壁部５６５ｂの下流側端部よりも上方に配置された場合）に、主経路ＳＫ３を
通過する遊技球を第３凹部５７１ｊの内面に沿って送球することで、第１可変板５８３ｂ
に引っ掛かることなく送球できる。その結果、第１壁部５６５と第１可変板５８３ｂとが
隣合う部分において、第１可変板５８３ｂを下方に配置する必要がなくなり、第１ユニッ
ト５５１の上下方向寸法が大きくなることを抑制できる。
【０２５９】
また、この場合、第３凹部５７１ｊは、正面視における長手方向が、水平方向（矢印Ｌ
−Ｒ方向）に形成されており、主経路ＳＫ３を流下する遊技球に対して上方に離間される
ので、第１壁部５６５から第１可変板５８３ｂに送球される遊技球に対して、上方側に持
ち上がる方向の抵抗を作用させることができる。その結果、第１壁部５６５から第１可変
板５８３ｂに送球される遊技球が、第１可変板５８３ｂに引っ掛かることを抑制できる。
【０２６０】
さらに、第１ユニット５５１は、正面視における遊技盤１３に対して水平方向の一側（
矢印Ｒ方向側）に遊技球を送球する主経路ＳＫ２と、その主経路ＳＫ２から送球された遊
技球を主経路ＳＫ２の案内方向と反対方向の水平方向の他側に送球する主経路ＳＫ３と、
主経路ＳＫ２および主経路ＳＫ３の一側同士を連結する湾曲経路ＷＫ１と、を備え、湾曲
経路ＷＫ１は、遊技盤に対して正面側または背面側の少なくとも一方に遊技球を送球する
案内手段（第２凸部５６４ｃ及び第２凹部５７１ｉ）を遊技盤に対して正面側および背面
側の内壁に備えるので、湾曲経路ＷＫ１を通過する遊技球を正面側または背面側（正面視
における遊技盤１３の前後方向）に移動させることができる。
【０２６１】
従って、湾曲経路ＷＫ１を通過する遊技球の送球経路が正面視における前後方向に同一
の平面に形成される場合よりも、主経路ＳＫ２（第１経路）を転動して加速した遊技球の
流下速度を遅くすることができる。よって、遊技球の流下速度を遅くできる分、湾曲経路
ＷＫ１の内壁に衝突した遊技球が主経路ＳＫ２に戻る、又は、湾曲経路ＷＫ１の内側で主
経路ＳＫ２の送球方向（正面視における水平方向（矢印Ｌ−Ｒ方向））に揺れ動く（ぶれ
る）ことを抑制できる。これにより、湾曲経路ＷＫ１を通過する遊技球を遊技者の視線が
一定方向に追うことができる。その結果、湾曲経路ＷＫ１に送球された遊技球を遊技者に
視認させやすくすることができる。
【０２６２】
また、正面視における遊技盤１３に対して遊技球が水平方向（正面視左右方向）に揺れ
動く（ぶれる）ことを抑制できるので、その分、主経路ＳＫ２および主経路ＳＫ３を連結
する湾曲経路ＷＫ１の経路を長くして遊技球が揺れ動くことを抑制する必要がなくなり、
湾曲経路ＷＫ１の経路を短くすることができる。その結果、第１ユニット５５１を遊技盤
１３に対して所定の領域内に収めることができ、遊技盤１３に対する第１ユニット５５１
の配設スペースを確保できる。
【０２６３】
さらに、第１凹部５７１ｈは、主経路ＳＫ２の上流側に向かって、その主経路ＳＫ２の
流下方向と直交する方向（矢印Ｕ−Ｄ方向）に凹設幅が大きくされる。これにより、主経
路ＳＫ２を流下する遊技球を第１凹部５７１ｈに受け入れやすくできる。また、第１凹部
５７１ｈは、主経路ＳＫ２の下流側に向かって、凹設幅が小さく設定されるので、第１凹
部５７１ｈに受け入れられた遊技球を同じ位置から抜け出させやすい。即ち、第１凹部５
７１ｈは、主経路ＳＫ２の上流側で遊技球を受け入れやすく、主経路ＳＫ２の下流側で同
じ位置から遊技球を抜け出させやすくできる。その結果、主経路ＳＫ２の下流に連通され
る湾曲経路ＷＫ１の第２凹部５７１ｉに遊技球を送球しやすくできる。
【０２６４】
この場合、第１凹部５７１ｈの主経路ＳＫ２の流下方向（矢印Ｒ方向）における凹設端
部は、主経路ＳＫ２を送球される遊技球の転動方向において主経路ＳＫ２の転動面（第４
壁部５７３の上面）を超える位置に形成される。従って、第１凹部５７１ｈを抜け出る遊
技球に、主経路ＳＫ２の転動面の影響を受けにくくすることができる。その結果、第１凹
部５７１ｈから抜け出た遊技球を湾曲経路ＷＫ１の第２凹部５７１ｉに送球しやすくでき
る。
【０２６５】
また、主経路ＳＫ２は、第４開口部５７１ｄ側から湾曲壁部５６５ｂ側（即ち、正面視
左側（矢印Ｌ方向側）から正面視右側（矢印Ｒ方向側））に向かって、その経路の内部空
間が正面板５６４側（正面側（矢印Ｆ方向側））に傾斜して形成される。また、主経路Ｓ
Ｋ２は、その転動面（第４壁部５７３の重力方向上側の面）が正面側に向かって下降傾斜
して形成される。これにより、主経路ＳＫ２を流下する遊技球を正面板５６４側を転動さ
せやすくすることができ、その遊技球を正面板５６４に形成される第１凸部５６４ｂに当
接させやすくできる。その結果、第１凸部５６４ｂで遊技球の転動速度を遅くさせやすく
でき、主経路ＳＫ２を流下する遊技球が湾曲壁部５６５ｂと衝突した反力で主経路ＳＫ２
を逆流することを抑制できる。その結果、遊技球の送球方向の変更箇所で遊技球を安定し
て流下させることができる。
【０２６６】
第２凹部５７１ｉは、その上方端部（矢印Ｕ方向側端部）が、主経路ＳＫ２（第４壁部
５７３）を転動する遊技球の中心の転動軌跡に沿って直線状に描かれる仮想線ＩＬ３（図
２５（ａ）参照）と接する位置に形成される。これにより、主経路ＳＫ２を比較的速い速
度で送球されて湾曲経路ＷＫ１に流入する遊技球を第２凹部５７１ｉに受け入れやすくす
ることができる。
【０２６７】
遊技球の送球方向の変更箇所（湾曲経路ＷＫ１）には、第２凹部５７１ｉ及び第２凸部
５６４ｃが形成される。上述したように、第１凸部５６４ｂ、第２凸部５６４ｃ及び第３
凸部５６４ｄの突設先端面と、第１凹部５７１ｈ、第２凹部５７１ｉ及び第３凹部５７１
ｊを除くベース板５７１の正面との対向間の距離寸法Ｌ１３（図２８（ａ）参照）は、遊
技球の直径よりも小さく設定されるので、第２凹部５７１ｉ及び第２凸部５６４ｃの間を
流下する遊技球を第２凸部５６４ｃに当接させて第２凹部５７１ｉの内側に押し入れるこ
とができる。よって、主経路ＳＫ３に流入する（第２凹部５７１ｉ及び第２凸部５６４ｃ
の間から抜け出る）遊技球を、第２凹部５７１ｉの内面の円弧に沿って流下させることが
できる。
【０２６８】
ここで、主経路ＳＫ２から湾曲経路ＷＫ１に送球された遊技球は、主経路ＳＫ２の遊技
球の転動方向に寄った位置を流下しやすくなる。従って、第２凹部５７１ｉの内側を流下
する遊技球は、第２凹部５７１ｉの正面視右側（矢印Ｒ方向側）の領域の内面に当接して
流下される。よって、主経路ＳＫ３に流入する遊技球の送球方向を主経路ＳＫ３の流下方
向（湾曲壁部５６５ｂ側から凹設部５７１ｇ（図２１参照）側）に向けやすくできる。そ
の結果、遊技球の送球方向の変更箇所で、遊技球が湾曲壁部５６５ｂと衝突して流下が一
時的に停止することを抑制できる（図２８参照）。
【０２６９】
さらに、湾曲経路ＷＫ１から主経路ＳＫ３に送球される遊技球の送球方向を主経路ＳＫ
３の流下方向に向かう方向に向けることができるので、遊技球が湾曲壁部５６５ｂに衝突
する力を小さくすることができる。その結果、湾曲壁部５６５ｂに遊技球が繰り返し衝突
することによる湾曲壁部５６５ｂの破損を抑制できる。
【０２７０】
また、第１凸部５６４ｂは、正面側に配設される第１経路部材５６０に形成され、第１
凹部５７１ｈは、背面側に配設される第２経路部材５７０に形成される。
【０２７１】
ここで、第１経路部材５６０に正面側に向かって凹設される凹部（第２経路部材５７０
の第１凹部５７１ｈに対応する凹部）を形成すると、凹部を凹設する分第１経路部材５６
０の板厚を厚くする必要がある。よって、第１経路部材５６０の板厚が増す分、第１経路
部材５６０の透過性が悪くなり、第１ユニット５５１を通過する遊技球を遊技者が視認し
にくくなる。
【０２７２】
また、第１経路部材５６０の正面に部分的に膨出する膨出部分の背面に凹設部分を形成
すると、第１経路部材５６０の正面側に膨出部分が膨出する分、遊技盤１３の正面側に配
設されるガラスユニット１６（図１参照）との間の隙間を大きくする必要がある。よって
、第１経路部材５６０がガラスユニット１６から離れる分、第１経路部材５６０の内部を
通過する遊技球を遊技者が視認しにくくなる。
【０２７３】
これに対し、第１凸部５６４ｂは、正面側に配設される第１経路部材５６０に形成され
、第１凹部５７１ｈは、背面側に配設される第２経路部材５７０に形成されるので、正面
側に配設される第１経路部材５６０の厚みを薄くすることができる。また、第１経路部材
５６０の正面側に部分的に突出する部分が形成されないので、第１経路部材５６０をガラ
スユニット１６に近づけて配設することができる。その結果、第１経路部材５６０の内部
を通過する遊技球を遊技者に視認させやすくできる。
【０２７４】
第２凸部５６４ｃは、主経路ＳＫ２（第４壁部５７３の上面）よりも重力方向下方（矢
印Ｄ方向）に位置すると共に、正面視における主経路ＳＫ２の転動方向と略同一方向に下
降傾斜して形成される。これにより、第２凸部５６４ｃと第２凹部５７１ｉとの対向間を
流下する遊技球を、第２凸部５６４ｃの傾斜により第２凹部５７１ｉの正面視右側（矢印
Ｒ方向側）の領域に案内することができる。上述したように、第２凹部５７１ｉは、凹設
面が湾曲して形成されるので、第２凹部５７１ｉの正面視右側（矢印Ｒ方向側）の領域の
内側に当接して流下する遊技球を主経路ＳＫ３の流下方向（湾曲壁部５６５ｂ側から凹設
部５７１ｇ（図２１参照）側）に向けて送球することができる。その結果、湾曲経路ＷＫ
１から主経路ＳＫ３への遊技球の流入をスムーズにさせることができる。
【０２７５】
また、第２凹部５７１ｉは、正面視における下方側（矢印Ｄ方向側）の端部が主経路Ｓ
Ｋ３を転動する遊技球の中心の転動軌跡に沿って直線状に描かれる仮想線ＩＬ４（図２５
（ａ）参照）に接する位置に形成される。これにより、第２凹部５７１ｉの下流側端部か
ら排出される遊技球の中心の高さを仮想線ＩＬ４上に設定することができる。上述したよ
うに、本実施形態では、第２凹部５７１ｉから排出される遊技球を主経路ＳＫ３の流下方
向（湾曲壁部５６５ｂ側から凹設部５７１ｇ（図２１参照）側）に向けて送球することが
できるので、第２凹部５７１ｉから排出される遊技球が、主経路ＳＫ３又は湾曲経路ＷＫ
１の内面と当接して主経路ＳＫ３に送球される遊技球が、湾曲経路ＷＫ１の内壁と衝突し
てそれらの経路の内側で停滞することを抑制できる。
【０２７６】
主経路ＳＫ３に流入する遊技球の流下方向を、主経路ＳＫ３の転動面に近い位置で、主
経路ＳＫ３の送球方向に向けることができる。これにより、湾曲経路ＷＫ１から主経路Ｓ
Ｋ３に流入する遊技球が、湾曲経路ＷＫ１の遊技球の送球方向に対して直交する方向に送
球されることを抑制できる。その結果、主経路ＳＫ３に送球される遊技球が、湾曲経路Ｗ
Ｋ１の内壁と衝突して停滞することを抑制できる。
【０２７７】
＜高い遊技価値が付与される第１部材を正面側に配設する＞
次いで、図２９から図３１を参照して第２ユニット５５２の構成について説明する。図
２９（ａ）は、第２ユニット５５２の正面図であり、図２９（ｂ）は、第２ユニット５５
２の背面図である。図３０は、第２ユニット５５２の分解斜視正面図であり、図３１は、
第２ユニット５５２の分解斜視背面図である。
【０２７８】
図２９から図３１に示すように、第２ユニット５５２は、第１ユニット５５１側（正面
側（矢印Ｆ方向側））に配設される第４経路部材６１０と、その第４経路部材６１０の背
面側（矢印Ｂ方向側）に配設される第５経路部材６２０と、その第５経路部材６２０の背
面側に配設され第５経路部材６２０との対向間に遊技球の送球経路を形成する第６経路部
材６３０と、第２ユニット５５２の側面に配設される装飾部材６５０と、を主に備える。
【０２７９】
第４経路部材６１０は、上述したセンターフレーム８６を介して、第１ユニット５５１
の背面側（矢印Ｂ方向側）に取付される。また、第４経路部材６１０は、正面視縦長矩形
の板状に形成される取付板６１１と、その取付板６１１の端部から第１ユニット５５１側
（正面側（矢印Ｆ方向側））に立設される側壁部６１２と、第１ユニット５５１の第２転
動部５７７及び第３転動部５７８に内部空間が連通される第１連通路６１５及び第２連通
路６１６と、を備える。
【０２８０】
取付板６１１は、第１ユニット５５１側（正面側（矢印Ｆ方向側））に円形状に凹設さ
れると共にその凹設底面に貫通孔が形成される挿通部６１７と、第５経路部材６２０側（
背面側（矢印Ｂ方向側））に円形状に突設されると共に突設先端面にネジが螺合する孔が
穿設される経路側締結部６１８及び装飾側締結部６１９と、取付板６１１の中央に開口さ
れる開口部６１３と、その開口部６１３の外側に開口される第２挿通部６１４と、を備え
る。
【０２８１】
挿通部６１７は、第１ユニット５５１と第２ユニット５５２とを締結するためのネジの
先端を挿通する部分であり、取付板６１１の複数個所（本実施形態では、３箇所）に形成
される。
【０２８２】
経路側締結部６１８は、後述する第６経路部材６３０の挿通孔６３２に挿通されるネジ
が螺合される部分であり、挿通孔６３２と対向する位置に形成される。これにより、第６
経路部材６３０を第４経路部材６１０に締結できる。
【０２８３】
装飾側締結部６１９は、後述する装飾部材６５０に形成される締結孔６５２に挿通され
るネジが螺合される部分であり、締結孔６５２と対向する位置に形成される。これにより
、装飾部材６５０を第４経路部材６１０に締結できる。
【０２８４】
開口部６１３は、第１ユニット５５１に配設される第１ソレノイド５８３ａ及び第２ソ
レノイド５８４ａと対向する位置に形成される。これにより、第１ユニット５５１の背面
に第４経路部材６１０を配設した際に、開口部６１３の内側に第１ソレノイド５８３ａ及
び第２ソレノイド５８４ａを配設した状態とできる。従って、第１ユニット５５１の背面
に第４経路部材６１０を配設した際に、第４経路部材６１０が前後方向に大きくなること
を抑制できると共に、第１ソレノイド５８３ａ及び第２ソレノイド５８４ａの周囲を第４
経路部材６１０で囲むことができる。
【０２８５】
第１連通路６１５及び第２連通路６１６は、正面視において上方側（矢印Ｕ方向側）が
開放するＵ字状に形成されると共に、前後方向（矢印Ｆ−Ｂ方向）に延設される。また、
第１連通路６１５及び第２連通路６１６は、正面側の端部が第１ユニット５５１の第２転
動部５７７及び第３転動部５７８の背面側に当接されると共に、背面側の端部が後述する
第５経路部材６２０の第１流入口６２５及び第２流入口６２６の端部の正面側に当接され
る。さらに、第１連通路６１５及び第２連通路６１６は、第１ユニット５５１側から第５
経路部材６２０に向かって下降傾斜して形成される。これにより、第１ユニット５５１の
第２転動部５７７及び第３転動部５７８から第１連通路６１５及び第２連通路６１６に送
球される遊技球を、その第１連通路６１５及び第２連通路６１６を転動させて、第５経路
部材６２０の第１流入口６２５及び第２流入口６２６に流入させることができる。
【０２８６】
第２挿通部６１４は、第４経路部材６１０をセンターフレーム８６の突設部８６ｂに締
結する際に、突設部８６ｂのネジ孔８６ｂ４に螺合するネジを挿通する穴であり、突設部
８６ｂに形成されるネジ孔８６ｂ４（図３５参照）と対応する位置に形成される。これに
より、センターフレーム８６の突設部８６ｂの背面に第４経路部材６１０を配設できる。
【０２８７】
側壁部６１２は、第１ユニット５５１及び第２ユニット５５２とが締結された際に、第
１ユニット５５１の背面側（矢印Ｂ方向側）に配置される第１ソレノイド５８３ａの側面
及び第２ソレノイド５８４ａの側面を覆う板部材であり、取付板６１１の端部全域から第
１ユニット５５１側（正面側（矢印Ｆ方向側））に立設される。なお、側壁部６１２の正
面側（第１ユニット５５１側）への立設寸法は、センターフレーム８６の突設部８６ｂと
当接する長さに設定される。これにより、第１ユニット５５１及び第２ユニット５５２と
の間に側壁部６１２が配置されるので、第１ユニット５５１及び第２ユニット５５２との
間に隙間が形成されることを抑制できる。その結果、第１ユニット５５１及び第２ユニッ
ト５５２との間に不正物が挿入されることを抑制できる。
【０２８８】
第５経路部材６２０は、正面視略矩形の板から形成される板部材６２１と、その板部材
６２１に開口される第１流入口６２５及び第２流入口６２６と、第２流入口６２６の周囲
から第２流入口６２６の下方に亘って第６経路部材６３０側（背面側（矢印Ｂ方向側））
に立設される第２立設壁６２３と、第１流入口６２５の周囲から第１流入口６２５の下方
に亘って第６経路部材６３０側に立設される第１立設壁６２４と、板部材６２１から第６
経路部材６３０側に突設される被締結部６２７と、を主に備える。
【０２８９】
板部材６２１は、第４経路部材６１０の正面視における外形よりも小さい外形に形成さ
れると共に、第４経路部材６１０の背面側（矢印Ｂ方向側）に配設される。また、板部材
６２１は、正面視における中央部に開口される中央開口部６２２を備える。この中央開口
部６２２は、背面視における第２ソレノイド５８４ａの外形よりも大きく形成されると共
に、第２ソレノイド５８４ａと対応する位置に形成される。これにより、板部材６２１（
第５経路部材６２０）を第４経路部材６１０の背面側に配設した際に、第４経路部材６１
０の開口部６１３の内側を挿通される第２ソレノイド５８４ａを中央開口部６２２の内側
に配置できる。
【０２９０】
第１流入口６２５及び第２流入口６２６は、上述したように第４経路部材６１０の第１
連通路６１５及び第２連通路６１６を連動する遊技球を第５経路部材６２０及び第６経路
部材６３０の対向間に受け入れる部分（流入させる開口）である。
【０２９１】
被締結部６２７は、後述する第６経路部材６３０に形成される締結孔６３３を挿通され
たネジの先端を螺合させる部分であり、締結孔６３３と対応する位置に形成される。これ
により、第５経路部材６２０と第６経路部材６３０とが締結される。また、被締結部６２
７の第６経路部材６３０側への突出寸法は、遊技球の直径よりも大きく設定される。これ
により、第５経路部材６２０と第６経路部材６３０との間に遊技球を流下可能な隙間が形
成される。
【０２９２】
第１立設壁６２４は、第１流入口６２５から第５経路部材６２０及び第６経路部材６３
０の対向間に流入される遊技球を案内する壁であり、下方側に延設されると共に第２立設
壁６２３と連結される。第２立設壁６２３は、第２流入口から第５経路部材６２０に流入
された遊技球を案内する壁であり、板部材６２１の上下方向に亘って延設される。なお、
第１立設壁６２４及び第２立設壁６２３により形成される送球経路についての説明は後述
する。
【０２９３】
第６経路部材６３０は、正面視略矩形の板から形成されるベース板６３１と、第５経路
部材６２０の中央開口部６２２と対向する位置のベース板６３１に開口される第２中央開
口部６３４と、ベース板６３１の第２中央開口部６３４の周囲に貫通形成される挿通孔６
３２及び締結孔６３３と、を備える。
【０２９４】
第２中央開口部６３４は、正面視において第５経路部材６２０の中央開口部６２２と略
同一の大きさに形成され、第５経路部材６２０と第６経路部材６３０とが組み合わされた
際に、第５経路部材６２０の中央開口部６２２と連通される。これにより、第２ユニット
５５２が第１ユニット５５１の背面側に配設された際に、第１ユニット５５１の第１ソレ
ノイド５８３ａを第２中央開口部６３４の内側に配置できる。
【０２９５】
次いで、図３２を参照して、第５経路部材６２０により形成される送球経路について説
明する。図３２は、図２９のＸＸＸＩＩ−ＸＸＸＩＩ線における第２ユニット５５２の断
面図である。
【０２９６】
図３２に示すように、第２ユニット５５２は、第５経路部材６２０の第１立設壁６２４
に囲われて形成される副経路ＨＫ４と、第２立設壁６２３に囲われて形成される副経路Ｈ
Ｋ５とを備える。
【０２９７】
副経路ＨＫ４は、第１流入口６２５から下方に延設された後、後述する副経路ＨＫ５側
に屈曲されて、副経路ＨＫ５に連通される。また、副経路ＨＫ４には、下方への延設部分
に遊技球の通過を検出する検出装置ＳＥ７が配設される。これにより、副経路ＨＫ４を遊
技球が通過したことを検出できる。また、検出装置ＳＥ７が遊技球の通過を検出すると、
遊技者に所定の遊技価値が付与される（本実施形態では、遊技球の賞球）。
【０２９８】
なお、本実施形態では、検出装置ＳＥ７を遊技球が通過することに伴って遊技者に賞球
される遊技球の数（例えば３個）が、第１ユニット５５１に配設される検出装置ＳＥ３〜
ＳＥ６を遊技球が通過することに伴って遊技者に賞球される遊技球の数（例えば１５個）
よりも少なくされる。即ち、検出装置ＳＥ７を通過することに伴って遊技者に付与される
遊技価値は、第１ユニット５５１に配設される検出装置ＳＥ３〜ＳＥ６を遊技球が通過す
ることに伴って遊技者に付与される遊技価値よりも高く設定される。これにより、第１ユ
ニット５５１を通過する遊技球に注目させやすくできる。その結果、遊技者に興趣を与え
やすくすることができる。
【０２９９】
副経路ＨＫ５は、第２流入口６２６から下方に延設されると共に、第２ユニット５５２
の下方でパチンコ機１０の回収経路に連通される。従って、副経路ＨＫ５を流下する遊技
球は、遊技者に遊技価値が付与されることなく回収される。また、副経路ＨＫ４を流下し
て検出装置ＳＥ７に検出された遊技球は、副経路ＨＫ５に送球されて、パチンコ機１０に
回収される。
【０３００】
また、特別入賞装置５５０は、光を透過可能な材料から形成されて遊技領域の正面側に
配設される第１ユニット５５１と、その第１ユニット５５１の背面側に配設される第２ユ
ニット５５２と、を備え、第１ユニット５５１は、遊技球を入球可能な第１受入部５６１
を備え、第２ユニット５５２は、遊技球を入球可能な第２受入部５６２及び第３受入部５
６３を備え、第１受入部５６１に入球する遊技球の方が、第２受入部５６２及び第３受入
部５６３に入球する遊技球よりも遊技者に高い遊技価値（遊技球の払い出し）が付与され
る。
【０３０１】
従って、第１ユニット５５１及び第２ユニット５５２の遊技球の送球経路の取り回しが
複雑に形成される（例えば、第１ユニット５５１の送球経路と第２ユニット５５２の送球
経路とが正面視における前後方向に交差する）場合に比べて、第１ユニット５５１および
第２ユニット５５２に同じタイミングで遊技球が流下された場合に第１ユニット５５１を
流下する遊技球を遊技者に注視させやすくできる。よって、遊技価値の高い第１受入部５
６１を備える第１ユニット５５１を流下する遊技球を遊技者に視認させやすくすることが
できる。その結果、遊技者に高い遊技価値が付与される経路を通過する遊技球を遊技者に
視認させることができるので、遊技者の興趣を向上させやすくできる。
【０３０２】
また、第１ユニット５５１へ遊技球を送球する送球経路の流入口（第１受入部５６１）
と、第２ユニット５５２へ遊技球を送球する送球経路の流入口（第２受入部５６２及び第
３受入部５６３）は、隣り合う位置に形成されるので、高い遊技価値が付与される第１ユ
ニット５５１に流入するか、低い遊技価値が付与される第２ユニット５５２に流入するか
、遊技球が流入するまで遊技者に判断させにくくすることできる。その結果、遊技球が特
別入賞装置５５０に流入する直前まで遊技者に興趣を与えやすくできる。
【０３０３】
次いで、図３３から図３７を参照して、センターフレーム８６への特別入賞装置５５０
の配設状態について説明する。図３３（ａ）は、センターフレーム８６の正面図であり、
図３３（ｂ）は、センターフレーム８６の側面図である。図３４（ａ）は、センターフレ
ーム８６の斜視正面図であり、図３４（ｂ）は、センターフレーム８６の斜視背面図であ
る。図３５は、センターフレーム８６の分解斜視背面図である。図３６は、図３３のＸＸ
ＸＶＩ−ＸＸＸＶＩ線におけるセンターフレーム８６の断面図である。図３７（ａ）は、
遊技盤１３の模式断面図であり、図３７（ｂ）は、遊技盤１３の模式分解断面図である。
なお、図３７（ａ）及び図３７（ｂ）は、図３６の断面に対応する。
【０３０４】
＜第１部材をベース部材側に付勢する固定手段＞
図３３から図３７に示すように、特別入賞装置５５０は、センターフレーム８６を間に
挟んで、そのセンターフレーム８６の正面側に取り外し可能な第１ユニット５５１と、セ
ンターフレーム８６の背面側に取り外し可能な第２ユニットと、から構成される。
【０３０５】
第１ユニット５５１は、その第１ユニット５５１の背面側に配設される第１ソレノイド
５８３ａ及び第２ソレノイド５８４ａがセンターフレーム８６の開口部８６ｂ１に挿入さ
れた状態で、突設部８６ｂの正面側に配設される。また、第１ユニット５５１は、第２ユ
ニット５５２側に円柱状に突出する柱状体５５１ａを備える。
【０３０６】
柱状体５５１ａは、第２ユニット５５２の第４経路部材６１０に形成される挿通部６１
７と対向する位置に形成されると共に、挿通部６１７を挿通したネジが螺合する孔を先端
に備える。
【０３０７】
第１ユニット５５１のセンターフレーム８６への固定は、第２ユニット５５２の第４経
路部材６１０に形成される挿通部６１７及び第２挿通部６１４に挿通されるネジにより固
定される。詳しく説明すると、第１ユニット５５１は、背面側（矢印Ｂ方向側）に配設さ
れる第４経路部材６１０との間にセンターフレーム８６の突設部８６ｂを介した状態で配
設される。また、第１ユニット５５１は、第４経路部材６１０の挿通部６１７から挿通さ
れるネジが柱状体５５１ａに螺合されることで、第２ユニット５５２と締結される。
【０３０８】
さらに、第１ユニット５５１と第２ユニット５５２とを締結した状態で、第２ユニット
５５２に形成される第２挿通部６１４に挿通されたネジを突設部８６ｂに凹設されるネジ
孔８６ｂ４（図３５参照）に螺合させることで、突設部８６ｂと第４経路部材６１０とを
締結できる。上述したように、第４経路部材６１０と第１ユニット５５１とは、締結固定
されるので、第４経路部材６１０が突設部８６ｂに締結されることで第１ユニット５５１
が突設部８６ｂに対して締結される。
【０３０９】
また、図３７に示すように、ベース板６０の第１開口部６０ａの上下方向における開口
寸法Ｙ１（図３７（ｂ）参照）は、第１ユニット５５１（第２経路部材５７０）の上下方
向寸法Ｙ２（図３７（ｂ）参照）よりも若干小さく設定される。また、第１ユニット５５
１のベース板６０の正面との当接面から、第２ユニット５５２のベース板６０への当接面
までの距離寸法Ｙ４（図３７（ｂ）参照）は、第１ユニット５５１と第２ユニット５５２
とが締結された際に、ベース板６０の厚み寸法Ｙ３（図３７（ｂ）参照）よりも若干小さ
く設定される。
【０３１０】
これにより、第１ユニット５５１と第２ユニットと５５２とを締結した場合に、第１ユ
ニット５５１をベース板６０側（背面側）に付勢することができる。よって、ベース板６
０の正面と第１ユニット５５１との間に隙間が形成されることを抑制できる。従って、第
１ユニット５５１をベース板６０の正面側からネジで締結する必要がなくなり、その分、
ネジの締結代を第１ユニット５５１の正面に必要としてないので、その分、第１ユニット
５５１の正面側の領域を遊技球の送球空間として利用することができる。その結果、第１
ユニット５５１に形成される遊技球の送球空間を確保することができる。
【０３１１】
また、第１ユニット５５１と第２ユニット５５２との締結部分（柱状体５５１ａ）は、
第１ユニット５５１の背面側に突出形成されるので、締結部分がベース板６０の正面側に
形成される場合に比べて、第１ユニット５５１に形成される遊技球の送球空間を確保する
ことができる。
【０３１２】
また、第２ユニット５５２をベース板６０（正面側）に付勢することができるので、第
２ユニット５５２とベース板６０との間に隙間が形成されることを抑制できる。従って、
第２ユニット５５２とベース板６０との対向間から針金やピアノ線等の不正物が挿入され
て、第１ユニット５５１の第１ソレノイド５８３ａ及び第２ソレノイド５８４ａに不正が
されることを抑制できる。
【０３１３】
さらに、第１ユニット５５１は、ベース板６０の背面側から挿通されるネジによりベー
ス板６０に配設されるので、第１ユニット５５１の正面側にベース板６０との締結代（ネ
ジが挿通される開口が形成される延設部分）を形成する必要がなくなる。その結果、正面
視における第１ユニット５５１の外形に対して、全域を送球経路として利用でき、第１ユ
ニット５５１の送球経路を大きくすることができる。
【０３１４】
また、ベース板６０と第１ユニット５５１との締結部分がベース板６０の背面側である
ので、遊技盤１３の正面側からされる不正によりベース板６０と第１ユニット５５１との
締結部分が外されることを抑制できる。その結果、第１ユニット５５１への不正を抑制で
きる。さらに、ベース板６０と第１ユニット５５１との締結部分がベース板６０の背面側
であるので、遊技者からネジの頭部を認識させにくくすることができる。その結果、第１
ユニット５５１をベース板６０に固定するための構成が遊技者に認識されることにより、
遊技者の興趣が低下することを抑制できる。
【０３１５】
また、第１ユニット５５１は、ベース板６０の背面側から締結される固定手段（ネジ）
により、ベース板６０に対し背面側に付勢された状態でベース板６０に配設されるので、
第１ユニット５５１に作用する背面側への付勢力により、第１ユニット５５１とベース板
６０とを密着した状態で配設することができる。
【０３１６】
さらに、第１ユニット５５１と第２ユニット５５２とは、それぞれに遊技球を送球可能
な送球経路が形成された状態でセンターフレーム８６に配設されるので、第１ユニット５
５１の送球経路および第２ユニット５５２の送球経路が、第１ユニット５５１と第２ユニ
ット５５２との組立時にずれることを抑制できる。その結果、第１ユニット５５１及び第
２ユニット５５２の内部を流下する遊技球が、第１ユニット５５１及び第２ユニット５５
２の送球経路で停止することを抑制できる。
【０３１７】
また、第１ユニット５５１は、第１ユニット５５１に送球された遊技球を第２ユニット
５５２に流入させるための転動面（第２転動部５７７及び第３転動部５７８）を備える。
従って、第１ユニット５５１及び第２ユニット５５２のそれぞれが、センターフレーム８
６の突設部８６ｂに締結されるものであると、センターフレーム８６に対する第１ユニッ
ト５５１の組付け誤差が生じて、第１ユニット５５１から第２ユニット５５２への遊技球
の送球がスムーズに行われなくなる恐れがあった。
【０３１８】
これに対し、本実施形態では、上述したように第１ユニット５５１は、第２ユニット５
５２に締結されるので、第１ユニット５５１及び第２ユニット５５２の締結時の誤差を最
小（締結した際に誤差ができる箇所を最小）とすることができる。その結果、第１ユニッ
ト５５１から第２ユニット５５２への遊技球の送球をスムーズに行うことができる。
【０３１９】
第４経路部材６１０に締結される第５及び第６経路部材６２０，６３０は、背面視にお
いて第４経路部材６１０の挿通部６１７及び第２挿通部６１４の少なくとも一部と重なる
位置に配置される。これにより、第１ユニット５５１は、第４経路部材６１０に締結され
る第５及び第６経路部材６２０，６３０を取り外した後でのみセンターフレーム８６から
取り外し可能とされる。これにより、主経路ＳＫ１〜ＳＫ６を形成する第１ユニット５５
１がセンターフレーム８６から取り外されて主経路ＳＫ１〜ＳＫ６に不正が行われること
を抑制できる。
【０３２０】
さらに、突設部８６ｂは、端部に第２ユニット５５２側に立設する（折り返される）立
設部８６ｂ５を備える（図３３（ｂ）参照）。これにより、第１ユニット５５１と第２ユ
ニット５５２とが、センターフレーム８６の突設部８６ｂを間に介してセンターフレーム
８６に配設された状態では、立設部８６ｂ５が、第１ユニット５５１の背面側に配設され
る第１ソレノイド５８３ａ及び第２ソレノイド５８４ａを取り囲んだ状態とされる。
【０３２１】
よって、第１ユニット５５１及び第２ユニット５５２がセンターフレーム８６に配設さ
れた状態で、第１ユニット５５１及び第２ユニット５５２の対向間から針金やピアノ線な
どの不正物が挿入されることを抑制できる。その結果、第１ユニット５５１及び第２ユニ
ット５５２がセンターフレーム８６に配設された状態で第１ユニット５５１の第１ソレノ
イド５８３ａ及び第２ソレノイド５８４ａに不正が行われることを抑制できる。
【０３２２】
また、第１ユニット５５１と第２ユニット５５２との間には、第１ソレノイド５８３ａ
及び第２ソレノイド５８４ａの正面側の一部が配設されると共に、立設部８６ｂ５が介設
される。よって、立設部８６ｂ５が配設される空間を利用して、第１ソレノイド５８３ａ
及び第２ソレノイド５８４ａの正面側の一部を配設することができる。従って、第１ソレ
ノイド５８３ａ及び第２ソレノイド５８４ａの正面側の一部が、第１ユニット５５１と第
２ユニット５５２との間に収容される分、第１ソレノイド５８３ａ及び第２ソレノイド５
８４ａが背面側に突出することを抑制できる。その結果、第１ソレノイド５８３ａ及び第
２ソレノイド５８４ａの背面側の周囲を第２ユニット５５２により取り囲みやすくするこ
とができ、第１ソレノイド５８３ａ及び第２ソレノイド５８４ａに背面側から不正がされ
ることを第２ユニット５５２により抑制することができる。
【０３２３】
さらに、第１ユニット５５１と第２ユニット５５２との間には、第１ソレノイド５８３
ａ及び第２ソレノイド５８４ａの正面側の一部が配設されるので、第２ユニット５５２を
流下する遊技球を第１ソレノイド５８３ａ及び第２ソレノイド５８４ａで隠して遊技者側
から視認しにくくすることができる。これにより、第１ユニット５５１を流下する遊技球
の動線と第２ユニット５５２を流下する遊技球の動線とが正面視において重なる場合であ
っても、第１ユニット５５１を流下する遊技球を遊技者に視認させやすくできる。その結
果、第２ユニット５５２を流下する遊技球により遊技者に付与される遊技価値よりも高い
遊技価値が遊技者に付与される第１ユニット５５１を流下する遊技球を遊技者に視認させ
ることができるので、遊技者に興趣を与えやすくできる。
【０３２４】
また、第１ユニット５５１及び第２ユニット５５２がセンターフレーム８６に配設され
た状態では、装飾部材６５０が、センターフレーム８６のベース枠８６ａの内側の側面を
覆う状態で配設される。これにより、センターフレーム８６のベース枠８６ａの開口を介
して（挿通して）特別入賞装置５５０に針金やピアノ線などの不正物が挿入されることを
抑制できる。
【０３２５】
図３６及び図３７に示すように、第１ユニット５５１に配設される第１ソレノイド５８
３ａは、背面側が第２ユニット５５２の第４経路部材６１０及び第５経路部材６２０に形
成される中央開口部６２２及び第２中央開口部６３４の内側に挿入される。これにより、
第２ユニット５５２が背面側（矢印Ｂ方向側）に膨出することを抑制できると共に、第１
ソレノイド５８３ａに針金やピアノ線等の不正物がアクセスされることを抑制できる。
【０３２６】
また、第１ソレノイド５８３ａの荷重を第２ユニット５５２により支持することができ
るので、第１ソレノイド５８３ａが配設される第１ユニット５５１の第２経路部材５７０
が撓むことを抑制できる。その結果、第１ユニット５５１の遊技球の通過を安定させるこ
とができる。
【０３２７】
さらに、上述したように、センターフレーム８６に形成される突設部８６ｂの開口部８
６ｂ１に第１ソレノイド５８３ａ及び第２ソレノイド５８４ａが囲われて配設されるので
、比較的荷重の大きい（重い）第１ソレノイド５８３ａ及び第２ソレノイド５８４ａを開
口部８６ｂ１（突設部８６ｂ）により支持することができる。その結果、突設部８６ｂが
、特別入賞装置５５０の荷重により撓むことを抑制できる。
【０３２８】
よって、ベース板６０に配設されるセンターフレーム８６が曲る（撓む）ことを抑制で
きるので、センターフレーム８６に配設される第１ユニット５５１の配置がベース板６０
に対して位置ずれすることを抑制できる。その結果、遊技盤１３の遊技領域から第１ユニ
ット５５１（特別入賞装置５５０）に遊技球をスムーズに流入させることができる。
【０３２９】
また、第１ユニット５５１から第２ユニット５５２へ遊技球を送球する第２転動部５７
７及び第３転動部５７８は、突設部８６ｂの開口部８６ｂ１の外側に形成される。これに
より、開口部８６ｂ１の内側に配置される第１ソレノイド５８３ａ及び第２ソレノイド５
８４ａの駆動により発生する電磁力により、第１ユニット５５１から第２ユニット５５２
に送球される遊技球の転動が阻害されることを抑制できる。言い換えると、第１ソレノイ
ド５８３ａ及び第２ソレノイド５８４ａの駆動により発生する電磁力が突設部８６ｂの外
側に作用することを突設部８６ｂにより抑制できる。その結果、第１ユニット５５１から
第２ユニット５５２への遊技球の送球を安定させることができる。
【０３３０】
上述したように、第１ソレノイド５８３ａは、背面側が第２ユニット５５２の中央開口
部６２２及び第２中央開口部６３４に挿入されて配設される。これにより、第１ユニット
５５１の検出装置ＳＥ３〜６及び第１ソレノイド５８３ａの配線を中央開口部６２２及び
第２中央開口部６３４を挿通させて配設することができる。また、それらの配線を第１ソ
レノイド５８３ａに沿って配設することができるので、配線が絡まることを抑制できる。
【０３３１】
さらに、第１ソレノイド５８３ａの荷重を、第２ユニット５５２の中央開口部６２２及
び第２中央開口部６３４により支えることができるので、第１ユニット５５１が配設され
る突設部８６ｂが撓むことを抑制できる。よって、ベース板６０に配設されるセンターフ
レーム８６が曲る（撓む）ことを抑制できるので、センターフレーム８６に配設される第
１ユニット５５１の配置がベース板６０に対してずれることを抑制できる。その結果、遊
技盤１３の遊技領域から第１ユニット５５１（特別入賞装置５５０）に遊技球をスムーズ
に流入させることができる。
【０３３２】
＜基板ユニットの固定部材を背面部材に配設する変位部材＞
次いで、図３８から図４２を参照して、背面ケース３００及び基板ユニット１１０の連
結構造についての詳しい説明する。まず、図３８及び図３９を参照して、背面ケース３０
０の構造について説明する。
【０３３３】
図３８（ａ）は、背面ケース３００の正面図であり、図３８（ｂ）は、背面ケース３０
０の背面図である。図３９（ａ）は、背面ケース３００の分解斜視正面図であり、図３９
（ｂ）は、背面ケース３００の分解斜視背面図である。
【０３３４】
図３８及び図３９に示すように、背面ケース３００は、底壁部３０１の正面側（箱状に
形成された開放側（矢印Ｆ方向側））に配設される係合部材３１０と、背面ケース３００
の背面側（矢印Ｂ方向側）に配設され、上述した基板ボックス１００（主制御装置１１０
）を固定する固定部材３２０と、を主に備える。
【０３３５】
また、背面ケース３００は、底壁部３０１に正面側の２箇所から突設される突設部３０
１ｂと、固定部材３２０と対向する位置に開口する第１開口部３０１ｃと、係合部材３１
０と対向する位置に開口する第２開口部３０１ｄと、を備える。
【０３３６】
突設部３０１ｂは、係合部材３１０をスライド可能な状態で保持するための軸であり、
後述する係合部材３１０に開口する摺動溝３１４の内側に挿通される。また、突設部３０
１ｂは、円環状に突設されており、その円環状の内側にネジを螺合できる。よって、突設
部３０１ｂを摺動溝３１４の内側に挿通した後に、摺動溝３１４の溝幅よりも直径の大き
い頭部を有するネジを突設部３０１ｂに螺合することで、係合部材３１０を背面ケース３
００に配設できる。
【０３３７】
第１開口部３０１ｃは、後述する固定部材３２０の一部（係合部材３１０との係合部分
）を挿通するための開口であり、固定部材３２０の係合部分（後述する被係合部３３２）
を挿通可能な形状に形成される。これにより、背面ケース３００（底壁部３０１）の背面
側に配設される固定部材３２０を、背面ケース３００（底壁部３０１）の正面側に配設さ
れる係合部材３１０で係合させることができる。
【０３３８】
また、第１開口部３０１ｃは、固定部材３２０と係合部材３１０との係合側（矢印Ｌ方
向側）の反対側（矢印Ｒ方向側）となる端部に背面側に突出する突壁３０１ｃ１を備える
。突壁３０１ｃ１は、背面側の突設先端が略９０度屈曲する鉤状に形成され、その屈曲方
向が、第１開口部３０１ｃから離間する方向（矢印Ｒ方向）に設定される。
【０３３９】
突壁３０１ｃ１は、先端が後述する固定部材３２０の係止部３３１に挿入される。これ
により、固定部材３２０と係合部材３１０との係合部分の反対側（矢印Ｒ方向側）を係止
させることができる。その結果、背面ケース３００に配設される固定部材３２０を左右（
矢印Ｌ−Ｒ方向）の両端で支持する（係合させる）ことができ、固定部材３２０と係合部
材３１０との係合部分に力が集中することを抑制して固定部材３２０及び係合部材３１０
が破損することを抑制できる。なお、第１開口部３０１ｃへの固定部材３２０の配設につ
いての詳しい説明は後述する。
【０３４０】
第２開口部３０１ｄは、後述する係合部材３１０の一部（操作子３１５）を背面ケース
３００の背面側に挿通するための開口であり、これにより、係合部材３１０を背面ケース
の背面側から操作することができる。よって、上述したように、固定部材３２０を背面ケ
ース３００の背面に配置した後に、背面ケース３００の背面側から係合部材３１０を操作
して、固定部材３２０と係合部材とを背面ケース３００（底壁部３０１）の正面側で係合
させることができる。
【０３４１】
係合部材３１０は、正面視における外形がクランク状に形成されており、互いに平行と
なる方向に延設される第１片３１１及び第２片３１２と、その第１片３１１及び第２片３
１２の端部同士を第１片３１１及び第２片３１２の延設方向と直交する方向に連結する第
３片３１３とから構成される。
【０３４２】
上述した２の摺動溝３１４は、第１片３１１及び第２片第３１２にそれぞれ１箇所づつ
形成され、第１片３１１及び第２片３１２の延設方向（矢印Ｌ−Ｒ方向）に長い長穴状に
開口される。これにより、係合部材３１０は、第１片３１１及び第２片３１２の延設方向
（矢印Ｌ−Ｒ方向）に摺動可能とされる。
【０３４３】
第１片３１１は、第３片３１３が連結される他側（矢印Ｌ方向側）と反対側の一側（矢
印Ｒ方向側）の端部が、後述する固定部材３２０との係合部分として形成されており、第
１片３１１の延設方向と略直交する方向である上下方向（矢印Ｕ−Ｄ方向）の両外側に突
出する係合部３１６と、その２箇所の係合部３１６の略中間位置から第１片３１１の延設
方向（矢印Ｌ−Ｒ方向）に凹設される凹部３１７と、背面ケース３００の底壁部３０１側
（背面側（矢印Ｂ方向側））に向かって突出する操作子３１５と、を備える。
【０３４４】
係合部３１６は、正面視における外形が略三角形状に形成され、一側（矢印Ｒ方向側）
の外面が、一側の端部から他側（矢印Ｌ方向側）に向かう程、第１片３１１の外側に突出
する傾斜面として形成される一方、他側の外面が、第１片３１１の延設方向（矢印Ｌ−Ｒ
方向）に対して略直交する方向である上下方向（矢印Ｕ−Ｄ方向）延設される。
【０３４５】
凹部３１７は、第１片３１１の厚み方向に切り欠いて形成されると共に、第１片３１１
の一側（矢印Ｒ方向側）端部から他側（矢印Ｌ方向側）に向かって凹設される。よって、
第１片３１１の一側が二股に分割される。これにより、第１片３１１の一側の剛性を他側
に比べて低くすることができる。その結果、第１片３１１の一側を弾性変形させやすくし
て、係合部材３１０を固定部材３２０と係合させやすくできる。なお、係合部材３１０と
固定部材３２０との係合についての詳しい説明は後述する。
【０３４６】
操作子３１５は、係合部材３１０を操作する操作部分であり、第１片３１１の他側の端
部に形成され、その突出寸法が、背面ケース３００の底壁部３０１の板厚よりも大きい値
に設定され、少なくとも作業者が指で掴める程度の寸法分、背面ケース３００の背面側に
突出される。これにより、操作子３１５を底壁部３０１の第２開口部３０１ｄから突出さ
せることができると共に、その突出部分（操作子３１５の先端）を掴ませて操作させるこ
とができる。
【０３４７】
第２片３１２は、正面側に円形に凹設される締結孔３１８を備える。締結孔３１８は、
後述する回転ユニット７００の背面ベース７２０に貫通される孔（図８９参照）に挿通さ
れるネジを螺合させる部分である。これにより、背面ケース３００の内側（底壁部３０１
の正面側）に回転ユニット７００を配設した後、回転ユニット７００の背面側に配設され
る係合部材３１０を操作して、係合部材３１０を規定位置（後述する固定部材３２０との
係合位置）に操作することができると共に、締結孔３１８にネジを螺合して係合部材３１
０と回転ユニット７００（背面ベース７２０）とを締結することができる。従って、規定
位置に配置される係合部材３１０を背面ケース３００の背面側から突出する操作子３１５
の操作のみでは、操作不能にすることができる。その結果、パチンコ機１０が組み上げら
れた状態で、操作子３１５が不正に操作されて、固定部材３２０と基板ボックス１００（
主制御装置１１０）とが、不正な基板ボックスに簡易に交換されることを抑制できる。
【０３４８】
なお、この場合、回転ユニット７００の背面ベース７２０の孔を挿通して締結孔３１８
に締結されるネジは、遊技盤１３に配設される第１入賞口６４を取り外した孔から操作可
能としてもよい。この場合、遊技盤１３と背面ケース３００との締結を解除する必要がな
くなるので、正常な基板ボックス１００への交換作業が複雑化することを抑制できる。そ
の結果、正常な基板ボックス１００の交換作業を簡易にすることができる。
【０３４９】
固定部材３２０は、背面ケース３００と別部材から構成される。これにより、背面ケー
ス３００に比べて外形の小さい固定部材３２０に基板ボックス１００をカシメ固定させる
ことができるので、固定部材３２０が背面ケース３００と一体に形成される場合に比べて
、基板ボックス１００を配設しやすくできる。その結果、基板ボックス１００が固定部材
３２０から取り外されにくい状態で基板ボックス１００を背面ケース３００に配設しやす
くできる。
【０３５０】
また、背面ケース３００は、それぞれのパチンコ機の型式で同一形状の部品として流用
することができるところ、基板ボックス１００は、それぞれのパチンコ機１０の型式で形
状や大きさが異なるので、基板ボックス１００が配設される固定部材３２０を別のパチン
コ機との流用品とすることができない。従って、固定部材３２０が背面ケース３００と一
体に形成される場合に比べて、背面ケース３００の成形時の金型を別のパチンコ機と同一
の金型とすることができる。その結果、背面ケース３００に比べて外形の小さい固定部材
３２０の金型を形成するだけですむので、製造コストを削減できる。
【０３５１】
固定部材３２０は、上述した係合部材３１０と係合する介設部材３３０と、その介設部
材３３０に締結される軸支部材３４０とから構成される。これにより、軸支部材３４０を
別の遊技機の固定部材と同一の形状の流用品として使用することができる。
【０３５２】
介設部材３３０は、正面側（矢印Ｆ方向側）が開放する箱状に形成され、他側（矢印Ｌ
方向側）の側面に突設される係止部３３１と、他側（矢印Ｌ方向側）の側面から背面ケー
ス３００側（正面側）に突出して枠状に形成される被係合部３３２と、箱状の底面に円形
状に開口する挿通孔３３３と、背面から軸支部材３４０側に突出する突部３３４と、を主
に備える。
【０３５３】
係止部３３１は、固定部材３２０の他側（矢印Ｌ方向側）を底壁部３０１に係合させる
ための開口を備え、その開口に上述した第１開口部３０１ｃの周囲から断面Ｌ字状に突設
される突壁３０１ｃ１が挿通されることで底壁部３０１に係合される。これにより、介設
部材３３０（固定部材３２０）を背面ケース３００に配設する際に、介設部材３３０の係
止部３３１に突壁３０１ｃ１を挿通させて介設部材３３０の一側（矢印Ｒ方向側）を背面
ケース３００に対して係止することができる。
【０３５４】
被係合部３３２は、係合部材３１０と係合する部分であり、背面ケース３００側（矢印
Ｆ方向側）への突出寸法が、背面ケース３００に配設される係合部材３１０を超える寸法
に設定され、囲われる空間の正面側（矢印Ｆ方向側）の内面から底壁部３０１の正面まで
の距離寸法が、係合部材３１０の正面から底壁部３０１の正面までの距離よりも大きく設
定される。これにより、被係合部３３２により囲われる空間と係合部材３１０とが、前後
方向（矢印Ｆ−Ｂ方向）において重なる位置に配置される。
【０３５５】
挿通孔３３３は、介設部材３３０を後述する軸支部材３４０と締結するネジを挿通する
貫通孔であり、軸支部材３４０の締結孔３４３と同軸上に設定される。
【０３５６】
突部３３４は、断面略Ｌ字状に形成され、その屈曲側の先端部と介設部材３３０の底面
との間の距離が後述する軸支部材３４０の挿入部３４４の板厚よりも大きく設定される。
これにより、突部３３４の屈曲側の先端部と介設部材３３０の底面との対向間に挿入部３
４４を挿入して配設できる。
【０３５７】
軸支部材３４０は、背面ケース３００側（矢印Ｆ方向側）が開放する箱状に形成される
本体部３４１と、その本体部３４１の背面側（矢印Ｂ方向側）から断面略Ｕ字状に膨出す
る支持部３４２と、を主に備えて形成される。
【０３５８】
本体部３４１は、上方側（矢印Ｕ方向側）の側面から上方に向かって突出する挿入部３
４４と、箱状に形成される本体部３４１の底面側（矢印Ｄ方向側）から背面側（矢印Ｂ方
向側）に向かって凹設される締結孔３４３とを主に備える。
【０３５９】
挿入部３４４は、上述したように突部３３４の屈曲側の先端部と介設部材３３０の底面
との対向間に挿入される板部材である。これにより、軸支部材３４０の上方側が背面ケー
ス３００の背面側に傾倒することを抑制できる。
【０３６０】
締結孔３４３は、挿入部３４４と反対側の端部に偏る下方側（矢印Ｄ方向側）に配置さ
れる。また、上述したように、締結孔３４３は、介設部材３３０の挿通孔３３３（図３９
（ｂ）参照）を挿通するネジを締結する孔である。従って、軸支部材３４０は、上方側（
矢印Ｕ方向側）の挿入部３４４が介設部材３３０の突部３３４に挿入されると共に、下方
側が介設部材３３０と締結固定される。よって、軸支部材３４０は、下方側のネジの締結
のみで介設部材３３０に固定されるので、締結部分を少なくすることができ、製造工程の
簡易化をすることができる。
【０３６１】
支持部３４２は、上述した基板ボックス１００（主制御装置１１０）の軸受部１１７と
かしめ締結される部分であり、内部にかしめ金具を配設可能な中空状に形成される。なお
、基板ボックス１００は、かしめ金具による締結により、軸支部材３４０に対して回転可
能な状態で保持される。
【０３６２】
次いで、図４０（ａ）から図４１（ｂ）を参照して、係合部材３１０と固定部材３２０
との係合について説明する。図４０（ａ）は、係合部材３１０及び固定部材３２０の係合
前の状態における背面ケース３００の正面図であり、図４０（ｂ）は、係合部材３１０及
び固定部材３２０の係合前の状態における背面ケース３００の背面図である。図４１（ａ
）は、係合部材３１０及び固定部材３２０の係合後の状態における背面ケース３００の正
面図であり、図４１（ｂ）は、係合部材３１０及び固定部材３２０の係合後の状態におけ
る背面ケース３００の背面図である。なお、図４０（ｂ）及び図４１（ｂ）では、背面ケ
ース３００と重なる係合部材３１０の外形の一部が鎖線で図示される。
【０３６３】
図４０（ａ）及び図４０（ｂ）に示すように、係合部材３１０及び固定部材３２０の係
合前に、介設部材３３０及び軸支部材３４０が介設部材３３０側（正面側（矢印Ｆ方向側
））から挿入されるネジにより締結されて組み合わされる。これにより、介設部材３３０
及び軸支部材３４０が背面ケース３００の背面側から不正に分解される（締結されたネジ
が取り外される）ことを抑制できる。その結果、軸支部材３４０にかしめ固定される基板
ボックス１００が不正な基板ボックスに交換されることを抑制できる。
【０３６４】
締結された状態の介設部材３３０及び軸支部材３４０（固定部材３２０）は、上述した
ように介設部材３３０の係止部３３１の内側に第１開口部３０１ｃに形成される突壁３０
１ｃ１が挿入される。この場合、締結された状態の介設部材３３０及び軸支部材３４０（
固定部材３２０）は、突壁３０１ｃ１の屈曲側（矢印Ｒ方向側）から第１開口部３０１ｃ
に配設される。
【０３６５】
背面ケース３００に固定部材３２０が配置されると、被係合部３３２により囲われる空
間が、係合部材３１０の一側（係合部３１６側）端部と対向する位置に配置される。これ
により、係合部材３１０をスライド変位させることで、係合部材３１０の一側（矢印Ｒ方
向側）端部を被係合部３３２に囲われる空間に挿入できる。
【０３６６】
ここで、係合部材３１０の２箇所の係合部３１６の上下方向（矢印Ｕ−Ｄ方向）におけ
る外側寸法は、上述した固定部材３２０の被係合部３３２により囲われる空間の上下方向
における開口寸法よりも大きく設定される。そのために、被係合部３３２により囲われる
空間に係合部材３１０を配設できないという問題点がある。
【０３６７】
これに対して、係合部材３１０は、上述したように第１片３１１の一側（矢印Ｒ方向側
）に凹設される凹部３１７により、第１片３１１を弾性変形しやすくできると共に、係合
部３１６の三角形状により、係合部材３１０がスライド変位されて被係合部３３２の内縁
と当接した際の力を係合部材３１０の凹部３１７側に作用させることができる。その結果
、二股に形成される第１片３１１を弾性変形させて被係合部３３２に囲われる空間に挿入
できる。
【０３６８】
図４１（ａ）及び図４１（ｂ）に示すように、係合部材３１０及び固定部材３２０は、
係合部材３１０がスライド変位されて、係合部材３１０の第１片３１１が、介設部材３３
０の被係合部３３２により囲われる空間に挿通されると、弾性変形された第１片３１１が
変形前の形状に戻される。上述したように、係合部３１６は、他側の側面が第１片３１１
の延設方向と略直交する方向に延設される。従って、係合部材３１０を反対方向にスライ
ド変位させる力のみでは、第１片３１１を凹部３１７側に弾性変形させる力が作用されな
い。即ち、係合部３１６の傾斜面および凹部３１７により第１片３１１を被係合部３３２
により囲われる空間に挿入しやすくできると共に、係合部３１６の他側（矢印Ｌ方向側）
の側面により被係合部３３２により囲われる空間に挿入された第１片３１１を抜けにくく
することができる。その結果、遊技者の不正行為により、背面ケース３００の背面側から
固定部材３２０が取り外されることを抑制でき、固定部材３２０にかしめ締結される基板
ボックス１００（主制御装置１１０）が不正な基板ボックスに交換されることを抑制でき
る。
【０３６９】
また、背面ケース３００は、ベース板６０及び背面ケース３００の間に配設され、ベー
ス板６０の背面側（矢印Ｂ方向側）であって、ベース板６０および背面ケース３００（底
壁部３０１）の対向間の外側から操作可能な係合部材３１０を備え、固定部材３２０は、
背面ケース３００の正面側（矢印Ｆ方向側）に突出する被係合部３３２を備え、その被係
合部３３２と係合部材３１０とが係合して、背面ケース３００に配設されるので、ベース
板６０及び背面ケース３００の間に役物装置（本実例では、回転ユニット７００）を配設
した状態で、ベース板６０及び背面ケース３００の間の外側から係合部材３１０を操作し
て、係合部材３１０と固定部材３２０とを係合させることができる。
【０３７０】
従って、係合部材３１０をベース板６０及び背面ケース３００の対向間に配設される役
物装置に邪魔されることなく、固定部材３２０を背面ケース３００に配設することができ
る。その結果、固定部材３２０を背面ケース３００に簡易に配設することができる。
【０３７１】
また、背面ケース３００の正面側（矢印Ｆ方向側）に配設される被係合部３３２に係合
部材３１０を係合させるので、背面ケース３００と固定部材３２０との係合部分をベース
板６０及び背面ケース３００の対向間に配置することができる。これにより、ベース板６
０の背面側（矢印Ｂ方向側）から係合部材３１０と固定部材３２０との係合部分へのアク
セスが困難とされる。その結果、ベース板６０の背面側から係合部材３１０と固定部材３
２０との係合が解除されて、固定部材３２０に不正がされる（例えば、不正な固定部材に
交換される）ことを抑制できる。
【０３７２】
また、背面ケース３００は、固定部材３２０が配設される部分に開口される第１開口部
３０１ｃと、係合部材３１０が配設される部分に開口される第２開口部３０１ｄとを備え
、係合部材３１０は、背面ケース３００の正面側（矢印Ｆ方向側）に配設されると共に第
２開口部３０１ｄを介して（挿通して）背面ケース３００の背面側（矢印Ｂ方向側）から
操作可能とされ、固定部材３２０は、第１開口部３０１ｃを通過した被係合部３３２が背
面ケース３００の正面側に配置されるので、係合部材３１０と固定部材３２０の被係合部
３３２との係合部分に背面ケース３００の背面側からアクセスし難くできる。その結果、
背面ケース３００に配設される役物装置の大きさに関係なく、固定部材３２０を背面ケー
ス３００に固定することができると共に、遊技盤１３の背面側から操作されて不正な基板
ボックスに交換されることを防止することができる。
【０３７３】
さらに、係合部材３１０は、第２開口部３０１ｄを挿通して背面ケース３００の背面側
（矢印Ｂ方向側）に突出する操作子３１５を備えるので、背面ケース３００の正面側（矢
印Ｆ方向側）に係合部材３１０を配設した状態で係合部材３１０を操作しやすくできる。
その結果、係合部材３１０と固定部材３２０の被係合部３３２との係合操作をさせやすく
できる。
【０３７４】
また、係合部材３１０は、背面ケース３００（底壁部３０１）の正面側と平行な平面上
をスライド変位可能とされるので、係合部材３１０が、背面ケース３００に対して前後方
向（矢印Ｆ−Ｂ方向）に変位されない分、係合部材３１０の正面側（矢印Ｆ方向側）を背
面ケース３００に配設される役物装置の配設スペースとして利用しやすくできる。その結
果、背面ケース３００（底壁部３０１）の正面側の領域を役物装置の配設スペースとして
利用しやすくできる。
【０３７５】
次いで、図４１に示す状態から、背面ケース３００から固定部材３２０を取り外す場合
の操作について説明する。
【０３７６】
図４１に示すように、第１開口部３０１ｃは、正面視略Ｌ字状に開口されており、固定
部材３２０の被係合部３３２と係合状態における係合部材３１０の凹部３１７が、第１開
口部３０１ｃを介して背面ケース３００の背面側（矢印Ｂ方向側）から操作可能とされる
。
【０３７７】
よって、係合部材３１０の凹部３１７の外側部分を、専用の工具等で凹部３１７の凹設
側に弾性変形させることで、係合部材３１０の係合部３１６と被係合部３３２との係合が
解除される。この係合を解除した状態で、係合部材３１０を被係合部３３２により係合さ
れる内部空間から引き出す方向（矢印Ｌ方向）に変位させた後、係合部材３１０の変形を
戻すことで、係合部材３１０と被係合部３３２との係合を解除することができる。
【０３７８】
なお、係合部材３１０の凹部３１７の外側部分と第１開口部３０１ｃとの隙間は、なる
べく小さく形成されることが好ましい。これによれば、背面ケース３００から固定部材３
２０を取り外す人の指を挿入不可能にできると共に、専用の工具の挿入は可能とされる。
その結果、専用の工具を有する作業者のみに基板ボックス１００（主制御装置１１０）を
交換可能とさせることができ、不正な基板ボックス１００に交換されることを抑制できる
。
【０３７９】
次いで、図４２（ａ）及び図４２（ｂ）を参照して、軸支部材３４０にかしめ締結され
る基板ボックス１００（主制御装置１１０）について説明する。図４２（ａ）は、背面ケ
ース３００及び基板ボックス１００（主制御装置１１０）の斜視背面図であり、図４２（
ｂ）は、背面ケース３００及び基板ボックス１００（主制御装置１１０）の背面図である
。なお、図４２（ｂ）では、基板ボックス１００と重なる係合部材３１０の外形が鎖線で
図示される。
【０３８０】
図４２（ａ）及び図４２（ｂ）に示すように、基板ボックス１００は、一端側（矢印Ｒ
方向側）の端部から突出する軸受部１１７を備える。軸受部１１７は、上下方向（矢印Ｕ
−Ｄ方向）に所定の間隔を隔てて一対配設される。一対の軸受部１１７は、上述したよう
に軸支部材３４０の支持部３４２とかしめ締結される部分であり、支持部３４２の上下方
向（矢印Ｕ−Ｄ方向）の寸法と対向間の間隔が略同一に設定される。これにより、基板ボ
ックス１００は、一対の軸受部１１７の対向間に支持部３４２を配設すると共に、軸受部
１１７の上方からかしめピンを挿入してかしめ固定することで、軸支部材３４０に締結さ
れる。
【０３８１】
以上のように構成される基板ボックス１００によれば、基板ボックス１００は、軸支部
材３４０に対して回転可能に保持されると共に、係合部材３１０の背面側に配設されるの
で、上述したように、操作子３１５を操作して係合部材３１０を固定部材３２０に係合さ
せる場合には、基板ボックス１００を回転させることで、操作子３１５を操作させやすく
できる。また、係合部材３１０を固定部材３２０に係合させた後には、基板ボックス１０
０を係合部材３１０の背面側に配置することで、操作子３１５を背面ケース３００の背面
側から操作しにくくできる。その結果、パチンコ機１０が組み立てられた後に、操作子３
１５が操作されて、不正な基板ボックスに交換されることを抑制できる。
【０３８２】
なお、基板ボックス１００の他端側（矢印Ｌ方向側）は、背面ケース３００の底壁部３
０１に向かって、基板ボックス１００の背面側（矢印Ｂ方向側）から挿入されて背面ケー
ス３００に締結されるネジにより固定される。これにより、基板ボックス１００は、背面
ケース３００の背面側に回転（動作）不能な状態で配設される。
【０３８３】
次いで、図４３から図６９を参照して、下変位ユニット４００の詳細な構成を説明する
。まず、図４３から図４６を参照して、下変位部材４４０を変位させる構造について説明
する。
【０３８４】
図４３は、下変位ユニット４００の正面図であり、図４４は、下変位ユニット４００の
背面図である。図４５は、下変位ユニット４００の分解斜視正面図であり、図４６は、下
変位ユニット４００の分解斜視背面図である。なお、図４３から図１４では、下変位部材
４４０が退避位置（ベース部材４１０に対して一番下方に配置された位置）に配置された
状態が図示される。
【０３８５】
図４３から図４６に示すように、下変位ユニット４００は、背面ケース３００の底壁部
３０１（図６参照）に配設されるベース部材４１０と、そのベース部材４１０に配設され
る伝達部材４２０と、ベース部材４１０に連結されると共に伝達部材４２０の変位に伴っ
て変位されるリンク部材４３０と、一端がベース部材４１０に摺動可能に連結されると共
に他端がリンク部材４３０に連結されてリンク部材４３０から駆動力を伝達されることで
変位する下変位部材４４０とを主に備えて形成される。
【０３８６】
ベース部材４１０は、正面視矩形横長の板部材を前後方向に２枚組み合わせて形成され
、正面側に配置される正面ベース４１１と、背面側に配置される背面ベース４１２とを備
える。正面ベース４１１と背面ベース４１２との対向間には、伝達部材４２０及びリンク
部材４３０とが配置される。
【０３８７】
正面ベース４１１は、前後方向（図４３紙面奥行方向）に貫通した２つの摺動溝４１１
ａ，４１１ｂと、背面側に突出する円柱状の２本の軸支ピン４１１ｃ，４１１ｄと、軸支
ピン４１１ｄを軸とした円弧状に突出する湾曲壁部４１１ｅとを主に備えて形成される。
【０３８８】
摺動溝４１１ａ，４１１ｂは、下変位部材４４０の背面側から突出する２本の突起４７
２，４７３がそれぞれ挿通される孔である。摺動溝４１１ａ，４１１ｂは、それぞれ左右
方向に長く伸びて形成される。よって、摺動溝４１１ａ，４１１ｂに挿通された突起４７
２，４７３を摺動溝４１１ａ，４１１ｂに沿って変位させることで、下変位部材４４０を
左右方向に摺動させることができる。
【０３８９】
また、摺動溝４１１ａ，４１１ｂは、それぞれ円弧状に湾曲して形成されており、正面
ベース４１１の左側（図４３左側）端部から右側（図４３右側）端部にかけて上方（図４
３上方向）に開口される。さらに、摺動溝４１１ａ，４１１ｂは、それぞれの円弧の軸が
異なる位置に配置され、上下方向（図４３上下方向）における対向間の隙間が左端部から
右端部にかけて狭くされる。
【０３９０】
後述する下変位部材４４０のベース部材４７０の突起４７２，４７３は、その間の距離
が変わらないので、下変位部材４４０を摺動溝に沿って摺動させた場合には、下変位部材
４４０を回転させつつ変位させることができる。即ち、２つの摺動溝４１１ａ，４１１ｂ
の間の距離を変更することで、下変位部材４４０に回転の駆動力を与えることなく下変位
部材４４０を摺動に伴って回転させることができる。なお、下変位部材４４０の詳しい変
位の態様は後述する。
【０３９１】
軸支ピン４１１ｃは、後述する伝達部材４２０のカム部材４２２の軸部４２２ａに挿入
される突起であり、軸部４２２ａの内径よりも小さい外径の円柱状に形成される。また、
軸支ピン４１１ｃは、金属製の棒状体から形成され、正面ベース４１１に外嵌される。よ
って、カム部材４２２にその外周面から軸方向に向かって力が作用した際に、軸支ピン４
１１ｃが折れる（破損する）ことを抑制できる。
【０３９２】
軸支ピン４１１ｄは、後述する第１リンク部材４３１の一端に形成される貫通孔４３１
ａに挿入される突起であり、貫通孔４３１ａの内径よりも小さい外径の円柱状に形成され
る。また、軸支ピン４１１ｄは、金属性の棒状体から形成され、正面ベース４１１に外嵌
される。よって、第１リンク部材４３１に貫通孔４３１ａの方向に向かって力が作用した
際に、軸支ピン４１１ｄが折れる（破損する）ことを抑制できる。
【０３９３】
湾曲壁部４１１ｅは、正面ベース４１１の背面側から突出すると共に、軸支ピン４１１
ｄの軸を中心に湾曲して形成される。湾曲壁部４１１ｅの突出距離は、後述する第１リン
ク部材４３１の板状突起４３１ｂの突出先端面に当接する距離に設定される。よって、第
１リンク部材４３１が前方側に位置ずれすることが抑制される。また、湾曲壁部４１１ｅ
は、軸支ピン４１１ｄの軸を中心に湾曲して形成されるので、第１リンク部材４３１が軸
支ピン４１１ｄの軸周りに回転された場合でも、第１リンク部材４３１の板状突起４３１
ｂを湾曲壁部４１１ｅの突出先端面と当接させることができる。
【０３９４】
回収口４１１ｆは、後述する下変位部材４４０の球受部４６７の移動により、出射開口
４７１から出された球を、回収口４１１ｆに流入させて回収するための開口である。回収
口４１１ｆの下流側は、球の回収経路に連結される。回収口４１１ｆは、正面ベース４１
１の右側端部に突出して形成される孔であり、その開口面が、退避状態における下変位部
材４４０と対向した面および第１張出状態における下変位部材４４０の出射開口４７１の
重力方向下側に位置する面とされる。
【０３９５】
また、退避状態における下変位部材４４０の出射開口４７１は、回収口４１１ｆの上方
に配置される。よって、出射開口４７１から出射された球を回収口４１１ｆに受け入れて
速やかに回収することができる。
【０３９６】
背面ベース４１２は、正面側（図４４紙面手前側）から背面側に向かって凹設される溝
部４１２ａ，４１２ｂと、溝部４１２ｂの近傍に正面側に向かって突出形成される係止部
４１２ｃとを主に備えて形成される。
【０３９７】
溝部４１２ａは、上述した正面ベース４１１の軸支ピン４１１ｃの先端側を挿入する孔
であり、軸支ピン４１１ｃの外径よりも大きい内径の円形に形成されると共に、軸支ピン
４１１ｃと対向する位置に凹設される。よって、カム部材４２２は、軸部４２２ａに軸支
ピン４１１ｃを挿通した後に、正面ベース４１１と背面ベース４１２とが組み合されるこ
とで、ベース部材４１０から脱落不能に保持される。また、背面ベース４１２が、軸支ピ
ン４１１ｃの先端部を保持することができるので、カム部材４２２にその外周面から軸方
向に力が作用した際に、軸支ピン４１１ｃが正面ベース４１１との連結部から曲がって折
れることを抑制できる。
【０３９８】
溝部４１２ｂは、上述した正面ベース４１１の軸支ピン４１１ｄの先端側を挿入する孔
であり、軸支ピン４１１ｄの外径よりも大きい内径の円形に形成されると共に、軸支ピン
４１１ｄと対向する位置に凹設される。よって、第１リンク部材４３１は、貫通孔４３１
ａに軸支ピン４１１ｄを挿通した後に、正面ベース４１１と背面ベース４１２とが組み合
わされることで、ベース部材４１０から脱落不能に保持される。また、背面ベース４１２
が、軸支ピン４１１ｄの先端部を保持することができるので、第１リンク部材４３１に貫
通孔４３１ａの方向に力が作用した際に、軸支ピン４１１ｄが正面ベース４１１との連結
部から曲がって折れることを抑制できる。
【０３９９】
係止部４１２ｃは、後述する付勢ばねＳＰ１の一端側を係止する板であり、付勢ばねＳ
Ｐ１の外側に形成される。これにより、付勢ばねＳＰ１の一端側を係止することができる
。なお、付勢ばねＳＰ１の詳しい説明は後述する。
【０４００】
伝達部材４２０は、正面ベース４１１の正面側に取着される駆動モータＫＭ１の軸に連
結される伝達ギヤ４２１と、その伝達ギヤ４２１と歯合され伝達ギヤ４２１の駆動に伴っ
て回転されるカム部材４２２とを主に備えて形成される。
【０４０１】
伝達ギヤ４２１は、外周面全域に歯合面を有するギヤであり、駆動モータＫＭ１の軸部
に外嵌される。よって、駆動モータＫＭ１に電力が付与されて軸部が回転されると、伝達
ギヤ４２１も同様に回転される。
【０４０２】
カム部材４２２は、正面視における外形が大きさの異なる２つの半円の一端同士を組み
合わせた形状に形成されると共に、前後方向に所定の厚みを有する板状体から形成される
。カム部材４２２の外形の小さい半円部には、外周面に伝達ギヤ４２１と歯合する歯面４
２２ｂが刻設されると共に、半円の中心に軸部４２２ａが貫通形成される。カム部材４２
２の外形の大きい半円部には、後述するリンク部材４３０と対向する背面側に凹設される
摺動溝４２２ｃが形成される。
【０４０３】
軸部４２２ａは、上述したように軸支ピン４１１ｃを挿通する孔であり、軸支ピン４１
１ｃに軸部４２２ａが回転可能に軸支されることで、カム部材４２２が軸支ピン４１１ｃ
の軸を中心に回転可能に保持される。
【０４０４】
カム部材４２２は、歯面４２２ｂが伝達ギヤ４２１と歯合した状態でベース部材４１０
に配設されるので、伝達ギヤ４２１が回転されると、カム部材４２２が軸部４２２ａの軸
を中心に回転できる。
【０４０５】
摺動溝４２２ｃは、カム部材４２２の半径の大きい半円部の外周部に沿って凹設される
。従って、一端側から他端側に向かうにつれて軸部４２２ａとの距離が大きくされる。ま
た、摺動溝４２２ｃは、下変位部材４４０が後述する退避状態に位置する際に第１リンク
部材４３１の摺動突起４３１ｄから貫通孔４３１ａの方向に延設される段部４２２ｃ１と
、下変位部材４４０が後述する第２張出状態に位置する際に摺動突起４３１ｄから貫通孔
４３１ａの方向に延設される段部４２２ｃ３と、下変位部材４４０が退避状態と第２張出
状態との中間状態の第１張出状態に位置する際に摺動突起４３１ｄから貫通孔４３１ａの
方向に延設される段部４２２ｃ２とを備える。
【０４０６】
リンク部材４３０は、第１リンク部材４３１と第２リンク部材４３２との２つのリンク
部材から形成される。また、リンク部材４３０は、第１リンク部材４３１と第２リンク部
材４３２とのそれぞれの端部が回転可能に連結して形成される。
【０４０７】
第１リンク部材４３１は、正面視略くの字形状に屈曲して形成されると共に、前後方向
に所定の厚みを有する板状に形成される。第１リンク部材４３１は、カム部材４２２の変
位に伴って変位するリンクであり、一端側に前後方向に貫通する貫通孔４３１ａと、他端
側に背面側に突出する円柱状の連結突起４３１ｃと、上述した湾曲壁部４１１ｅと対向す
る位置に突出する板状突起４３１ｂと、屈曲部分の正面側に突出する円柱状の摺動突起４
３１ｄとを主に備えて形成される。
【０４０８】
貫通孔４３１ａは、上述したように軸支ピン４１１ｄが挿入される貫通孔である。第１
リンク部材４３１は、貫通孔４３１ａに軸支ピン４１１ｄが挿入された状態で正面ベース
４１１と背面ベース４１２とが組み合わされることで、ベース部材４１０に対して回転可
能に保持される。
【０４０９】
板状突起４３１ｂは、第１リンク部材４３１が前後方向に位置ずれすることを抑制して
、第１リンク部材４３１が前方に配置されるカム部材４２２と衝突することを抑制する突
起であり、貫通孔４３１ａを軸とした湾曲状に突出する板状体に形成されると共に、その
突出長さが、カム部材４２２の前後方向の厚みよりも大きく設定される。これによりカム
部材４２２の背面と第１リンク部材４３１の正面とが衝突することを抑制できる。
【０４１０】
また、板状突起９４３１ｂの突設寸法は、カム部材４２２の厚み（矢印Ｆ−Ｂ方向寸法
）寸法よりも大きく設定される。さらに、板状突起４３１ｂの突設先端面と対向するベー
ス部材４１０（湾曲壁部４１１ｅ）とは、若干の隙間（距離Ｘ１４（図５５（ａ）参照）
）を隔てて配置される。
【０４１１】
カム部材４２２は、板状突起４３１ｂを除く第１リンク部材９４３１の正面と湾曲壁部
４１１ｅの突出面（背面）との対向間における領域を変位可能な状態で配置される。また
、カム部材４２２及び第１リンク部材４３１との対向間の隙間と、カム部材４２２及びベ
ース部材４１０の対向間の隙間と、を合わせた２箇所の隙間の寸法は、上述した距離Ｘ１
４よりも大きく設定される。
【０４１２】
これにより、上述した距離Ｘ１４が小さくなる方向（矢印Ｆ方向）に第１リンク部材９
４３１が、撓んだ際に板状突起４３１ｂの突設先端面を対向するベース部材４１０（湾曲
壁部４１１ｅ）に当接させることができる。よって、板状突起９４３１ｂを除く第１リン
ク部材９４３１の正面と湾曲壁部４１１ｅの突出面（背面）との対向間にカム部材４２２
が挟まれて変位が規制されることを抑制できる。
【０４１３】
連結突起４３１ｃは、後述する第２リンク部材４３２と連結される軸部であり、第２リ
ンク部材４３２の貫通孔４３２ａに挿入されると共に、背面側から頭部の外径が貫通孔４
３２ａよりも大きいネジ等が締結される。これにより、第１リンク部材４３１と第２リン
ク部材４３２とが回転可能に連結される。
【０４１４】
貫通孔４３１ａの縁部には、背面側に突出する壁部４３１ｆが形成される。壁部４３１
ｆは、後述する付勢ばねＳＰ１をその外周面にはめ込んで保持するための壁面である。
【０４１５】
リンク側係合部４３１ｅは、壁部４３１ｆにはめ込んだ付勢ばねＳＰ１の他端側を係止
する突起であり、第１リンク部材４３１の一端側の背面側に鉤状に突出して形成される。
よって、付勢ばねＳＰ１は、一端側が背面ベース４１２の係止部４１２ｃに係合された状
態とされ、他端側が第１リンク部材４３１のリンク側係合部４３１ｅに係合された状態と
される。従って、付勢ばねＳＰ１の付勢力を、第１リンク部材４３１の他端側をベース部
材４１０に対して上方に回転させる方向に作用させることができる。その結果、下変位部
材４４０を回転変位させる際に、付勢ばねＳＰ１の付勢力が作用するので、駆動モータＫ
Ｍ１の消費エネルギーを抑えることができる。
【０４１６】
摺動突起４３１ｄは、貫通孔４３１ａからカム部材４２２の軸部４２２ａとの離間距離
と略同一距離貫通孔４３１ａから離間した位置に形成される。また、摺動突起４３１ｄは
、その先端部分が摺動溝４２２ｃの内側に挿入される。即ち、摺動突起４３１ｄは、その
外径の大きさが、摺動溝４２２ｃの対向間における幅寸法よりも小さく形成される。
【０４１７】
摺動突起４３１ｄは、摺動溝４２２ｃの内側に配置されることで、カム部材４２２の回
転変位に伴って、摺動溝４２２ｃの内側を摺動して変位される。即ち、カム部材４２２が
変位されることで、第１リンク部材４３１が、貫通孔４３１ａの軸を中心に回転変位され
る。なお、第１リンク部材４３１の変位についての詳しい説明は後述する。
【０４１８】
また、摺動突起４３１ｄと板状突起４３１ｂとは、近接する位置に形成されるので、板
状突起４３１ｂにより第１リンク部材４３１の前方への変位が抑制される。よって、摺動
突起４３１ｄがカム部材４２２を前方に押し出すことを抑制できる。その結果、カム部材
４２２に凹設される摺動溝４２２ｃの凹設深さを深くする必要がなくなり、カム部材４２
２の前後方向の厚さを厚くすることなくその剛性を確保できる。
【０４１９】
第２リンク部材４３２は、一方が長い正面視矩形に形成されると共に、前後方向に所定
の厚みを備えた板状に形成される。第２リンク部材４３２は、一端側に前後方向に貫通形
成される貫通孔４３２ａと、他端側に前後方向に貫通形成される貫通孔４３２ｂとを主に
備えて形成される。
【０４２０】
貫通孔４３２ａは、上述したように第１リンク部材４３１と連結されるための孔であり
、内部に連結突起４３１ｃが挿入される。これにより、第２リンク部材４３２は、第１リ
ンク部材４３１に対して回転可能に連結される。
【０４２１】
貫通孔４３２ｂは、後述する下変位部材４４０と連結されリンク部材４３０の変位を下
変位部材４４０に伝達できる。貫通孔４３２ｂは、後述する背面ケース４８２の突起４８
２ａが挿入される孔であり、その内径が突起４８２ａの外径よりも大きく形成される。よ
って、貫通孔４３２ｂに突起４８２ａを挿入すると共に、突起４８２ａの先端部に貫通孔
４３２ｂの内径よりも大きい頭部を有するネジ等を締結することで、下変位部材４４０が
、第２リンク部材４３２に対して回転可能に保持される。よって、下変位部材４４０の駆
動は、カム部材４２２が回転変位された際に、その変位がリンク部材４３０を介して伝達
される。
【０４２２】
次いで、図４７から図５２を参照して、下変位部材４４０の変位動作について説明する
。図４７は、退避状態における下変位ユニット４００の正面図であり、図４８は、第１張
出状態における下変位ユニット４００の正面図であり、図４９は、第２張出状態における
下変位ユニット４００の正面図である。図５０は、退避状態における下変位ユニット４０
０の背面図であり、図５１は、第１張出状態における下変位ユニット４００の背面図であ
り、図５２は、第２張出状態における下変位ユニット４００の背面図である。なお、図５
０から図５２では、背面ベース４１２が透明視された状態が図示される。また、図５０か
ら図５２では、第１リンク部材４３１の板状突起４３１ｂ及び湾曲壁部４１１ｅの一部が
鎖線で図示される。
【０４２３】
また、退避状態とは、摺動溝４２２ｃの内側に配置される摺動突起４３１ｄが、段部４
４２ｃ１の対向間に配置され、下変位部材４４０が下側に配置された状態である。第２張
出状態とは、摺動突起４３１ｄが段部４４２ｃ３の対向間に配置され、下変位部材４４０
の先端側が一番上方に配置された状態である。第１張出状態とは、摺動突起４３１ｄが段
部４４２ｃ２の対向間に配置され、下変位部材４４０が、退避状態と第２張出状態との中
間状態に配置された状態である。
【０４２４】
図４７及び図５０に示すように、退避状態における下変位ユニット４００は、第１位置
のカム部材４２２が、伝達ギヤ４２１に回転されて摺動溝４２２ｃの他端側（段部４２２
ｃ３側）を軸部４２２ａの背面視右側（図５０右側）へ位置させた状態とされる。この場
合、第１リンク部材４３１の摺動突起４３１ｄは、摺動溝４２２ｃの内壁に沿って案内さ
れて、段部４２２ｃ１に位置した状態とされる。よって、第１リンク部材４３１は、他端
側（連結突起４３１ｃ側）が、一端側の貫通孔４３１ａの背面視右側（図５０右側）に位
置した状態（貫通孔４３１ａを軸に回転して他端側を回転可能な範囲の下端に位置させた
状態（第１従動位置））とされる。
【０４２５】
第２リンク部材４３２は、第１リンク部材４３１に連結されるので、第１リンク部材４
３１に連結される一端側（貫通孔４３２ａ側）が、背面視右側（図５０右側）へ位置され
る。これにより、第２リンク部材４３２に連結される下変位部材４４０は、正面ベース４
１１と連結される突起４７２，４７３が、摺動溝４１１ａ，４１１ｂの背面視右側（図５
０右側）に位置された状態とされる。上述したように、摺動溝４１１ａ，４１１ｂの垂直
方向の対向間の距離は、背面視右側の方が左側よりも大きくされるので、下変位部材４４
０は、長手方向を左右方向と略平行にした状態で配置される。即ち、正面ベース４１１の
前方に配置された状態とされる。
【０４２６】
図４７及び図５０に示す退避状態から図４６及び図５１に示す第１張出状態への変位は
、カム部材４２２が変位されることで行われる。
【０４２７】
第１張出状態では、駆動モータＫＭ１の駆動力により伝達ギヤ４２１が回転され、カム
部材４２２が、退避状態の位置から略９０度回転されて第３位置に変位される。これによ
り、カム部材４２２の他端側（段部４２２ｃ３側）を軸部４２２ａの上方に位置した状態
とされる。この回転変位により、摺動溝４２２ｃの内壁に案内される第１リンク部材４３
１の摺動突起４３１ｄが摺動溝４２２ｃの変位に伴って変位されて、第３従動位置に配置
される。なお、第１張出状態では、摺動突起４３１ｄが、摺動溝４２２ｃの段部４２２ｃ
２の内壁の対向間に案内される。
【０４２８】
よって、第１リンク部材４３１は、摺動突起４３１ｄの変位により貫通孔４３１ａを中
心に略３０度回転され、他端側（連結突起４３１ｃ側）が退避状態の位置から、背面視左
上（図５１左上）に変位される。
【０４２９】
第１リンク部材４３１の回転変位により、第１リンク部材４３１に連結される第２リン
ク部材４３２が変位され、第２リンク部材４３２に連結される下変位部材４４０が変位さ
れる。この場合、下変位部材４４０は、突起４７２，４７３が、正面ベース４１１の摺動
溝４１１ａ，４１１ｂに摺動可能に連結されるので、摺動溝４１１ａ，４１１ｂの形状に
沿って変位される。上述したように、摺動溝４１１ａ，４１１ｂの垂直方向の対向間の距
離は、背面視右側から左側に行くに従って狭くされるので、下変位部材４４０は、正面視
右側（図４８右側）にスライド変位されつつ、先端側が上方に回転変位される。
【０４３０】
また、第１張出状態では、先端側の重力方向下側に回収口４１１ｆが位置された状態と
される。即ち、下変位部材４４０を退避状態から第１張出状態への遷移の際に、スライド
変位させつつ回転変位させることで、下変位部材４４０の先端側をベース部材４１０の正
面視右側に張り出させることなく変位させることができる。その結果、他の変位役物の可
変領域と異なる変位領域を形成しやすくできる。他の変位役物と衝突することを抑制でき
る。
【０４３１】
また、回収口４１１ｆが下変位部材４４０の一端側（正面ベース４１１に連結される突
起４７２、４７３側と反対側）の下方に位置されるので、後述する下変位部材４４０の球
受部４６７が発射動作して、球が出射開口４７１からそのまま下方に落下した場合に、球
を回収口４１１ｆに送球させることができる。
【０４３２】
図４８及び図５１に示す第１張出状態から図４９及び図５２に示す第２張出状態への変
位は、第１張出状態から更にカム部材４２２が変位されることで行われる。
【０４３３】
第２張出状態では、第１張出状態から、駆動モータＫＭ１の駆動力により伝達ギヤ４２
１が回転され、カム部材４２２が、第１張出状態の位置（第３位置）から略９０度回転さ
れた第２位置に配置される。よって、カム部材４２２の他端側（段部４２２ｃ３側が軸部
４２２ａの上方に位置した状態とされる。また、この回転変位により摺動溝４２２ｃの内
壁に案内される第１リンク部材４３１の摺動突起４３１ｄが摺動溝４２２ｃの変位に伴っ
て変位されて、第２従動位置に配置される。なお、第２張出状態では、摺動突起４３１ｄ
が、摺動溝４２２ｃの段部４２２ｃ１の内壁の対向間に案内される。
【０４３４】
よって、第１リンク部材４３１は、摺動突起４３１ｄの変位により貫通孔４３１ａを中
心に略３０度回転され、他端側（連結突起４３１ｃ側）が第１張出状態の位置から、背面
視略左上（図５２左上）に変位される。
【０４３５】
第１リンク部材４３１の回転変位により、第１リンク部材４３１に連結される第２リン
ク部材４３２が変位され、第２リンク部材４３２に連結される下変位部材４４０が変位さ
れる。この場合、下変位部材４４０は、突起４７２，４７３が、正面ベース４１１の摺動
溝４１１ａ，４１１ｂに摺動可能に連結されるので、摺動溝４１１ａ，４１１ｂの形状に
沿って変位される。上述したように、摺動溝４１１ａ，４１１ｂの垂直方向の対向間の距
離は、背面視右側から左側に行くに従って狭くされるので、下変位部材４４０は、正面視
右側（図４９右側）にスライド変位されつつ、先端側が上方に回転変位される。
【０４３６】
また、第１張出状態と同様に、第２張出状態では、先端側の重力方向下側に回収口４１
１ｆが位置された状態とされる。即ち、下変位部材４４０を退避状態から第２張出状態へ
の遷移の際に、スライド変位させつつ回転変位させることで、下変位部材４４０の先端側
をベース部材４１０の正面視右側に張り出させることなく変位させることができる。その
結果、他の変位役物の可変領域と異なる変位領域を形成しやすくでき、他の変位役物と衝
突することを抑制できる。
【０４３７】
次いで、図５３を参照して、各状態における第１リンク部材４３１とカム部材４２２と
の位置関係を説明する。図５３（ａ）は退避状態における、図５３（ｂ）は第１張出状態
における、図５３（ｃ）は第２張出状態における、第１リンク部材４３１とカム部材４２
２との背面図である。なお、図５３（ａ）から図５３（ｃ）では、カム部材４２２の第１
リンク部材４３１と重なる部分が鎖線で図示される。
【０４３８】
図５３（ａ）に示すように、退避状態では、第１リンク部材４３１の摺動突起４３１ｄ
が、摺動溝４２２ｃの段部４２２ｃ１の内壁の対向間に配置される。また、上述したよう
に、摺動突起４３１ｄは、貫通孔４３１ａからカム部材４２２の軸部４２２ａとの離間距
離と略同一距離、貫通孔４３１ａから離間した位置に形成される。よって、退避状態に位
置する第１リンク部材４３１に貫通孔４３１ａの軸を中心に回転する力が作用する際に、
その力を摺動突起４３１ｄから、カム部材４２２の軸部４２２ａに作用させることできる
。従って、第１リンク部材４３１の回転力で、カム部材４２２が回転することを抑制でき
る。その結果、退避状態において、第２リンク部材４３２を介して第１リンク部材４３１
に連結される下変位部材４４０が変位されること抑制できる。
【０４３９】
図５３（ｂ）に示すように、第１張出状態では、第１リンク部材４３１の摺動突起４３
１ｄ、摺動溝４２２ｃの段部４２２ｃ２の内壁の対向間に配置される。よって、退避状態
と同様に、第１張出状態に位置する第１リンク部材４３１に貫通孔４３１ａを中心に回転
する力が作用する際に、その力を摺動突起４３１ｄから、カム部材４２２の軸部４２２ａ
に作用させることができる。従って、第１リンク部材４３１の回転力で、カム部材４２２
が回転することを抑制できる。その結果、第１張出状態において、第２リンク部材４３２
を介して第１リンク部材４３１に連結される下変位部材４４０が変位されることを抑制で
きる。
【０４４０】
ここで、第１張出位置では、下変位部材４４０の変位の中間位置となるために停止した
状態を維持させるためには、駆動モータＫＭ１を停止状態で維持させる必要がある。その
ため、第１張出位置（変位の中間位置）で下変位部材４４０を停止させていると消費エネ
ルギーが嵩むという問題があった。
【０４４１】
これに対し、本実施形態では、第１張出状態では、第１リンク部材４３１の摺動突起４
３１ｄが、摺動溝４２２ｃの段部４２２ｃ２の内壁の対向間に配置されるので、上述した
ように、下変位部材４４０が変位されることを抑制できる。よって、下変位部材４４０を
変位の途中の位置で停止させた際に、駆動モータＫＭ１の電力を停止させたとしても、下
変位部材４４０が変位することを抑制できる。その結果、下変位部材４４０を変位途中で
停止した際に駆動モータＫＭ１の消費エネルギーが嵩むことを抑制できる。
【０４４２】
図５３（ｃ）に示すように、第２張出状態では、第１リンク部材４３１の摺動突起４３
１ｄ、摺動溝４２２ｃの段部４２２ｃ２の内壁の対向間に配置される。よって、退避状態
および第１張出状態と同様に、第２張出状態に位置する第１リンク部材４３１に貫通孔４
３１ａの軸を中心に回転する力が作用する際に、その力を摺動突起４３１ｄから、カム部
材４２２の軸部４２２ａに作用させることができる。従って、第１リンク部材４３１の回
転力で、カム部材４２２が回転することを抑制できる。その結果、第２張出状態において
、第２リンク部材４３２を介して第１リンク部材４３１に連結される下変位部材４４０が
変位されることを抑制できる。
【０４４３】
また、各段部４２２ｃ１，４２２ｃ２，４２２ｃ３は、摺動突起４３１ｄと貫通孔４３
１ａとを結ぶ方向に延設されるので、第１リンク部材４３１の摺動突起４３１ｄが変位す
る方向の摺動溝４２２ｃの幅寸法を小さくできる。よって、退避位置、第１張出位置およ
び第２張出位置での、第１リンク部材４３１が貫通孔４３１ａの軸を中心に回転変位でき
る摺動溝４２２ｃと摺動突起４３１ｄとの隙間を小さくできる。従って、各状態における
第１リンク部材４３１が、貫通孔４３１ａの軸を中心に回転変位可能な隙間を小さくでき
る。その結果、各状態における下変位部材４４０が振動や変位停止時の慣性力で揺れ動く
幅を小さくでき、遊技者に停止した状態を視認させやすくできる。
【０４４４】
よって、下変位部材４４０を駆動する伝達部材４２０及びリンク部材４３０（駆動機構
）は、球受部４６７から遊技球が出射される際の反作用の方向に下変位部材４４０が変位
されることを規制することができるので、反作用に伴って下変位部材４４０がベース部材
４１０に対して変位されることを抑制できる。その結果、下変位部材４４０のがたつきを
抑制できる。
【０４４５】
次いで、図５４を参照して、リンク部材４３０及びカム部材４２２との前後方向の関係
を説明する。図５４（ａ）は、図５０のＬＩＶａ−ＬＩＶａ線における下変位ユニット４
００の断面模式図であり、図５４（ｂ）は、図５１のＬＩＶｂ−ＬＩＶｂ線における下変
位ユニット４００の断面模式図である。なお、図５１及び図５２では、背面ベース４１２
を透明視して図示したが、図５４（ａ）及び（ｂ）では、透明視していない状態の下変位
ユニット４００の断面図が図示される。
【０４４６】
図５４（ａ）に示すように、退避状態における下変位ユニット４００のリンク部材４３
０は、背面ベース４１２とカム部材４２２との間に配置される。よって、下変位部材４４
０が前後方向に揺れ動くことを抑制できる。即ち、第１リンク部材４３１の他端側は、第
２リンク部材４３２を介して複数の備品を組み合わせて構成される下変位部材４４０に連
結されるので、下変位部材４４０の荷重により前後方向に撓む恐れがあるところ、カム部
材４２２が前方に配置されるので、第１リンク部材４３１が前方に撓むことを抑制できる
。その結果、第１リンク部材４３１が前方に動くことを抑制できるので、下変位部材４４
０が前後方向へ揺れ動くことを抑制できる。
【０４４７】
図５４（ｂ）に示すように、第１張出状態における下変位ユニット４００のリンク部材
４３０は、退避状態の場合と同様に、背面ベース４１２とカム部材４２２との間に配置さ
れる。よって、下変位部材４４０が前後方向に揺れ動くことを抑制できる。
【０４４８】
また、退避状態および第１張出状態では、カム部材４２２がリンク部材４３０の第１リ
ンク部材４３１と第２リンク部材４３２との連結部分の前方側に配置される。よって、リ
ンク部材４３０は、２の部材から形成されるとその連結部分を回転可能にする必要がある
ためその隙間の分、他の部分より剛性が弱くなり屈曲しやすくなるところ、前方側にカム
部材４２２が配置されるので、リンク部材４３０の連結部分が屈曲することを抑制できる
。その結果、下変位部材４４０が前後方向にゆれ動くことを抑制できる。
【０４４９】
＜従動部材の変位を規制する規制手段により変位部材の変位を規制する＞
次いで、図５５及び図５６を参照して、カム部材４２２と湾曲壁部４１１ｅとの関係に
ついて説明する。図５５（ａ）は、図５０のＬＶａ−ＬＶａ線における下変位ユニット４
００の断面図であり、図５５（ｂ）は、図５１のＬＶｂ−ＬＶｂ線における下変位ユニッ
ト４００の断面図であり、図５５（ｃ）は、図５２のＬＶｃ−ＬＶｃ線における下変位ユ
ニット４００の断面図である。
【０４５０】
図５５（ａ）に示すように、下変位ユニット４００が退避状態（第１位置）とされる場
合には、カム部材４２２と湾曲壁部４１１ｅとが、前後方向（矢印Ｆ−Ｂ方向）において
異なる位置に配置される。従って、下変位ユニット４００を退避状態（第１位置）から第
１張出状態（第３位置）へ変位させる際に、カム部材４２２に作用する抵抗が大きくなる
ことを抑制できる。その結果、下変位部材４４０の変位開始を安定させることができる。
【０４５１】
図５５（ｂ）及び図５５（ｃ）に示すように、下変位ユニット４００が第１張出状態（
第３位置）とされる場合には、カム部材４２２の一部が、湾曲壁部４１１ｅの正面側（矢
印Ｆ方向側）に所定の隙間を隔てる位置に配置される。これにより、カム部材４２２が正
面方向に変位する場合に、カム部材４２２の軸方向の側面を湾曲壁部４１１ｅに当接させ
て、カム部材４２２が正面側に変位することを抑制できる。
【０４５２】
なお、カム部材４２２の正面ベース４１１側（矢印Ｆ方向側）の面は、正面ベース４１
１のの背面と平行な平坦面に形成される（図４５参照）。これにより、カム部材４２２が
湾曲壁部４１１ｅ側に変位した場合に、カム部材４２２の平坦面を湾曲壁部４１１ｅに当
接させることができる。よって、カム部材４２２が湾曲壁部４１１ｅに部分的に当接する
ことを抑制して、一部に力が集中することを抑制できる。その結果、カム部材４２２が破
損することを抑制できる。
【０４５３】
ここで、上述したように、下変位部材４４０は、退避状態（第１位置）から第１張出状
態（第３位置）に変位される場合に先端側（正面ベース４１１に連結される突起４７３と
長手方向反対側）が上方（矢印Ｕ方向）に回転変位される。よって、下変位部材４４０の
長手方向の方向成分が重力方向に近づく分、下変位部材４４０が前後方向に傾倒する力成
分が大きくされる。従って、第１張出状態（第３位置）とされる場合には、退避状態（第
１位置）とされる場合よりも、下変位部材４４０を支えるリンク部材４３０に作用する前
後方向の力が大きくされる。その結果、リンク部材４３０に連結されるカム部材４２２が
、前後方向に変位されやすくなる。
【０４５４】
これに対し、本実施形態では、下変位ユニット４００が退避状態（第１位置）から第１
張出状態（第３位置）を超えて変位される場合に、カム部材４２２の一部が湾曲壁部４１
１ｅの正面側に配設されるので、正面側へのカム部材４２２の変位を規制することができ
る。その結果、第１張出状態（第３位置）から第２張出状態（第２位置）の間で下変位部
材４４０が前後方向に揺れ動くことを抑制でき、下変位部材４４０の変位を遊技者に視認
させやすくできる。
【０４５５】
なお、リンク部材４３０の背面側への変位は、上述したようにリンク部材４３０を背面
ベース４１２及びカム部材４２２との間に配設することで規制できる。即ち、リンク部材
４３０が背面側に揺れ動く場合には、リンク部材４３０を背面ベース４１２に当接させて
、リンク部材４３０の変位を規制することができる。その結果、下変位部材４４０が前後
方向に揺れ動くことを抑制できる。
【０４５６】
また、正面ベース４１１は、リンク部材４３０の従動方向以外の方向の揺動を規制する
規制手段（湾曲壁部４１１ｅ）を備え、カム部材４２２は、第１位置と第２位置との間で
変位され、第１位置から第１位置および第２位置の中間位置の第３位置を変位する第１変
位領域と、第３位置から第２位置を変位する第２変位領域とを変位可能とされ、リンク部
材４３０は、カム部材４２２が第１位置から第２位置に変位されることで、第１従動位置
から第２従動位置に従動され、第１従動位置から第１従動位置および第２従動位置との中
間位置の第３従動位置を変位する第１従動領域と、第３従動位置から第２従動位置を変位
する第２従動領域とを変位可能とされ、第２変位領域と第１従動領域との一部が同一の領
域に設定され、カム部材４２２が第２変位領域を変位される際に、規制手段（湾曲壁部４
１１ｅ）によりカム部材４２２の変位方向以外の方向の揺動が規制されるので、規制手段
（湾曲壁部４１１ｅ）の同一の部分を利用してリンク部材４３０およびカム部材４２２の
揺動を規制することができる。
【０４５７】
従って、規制手段（湾曲壁部４１１ｅ）を１箇所に形成すれば良いので、カム部材４２
２とリンク部材４３０とのそれぞれに変位を規制する規制手段が形成される場合に比べて
、規制手段の形状を簡易にでき、製造コストを抑えることができる。
【０４５８】
また、リンク部材４３０およびカム部材４２２の揺動を規制手段（湾曲壁部４１１ｅ）
の同一の部分を利用して規制することができるので、１の規制手段（湾曲壁部４１１ｅ）
にリンク部材４３０とカム部材４２２と規制部分をそれぞれ形成する必要がないので、そ
の分、規制手段（湾曲壁部４１１ｅ）を小さくすることができる。
【０４５９】
また、下変位ユニット４００が、退避状態から第２張出状態に変位される場合には、正
面ベース４１１に形成される摺動溝４１１ａ，４１１ｂに挿入される下変位部材４４０の
突起４７２，４７３（突起４７２，４７３に配設されるカラーＣ（図１４参照））がカム
部材４２２の変位に伴って、カム部材４２２の他端側（段部４２２ｃ３側）の正面側（矢
印Ｆ方向側）に移動される（図５０から図５２参照）。これにより、カム部材４２２の他
端側（段部４２２ｃ３側）が、突起４７２，４７３（突起４７２，４７３に配設されるカ
ラーＣ）により背面側に押し出されると、カム部材４２２が、軸部４２２ａを中心に前後
方向に回転変位されてリンク部材４３０と当接する恐れがある。
【０４６０】
これに対し、本実施形態では、上述したように、正面側へのカム部材４２２の変位を湾
曲壁部４１１ｅに当接させて規制することができるので、カム部材４２２が軸部４２２ａ
を中心に前後方向に回転変位することを抑制できる。その結果、リンク部材４３０とカム
部材４２２とが当接することを抑制できる。
【０４６１】
また、本実施形態では、カム部材４２２が、第１張出状態（第３位置）を超えて変位さ
れる場合に湾曲壁部４１１ｅにより変位が規制されるので、カム部材４２２が初期動作時
に湾曲壁部４１１ｅと当接して摩擦抵抗が大きくなることを抑制できる。その結果、カム
部材４２２の初期動作を安定させることができる。
【０４６２】
次いで、図５６を参照して、下変位ユニット４００が第２変位状態とされる場合の、カ
ム部材４２２と第１リンク部材４３１とについて説明する。図５６（ａ）は、図５２のＬ
ＶＩａ−ＬＶＩａ線における下変位ユニット４００の断面図であり、図５６（ｂ）は、第
２張出状態（第２位置）における下変位ユニット４００の第１リンク部材４３１及びカム
部材４２２の正面図である。なお、図５６（ｂ）では、ベース部材４１０の外形が鎖線で
図示される。
【０４６３】
図５６に示すように、下変位ユニット４００が、第２変位状態とされる場合には、カム
部材４２２の端部が、第１リンク部材４３１の板状突起４３１ｂと当接する。これにより
、下変位ユニット４００を退避状態（第１位置）から第２変位状態に変位する方向へのカ
ム部材４２２の回転変位を規制することができる。その結果、カム部材４２２の回転変位
を停止する動作を、伝達ギヤ４２１及び歯面４２２ｂの歯合部分と、カム部材４２２及び
第１リンク部材４３１の当接部分とに分散することができ、伝達ギヤ４２１及び歯面４２
２ｂの歯面が破損することを抑制できる。
【０４６４】
また、下変位ユニット４００が第２変位状態とされる場合には、第１リンク部材４３１
の板状突起４３１ｂとカム部材４２２との当接面が、カム部材４２２の軸部４２２ａとそ
の当接部分とを通る仮想線ＫＳ１と直交する方向に設定される。これにより、第１リンク
部材４３１の軸周りに、第２変位状態から退避状態（第１位置）の方向に変位する力が作
用する際に、その力が、カム部材４２２の軸部４２２ａの軸周りに回転する方向に作用す
ることを抑制できる。その結果、第１リンク部材４３１に作用する力でカム部材４２２が
回転することを抑制できる。
【０４６５】
ここで、上述したように、下変位部材４４０が先端側（正面ベース４１１に連結される
突起４７３と長手方向反対側）が上方（矢印Ｕ方向）に回転変位される。従って、下変位
部材４４０の長手方向の方向成分が重力方向に近づく分、下変位部材４４０を支える第１
リンク部材４３１の貫通孔４３１ａの軸周りに作用する回転方向の力が最大となるところ
、第１リンク部材４３１からカム部材４２２への力の伝達が抑制されるので、下変位部材
４４０を第２変位状態の位置で維持しやすくできる。
【０４６６】
さらに、カム部材４２２が第２変位状態の位置に配置される際には、下変位部材４４０
の荷重により第１リンク部材４３１の貫通孔４３１ａの軸周りに回転する力が作用される
。この場合、カム部材４２２の端部が板状突起４３１ｂに押し出されてカム部材４２２が
軸部４２２ａの軸周りに回転する方向の力ＰＷ１（図５６（ｂ）参照）と、カム部材４２
２の摺動溝４２２ｃの内壁が摺動突起４３１ｄより押し出されてカム部材４２２が軸部４
２２ａの軸周りに回転する方向の力ＰＷ２（図５６（ｂ）参照）と、が打ち消し合う方向
に作用する。その結果、カム部材４２２が第１リンク部材４３１から作用される力で回転
することを抑制できる。
【０４６７】
次いで、図５７から図６０を参照して、下変位部材４４０の構成について詳細な説明を
する。図５７（ａ）は、下変位部材４４０の正面図であり、図５７（ｂ）は、下変位部材
４４０の背面図である。図５８は、下変位部材４４０の分解斜視正面図であり、図５９は
、下変位部材４４０の分解斜視背面図である。図６０（ａ）及び（ｂ）は、下変位部材４
４０の正面図である。
【０４６８】
なお、図６０（ａ）では、下変位部材４４０の装飾部材４５０が透明視された状態が図
示され、図６０（ｂ）では、下変位部材４４０の装飾部材４５０及び正面ケース４８１が
透明視された状態が図示される。
【０４６９】
図５７から図６０に示すように、下変位部材４４０は、正面ベース４１１に連結される
ベース部材４７０と、そのベース部材４７０の前後を覆うケース部材４８０と、ケース部
材４８０とベース部材４７０との間に変位可能に配設される伝達機構４６０と、ケース部
材４８０の前後を覆う態様で形成される装飾部材４５０とを主に備えて形成される。
【０４７０】
ベース部材４７０は、正面視矩形横長に形成される板部材であり、一端側の背面側に突
出する突起４７２，４７３と、他端側の縁部から正面側に立設する立設壁４７１ａと、左
右方向（図５７左右方向）中央部の上端から正面側に上下反対のＵ字状に突出する突設壁
４７７と、ベース部材４７０の上端に突設壁４７７の端部から一端側に刻設されるラック
ギヤ４７６と、正面側に突出する軸部４７４，４７５と、ベース部材４７０の一端側の背
面に取着される長方形状の配線係止部４７８と、ベース部材４７０の上下方向中央部に一
端側から他端側に延びて凹設される開口４７９とを主に備えて形成される。
【０４７１】
突起４７２，４７３は、上述したように正面ベース４１１の摺動溝４１１ａ，４１１ｂ
に挿入されて、下変位部材４４０と正面ベース４１１とを連結する連結部分である。よっ
て、摺動溝４１１ａ，４１１ｂの内壁の対向間の寸法よりも小さい外径の円柱状に形成さ
れる。
【０４７２】
立設壁４７１ａは、後述する正面ケース４８１が、ベース部材４７０に取着された際に
、正面ケース４８１とベース部材４７０との対向間に隙間を形成するための壁部であり、
球の直径よりも大きい立設寸法に設定される。
【０４７３】
軸部４７４，４７５は、後述する伝達機構４６０の伝達ギヤ４６２，４６３の軸に挿入
され伝達ギヤ４６２，４６３を回転可能に保持する突起であり、伝達ギヤ４６２，４６３
の軸孔の内径よりも小さい外径の円柱状に形成される。
【０４７４】
ラックギヤ４７６は、後述する伝達ギヤ４６５と歯合する歯面が刻設される。これによ
り、後述する可動ラック４６４が、ベース部材４７０に対してスライド変位することで、
伝達ギヤ４６５を回転させることができる。
【０４７５】
突設壁４７７は、後述する送球ユニット６００から送球される球を、装飾部材４５０の
開口４５１ａを介してベース部材４７０の前方に受け入れた際に、球が下変位部材４４０
の外側に落下することを抑制するための壁面であり、略Ｕ字に形成された対向する壁部の
間は、球の直径よりも大きく形成される。
【０４７６】
配線係止部４７８は、ベース部材４７０の背面側に配設される制御基板へのフレキシブ
ル配線（図示せず）を係止するための部材であり、ベース部材４７０との間にフレキシブ
ル配線の一端を介した状態でベース部材４７０の背面側に取着される。これにより、下変
位部材４４０がベース部材４１０に対して変位可能に配設されるものであっても、フレキ
シブル配線が絡むことを抑制できる。
【０４７７】
また、配線係止部４７８は、背面側に、円柱状に突出する突起４７８ａを備える。突起
４７８ａの突出距離は、背面側に連結されるリンク部材４３０よりも背面側に突出する距
離に設定されると共に、背面ベース４１２の正面と当接可能な距離に設定される。これに
より、下変位部材４４０が後方側に揺れ動くことを抑制できると共に、リンク部材４３０
が背面ベース４１２と衝突することを抑制できる。
【０４７８】
開口４６９は、正面側に配設される可動ラック４６４のスライド変位方向を規定する開
口であり、後述する可動ラック４６４の案内板４６４ｄが内部に挿入される。
【０４７９】
伝達機構４６０は、ベース部材４７０の前方に配置される部材であり、伝達ギヤ４６１
，４６２，４６３と、その伝達ギヤ４６１に軸部分が連結される駆動モータＫＭ２と、伝
達ギヤ４６３と歯合する歯面を有し、ベース部材４７０の前方にスライド変位可能に配設
される可動ラック４６４と、その可動ラック４６４に回転可能に配置されると共に、ラッ
クギヤ４７６に歯合した状態とされる伝達ギヤ４６５と、その伝達ギヤ４６５に歯合され
る歯面を有し可動ラック４６４の前方をスライド変位可能に配設されるラック４６６と、
そのラック４６６の一端側に回転可能に配設される球受部４６７とを主に備えて形成され
る。
【０４８０】
伝達ギヤ４６１は、駆動モータＫＭ２の軸部分が軸孔に内嵌されるギヤであり、駆動モ
ータＫＭ２に連結された状態で駆動モータＫＭ２がベース部材４７０に取着されることで
、ベース部材４７０に配設される。
【０４８１】
伝達ギヤ４６２，４６３は、上述したように、軸孔にベース部材４７０の軸部４７４，
４７５が挿入されてベース部材に回転可能に保持される。また、伝達ギヤ４６１から４６
３はそれぞれ歯合されたギヤ列であり、伝達ギヤ４６１が駆動モータＫＭ２により回転さ
れることで、終端の伝達ギヤ４６３が回転される。
【０４８２】
可動ラック４６４は、正面視矩形横長の板状に形成され、下端面に刻設されるラックギ
ヤ４６４ａと、正面側から円柱状に突出する軸部４６４ｂと、上端面の一端側から上方に
突出する当接板４６４ｃと、上下方向略中央位置に一端から他端にかけて突出される案内
板４６４ｄと、その案内板４６４ｄと反対の正面側に突出するラック案内部４６４ｅと、
下方の他端に突出する衝突部４６４ｆとを主に備えて形成される。
【０４８３】
ラックギヤ４６４ａは、伝達ギヤ４６３と歯合する歯面である。よって、ベース部材４
７０にラックギヤ４６４ａと伝達ギヤ４６３を歯合した状態で配置することで、可動ラッ
ク４６４を駆動モータＫＭ２の駆動で変位可能とできる。
【０４８４】
軸部４６４ｂは、伝達ギヤ４６５が回転可能に保持される軸部分であり、伝達ギヤ４６
５の軸孔よりも小さい外径の円柱状に形成される。
【０４８５】
当接板４６４ｃは、後述する振分けユニット５００の振分け部材５４０に当接して振分
け部材５４０を変位させる当接部である。即ち、可動ラック４６４の変位によって、振分
け部材５４０を変位可能とされる。なお、当接板４６４ｃと振分け部材５４０との当接態
様については後述する。
【０４８６】
案内板４６４ｄは、上述したように、ベース部材４７０の開口４７９の内部に挿入され
る板状体であり、駆動モータＫＭ２の駆動により変位される可動ラック４６４の変位方向
を規定することができる。即ち、駆動モータＫＭ２の駆動により変位される可動ラック４
６４を開口４７９の延設方向に沿って変位させることができる。なお、本実施形態では、
開口４７９は、左右方向に延設されるので、可動ラック４６４をベース部材４７０に対し
て左右方向にスライド変位させることができる。
【０４８７】
ラック案内部４６４ｅは、後述するラック４６６の変位方向を規制するための突壁であ
り、左右方向に一端から他端に亘って突設される。
【０４８８】
衝突部４６４ｆは、後述する変位部材４９２の突起４９２ｂと当接して変位部材４９２
を変位させる壁部であり、可動ラック４６４の下端に突出して形成される。また、衝突部
４６４ｆは、他端側が傾斜した状態に形成される。これにより、変位部材４９２の突起４
９２ｂをその傾斜面に沿って摺動させて変位させることができる。
【０４８９】
ラック４６６は、正面視矩形横長の棒状体から形成され、上端面に刻設されるラックギ
ヤ４６６ａと、他端側の端部から背面側に円柱状に突出する軸部４６６ｂと、正面側に突
出する２つの摺動板４６６ｃと、背面側に一端から他端に亘って凹設される凹設部４６６
ｄとを主に備えて形成される。
【０４９０】
ラックギヤ４６６ａは、可動ラック４６４に取着される伝達ギヤ４６５に歯合される。
これにより、ラック４６６が可動ラック４６４の前方に配置された状態では、可動ラック
４６４がスライド変位することで、そのスライド変位に伴って伝達ギヤ４６５が回転され
、ラック４６６に駆動力が伝達される。従って、ラック４６６は、可動ラック４６４に対
して変位できる。
【０４９１】
軸部４６６ｂは、後述する球受部４６７の軸孔４６７ｂに挿入される突起であり、軸孔
４６７ｂの内径よりも大きい外径の円柱状に形成される。これにより、球受部４６７を回
転可能に保持できる。
【０４９２】
摺動板４６６ｃは、後述する正面ケース４８１の開口４８１ａに挿入される突起であり
、所定の厚みを有する板状体から形成される。これにより、ラック４６６に伝達ギヤ４６
５から駆動力が伝達され、ラック４６６が可動ラック４６４に対して変位された場合に、
ラック４６６の変位方向を開口４８１ａの延設される方向に規定することができる。
【０４９３】
凹設部４６６ｄは、ラック４６６が可動ラック４６４の前方に配設された際に、内側に
ラック案内部４６４ｅを配置した状態とされる。これにより、ラック４６６に伝達ギヤ４
６５から駆動力が伝達され、ラック４６６が可動ラック４６４に対して変位された場合に
、ラック４６６の変位方向をラック案内部４６４ｅの延設方向に規定することができる。
【０４９４】
ここで、ラック４６６の変位方向を規制するためには、凹設部４６６ｄ及びラック案内
部４６４ｅを形成すれば、ラック４６６の変位方向をラック案内部４６４ｅの延設方向に
規定することができる。しかしながら、下変位部材４４０は、左右方向にスライド変位し
つつ回転変位するものであるので、下変位部材４４０の変位状態によっては、自重により
伝達ギヤ４６５及びラック４６６の歯合の状態が変わり、伝達ギヤ４６５からラック４６
６へ駆動力がうまく伝達されなくなる恐れがあった。
【０４９５】
これに対し、本実施形態では、ラック４６６の変位方向を規定する箇所が、摺動板４６
６ｃ及び開口４８１ａと凹設部４６６ｄ及びラック案内部４６４ｅとの２箇所形成される
ので、下変位部材４４０の変位状態が変化された際に、伝達ギヤ４６５及びラック４６６
の歯合状態が変化することを抑制できる。その結果、伝達ギヤ４６５からラック４６６へ
の駆動の伝達が阻害されることを抑制できる。
【０４９６】
また、摺動板４６６ｃは、ラック４６６の左右方向（図５７（ａ）左右方向）の２箇所
から突出形成されており、他端側（軸部４６６ｂの反対側）の摺動板４６６ｃが、ラック
の変位終端位置（ラック４６６が可動ラック４６４に対して一番張り出された位置）にお
いて、伝達ギヤ４６５の下方（図５７下側）に配置される。
【０４９７】
ここで、変位終端位置では、後述するようにラック４６６の軸部４６６ｂに配設される
球受部４６７が発射動作（回転変位）をするので、ラック４６６の一端側に配設される球
受部４６７の変位による慣性力で、ラックの他端側が変位しやすい。そのため、伝達ギヤ
４６５及びラック４６６の歯合面に負荷がかかり易く、伝達ギヤ４６５及びラック４６６
が破損する恐れがあった。
【０４９８】
これに対し、本実施形態では、他端側（軸部４６６ｂの反対側）の摺動板４６６ｃが、
ラックの変位終端位置（ラック４６６が可動ラック４６４に対して一番張り出された位置
）において、伝達ギヤ４６５の下方（図５７下側）に配置されるので、球受部４６７が発
射動作（回転動作）をした際に、伝達ギヤ４６５及びラック４６６との歯合する位置のラ
ック４６６が変位することを抑制できる。その結果、伝達ギヤ４６５及びラック４６６が
破損することを抑制できる。
【０４９９】
球受部４６７は、遊技球を保持する部分であり、正面視略Ｕ字に形成され、Ｕ字の内側
部分に球を受け入れることが可能に形成される。即ち、球受部４６７のＵ字の内側は、球
の外形よりもやや大きく形成される。これにより、球受部４６７の内側部分に１球可能と
される。また、球受部４６７は、Ｕ字の下端位置に前後方向に貫通する軸孔４６７ｂと、
下方の外周面から、下側に突出する脚部４６７ａとを主に備えて形成される。
【０５００】
軸孔４６７ｂは、上述したように、ラック４６６に球受部４６７を回転可能な状態で保
持するための軸孔であり、ラック４６６の軸部４６６ｂの外径よりも大きい内径に形成さ
れる。よって、球受部４６７は、ラック４６６の軸部４６６ｂを軸孔４６７ｂに挿入する
ことで回転可能に保持できる。また、軸部４６６ｂを軸孔４６７ｂに挿入した後に、付勢
ばねＳＰ２が軸部４６６ｂの軸周囲に配設され、軸部４６６ｂに軸孔４６７ｂの内径より
も頭部の大きいネジ等が締結される。これにより、球受部４６７は、正面視右周りに付勢
された状態でラック４６６に配設される。なお、球受部４６７の態様について詳しい説明
は後述する。
【０５０１】
脚部４６７ａは、球受部４６７が付勢ばねＳＰ２により回転されることを付勢する突起
であり、球受部４６７のＵ字の開放部分を上方に向けた状態で、先端が後述する正面ケー
ス４８１の底壁部４８１ｂに当接する位置に設定される。これにより、球受部４６７が回
転されることを規制できる。
【０５０２】
ケース部材４８０は、ベース部材４７０の前後を覆設する部材であり、ベース部材４７
０の正面側に配設される正面ケース４８１と、背面側に配設される背面ケース４８２とを
主に備える。
【０５０３】
正面ケース４８１は、正面視矩形横長の板状に形成され、重力方向略中間位置に左右方
向に広がる開口４８１ａと、背面側の下端面に突出形成される底壁部４８１ｂと、下方縁
部に前後方向に貫通する軸孔４８１ｃとを主に備えて形成される。
【０５０４】
開口４８１ａは、前後方向に貫通形成されており、上述したように、ベース部材４７０
に正面ケース４８１が配設されると内部にラックの摺動板４６６ｃが挿入された状態とさ
れる。
【０５０５】
底壁部４８１ｂは、正面ケース４８１の下端部から背面側に突出形成されると共に、左
右方向に延設される。また、底壁部４８１ｂは、正面ケース４８１がベース部材４７０に
配設された状態では、その上面に球受部４６７の脚部４６７ａが当接した状態とされる。
【０５０６】
背面ケース４８２は、ベース部材４７０の背面側に制御基板４９１を配設するための板
部材であり、正面視における外形が、ベース部材４７０の外形よりも小さい矩形横長に形
成される。また、背面ケース４８２は、背面側に突出する突起４８２ａを備える。
【０５０７】
突起４８２ａは、上述したように、第２リンク部材４３２の貫通孔４３２ｂと連結され
る連結部であり、貫通孔４３２ｂの内径よりも小さい外径の円柱状に形成される。よって
、突起４８２ａを貫通孔４３２ｂに挿入した後に、突起４８２ａの先端に貫通孔４３２ｂ
の内径よりも頭部の大きいネジ等を締結することで、背面ケース４８２と第２リンク部材
４３２とを回転可能な状態で連結できる。
【０５０８】
装飾部材４５０は、模様やキャラクターを模した外形形状に形成され、表面にその模様
やキャラクターの絵が描かれる。装飾部材４５０は、正面ケース４８１の正面側に配設さ
れる正面側装飾部４５１と、背面ケース４８２の背面側に配設される背面側装飾部４５２
とを主に備えて形成される。なお、本実施形態では、装飾部材４５０にサメの模様（キャ
ラクター）が描かれる。
【０５０９】
正面側装飾部４５１は、正面視において正面ケース４８１の外形よりも大きい外径に形
成され、正面ケース４８１に取着される。これにより、正面側装飾部の背面側に配設され
る部材（ケース部材４８０、ベース部材４７０等）を遊技者から視認不可能とすることが
できる。
【０５１０】
背面側装飾部４５２は、正面側装飾部４５１の上端後方に配設される。これにより、背
面側装飾部４５２の上方から正面側装飾部４５１の背面側に配置される部材を遊技者から
視認不能とすることができる。
【０５１１】
また、正面側装飾部４５１と前後方向同一平面上に変位部材４９２が配設される。変位
部材４９２は、背面側に突出する軸部４９２ａと、突起４９２ｂとを主に備えて形成され
る。
【０５１２】
軸部４９２ａは、正面ケース４８１の軸孔４８１ｃの内径よりも小さい外径の円柱状に
形成される。よって、軸部４９２ａを軸孔４８１ｃに挿入することで、変位部材４９２を
回転可能な状態で正面ケースに連結できる。また、軸孔４８１ｃを挿入された軸部４９２
ａの先端側には、付勢ばねＳＰ３が配設される。これにより、変位部材４９２を付勢した
状態で配設することができる。なお、変位部材４９２の変位の詳しい説明は後述する。
【０５１３】
軸部４９２ａは、上述した可動ラック４６４の衝突部４６４ｆに衝突されることで、変
位部材４９２に軸部４９２ａの軸を中心に回転する駆動力を伝達できる。即ち、可動ラッ
ク４６４は、その変位に伴って変位部材４９２を回転変位させることができる。
【０５１４】
よって、下変位部材４４０は、下変位部材４４０（基部材）に変位可能に配設される変
位部材４９２（配設部材）を備え、球受部４６７（変位部材）は、遊技球を保持可能かつ
射出可能に形成され、変位部材４９２は、球受部４６７から遊技球が出射される際に変位
可能とされるので、下変位部材４４０のがたつきの発生を抑制することができる。
【０５１５】
即ち、球受部４６７から遊技球が発射されると、遊技球の重さの分、下変位部材４４０
の重心位置が変化されるところ、例えば、遊技球の発射に伴う重心位置の変化を相殺する
方向へ変位部材４９２を変位させる構成を採用した場合には、重心位置の変化に伴う下変
位部材４４０のがたつきの発生を抑制できる。また、球受部４６７から遊技球が発射され
ると、その遊技球の発射に伴い下変位部材４４０が反作用を受けるところ、例えば、遊技
球の発射に伴う反作用を相殺する方向へ変位部材４９２を変位させる構成を採用した場合
には、反作用に伴う下変位部材４４０のがたつきの発生を抑制できる。
【０５１６】
また、上述したように、カム部材４２２が第２変位状態の位置に配置される際には、カ
ム部材４２２が軸部４２２ａの軸周りに回転する方向の力ＰＷ１（図５６（ｂ）参照）と
、カム部材４２２が軸部４２２ａの軸周りに回転する方向の力ＰＷ２（図５６（ｂ）参照
）とが打ち消し合う方向に作用して、カム部材４２２が第１リンク部材４３１から作用さ
れる力で回転することを抑制できる。従って、第２変位状態では、カム部材４２２とリン
ク部材４３０とを安定した状態で配置することができる。よって、第２変位状態の位置で
、下変位部材４４０の球受部４６７から遊技球が発射された際に、その遊技球の発射によ
る慣性力で第１リンク部材４３１またはカム部材４２２が揺れ動くことを抑制できる。
【０５１７】
さらに、変位部材４９２の変位は、球受部４６７の変位により衝突部４６４ｆが、軸部
４９２ａに衝突されることで行われるので、変位部材４９２を変位させるための駆動手段
を別途設ける必要がない。即ち、球受部４６７を変位させるための駆動モータＫＭ２を、
変位部材４９２を変位させるための駆動手段として、兼用することができる。よって、そ
の分、下変位部材４４０を軽量化して、そのがたつきを抑制しやすくできる。
【０５１８】
また、球受部４６７の変位に機械的に同期させて変位部材４９２を変位させることがで
きるので、例えば、球受部４６７の位置をセンサ装置で検出し、その検出結果に応じて変
位部材４９２を駆動手段で駆動する制御を不要とでき、その分、製品コストの削減を図る
ことができると共に、球受部４６７に対する変位部材４９２の変位動作の信頼性を確保で
きる。
【０５１９】
次いで、図６１から図６４を参照して、伝達機構４６０の遷移について説明する。図６
１は、第１位置における下変位部材４４０の正面図であり、図６２は、第２位置における
下変位部材４４０の正面図であり、図６３は、第３位置における下変位部材４４０の正面
図である。図６４（ａ）から（ｃ）は、下変位部材４４０の部分拡大図である。
【０５２０】
なお、第１位置は、球受部４６７がベース部材４７０に対して左右方向（図６１左右方
向）略中央位置に配置された位置である。第２位置は、球受部４６７が、突設壁４７７の
重力方向下側（図６２下側）に配置された位置である。第３位置は、球受部４６７が、ベ
ース部材４７０の左右方向右端に配置された位置である。
【０５２１】
また、図６１から図６４では、下変位部材４４０の装飾部材４５０及び正面ケース４８
１が透明視されると共に、正面ケース４８１の底壁部４８１ｂの外形が鎖線で図示される
。さらに、図６４（ａ）及び（ｂ）では、第３位置に変位する直前の遷移状態が順に図示
され、図６４（ｃ）では、第３位置における下変位部材４４０が図示される。
【０５２２】
図６１に示すように、第１位置における下変位部材４４０は、可動ラック４６４が、ベ
ース部材４７０に対して左右方向左端に位置した状態とされる。また、第１位置では、ラ
ック４６６が可動ラック４６４の前方に配置され、ラック４６６と可動ラック４６４とが
前後方向に重なった状態とされる。即ち、ラック４６６も可動ラック４６４と同様に、ベ
ース部材４７０に対して左右方向左端に位置される。よって、ラック４６６に連結される
球受部４６７はベース部材４７０に対して左右方向略中央位置に配置される。
【０５２３】
第１位置では、上述したように、可動ラック４６４、ラック４６６がベース部材４７０
の左右方向左端に集められた状態とされる。ここで、下変位部材４４０は、スライド変位
しつつ回転変位する（退避状態から第１及び第２張出状態に変位する）ので、下変位部材
４４０の重心位置が、回転する軸の近傍に配置された状態とすることが望ましい。
【０５２４】
本実施形態によれば、球受部４６７を変位させる伝達機構４６０が可動ラック４６４及
びラック４６６を前後に重畳した状態（２段ラック）とされるので、その重心位置を正面
ベース４１１の摺動溝４１１ａ，４１１ｂ側（下変位部材４４０の回転軸側）に近づける
ことができる。
【０５２５】
従って、上述したように下変位部材４４０を退避状態の位置から第１及び第２張出状態
の位置に変位させる際には、下変位部材４４０を第１位置とすることで、下変位部材４４
０を回転変位させる際の駆動力を小さくできる。よって、下変位部材４４０を変位させる
駆動モータＫＭ１の消費エネルギーを抑えることができる。
【０５２６】
図６１に示す第１位置から図６２に示す第２位置への変位は、駆動モータＫＭ２を駆動
させることで行われる。
【０５２７】
第１位置から駆動モータＫＭ２が駆動されると、駆動モータＫＭ２の軸に連結される伝
達ギヤ４６１が回転される。これにより、伝達ギヤ４６２及び伝達ギヤ４６３が回転され
る。伝達ギヤ４６３が回転されると、伝達ギヤ４６３と歯合するラックギヤ４６４ａから
、可動ラック４６４に駆動力が伝達されて可動ラック４６４がベース部材４７０に対して
右方向にスライド変位される。
【０５２８】
可動ラック４６４がスライド変位されると、そのスライド変位に伴って可動ラック４６
４に配設される伝達ギヤ４６５がベース部材４７０のラックギヤ４７６により回転される
。これにより、伝達ギヤ４６５に歯合されるラックギヤ４６６ａによりラック４６６へ駆
動力が伝達される。その結果、ラック４６６が可動ラック４６４に対して左右方向右側へ
スライド変位されて、球受部４６７が第２位置へ変位される。
【０５２９】
図６２に示す第２位置から図６３に示す第３位置への変位は、第１位置から第２位置ま
での変位と同様に、駆動モータＫＭ２の駆動により行われる。なお、駆動モータＫＭ２か
らラック４６６までの駆動の伝達については第１位置から第２位置までの変位と同様であ
るため、その詳細な説明は省略する。
【０５３０】
図６３及び図６４に示すように、第３位置に球受部４６７が変位されると、球受部４６
７は、脚部４６７ａと正面ケース４８１の底壁部４８１ｂとの当接状態が解除され、軸部
４６６ｂに配置した付勢ばねＳＰ２の付勢力により軸孔４６７ｂの軸を中心に回転変位さ
れる。
【０５３１】
詳しく説明すると、第１及び第２位置（第３位置における球受部４６７よりも正面視左
側に球受部４６７が配置されている状態）では、球受部４６７の脚部４６７ａの先端が正
面ケース４８１の底壁部４８１ｂの上面に当接した状態とされ、付勢ばねＳＰ２の付勢力
による軸孔４６７ｂを中心に正面視時計回りへの回転が規制される。
【０５３２】
一方、球受部４６７の脚部４６７ａの先端部は、第３位置へ変位されると、底壁部４８
１ｂの端部よりも正面視右側に配置され、底壁部４８１ｂとベース部材４７０の立設壁４
７１ａとの対向間に形成される凹部４８１ｂ１の内側に配置される。よって、球受部４６
７は付勢ばねＳＰ２の付勢力により軸孔４６７ｂの軸を中心に回転される。第３位置で球
受部４６７が回転されると、脚部４６７ａの先端が底壁部４８１ｂの端面と当接して、球
受部４６７の軸孔４６７ｂを中心とする回転が規制される。これにより、球受部４６７は
、軸孔４６７ｂを中心に略４０度回転された位置で停止される。なお、以下では、第３位
置における球受部４６７の回転変位を発射動作と称して説明する。
【０５３３】
また、球受部４６７が第１位置から第３位置方向（第１方向）へ変位する際の軌道領域
に凹設される凹部４８１ｂ１を備え、球受部４６７は、第１方向へ変位する際に、凹部４
８１ｂ１に係合される脚部４６７ａを備えると共に、脚部４６７ａが凹部４８１ｂ１に係
合されることで姿勢が変化可能に形成されるので、球受部４６７の姿勢を変化させるため
の構造を簡素化できる。
【０５３４】
さらに、球受部４６７が第２位置から第３位置へ変位されると、衝突部４６４ｆが可動
ラック４６４の変位により正面視右側にスライド変位され、変位部材４９２の突起４９２
ｂと衝突する。これにより、変位部材４９２が軸部４９２ａの軸を中心に回転変位される
。
【０５３５】
即ち、球受部４６７が、第３位置に変位されると、球受部４６７が回転変位されると共
に、変位部材４９２が回転変位される。よって、球受部４６７が、発射動作をして球受部
４６７の内側から球が排出されて、下変位部材４４０が軽くなることで下変位部材４４０
が揺れ動く力と、変位部材４９２が回転変位する慣性力とを反対方向に作用させることが
できる。その結果、下変位部材４４０の内部から球が排出された際に下変位部材４４０が
揺れ動くことを抑制できる。
【０５３６】
次いで、図６５を参照して、球受部４６７への球の受入動作について説明する。図６５
（ａ）から（ｃ）は、下変位部材４４０の正面図である。なお、図６５（ａ）から（ｃ）
では、球受部４６７へ球を受け入れる受入動作する遷移状態が順に図示される。
【０５３７】
また、図６５（ａ）から（ｃ）では、下変位部材４４０の装飾部材４５０及び正面ケー
ス４８１が透明視されると共に、正面ケース４８１の底壁部４８１ｂの外形が鎖線で図示
される。
【０５３８】
更に、図６５（ａ）から（ｃ）では、下変位部材４４０が退避状態における水平方向が
仮想線Ｈ１の符号を付して２点鎖線で図示されると共に、下変位部材４４０が第１張出状
態における水平方向が仮想線Ｈ２の符号を付して図示される。また、下変位部材４４０が
退避状態の位置から第１張出状態の位置まで回転された角度を角度θの符号を付して図示
される。なお、仮想線Ｈ１，仮想線Ｈ２及び角度θは図６５以降の図にも図示される。
【０５３９】
図６５（ａ）に示すように、退避状態（下変位部材４４０の長手方向を仮想線Ｈ１と平
行にした状態）の下変位ユニット４００において、下変位部材４４０の球受部４６７を第
１位置に変位させることで、後述する振分けユニット５００から遊技球Ｔ１が下変位部材
４４０の正面側装飾部４５１に形成される開口４５１ａに送球される。開口４５１ａに送
球される遊技球Ｔ１は突設壁４７７の内側に送球されて、下変位部材４４０の内部に送球
される。
【０５４０】
図６５（ｂ）に示すように、開口４５１ａに遊技球Ｔ１が送球されると下変位部材４４
０が第２位置へ変位される。よって、上述したように第２位置では、球受部４６７が突設
壁４７７の下方に配置されるので、突設壁４７７の内側に送球された遊技球Ｔ１を、球受
部４６７の内側に送球できる。球受部４６７に遊技球Ｔ１が受け入れられることで、球受
部４６７の動作に伴って遊技球Ｔ１を変位させることができる。
【０５４１】
図６５（ｃ）に示すように、球受部に遊技球Ｔ１が送球されると、下変位部材４４０は
、第１位置へ変位される。これにより、球受部４６７に遊技球Ｔ１を配置した状態で第１
位置に球受部４６７を配置した状態とできる。
【０５４２】
ここで、ベース部材と、そのベース部材に一側が変位可能に配設される基部材と、その
基部材に変位可能に配設される変位部材とを備えた遊技機が知られている。この遊技機に
よれば、基部材を遊技領域へ張り出して遊技者から視認可能にされる張出位置と、遊技領
域から後退される退避位置との間で変位される演出に加え、基部材を張出位置に配置した
状態において変位部材を変位させる演出を行うことができる。
【０５４３】
しかしながら、上述した従来の遊技機では、ベース部材に基部材の一側が変位可能に配
設されるため、変位部材が変位されると、一側を死点として、ベース部材に対する基部材
のがたつきが発生しやすいという問題点があった。特に、変位部材を停止状態から変位さ
せる際には、加速度の変化が最大となるため、慣性力の影響により、基部材のがたつきが
発生しやすい。
【０５４４】
これに対し、本実施形態では、球受部４６７は、第２位置から変位を開始する態様と、
第１位置よりも下変位部材４４０（基部材）の一側に近い第１位置から変位を開始する態
様とを形成可能に形成され、少なくとも下変位部材４４０がベース部材４１０に対して所
定位置に配置された状態（例えば、下変位部材４４０が遊技領域へ張り出して遊技者から
視認可能とされる第１張出状態）では、第１位置から変位を開始するので、基部材の下変
位部材４４０のがたつきを抑制することができる。即ち、第１位置は、第２位置よりも、
下変位部材の一側に近い位置とされるので、かかる第１位置を球受部４６７の変位開始位
置とすることで、球受部４６７の重さを、下変位部材４４０がベース部材４１０に対して
がたつく際の死点に近づけておくことができ、その分、球受部４６７を停止状態から変位
される際の慣性力の影響を下変位部材４４０に作用させ難くできる。その結果、下変位部
材４４０のがたつきを抑制しやすくできる。
【０５４５】
また、下変位部材４４０は、上述したように、スライド変位しつつ回転変位（退避状態
から第１及び第２張出状態に変位）される。そのため、遊技球Ｔ１を回転軸の遠方に配置
した状態で下変位部材４４０が回転変位されると、遊技球Ｔ１に遠心力が発生しやすくな
り、遊技球Ｔ１が動いて球受部４６７の内壁と遊技球Ｔ１との衝突による衝突音が発生、
又は球受部４６７が破損するという問題点があった。
【０５４６】
これに対し、本実施形態では、遊技球Ｔ１を球受部４６７に受け入れた後に、下変位部
材４４０を第１位置に変位させることができるので、遊技球Ｔ１を下変位部材４４０の回
転軸の近傍に配置する（近づける）ことができる。従って、下変位部材４４０に遊技球Ｔ
１を受け入れた状態で下変位部材４４０を、回転変位（退避状態から第１及び第２張出状
態に変位）させた際に、遊技球Ｔ１に遠心力が発生することを抑制できる。その結果、遊
技球Ｔ１と球受部４６７とが衝突した際に衝突音が発生する、又は球受部４６７が破損す
ることを抑制できる。
【０５４７】
さらに、本実施形態では、下変位部材４４０は、球受部４６７を動作させる伝達機構４
６０が可動ラック４６４、伝達ギヤ４６５（ピニオンギヤ）及びラック４６６（ラック部
材）で形成され、ラック４６６に球受部４６７が配設されるので、球受部４６７の変位を
第１位置から開始する際には、ラック４６６の重さだけでなく可動ラック４６４、ラック
４６６の重さも下変位部材４４０の一側（下変位部材４４０がベース部材４１０に対して
がたつく際の支点）に近づけておくことができる。その結果、球受部４６７を停止状態か
ら変位される際の下変位部材４４０のがたつきを抑制しやすくできる。
【０５４８】
また、球受部４６７に遊技球Ｔ１を受け入れた状態では、遊技球Ｔ１の荷重分、下変位
部材４４０の荷重が重くされる。そのため、上述したように、下変位部材４４０を第１位
置にした状態とすることで、下変位部材４４０の重心位置を正面ベース４１１の摺動溝４
１１ａ，４１１ｂ側（下変位部材４４０の回転軸側）に移動させ易くできる。従って、下
変位部材４４０を退避状態の位置から第１及び第２張出状態の位置に変位させる際には、
下変位部材４４０を第１位置とすることで、下変位部材４４０を回転変位させる際の駆動
力を小さくできる。よって、下変位部材４４０を変位させる駆動モータＫＭ１の消費エネ
ルギーを抑えることができる。
【０５４９】
次いで、図６６を参照して、球の払出動作について説明する。図６６（ａ）から（ｃ）
は、下変位部材４４０の正面図である。なお、図６６（ａ）から（ｃ）では、球の払出動
作における下変位部材４４０の遷移状態が順に図示される。また、図６６（ａ）から（ｃ
）では、下変位部材４４０の装飾部材４５０及び正面ケース４８１が透明視されると共に
、正面ケース４８１の底壁部４８１ｂの外形が鎖線で図示される。さらに、球の払出動作
とは、下変位部材４４０の球受部４６７に受け入れた遊技球Ｔ１を出射開口４７１から下
変位部材４４０の外方に払い出す動作である。
【０５５０】
図６６（ａ）から（ｃ）に示すように、下変位部材４４０の球受部４６７に受け入れた
球を払い出す払出動作は、下変位部材４４０を第１位置から順に第３位置まで変位させる
ことで行われる。
【０５５１】
即ち、受入動作で球受部４６７の内側に遊技球Ｔ１を受け入れて、第１位置に配置され
た下変位部材４４０を、第３位置に変位させることで、遊技球Ｔ１が球受部４６７の変位
に伴って、出射開口４７１側に運搬される。出射開口４７１側に移動された遊技球Ｔ１は
、球受部４６７のスライド変位と第３位置における球受部４６７の発射動作とにより、出
射開口４７１側への慣性力が付与されて、球受部４６７の内側から飛び出される。これに
より下変位部材４４０の内部から球を払い出すことができる。
【０５５２】
ここで、球受部４６７（変位部材）が第１位置から変位を開始する際の変位方向は、下
変位部材４４０の位置側から離間する方向であるので、球受部４６７が第１位置に配置さ
れた状態では、ラック４６６（ラック部材）をより下変位部材４４０の一側からベース部
材４１０へ近づけることができる。即ち、下変位部材４４０の一側から、離間する方向へ
球受部４６７（ラック４６６）が変位するためには、ラック４６６は、球受部４６７の変
位が開始された後に、伝達ギヤ４６５（ピニオンギヤ）が歯合されるラックギヤ４６６ａ
側の部分を下変位部材４４０の一側に向けることとなる。よって、ラック４６６の重さを
より下変位部材４４０の一側（下変位部材４４０が、ベース部材４１０に対してがたつく
際の支点）に近づけておくことができ、その結果、球受部４６７を停止状態から変位され
る際の下変位部材４４０のがたつきを抑制しやすくできる。
【０５５３】
球受部４６７は、第３位置方向（第１方向）へ変位され、第３位置に達すると姿勢が変
化可能に形成されるので、第３位置までは、１球の遊技球Ｔ１を球受部４６７が保持した
状態を維持しやすくして、球受部４６７からの遊技球Ｔ１の脱落を抑制できる一方、第２
位置に達した際には、球受部４６７の姿勢の変化を利用して、遊技球Ｔ１を球受部４６７
の内側から払出しやすくできる。
【０５５４】
なお、下変位部材４４０を退避状態（下変位部材４４０の長手方向を仮想線Ｈ１と水平
に配置した状態）の位置で図６６（ａ）から図６６（ｃ）に示す球受部４６７の払出動作
を行う場合は、下変位部材４４０の外側に払い出された遊技球が、回収口４１１ｆの内部
に送球される。
【０５５５】
一方、下変位部材４４０が第１張出状態（下変位部材４４０の長手方向が仮想線Ｈ１か
ら角度θ回転された状態）の位置で球受部４６７の払出動作を行う場合は、下変位部材４
４０の外側に払い出された遊技球が、回転ユニット７００の球受台７１０の上部に送球さ
れる。
【０５５６】
次いで、図６７及び図６８参照して、下変位部材４４０の内部に２球以上の球が送球さ
れた際の排出動作について説明する。図６７（ａ）から（ｃ）及び図６８（ａ）から（ｃ
）は、下変位部材４４０の正面図である。
【０５５７】
なお、図４３（ａ）から（ｃ）及び図４４（ａ）から（ｃ）では、排出動作の遷移状態
が順に図示される。また、図４３（ａ）から（ｃ）及び図４４（ａ）から（ｃ）では、下
変位部材４４０の装飾部材４５０及び正面ケース４８１が透明視されると共に、正面ケー
ス４８１の底壁部４８１ｂの外形が２点鎖線で図示される。
【０５５８】
図６７（ａ）から（ｃ）に示すように、後述する振分けユニット５００から２球以上の
球が連続して送球された場合には、下変位部材４４０を受入動作させることで、２球目の
遊技球Ｔ２を球受部４６７の変位経路上に落下させることができる。
【０５５９】
即ち、球受部４６７を第１位置から第２位置へ変位させて１球目の遊技球Ｔ１を球受部
４６７の内側に送球することができ、２球目の遊技球Ｔ２を１球目の遊技球Ｔ１に当接さ
せて、突設壁４７７の内側に留めて置くことができる（図６７（ｂ）参照）。第２位置で
１球目の遊技球Ｔ１を受け入れた後に球受部４６７を第１位置に変位させることで、球受
部４６７に１球目の遊技球Ｔ１を受け入れた状態で、球受部４６７を第１位置に変位させ
て、２球目の遊技球Ｔ２を球受部４６７の変位経路上に落下させることができる。
【０５６０】
ここで、第２位置で球受部４６７に受け入れる球を球受部４６７の変位により、第３位
置へ変位させる遊技機では、後述する振分けユニット５００の振分け部材５４０の変位に
動作不良が生じると規定数以上の遊技球が球受部４６７の軌道領域に送球される恐れがあ
り、この場合、規定数を超えた分の遊技球により不具合を生じる恐れがあるという問題点
があった。例えば、規定数を超えた分の遊技球が、球受部４６７を駆動させる伝達機構４
６０に入り込み、可動部分に噛み込まれることで、破損を招く恐れがあった。或いは、規
定数を超えた分の遊技球が遊技領域外（例えば、遊技盤１３の背面側または背面ケース３
００の内側）へ流出する恐れがあった。
【０５６１】
これに対し、本実施形態によれば、球受部４６７が、第２位置から球の送球方向と反対
方向となる第１位置に変位可能に形成されるので、その分、球受部４６７の軌道領域を拡
大できる。よって、例えば、振分け部材５４０に動作不良が生じ、規定数以上の遊技球が
送球された場合でも、球受部４６７の軌道領域が拡大されている分、規定数を超えた分の
遊技球を軌道領域に受け入れることができる。その結果、規定数を超えた分の遊技球を、
球受部４６７の第３位置への変位に伴って移動させることができる。よって、規定数を超
えた分の遊技球が、球受部４６７を駆動させる伝達機構４６０に入り込むことや、遊技領
域外へ流出することを抑制でき、その結果、規定数を超えた分の遊技球による不具合を生
じ難くできる。
【０５６２】
また、球受部４６７は、第２位置において後述する振分けユニット５００から送球され
た１球の遊技球Ｔ１を受け取って保持可能とされると共に、第２位置から第１位置の方向
（第２方向）へ少なくとも、遊技球の直径を超える距離だけ変位可能に形成されるので、
第２位置において１球の遊技球を受け取った後、球受部４６７を第２位置から第３方向（
第１方向）へ変位させることで、規定数を超える分の遊技球を球受部４６７の軌道領域（
球受部の４６７よりも第１方向の領域）に送球させることができる。よって、２球目以降
の遊技球Ｔ２を、球受部４６７の第３位置方向（第１方向）への変位に伴って移動させる
ことができる。
【０５６３】
この場合、１球目の遊技球Ｔ１を球受部４６７が保持し、２球目以降の遊技球Ｔ２を球
受部４６７の軌道領域に送球できるので、１球目の遊技球Ｔ１と、２球目以降の遊技球Ｔ
２とを分離することができる。よって、例えば、球受部４６７を第３位置方向（第１方向
）へ変位させることで、１球目の遊技球Ｔ１を球受部材が保持した状態を維持しつつ、２
球目以降の遊技球Ｔ２のみを軌道領域から排出する動作が可能となる。
【０５６４】
また、球受部４６７を第２位置に変位させて１球目の球を受け入れた後に、第３位置に
変位させて球受部４６７の内側から遊技球Ｔ１を排出するものでは、２球目の遊技球Ｔ２
がラック４６６の上部に落下して、２球目の遊技球Ｔ２が球受部４６７と伝達ギヤ４６５
との間に送球されて、２球目の遊技球Ｔ２を下変位部材４４０の外方に排出不能となる恐
れがある。
【０５６５】
これに対し、本実施形態では、球受部４６７に球を受け入れる受入動作を、第２位置で
球受部４６７の内側に遊技球Ｔ１を受け入れた後、出射開口４７１とは反対の第１位置へ
変位させることができるので、２球目の遊技球Ｔ２が下変位部材４４０の外方に排出不能
となることを抑制できる。
【０５６６】
言い変えると、役物内に送球された遊技球を排出する排出動作をする役物を備える遊技
機では、球を排出する部材（本実施形態では球受部４６７）の動作を球を受け入れる位置
（第２位置）と球を排出する位置（第３位置）に変位させるのみであると、２球以上の遊
技球が役物内に送球された場合に、球を排出する部材に対して排出口（出射開口４７１）
と反対側に２球目の遊技球Ｔ２を排出する恐れがあるところ、本実施形態では、１球目の
遊技球Ｔ１を受け入れた後に、球受部４６７を出射開口４７１と反対側の第１位置に変位
させることで、２球目の遊技球Ｔ２を球受部４６７と出射開口４７１との間に送球するこ
とができる。
【０５６７】
図６８（ａ）から（ｃ）に示すように、２球目の遊技球Ｔ２を球受部４６７の変位経路
上に送球した後に、球受部４６７を発射動作する前の第３位置まで変位させることで、２
球目の遊技球Ｔ２を球受部４６７に当接させた状態で出射開口４７１側に転動させること
ができる。その結果、２球目の遊技球Ｔ２を出射開口４７１から排出することができる。
【０５６８】
この場合、球受部４６７は、そのＵ字部分の下端面が球受部４６７の変位経路上に送球
される２球目の遊技球Ｔ２の中心位置よりも上方（図６８（ａ）上方）に配置される。ま
た、脚部４６７ａが底壁部４８１ｂの上面と当接した状態において、底壁部４８１ｂとの
当接面に対して略４５度傾倒した状態で配置される。さらに、球受部４６７のＵ字の右側
（図６８（ａ）右側）の側面が脚部４６７ａの右側の端部と上下方向に同一となる位置に
配置されるので、２球目の遊技球Ｔ２の外面を脚部４６７ａに当接させることができる。
【０５６９】
また、脚部４６７ａは、底壁部４８１ｂの上面に対して略４５度傾倒した状態とされる
ので、２球目の遊技球Ｔ２の下半球（底壁部４８１ｂ側の下半球）の外面と当接される。
これにより、２球目の遊技球Ｔ２を出射開口４７１側に転動させる際に、脚部４６７ａの
傾斜面で２球目の遊技球Ｔ２を上方に持ち上げる力を発生させることができる。よって、
２球目の遊技球Ｔ２が底壁部４８１ｂの上面を転動する際の２球目の遊技球Ｔ２と底壁部
４８１ｂとの摩擦力を小さくできる。その結果、２球目の遊技球Ｔ２を出射開口４７１側
に転動する際に、球受部４６７が停止されることを抑制できる。
【０５７０】
言い変えると、脚部４６７ａは、球受部４６７から第１位置から第３位置に向かう方向
（第１方向）へ向けて突設されると共に、その突設先端が、球受部４６７の軌道領域へ送
球された遊技球（即ち、２球目以降の遊技球Ｔ２）の下半面に当接可能に形成されるので
、球受部４６７が第１位置から第３位置方向（第１方向）へ変位される際には、遊技球を
その下半面を脚部４６７ａで押しつつ移動させることができる。その結果、２球目以降の
遊技球Ｔ２を球受部４６７の軌道領域から排出しやすくできる。
【０５７１】
また、球受部４６７に保持される１球目の遊技球Ｔ１と、球受部４６７の軌道領域へ送
球された遊技球（２球目以降の遊技球Ｔ２）との間に脚部４６７ａが介在することで、か
かる脚部４６７ａの突設長さの分、１球目の遊技球Ｔ１と２球目以降の遊技球Ｔ２との間
隔を確保できる。よって、１球目の遊技球Ｔ１を球受部４６７が保持した状態を維持しつ
つ、２球目以降の遊技球Ｔ２のみを軌道領域から排出しやすくできる。
【０５７２】
さらに、凹部４８１ｂ１との係合により、球受部４６７の姿勢を変化させる役割と、遊
技球をその下半面を押しつつ移動させる役割とを脚部４６７ａに兼用させるので、その分
、部品点数を削減して製品コストの削減を図ることができる。
【０５７３】
また、凹部４８１ｂ１は、第１位置から第３位置方向（第１方向）における大きさが遊
技球の直径よりも小さくされるので、球受部４６７の軌道領域へ送球された遊技球（即ち
、２球目以降の遊技球Ｔ２）が、球受部４６７の第１方向への変位に伴って移動される際
に、凹部４８１ｂ１を通過しやすくできる。その結果、２球目以降の遊技球Ｔ２を軌道領
域から排出しやすくできる。
【０５７４】
上述したように、下変位ユニット４００が退避状態に配置されると、下変位部材４４０
の出射開口４７１の下方に回収口４１１ｆが配置された状態とされる。よって、退避状態
において排出動作された遊技球Ｔ２は、回収口４１１ｆに送球される。
【０５７５】
一方、下変位ユニット４００が第１張出状態に配置されると、回収口４１１ｆは、出射
開口４７１の下方に位置した状態とされる。また、回収口４１１ｆの開口は、上方側が開
口される。よって、排出動作された遊技球Ｔ２は、回収口４１１ｆに送球される。
【０５７６】
即ち、回収口４１１ｆは、ベース部材４７０における第１方向側（立設壁４７１ａ側）
の端部の鉛直方向下方に配設されると共に鉛直方向上に開口を有するので、球受部４６７
の第３位置方向（第１方向）への移動に伴って移動され、球受部４６７の軌道領域から排
出される遊技球（即ち、２球目以降の遊技球Ｔ２）を回収口４１１ｆの開口から受け入れ
て回収することができる。
【０５７７】
また、回収口４１１ｆの開口は、少なくとも退避状態、第１張出状態および第２張出状
態のそれぞれの位置において、ベース部材４７０における第１方向側（立設壁４７１ａ側
）の端部の鉛直方向下方に配設される。これにより、下変位ユニット４００が、退避位置
、第１張出状態および第２張出状態のいずれに変位された場合でも球受部４６７の軌道領
域から排出される遊技球（即ち、２球目以降の遊技球Ｔ２）を回収部材の開口から受け入
れて回収することができる。
【０５７８】
なお、下変位部材４４０を退避状態（下変位部材４４０の長手方向を仮想線Ｈ１と水平
に配置した状態）の位置で図６７（ａ）から（ｃ）及び図６８（ａ）から（ｃ）に示す球
受部４６７の排出動作を行う場合は、下変位部材４４０の外側に払い出された遊技球が、
回収口４１１ｆの内部に送球される。また、下変位部材４４０が第１張出状態（下変位部
材４４０の長手方向が仮想線Ｈ１から角度θ回転された状態）の位置で球受部４６７の排
出動作を行う場合は、下変位部材４４０の外側に払い出された遊技球が、上述したように
回収口４１１ｆに送球される。
【０５７９】
次に図６９を参照して、２球目の遊技球Ｔ２が出射開口４７１から排出される際の構成
について説明する。図６９（ａ）は、図６８（ｂ）の範囲ＬＸＩＸａにおける下変位部材
４４０の部分拡大図であり、図６９（ｂ）は、図６８（ａ）の範囲ＬＸＩＸｂにおける下
変位部材４４０の部分拡大図である。
【０５８０】
図６９に示すように、球受部４６７が発射動作の直前の第３位置まで変位されると、遊
技球Ｔ２を立設壁４７１ａ側の球受部４６７の側面に当接させて、出射開口４７１から下
変位部材４４０の外方に押し出すことができる。
【０５８１】
この場合、球受部４６７の脚部４６７ａが底壁部４８１ｂと立設壁４７１ａとの間に挿
入されて球受部４６７が回転動作する際に遊技球Ｔ２と球受部４６７とを当接させること
で、球受部４６７の回転の力を遊技球Ｔ２に伝達させることができる。その結果、遊技球
Ｔ２を出射開口４７１から排出させやすくできる。また、球受部４６７が遊技球Ｔ２に当
接された際の反発力を利用して球受部４６７を回転動作する前の状態に戻すことができる
。よって、球受部４６７の軌道領域に送球された遊技球Ｔ２を排出する際に、球受部４６
７に保持した１球目の遊技球Ｔ１が脱落することを抑制できる。
【０５８２】
さらに、下変位部材４４０は、球受部４６７が第２位置から第３位置方向（第１方向）
へ変位する際の軌道領域に遊技球の半径よりも低い高さで立設されると共に凹部４８１ｂ
１よりも第１方向側に位置する立設壁４７１ａを備え、球受部４６７の軌道領域へ送球さ
れた２球目以降の遊技球が球受部４６７の第１方向への変位に伴って移動されると、その
遊技球Ｔ２が立設壁４７１ａと球受部４６７とに当接されて、球受部４６７の姿勢変化が
規制可能に形成されるので、１球目の遊技球Ｔ１を球受部４６７が保持した状態を維持し
つつ、２球目の以降の遊技球のみを軌道領域から排出しやすくできる。
【０５８３】
即ち、立設壁４７１ａは、底壁部４８１ｂの上面から立設先端までの高さが遊技球の半
径よりも低い高さで立設されるので、球受部４６７の第１方向への変位に伴って脚部に押
されて遊技球Ｔ２が移動されると、遊技球Ｔ２の下半面を立設壁４７１ａに当接させて、
かかる立設壁４７１ａを遊技球が乗り越え易くできる。この場合、球受部４６７に遊技球
Ｔ２が当接され（即ち、球受部４６７と立設壁４７１ａとの間に遊技球Ｔ２が介在され）
、遊技球Ｔ２から球受部４６７へ反力を作用させることができるので、球受部の姿勢変化
を規制でき、球受部４６７が保持している１球目の遊技球が脱落することを抑制できる。
その結果、１球目の遊技球を球受部４６７が保持した状態を維持しつつ、２球目以降の遊
技球Ｔ２のみを遊技領域から排出しやすくできる。
【０５８４】
一方、球受部４６７の軌道領域に２球目以降の遊技球Ｔ２が送球されていない場合には
、立設壁４７１ａと球受部４６７との間に遊技球が介在されていないので、脚部４６７ａ
が凹部に４８１ｂ１に係合されることで、球受部４６７の姿勢を変化させることができる
。その結果、球受部４６７の姿勢の変化を利用して１球目の遊技球Ｔ１（即ち、球受部４
６７に保持されている遊技球）を球受部４６７から排出しやすくできる。
【０５８５】
次いで、図７０から図７２を参照して、振分けユニット５００について詳細な説明をす
る。図７０（ａ）は、振分けユニット５００の上面図であり、図７０（ｂ）は、振分けユ
ニット５００の背面図である。図７１は、振分けユニット５００の分解正面斜視図であり
、図７２は、振分けユニット５００の分解背面斜視図である。
【０５８６】
図７０から図７２に示すように、振分けユニット５００は、正面視略矩形の板状体に形
成されるベース板５２０と、そのベース板５２０の正面側に取着されベース板５２０との
対向間に球が流下可能な複数の流下経路を形成する経路形成部材５１０と、ベース板５２
０の背面側に回転可能に取着される振分け部材５４０と、ベース板５２０の端面に取着さ
れベース板５２０と経路形成部材５１０との対向間に形成される球の流下経路を延長する
延長経路部材５３０とを主に備えて形成される。
【０５８７】
ベース板５２０は、背面側に突出する円柱状の軸部５２３と、その軸部５２３の軸を中
心とする円弧形状に貫通形成される第１開口５２１と、その第１開口５２１よりも半径の
大きい円弧形状に貫通形成される第２開口５２２と、上端の側面に上端側が開放する断面
Ｕ字状形成されると共に左右方向に延設される転動部５２５と、背面側に鉤状に突出する
係止部５２４とを主に備えて形成される。
【０５８８】
軸部５２３は、後述する振分け部材５４０の軸孔５４５に挿入されて、振分け部材５４
０を回転可能な状態でベース部材に取着する軸であり、軸孔５４５の内径よりも小さい外
径に形成される。
【０５８９】
第１開口５２１及び第２開口５２２は、後述する振分け部材５４０の規制板５４１及び
貯留板５４２が挿通される開口であり、規制板５４１及び貯留板５４２の板の厚みよりも
大きい幅の開口に形成される。また、振分け部材５４０は、回転可能な状態でベース板５
２０に取着されるので、第１開口５２１及び第２開口５２２は、規制板５４１及び貯留板
５４２の正面視における周方向の寸法よりも円弧の長さが大きく形成される。
【０５９０】
係止部５２４は、振分け部材５４０に形成される係止部５４４とで付勢ばねＳＰ４を係
止する係合部であり、付勢ばねＳＰ４の一端が係止される。
【０５９１】
転動部５２５は、球が転動する底面であり、背面視左側（図７０（ｂ）左側）の一端に
向かって下側に傾斜して形成されると共にＵ字に形成される湾曲形状が球の外形よりも大
きく形成される。よって、転動部５２５を転動する球が転動部で停止することを抑制して
、一端側に球を転動させることができる。
【０５９２】
また転動部５２５は、前後の側面からＵ字の内側に向かって突出する複数の突起５２５
ｂと、一端側の端部に背面側に開口する開口５２５ａとを備える。
【０５９３】
突起５２５ｂは、前後の側面に一定の間隔を隔てて形成されると共に、前方側に形成さ
れる突起５２５ｂと背面側に形成される突起５２５ｂとが正面視において互い違いとなる
位置に形成される。よって、転動部５２５を転動する球を、突起５２５ｂに衝突させるこ
とができるので、転動部５２５を転動する球の転動速度を遅くすることができる。
【０５９４】
ここで、上述したように、下変位ユニット４００の球受部４６７への球の送球は、球受
部４６７を第１位置へ配置した状態で行われる（図６５（ａ）及び図６５（ｂ）参照）。
そのため、第３送球経路ＫＲ３の転動部５２５を転動する遊技球の送球速度が速くされる
と、球受部４６７を第２位置へ移動する前に遊技球が下変位部材４４０の内部に送球され
る恐れがある。
【０５９５】
これに対し、本実施形態では、第３送球経路ＫＲ３の転動部５２５の内面に突設される
複数の突起５２５ｂが形成され、第３送球経路ＫＲ３の転動部５２５を通過する遊技球に
抵抗を付与することができるので、第３送球経路ＫＲ３を通過する遊技球の速度を遅くす
ることができる。よって、その分、切り替え位置（第１位置）から受け取り位置（第２位
置）まで球受部４６７が変位する際に、必要とされる時間を長くできるので、球受部４６
７に遊技球を確実に受け取らせることができる。また、球受部４６７に必要とされる変位
速度を遅くできる分、駆動モータＫＭ２の変位速度の出力を小さくして、製品コストの削
減を図ることができる。
【０５９６】
開口５２５ａは、転動部５２５の一端の背面側に開放して形成されており、その背面視
における外形は球の大きさよりも大きく形成される。よって、転動部５２５を一端側に転
動する球は、開口５２５ａから排出される。
【０５９７】
経路形成部材５１０は、ベース板５２０よりも左右方向の横幅が小さい矩形縦長の板状
に形成されると共に、背面側に遊技球の外径よりも大きい複数の壁が形成され、その複数
の壁の対向間を球の外径よりも大きく形成することで、その内部に複数の球の流下経路が
形成される。
【０５９８】
経路形成部材５１０は、上端面に開口する第１開口５１１と、第１開口５１１の側壁の
対向間に形成される第１送球経路ＫＲ１と、第１送球経路ＫＲ１に連結される第２送球経
路ＫＲ２及び第３送球経路ＫＲ３と、第２送球経路ＫＲ２及び第３送球経路ＫＲ３の端部
において経路形成部材５１０の側面に開口する第２開口５１２及び第３開口５１３と、前
後方向に貫通形成される複数の開口５１４，５１５，５１６と、開口５１４，５１５，５
１６の背面側の壁で形成される第４送球経路ＫＲ４と、その第４送球経路ＫＲ４の端部に
おいて経路形成部材５１０の側面に開口する第４開口５１７とを主に備えて形成される。
【０５９９】
第１開口５１１は、後述する送球ユニット６００から送球される球を振分けユニットの
内部に流入させるための開口であり、経路形成部材５１０の上端の側面に形成されると共
に、その外形が球よりも大きく形成される。また、第１開口５１１は、送球ユニット６０
０と連結されており送球ユニット６００から送球される球を流入可能とされる。
【０６００】
第１送球経路ＫＲ１は、第１開口５１１から流入した球をベース板５２０及び経路形成
部材５１０との対向間を流下させる経路であり、下方向に延設して形成される。また、第
４送球経路ＫＲ４は、経路形成部材５１０の上下方向略３分の１程度に延設して形成され
ており下流の端部が、第２送球経路ＫＲ２及び第３送球経路ＫＲ３に連結される。即ち、
第１送球経路ＫＲ１を流下する球が、第２送球経路ＫＲ２又は第３送球経路ＫＲ３に流下
可能に形成される。
【０６０１】
第２送球経路ＫＲ２は、上述したように、第１送球経路ＫＲ１に連結されて形成される
経路であり、下流側の端部が第２開口５１２に連結される。即ち、第１開口５１１から流
下して第１送球経路ＫＲ１を流下する球が第２送球経路ＫＲ２へ流下すると、第２開口５
１２から振分けユニット５００の外方へ排出される。
【０６０２】
第２開口５１２は、球を回収する回収経路（図示せず）に連結される。よって、第２開
口から排出される球は、回収経路により回収される。また、第２開口５１２の内側（第２
送球経路ＫＲ２の下流端）には、遊技球の通過を検出するセンサ装置ＳＥ２が配置される
。よって、第３入賞口８２を通過する遊技球の球数をセンサ装置ＳＥ１で検出すると共に
、第２送球経路ＫＲ２を通過する遊技球の球数をセンサ装置ＳＥ２で検出することで、第
３送球経路ＫＲ３を通過する遊技球の個数を検知することができる。
【０６０３】
即ち、後述する規制板５４１の上流に所定の球数（１球）の遊技球が貯留されたか否か
をセンサ装置ＳＥ１及びセンサ装置ＳＥ１の差で検知することができる。例えば、第３電
動役物８２ａの一回の開放時に、第３入賞口８２（センサ装置ＳＥ１）を通過する球数が
８個であり、第２送球経路ＫＲ２（センサ装置ＳＥ２）を通過する球数が７個の場合は、
第３送球経路ＫＲ３に１球分の遊技球を流下（貯留）した状態であることを検出できる。
【０６０４】
第３送球経路ＫＲ３は、上述したように、第１送球経路ＫＲ１に連結されて形成される
経路であり、下流側の端部が第３開口５１３に連結される。即ち、第１開口５１１から流
下して第１送球経路ＫＲ１を流下する球が第３送球経路ＫＲ３へ流下すると、第３開口５
１３から排出される。
【０６０５】
第３開口５１３は、ベース板５２０の転動部５２５の他端側（開口５２５ａの反対の端
部側）の上方に形成される。よって、第３開口５１３から排出される球は、転動部５２５
の内側に送球される。即ち、第３送球経路ＫＲ３に送球される球は、第３開口５１３を介
して転動部５２５に送球される。
【０６０６】
開口５１４から５１６は、それぞれ遊技盤１３に形成される第３入賞口８２の背面側に
形成されており、第３入賞口８２に入賞した球が送球される。即ち、遊技盤１３の正面側
の遊技領域を流下する球が第３入賞口８２に入賞すると、球は開口５１４から５１６に振
分けユニット５００の内部に送球される。
【０６０７】
第４送球経路ＫＲ４は、開口５１４から５１６に連結して形成されており、下流側で１
つの経路に連結されて、経路形成部材５１０の下端面に形成される第４開口に連結される
。第４開口は、球を回収する回収経路（図示せず）に連結される。よって、遊技盤１３の
第３入賞口８２に入賞した球は、振分けユニット５００の第４送球経路ＫＲ４に送球され
た後に、第４開口５１７から排出されて回収される。
【０６０８】
延長経路部材５３０は、下側が開放する断面Ｕ字に形成されると共に、左右方向に延設
される。また、延長経路部材５３０は、そのＵ字の内径が球の外径よりも大きく形成され
る。よって、ベース板５２０の転動部５２５の上部に配設されることで、転動部５２５の
上部に送球される球を、転動部５２５及び延長経路部材５３０の内側を送球可能にできる
と共に、転動部を転動する球が、転動部５２５から落下することを抑制できる。
【０６０９】
さらに、延長経路部材５３０は、転動部５２５に形成される突起５２５ｂと左右方向同
じ位置に一定の間隔で形成される突起５３１が形成される。これにより、突起５２５ｂと
同様に転動部５２５を転動する球の転動速度を遅くすることができる。
【０６１０】
振分け部材５４０は、一方が長く形成される正面視矩形に形成され、前後方向に所定の
厚みを備えて形成される。振分け部材５４０は、正面側に板状体で突出する規制板５４１
及び貯留板５４２と、上方の一端側に貫通形成される軸孔５４５と、背面側に鉤状に形成
される係止部５４４とを主に備えて形成される。
【０６１１】
軸孔５４５は、上述したように、ベース板５２０の軸部５２３が挿入される貫通孔であ
り、前後方向に貫通して形成される。振分け部材５４０は、ベース板５２０の軸部５２３
を軸孔５４５に挿通すると共に、背面側から軸孔よりも頭部の大きいネジ等を軸部５２３
に締結することにより、ベース板５２０に回転可能な状態で取着される。
【０６１２】
規制板５４１は、第１開口５２１を介して第１送球経路ＫＲ１と第２送球経路ＫＲ２と
の連結部分に配置されて第１送球経路ＫＲ１を流下する球が第２送球経路ＫＲ２へ流入す
ることを規制する板部材であり、軸孔５４５の正面側の端面よりも正面側に突出して形成
されると共に、ベース板５２０から正面側への突出距離が球の半径よりも大きく設定され
る。
【０６１３】
また、規制板５４１は、軸孔５４５の軸を中心とする円弧状に湾曲して形成される。こ
れにより、振分け部材５４０が軸孔５４５の軸を中心に回転変位された際に、規制板５４
１の変位領域を最小にすることができる。
【０６１４】
貯留板５４２は、第２開口５２２を介して第２送球経路ＫＲ２上に配置され、第２送球
経路ＫＲ２を流下する球を貯留板５４２の上流側に貯留する板部材であり、軸孔５４５の
正面側の端面よりも正面側に突出して形成されると共に、ベース板５２０から正面側への
突出距離が、球の半径よりも大きく設定される。
【０６１５】
また、貯留板５４２は、軸孔５４５の軸を中心とする円弧状に湾曲して形成されると共
に、その円弧の半径が規制板５４１の湾曲部分の半径よりも大きく形成される。よって、
貯留板５４２は、軸孔５４５から規制板５４１よりも離間した位置に形成される。これに
より、規制板５４１を第１送球経路ＫＲ１と第２送球経路ＫＲ２との連結部分に突出させ
ることができると共に、貯留板５４２を第２送球経路ＫＲ２上に配置することができる。
さらに、振分け部材５４０が軸孔５４５の軸を中心に回転変位された際の変位領域を最小
にすることができる。
【０６１６】
突起部５４３は、上述した下変位部材４４０の当接板４６４ｃに衝突されることで、振
分け部材５４０に回転の駆動力を作用させる駆動伝達部材であり、振分け部材５４０の他
端側に突出して形成される。即ち、振分け部材５４０の回転軸となる軸孔５４５が形成さ
れる一端側と反対側に、駆動力が伝達される突起部５４３が形成される。これにより、下
変位部材４４０の当接板４６４ｃの衝突する力を小さくすることができる。
【０６１７】
従って、当接板４６４ｃを変位させる駆動モータＫＭ３の駆動力を小さくすることがで
きるので、駆動モータＫＭ３の消費エネルギーを小さくすることができる。また、駆動の
際に、当接板４６４ｃが突起部５４３と衝突する際のエネルギーを小さくできるので、当
接板４６４ｃと突起部５４３とが衝突した際に衝突音を小さくすることができる。なお、
当接板４６４ｃと突起部５４３との衝突の際の詳しい態様については後述する。
【０６１８】
さらに、突起部５４３の突出先端の当接板４６４ｃとの当接箇所は、円形状に膨出する
膨出部５４３ａが形成される。膨出部５４３ａに当接板４６４ｃを当接させることで、当
接板と振分け部材５４０との接地面積を小さくすることができる。従って、振分け部材５
４０を回転変位させる際に、突起部５４３（膨出部５４３ａ）と当接板４６４ｃと摩擦抵
抗を小さくすることができる。その結果、駆動モータＫＭ３の消費エネルギーが大きくな
ることを抑制できる。
【０６１９】
係止部５４４は、上述したようにベース板５２０の係止部５２４との間で付勢ばねＳＰ
４を係止する部分である。よって、振分け部材５４０の他端側が常に係止部５２４側に回
転する力を付与することができるので、振分け部材５４０がパチンコ機１０の振動等でゆ
れ動くことを抑制できる。
【０６２０】
次いで、図７３を参照して、振分けユニット５００の球の流下経路について詳しく説明
する。図７３は、図７０（ａ）のＬＸＸＩＩＩ−ＬＸＸＩＩＩ線における振分けユニット
５００の断面図である。なお、図７３では、振分け部材５４０が、鎖線で図示される。ま
た、図７３では、振分け部材５４０が貯留位置に配置された状態が図示される。
【０６２１】
ここで、振分け部材５４０が貯留位置に配置された状態とは、振分け部材５４０が付勢
ばねＳＰ４の付勢力により回転され、第２送球経路ＫＲ２上に貯留板５４２を配置した状
態のことである。
【０６２２】
図７３に示すように、第１送球経路ＫＲ１は、その流下経路の下端側が、ベース板５２
０の左右方向（図７３左右方向）の中央部分に向かって傾倒されると共に、その傾倒部分
が緩やかなＳ字状に湾曲して形成される。また、Ｓ字状に湾曲した先端部分が第３送球経
路ＫＲ３に連結され、第２送球経路ＫＲ２が、第１送球経路ＫＲ１の端部に第１送球経路
ＫＲ１の傾倒する方向と反対方向に傾倒した状態で連結される。
【０６２３】
これにより、第１送球経路ＫＲ１を流下する球を傾倒部分の下面に衝突させることで、
球の流下方向を重力方向から第１送球経路ＫＲ１の傾倒する方向に向けることができる。
よって、球を第３送球経路ＫＲ３の入り口（第１送球経路ＫＲ１と第３送球経路ＫＲ３と
の連結部分）に向かって流下させることができる。従って、振分け部材５４０が配置され
ていない状態では、第１送球経路ＫＲ１を流下する球を第３送球経路ＫＲ３に送球するこ
とができる。
【０６２４】
ここで、遊技球が流下する流下経路と、その流下経路から分岐される第１分岐通路およ
び第２分岐通路と、流下通路を流下した遊技球を第１分岐通路または第２分岐通路の一方
へ振り分ける遊技機が知られている。
【０６２５】
しかしながら、従来の遊技機では、流下通路を流下した遊技球を第１分岐通路と第２分
岐通路とへ１球ずつ交互に振り分ける構造であるため、流下通路を流下する遊技球が、第
１分岐通路と第２分岐通路とに均等に（即ち、半数ずつ）振分けられる。即ち、第１分岐
通路へ振り分ける遊技球の数を変更できないという問題点があった。
【０６２６】
これに対し、本実施形態では、変位可能に形成されると共に第３送球経路ＫＲ３から遊
技球を受け取る球受部４６７を備え、球受部４６７に連動する当接板４６４ｃが振分け部
材５４０に当接して変位されることで、振分け部材５４０が変位されるので、球受部４６
７の変位に応じて、第３送球経路ＫＲ３または第２送球経路へ振り分ける遊技球の数を変
更できる。即ち、第３送球経路ＫＲ３へ振り分ける遊技球の数を変更できる。
【０６２７】
なお、振分け部材５４０の変位は、球受部４６７の変位を利用して、振分け部材５４０
を変位させることができるので、かかる振分け部材５４０を変位させるための駆動手段や
伝達機構を別途設けることを不要とできる。よって、その分、部品点数を削減して、製品
コストの削減を図ることができる。
【０６２８】
また、例えば、センサ装置による位置検出や駆動手段による駆動を利用して振分け部材
５４０の変位を制御する構造では、検出不良や制御不良による誤作動によって、振分け部
材の振分け動作の信頼性の低下を招くところ、本実施形態によれば、振分け部材５４０に
よる振分け先を、球受部４６７の変位に機械的に同期させて切り換えることができるので
、振分け動作の信頼性の向上を図ることができる。
【０６２９】
特に、球受部４６７は、第３送球経路ＫＲ３の転動部５２５から遊技球を受けとる部材
であるので、かかる球受部４６７の変位に同期させて振分け部材５４０の振分け先を第３
送球経路に切り替えることで、第３送球経路ＫＲ３に振分けられた遊技球を変位部材に確
実に受け取らせることができる。
【０６３０】
さらに、従来の遊技機では、流下経路を流下する遊技球が、第１分岐通路または第２分
岐通路の一方へ振り分けられるのみであるため、遊技者に興趣を与えることが不十分であ
った。
【０６３１】
これに対し、本実施形態によれば、規制板５４１（振分手段）による振り分け先が第３
送球経路ＫＲ３（第１分岐通路）とされた状態では、第３における遊技球の流下を規制し
、振分け部材５４０による振り分け先が、第２送球経路ＫＲ２（第２分岐通路）とされた
状態では第３送球経路ＫＲ３における遊技球の流下を許容する貯留板５４２（流下状態変
更手段）を備えるので、遊技者に興趣を与えることができる。
【０６３２】
即ち、規制板５４１による振り分け先が第３送球経路とされると、第３送球経路ＫＲ３
へ振り分けられた遊技球の流下を規制して第３送球経路ＫＲ３に遊技球を貯留すると共に
、規制板５４１による振り分け先が第２送球経路ＫＲ２とされると、第３送球経路ＫＲ３
における遊技球の流下を許容し、第３送球経路ＫＲ３に貯留されていた遊技球を流下させ
る（開放する）ことができる。これにより、第１送球経路ＫＲ１（流下経路）を流下する
遊技球を第３送球経路ＫＲ３又は、第２送球経路ＫＲ２の一方へ振り分ける動作に加え、
第３送球経路ＫＲ３に振り分けられた遊技球を流下させる（開放する）動作を形成できる
。更に、これら貯留および開放の動作を、振分け動作に連動して、交互に形成できる。そ
の結果、遊技者に興趣を与えることができる。
【０６３３】
また、規制板５４１（振分手段）と貯留板５４２（流下状態変更手段）とが一体に形成
される振分け部材５４０（一体部材）を備えるので、それら規制板５４１と貯留板５４２
とを動作させる構造の簡素化と動作の信頼性の向上とを図ることができる、即ち、規制板
５４１と貯留板５４２とが別体に形成される場合には、２部品となるため、それら２部品
を動作させる構造が複雑化すると共に動作の信頼性の低下を招く。
【０６３４】
これに対し、本実施形態によれば、規制板５４１と貯留板５４２とを一部品として形成
できるので、その分、構造を簡素化でき、製品コストの削減と動作の信頼性の向上とを図
ることができる。
【０６３５】
さらに、振分け部材５４０は、貯留位置（第１状態位置）と規制位置（第２状態位置）
とに変位可能に形成され、振分け部材５４０が貯留位置に変位された状態では、規制板５
４１が第３送球経路ＫＲ３（第１分岐通路）を振分け先とする位置に配置され且つ貯留板
５４２が第３送球経路ＫＲ３における遊技球の流下を規制する位置に配置され、振分け部
材５４０が規制位置に変位された状態では、規制板５４１が第２送球経路ＫＲ２を振分け
先とする位置に配置され且つ貯留板５４２が第３送球径路における遊技球の流下を許容す
る位置に配置されるので、振分け部材５４０を２位置（貯留位置および規制位置）で変位
させることで、第１送球経路ＫＲ１（流下通路）を流下する遊技球を第３送球経路ＫＲ３
又は第２送球経路の一方へ振り分ける動作に加え、第３送球経路ＫＲ３に振り分けられた
遊技球の流下を一端停止させる（貯留する）動作と、その停止された（貯留された）遊技
球を流下させる（開放する）動作とを形成できると共に、これら貯留および開放の動作を
、振り分け動作に連動して、交互に形成できる。即ち、構造を簡素化して、製品コストの
削減と動作の信頼性の向上とを図ることができる。
【０６３６】
振分け部材５４０（一体部材）は、回転可能に形成され、貯留板５４２（流下状態変更
手段）は、第３送球経路ＫＲ３（第１分岐通路）に対して出没可能に形成され、第３送球
経路ＫＲ３へ突出することで遊技球の流下を規制すると共に、振分け部材５４０の回転軸
を中心とする円弧状に湾曲した形状に形成されるので、規制板５４１の出没の為に第３送
球経路ＫＲ３の内壁に開口される孔（凹部５１９）の面積を小さくすることができる。
【０６３７】
貯留板５４２（流下状態変更手段）は、第３送球経路ＫＲ３（第１分岐通路）の上流を
臨む側が凹となる姿勢で配設されるので、第３送球経路ＫＲ３への貯留板５４２が突出し
始めた初期の状態（即ち、通路内へ流下状態変更手段の先端側のみが突出されている状態
）において、貯留板５４２の先端側の形状を遊技球の流下を規制しやすい向きで配置でき
、第３送球経路ＫＲ３に振り分けられた遊技球の流下を規制しやすくできる。
【０６３８】
また、貯留板５４２が、第３送球経路へ最大に突出され遊技球の流下を規制する状態で
は、貯留板５４２の凹により遊技球を安定して保持できるので、遊技球の暴れを抑制でき
る。
【０６３９】
振分けユニット５００は、振分け部材５４０（一体部材）に付勢力を付与して、規制板
５４１が第３送球経路（第１分岐通路）へ突出する方向へ付勢する付勢ばねＳＰ４（付勢
手段）を備え、規制板５４１から振分け部材５４０の回転軸までの距離が、規制板５４１
から振分け部材５４０の回転軸までの距離よりも大きくされるので、付勢ばねＳＰ４の付
勢力を利用して、振分け部材５４０を貯留板５４２が第３応急経路へ突出する姿勢（即ち
、貯留位置）に維持しやすくできる。
【０６４０】
この場合、貯留板５４２から振分け部材５４０の回転軸までの距離が、規制板５４１か
ら振分け部材５４０の回転軸までの距離よりも大きくされるので、流下する遊技球が衝突
されると、回転軸からの距離が大きい分、同じ衝撃力が作用した場合でも、貯留板５４２
が没入しやすいところ、付勢ばねＳＰ４の付勢方向が、貯留板５４２が第３送球経路ＫＲ
３へ突出する方向とされることで、その付勢力の分、貯留板５４２が凹部５１９へ没入さ
れることを抑制できる。
【０６４１】
また、振分け部材５４０（一体部材）は、その自重により貯留板５４２（流下状態変更
手段）が第３送球経路（第１分岐通路）へ突出する方向へ回転されるので、かかる自重を
利用して振分け部材５４０を、貯留板５４２が第３送球経路ＫＲ３へ突出する姿勢（即ち
、貯留位置）に維持しやすくできる。よって、遊技球が衝突した場合には、その自重の分
、貯留板５４２が凹部５１９へ没入されることを抑制できる。
【０６４２】
また、付勢ばねＳＰ４（付勢手段）が脱落した場合でも、振分け部材５４０を、その自
重により、規制板５４１が第３送球経路ＫＲ３へ突出した姿勢に維持して、第３送球経路
へ遊技球が流下することを抑制できる。
【０６４３】
さらに、振分け部材５４０に付勢力を付与して、振分け部材５４０による振分け先を第
３送球経路ＫＲ３又は第２送球経路ＫＲ２の一方に維持させる付勢ばねＳＰ４を備え、球
受部４６７が振分け部材５４０を付勢ばねＳＰ４の方向に抗する方向へ変位させることで
、振分け部材５４０による振分け先が第３送球経路ＫＲ３または第２送球経路ＫＲ２の他
方に切替えられると共に、付勢ばねの付勢力によって、振分け部材５４０による振分け先
が第３送球経路ＫＲ３または第２送球経路ＫＲ２の一方に復帰される。
【０６４４】
従って、振分け部材５４０による振り分け先が不用意に切り換えられることを抑制でき
る。この場合、球受部４６７の変位に伴って振分け部材５４０が変位され、その振り分け
先が切り替えられた後、切り替え前の振り分け先への復帰は、付勢ばねＳＰ４の付勢力に
より行うことができるので、球受部４６７に連動する当接板４６４ｃが振分け部材５４０
と当接されていることを不要とできる。即ち、球受部４６７に連動する当接板４６４ｃを
振分け部材５４０から離間させることができる。よって、球受部４６７の可動範囲の設計
の自由度を高めることができる。
【０６４５】
次いで、図７４を参照して、振分け部材５４０の変位について説明する。図７４（ａ）
及び（ｂ）は、図７３の範囲ＬＸＸＩＶにおける振分けユニット５００の部分拡大図であ
る。なお、図７４（ａ）は、振分け部材５４０が貯留位置に位置する状態が、図７４（ｂ
）は、振分け部材５４０が規制位置に位置する状態がそれぞれ図示される。また、振分け
部材５４０が規制位置に配置された状態とは、振分け部材５４０の突起部５４３に下変位
部材４４０の当接板４６４ｃが衝突して、振分け部材５４０が軸孔５４５の軸を中心に回
転されて、第１送球経路ＫＲ１と第３送球経路ＫＲ３との連結部分に規制板５４１を配置
した状態のことである。
【０６４６】
図７４（ａ）に示すように、振分け部材５４０が貯留位置に配置された状態では、貯留
板５４２が第３送球経路ＫＲ３上に配置されると共に、規制板５４１が経路形成部材５１
０の背面側の壁に形成される凹部５１８の内側に配置される。
【０６４７】
この場合、貯留板５４２の第３送球経路ＫＲ３の内側に突出した先端の端部とその先端
と対向する第３送球経路ＫＲ３の内壁との距離寸法Ｌ１は、球の直径よりも小さくされる
。よって、第３送球経路ＫＲ３の上流（第１送球経路ＫＲ１）から送球される球は、貯留
板５４２の上流側に停止される。
【０６４８】
また、貯留板５４２の湾曲した部分の内側から第１送球経路ＫＲ１と第３送球経路ＫＲ
３との連結部分までの距離寸法Ｌ２は、球の半径よりも大きく設定されると共に、球の直
径よりも小さく設定される。これにより、貯留板５４２の上流側に停止される球の数を１
球とすることができる。なお、以下では、貯留板５４２の上流側に球を１球停止させた振
分けユニット５００の状態を貯留状態と称す。
【０６４９】
一方、図７４（ｂ）に示すように、振分け部材５４０が、規制位置に配置された状態で
は、規制板５４１が第１送球経路ＫＲ１と第３送球経路ＫＲ３との連結部分に配置される
と共に、貯留板５４２が、経路形成部材５１０の背面側の壁部に形成される凹部５１９の
内側に配置される。
【０６５０】
この場合、規制板５４１の第１送球経路ＫＲ１内側に突出した先端の端部と第３送球経
路ＫＲ３の入り口の内壁までの距離寸法Ｌ３は、球の直径よりも小さくされる。よって、
第１送球経路ＫＲ１を流下する球は、規制板５４１に衝突して、第２送球経路ＫＲ２に送
球される。
【０６５１】
即ち、振分け部材５４０を規制位置と貯留位置とで切り換えることで、第１送球経路Ｋ
Ｒ１を送球される球を第３送球経路ＫＲ３に送球して、第３送球経路ＫＲ３上に停止させ
る状態と、第１送球経路ＫＲ１を流下する球を第３送球経路ＫＲ３に流入不能として、第
２送球経路ＫＲ２に送球される状態とを形成することができる。
【０６５２】
よって、１つの振分け部材５４０を変位させることで、１の流下する経路から２の流下
する経路に分かれる場合に、球の流下経路をどちらかに確実に切り替えることができる。
【０６５３】
また、付勢ばねＳＰ４は、振分け部材５４０に付勢力を付与して、振分け部材５４０に
よる振り分け先を第２送球経路ＫＲ２に維持させるので、球受部４６７が遊技球を受け取
り不能な状態において、振分け部材５４０による振り分け先が第３送球経路に切り替えら
れることを抑制できる。
【０６５４】
さらに、規制板５４１（振分手段）は、第１送球経路ＫＲ１（流下通路）または第３送
球経路ＫＲ３（第１分岐通路）に対して出没可能に形成されると共に、その出没位置が、
第１送球経路ＫＲ１の下流端における流下方向の延長線上における内壁とされるので、第
１送球経路ＫＲ１の下端側から流下する遊技球に近い位置で、規制板５４１を突出させる
ことができる。よって、規制板５４１を流下通路または第３送球経路ＫＲ３（第１分岐通
路）へ突出させ始めてから遊技球を振り分けできる状態となるまでに要する時間を短くす
ることができる。その結果、規制板５４１による振り分け先の切り替えを確実に行うこと
ができる。
【０６５５】
また、規制板５４１（振分手段）は、第３送球経路ＫＲ３（第１分岐通路）に突出され
ることで、第１送球経路ＫＲ１（流下通路）を流下する遊技球を第２送球経路（第２分岐
通路）へ振り分けるものであり、規制板５４１の突出方向が、第２送球経路ＫＲ２の上流
端を指向する方向に設定されるので、第１送球経路ＫＲ１を流下する遊技球が突出動作の
途中の規制板に当接した場合には、かかる遊技球を規制板の突出動作に伴って、第２送球
経路ＫＲへ押し込むことができる。その結果、第２送球経路ＫＲ２への振り分けをより確
実に行うことができる。
【０６５６】
なお、本実施形態では、振分け部材５４０の規制板５４１が、貯留板５４２よりも軸孔
５４５と近接した位置に配置されるが、規制板５４１が規制板５４１よりも軸孔５４５と
離間した位置に配置されてもよい。即ち、振分け部材５４０の軸孔５４５を図７４（ａ）
及び図７４（ｂ）に示す第３送球経路ＫＲ３の下流側の背面のポイントＰの位置に振分け
部材５４０の軸を配置してもよい。この場合、振分け部材５４０に形成される規制板５４
１及び貯留板５４２の配置位置は、本実施形態と同一の位置に形成される。
【０６５７】
軸孔５４５をポイントＰに配置した状態では、振分け部材５４０を回転変位させた際の
規制板５４１の変位速度を貯留板５４２よりも早くできる。そのため、後述するように振
分け部材５４０を貯留位置から規制位置に変位させた際には、規制板５４１を早く流下経
路上に突出させることができる。その結果、規制位置から貯留位置に振分け部材５４０を
切り替えたタイミングで、第１送球経路ＫＲ１を流下する遊技球が第３送球経路ＫＲ３に
流入することを抑制することができる。
【０６５８】
また、この場合、規制板５４１及び貯留板５４２の正面視における形状は、ポイントＰ
を中心とする円弧状に形成される。これにより、振分け部材５４０が規制位置から貯留位
置（又は反対）に変位される際に規制板５４１及び貯留板５４２の変位領域を最小とする
ことができる。さらに、規制板５４１及び貯留板５４２を第３送球経路ＫＲ３の外側に受
け入れる凹部５１８，５１９は、規制板５４１及び規制板５４１の変位軌跡に沿った凹設
形状とされる。
【０６５９】
次いで、図７５及び図７６を参照して、振分け部材５４０が貯留位置に配置される際に
、送球経路から２球以上の球が送球された場合の説明をする。図７５（ａ）及び（ｂ）は
、振分けユニット５００の部分拡大図である。図７６（ａ）及び（ｂ）は、振分けユニッ
ト５００の部分拡大図である。
【０６６０】
なお、図７８（ａ）及び（ｂ）は、図７４（ａ）の振分けユニット５００の部分拡大図
と対応する。また、図７５（ａ）から図７６（ｂ）までは、球が流入された際の球の遷移
状態が順に図示される。さらに、図７５（ａ）から図７６（ｂ）は、振分け部材５４０が
貯留位置に配置された状態とされる。
【０６６１】
図７５（ａ）及び（ｂ）に示すように、振分け部材５４０が貯留位置に配置された状態
で、１球目の遊技球Ｔ１が第１送球経路ＫＲ１に送球されると、上述したように、遊技球
Ｔ１は、第３送球経路ＫＲ３に送球されて、貯留板５４２の上方に停止される。
【０６６２】
この場合、貯留板５４２は、第３送球経路ＫＲ３の上端から球の半径から直径の間の距
離下流側に配置された位置とされるので、貯留板５４２の上部に停止された球の一部が、
第１送球経路ＫＲ１側に突出された状態とされる（図７５参照）。
【０６６３】
よって、第３送球経路ＫＲ３（第１分岐通路）は、上述したように、下流へ向けて下降
傾斜して形成されると共に、その重力方向側の内壁を遊技球が転動可能に形成され、貯留
板５４２（流下状態変更手段）は、重力方向下側の内壁から第３送球経路ＫＲ３内へ出没
可能に形成されるので、貯留板５４２を第３送球経路ＫＲ３内へ突出させ始めてから遊技
球の流下を規制できる状態となるまでに要する時間を短くすることができる。その結果、
規制板５４１の振り分け先が第２送球経路ＫＲ２（第２分岐通路）から第３送球経路ＫＲ
３に切り替えられ、第３送球経路ＫＲ３に遊技球が振分けられた際に、その遊技球の流下
の規制に貯留板５４２の突出を間に合わせ易くできる。
【０６６４】
また、規制板５４１は、第３送球経路ＫＲ３に対して出没可能に形成され、第３送球経
路ＫＲ３に最大に突出した状態では、突出する方向の力成分が遊技球から貯留板５４２へ
作用されるので、第３送球経路ＫＲ３へ振り分けられた遊技球の流下を規制する際に、そ
の遊技球が衝突した際の衝撃で貯留板５４２が凹部５１９に没入することを抑制できる。
よって、遊技球の流下を規制しやすくできる。
【０６６５】
次に、図７６（ａ）及び（ｂ）に示すように、振分けユニット５００が貯留状態の場合
に第１送球経路ＫＲ１に２球目の遊技球Ｔ２が送球されると、遊技球Ｔ２は、第１送球経
路ＫＲ１から第３送球経路ＫＲ３の上端に方向に送球される。第３送球経路ＫＲ３の上端
部には遊技球Ｔ１が停止された状態とされるので、遊技球Ｔ２は、遊技球Ｔ１に衝突して
第２送球経路ＫＲ２に送球される。
【０６６６】
この場合、上述したように、遊技球Ｔ１は、第１送球経路ＫＲ１側に突出した状態とさ
れるので、遊技球Ｔ２を第３送球経路ＫＲ３の内側に送球することなく第２送球経路ＫＲ
２に案内することができるので、遊技球Ｔ２を第３送球経路ＫＲ３の内部に留まることな
く第２送球経路ＫＲ２に送球することができる。よって、第１送球経路ＫＲ１及び第２送
球経路ＫＲ２の送球を安定させることができる。
【０６６７】
即ち、第１送球経路ＫＲ１（流下通路）における第２送球経路ＫＲ２（第２分岐通路）
を望む側の内壁は、第１送球経路ＫＲ１を流下する遊技球を、第３送球経路ＫＲ３（第１
分岐通路）に貯留された規定数（１球）の遊技球のうちの末尾の遊技球を第３送球経路Ｋ
Ｒ３の側面へ案内可能に形成されるので、第１送球経路ＫＲ１を流下する遊技球を、規定
数の遊技球のうちの末尾の遊技球に衝突させた後、第２送球経路ＫＲ２へ流下させやすく
できる。
【０６６８】
なお、規定数の遊技球のうち、末尾の遊技球とは、上流側（規制板５４１と反対側）に
位置する遊技球を意味する。また、本実施形態では、規定数は１球に設定される。この場
合、末尾の遊技球は、第３送球経路ＫＲ３に貯留されている遊技球そのものを意味する。
【０６６９】
また、上述したように、第１送球経路ＫＲ１（流下通路）は、その流下経路の下端側が
、ベース板５２０の左右方向（図７３左右方向）の中央部分に向かって傾倒されると共に
、その傾倒部分が緩やかなＳ字状に湾曲して形成される。即ち、第１送球経路ＫＲ１（流
下通路）の下流端の流下方向は、第３送球経路ＫＲ３の上流端の流下方向に形成されるの
で、第１送球経路ＫＲ１を流下する遊技球が、第３送球経路に貯留された規定数の遊技球
のうちの末尾の遊技球に衝突した際に、末尾の遊技球に作用される反発力の方向を第３送
球経路ＫＲ３の上流端の流下方向と異ならせることができる。その結果、衝突の際の反発
力で、末尾の遊技球が第３送球経路ＫＲ３の上流端から飛び出して、第２送球経路ＫＲ２
へ流入されることを抑制できる。
【０６７０】
さらに、第３送球経路ＫＲ３の上端部は、第１送球経路ＫＲ１の下端部の傾斜方向に傾
斜して形成されるので、遊技球Ｔ２が遊技球Ｔ１と衝突する位置を遊技球Ｔ１の上半球に
すると共に、第２送球経路ＫＲ２側とすることができる。よって、遊技球Ｔ１に衝突した
遊技球Ｔ２の跳ね返り方向を第２送球経路ＫＲ２の入り口（上端）側とすることができる
。従って、遊技球Ｔ１に衝突する遊技球Ｔ２を第２送球経路ＫＲ２に送球しやすくできる
。その結果、第１送球経路ＫＲ１及び第２送球経路ＫＲ２に球が停滞することを抑制でき
る。
【０６７１】
また、規制板５４１による振り分け先が、第３送球経路ＫＲ３（第１分岐通路）とされ
ると共に第３送球経路ＫＲ３における遊技球の流下が貯留板５４２（流下状態変更手段）
により規制され、第３送球経路ＫＲ３に規定数（１球）の遊技球が貯留された状態では、
第１送球経路ＫＲ１（流下通路）を流下する遊技球が第２送球経路ＫＲ２（第２分岐通路
）へ流下可能に形成されるので、規定数以上の遊技球が流下通路を流下する場合に、規定
数を超える分の遊技球（２球目以降の遊技球Ｔ２）が第１送球経路ＫＲ１に滞ることを抑
制できる。よって、規制板５４１の変位（振り分け先を第２送球経路ＫＲ２とする動作）
が、第１送球経路ＫＲ１に滞った遊技球によって阻害されることを抑制できる。
【０６７２】
次いで、図７７を参照して、振分け部材５４０が規制位置に配置される際に、送球経路
に球が送球された場合の説明をする。図７７（ａ）及び（ｂ）は、振分けユニット５００
の部分拡大図である。
【０６７３】
なお、図７７（ａ）及び（ｂ）は、図７４（ａ）の振分けユニット５００の部分拡大図
と対応する。また、図７７（ａ）及び（ｂ）は、球が流入された際の球の遷移状態がそれ
ぞれ図示される。さらに、図７７（ａ）及び（ｂ）は、振分け部材５４０が規制位置に配
置された状態とされる。
【０６７４】
図７７（ａ）及び（ｂ）に示すように、振分け部材５４０が規制位置に配置された状態
で第１送球経路ＫＲ１に球が送球されると、送球された遊技球Ｔ１は、第１送球経路ＫＲ
１の下端で規制板５４１に衝突する。これにより、遊技球Ｔ１は、第２送球経路ＫＲ２に
案内されて、第２送球経路ＫＲ２を流下する。
【０６７５】
次いで、図７８を参照して、第３送球経路ＫＲ３の下流側に球を流下させる際の動作に
ついて説明する。図７８（ａ）及び（ｂ）は、振分けユニット５００の部分拡大図である
。
【０６７６】
なお、図７８（ａ）及び（ｂ）は、図７４（ａ）の振分けユニット５００の部分拡大図
と対応する。また、図７８（ａ）及び（ｂ）は、球が流入された際の球の遷移状態がそれ
ぞれ図示される。さらに、図７８（ａ）は振分け部材５４０が貯留位置に配置された状態
が、図７８（ｂ）は振分け部材５４０が規制位置に配置された状態が、それぞれ図示され
る。
【０６７７】
図７８（ａ）及び（ｂ）に示すように、振分けユニット５００が貯留状態（図７８（ａ
）に示す状態）とされた際に、振分け部材５４０が変位されて規制位置に配置されると、
貯留板５４２の上方に停滞された遊技球Ｔ１が第３送球経路ＫＲ３の下流側に流下される
。
【０６７８】
即ち、第３送球経路ＫＲ３への球の流下は、貯留板５４２の上方に停滞された球のみと
される。また、上述したように貯留板５４２の上方に停滞する球は、１とされるので第３
送球経路ＫＲ３への球の流下を１球ずつ行うことができる。よって、第３送球経路ＫＲ３
の下流側に流下される球の数を安定させることができるので、第３送球経路ＫＲ３に意図
しない球数の球が流下されることを抑制できる。
【０６７９】
よって、振分け部材５４０（振分手段）は、その振分け部材５４０の変位に伴って第３
送球経路（第１分岐通路）に対して出没可能に形成される規制板５４１（第１出没部）及
び貯留板（第２出没部）を備え、規制板５４１は、第３送球経路へ突出することで、第１
送球経路ＫＲ１（流下通路）を流下する遊技球を第２送球経路ＫＲ２（第２分岐通路）へ
振り分け可能に形成され、貯留板５４２は、規制板５４１よりも第３送球経路ＫＲ３の下
流側に位置すると共に、第３送球経路ＫＲ３に突出することで、第３送球経路ＫＲ３に振
り分けられた遊技球の流下を規制可能に形成され、それら規制板５４１及び貯留板５４２
は、一方が第３送球経路ＫＲ３の通路内へ突出した状態では他方が第３送球経路ＫＲ３の
通路外（凹部５１８，５１９の内側）に退避されるので、球受部４６７（変位部材）の変
位に伴って振分け部材５４０を変位させることで、規定数（１球）の遊技球のみを第３送
球経路ＫＲ３へ振り分けて球受部４６７に受け取らせることができる。
【０６８０】
即ち、規制板５４１が突出することで、第１送球経路ＫＲ１を流下する遊技球を第２送
球経路へ振り分ける第１の状態と、規制板５４１は退避することで、第１送球経路ＫＲ１
を流下する遊技球を第３送球経路へ振り分ける第２の状態と、第２出没部が突出すること
で、第３送球経路ＫＲ３へ振り分けられた遊技球の流下を規制（遊技球を貯留）する第３
の状態と、第２出没部が退避することで、第３送球経路に貯留されていた遊技球を流下さ
せて球受部へ受け取らせる第４の状態とを形成することができ、これら各状態を組み合わ
せることで、規定数（１球）の遊技球のみを第３送球経路ＫＲ３へ振り分けて球受部４６
７に受け取らせることができる。
【０６８１】
また、振分け部材５４０が、規制板５４１及び５４２を備える、即ち、１の部品として
形成されるので、振分け部材５４０の構造（規制板５４１及び貯留板５４２を動作させ、
それらの機能を発揮させるための構造）を簡略かできる。更に、規制板５４１及び貯留板
５４２は、一方が第３送球経路ＫＲ３の通路内へ突出した状態では、他方が第３送球経路
ＫＲ３の通路外へ退避されるので、球受部４６７の２つの位置（第１位置および第２位置
）に応じて、振分け部材５４０も２つの位置に変位可能に形成されれば足りる。即ち、振
分け部材５４０を２つの位置で変位させることで、上述した第１から第４の状態を形成で
きる。よって、振分け部材５４０の構造および球受部４６７の変位に伴い振分け部材５４
０を変位させる構造を簡素化でき、その分、遊技球の振り分け動作の信頼性の向上を図る
ことができる。
【０６８２】
次いで、図７９から図８０を参照して、振分けユニット５００及び下変位ユニット４０
０について説明する。図７９は、振分けユニット５００及び下変位ユニット４００の正面
図である。図８０は、振分けユニット５００及び下変位ユニット４００の上面図である。
なお、下変位ユニット４００は、退避位置に配置された状態が図示される。
【０６８３】
図７９及び図８０に示すように、振分けユニット５００は、下変位ユニット４００の正
面側（図８０下側）に配置される。この場合、振分けユニット５００の転動部５２５に形
成される開口５２５ａと、下変位部材４４０の装飾部材４５０に形成される開口４５１ａ
とが前後方向に重なる位置に配置される。よって、転動部５２５を転動される球は、開口
５２５ａ及び開口４５１ａを介して下変位部材４４０の内部に送球される。
【０６８４】
言い変えると、下変位部材４４０への球の送球は、遊技盤１３の前方の遊技領域を流下
する球を遊技盤１３に形成される第３入賞口８２から送球ユニット６００及び振分けユニ
ット５００を介して行われる。
【０６８５】
よって、振分けユニット５００は、球受部４６７の軌道領域に連通される転動部５２５
を備え、振分け部材５４０は、転動部５２５における遊技球の通過を規制するので、例え
ば、振分け部材５４０に動作不良が生じ、２球目以降の遊技球Ｔ２が送球された場合でも
、２球目以降の遊技球Ｔ２を、転動部５２５を介して、振分け部材５４０の軌道領域へ確
実に送球させることができる。その結果、２球目以降の遊技球Ｔ２による不具合を生じ難
くできる。
【０６８６】
次いで、図８１から図８６を参照して、振分け部材５４０と下変位部材４４０との関係
について説明する。図８１、図８３及び図８５は、下変位ユニット４００の正面図であり
、図８２、図８４及び図８６は、振分けユニット５００の断面図である。なお、図８１、
図８３及び図８５では、下変位部材４４０の装飾部材４５０及び正面ケース４８１が透明
視されると共に、正面側に配設される振分けユニット５００の振分け部材５４０のみが図
示される。また、図８２、図８４及び図８６では、振分け部材５４０が鎖線で図示される
と共に、背面側に配設される下変位部材４４０の当接板４６４ｃが鎖線で図示される。
【０６８７】
さらに、図８１及び図８２では、下変位部材４４０の球受部４６７が第１位置に、振分
け部材５４０が規制位置にそれぞれ配置された状態が図示されると共に、下変位部材４４
０が退避状態に位置する状態が図示される。図８３及び図８４では、下変位部材４４０の
球受部４６７が第２位置に、振分け部材５４０が貯留位置にそれぞれ配置された様態が図
示されると共に、下変位部材４４０が退避状態に位置する状態が図示される。図８５及び
図８６では、下変位部材４４０の球受部４６７が第１位置に、振分け部材５４０が貯留位
置にそれぞれ配置された状態が図示されると共に、下変位部材４４０が第１張出状態に位
置する状態が図示される。
【０６８８】
図８１及び図８２に示すように、下変位部材４４０が退避状態に配置された状態および
下変位部材４４０の球受部４６７が第１位置に配置された状態では、上述したように球受
部４６７を駆動するラック４６６が下変位部材４４０の他端側（下変位部材４４０の正面
視左側）に配置されると共に、背面側に可動ラック４６４が前後方向に重なった状態に配
置される。
【０６８９】
即ち、可動ラック４６４は、ラック４６６と同様に、下変位部材４４０の他端側（下変
位部材４４０の正面視左側）に配置された状態とされる。よって、可動ラック４６４に形
成される当接板４６４ｃは、下変位部材４４０の他端側に位置される。この場合、当接板
４６４ｃの他端側の側面（正面視左側の面）が、振分け部材５４０の突起部５４３に当接
した状態とされる。これにより、振分け部材５４０は、軸孔５４５の軸を中心に回転の駆
動力が作用されて、規制板５４１を第１送球経路ＫＲ１に突出させた位置（規制位置）に
変位される。
【０６９０】
従って、下変位部材４４０が退避状態にされると共に、球受部４６７が第１位置に配置
された状態では、振分けユニット５００の第１送球経路ＫＲ１に送球される球は、第３送
球経路ＫＲ３に流下されず、第２送球経路ＫＲ２に送球される。また、上述したように、
貯留板５４２の上方に球を貯留した貯留状態から振分け部材５４０を規制位置へ変位させ
ることで、第３送球経路ＫＲ３の下流側（貯留板５４２の下流側）に遊技球を送球できる
。この際に、球受部４６７を球受動作させることで球受部４６７の内側に遊技球を送球す
ることができる。
【０６９１】
なお、遊技球を振分けユニット５００に貯留した状態とするための第３電動役物８２ａ
の開放動作は、球受部４６７が第１位置に変位する前に行われ、球受部４６７が第１位置
に変位される際には、第３電動役物８２ａが閉鎖した状態とされる。これにより、振分け
部材５４０を貯留位置から規制位置に変位させた際に、第１送球経路ＫＲ１を通過する遊
技球が規制板５４１及び貯留板５４２により流下が規制されず、意図しない遊技球が第３
送球経路ＫＲ３の下流側に送球されることを抑制できる。
【０６９２】
また、振分け部材５４０は、球受部４６７の変位に連動して動作可能に形成されるので
、球受部４６７の変位に応じて、球受部４６７の軌道領域への遊技球の送球を規制または
、許容できる。即ち、遊技球の送球の規制または許容を、球受部４６７の変位に機械的に
同期させて切り替えることができるので、例えば、振分け部材５４０の位置を検出するセ
ンサの検出結果に応じて振分け部材５４０を駆動する、駆動手段、或いは、それら各手段
の制御を不要とでき、その分、製品コストの削減を図ることができると共に、動作の信頼
性の向上を図ることができる。
【０６９３】
さらに、振分け部材５４０は、球受部４６７が第２位置から第１位置方向（第２方向）
へ変位されることに連動して、球受部４６７の軌道領域へ遊技球Ｔ２を送球することを許
容するので、球受部４６７の軌道領域であって、球受部４６７よりも第１方向側の領域に
遊技球を確実に送球させることができる。
【０６９４】
また、球受部４６７は、振分け部材５４０を切り替える切り替え位置とその切り替え位
置（第１位置）とは異なる位置に設定される受け取り位置（第２位置）とに、変位可能に
形成され、球受部４６７が切り替え位置に変位された状態では、振分け部材５４０による
振り分け先が第３送球経路ＫＲ３に切り替えられ、球受部４６７が受け取り位置に変位さ
れた状態では、第３送球経路から球受部４６７が遊技球を受け取り可能とされると共に、
振分け部材５４０による振り分け先が第２送球経路ＫＲ２に切り替えられるので、球受部
４６７が球を受け取り可能な規定数（本実施形態では１球）を超えた遊技球が第３送球経
路ＫＲ３に振り分けられることを抑制できる。
【０６９５】
即ち、切り替え位置と受け取り位置とを同一の位置に設定した場合には、振分け部材５
４０による振り分け先が第３送球経路へ切り替えられた状態のままで、球受部４６７が遊
技球を受け取るため、球受部４６７が受け取り可能な規定数を超えて遊技球が第３送球経
路ＫＲ３へ振り分けられる恐れがある。第３送球経路ＫＲ３への遊技球の流入を規制する
手段を別途設けた場合には、構造が複雑化して信頼性が低下すると共に、製品コストの増
加を招く。
【０６９６】
これに対し、実施形態では、球受部４６７が切り替え位置へ変位され、規定数（本実施
形態では１球）の遊技球が第３送球経路ＫＲ３へ振り分けられた後に、振分け部材５４０
が受け取り位置へ変位されると、振り分け先が第２送球経路ＫＲ２へ切り替えられた状態
とされるので、第３送球経路へ１球を超えた遊技球が流下しないようにできる。よって、
球受部４６７が、受け取り可能な規定数（１球）を超えた遊技球が第３送球経路ＫＲ３へ
振り分けられることを抑制できる。また、上述した手段（第３送球経路ＫＲ３への遊技球
の流入を規制する手段）を別途設ける必要がないので、信頼性の向上と製品コストの低減
とを図ることができる。
【０６９７】
また、パチンコ機１０は、電源を入れた（オンした）際に、各動作ユニットが電源を切
った（オフした）位置から始動する。さらに、パチンコ機１０の電源を切った場合にその
制御のみがリセットされる可能性がある。その場合、振分け部材５４０が駆動手段を備え
るものであると、電源入れた際に、貯留状態の振分けユニット５００が初期動作の際に動
作して第３送球経路ＫＲ３に遊技球を流下させて、第３位置に配置された球受部４６７の
退避側（第１位置側）に遊技球が送球される恐れがある。
【０６９８】
これに対し、本実施形態では、振分け部材５４０の変位と球受部４６７の変位とが同期
されるので、パチンコ機１０が所定の基準位置に位置しない状態で電源が切られたとして
も、パチンコ機１０の電源を投入した際に意図しない遊技球が球受部４６７の軌道領域に
送球されることを抑制できる。その結果、下変位部材４４０の内部に遊技球が詰まること
を抑制できる。
【０６９９】
さらに、下変位部材４４０の軌道領域に遊技球を残した状態で、電源がオフされた場合
には、球受部４６７に上述した排出動作させることで、球受部４６７の軌道領域に残され
た遊技球を下変位部材４４０の外方に排出して、回収口４１１ｆから回収することができ
る。
【０７００】
次いで、図８３及び図８４を参照して説明する。図８３及び図８４に示すように、下変
位部材４４０が退避状態に配置された状態および下変位部材４４０の球受部４６７が第２
位置または第３位置（第１位置以外の位置）に配置された状態では、上述したように、球
受部４６７を駆動するラック４６６が下変位部材４４０の左右方向（図８３左右方向）略
中央位置に配置されると共に、可動ラック４６４が下変位部材４４０の他端側（図８３左
右方向左側）の端部から、一端側に可動した位置に配置される。
【０７０１】
よって、可動ラック４６４に形成される当接板４６４ｃは、下変位部材４４４０の他端
側の端部から一端側に離間した位置に配置される。この場合、当接板４６４ｃの他端側の
面（正面視左側の面）が、振分け部材５４０の突起部５４３と離間した状態とされる。こ
れにより、振分け部材５４０は、振分け部材５４０とベース板５２０との間に介設される
付勢ばねＳＰ４の付勢力により軸孔５４５の軸を中心に回転されて、貯留板５４２を第３
送球経路ＫＲ３に突出させた位置（貯留位置）に変位される。
【０７０２】
従って、下変位部材４４０が、退避状態にされると共に、球受部４６７が第２位置また
は第３位置（第１位置以外の位置）に配置された状態では、振分けユニット５００の第１
送球経路ＫＲ１に送球される球が、貯留板５４２の上方に停止した状態とされる。また、
上述したように、振分けユニット５００が貯留状態の場合に第１送球経路ＫＲ１に送球さ
れる球は、貯留板５４２の上方に停止した球と衝突して第２送球経路ＫＲ２に送球される
。
【０７０３】
次いで、図８５及び図８６を参照して説明する。図８５及び図８６に示すように、下変
位部材４４０が第１張出状態または第２張出状態に配置された状態では、上述したように
下変位部材４４０が、正面ベース４１１に対してスライド変位されると共に回転変位され
る。よって、可動ラック４６４に形成される当接板４６４ｃは、下変位部材４４０の変位
に伴って変位され、振分け部材５４０の突起部５４３と離間した状態とされる。これによ
り、振分け部材５４０は、振分け部材５４０とベース板５２０との間に介設される付勢ば
ねＳＰ４の付勢力により軸孔５４５の軸を中心に回転されて、貯留板５４２を第３送球経
路ＫＲ３に突出させた位置（貯留位置）に変位される。
【０７０４】
従って、下変位部材４４０が、第１張出状態または第２張出状態とされると、振分けユ
ニット５００の第１送球経路ＫＲ１に送球される球が、貯留板５４２の上方に停止した状
態とされる。また、上述したように、振分けユニット５００が貯留状態の場合に第１送球
経路ＫＲ１に送球される球は、貯留板５４２の上方に停止した球と衝突して第２送球経路
ＫＲ２に送球される。
【０７０５】
即ち、下変位部材４４０が、第１張出状態および第２張出状態（退避状態以外の状態）
とされる場合には、下変位部材４４０の変位に伴って、装飾部材４５０の開口４５１ａの
位置が変位するために、開口４５１ａと振分けユニット５００の開口５２５ａとの球の連
通状態が解除される。そのため、第３送球経路ＫＲ３に球を流下すると、開口４５１ａか
ら球が背面ケース３００の内部に排出される恐れがあるところ、本実施形態では、振分け
部材５４０を貯留位置とすることで第３送球経路ＫＲ３の下流側に球が流下することを抑
制することができる。その結果、背面ケース３００の球が内部に球が排出されることを抑
制できる。
【０７０６】
言い変えると、下変位ユニット４００の下変位部材４４０は、退避状態、第１張出状態
および第２張出状態とで変位可能に形成され、退避状態に下変位部材４４０が位置する際
に、下変位部材４４０に球受部４６７が配設されるので、下変位部材４４０を退避状態に
配置した状態で球受部４６７を変位させる態様と、第１又は第２張出状態に配置した状態
で球受部４６７を変位させる態様とを形成することができる。よって、その分、演出効果
を高めることができる。
【０７０７】
この場合、下変位部材４４０が第１又は第２張出状態に配置された状態では、球受部４
６７が第３送球経路ＫＲ３の転動部５２５から遊技球を受け取り不能（第３送球経路ＫＲ
３の転動部５２５と下変位部材４４０の開口４５１ａとが非連通の状態）とされるところ
かかる状態では、球受部４６７に連動する当接板４６４ｃが振分け部材５４０に当接不能
とされるので、球受部４６７は遊技球を受け取り不能な状態（下変位部材４４０が第１張
出状態または第２張出状態に配置された状態）において、振分け部材５４０による振り分
け先が第３送球経路ＫＲ３に切り替えられることを抑制できる。
【０７０８】
また、振分け部材５４０は、下変位部材４４０のベース部材４７０と別部材として形成
される振分けユニット５００のベース板５２０に配設されるので、その分、下変位部材４
４０のベース部材４７０の大型化を抑制することができる。
【０７０９】
ここで、下変位部材４４０の第１張出状態から退避状態への変位は左右方向への回転変
位だけでなく回転変位もされるため、傾倒状態の当接板４６４ｃその回転変位をした際に
、当接板４６４ｃの上面に振分け部材５４０の突起部５４３が当接して振分け部材５４０
が回転変位できない恐れがある。
【０７１０】
これに対し、本実施形態では、下変位ユニット４００が、図８５に示す第１張出位置に
変位した状態から、退避状態に変位する場合には、球受部４６７を第１位置以外の箇所（
第２位置または第３位置）に変位させた状態とされる。これにより、退避状態に変位した
下変位部材４４０の当接板４６４ｃが、突起部５４３と衝突することを抑制できる。その
結果、当接板４６４ｃの上面に振分け部材５４０の突起部５４３が当接して振分け部材５
４０が回転変位できなくなることを抑制できる。
【０７１１】
また、振分け部材５４０は、上述したように膨出部５４３ａが形成されるので、制御不
良等により、下変位ユニット４００を第１張出状態から退避状態に変位させる際に、当接
板４６４ｃの上面に振分け部材５４０の突起部５４３が当接した場合にも、振分け部材５
４０を回転変位させることができる。
【０７１２】
即ち、膨出部５４３ａにより当接板４６４ｃとの接地面積を小さくできるので、当接板
４６４ｃが当接した際に膨出部５４３ａをその面に沿って摺動させやすくできる。よって
、振分け部材５４０を回転変位させやすくできる。その結果、当接板４６４ｃの上面に振
分け部材５４０の突起部５４３が当接して振分け部材５４０が回転変位できなくなること
を抑制できる。
【０７１３】
次いで、図８７から図９０を参照して、回転ユニット７００の駆動伝達部分の構成につ
いて説明する。図８７は、回転ユニット７００の正面図であり、図８８は、回転ユニット
７００の背面図であり、図８９は、回転ユニット７００の分解斜視正面図であり、図９０
は、回転ユニット７００の分解背面斜視図である。
【０７１４】
図８７から図９０に示すように、回転ユニット７００は、複数の変位部材で構成される
装飾ユニット７５０と、その装飾ユニット７５０の重力方向上側に配置される球受台７１
０と、その球受台７１０及び装飾ユニット７５０の背面側に配置される背面ベース７２０
と、装飾ユニット７５０の正面視左側に配設される左側伝達部材７３０と、装飾ユニット
７５０の正面視右側に配設される右側伝達部材７４０と、を主に備えて形成される。
【０７１５】
球受台７１０は、上述した下変位ユニット４００の下変位部材４４０の一側の出射開口
４７１から出射される遊技球を落下させる部材である。これにより、下変位部材４４０の
内側に送球された球を回転ユニット７００に送球させることができる。なお、球受台７１
０の詳細な構成については、後述する。
【０７１６】
装飾ユニット７５０は、側面視において上方に湾曲部分を配置した略Ｄ字状のブロック
体であり、正面側にキャラクターや模様の装飾が施される。また、装飾ユニット７５０は
、複数の部材から構成されており、後述する駆動の伝達により変位可能に構成される。な
お、装飾ユニット７５０の構成についての説明は後述する。
【０７１７】
背面ベース７２０は、球受台７１０の背面側および装飾ユニット７５０の背面側を連結
する板部材であり、正面視略矩形に形成される。上述したように装飾ユニット７５０は、
複数の可動部材で構成されるために、その締結部分が限定されるところ、遊技者から視認
不能とされる位置の背面側で装飾ユニット７５０と球受台７１０とを連結することで、装
飾ユニット７５０の可動域を確保しつつ、装飾ユニット７５０と球受台７１０とを１つの
ユニットとして組み付けることができる。
【０７１８】
左側伝達部材７３０は、装飾ユニット７５０の左側側面（図８７左側）に配設される駆
動モータＫＭ４と、その駆動モータＫＭ４の駆動力を伝達する伝達部材７３０と、駆動モ
ータＫＭ４が取着されるモータベース７３２と、伝達部材７３０を覆設するギヤカバー７
３３と、そのギヤカバー７３３に取着されると共にギヤカバー７３３との対向間に所定の
隙間を形成する送球経路カバー７３４とを主に備えて形成される。
【０７１９】
駆動モータＫＭ４は、後述する装飾ユニット７５０の各部材を可動させるための駆動源
である。駆動モータＫＭ４の駆動は、後述する伝達部材７３０により伝達される。
【０７２０】
伝達部材７３０は、駆動モータＫＭ４の軸に取着される伝達ギヤ７３１ａと、その伝達
ギヤ７３１ａに歯合する伝達ギヤ７３１ｂと、その伝達ギヤ７３１ｂに歯合する伝達ギヤ
７３１ｃと、その伝達ギヤ７３１ｃと隣り合って配置されると共に軸７３５により同軸に
配設される伝達ギヤ７３１ｄと、伝達ギヤ７３１ｄと歯合される負荷ギヤ７３１ｅとを主
に備えて形成される。
【０７２１】
伝達ギヤ７３１ａは、上述したように駆動モータＫＭ４に取着されており、駆動モータ
ＫＭ４が回転駆動されることで回転する。
【０７２２】
伝達ギヤ７３１ｂは、内部にワンウェイクラッチＯＷ１が配設されると共に、そのワン
ウェイクラッチＯＷ１の内輪が回転の駆動力を装飾ユニット７５０を右側の右側伝達部材
７４０に伝達する軸部ＪＢ１に連結される。
【０７２３】
なお、ワンウェイクラッチＯＷ１は、内側に配置されると共に外周面にカム面が形成さ
れる内輪と、その内輪の外側に配設される外輪と、内輪および外輪との間に複数のスプリ
ング及びローラーと、を備え、内輪に対して外輪が一方向に回転しようとするとカム面と
ローラーとの接触面圧が高くなり、抵抗となって内輪への動力を伝達し、内輪に対して外
輪が他方向に回転すると、カム面とローラーとの接触面圧が低くなり、滑って動力伝達を
切断するカム式のクラッチである。
【０７２４】
よって、伝達ギヤ７３１ｂは、駆動モータＫＭ４から一方向の駆動力が伝達されると、
軸部ＪＢ１に回転の駆動力を伝達できると共に、駆動モータＫＭ４から他方向の駆動力が
伝達されると、内輪に対して外輪が滑って軸部ＪＢ１への駆動力の伝達が遮断される。
【０７２５】
伝達ギヤ７３１ｃは、伝達ギヤ７３１ｂと同様に内部にワンウェイクラッチＯＷ１が配
設される。また、伝達ギヤ７３１ｃのワンウェイクラッチＯＷ１の内側には、軸７３５が
配設されている。
【０７２６】
よって、伝達ギヤ７３１ｃは、駆動モータＫＭ４から一方向の駆動力が伝達されると、
軸７３５に回転の駆動力を伝達できると共に、駆動モータＫＭ４から他方向の駆動力が伝
達されると、内輪に対して外輪が滑って軸７３５への駆動力の伝達が遮断される。また、
伝達ギヤ７３１ｃは、伝達ギヤ７３１ｂと歯合されており、互いの回転方向は反対方向と
される。そのため、伝達ギヤ７３１ｂが一方向の回転とされる際には、伝達ギヤ７３１ｃ
が他方向の回転とされる。一方、伝達ギヤ７３１ｂが他方向の回転とされる際には、伝達
ギヤ７３１ｂが一方向の回転とされる。即ち、駆動モータＫＭ４の回転方向が切り換えら
れることにより、軸部ＪＢ１が回転する態様または軸７３５が回転する態様に切り換えら
れる。
【０７２７】
伝達ギヤ７３１ｄは、軸７３５に取着される。上述したように軸７３５は、伝達ギヤ７
３１ｃが一方向に回転された場合にのみ回転される。よって、伝達ギヤ７３１ｃは、伝達
ギヤ７３１ｃが一方向に回転された場合のみ一方向に回転し、他方向への回転は非回転と
される。
【０７２８】
負荷ギヤ７３１ｅは、軸孔が箱部材７６０に取着される抵抗部材７９１の軸部７９１ａ
に連結される。抵抗部材７９１は、箱部材７６０に締結されるベース部分に対して回転可
能な軸部７９１ａを備えて形成される。抵抗部材７９１は、軸部７９１ａがベース部分に
対して回転する際に所定量の抵抗が作用するように形成される。即ち、軸部７９１ａを回
転させるには、所定量の力が必要とされるので、軸部７９１ａに連結される負荷ギヤ７３
１ｅを回転させる力も同様に所定量以上の力が必要とされる。
【０７２９】
これにより、伝達ギヤ７３１ｄに歯合される回転体８００が伝達ギヤ７３１ｄの回転に
より、回転されて停止した際にその、慣性力によって回転することを抑制できる。即ち、
軸部７９１ａがベース部分に対して回転する際の抵抗は、回転体８００の回転が停止した
際に回転体８００の軸周りに作用する慣性力よりも大きく設定される。
【０７３０】
また、負荷ギヤ７３１ｅは、伝達ギヤ７３１ｃと同軸に配設される伝達ギヤ７３１ｄに
連結される。よって、駆動モータＫＭ４にかかる負荷ギヤ７３１ｅの抵抗を、伝達ギヤ７
３１ｄを回転させる一方向の回転のみとすることができる。即ち、伝達ギヤ７３１ｃが、
他方向に回転される際には、伝達ギヤ７３１ｃと伝達ギヤ７３１ｄとの駆動の伝達が遮断
されるので、負荷ギヤ７３１ｅの抵抗が作用することを抑制できる。その結果、伝達ギヤ
７３１ｂを一方向に回転かせる際には、負荷ギヤ７３１ｅの抵抗が作用することを抑制で
きる。
【０７３１】
モータベース７３２は、装飾ユニット７５０側が開放する箱状体に形成され、箱の底部
分の外側（図８７左側）に駆動モータＫＭ４が軸を箱の内側に挿通した状態で配設される
。これにより、駆動モータＫＭ４の軸に連結される伝達ギヤ７３１ａをモータベース７３
２の内側に配設できる。即ち、モータベース７３２の箱の深さ寸法は、伝達ギヤ７３１ａ
の幅寸法よりも大きく設定される。その結果、モータベース７３２に駆動モータＫＭ４及
び伝達ギヤ７３１ａを取着した状態で装飾ユニット７５０に配置することができると共に
、伝達ギヤ７３１ａが装飾ユニット７５０に衝突することを抑制できる。
【０７３２】
ギヤカバー７３３は、背面視縦長矩形に形成されると共に、間に左側伝達部材７３０を
配置した状態で装飾ユニット７５０に締結される。また、装飾ユニット７５０には、後述
する回転体８００の軸孔と対向する位置に貫通孔７３３ａが貫通形成される。これにより
、回転体８００の内部を転動する球を貫通孔７３３ａを介して外方に排出することができ
る。なお、回転体８００に送球される球についての説明は後述する。
【０７３３】
送球経路カバー７３４は、ギヤカバー７３３の外側（図８７左側）に配置される部材で
あり、板状体から形成されると共に、その縁部からギヤカバー７３３側に突出する壁部が
立設される。これにより、ギヤカバー７３３と送球経路カバー７３４との対向間に隙間を
形成することができ、ギヤカバー７３３の貫通孔７３３ａを挿通された球をその隙間を挿
通させて回転ユニット７００の外側に排出することができる。ギヤカバー７３３と送球経
路カバーとの対向間の隙間から排出された球は図示しない回収経路に送球されて回収され
る。
【０７３４】
右側伝達部材７４０は、上述した軸部ＪＢ１の他端側に連結される回転部材７４１と、
その回転部材７４１に一端が連結されるアーム部材７４２と、回転部材７４１及びアーム
部材７４２とを覆設した状態で装飾ユニット７５０に配設されるクランクカバー７４３と
を主に備えて形成される。
【０７３５】
回転部材７４１は、円盤状の板状に形成される本体部７４１ｂと、その本体部７４１ｂ
の軸にはめ込まれるワンウェイクラッチＯＷ１と、装飾ユニット７５０の反対側（図８７
右側）に突出する円柱状の突起７４１ａとを主に備えて形成される。
【０７３６】
回転部材７４１に取着されるワンウェイクラッチＯＷ１は、内輪の軸孔が軸部ＪＢの他
端側に挿入される。また、ワンウェイクラッチＯＷ１は、軸部ＪＢ１の回転方向と反対の
回転が内輪に入力されると内輪と外輪とが非伝達とされるように配置される。
【０７３７】
これにより、回転部材７４１に軸部ＪＢ１から伝達される回転速度よりも速い回転速度
の駆動力をワンウェイクラッチＯＷ１の外輪に入力した場合に、外輪のみを回転させて回
転部材７４１を駆動モータＫＭ４の駆動以外の駆動力で回転させることができる。その結
果、回転部材７４１に速度の異なる２つ以上の回転をさせることができる。
【０７３８】
アーム部材７４２は、側面視Ｃ字とＩ字とを組み合わせた形状であり、Ｃ字の一端にＩ
字の他端が連結されて形成される。また、アーム部材７４２は、Ｃ字部分とＩ字部分との
連結部分に貫通形成される軸孔７４２ａと、Ｉ字部分の一端に貫通形成される楕円状の第
１摺動溝７４２ｂと、Ｃ字部分の他端に貫通形成される楕円状の第２摺動溝７４２ｃとを
主に備えて形成される。
【０７３９】
軸孔７４２ａは、後述する箱部材７６０の右側側面板７６４に形成される軸部７６４ａ
が挿入される孔であり、軸部７６４ａの外径よりも大きい内径に形成される。よって、ア
ーム部材７４２は、軸孔７４２ａに軸部７６４ａが挿入されて、装飾ユニット７５０に配
設されるので、装飾ユニット７５０に対して回転可能とされる。
【０７４０】
第１摺動溝７４２ｂは、回転部材７４１の突起７４１ａが挿入される孔であり、楕円に
形成された短手方向の幅寸法が、突起７４１ａの外径よりも大きく設定される。よって、
第１摺動溝７４２ｂの内側に突起７４１ａを挿入できると共に、回転部材７４１の回転に
より、アーム部材７４２を回転変位させることができる。
【０７４１】
また、回転部材７４１は、外径がアーム部材７４２のＩ字部分の長手方向寸法よりも小
さく形成されると共に、軸がアーム部材７４２の軸孔７４２ａからＩ字部分の長手方向寸
法の半分の距離よりも離間した位置に配置される。これにより、回転部材７４１を回転さ
せることでアーム部材７４２に軸孔７４２ａの軸を中心とした回転の往復運動をさせるこ
とができる。
【０７４２】
第２摺動溝７４２ｃは、後述する右側蓋部７７３の突起７７３ａが挿入される孔であり
、楕円に形成された短手方向の幅寸法が、突起７７３ａの外径よりも大きく設定される。
よって、第２摺動溝７４２ｃの内側に突起７７３ａを挿入できる。また、右側蓋部７７３
は、箱部材７６０に対して回転変位可能に形成されている。よって、上述したように回転
部材７４１が回転されて、アーム部材７４２が回転の往復運動をすることで、アーム部材
７４２の他端に連結される右側蓋部７７３を箱部材７６０に対して回転させることができ
る。
【０７４３】
クランクカバー７４３は、背面視楕円に形成される楕円部分７４３ａと、その楕円部分
７４３ａの背面側に連なって形成される球送球部７４３ｂとを主に備えて形成される。
【０７４４】
楕円部分７４３ａは、アーム部材７４２を覆設するカバーであり、側面視における外形
がアーム部材７４２及びアーム部材７４２の変位領域よりも大きく形成されると共に、縁
部から装飾ユニット７５０側にアーム部材７４２の厚みよりも大きく突出する壁部が形成
される。これにより、クランクカバー７４３を装飾ユニット７５０に配設した際に、クラ
ンクカバー７４３と装飾ユニット７５０との対向間にアーム部材７４２を配設できる。
【０７４５】
球送球部７４３ｂは、遊技盤１３の前方の流下領域を流下する球が所定の回収口より回
収された際に、その球を回収経路に送球するための経路部材であり、内部に所定の大きさ
の空間を備える棒状に形成される。また、球送球部７４３ｂは、上端側が、開口され遊技
盤１３の回収口に連結されると共に、下端側が、装飾ユニット７５０に形成される開口に
連結される。これにより、遊技盤１３に回収された球を、球送球部７４３ｂを介して装飾
ユニット７５０の内部に通して図示しない回収経路に案内することができる。
【０７４６】
次いで、図９１から図９５を参照して装飾ユニット７５０について説明する。図９１は
、装飾ユニット７５０の正面図である。図９２（ａ）は、図９１の矢印ＸＣＩＩａ方向視
における装飾ユニット７５０の側面図であり、図９２（ｂ）は、図９１の矢印ＸＣＩＩｂ
方向視における装飾ユニット７５０の側面図である。図９３は、装飾ユニット７５０の分
解斜視正面図であり、図９４は、装飾ユニット７５０の分解斜視背面図である。なお、図
９１（ｂ）及び図９１（ｃ）では、箱部材７６０の右側側面板７６４及び左側側面板７６
５と透明視された状態が図示される。
【０７４７】
図９１から図９４に示すように、装飾ユニット７５０は、装飾ユニット７５０の外側の
装飾部分となる箱部材７６０及び箱部材７６０の重力方向上側（図９１（ａ）上側）に配
設される蓋部材７７０と、箱部材７６０及び蓋部材７７０の内部に配設される回転体８０
０とを主に備えて形成される。
【０７４８】
箱部材７６０は、回転体８００の下方に配設されるベース部材７６２と、そのベース部
材７６２の前方に配設される前面板７６１と、ベース部材７６２の底面に配置される下面
板７６３と、ベース部材７６２の正面視右側に配設される右側側面板７６４と、ベース部
材７６２の正面視左側に配設される左側側面板７６５とを主に備えて形成される。
【０７４９】
ベース部材７６２は、上面視において回転体８００よりも大きい矩形横長に形成される
と共に、重力方向に球の外径よりも大きい厚みを備えて形成される。ベース部材７６２は
、上面が回転体８００の軸と同軸の曲面に形成される。これにより、ベース部材７６２を
回転体８００の近傍に配置した際にベース部材７６２と回転体８００の衝突を抑制できる
。
【０７５０】
ベース部材７６２は、上面に左右方向に亘って下側に凹設される凹部７６２ａと、底面
に略Ｌ字に凹設される球送球部７６２ｂとを主に備えて形成される。
【０７５１】
凹部７６２ａは、内側に上述した軸部ＪＢ１が配設される溝であり、装飾ユニット７５
０の側面に配設される伝達ギヤ７３１ｂの軸上に凹設される。これにより、軸部ＪＢ１を
介して駆動モータＫＭ４の駆動力を伝達することができる。
【０７５２】
球送球部７６２ｂは、底面にＬ字に屈曲して凹設されており、一端側が、右側側面板７
６４の開口７６４ｂに連結されると共に、他端側が、前面板７６１の入賞口７６１ａの背
面側に連結される。また、球送球部７６２ｂの凹設幅は、球の直径よりも大きく形成され
る。これにより、下側に下面板７６３が配設されることで箱部材７６０の内部に球を送球
可能とできる。
【０７５３】
前面板７６１は、正面視矩形横長に形成されると共に、背面側に所定の厚みを備えて形
成される。また、前面板７６１は、正面側に球が挿入可能な大きさの入賞口７６１ａが形
成される。入賞口７６１ａは、上述したように背面側に配設されるベース部材７６２の球
送球部７６２ｂに連結される。よって、入賞口７６１ａの内部に送球された球は、ベース
部材７６２の球送球部７６２ｂに送球される。
【０７５４】
右側側面板７６４は、側面視における外形が上方が湾曲するＤ字状に形成される。また
、右側側面板７６４は、装飾ユニット７５０の外側に突出する軸部７６４ａと、その軸部
７６４ａの下方に貫通形成される軸受部７６４ｃと、回転体８００の回転軸と同一の軸の
湾曲状に開口形成される湾曲開口７６４ｄと、クランクカバー７４３の球送球部７６２ｂ
の下端と対向する位置に開口する開口７６４ｂと、回転体８００の回転軸の軸上に側面視
半円形に貫通形成される係合部７６４ｅとを主に備えて形成される。
【０７５５】
開口７６４ｂは、クランクカバー７４３の球送球部から送球される球をベース部材７６
２へ送球可能にするための孔であり、球の外径よりも大きく形成される。これにより、ク
ランクカバー７４３に送球された球を、ベース部材７６２に送球できる。
【０７５６】
軸受部７６４ｃは、上述した軸部ＪＢ１が挿入される孔であり、軸部ＪＢ１の外径より
も大きい内径に形成される。これにより、上述した右側伝達部材７４０に駆動力を伝達す
ることができる。
【０７５７】
湾曲開口７６４ｄは、右側蓋部７７３突出する突起７７３ａが内部に挿通される開口で
ある。また、湾曲開口７６４ｄは、蓋部材７７０が回転変位されるために、蓋部材７７０
の回転軸と同軸の円弧形状に形成される。これにより、蓋部材７７０が回転変位された際
に、突起７７３ａと湾曲開口７６４ｄとが衝突することを抑制できる。
【０７５８】
係合部７６４ｅは、回転体８００の内部に配設されるベース板８１０の正面視右側の端
部と係合してベース板８１０を回転不能に保持する部材である。即ち、ベース板８１０の
右端部８１１の先端部８１１ａが係合部７６４ｅに挿入されて配置される。これにより、
ベース板８１０が回転不能とされる。
【０７５９】
左側側面板７６５は、側面視における外形が右側側面板７６４と略同一に形成される。
また、左側側面板７６５は、回転体８００の軸上に貫通形成される貫通孔７６５ａと、回
転体８００側に向かって突出する軸部７６５ｂと、抵抗部材７９１の軸部７９１ａが挿入
される貫通孔７６５ｃとを主に備えて形成される。
【０７６０】
貫通孔７６５ａは、回転体８００の正面視左側における開口から排出される球を、上述
したモータベース７３２の貫通孔７３３ａに挿通するための開口である。即ち、貫通孔７
６５ａは、回転体８００の軸上に形成されると共に、その内径の大きさが回転体８００の
正面視左における開口の内径と同一の大きさに設定される。
【０７６１】
軸部７６５ｂは、後述する回転規制部材７８０に形成される軸孔７８１に挿入されて、
回転規制部材７８０を回転可能な状態で保持できる。なお、回転規制部材７８０の変位に
ついては後述する。
【０７６２】
貫通孔７６５ｃは、上述したように抵抗部材７９１の軸部７９１ａを挿通する孔であり
、上述した負荷ギヤ７３１ｅの側面と対向する位置に形成される。
【０７６３】
下面板７６３は、ベース部材７６２の下面に配設されることで、ベース部材７６２の球
送球部７６２ｂと下面板７６３とで、球が通過可能な送球経路を形成する板部材である。
また、下面板７６３には、上下方向に貫通する開口７６３ａが形成される。開口７６３ａ
は、球送球部７６２ｂの内側を送球された球を、図示しない回収経路に送球するための開
口である。よって、前面板７６１の入賞口７６１ａに入賞した球および遊技領域から右側
伝達部材７４０の球送球部７４３ｂに送球され球を装飾ユニット７５０の内部から排出で
きる。
【０７６４】
蓋部材７７０は、回転体８００の軸と同軸の湾曲状に形成される湾曲蓋部７７１と、そ
の湾曲蓋部７７１の正面視右側の側面に締結される右側蓋部７７３と、湾曲蓋部７７１の
正面視左側の側面に締結される左側蓋部７７２とを主に備えて形成される。
【０７６５】
湾曲蓋部７７１は、上述したように側面視における外形が、回転体８００の軸と同軸の
湾曲形状に形成されると共に、回転体８００のよりも大きい半径で形成される。湾曲蓋部
７７１は、正面側の一部に透明板から形成される透明部７７１ａを備える。
【０７６６】
透明部７７１ａは、遊技者から回転体８００の外周面に描かれた模様やキャラクターな
どを遊技者に視認可能にさせる板である。即ち、遊技者は、回転体８００が蓋部材７７０
に上端側が覆設された態様であっても、透明部７７１ａを介して回転体８００の表示を視
認可能とされる。
【０７６７】
右側蓋部７７３は、側面視円環状に形成され、円環外側の半径が湾曲蓋部７７１の半径
と略同一に設定される。また、右側蓋部７７３の内径は、回転体８００の右端部８１１の
側面視における外形の大きさよりも大きく形成される。これにより、右側蓋部７７３は、
円環状の内側部分に回転体８００の右端部８１１を挿通した状態で配設される。
【０７６８】
さらに、右側蓋部７７３は、装飾ユニット７５０の外側（正面視右側）に突出する突起
７７３ａと、外周縁部に径方向内側に向かって凹設される凹部７７３ｂとを主に備えて形
成される。突起７７３ａは、上述したように、アーム部材７４２の第２摺動溝７４２ｃに
挿入される突起である。
【０７６９】
凹部７７３ｂは、後述する開閉部材８７０の突起８７１が挿入されることで、開閉部材
８７０を回転させることができる。よって、凹部７７３ｂは、凹設幅が、突起８７１の外
形よりも大きく設定される。また、凹部７７３ｂは、湾曲蓋部７７１が配設される右側蓋
部７７３の縁部と略反対の位置に形成される。
【０７７０】
左側蓋部７７２は、側面視円環状に形成され、円環外側の半径が湾曲蓋部７７１の半径
と略同一に設定される。また、左側蓋部７７２の内径は、後述する左回転部８８０の歯面
８８１ａの外径よりも大きく形成される。これにより、左側蓋部７７２は、円環状の内側
部分に回転体８００の左回転部８８０を挿通した状態で配設される。
【０７７１】
また、左側蓋部７７２は、装飾ユニット７５０の外側（正面視左側）に突出する板状体
のセンサ板７７２ａが形成される。センサ板７７２ａは、図示しない二股状のセンサの対
向間に配置されることで、左側蓋部７７２の位置を検出できる。
【０７７２】
ここで、回転体８００に対する蓋部材７７０について説明する。回転体８００を組み上
げた状態での蓋部材７７０の配設は、組み上げ前（別部材）の右側蓋部７７３及び左側蓋
部７７２の内側に回転体８００の左右の端部をそれぞれ挿入した状態とする。それから、
右側蓋部７７３及び左側蓋部７７２と湾曲蓋部７７１を組み上げることで回転体８００と
蓋部材７７０とが連結される。よって、蓋部材７７０は、回転体８００の軸を中心に、回
転体に対して回転可能とされる。
【０７７３】
回転規制部材７８０は、側面視略Ｌ字状に屈曲して形成される。回転規制部材７８０は
、屈曲部分に貫通した軸孔７８１と、一端側に屈曲方向に突出する突起７８２と、他端側
の先端に平坦に形成される当接面７８３とを主に備えて形成される。
【０７７４】
軸孔７８１には、上述したように左側側面板７６５の軸部７６５ｂが挿入される。これ
により、回転規制部材７８０は、左側側面板７６５に対して回転可能に保持される。また
、軸部には、付勢ばねＳＰ５が挿入される。その結果、回転規制部材７８０には、１方向
の回転力が作用される。
【０７７５】
突起７８２は、後述する左回転部８８０の係合突起８８２と係合することで、回転体８
００の回転変位を規制できる。当接面７８３は、上述した蓋部材７７０の背面側の端部が
当接する面であり、蓋部材７７０が当接されることで、回転規制部材７８０を回転させる
ことができる。なお、回転規制部材７８０と回転体８００との規制態様については後述す
る。
【０７７６】
次いで、図９５から図９６を参照して、駆動モータＫＭ４が回転された場合の駆動力の
伝達経路を説明する。図９５（ａ）及び図９６（ａ）は、図８９の矢印ＸＣＶａ方向視に
おける回転ユニット７００であり、図９５（ｂ）及び図９６（ｂ）は、図８９の矢印ＸＣ
Ｖｂにおける回転ユニット７００である。
【０７７７】
なお、図９５では、駆動モータＫＭ４の軸が正方向（時計回り）に回転された際の各部
材の変位方向が２点鎖線で図示される。図９６では、駆動モータＫＭ４の軸が負方向（反
時計回り）に回転された際に各部材の変位方向が２点鎖線で図示される。
【０７７８】
図９５（ａ）及び図９５（ｂ）に示すように、駆動モータＫＭ４が正方向に駆動される
と、伝達ギヤ７３１ａが正方向に回転される。伝達ギヤ７３１ａが正方向に回転されると
、伝達ギヤ７３１ｂが負方向に回転されると共に、伝達ギヤ７３１ｃが正方向に回転され
る。
【０７７９】
この場合、伝達ギヤ７３１ｂに配設されるワンウェイクラッチＯＷ１は、外輪の回転を
内輪に非伝達とされ、軸部ＪＢ１が非回転とされる。よって、軸部ＪＢ１に連結される回
転部材７４１に駆動力が非伝達とされ、アーム部材７４２は停止状態とされる。
【０７８０】
一方、伝達ギヤ７３１に配設されるワンウェイクラッチＯＷ１は、外輪の回転を内輪に
伝達する状態とされ、軸７３５が回転される。よって、軸７３５に連結される伝達ギヤ７
３１ｄが回転される。これにより、伝達ギヤ７３１ｄに歯合される負荷ギヤ７３１ｅおよ
び回転体８００の歯面８８１ａが回転される。即ち、駆動モータＫＭ４が正回転をすると
、蓋部材７７０への駆動力は非伝達とされると共に、回転体８００への駆動力は伝達状態
とされる。
【０７８１】
図９６（ａ）及び図９６（ｂ）に示すように、駆動モータＫＭ４が負方向に駆動される
と、伝達ギヤ７３１ａが負方向に回転される。伝達ギヤ７３１ａが負方向に回転されると
、伝達ギヤ７３１ｂが正方向に回転されると共に、伝達ギヤ７３１ｃが負方向に回転され
る。
【０７８２】
この場合、伝達ギヤ７３１ｂに配設されるワンウェイクラッチＯＷ１は、外輪の回転を
内輪に伝達する状態とされ、軸部ＪＢ１が回転される。よって、軸部ＪＢ１に連結される
回転部材７４１に駆動力が伝達され、回転部材７４１が回転される。これにより、アーム
部材７４２が軸孔７４２ａの軸を中心とする回転往復運動をして、蓋部材７７０が変位さ
れる。
【０７８３】
一方、伝達ギヤ７３１に配設されるワンウェイクラッチＯＷ１は、外輪の回転を内輪に
非伝達とされ、軸７３５が非回転とされる。よって、軸７３５に連結される伝達ギヤ７３
１ｄに駆動力が非伝達とされ、回転体８００及び負荷ギヤ７３１ｅは非回転状態とされる
。即ち、駆動モータＫＭ４が負回転をすると、蓋部材７７０への駆動力は伝達状態とされ
ると共に、回転体８００への駆動力は非伝達とされる。
【０７８４】
よって、駆動モータＫＭ４からの駆動力を、回転体８００へ伝達する伝達ギヤ７３１ｃ
（回転側駆動手段）と蓋部材７７０を介して後述する開閉部材８７０へ伝達する伝達ギヤ
７３１ｂ（変位側伝達手段）とに、ワンウェイクラッチＯＷ１を配設することで、駆動モ
ータＫＭ４の回転方向に応じて、その回転力を伝達ギヤ７３１ｃまたは伝達ギヤ７３１ｂ
の一方へ伝達すると共に他方への伝達を遮断することができる。その結果、駆動モータＫ
Ｍ４の回転方向を切り替えるのみで、その回転駆動力により駆動する駆動対象を切り替え
ることができる、即ち、駆動モータＫＭ４の回転方向に応じて、回転体８００の回転およ
びその回転の停止と、開閉部材８７０の変位およびその停止とを切り替えることができ、
複数の態様を形成可能としつつ、構造を簡素化できる。
【０７８５】
ここで、ワンウェイクラッチＯＷ１を利用して駆動手段の回転方向に応じて、その駆動
対象（回転体８００または開閉部材８７０（蓋部材７７０）を切り替える構造では、駆動
モータＫＭ４からの駆動力の伝達が遮断されると、駆動力により駆動されていた方向への
回転または変位が自在な状態となる。そのため、例えば、駆動手段の駆動対象が回転体８
００から開閉部材８７０（蓋部材７７０）に切り替えられ、駆動力の伝達が遮断されると
、回転体８００は、回転自在な状態となり慣性力により回転が継続（自転）される恐れが
ある。
【０７８６】
これに対し、本実施形態では、伝達ギヤ７３１ｃにより駆動される伝達ギヤ７３１ｄに
歯合される負荷ギヤ７３１ｅ（負荷用歯車）を備えるので、駆動モータＫＭ４からの回転
の駆動力の伝達が遮断されても、負荷ギヤ７３１ｅを回転させる際の負荷（抵抗）を利用
して、回転体８００の回転が継続されることを抑制できる。
【０７８７】
次いで、図９７及び図９８を参照して、蓋部材７７０の変位について説明する。図９７
（ａ）及び図９８（ｃ）は閉鎖状態の、図９７（ｂ）及び図９８（ｂ）は中間状態の、図
９７（ｃ）及び図９８（ａ）は開放状態の、それぞれにおける装飾ユニット７５０及び右
側伝達部材７４０の側面図である。
【０７８８】
なお、図９７（ａ）から図９７（ｃ）及び図９８（ａ）から図９８（ｃ）では、右側伝
達部材７４０のクランクカバー７４３が取り外された状態が図示される。また、装飾ユニ
ット７５０の閉鎖状態とは、蓋部材７７０が回転体８００の上方（図９７（ａ）上方）半
面を覆う状態に配置された状態であり、開放状態とは、蓋部材７７０が回転変位され、回
転体８００の背面側（図９７（ｃ）右側）に配置された状態である。中間状態とは、蓋部
材７７０が、閉鎖状態と開放状態との間の位置に配置された状態である。
【０７８９】
さらに、図９７（ａ）から図９７（ｃ）では、閉鎖状態から開放状態へ変位される状態
が順に図示され、図９８（ａ）から図９８（ｃ）では、開放状態から閉鎖状態へ変位され
る状態が順に図示される。
【０７９０】
まず、図９７を参照して、閉鎖状態から開放状態へ変位される際の蓋部材７７０の変位
について説明する。アーム部材７４２への駆動力の伝達は、上述したように駆動モータＫ
Ｍ４を負方向に回転させることで行われる。
【０７９１】
閉鎖状態では、回転部材７４１の突起７４１ａは、アーム部材７４２の軸孔７４２ａよ
りも背面側（図９７（ａ）右側）に配置された状態とされる。よって、アーム部材７４２
は、突起７４１ａが挿入される第１摺動溝７４２ｂが軸孔７４２ａよりも背面側に配置さ
れる。
【０７９２】
アーム部材７４２の軸孔７４２ａと第１摺動溝７４２ｂと第２摺動溝７４２ｃとは略同
一直線上に形成される。従って、第１摺動溝７４２ｂの反対側の端部に形成される第２摺
動溝７４２ｃが軸孔７４２ａよりも正面側（図９７（ａ）左側）に配置された状態とされ
る。その結果、蓋部材７７０の右側面に突出する突起７７３ａが、第２摺動溝７４２ｃに
案内されて、蓋部材７７０の湾曲蓋部７７１を回転体８００の上方に配置した状態とされ
る。
【０７９３】
次に、図９７（ｂ）に示すように、回転部材７４１を略９０度回転させて、突起７４１
ａを回転部材７４１の軸の下方に位置させると、アーム部材７４２の第１摺動溝７４２ｂ
が、突起７４１ａの変位に伴って軸孔７４２ａの重力方向下側（図９７（ｂ）下側）に変
位される。
【０７９４】
従って、第１摺動溝７４２ｂの反対側の端部に形成される第２摺動溝７４２ｃが、軸孔
７４２ａの重力方向上側（図９７（ｂ）上側）に配置された状態とされる。その結果、蓋
部材７７０の突起７７３ａが、第２摺動溝７４２ｃに案内されて、蓋部材７７０の湾曲蓋
部７７１を回転体８００の背面側に回転変位させた位置に配置した状態とされる。
【０７９５】
この場合、蓋部材７７０の重心位置が、蓋部材７７０の回転軸（円柱状に形成される回
転体８００の中心位置）よりも背面側に配置される。よって、蓋部材７７０の荷重により
、蓋部材７７０を閉鎖状態から開放状態へ変位させる方向に回転力が作用される。上述し
たように、回転部材７４１は、ワンウェイクラッチＯＷ１が配設されており、外輪が内輪
に対して先行して回転可能に構成されるので、蓋部材７７０の荷重により駆動モータＫＭ
４の駆動を停止して蓋部材７７０を継続して回転させることができる。
【０７９６】
図９７（ｃ）に示すように、蓋部材７７０は、回転体の背面側まで変位されると、回転
部材７４１の突起７４１ａが中間状態の位置から略９０度回転された位置に停止される。
即ち、突起７４１ａの変位領域の一番左側（図９７左側）端部とされる。よって、アーム
部材７４２の回転が規制され、蓋部材７７０の回転が停止される。
【０７９７】
即ち、閉鎖状態から開放状態への蓋部材７７０の変位は、駆動モータＫＭ４を駆動して
中間状態に変位させる動作と、蓋部材７７０の荷重り落下する動作とで行われる。
【０７９８】
その結果、蓋部材７７０を閉鎖状態から開放状態へ変位させる際には、駆動モータＫＭ
４を駆動させる区間を全区間の半分とすることができるので、駆動モータＫＭ４の消費エ
ネルギーを小さくできる。
【０７９９】
さらに、閉鎖状態から中間状態への変位速度は、駆動モータＫＭ４の回転速度に従う態
様に、中間状態から開放状態までの変位速度は、蓋部材７７０の荷重に従う態様に、それ
ぞれすることができるので、閉鎖状態から開放状態までの変位速度を２段階に変化させる
ことができる。従って、駆動モータＫＭ４の変位速度を変更することなく蓋部材７７０の
変位速度を変更させることができるので、制御を複雑化する必要がない。その結果、制御
を簡易にでき、制御不良が発生することを抑制できる。
【０８００】
なお、蓋部材７７０が駆動モータＫＭ４の回転速度に従う変位区間を第１区間と称し、
蓋部材７７０が蓋部材７７０の荷重に従う変位区間を第２区間と称し、第１区間には、Ｄ
Ｋ１の符号を、第２区間には、ＤＫ２の符号を付して説明する。
【０８０１】
次に、図９８を参照して、開放状態から閉鎖状態へ変位される際の蓋部材７７０の変位
について説明する。
【０８０２】
上述したように、開放状態では、回転部材７４１の突起７４１ａは、アーム部材７４２
の軸孔７４２ａよりも正面側（図９８（ａ）左側）配置された状態とされて、蓋部材７７
０の湾曲蓋部７７１を回転体８００の背面側に配置した状態とされる。
【０８０３】
次に、図９８（ｂ）に示すように、回転部材７４１を略９０度回転させて、突起７４１
ａを回転部材７４１の軸の上方に位置させると、アーム部材７４２の第１摺動溝７４２ｂ
が突起７４１ａの変位に伴って軸孔７４２ａの重力方向下側（図９８（ｂ）下側）に変位
される。
【０８０４】
従って、第１摺動溝７４２ｂの反対側の端部に形成される第２摺動溝７４２ｃが、軸孔
７４２ａの重力方向上側（図９８（ｂ）上側）に配置された状態とされる。その結果、蓋
部材７７０の突起７７３ａが、第２摺動溝７４２ｃに案内されて、蓋部材７７０の湾曲蓋
部７７１を回転体８００の背面側に位置させた状態から略４５度上方に回転変位させた位
置に配置した状態とされる。
【０８０５】
また、閉鎖状態の位置（図９７（ａ）の位置）に変位させた蓋部材７７０は、遊技領域
（遊技盤１３の正面側）に配置されており、開放状態の位置（図９７（ｃ）の位置）に変
位させた蓋部材７７０は、遊技領域の領域外（遊技盤１３の背面側）に配置される。よっ
て、遊技領域を流下する遊技球が回転体８００に衝突して、かかる回転体８００が回転さ
れることを抑制できる。特に、本実施形態では後述するように回転体８００には、遊技領
側へ向かって変位する開閉部材８７０が配設されるので、遊技領域を流下する遊技機が開
閉部材８７０に衝突して、かかる開閉部材８７０が開放される（張り出される）ことを抑
制できる。
【０８０６】
また、蓋部材７７０は、開放状態の位置では、遊技領域の領域外に配置されるので、蓋
部材７７０の開放状態の位置への変位により、開閉部材８７０が遊技領域へ張り出すため
のスペースを確保することができる。よって、その分、回転体８００の外面を遊技領域側
へ近づけることができ、遊技者に開閉部材８７０を視認させやすくできる。
【０８０７】
さらに、蓋部材７７０は、回転体８００の回転軸と略平行な軸まわりに回転可能に形成
されると共に、回転体８００の外面に沿って、湾曲する板状に形成されるので、閉鎖状態
の位置（覆設位置）及び開放状態の位置（退避位置）の間で変位する際に必要なスペース
を抑制できる、よって、その分、他の部材を配設するためのスペースを確保できる。また
、このように蓋部材７７０が湾曲して形成されることで、遊技領域を流下する遊技球が、
閉鎖状態の位置に配置された蓋部材７７０上に停留されることを抑制して、スムーズに流
下させることができる。
【０８０８】
次に、図９８（ｃ）に示すように、回転部材７４１を更に略９０度回転させて、突起７
１ａを回転部材７４１の軸の右側に変位させると、アーム部材７４２の第１摺動溝７４２
ｂが突起７４１ａの変位に伴って軸孔７４２ａよりも背面側（図９８（ｃ）右側）に変位
される。
【０８０９】
従って、第１摺動溝７４２ｂの反対側の端部に形成される第２摺動溝７４２ｃが、軸孔
７４２ａよりも正面側（図９８（ｃ）左側）に配置された状態とされる。その結果、蓋部
材７７０の突起７７３ａが、第２摺動溝７４２ｃに案内されて、蓋部材７７０の湾曲蓋部
７７１を回転体８００の上方に配置した状態とされる。
【０８１０】
この場合、蓋部材７７０の変位に伴って、蓋部材７７０の重心位置が、蓋部材７７０の
回転軸よりも正面側に変位される。よって、中間状態から閉鎖状態の途中で、蓋部材７７
０の荷重により、蓋部材７７０を開放状態から閉鎖状態へ変位させる方向に回転力が作用
される。よって、駆動モータＫＭ４の駆動を停止した状態でも、蓋部材７７０の荷重によ
り蓋部材７７０を継続して回転させることができる。
【０８１１】
よって、蓋部材７７０の荷重により蓋部材７７０を閉鎖状態とすることができるので、
蓋部材７７０を確実に閉鎖状態とできる。
【０８１２】
ここで、蓋部材７７０の回転変位が駆動モータＫＭ４のみにより変位するものであると
、駆動モータＫＭ４の駆動停止動作がずれた場合に、蓋部材７７０を正常な位置で停止で
きなくなる恐れがある。また、本実施形態のように、回転部材７４１の回転方向が１つの
場合、駆動モータＫＭ４の停止動作が遅れた場合に、正常な位置へ戻すには１回転分の回
転が必要となる。
【０８１３】
これに対し、本実施形態では、蓋部材７７０を停止させる位置を蓋部材７７０の荷重を
利用して機械的に停止させることができるので、蓋部材７７０の停止位置がずれることを
抑制することができる。
【０８１４】
ここで、駆動力を発生する駆動手段と、その駆動手段の駆動力により変位される変位部
材と、その変位部材への駆動力を伝達する伝達手段とを備えた遊技機が知られている。し
かしながら、上述した従来の遊技機では、駆動手段から変位部材への伝達手段による駆動
力の伝達状態が常に一定であるため、駆動手段が一定の駆動速度で駆動されると、変位部
材も一定の速度で変位され、かかる変位部材の変位態様に変化を付与することができない
。そのため、変位部材の変位に伴う演出の演出効果が不十分であるという問題点があった
。
【０８１５】
なお、駆動手段の駆動速度を増減させれば、変位部材の変位速度を変化させることはで
きるが、変位部材の変位区間のうちの所定の区間における変位速度を他の区間における変
位速度と異なる変位速度とするためには、変位部材の位置を検出するセンサ装置を配置し
、そのセンサ装置の検出結果に応じて、駆動手段の出力を増減させる制御が必要となり、
製品コストや制御コストの増加を招く。また、構造および制御が複雑となり、その信頼性
の低下を招く。
【０８１６】
これに対し、本実施形態では、伝達手段（回転部材７４１及びアーム部材７４２）は、
ワンウェイクラッチＯＷ１を備え、ワンウェイクラッチＯＷ１の内輪（第１部材）がワン
ウェイクラッチＯＷ１の外輪（第２部材）に対して、一方向に変位される場合には、内輪
および外輪にローラーが係合して、駆動力が伝達されると共に、内輪が外輪に対して他方
向へ変位される場合には、内輪および外輪へのローラーの係合が解除されて、駆動力の伝
達が遮断され、蓋部材７７０（変位部材）の変位区間のうちの第２区間ＤＫ２（所定の区
間）では、外輪が内輪に対して一方向へ向けて変位されるので、回転部材７４１の駆動状
態にかかわらず、第２区間ＤＫ２における蓋部材７７０の変位速度を、他の区間における
蓋部材７７０の変位速度よりも速くすることができる。よって、蓋部材７７０に変化を付
与して、その蓋部材７７０の変位に伴う演出効果を高めることができる。
【０８１７】
また、駆動モータＫＭ４の駆動状態に関わらず、外輪を内輪に対して一方向に先行させ
ることができるので、例えば、蓋部材７７０の変位区間における全区間において、駆動モ
ータＫＭ４を一定の駆動速度で駆動でき、蓋部材７７０の変位区間の途中で（即ち第１区
間ＤＫ１か第２区間ＤＫ２かに応じて）、駆動モータＫＭ４の駆動速度を増減させる必要
がない。その結果、制御を簡略化して、制御コストを削減できると共に、動作の信頼性の
向上を図ることができる。或いは、第２区間ＤＫ２では、駆動手段の動作を停止させるこ
とができ、この場合には、消費エネルギーの抑制を図ることができる。
【０８１８】
また、内輪を外輪に対して他方向へ変位させる方向の駆動状態では、ローラーの係合が
解除されて、駆動力の伝達が遮断されるので、変位部材を停止状態（被駆動状態）とする
ことができ、かかる駆動状態における駆動手段（駆動モータＫＭ４）の駆動力を回転体８
００を駆動するための駆動力として利用することができる。即ち、駆動手段（駆動モータ
ＫＭ４）の駆動方向を切り替えることで蓋部材７７０と回転体８００との２部材をそれぞ
れ変位させることができる。
【０８１９】
また、蓋部材７７０は、回転可能に形成されると共に、その重心位置が回転中心から偏
心された位置に配置され、第２区間ＤＫ２では、蓋部材７７０の重さが外輪を一方向へ変
位させる方向へ作用可能に形成されるので、かかる蓋部材７７０の重さを利用して、外輪
を内輪に対して一方向へ先行して変位させることができる。即ち、第２区間ＤＫ２におけ
る蓋部材７７０の変位速度を、第１区間ＤＫ１の区間における蓋部材７７０の変位速度よ
りも速くすることができる。その結果、蓋部材７７０の変位態様に変化を付与して、その
変位部材の変位に伴う演出効果を高めることができる。
【０８２０】
さらに、駆動力の伝達は、ワンウェイクラッチＯＷ１の外輪が取着される本体部７４１
ｂ及びその本体部７４１ｂから突出すると共に、その本体部７４１ｃの回転中心から変位
して位置する突起７４１ａ（ピン部）を有する回転部材７４１（クランク部材）と、アー
ム部材７４２とで行われるので、外輪によって回転部材７４１を回転させ、突起７４１ａ
を第１摺動溝７４２ｂに沿って摺動させることで、回転部材７４１の他端側（第２摺動溝
７４２ｃ側）を往復運動させることができる。この場合、アーム部材７４２の他端側が蓋
部材７７０の往復運動に伴って、蓋部材７７０を開放状態の位置と閉鎖状態の位置との間
で往復動作させることができる。即ち、駆動モータＫＭ４の駆動方向を切り替えることな
く、蓋部材７７０の変位方向を切り替えることができる。
【０８２１】
またこの場合、第２区間ＤＫの区間を往復動作の両方に形成することができるので、蓋
部材７７０が往復動作される際には、いずれの方向へ変位させる際にも、その変位の途中
から蓋部材７７０の変位速度を早くすることができる、その結果、蓋部材７７０の変位態
様に変化を付与して、その蓋部材の変位に伴う演出効果を高めることができる。
【０８２２】
次いで、図９９を参照して、回転規制部材７８０の変位について説明する。図９９（ａ
）は閉鎖状態における装飾ユニット７５０の側面図であり、図９９（ｂ）は開放状態にお
ける装飾ユニット７５０の側面図である。なお、図９９（ａ）及び図９９（ｂ）では、箱
部材７６０の左側側面板７６５が透明視された状態が図示される。
【０８２３】
図９９（ａ）に示すように、蓋部材７７０が閉鎖状態とされる場合には、回転規制部材
７８０は、付勢ばねＳＰ５の付勢力により、突起７８２側が下方に押し下げられた状態（
図９９（ａ）において軸孔７８１の軸を中心に時計回りに回転された状態）とされる。
【０８２４】
よって、回転体８００の回転軸から係合突起８８２の外側までの距離寸法Ｌ４は、回転
体８００の回転軸から回転規制部材７８０の突起７８２の先端までの距離寸法Ｌ５よりも
小さくされる（Ｌ４＜Ｌ５）。
【０８２５】
従って、回転体８００と回転規制部材７８０とは係合されず、回転体８００は回転可能
とされる。
【０８２６】
一方、図９９（ｂ）に示すように、蓋部材７７０が開放状態とされる場合には、回転規
制部材７８０は、当接面７８３が回転体８００の背面側に変位される蓋部材７７０と当接
して、当接面７８３が下方に押し下げられた状態（図９９（ｂ）において軸孔７８１の軸
を中心に反時計回りに回転された状態）とされる。
【０８２７】
よって、回転体８００の回転軸から係合突起８８２の外側までの距離寸法Ｌ４は、回転
体８００の回転軸から回転規制部材７８０の突起７８２の先端までの距離寸法Ｌ６よりも
大きくされる（Ｌ６＜Ｌ４）。
【０８２８】
その結果、左回転部８８０の係合突起８８２を重力方向一番下方に配置した状態の回転
体８００において、係合突起８８２の内側に回転規制部材７８０の突起７８２を挿入する
ことができる。即ち、回転体８００と回転規制部材７８０とが係合されるので、回転体８
００が回転不能とされる。なお、本実施形態では、回転体８００の回転を不能とする位置
（係合突起８８２の内側に突起７８２が挿入される位置）が後述する回転体８００の開閉
部材８７０が開放状態とされる位置に設定される。
【０８２９】
即ち、回転体８００の回転を規制する回転規制部材７８０（回転規制手段）は、開閉部
材８７０（変位部材）が、開放位置（第２位置）へ変位され、変位部材の他側が遊技領域
に張り出された場合に回転体８００の回転を規制するので、開閉部材８７０が張り出され
た状態で回転体８００が回転されて、その回転軌跡上に位置する他の部材に開閉部材８７
０が干渉することを抑制できる。また、遊技領域を流下する遊技球を変位部材が受け止め
た際に作用する荷重や変位部材の上面を転動する遊技球の重さにより回転体８００が回転
されることを抑制できる。
【０８３０】
ここで、変位可能に形成される第１部材および第２部材を備え、第１部材が、第２部材
の少なくとも一部を視認不能に覆う覆設位置と、その覆設位置に配置された状態よりも第
２部材を視認不能に覆う領域を減少させる退避位置との間で変位可能に形成された遊技機
が知られている。この遊技機によれば、第１部材を覆設位置に配置し、第２部材を遊技者
から視認不能とした状態から、第１部材を退避位置に変位させることで、第２部材を露出
させて遊技者に視認させる演出を行うことができる。
【０８３１】
しかしながら、上述した従来の遊技機では、第２部材が変位可能に形成されているため
、第２部材が露出された際に、かかる第２部材が変位される恐れがある。そのため、遊技
者に第２部材を適正な状態で視認させることができず、演出効果が低下するという問題点
があった。
【０８３２】
これに対し、本実施形態によれば、蓋部材７７０（第１部材）は、開放状態の位置（退
避位置）に変位された状態において、回転体８００（第２部材）の変位を規制可能に形成
されるので、かかる回転体８００を適正な状態で遊技者に視認させることができ、演出効
果を確保できる。即ち、蓋部材７７０を開放状態の位置へ変位させ、回転体８００を露出
させるという演出を行う際に、その演出のために行わざる得ない蓋部材７７０の開放状態
の位置への変位を、回転体８００の変位を規制する手段として利用する。よって、回転体
８００の変位を規制するための機構を別途設けることや制御を行う必要がなく、その分、
構造を簡素化できる。
【０８３３】
また、回転体８００は、後述するように外周面の形状が回転中心から非対称に形成され
る（図１０１参照）。よって、回転体８００は、回転可能に形成されると共に、その重心
位置が回転中心から偏心されるので、かかる回転体８００の設計の自由度を高めることが
できる。即ち、回転体８００をその重心位置が、回転中心に位置する形状とする必要がな
く、回転軸に対して非対称の形状を採用できるので、かかる回転体８００による演出効果
を高めることができる。一方で、このように、回転体８００の重心位置が偏心されている
と、回転体８００がその重力で、回転中心まわりに回転（自転される恐れがある）よって
、閉鎖状態の位置に変位された蓋部材７７０が、回転体８００の変位を規制可能に形成さ
れる構成が特に有効となり、これにより、回転体８００を適正な状態で遊技者に視認させ
ることができ、演出効果を確保できる。
【０８３４】
なお、回転体８００は、軸を中心に対称に形成されていてもよい。この場合、回転体８
００を比重の異なる２つ以上の部材から形成することでその重心位置を回転軸と異なる位
置に配置することができる。例えば、半面を金属材料から形成して、残りの半面を可撓性
材料から形成することで、一般的に可撓性材料よりも比重の大きい金属材料側に重心を位
置させることができる。
【０８３５】
次いで、図１００から図１０２を参照して回転体８００の構成について説明する。図１
００（ａ）は、回転体８００の正面図であり、図１００（ｂ）は、図１００（ａ）の矢印
Ｃｂ方向視における回転体８００の側面図であり、図１００（ｃ）は、図１００（ａ）の
矢印Ｃｃ方向視における回転体８００の側面図である。図１０１は、回転体８００の分解
斜視正面図であり、図１０２は、回転体８００の分解斜視背面図である。
【０８３６】
図１００から図１０２に示すように、回転体８００は、複数の部材を組み合わせること
で円柱状に形成される。回転体８００は、軸部分に配置されるベース板８１０と、そのベ
ース板８１０を取り囲んで配置され円環状に組み合わせられる第１表示部８３０、第２表
示部８４０、第３表示部８５０及び第４表示部８６０と、軸方向の一端に配設される右回
転部８９と、軸方向の他端に配設される左回転部８８０と、第１表示部８３０の内側に配
設される開閉部材８７０とを主に備えて形成される。
【０８３７】
ベース板８１０は、軸方向視における断面が断面略Ｌ字に形成されると共に、軸方向に
延設した形状に形成される。ベース板８１０は、左右の両端部から外側に突出する右端部
８１１及び左端部８１２を備えて形成される。
【０８３８】
右端部８１１は、ベース板８１０の正面視右側（図１００（ａ）右側）から円環状に突
出して形成される。右端部８１１は、その右端部８１１の突出先端に部分的に突出する先
端部８１１ａと、円環状の内側部分の連通孔８１１ｂとを主に備えて形成される。
【０８３９】
先端部８１１ａは、右端部８１１の先端部分から、軸方向にさらに突出されると共に、
右側側面視（図１００（ｃ）の方向視）における突出領域が右側側面板７６４の係合部７
６４ｅの内側の領域よりも小さく設定される。先端部８１１ａは、上述したように右側側
面板７６４の係合部７６４ｅの内側に挿入される。これにより、ベース板８１０と右側側
面板７６４（蓋部材７７０）とが係合された状態とされる。その結果、ベース板８１０を
後述する各表示面（第１表示部８３０、第２表示部８４０、第３表示部８５０及び第４表
示部８６０）の回転変位に対して停止した状態にできる。
【０８４０】
連通孔８１１ｂは、後述するＬＥＤ基盤８２０に連結される配線（図示せず）を挿通す
る開口であり、ベース板８１０の正面視右側の側面に貫通形成される。これにより、配線
を挿通することができる。
【０８４１】
左端部８１２は、ベース板８１０の正面視左側（図１００（ａ）左側）から円環状に突
出して形成される。左端部８１２は、その左端部８１２の下側半円から突出する先端部８
１２ａと、円環状の内側部分の連通孔８１２ｂとを主に備えて形成される。
【０８４２】
先端部８１２ａは、左端部８１２の先端部分から、軸方向にさらに突出されると共に、
左側側面視（図１００（ｂ）の方向視）における突出形状が円環状の下半円とされる。
【０８４３】
連通孔８１２ｂは、後述する開閉部材８７０により回転体８００の内部に送球された球
を回転体８００の外側に排出するための経路である。連通孔８１２ｂは、その内径が、球
よりも大きく設定されると共に、ギヤカバー７３３に形成された貫通孔７３３ａと略同一
に設定される。
【０８４４】
また、連通孔８１２ｂは、ギヤカバー７３３の貫通孔７３３ａに連結される開口であり
、左端部８１２の突出距離が貫通孔７３３ａと当接する距離に設定される。さらに、貫通
孔７３３ａの端面の上半球には、突起７３３ｂが形成される。突起７３３ｂの突出距離は
、先端部８１２ａの突出距離と略同一に設定される。これにより、ベース板８１０とギヤ
カバー７３３（左側伝達部材７３０）とが係合された状態とされる。その結果、ベース板
８１０を後述する各表示面（第１表示部８３０、第２表示部８４０、第３表示部８５０及
び第４表示部８６０）の回転変位に対して停止した状態にできる。
【０８４５】
ベース板８１０の底面には、逆回転防止部材８１３が回転可能状態で配設される。逆回
転防止部材８１３は、上面視略円形に形成されると共に、一端側に傾斜した突起８１３ａ
が形成される。また、逆回転防止部材８１３は、ベース板８１０との間に付勢ばねＳＰ６
が配設されており、これにより、突起８１３ａを常に正面視左側（図１００（ａ）左側）
に付勢した状態とされる。
【０８４６】
右回転部８９０は、所定の厚みの板状に形成されると共に、側面視円環状に形成される
。右回転部８９０は、円環の内側の内径がベース板８１０の右端部８１１の大きさよりも
大きく形成される。これにより、右回転部８９０の内側にベース板８１０の右端部８１１
を挿入できる。また、右回転部８９０は、左右方向に貫通する軸孔８９１と、その軸孔８
９１を中心に湾曲して開口される摺動溝８９２とを主に備えて形成される。
【０８４７】
軸孔８９１は、後述する開閉部材８７０の軸部８７２が挿入される孔であり、軸部８７
２の外径よりも大きい内径に形成される。これにより、開閉部材８７０の軸部８７２が第
１表示部８３０に対して変位することを抑制できる。
【０８４８】
摺動溝８９２は、軸孔８９１を中心とした湾曲形状に形成され、その半径は、開閉部材
８７０の突起８７１及び軸部８７２までの離間距離と同一に設定される。これにより、摺
動溝８９２の内部に開閉部材８７０の突起８７１が挿入されることで、開閉部材８７０の
変位の際に突起８７１を摺動溝８９２の内部を摺動させることができる。
【０８４９】
左回転部８８０は、所定の厚みの板状に形成されると共に、側面視円環状に形成される
。左回転部８８０は、円環の内側の内径がベース板８１０の左端部８１２の大きさよりも
大きく形成される。これにより、左回転部８８０の内側に、ベース板８１０の左端部８１
２を挿入できる。また、左回転部８８０は、内縁部分から円環状に突出する壁部８８１と
、側壁から突出する係合突起８８２と、内縁部に傾斜面を連続して並べた係止部８８３と
を主に備えて形成される。
【０８５０】
壁部８８１は、回転体８００の正面視左側に突出して形成される。壁部８８１は、突出
先端の外周面にギヤの歯面８８１ａが刻設されると共に、内側に開口する連通孔８８１ｂ
を備える。歯面８８１ａは、上述したように伝達ギヤ８８１ｄに歯合される。これにより
、駆動モータＫＭ４の駆動力を回転体８００に伝達させることができる。
【０８５１】
連通孔８８１ｂは、回転体８００の内部空間と外部空間とを連通する開口であり、後述
する開閉部材８７０の開放により回転体８００の内部に送球された球を排出できる。
【０８５２】
係合突起８８２は、上述したように、回転規制部材７８０が係合される突起である。係
合突起８８２は、左回転部８８０の正面視左側の側面から突出して形成される。また、係
合突起８８２は、所定の距離離間した位置に２つ形成されており、その間に回転規制部材
７８０の突起７８２が挿入可能に形成される。
【０８５３】
係止部８８３は、その断面が鋸歯状に形成される。左回転部８８０は、ベース板８１０
に配設されると、係止部８８３に上述した逆回転防止部材８１３の突起８１３ａの先端が
当接された状態とされる。これにより、左回転部８８０を一方向へ回転させる回転力が作
用する際には、係止部８８３の傾斜面に沿って突起８１３ａを摺動させて左回転部８８０
を回転させることができるが、左回転部８８０を他方向へ回転させる回転力が作用する際
には、係止部８８３の面が突起８１３ａに引っ掛り回転が抑制される。
【０８５４】
これにより、回転体８００が駆動モータＫＭ４の回転駆動力により回転される方向とは
逆方向へ回転されることを規制することができるので、例えば、回転体８００の重心位置
の偏りや遊技球の衝突などに起因して回転体が逆回転されることを抑制できる。
【０８５５】
第１表示部８３０から第４表示部８６０は、それぞれが同一の湾曲形状に形成されてお
り、互いの端面が連結されることで、一つの円環状にできる。また、１つの円環にされた
第１表示部８３０から第４表示部８６０の内径は、左右の回転部８８０，８９０の外径と
略同一に設定される。これにより、各表示部８３０〜８６０を左右の回転部８８０，８９
０に配設することで第１表示部８３０から第４表示部８６０を１つの円柱状に形成するこ
とができる。
【０８５６】
また、第１表示部８３０から第４表示部８６０は、それぞれにキャラクターや模様が描
かれており、上述したように左回転部８８０から駆動力が伝達されることで回転して、そ
れぞれのキャラクターや模様を遊技者に視認させることができる。
【０８５７】
第１表示部８３０は、その湾曲面に開口した開口８３１と、軸側に開放すると共にＵ字
状に突出形成される軸受部８３２とを主に備えて形成される。
【０８５８】
開口８３１は、内部に後述する開閉部材８７０を配置する開口であり、開閉部材８７０
の外形と略同一の内径の開口に形成される。軸受部８３２は、開放したＵ字部分に開閉部
材８７０の軸部８７２を挿入可能な大きさに形成される。よって、開閉部材８７０を開口
８３１に挿入すると共に、開閉部材８７０の軸部８７２を軸受部８３２に挿入することで
、開閉部材８７０を第１表示部８３０に対して回転変位させることができる。なお、開閉
部材８７０の変位態様についての説明は後述する。
【０８５９】
ＬＥＤ基盤８２０は、電力が供給されることで、ＬＥＤ基盤８２０に搭載されたＬＥＤ
ライトを発光させることができる。またＬＥＤ基盤８２０は、ベース板８１０の背面側に
取着される。
【０８６０】
次いで、図１０３を参照して、開閉部材８７０の開閉について説明する。図１０３（ａ
）は、開閉部材８７０が閉鎖状態における回転体８００の側面図である。図１０３（ｂ）
は、開閉部材８７０が開放状態における回転体８００の側面図である。なお、図１０３で
は、開閉部材８７０が他の部材と重なる際に、その外径が鎖線で図示される。
【０８６１】
また、開閉部材８７０の閉鎖状態とは、開閉部材８７０の外周面が、第１表示部８３０
の外周面と略平行に配置された状態である。一方、開閉部材８７０の開放状態とは、開閉
部材８７０の外周面が第１表示部８３０の外周面と交差する状態に配置された状態である
。
【０８６２】
図１０３（ａ）に示すように、開閉部材８７０が閉鎖状態における回転体８００は、開
閉部材８７０の突起８７１が、右回転部８９０の摺動溝８９２の一端側（図１０３（ａ）
では軸部８７２の下方側）に位置される。
【０８６３】
一方、図１０３（ｂ）に示すように、開閉部材８７０が開放状態における回転体８００
は、開閉部材８７０の突起８７１が、右回転部８９０の摺動溝８９２の他端側に位置され
る。即ち、開閉部材８７０の変位は、突起８７１が右回転部８９０の摺動溝８９２の内部
を摺動することで行われる。
【０８６４】
次いで、図１０４を参照して、突起８７１の変位について説明する。図１０４（ａ）及
び（ｂ）は、装飾ユニット７５０の側面図である。なお、図１０４（ａ）及び図１０４（
ｂ）では、箱部材７６０の右側側面板７６４が透明視された状態で図示される。
【０８６５】
また、図１０４（ａ）では、装飾ユニット７５０が閉鎖状態とされ、開閉部材８７０が
閉鎖状態とされた状態が図示される。図１０４（ｂ）では、装飾ユニット７５０が開放状
態とされ、開閉部材８７０が開放状態とされた状態が図示される。
【０８６６】
図１０４（ａ）に示すように、装飾ユニット７５０が閉鎖状態とされると、右側蓋部７
７３の外縁部が突起８７１と当接した状態とされる。装飾ユニット７５０が閉鎖状態にお
いて、右側蓋部７７３の下半面における回転軸からの外径Ｌ７は、右回転部８９０の軸か
ら摺動溝８９２の一端側までの距離Ｌ８よりも小さくされる（Ｌ７＜Ｌ８）。
【０８６７】
また、Ｌ７とＬ８との寸法の差は、突起８７１の外径と略同一に設定される。よって、
右側蓋部７７３の外縁部が突起８７１と当接した状態では、突起８７１が摺動溝８９２の
一端側に変位される。その結果、開閉部材８７０が閉鎖状態とされる。即ち、装飾ユニッ
ト７５０が閉鎖状態とされる際に、開閉部材８７０が開放状態に変位することを抑制でき
る。
【０８６８】
図１０４（ｂ）に示すように、装飾ユニット７５０が開放状態とされると、右側蓋部７
７３の変位に伴って外縁部に形成される凹部７７３ｂが変位する。この場合、凹部７７３
ｂの内側に突起８７１が挿入される。これにより、突起８７１は、摺動溝８９２を他側に
変位可能とされる。その結果、軸部８７２と第１表示部８３０との間に配設される付勢ば
ねＳＰ７の付勢力により、開閉部材８７０が開放状態とされる。
【０８６９】
上述したように、開閉部材８７０の開放状態への変位は、蓋部材７７０の変位に従って
行うことができる。よって、開閉部材８７０を駆動させる駆動源を回転体８００に配設す
る必要がないため、回転体８００を小さく形成できる。
【０８７０】
また、開閉部材８７０を変位させるための駆動モータＫＭ４を蓋部材７７０を変位させ
るための駆動手段として兼用できる。この場合、開閉部材８７０と蓋部材７７０とを別々
の駆動手段の駆動力により変位させる場合には、制御不良が生じると開閉部材８７０と蓋
部材７７０とが干渉するおそれがあるところ、開閉部材８７０と蓋部材７７０とを機械的
に連結してそれらの変位を同期させることができるので、開閉部材８７０と蓋部材７７０
とが干渉することを抑制できる。
【０８７１】
図１０４（ｂ）に示すように、開閉部材８７０を開放すると、回転の先端側は、箱部材
７６０の入賞口７６１ａの上方に配置される。これにより、後述する球受台７１０の送球
部７１１ｃから送球される球を開閉部材８７０の上面に落下させることができる。
【０８７２】
この場合、開閉部材８７０は、回転先端側が、軸部８７２よりも上方に配置される。よ
って、上面に落下する球を回転体８００の内部側へ転動させることができる。回転体８０
０の内部へ転動される遊技球は、回転体８００の内部に配設されるベース板８１０の上面
に転動される。更に、ベース板８１０は、左端部８１２側に向かって下方に傾斜した状態
とされるので、ベース板８１０の上面に転動される球を左端部８１２側に転動させて、そ
の内側から回転体８００の外方に排出することができる。即ち、回転体８００の内部を球
の送球経路として利用することができる。
【０８７３】
また、回転体８００には、上述したように、回転体８００の回転を規制する回転規制部
材７８０が配設されるので、蓋部材７７０を開放状態の位置に変位させ、回転体８００を
露出させる演出を行う際には、更に、開閉部材８７０を変位させることで、その演出効果
を高めることができる。一方で、回転体８００が回転（自転）される恐れがある。よって
開放状態の位置に変位された蓋部材７７０が、回転体８００の変位を規制可能に形成され
るという構成が特に有効となり、これにより、回転体８００を適正な状態で遊技者に視認
させることができ、演出効果を確保できる。
【０８７４】
ここで、回転可能に形成され、その回転軸まわりの外面が、遊技者に視認可能に配設さ
れる回転部材を備えた遊技機が知られている。この遊技機によれば、回転部材が円筒状に
形成され、その外周面の表示（図柄）を回転部材を回転させつつ、又は、回転部材を停止
させて遊技者に視認させることができる。しかしながら、上述した従来の遊技機では、遊
技者に視認させるための表示をその外面に保持するための部材のとして利用されるのみで
、回転部材の活用が不十分であるという問題点があった。即ち、回転部材は、遊技者が視
認可能な程度の表示を保持する必要があるため、比較的大型に形成される。そのため、そ
の占有空間が嵩む一方、その外面以外の部分は活用されていない。
【０８７５】
これに対し、本実施形態によれば、回転体８００（回転部材）は、その内部に形成され
る内部空間を外部に連通させると共に、遊技球が通過可能に形成される開口８３１及び連
通孔８８１ｂ（連通口）を備えるので、遊技領域を流下する遊技球を、開口８３１及び連
通孔８８１ｂを介して内部空間へ流入または内部空間から流出させることができる。よっ
て、デッドスペースとされる回転体８００の内部空間を遊技球の貯留空間または送球通路
として機能させることができ、その分、回転体８００を活用できる。
【０８７６】
また、上述した従来の遊技機では、回転部材を停止に伴って、外周面の表示を遊技者に
視認させる演出態様を形成できるのみであるため、演出態様の変化が乏しく、演出効果が
不十分であるいう問題点があった。
【０８７７】
これに対し、本実施形態によれば、回転体８００（回転部材）の外面に変位可能に配設
される開閉部材８７０（変位部材）を備えるので、回転体８００の回転または停止に伴っ
て外面の表示を遊技者に視認させる演出態様に加え、開閉部材８７０を変位させる演出態
様を形成できるので、その分、演出態様に変化を付与して、演出効果を高めることができ
る。
【０８７８】
蓋部材７７０（変位部材）は、閉鎖位置（第１位置）に変位されると、回転体８００（
回転部材）の外面の一部が開閉部材８７０により形成されるので、回転体８００の外形を
小さくでき、その分、回転体８００が回転するのに要するスペースを小さくできる。一方
、開閉部材８７０が、開放位置（第２位置）へ変位されると、回転体８００の径方向外方
へ開閉部材８７０が突出されるので、開閉部材８７０の変位を遊技者に視認させやすくで
き、演出効果を高めることができる。また、開閉部材８７０を閉鎖位置に配置した状態で
回転体８００を回転させると共に、その回転を停止した際に開閉部材８７０を開放位置に
配置する（変位させる）ことで、回転体８００の外面として視認していた部分（開閉部材
８７０）が、回転体８００の径方向外方へ突出される態様を形成でき、興趣を高めること
ができる。
【０８７９】
また、回転体８００の内部空間にベース板８１０に光を発光するＬＥＤ基盤８２０が配
設される。よって、開閉部材８７０が開放位置にされることで、回転体８００の外面が開
放され内部空間が外部に連通され、ＬＥＤ基盤８２０からの発光を外部に出射させること
ができる。一方、開閉部材８７０が閉鎖位置にされることで、回転体８００の外面が閉鎖
され、ＬＥＤ基盤８２０からの発光が外部へ出射されること遮断することができる。その
結果、演出効果を高めることができる。
【０８８０】
ここで、回転体８００を回転可能にすると共に、その回転体８００に開閉部材８７０を
変位可能に配設するためには、回転体８００及び開閉部材８７０のそれぞれに駆動手段が
必要となり、製品コストが嵩む。また、開閉部材８７０を変位させるための駆動手段を回
転体８００に搭載すると、回転体８００の重量が増加するため、回転体８００の回転の開
始または、停止を円滑に行うことが困難となる。
【０８８１】
これに対し、本実施形態によれば、開閉部材８７０は、蓋部材７７０の変位に伴って変
位され、蓋部材７７０及び回転体８００は同一の駆動モータＫＭ４により変位されるので
、１の駆動モータＫＭ４を兼用して、回転体８００の回転と、開閉部材８７０の変位とを
行うことができる。よって、製品コストの削減を図ることができる。また、開閉部材を変
位させるための駆動手段を回転体８００に搭載する必要がないので、回転体８００の重量
を軽量化でき、回転体８００の回転の開始または停止を円滑に行うことができる。
【０８８２】
また、開口８３１（第１連通口）及び連通孔８８１ｂ（第二連通口）は、異なる位置に
形成されるので、開口８３１を外部から内部空間に遊技球を流入させる流入口とし、連通
孔８８１ｂを内部空間から外部へ遊技球を流出させる流出口とすることができる。即ち、
回転体８００（回転部材）を回転させなくても（停止状態に維持したままで）、回転体８
００を遊技球の送球通路として活用できる。
【０８８３】
さらに、開口８３１は、回転体８００の外周面に形成され、連通孔８８１ｂは、回転体
８００の軸方向の端面に形成されるので、回転体８００（回転部材）の内部空間への遊技
球の流入を遊技者に視認しやすくできると共に、回転体８００を停止状態に維持したまま
で、遊技球を排出することができる。
【０８８４】
即ち、回転体８００は、外面が遊技者から視認可能に配設されるところ、その外面に、
開口８３１（流入口）が形成されるので、遊技球の流入を遊技者に視認させやすくできる
。一方、回転体８００の外面に連通孔８８１ｂが形成されると、かかる連通孔８８１ｂが
上方となる回転位置に回転体８００が配置されると、内部空間から遊技球を流出させるこ
とができないところ、連通孔８８１ｂ（流出口）は、回転体８００の回転軸方向の端面に
形成されるので、回転体８００の回転位置に関わらず、内部空間から遊技球を流出可能な
状態を形成できる。
【０８８５】
また、開口８３１（第１連通口）の内側には、変位可能な開閉部材８７０（変位部材）
が配設され、開閉部材８７０が閉鎖位置（第１位置）へ変位されると、開口８３１が開閉
部材８７０によって遮蔽され、開閉部材８７０が開放位置（第２位置）へ変位されると、
開口８３１が開放されるので、開口８３１を介した遊技球の流入を遮蔽状態と許容状態と
に切り替えることができる。
【０８８６】
さらに、開閉部材８７０（変位部材）は、一側が回転体８００（回転部材）に回転可能
に軸支され、開閉部材８７０が開放位置（第２位置）に変位されると、一側と反対側とな
る他側が遊技領域へ張り出されるので、遊技領域を流下する遊技球を開閉部材８７０の上
面に受け止めさせることができる。よって、開口８３１が、流入口として形成されると、
遊技領域を流下する遊技球を開閉部材８７０を利用して、回転体８００の内部空間へ流入
させやすくできる。
【０８８７】
また、遊技領域を流下する遊技球を開閉部材８７０の上面に止め易くさせることができ
る。よって、例えば、回転体８００に遊技球の流入口が形成される場合には、遊技領域を
流下する遊技球を、開閉部材８７０を利用して、流入口に流入させやすくすることができ
る。この場合、遊技領域を流下する遊技球を開閉部材８７０に受け止めさせると、その際
に作用する荷重や変位部材の上面を転動する遊技球の重さにより回転体８００が回転され
る恐れがある。よって、開放状態の位置に変位された蓋部材７７０が、回転規制部材７８
０を変位させて回転体８００の変位を規制可能に形成されるという構成が特に有効となり
、これにより、開閉部材８７０を遊技領域の所定の位置に張り出せた状態を維持しやすく
できる。
【０８８８】
開閉部材８７０の軸部８７２は、回転体８００の回転方向側に配置される。言い変える
と、開閉部材８７０（変位部材）は、その一側が他側よりも回転体８００（回転部材）の
回転方向前方側に位置される。よって、回転体８００が回転される際に、その回転部材の
周りに配設される部材に開閉部材８７０が干渉したとしても、かかる干渉により発生する
力を開閉部材８７０を閉じる（閉鎖位置へ変位させる）方向へ作用させることができる。
即ち、回転体８００の回転時に開閉部材８７０が他の部材に干渉して張り出される（第２
位置）へ変位されることを抑制できる。また、開閉部材８７０が他の部材に係合して回転
体８００の回転が阻害されることを抑制できる。
【０８８９】
また、回転体８００の内部空間に配設されるベース板８１０（固定部材）は、回転体８
００が回転可能に配設される箱部材７６０（ベース部材）に対して非回転とされるので、
開口８３１から回転体８００の内部空間に流入された遊技球をベース板８１０の上面を連
通孔８８１ｂへ向けて転動させることで、回転体８００の回転に伴って、遊技球が内部空
間で暴れる又は、遊技球の転動が阻害され内部空間に留まることを抑制できる。
【０８９０】
上述したように、開閉部材８７０の開閉動作は、蓋部材７７０の変位によって規制され
るので、開放状態（第２位置）へ変位された開閉部材８７０が回転体８００の周囲の部材
に干渉することを抑制できる。
【０８９１】
上述したように、回転体８００には、ベース板８１０の背面側に取着されるＬＥＤ基盤
８２０への配線を挿通させる連通孔８１１ｂが、連通孔８８１ｂが形成された回転体８０
０の端面と反対の端面に形成される。よって、連通孔８８１ｂおよび連通孔８１１ｂのそ
れぞれに使用できるスペースを確保しやすくできる。
【０８９２】
即ち、回転体８００の内部に配設するＬＥＤ基盤に電気的な配線をする場合、回転体８
００の外周面から配線を挿通すると回転体８００の回転により配線が絡まるため、回転体
の軸方向端面から配線することが好ましいところ、回転体８００の軸方向両端面に遊技球
が流入する開口および遊技球が流出する開口を形成するものであると、配線を挿通させる
スペースが確保し難くなる。
【０８９３】
これに対し、本実施形態では、回転体８００の遊技球の流入口をその外周面とできるの
で、回転体８００の軸方向端面の一方を遊技球の流出口とすると共に、他方を配線の挿入
口とすることができるので、配線を挿通させるスペースを確保しやすくできる。
【０８９４】
その結果、連通孔８８１ｂを介して遊技球の排出をスムーズに行わせることができると
共に、電気的接続線（ＬＥＤ基盤８２０への配線）の開口への配線作業を行いやすくでき
る。また、連通孔８８１ｂと連通孔８１１ｂとを最大限離間させることができるので、回
転体８００の内部空間を連通孔８８１ｂへ転動する遊技球と電気的接続線との干渉を抑制
しやすくできる。
【０８９５】
次いで、図１０５及び図１０６を参照して、下変位ユニット４００及び回転ユニット７
００について説明する。図１０５は、下変位ユニット４００及び回転ユニット７００の正
面図であり、図１０６は、図１０５の矢印ＣＶＩ方向視における下変位ユニット４００の
上面図である。なお、図１０５及び図１０６では、退避状態における下変位ユニット４０
０が図示される。
【０８９６】
図１０５及び図１０６に示すように、下変位ユニット４００及び回転ユニット７００は
、左右方向に隣合う位置に配置される。また、前後方向（図１０６上下方向）における下
変位ユニット４００及び回転ユニット７００は、球受台７１０の前後方向略中央位置に下
変位部材４４０の出射開口４７１が配置される。
【０８９７】
次いで、図１０７を参照して、下変位ユニット４００から回転ユニット７００への球の
送球を態様を説明する。図１０７は、下変位ユニット４００及び回転ユニット７００の正
面図である。なお、図１０７では、下変位ユニット４００が第１張出状態に配置された状
態が図示される。
【０８９８】
図１０７に示すように、下変位ユニット４００が、第１張出状態とされ、下変位部材４
４０の内部に配設された球受部４６７が内側に球を受け入れた状態（球受動作をした状態
）で発射動作をすると、上述したように、下変位部材４４０の出射開口４７１から球受部
４６７の内部に配置された球が下変位部材４４０の外方に排出される。
【０８９９】
下変位部材４４０の出射開口４７１から排出された球は、自由落下をして、正面視右側
に配設される回転ユニット７００の球受台７１０に落下する。その結果、下変位ユニット
４００から回転体８００へ球を送球することができる。
【０９００】
次いで、図１０８及び図１０９を参照して、球受台７１０の構成について説明する。図
１０８（ａ）は、球受台７１０の上面図であり、図１０８（ｂ）は、球受台７１０の正面
図であり、図１０８（ｃ）は、図１０８（ａ）のＣＶＩＩＩｃ−ＣＶＩＩＩｃ線における
球受台７１０の断面図である。図１０９は、球受台７１０の分解斜視図である。
【０９０１】
図１０８及び図１０９に示すように、球受台７１０は、箱状に形成される皿受部７１１
と、その皿受部７１１の内側に配設されるソレノイド７１２と、そのソレノイド７１２に
連結される変位部材７１３と、ソレノイド７１２を覆設するカバー部材７１４とを主に備
えて形成される。
【０９０２】
皿受部７１１は、底面を形成する底板７１１ａと、その底板７１１ａの縁部に立設され
る立設部７１１ｂと、底板７１１ａの外縁の一部から突出する送球部７１１ｃと、その送
球部７１１ｃの縁部に立設される立設部７１１ｂに貫通形成される軸孔７１１ｄとを主に
備えて形成される。
【０９０３】
底板７１１ａは、後述する送球部７１１ｃ側に向かって下方に撓んだ形状に形成される
。これにより、底板７１１ａの上部に送球された球をその撓み（傾斜）で送球部７１１ｃ
側に転動させることができる。
【０９０４】
また、底板７１１ａは、可撓性材料で形成されると共に、底板７１１ａの下面（図１０
８（ｃ）下面）には、シボ加工が施され、表面に細かい凹凸が形成される。これにより、
底板７１１ａを成形した際に、熱収縮する比率を上面と底面とで異ならせて、底面側に撓
み易くできる。即ち、シボ加工が施される底面は、凹凸により熱収縮した際に底板側を凸
に湾曲させる方向へ力が作用し難くなる。一方、上面側は、平坦面に形成されるので熱収
縮した際に水平方向に引張る力が作用して端部が上方に変化し易くなる（上面側が凹の湾
曲を形成しやすい）。従って、熱収縮した際に球が転動しやすくなる方向に撓み易くでき
る。その結果、底板７１１ａを成形した際に不良品となることを抑制できる。
【０９０５】
立設部７１１ｂは、送球部７１１ｃの外縁部から重力方向上側（図１０８（ｃ）上側）
に立設される壁部である。立設部７１１ｂの立設距離は、球の外径よりも大きく設定され
る。これにより、底板７１１ａの上部に送球される球がその縁部から下方に落下すること
を抑制できる。なお、本実施形態では、立設部７１１ｂの立設寸法が球の直径の略１．５
倍に設定される。
【０９０６】
また、立設部７１１ｂは、底板７１１ａの領域を２つに分断する中央立設部７１１ｂ１
が立設部７１１ｂに連結して形成される。中央立設部７１１ｂ１により、一方を球が送球
される領域に、他方を後述するソレノイド７１２が配設される領域に、底板７１１ａの上
部の領域が分けられる。
【０９０７】
送球部７１１ｃは、底板７１１ａの正面側に形成される。また、左右方向（図１０８（
ａ）左右方向）の位置が底板７１１ａの略中央位置よりも右側（図１０８右側）に配置さ
れる。さらに、送球部７１１ｃは、底板から突出される従って下方に湾曲される。これに
より、底板７１１ａから送球される球を送球部７１１ｃを介して下方に落下させることが
できる。なお、送球部７１１ｃの下側には、蓋部材７７０の入賞口７６１ａが配設されて
おり（図１０６参照）、送球部７１１ｃから落下する球を入賞口７６１ａの内部に送球で
きる。
【０９０８】
軸孔７１１ｄは、後述する変位部材７１３の軸部７１３ａが挿入される。これにより、
変位部材７１３を軸孔７１１ｄの軸を中心に回転変位させることができる。
【０９０９】
ソレノイド７１２は、電力が付与されることで、ソレノイド７１２の内部に挿入した軸
をピストン変位させることができる。ソレノイド７１２の軸には、伝達部材７１２ａが取
着される。伝達部材７１２ａは、ソレノイド７１２の駆動力を後述する変位部材７１３に
伝達する部材であり、先端に連通孔７１２ａ１が貫通形成される。
【０９１０】
変位部材７１３は、断面Ｃ字状に形成され、その一端にＣ字の外側に突出する突起７１
３ｂと、両端にＣ字の内側に突出する軸部７１３ａとを主に備えて形成される。
【０９１１】
突起７１３ｂは、ソレノイド７１２の連通孔７１２ａ１に挿入される突起であり、連通
孔７１２ａ１の内径よりも大きい外径の円柱状に形成される。これにより、ソレノイド７
１２の変位が伝達部材７１２ａを介して変位部材７１３に伝達される。
【０９１２】
軸部７１３ａは、軸孔７１１ｄに挿入される軸である。軸部７１３ａが軸孔７１１ｄに
挿入されることで、変位部材７１３は、軸部７１３ａの軸を中心に回転できる。即ち、ソ
レノイド７１２の変位により、変位部材７１３が駆動される。
【０９１３】
カバー部材７１４は、ソレノイド７１２の外形よりも大きい外形に形成されており、底
板７１１ａの上部に配置されたソレノイド７１２の上方に配置されると共に、皿受部７１
１に締結固定される。これにより、ソレノイド７１２を固定することができる。
【０９１４】
次いで、図１１０を参照して球受台７１０に落下する球について説明する。図１１０（
ａ）及び図１１０（ｂ）は、球受台７１０の断面図である。なお、図１１０（ａ）及び図
１１０（ｂ）は、図１０８（ｃ）の球受台７１０の断面と対応する。
【０９１５】
図１１０に示すように、下変位ユニット４００の下変位部材４４０から送球される球は
、重力方向に自由落下すると共に、球受部４６７の発射動作により回転ユニット７００側
（図１１０（ａ）右側）へ変位する。即ち、球受台７１０の底板７１１ａに対して正面視
右下方向に落下される。
【０９１６】
この場合、上述したように、底板７１１ａは、送球部７１１ｃ側に向かって下方に撓ん
で形成され、送球部７１１ｃは底板７１１ａに対して右側に形成されるので、球が落下す
る底板７１１ａの上面を右側に向かって下方に傾斜する傾斜面にできる。よって、球の変
位方向と球が落下する底板７１１ａの傾斜方向とを平行に近づけることができる。
【０９１７】
これにより、図１１０（ｂ）に示すように、底板７１１ａに落下した球が上方向（図１
１０（ｂ）上方向）にバウンドすることを抑制できる。従って、下変位ユニット４００の
下変位部材４４０から回転ユニット７００の球受台７１０に送球される球が、球受台７１
０から落下することを抑制できる。
【０９１８】
さらに、底板７１１ａに落下した球を、その落下の勢いで送球部７１１ｃ側に転動させ
ることができる。よって、送球部７１１ｃまでの球の転動時間を短くすることができる。
その結果、下変位部材４４０から球受台７１０へ送球される球をスムーズに送球すること
ができる。
【０９１９】
次いで、図１１１を参照して、球受台７１０の発光について説明する。図１１１（ａ）
及び（ｂ）は、図８７のＣＸＩ−ＣＸＩ線における回転ユニット７００の断面模式図であ
る。なお、図１１１（ａ）は、装飾ユニット７５０が閉鎖状態に、図１１１（ｂ）では、
装飾ユニット７５０が開放状態に、それぞれ配置された状態が図示される。
【０９２０】
図１１１（ａ）に示すように、装飾ユニット７５０が閉鎖状態に配置された状態での球
受台７１０への光の発光は、背面ベース７２０の背面側に配置されるＬＥＤ基盤７２１に
より行われる。
【０９２１】
詳しく説明すると、ＬＥＤ基盤７２１のＬＥＤ７２１ａから発光する光を、蓋部材７７
０の背面側に反射させることで、球受台７１０の底板７１１ａへ入射させる。また、上述
したように、底板７１１ａの底面には、シボ加工が施されるので、シボ加工の凹凸により
入射された光を乱反射させることができる。これにより、球受台７１０の底面全体を発光
させることができる。
【０９２２】
一方、図１１１（ｂ）に示すように、装飾ユニット７５０が開放状態に配置された状態
では、上述したように、蓋部材７７０に透明部７７１ａが形成されるので、ＬＥＤ基盤７
２１のＬＥＤ７２１ａは、蓋部材７７０に反射されず透過される。蓋部材７７０の内側に
は回転体８００が形成されるので、回転体８００の外周面で反射させて球受台７１０へ入
射させることができる。
【０９２３】
またこの場合、回転体８００の第３表示部８５０を球受台７１０側（図１１１（ｂ）上
側）に回転させることで、ベース板８１０の背面側に配置されるＬＥＤ基盤８２０のＬＥ
Ｄ８２１から発光する光を、回転体８００の内壁に反射させて第３表示部８５０から出射
させることができる。
【０９２４】
上述したように、第３表示部８５０の内壁には、シボ加工が施されており、表面に複数
の凹凸が形成される。よって、他の表示部よりも第３表示部８５０は、回転体８００の外
側に光を出射させやすくできる。そのため、第３表示部８５０を球受台７１０側に配置す
ることが好ましい。
【０９２５】
次いで、図１１２から図１１８を参照して、上変位ユニット９００の詳細な構成を説明
する。まず、図１１２から図１１４を参照して、上変位部材９４０を変位させる構造につ
いて説明する。
【０９２６】
図１１２は、上変位ユニット９００の正面図である。図１１３は、上変位ユニット９０
０の分解斜視正面図である。図１１４は、上変位ユニット９００の分解背面斜視である。
なお、図１１２から図１１４では、上変位部材９４０が退避位置（ベース部材９１０に対
して一番上方に配置された位置）に配置された状態が図示される。
【０９２７】
図１１２から図１１４に示すように、上変位ユニット９００は、背面ケース３００の底
壁部３０１（図６参照）に配設されるベース部材９１０と、そのベース部材９１０の内部
に配設される伝達部材９２０と、ベース部材９１０に回転可能に連結されると共に伝達部
材９２０の変位に伴って変位される回転部材９３０と、一端がベース部材４１０に摺動変
位可能に連結されると共に回転部材９３０に連結されて回転部材９３０から駆動力を伝達
されることで変位する上変位部材９４０とを主に備えて形成される。
【０９２８】
ベース部材９１０は、正面視矩形横長の板部材を前後方向に２枚組み合わされて形成さ
れ、正面側に配設される正面ベース９１１と、背面側に配設される背面ベース９１２とを
備える。正面ベース９１１及び背面ベース９１２との対向間には、伝達部材９２０及び回
転部材９３０とが配設される。
【０９２９】
正面ベース９１１は、前後方向（図１１２紙面奥行方向）に貫通した３つの摺動溝９１
１ｃ，９１１ｄ，９１１ｅと、周方向中央位置の背面側に突出する軸支ピン９１１ｂと、
正面ベースの一端側（正面視左側）の正面に突出する軸部９１１ｆと、一端側の前後方向
に貫通する開口９１１ａとを主に備えて形成される。
【０９３０】
開口９１１ａは、正面ベース９１１に配設される駆動モータＫＭ５の軸を背面側に挿通
させるための開口である。これにより、正面ベース９１１の正面側に配設される駆動モー
タＫＭ５の軸を正面ベース９１１の背面側に挿通することができる。
【０９３１】
軸支ピン９１１ｇ，９１１ｂは、後述する伝達ギヤ９２２及び伝達ギヤ９２３の軸孔に
挿通され、伝達ギヤ９２２及び伝達ギヤ９２３を回転可能に保持できる。即ち、軸支ピン
９１１ｇ，９１１ｂは、伝達ギヤ９２２及び伝達ギヤ９２３の軸孔の内径よりも小さい外
径の円柱状に形成される。
【０９３２】
摺動溝９１１ｃは、軸支ピン９１１ｂの軸を中心とする円弧状に貫通形成される。摺動
溝９１１ｃは、後述する伝達ギヤ９２３の軸支ピン９２３ａが挿通される開口であり、そ
の円弧の半径が、後述する伝達ギヤ９２３の軸孔から軸支ピン９２３ａまでの距離と略同
一に設定される。これにより、軸支ピン９２３ａを摺動溝９１１ｃの内部に挿通した状態
で伝達ギヤ９２３を回転させた際に、軸支ピンと、摺動溝９１１ｃの内壁とが衝突するこ
とを抑制できる。
【０９３３】
摺動溝９１１ｄ，９１１ｅは、後述する上変位部材９４０の軸支ピン９５１，９５２が
挿入される溝であり、その短手方向の幅寸法が軸支ピン９５１，９５２の外径よりも大き
く設定される。
【０９３４】
摺動溝９１１ｅは、正面ベース９１１の長手方向（正面視左右方向）に直線状に形成さ
れる。一方、摺動溝９１１ｄは、正面ベース９１１の下方を中心とした円弧状に形成され
る。即ち、摺動溝９１１ｅおよび摺動溝９１１ｄは、非平行に形成される。よって、左右
方向に異なる位置では、２つの摺動溝９１１ｅ，９１１ｄの上下方向の対向間の距離寸法
が異なる状態に形成される。これにより、摺動溝９１１ｅ，９１１ｄの内部を軸支ピン９
５１，９５２を摺動させた場合に、その上下方向の対向間の距離寸法の差によって、上変
位部材９４０が回転しつつ摺動される。
【０９３５】
軸部９１１ｆは、正面側に円柱状に突出して形成される。軸部９１１ｆは、後述する回
転部材９３０の一端に形成される貫通孔９３１に挿通して、回転部材９３０を回転可能な
状態で保持することができる。即ち、軸部９１１ｆは、回転部材９３０の貫通孔９３１の
内径よりも小さい外径に形成される。
【０９３６】
背面ベース９１２は、正面ベース９１１の背面側に所定の間隔を隔てて取着される板部
材である。背面ベース９１２は、金属材料から形成される。これにより、ベース部材９１
０の全体の剛性を向上することができる。その結果、横長矩形に形成されるベース部材９
１０に比較的重量の重い上変位部材９４０が配設された際に、ベース部材９１０がねじれ
ることを抑制できる。
【０９３７】
伝達部材９２０は、正面ベース９１１と背面ベース９１２との対向間に配設される。伝
達部材９２０は、駆動モータＫＭ５の軸に連結される伝達ギヤ９２１と、その伝達ギヤ９
２１に歯合される伝達ギヤ９２２と、その伝達ギヤ９２２に歯合される伝達ギヤ９２３と
を主に備えて形成される。
【０９３８】
伝達ギヤ９２１は、上述したように軸孔に正面ベース９１１の正面側に配設された駆動
モータＫＭ５の軸が挿入されて駆動モータＫＭ５と連結される。これにより、伝達ギヤ９
２１は、駆動モータＫＭ５の駆動力により回転変位することができる。
【０９３９】
伝達ギヤ９２２は、上述したように伝達ギヤ９２１及び伝達ギヤ９２３と歯合される。
これにより、伝達ギヤ９２１の回転の駆動力を伝達ギヤ９２３に伝達することができる。
【０９４０】
伝達ギヤ９２３は、その外周縁部に正面側に突出する軸支ピン９２３ａを備えて形成さ
れる。よって、伝達ギヤ９２３が回転されると、軸支ピン９２３ａは、伝達ギヤ９２３の
軸周りに回転変位される。
【０９４１】
回転部材９３０は、一方側が長い棒状に形成され、一端側の端部に前後方向に貫通形成
される貫通孔９３１と、長手方向略中央位置に長手方向に延設された開口９３２とを主に
備えて形成される。
【０９４２】
貫通孔９３１は、上述したように、正面ベース９１１の軸部９１１ｆが挿入される開口
であり、軸部９１１ｆが挿入されることで、回転部材９３０を正面ベース９１１に対して
回転可能な状態で保持することができる。また、軸部９１１ｆの先端には、付勢ばねＳＰ
８が配設される。これにより、回転部材９３０は、正面ベース９１１に対して他端側を上
方に持ち上げる方向に付勢される。
【０９４３】
開口９３２は、伝達ギヤ９２３の軸支ピン９２３ａが挿入される溝であり、内部を軸支
ピン９２３ａが摺動可能に形成される。上述したように、伝達ギヤ９２３が回転変位され
て軸支ピン９２３ａの配置が変位する際に、開口９３２の内側を軸支ピン９２３ａが変位
する。よって、回転部材９３０は、一端が回転可能に軸支された状態で配置されるので、
軸支ピン９２３ａの変位により一端を軸に回転される。
【０９４４】
また、回転部材９３０の他端側には、正面視円環状に形成されると共に、背面側に所定
の厚みを備えた板状に形成される円環部材９３３が配設される。
【０９４５】
円環部材９３３の正面側には、その外周縁に沿って対称の位置に凹設される２つの摺動
溝９３３ａを備えて形成される。円環部材９３３は、後述する上変位部材９４０との連結
される部分であり、内側に上変位部材９４０の軸部９５３が挿入される。また、円環部材
９３３と上変位部材９４０とは回転可能に連結されており、回転部材９３０が回転変位す
るに共に伴って上変位部材９４０が変位可能とされる。
【０９４６】
摺動溝９３３ａには、内側に上変位部材９４０の突起９６１が挿入されており、上変位
部材９４０が回転部材に対して回転変位することで、突起９６１が摺動溝９３３ａの内部
を摺動できる。
【０９４７】
また、摺動溝９３３ａの円弧軸は、回転部材９３０に対する上変位部材９４０の回転軸
とは、異なる位置に配置される。これにより、上変位部材９４０が回転部材９３０に対し
て回転変位した際に、第１開放部９６０を変位できる。なお、第１開放部９６０の詳しい
説明は後述する。
【０９４８】
なお、回転部材９３０の一端側（回転軸側）には、前方に板状体から形成される軸部カ
バー９１３及び変形規制カバー９１４が配設される。軸部カバー９１３は、回転部材９３
０の回転軸部分の前方に配設されており、回転部材９３０が前後方向にがたつくことが抑
制される。変形規制カバー９１４は、回転軸から所定距離離間した位置に配設されており
、回転部材９３０が他端側に配設される上変位部材９４０の重みで前後方向に変形するこ
とを抑制できる。
【０９４９】
上変位部材９４０は、正面ベース９１１及び回転部材９３０に連結されるベース体９５
０と、そのベース体９５０の背面側に回転可能に配設される２つの第１開放部９６０と、
ベース体９５０の正面側に回転可能に配設される２つの第２開放部９７０と、一端側に配
設される可変部９８０とを主に備えて形成される。
【０９５０】
ベース体９５０は、一端側の背面に突出形成される２つの軸支ピン９５１，９５２と、
他端側の背面に突出形成される軸部９５３とを主に備えて形成される。
【０９５１】
軸支ピン９５１，９５２は、上述したように正面ベース９１１の摺動溝９１１ｅ，９１
１ｄに挿入される突起である。よって、上変位部材９４０が、回転部材９３０により駆動
された際に、軸支ピン９５１，９５２が摺動溝９１１ｅ，９１１ｄに沿って摺動すること
で、上変位部材９４０を左右方向にスライド変位させると共に、他端側を下方に回転変位
させることができる。
【０９５２】
軸部９５３は、上述したように、円環部材９３３に挿入されて回転部材９３０と連結さ
れる突起であり、円環部材９３３の内径よりも小さい外径の円柱状に形成される。これに
より、上変位部材９４０を回転部材９３０に回転可能に連結できる。よって、回転部材９
３０が駆動モータＫＭ５の駆動力により、一端を軸に回転変位されると、円環部材９３３
の変位により、上変位部材９４０に駆動力が伝達される。その結果、上変位部材９４０が
、摺動溝９１１ｅ，９１１ｄに沿って変位することができる。
【０９５３】
第１開放部９６０は、前後方向に所定の厚みを備えた板部材であり、ベース体９５０の
背面側に２枚配設される。第１開放部９６０は、ベース体９５０の他端側に回転可能に軸
支されて配設される。また、第１開放部９６０は、背面側に突出すると共に、円環部材９
３３の摺動溝９３３ａの内側に配設される突起９６１を備える。これにより、上変位部材
９４０が回転部材９３０の変位により回転部材９３０に対して回転変位した際に、突起９
６１を摺動溝９３３ａの内側を摺動させることができる。
【０９５４】
この場合、上述したように摺動溝９３３ａの湾曲軸は、回転部材９３０に対する上変位
部材９４０の回転軸と異なる位置に配置されるので、突起９６１が摺動溝９３３ａの内側
を摺動するに伴って、ベース体９５０に軸支された第１開放部９６０を回転変位すること
ができる。
【０９５５】
第２開放部９７０は、前後方向に所定の厚みを備えた板部材であり、ベース体９５０の
正面側に２枚配置される。第２開放部９７０は、ベース体９５０の他端側に回転可能に軸
支されて配設される。また。第２開放部９７０は、第１開放部９６０が所定の変位をされ
た際に係合する係合突起（図示せず）を備えて形成される。これにより、上述したように
第１開放部９６０が、上変位部材９４０が所定の回転変位をされた際に、軸支部分を軸に
回転変位されると、第２開放部９７０と係合して第２開放部９７０を回転変位させること
ができる。
【０９５６】
次いで、図１１５から図１１７を参照して、上変位部材９４０の変位について説明する
。図１１５は、上変位部材９４０が退避位置に配置された状態における上変位ユニット９
００の正面図である。図１１６は、上変位部材９４０が中間位置に配置された状態におけ
る上変位ユニット９００の正面図である。図１１７は、上変位部材９４０が張出位置に配
置された状態における上変位ユニット９００の正面図である。
【０９５７】
なお、上変位部材９４０の退避位置とは、軸支ピン９５１，９５２が、正面ベース９１
１の摺動溝９１１ｄ，９１１ｅの他端側（正面ベース９１１の正面視右側）に配置された
状態の位置である。また、張出位置とは、軸支ピン９５１，９５２が、正面ベース９１１
の摺動溝９１１ｄ，９１１ｅの一端側（正面ベース９１１の正面視左側）に配置され状態
の位置である。更に、中間位置とは、上変位部材９４０が退避位置と張出位置との中間の
位置に変位された状態の位置である。
【０９５８】
図１１５から図１１７に示すように、上変位部材９４０が正面ベース９１１に対して変
位されると、上変位部材９４０は、その長手方向を略水平方向（図１１５左右方向）から
略鉛直方向（図１１７上下方向）に回転変位される。
【０９５９】
また、その回転変位に伴って、上変位部材９４０の一端側の位置が、正面ベース９１１
の正面視右側端部の位置から正面視略中央位置に変位される。即ち、上変位部材９４０は
、上述したように駆動モータＫＭ５の駆動力により回転部材９３０が回転されると、スラ
イド変位しつつ回転変位される。
【０９６０】
また、図１１６に示す中間位置から、図１１７に示す張出位置までの変位時に、上変位
部材９４０に配設される第１開放部９６０がベース体９５０に対して回転変位される、よ
って、第１開放部９６０の回転変位に係合して変位する第２開放部９７０も同様にベース
体９５０に対して回転変位される。よって、張出位置では、上変位部材９４０の長手方向
を鉛直方向に向けると共に、第１開放部９６０及び第２開放部９７０が変位した状態とさ
れる。
【０９６１】
なお、本実施形態では、上変位部材９４０は、人間の腕（手も含む）形を模した形状に
形成されている。よって、第１位置から第３位置に変位して、第１開放部９６０及び第２
開放部９７０が変位されることで、人間の腕が太くなるような変位を遊技者に視認させる
ことができる。
【０９６２】
次いで、図１１８を参照して、可変部９８０の詳細な説明をする。図１１８（ａ）は、
可変部９８０の正面図であり、図１１８（ｂ）は、可変部９８０の背面図である。
【０９６３】
図１１８（ａ）及び図１１８（ｂ）に示すように、可変部９８０は、人間の手を模した
形状に形成されており、手の後部分を形成する本体部９８１と、本体部９８１に連結され
て手の指部分を形成する指部９８２〜９８６とを主に備えて形成される。
【０９６４】
本体部９８１の内部には、駆動モータ（図示しない）が配設されており、内部に配設さ
れる可変板（図示しない）を前後方向（図１１８（ａ）上下方向）にピストン変位可能と
される。
【０９６５】
指部９８２は、親指に相当する部分であり、基部側が本体部９８１の可変板に連結され
る。これにより、可変板がピストン運動をされることで指部９８２を変位させることがで
きる。
【０９６６】
指部９８３〜９８６は、その内側に基部側に配設される第１リンクＲＢ１と、先端側に
配設される第２リンクＲＢ２とを主に備えて形成される。
【０９６７】
第１リンクＲＢ１は、先端側が第２リンクＲＢ２に回転可能な状態で連結されると共に
基部側が本体部９８１の可変板に連結される。従って、本体部９８１の可変板がピストン
運動をされることで、第１リンクＲＢ１および第１リンクＲＢ１を介して第２リンクＲＢ
２を変位させることができる。これにより、指部９８３〜９８６を変位させることができ
る。なお、本実施形態では、指部９８２〜９８６を変位させることで、手の指を開閉する
動作を遊技者に視認させることができる。
【０９６８】
正面ベース４１１は、前後方向（図４３紙面奥行方向）に貫通した２つの摺動溝４１１
ａ，４１１ｂと、背面側に突出する円柱状の２本の軸支ピン４１１ｃ，４１１ｄと、軸支
ピン４１１ｄを軸とした円弧状に突出する湾曲壁部４１１ｅとを主に備えて形成される。
【０９６９】
摺動溝４１１ａ，４１１ｂは、下変位部材４４０の背面側から突出する２本の突起４７
２，４７３がそれぞれ挿通される孔である。摺動溝４１１ａ，４１１ｂは、それぞれ左右
方向に長く伸びて形成される。よって、摺動溝４１１ａ，４１１ｂに挿通された突起４７
２，４７３を摺動溝４１１ａ，４１１ｂに沿って変位させることで、下変位部材４４０を
左右方向に摺動させることができる。
【０９７０】
また、摺動溝４１１ａ，４１１ｂは、それぞれ円弧状に湾曲して形成されており、正面
ベース４１１の左側（図４３左側）端部から右側（図４３右側）端部にかけて上方（図４
３上方向）に開口される。さらに、摺動溝４１１ａ，４１１ｂは、それぞれの円弧の軸が
異なる位置に配置され、上下方向（図４３上下方向）における対向間の隙間が左端部から
右端部にかけて狭くされる。
【０９７１】
下変位部材４４０のベース部材４７０の突起４７２，４７３は、その間の距離が変わら
ないので、下変位部材４４０を摺動溝に沿って摺動させた場合には、下変位部材４４０を
回転させつつ変位させることができる。即ち、２つの摺動溝４１１ａ，４１１ｂの間の距
離を変更することで、下変位部材４４０に回転の駆動力を与えることなく下変位部材４４
０を摺動に伴って回転させることができる。
【０９７２】
軸支ピン４１１ｃは、後述する伝達部材４２０のカム部材４２２の軸部４２２ａに挿入
される突起であり、軸部４２２ａの内径よりも小さい外径の円柱状に形成される。また、
軸支ピン４１１ｃは、金属製の棒状体から形成され、正面ベース４１１に外嵌される。よ
って、カム部材４２２にその外周面から軸方向に向かって力が作用した際に、軸支ピン４
１１ｃが折れる（破損する）ことを抑制できる。
【０９７３】
次いで、図１１９から図１２１を参照して、第２実施形態における下変位部材２４４０
について説明する。第１実施形態では、可動ラック４６４及びラック４６６が、駆動モー
タＫＭ２の駆動力により同方向に変位する場合を説明したが、第２実施形態における下変
位部材２４４０は、可動ラック２４６４及びラック４６６が駆動モータＫＭ２の駆動力に
より反対方向に変位される。なお、上記第１実施形態と同一の部分には、同一の符号を付
してその説明は、省略する。
【０９７４】
まず、第２実施形態における下変位部材２４４０の全体構成について、図１１９及び図
１２０を参照して説明する。図１１９は、第２実施形態における下変位部材２４４０の分
解斜視正面図である。図１２０は、下変位部材２４４０の正面図である。なお、図１２０
では、下変位部材２４４０の装飾部材４５０及び正面ケース４８１が透明視された状態が
図示される。
【０９７５】
図１１９及び図１２０に示すように、第２実施形態における下変位部材２４４０は、正
面ベース４１１に連結されるベース部材２４７０と、そのベース部材２４７０の前後を覆
うケース部材４８０と、ケース部材４８０とベース部材２４７０との間に変位可能に配設
される伝達機構２４６０と、ケース部材４８０の前後を覆う態様で形成される装飾部材４
５０とを主に備えて形成される。
【０９７６】
ベース部材２４７０は、正面視矩形横長に形成される板部材であり、一端側の背面に突
出する突起４７２，４７３と、他端側の縁部から正面側に立設する立設壁４７１ａと、左
右方向（図１２０左右方向）中央部の上端から正面側に上下方向反対のＵ字状に突出する
突設壁４７７と、正面側に突設する軸部４７４，４７５と、その軸部４７４，４７５より
も上方に突設する軸部２４７０ａ，２４７０ｂとを主に備えて形成される。
【０９７７】
軸部２４７０ａは、後述する伝達ギヤ２４６８ａが回転可能に軸支される軸部材であり
、伝達ギヤ２４６８ａの軸孔よりも小さく形成される。
【０９７８】
軸部２４７０ｂは、後述する伝達ギヤ２４６８ｂが回転可能に軸支される軸部材であり
、伝達ギヤ２４６８ｂの軸孔よりも小さく形成される。後述するように、伝達ギヤ２４６
８ａ及び軸部２４７０ａとは、その外周面に刻設されるギヤ歯面が歯合された状態で配設
される。即ち、軸部２４７０ａ及び軸部２４７０ｂの正面視における間隔は、伝達ギヤ２
４６８ａ及び伝達ギヤ２４６８ｂの半径分の距離に設定される。
【０９７９】
伝達機構２４６０は、ベース部材４７０の前方に配置されており、伝達ギヤ４６１，４
６２，４６３と、その伝達ギヤ４６１に軸部分が連結される駆動モータＫＭ２と、伝達ギ
ヤ４６３と歯合する歯面を有し、ベース部材４７０の前方にスライド変位可能に配設され
る可動ラック２４６４と、その可動ラック２４６４に歯合する伝達ギヤ２４６８ａと、そ
の伝達ギヤ２４６８ａに歯合する伝達ギヤ２４６８ｂと、その伝達ギヤ２４６８ｂに歯合
するラック４６と、そのラック４６６の一端側に回転可能に配設される球受部４６７とを
主に備えて形成される。
【０９８０】
可動ラック２４６４は、正面視矩形横長の板状体に形成され、下端面に刻設されるラッ
クギヤ４６４ａと、上端面に刻設されるラックギヤ２４６４ｇと、下方の端部に突出する
衝突部４６４ｆとを主に備えて形成される。
【０９８１】
ラックギヤ２４６４ｇは、後述する伝達ギヤ２４６８ａに歯合される。これにより、駆
動モータＫＭ４から駆動が伝達されてラック４６６が変位されると、その変位に伴って伝
達ギヤ２４６８ａを回転させることができる。
【０９８２】
伝達ギヤ２４６８ａ，２４６８ｂは、上述したように互いに歯合した状態でベース部材
２４７０の軸部２４７０ａ，２４７０ｂにそれぞれ軸支される。これにより、伝達ギヤ２
４６８ａが回転されると、伝達ギヤ２４６８ｂが回転される。また、伝達ギヤ２４６８ｂ
は、ラック４６６のラックギヤ４６６ａに歯合されており伝達ギヤ２４６８ｂが回転され
ると、ラック４６６に駆動力が伝達されてラック４６６が変位される。
【０９８３】
即ち、駆動モータＫＭ４の駆動力によりラック４６６を駆動させることができる。なお
、伝達ギヤ２４６８ａ，２４６８ｂは、一部前後方向にずれた位置に配置されており、伝
達ギヤ２４６８ａはラック４６６に、伝達ギヤ２４６８ｂは可動ラック２４６４にそれぞ
れ衝突することが抑制される。
【０９８４】
次いで、図１２１を参照して、下変位部材２４４０の変位について説明する。図１２１
は、下変位部材２４４０の正面図である。なお、図１２１では、図１２０と同様に、下変
位部材２４４０の装飾部材４５０及び正面ケース４８１が透明視された状態で図示される
。
【０９８５】
図１２１に示すように、駆動モータＫＭ２に電力が付与されて、上述した伝達機構２４
６０により、球受部４６７が発射位置に変位されると、可動ラック４６４及びラック４６
６が互いに異なる方向に変位される。
【０９８６】
詳しく説明すると、駆動モータＫＭ４が回転されることで、可動ラック４６４は、下変
位部材４４０の他端側（図１２１左側）に変位される。この変位に伴って、伝達ギヤ２４
６８ａ，２４６８ｂが回転されて、ラック４６６が一端側（図３右側）に変位される。こ
れにより、球受部４６７を第３位置に変位させることができる。
【０９８７】
よって、球受部４６７が、第１位置から変位されると、その球受部４６７の変位方向と
逆方向となる変位成分を形成することができるので、球受部４６７の変位に伴い、下変位
部材２４４０の重心位置が変化されることを可動ラック４６４の変位で小さくすることが
できる。その結果、重心位置の変化に起因する下変位部材２４４０のがたつきを抑制でき
る。
【０９８８】
次いで、図１２２から図１２７を参照して、第３実施形態における下変位部材３４４０
について説明する。第１実施形態では、ラックピニオン機構により球受部４６７をスライ
ド変位させる場合を説明したが、第３実施形態における下変位部材３４４０は、リンク機
構により球受部４６７がスライド変位される。なお、上記各実施形態と同一の部分には、
同一の符号を付してその説明は省略する。
【０９８９】
まず、第３実施形態における下変位部材３４４０の全体構成について、図１２２から図
１２５を参照して説明する。図１２２（ａ）は、第３実施形態における下変位部材３４４
０の正面図であり、図１２２（ｂ）は、下変位部材３４４０の背面図である。図１２３は
、下変位部材３４４０の分解斜視正面図であり、図１２４は、下変位部材３４４０の分解
斜視背面図である。図１２５（ａ）及び９１（ｂ）は、下変位部材３４４０の正面図であ
る。
【０９９０】
なお、図１２５（ａ）では、下変位部材３４４０の装飾部材４５０が透明視された状態
が図示され、図１２５（ｂ）では、下変位部材３４４０の装飾部材４５０及び正面ケース
３４８１が透明視された状態が図示される。
【０９９１】
図１２２から図１２５に示すように、第３実施形態における下変位部材３４４０は、正
面ベース４１１に連結されるベース部材３４７０とそのベース部材３４７０の前後を覆う
ケース部材４８０と、ケース部材４８０とベース部材３４７０との間に変位可能に配設さ
れる伝達機構３４６０と、ケース部材４８０の前後を覆う態様で形成される装飾部材４５
０とを主に備えて形成される。
【０９９２】
ベース部材３４７０は、正面視矩形横長に形成される板部材であり、一端側の背面に突
出する突起４７２，４７３と、他端側の縁部から正面側に立設する立設壁４７１ａと、そ
の立設壁４７１ａの基端側から連なって形成されると共にベース部材３４７０の下方の縁
部に立設される摺動壁３４７０ｃと、左右方向（図１２２（ａ）左右方向）中央部の上端
から正面側に上下方向反対のＵ字状に突出する突設壁４７７と、ベース部材４７０の上下
方向中央部に一端側から他端側に延びつつ凹設される開口４７９とを主に備えて形成され
る。
【０９９３】
摺動壁３４７０ｃは、球受部４６７の脚部４６７ａと当接して、その球受部４６７の位
置（態様）を規制するための壁部である。即ち、球受部４６７の下方の位置まで突出形成
される。これにより、球受部４６７をそのＵ字部分の開口を上方に向けた状態で保持する
ことができる。
【０９９４】
また、摺動壁３４７０ｃは、立設壁４７１ａ側の端部の下方に凹設される凹部３４７０
ｃ１が形成される。凹部３４７０ｃ１は、球受部４６７の脚部４６７ａの先端をその内部
に受け入れる溝である。これにより、球受部４６７が後述する伝達機構３４６０により立
設部側に摺動された際に、球受部４６７を凹部に受け入れて球受部４６７を回転させるこ
とができる。その結果、球受部４６７に発射動作（Ｕ字の内部に保持された球を下変位部
材３４４０の外方に排出する動作）をさせることができる。
【０９９５】
伝達機構３４６０は、後述する正面ケース３４８０に取着される駆動モータＫＭ２と、
駆動モータＫＭ２の軸に連結されて回転可能に配設される第１リンク部材３４６８と、そ
の第１リンク部材３４６８に回転可能な状態で連結される第２リンク部材３４６９と、そ
の第２リンク部材３４６９の一端側に連結される球受部４６７とを主に備えて形成される
。
【０９９６】
第１リンク部材３４６８は、矩形横長の板状体から形成され、一端側に貫通形成される
軸孔３４６８ｂと、駆動モータＫＭ２の軸に連結される連結孔３４６８ａと、他端側に膨
出して形成される荷重部３４６８ｃとを主に備えて形成される。
【０９９７】
軸孔３４６８ｂは、後述する第２リンク部材３４６９の回転軸３４６９ａが挿通される
貫通孔であり、回転軸３４６９ａの外径よりも大きい内径で前後方向に貫通形成される。
【０９９８】
連結孔３４６８ａは、上述したように駆動モータＫＭ２の軸に締結される孔であり、駆
動モータＫＭ２の軸の外径と略同一の内径に形成される。連結孔３４６８ａに駆動モータ
ＫＭ２の軸が内嵌されて締結されることで、第１リンク部材３４６８が、駆動モータＫＭ
２の駆動力で回転可能とされる。
【０９９９】
荷重部３４６８ｃは、連結孔３４６８ａよりも他端側に膨出して形成される。荷重部３
４６ｃは、第１リンク部材３４６８の重心を連結孔３４６８ａよりも他端側に位置させる
ための荷重を与えるための部材であり、一端側よりも外側に膨出して形成される。
【１０００】
第２リンク部材３４６９は、矩形横長の状態に形成されると共に、第１リンク部材３４
６８の背面側に配設される。第２リンク部材３４６９は、他端側から正面に向かって円柱
状に突出する回転軸３４６９ａと、一端側に前後方向に貫通形成される貫通孔３４６９ｂ
とを主に備えて形成される。
【１００１】
回転軸３４６９ａは、上述したように、第１リンク部材３４６８の軸孔３４６８ｂに挿
入される。これにより、第１リンク部材３４６８と第２リンク部材３４６９とを回転可能
な状態で連結することができる。
【１００２】
貫通孔３４６９ｂは、球受部４６７を第２リンク部材３４６９に連結するための開口で
ある。また、貫通孔３４６９ｂは球受部４６７の軸孔４６７ｂの内径より小さく形成され
る。よって、球受部４６７の軸孔４６７ｂと貫通孔３４６９ｂとを同軸上に配置すると共
に、開口４６９の短手方向の幅よりも頭の大きいネジをベース部材３４７０背面側から開
口４７９及び軸孔４６７ｂを挿通させて貫通孔３４６９ｂに締結させることで、球受部４
６７が回転可能な状態で第２リンク部材に連結される。
【１００３】
ケース部材４８０は、ベース部材４７０の前後を覆設する部材であり、ベース部材４７
０の正面側に配設される正面ケース３４８１と、背面側に配設される背面ケース４８２と
を主に備える。
【１００４】
正面ケース３４８１は、正面視矩形横長の板状に形成され、駆動モータＫＭ２と対向す
る位置に貫通される開口３４８１ｄと、背面側の下端面に突出形成される底壁部４８１ｂ
と、下方縁部に前後方向に貫通する軸孔４８１ｃとを主に備えて形成される。
【１００５】
開口３４８１ｄは、正面ケース３４８１の正面側に配設される駆動モータＫＭ２の軸を
背面側に挿通させるための孔であり、駆動モータＫＭ２の軸よりも大きい外径に形成され
る。これにより、正面ケース３４８１の正面側に配設される駆動モータＫＭ２の駆動力を
背面側に配置される第１リンク部材３４６８に伝達できる。
【１００６】
次いで、図１２６及び図１２７を参照して、下変位部材３４４０の変位について説明す
る。図１２６（ａ）は、第１位置における下変位部材４４０の正面図であり、図１２６（
ｂ）は、第２位置における下変位部材４４０の正面図である。図１２７（ａ）は、第３位
置における下変位部材４４０の正面図であり、図１２７（ｂ）は、第２位置における下変
位部材４４０の正面図である。
【１００７】
なお、図１２６（ａ）から図１２７（ｂ）までは、下変位部材４４０の遷移状態が順に
図示される。また、図１２６（ａ）及び図１２６（ｂ）または図１２７（ａ）及び図１２
７（ｂ）は、下変位部材３４４０の装飾部材４５０及び正面ケース４８１が透明視された
状態が図示される。
【１００８】
図１２６及び図１２７に示すように、第１位置における下変位部材４４０は、第１リン
ク部材３４６８及び第２リンク部材３４６９がその長手方向（図１２６（ａ）左右方向）
をベース部材３４７０の長手方向（図１２６（ａ）左右方向）と略平行な状態とされると
共に、第１リンク部材３４６８及び第２リンク部材３４６９が前後方向に重なる態様で配
置される。
【１００９】
即ち、第１リンク部材３４６８及び第２リンク部材３４６９との連結部分をベース部材
３４７０の一端側（図１２６（ａ）左側）に配置した状態とされる。これにより、第２リ
ンク部材３４６９が一端側に配置される。その結果、球受部４６７が第１位置に配置され
る。
【１０１０】
次いで、図１２６（ｂ）に示すように、第１位置の状態から、駆動モータＫＭ２が回転
されて、第１リンク部材３４６８が回転変位されると、第１リンク部材３４６８の一端側
がベース部材３４７０に対して変位される。これにより、第１リンク部材３４６８の一端
側に連結される第２リンク部材３４６９が変位される。この場合、第２リンク部材３４６
９の一端側は、球受部４６７に連結されると共にベース部材３４７０の開口４７９に沿っ
て摺動可能とされるので、第２リンク部材３４６９の一端側がベース部材３４７０の他端
側に押し出される。その結果、第２リンク部材３４６９の他端側に連結される球受部４６
７を第２位置に変位させることができる。
【１０１１】
次に、図１２７（ａ）に示すように、第２位置の状態から、駆動モータＫＭ２がさらに
回転変位されて、第１リンク部材３４６８が、第１位置の状態から略１８０度回転される
と、第１リンク部材３４６８と第２リンク部材３４６９との連結部分がその回転軸に対し
てベース部材３４７０の他端側に配置された状態とされる。よって、第２リンク部材３４
６９の一端側が更にベース部材３４７０の他端側に押し出されて、球受部４６７が第３位
置に配置される。
【１０１２】
この場合、球受部４６７の脚部４６７ａの先端が、凹部３４７０ｃ１の内側に配置され
ることで、球受部４６７が付勢ばねＳＰ２により回転されて発射動作される。
【１０１３】
さらに、第１リンク部材３４６８の荷重部３４６８ｃが、ベース部材３４７０の一端側
に変位される。これにより、球受部４６７がベース部材に対して変位した際に下変位部材
３４４０の重心位置が変化されることを抑制できる。その結果、下変位部材３４４０のが
たつきを抑制できる。
【１０１４】
即ち、球受部４６７が、第１位置から変位されると、その球受部４６７の変位方向と逆
方向となる変位成分を形成することができるので、球受部４６７の変位に伴い、下変位部
材３４４０の重心位置が変化されることを荷重部３４６８ｃの変位で小さくすることがで
きる。その結果、重心位置の変化に起因する下変位部材４４０のがたつきを抑制できる。
【１０１５】
また、第３実施形態では、図１２７（ｂ）に示すように、第１リンク部材３４６８の回
転を継続させることで、球受部４６７を第２位置および第１位置に退避させることができ
る。よって、駆動モータＫＭ２の制御を切り替える必要がなく、第２位置または第１位置
への変位を早く行うことができる。
【１０１６】
従って、球受部４６７の内側から遊技球を排出した際には、下変位部材４４０の重心位
置が変化するので、下変位部材３４４０ががたつき易くなるところ、球受部４６７を素早
く退避させて、その重心位置を下変位部材４４０の回転軸に素早く近づけることで下変位
部材３４４０のがたつきを抑制することができる。
【１０１７】
更に、球受部４６７の変位を直ちに行うことで、球受部４６７の内側から遊技球を排出
した際の排出動作の反作用による下変位部材３４４０のぐらつきを抑えることができる。
【１０１８】
即ち、球受部４６７の内側から遊技球を排出した際には、排出された遊技球の分、下変
位部材４４０の荷重が軽くなり、反作用で下変位部材３４４０が上方に変位しやすいとこ
ろ、球受部４６７を直ちに変位させることで、球受部４６７の回転変位による反作用でベ
ース部材４７０を下方に変位させる力を作用させて、下変位部材３４４０から球が排出さ
れた際の反作用を打ち消すことができる。
【１０１９】
次いで、図１２８から図１３０を参照して、第４実施形態における下変位ユニット４４
００について説明する。第１実施形態では、退避状態に配置された下変位部材４４０が発
射動作可能に形成される場合を説明したが、第４実施形態における下変位ユニット４４０
０は、退避状態に配置された下変位部材４４０の発射動作が規制される。なお、上記各実
施形態と同一の部分には同一の符号と付してその説明は省略する。
【１０２０】
まず、第４実施形態における下変位ユニット４４００の全体構成について図１２８を参
照して説明する。図１２８は、第４実施形態における下変位ユニット４４００の正面図で
ある。なお、図１２８では、下変位部材４４０の装飾部材４５０及び正面ケース４８１が
透明視された状態が図示されると共に、正面ケース４８１の底壁部４８１ｂが、鎖線で図
示される。また、図１２８では、下変位部材４４０が退避状態であって、球受部４６７が
第１位置に配置された状態が図示される。
【１０２１】
図１２８に示すように、第４実施形態における下変位ユニット４４００は、下変位部材
４４０のベース部材４７０に、立設壁４７１ａと正面ケース４８１の底壁部４８１ｂとの
対向間に開口される開口４４７１ｂが形成される。
【１０２２】
開口４４７１ｂは、内部に後述する係合壁４４１１ｇの先端部分４４１１ｇ１が挿入さ
れる。即ち、開口４４７１ｂは、先端部分４４１１ｇ１よりも大きく開口される。
【１０２３】
正面ベース４１１には、回収口４１１ｆの底面に連続する略Ｌ字状に形成された係合壁
４４１１ｇが形成される。
【１０２４】
係合壁４４１１ｇは、略Ｌ字に屈曲した先端部分４４１１ｇ１が開口４４７１ｂに挿入
されることで、球受部４６７が第３位置で回転されること（発射動作すること）を規制す
ることができる。即ち、先端部分４４１１ｇ１の先端位置が、退避状態に位置する下変位
部材４４０の底壁部４８１ｂの上面の高さと略同一に設定される。
【１０２５】
次いで、図１２９及び図１３０を参照して、下変位ユニット４４００の各部材が変位さ
れた状態について説明する。図１２９及び図１３０は、下変位ユニット４４００の正面図
である。なお、図１２９及び図１３０では、図１２８と同様に下変位部材４４０の装飾部
材４５０及び正面ケース４８１が透明視された状態が図示されると共に、正面ケース４８
１の底壁部４８１ｂが、鎖線で図示される。
【１０２６】
また、図１２９では、下変位部材４４０が退避状態であって、球受部４６７が第３位置
に配置された状態が図示される。また、図１３０では、下変位部材４４０が第１張出状態
であって、球受部４６７が第１位置に配置された状態が図示される。
【１０２７】
図１２９に示すように、球受部４６７が第３位置に変位されると、球受部４６７の脚部
４６７ａの先端が係合壁４４１１ｇの先端部分４４１１ｇ１の上面に当接して凹部４８１
ｂ１又は開口４４７１ｂへの侵入が規制される。これにより、球受部４６７が回転される
ことが規制される。
【１０２８】
よって、球受部４６７の軌道領域上に送球された球を、下変位部材４４０の外方に排出
するために球受部４６７に払出動作をさせた際に、第３位置で球受部４６７が回転して、
球受部４６７の内側に保持した遊技球が排出されることを抑制できる。
【１０２９】
即ち、球受部４６７の第３位置への変位に伴って、規定数（１球）を超える遊技球を球
受部４６７の軌道領域から排出する際に、球受部４６７の姿勢が変化されることを規制で
きる。よって、規定数を超える分の遊技球のみを軌道領域から排出しやすくできる。
【１０３０】
一方、図１３０に示すように、下変位部材４４０が第１張出状態の位置（退避状態の位
置ではない位置）に変位されると、ベース部材４７０に対して、下変位部材４４０が変位
されるので、下変位部材４４０の開口４４７１ｂと係合壁４４１１ｇとが離間される。よ
って、第１張出状態では、球受部４６７を第３位置に変位させて発射動作をすることがで
きる。
【１０３１】
即ち、球受部４６７の第３位置への変位に伴って、規定数（１球）を超える分の遊技球
を球受部４６７の軌道領域から排出する際に、球受部４６７の姿勢が変化されることを抑
制して、規定数の遊技球を球受部４６７が保持した状態を維持しやすくできる一方、下変
位部材４４０が第１及び第２張出位置に変位されると係合壁４４１１ｇが開口４４７１ｂ
の内部空間から離間されるので、球受部４６７の第３位置への変位に伴って脚部４６７ａ
が開口４４７１ｂに係合されることで、球受部４６７の姿勢を変化させ、規定数の遊技球
を球受部４６７から排出しやすくできる。
【１０３２】
次いで、図１３１から図１３５を参照して、第５実施形態における振分けユニット５５
００について説明する。第１実施形態では、振分け部材５４０が回転して貯留状態と規制
状態とを形成する場合を説明したが、第５実施形態における振分け部材５４０は、スライ
ド変位して貯留状態と規制状態とを形成する。なお、上記各実施形態と同一の部分には同
一の符号を付してその説明は省略する。
【１０３３】
まず、第５実施形態における振分けユニット５５００の全体構成について図１３１から
図１３４を参照して説明する。図１３１（ａ）は、第５実施形態における振分けユニット
５５００の上面図であり、図１３１（ｂ）は、振分けユニット５５００の背面図である。
図１３２は、振分けユニット５５００の分解斜視正面図であり、図１３３は、振分けユニ
ット５５００の分解斜視背面図である。図１３４は、図１３１（ａ）のＣＸＸＸＩＶ−Ｃ
ＸＸＸＩＶ線における振分けユニット５５００の断面図である。なお、図１３４では、振
分け部材５４０の外形が鎖線で図示される。
【１０３４】
図１３１から図１３３に示すように、第５実施形態における振分けユニット５５００は
、正面視略矩形に形成されるベース板５５２０と、そのベース板５５２０の正面側に取着
されベース板５５２０との対向間に球が流下可能な複数の流下経路を形成する経路形成部
材５１０と、ベース板５５２０の背面側にスライド可能に取着される振分け部材５５４０
と、ベース板５５２０の端面に取着されベース板５５２０と経路形成部材５１０との対向
間に形成される球の流下経路を延長する延長経路部材５３０とを主に備えて形成される。
【１０３５】
ベース板５５２０は、背面側に突出する円柱状の２本の軸部５５２６と、長方形状に貫
通形成される第１開口５５２１及び第２開口５５２２と、上端の側面に上端側が開放する
断面Ｕ字状形成されると共に左右方向に延設される転動部５２５と、背面側に鉤状に突出
する係止部５２４とを主に備えて形成される。
【１０３６】
軸部５５２６は、背面側に２本突出して形成されており、それぞれ後述する２つの摺動
溝５５４６の内部に挿入される。
【１０３７】
第１開口５５２１及び第２開口５５２２は、後述する振分け部材５５４０の規制板５４
１及び貯留板５５４２が挿通される開口であり、規制板５５４１及び貯留板５５４２の板
の厚みよりも大きい幅の開口に形成される。また、振分け部材５５４０は、スライド可能
な状態でベース板５５２０に取着されるので、第１開口５５２１及び第２開口５５２２は
、規制板５５４１及び貯留板５５４２よりも振分け部材５５４０のスライド方向に大きい
開口に形成される。
【１０３８】
振分け部材５５４０は、一方が長く形成される正面視矩形に形成され、前後方向に所定
の厚みを備えて形成される。振分け部材５５４０は、正面側に板状に突出する規制板５５
４１及び貯留板５５４２と、その規制板５５４１及び貯留板５５４２の延設方向と略同一
方向に長い長穴に形成される摺動溝５５４６と、背面側に鉤状に形成される係止部５４４
とを主に備えて形成される。
【１０３９】
規制板５５４１は、第１開口５５２１を介して、第１送球経路ＫＲ１と第２送球経路Ｋ
Ｒ２との連結部分に配設されて、第１送球経路ＫＲ１を流下する遊技球が第２送球経路Ｋ
Ｒ２へ流入することを規制する板部材であり、第１開口５５２１から突出される距離が遊
技球の半径よりも大きい距離に設定される。
【１０４０】
また、規制板５５４１は、正面視直線状に形成され、その延設される方向が、振分け部
材５４０のスライド方向と略同一に設定される。これにより、振分け部材５５４０がスラ
イド変位された際に、規制板５５４１の変位領域を最小にすることができる。その結果、
第１開口５５２１の開口領域を最小にすることができ、ベース板５５２０の剛性を確保す
ることができる。
【１０４１】
貯留板５５４２は、第２開口５５２２を介して、第２送球経路ＫＲ２上に配置され、第
２送球経路ＫＲ２を流下する遊技球を貯留板５５４２の上流側に流下する板部材であり、
第２開口５５２２から突出される距離が遊技球の半径よりも大きい距離に設定される。
【１０４２】
また、貯留板５５４２は、正面視直線状に形成され、その延設される方向が、振分け部
材５４０のスライド方向と略同一に設定される。これにより、振分け部材５５４０がスラ
イド変位された際に、貯留板５５４２の変位領域を最小にすることができる。その結果、
第２開口５５２２の開口領域を最小にすることができ、ベース板５５２０の剛性を確保す
ることができる。
【１０４３】
摺動溝５５４６は、前後方向に貫通形成される長穴である。摺動溝５５４６は、その内
部にベース板５５２０の軸部５５２６が挿入される。よって、軸部５５２６を摺動溝５５
４６に挿入する共に、背面側からネジ等を軸部５５２６の先端に締結することで、振分け
部材５５４０をベース板５５２０に対してスライド変位可能な状態で保持することができ
る。
【１０４４】
摺動溝５５４６は、２箇所に形成されそれぞれの長手方向が平行に形成される。これに
より、振分け部材５５４０が回転変位することを抑制しつつ、振分け部材５５４０をスラ
イド変位させることができる。
【１０４５】
次いで、図１３５を参照して、振分け部材５５４０の変位について説明する。図１３５
（ａ）及び図１３５（ｂ）は、図１３４の範囲ＣＸＸＸＶにおける振分けユニット５５０
０の部分拡大図である。なお、図１３５（ａ）では、振分け部材５５４０が貯留位置に配
置された状態が、図１３５（ｂ）では、振分け部材５５４０が規制位置に配置された状態
が、それぞれ図示される。
【１０４６】
図１３５（ａ）に示すように、振分け部材５５４０が規制位置配置された状態では、貯
留板５５４２が第３送球経路ＫＲ３状に配置される共に、規制板５５４１が経路形成部材
５１０の背面側の壁に形成される凹部５１８の内側に配置される。
【１０４７】
この場合、貯留板５５４２の第３送球経路ＫＲ３の内側に突出した先端とその先端と対
向する第３送球経路の内壁との距離寸法Ｌ９は、遊技球の直径よりも小さくされる。よっ
て、第３送球経路ＫＲ３の上流（第１送球経路ＫＲ１）から送球される球は、貯留板５５
４２の上流側に停止される。
【１０４８】
一方、図１３５（ｂ）に示すように、振分け部材５５４０が、規制位置に配置された状
態では、規制板５５４１が第１送球経路ＫＲ１と第３送球経路ＫＲ３との連結部分に配置
されると共に、規制板５５４１が第１送球経路ＫＲ１と第３送球経路ＫＲ３との連結部分
に配置され、貯留板５５４２が、経路形成部材５１０の背面側の壁部に形成される凹部５
１９の内側に配置される。
【１０４９】
この場合、規制板５５４１の第１送球経路ＫＲ１の内側に突出した先端の端部と第３送
球経路ＫＲ３の入り口の内壁までの距離寸法Ｌ１０は、遊技球の直径よりも小さくされる
。よって、第１送球経路ＫＲ１を流下する球は、規制板５５４１に衝突して第２送球経路
ＫＲ２に送球される。
【１０５０】
即ち、振分け部材５５４０を規制位置と貯留位置とで切り換えることで、第１送球経路
ＫＲ１を送球される球を第３送球経路ＫＲ３に送球して、第３送球経路ＫＲ３上に停止さ
せる状態と、第１送球経路ＫＲ１を流下する球を第３送球経路ＫＲ３に流入不能として、
第２送球経路ＫＲ２に送球される状態とを形成することができる。
【１０５１】
よって、１つの振分け部材５５４０をスライド変位させることで、１の流下する経路か
ら２の流下する経路に分かれる場合に、球の流下経路をどちらかに確実に切り替えること
ができる。
【１０５２】
また、規制板５５４１（振分手段）は、第１送球経路ＫＲ１（流下通路）または第３送
球経路ＫＲ３（第１分岐通路）に対して出没可能に形成されると共に、その出没位置が、
第１送球経路ＫＲ１の下流端における流下方向の延長線上における内壁とされる。よって
、第１送球経路ＫＲ１の下端側から流下する遊技球に近い位置で、規制板５５４１を突出
させることができる。よって、規制板５５４１を流下通路または第３送球経路ＫＲ３（第
１分岐通路）へ突出させ始めてから遊技球を振り分けできる状態となるまでに要する時間
を短くすることができる。その結果、規制板５５４１による振り分け先の切り替えを確実
に行うことができる。
【１０５３】
また、規制板５５４１（振分手段）は、第３送球経路ＫＲ３（第１分岐通路）に突出さ
れることで、第１送球経路ＫＲ１（流下通路）を流下する遊技球を第２送球経路（第２分
岐通路）へ振り分けるものであり、規制板５５４１の突出方向が、第２送球経路ＫＲ２の
上流端を指向する方向に設定されるので、第１送球経路ＫＲ１を流下する遊技球が突出動
作の途中の規制板に当接した場合には、かかる遊技球を規制板の突出動作に伴って、第２
送球経路ＫＲへ押し込むことができる。その結果、第２送球経路ＫＲ２への振り分けをよ
り確実に行うことができる。
【１０５４】
次いで、図１３６から図１４０を参照して、第６実施形態における回転ユニット６７０
０について説明する。第１実施形態では、回転体８００の駆動に負荷ギヤ７３１ｅが連結
され、回転体８００が慣性力で動作することが規制される場合を説明したが、第６実施形
態における回転体８００は、負荷ギヤ７３１ｅが取り外される。なお、上記各実施形態と
同一の部分には同一の符号を付してその説明は省略する。
【１０５５】
まず、第６実施形態における回転ユニット６７００の全体構成について図１３６から図
１３８を参照して説明する。図１３６は、第６実施形態における回転ユニット６７００の
正面図であり、図１３７は、回転ユニット６７００の分解斜視正面図である。図１３８は
、振分けユニット６５００の分解斜視背面図である。
【１０５６】
図１３６から図１３８に示すように、回転ユニット６７００は、回転変位する回転体８
００を備える装飾ユニット６７５０と、その装飾ユニット６７５０の重力方向上側に配置
される球受台７１０と、その球受台７１０及び装飾ユニット６７５０の背面側に配置され
る背面ベース７２０と、装飾ユニット６７５０の正面視左側に配設される左側伝達部材７
３０と、装飾ユニット６７５０の正面視右側に配設されるクランクカバー７４３と、を主
に備えて形成される。
【１０５７】
装飾ユニット６７５０は、重力方向上側が開放される箱形状に形成される箱部材７６０
と、その箱部材の内側に回転可能に配設される回転体８００とを主に備えて形成される。
即ち、第１実施形態では、装飾ユニット７５０は、箱部材７６０と蓋部材７７０との内側
に回転体８００が配置されたが、第６実施形態では、蓋部材７７０が取り外された状態で
形成される。
【１０５８】
左側伝達部材７３０は、装飾ユニット７５０の左側側面（図１３６左側）に配設される
駆動モータＫＭ４と、その駆動モータＫＭ４の駆動力を伝達する伝達部材６７３１と、駆
動モータＫＭ４が取着されるモータベース７３２と、伝達部材６７３１を覆設するギヤカ
バー７３３と、そのギヤカバー７３３に取着されると共にギヤカバー７３３との対向間に
所定の隙間を有して形成される送球経路カバー７３４とを主に備えて形成される。
【１０５９】
伝達部材６７３１は、駆動モータＫＭ４の軸に取着される伝達ギヤ７３１ａと、その伝
達ギヤ７３１ａに歯合する伝達ギヤ６７３１ｂと、その伝達ギヤ６７３１ｂに歯合する伝
達ギヤ７３１ｃと、その伝達ギヤ７３１ｃと隣り合って配置されると共に軸７３５により
同軸に配設される伝達ギヤ７３１ｄとを主に備えて形成される。
【１０６０】
伝達ギヤ６７３１ｂは、伝達ギヤ７３１ｃに駆動力を伝達するギヤである。なお、第１
実施形態では、伝達ギヤ７３１ｂの内部にワンウェイクラッチＯＷ１が取着されたが、第
６実施形態の伝達ギヤ６７３１ｂには、ワンウェイクラッチＯＷ１が取り外される。また
、伝達ギヤ７３１ｃ及び伝達ギヤ７３１ｄについては、第１実施形態と同じであるので、
その詳細な説明は省略する。
【１０６１】
よって、駆動モータＫＭ４から一方向の駆動力が伝達されると、軸７３５に回転の駆動
力を伝達できると共に、駆動モータＫＭ４から他方向の駆動力が伝達されるとワンウェイ
クラッチＯＷ１の内輪に対して外輪が滑って（空転して）軸７３５への駆動力の伝達が遮
断される。
【１０６２】
次いで、図１３９及び図１４０を参照して、回転体８００の回転について説明する。図
１３９（ａ）から図１３９（ｃ）は、図１３８の矢印ＣＸＸＸＩＸ方向視における装飾ユ
ニット６７５０の側面図であり、図１４０（ａ）から図１４０（ｃ）は、図１３８の矢印
ＣＸＸＸＩＸ方向視における装飾ユニット６７５０の側面図である。
【１０６３】
なお、図１３９及び図１４０では、箱部材７６０の左側側面板７６５が透明視された状
態が図示される。また、図１３９（ａ）から図１３９（ｃ）では、回転体８００の重心Ｇ
が第２区間ＤＫ２を変位する態様が順に図示され、図１４０（ａ）から図１４０（ｃ）で
は、回転体８００の重心Ｇが第１区間ＤＫ１を変位する態様が順に図示される。
【１０６４】
図１３９に示すように、回転体８００は、駆動モータＫＭ４から一方向の駆動力が伝達
されると左方向視（図１３９方向視）右回り（時計回り）に回転変位される。
【１０６５】
回転体８００は、上述したように回転軸を中心を非対称に形成され、回転軸と異なる位
置に重心Ｇが配置される。そのため、回転体８００が図１４０（ａ）に示す重心Ｇを回転
軸の上側に配置した状態から回転されて、図１４０（ｂ）に示めす重心Ｇを回転軸と略水
平の位置に変位し始めると、その荷重により回転方向に回転する力が作用される。
【１０６６】
そのため、伝達ギヤ７３１ｃに配置されたワンウェイクラッチＯＷ１の外輪と内輪との
間に介設されるローラーの係合が解除され、外輪（回転体８００側）が内輪（駆動モータ
側）に対して先行して駆動する状態とされる。即ち、第２区間では、回転体８００の回転
速度を駆動モータＫＭ４の回転速度よりも速くして回転させることができる。
【１０６７】
なお、第２区間ＤＫ２をその荷重で回転する回転体８００は、その荷重により、図１３
９（ｃ）に示す重心Ｇを回転軸の下側に位置する位置まで回転される。
【１０６８】
一方、図１４０に示すように、第１区間ＤＫ１を回転体８００の重心Ｇが変位する場合
には、回転体８００の荷重がその回転する方向と反対方向に作用する。そのため、回転体
８００は、駆動モータＫＭ４の回転速度に従って回転される。
【１０６９】
よって、第６実施形態では、第２区間ＤＫ２における回転体８００の変位速度を第１区
間ＤＫ１における回転体８００の変位速度よりも早くすることができる。その結果、回転
体８００の変位態様に変化を付与して、その回転体８００の変位に従う演出効果を高める
ことができる。
【１０７０】
次いで、図１４１から図１４４を参照して、第７実施形態について説明する。上述した
第１実施形態では、蓋部材７７０がその自重により、ワンウェイクラッチＯＷ１の外輪を
内輪に対して先行させる（即ち、蓋部材７７０の変位速度を速くする）場合を説明したが
、第７実施形態における変位部材７７１０は、遊技球の重さを利用して、ワンウェイクラ
ッチＯＷ１の外輪を内輪に対して先行させる（即ち、変位部材７７１０の変位速度を速く
する）。なお、上述した各実施形態と同一の部分には同一の符号を付して、その説明は省
略する。
【１０７１】
図１４１及び図１４２は、第７実施形態における変位ユニット７７００の側面模式図で
ある。なお、図１４１では、変位部材７７１０が上昇位置に配置された状態が、図１４２
では、変位部材７７１０が下降位置に配置された状態が、それぞれ模式的に図示される。
【１０７２】
図１４１及び図１４２に示すように、変位ユニット７７００は、スライド変位可能に形
成される変位部材７７１０と、その変位部材７７１０へ駆動手段（図示せず、例えば、電
動モータ）の回転駆動力を伝達する伝達部材７７２０と、変位部材７７１０のスライド変
位に伴って回転される負荷ギヤ７７３０とを主に備える。
【１０７３】
変位部材７７１０は、図示しない支持機構によって仮想線Ｌ１に沿って直線変位可能に
支持される部材であり、その変位部材７７１０の側面から突設される被駆動ピン７７１１
と、変位部材７７１０の下面に仮想線Ｌ１に沿って刻設されるラックギヤ７７１２と、変
位部材７７１０の先端に回転可能に軸支される球受け部材７７１３とを主に備える。
【１０７４】
なお、仮想線Ｌ１は、図１４１に示す上昇位置から図１４２に示す下降位置へ向かうに
従って下降傾斜する直線として設定される。即ち、上昇位置では、下降位置よりも、変位
部材７７１０が重力方向上方に位置される。
【１０７５】
被駆動ピン７７１１は、伝達部材７７２０のアーム部材７７２３における駆動溝７７２
３ｂに摺動可能に挿通される部材であり、駆動溝７７２３ｂの溝幅よりも若干小さな外形
の円柱状体として形成される。ラックギヤ７７１２には、負荷ギヤ７７３０が歯合されて
おり、かかる負荷ギヤ７７３０が変位部材７７１０のスライド変位に伴って回転される。
【１０７６】
球受け部材７７１３は、変位部材７７１０の上面に遊技球を保持するための部材であり
、回転軸７７１３ａを中心に回転されることで、図１４１に示す起立状態と図１４２に示
す傾倒状態とを形成可能とされる。起立状態では、一端側が変位部材７７１０の上面より
も突出されることで、遊技球を保持可能とされる（図１４３参照）。一方、傾倒状態では
、一端側が変位部材７７１０の上面よりも下方に位置されることで、変位部材７７１０の
上面から遊技球を排出可能とされる（図１４４参照）。
【１０７７】
なお、球受け部材７７１３は、図示しない付勢ばね（例えば、ねじりばね）から作用す
る付勢力により起立状態に維持される。変位部材７７１０（球受け部材７７１３）の軌道
上には、係合ピン７７４０が固定されており、変位部材７７１０が下降位置へスライド変
位されると、球受け部材７７１３の他端側に係合ピン７７４０が係合されることで、球受
け部材７７１３が回転されて、傾倒状態とされる。一方、変位部材７７１０が上昇位置へ
スライド変位されると、球受け部材７７１３が付勢ばねの弾性回復力により回転されて、
傾倒状態に復帰される。
【１０７８】
伝達部材７７２０は、上述した図示しない駆動手段により回転駆動される円板状の回転
部材７７２１と、その回転部材７７２１の軸方向端面から突設されると共に回転部材７７
２１の回転中心から偏心して位置する円柱状の駆動ピン７７２２と、その駆動ピン７７２
２が一端側に摺動可能に挿通される被駆動溝７７２３ａが開口形成されるアーム部材７７
２３とを主に備える。
【１０７９】
回転部材７７２１と駆動手段との間には、ワンウェイクラッチＯＷ１が介設される。詳
細には、ワンウェイクラッチＯＷ１は、内輪が駆動手段に連結されると共に、外輪が回転
部材７７２１に連結され、内輪が駆動手段により矢印Ａ方向（図１４１の時計周り）に回
転駆動されると、その回転駆動力を外輪に伝達する（即ち、回転部材７７２１を矢印Ａ方
向へ回転させる）一方、内輪が駆動手段により矢印Ａ方向と反対方向（図１４１の反時計
周り）に回転駆動されると、外輪（回転部材７７２１）への動力伝達を切断する。
【１０８０】
アーム部材７７２３は、被駆動溝７７２３ａが開口形成される一端側とは反対側となる
他端側に、変位部材の７７１０の被駆動ピン７７１１が摺動可能に挿通される駆動溝７７
２３ｂが開口形成されると共に、それら被駆動溝７７２３ａ及び駆動溝７７２３ｂの間（
中間部分）が回転軸７７２３ｃにより回転可能に軸支される。
【１０８１】
なお、駆動ピン７７２２は、被駆動溝７７２３ａの溝幅よりも若干小さな外形の円柱状
体として形成される。また、被駆動溝７７２３ａ及び駆動溝７７２３ｂは、アーム部材７
７２３の長手方向に沿った直線状の溝として形成される。
【１０８２】
以上のように形成された変位ユニット７７００によれば、変位部材７７１０が図１４１
に示す上昇位置に配置された状態から、回転部材７７２１が矢印Ａ方向（図１４１の時計
回り）に回転されると、駆動ピン７７２２が被駆動溝７７２３ａの内壁面に作用して、ア
ーム部材７７２３が回転軸７７２３ｃを中心として図１４１時計回りに回転される。この
アーム部材７７２３の時計回りの回転に伴って、駆動溝７７２３ｂの内壁面が被駆動ピン
７７１１を押し下げる方向へ作用することで、変位部材７７１０が、仮想線Ｌ１に沿って
スライド変位され、図１４２に示す下降位置に配置される。
【１０８３】
一方、変位部材７７１０が図１４２に示す下降位置に配置された状態から、回転部材７
７２１が矢印Ａ方向（図１４１の時計回り）に更に回転されると、駆動ピン７７２２が被
駆動溝７７２３ａの内壁面に作用して、アーム部材７７２３が回転軸７７２３ｃを中心と
して図１４１反時計回りに回転される。このアーム部材７７２３の反時計周りの回転に伴
って、駆動溝７７２３ｂの内壁面が被駆動ピン７７１１を押し上げる方向に作用すること
で、変位部材７７１０が、仮想線Ｌ１に沿ってスライド変位され、図１４１に示す上昇位
置に配置される。
【１０８４】
ここで、負荷ギヤ７７３０は、第１実施形態における負荷ギヤ７３１ｅと同様に、回転
する際に所定量の抵抗が発生するように形成される。これにより、変位部材７７１０の重
さ（自重）がアーム部材７７２３に作用して、回転部材７７２１を矢印Ａ方向（図１４１
の時計周り）に回転させることで、ワンウェイクラッチＯＷ１の外輪が内輪に対して一方
向（矢印Ａ方向）へ先行することを抑制できる。即ち、遊技球を保持していない状態では
、上昇位置から下降位置へ向かう際の変位部材７７１０の変位速度が速くされることを抑
制できる。
【１０８５】
即ち、駆動手段の回転駆動力により回転部材７７２１が矢印Ａ方向（図１４１及び図１
４２の時計回り）に回転されている間、その回転駆動手段の回転駆動の速度に応じたスラ
イド速度で、変位部材７７１０が上昇位置と下降位置との間を往復変位（スライド変位）
される。
【１０８６】
図１４３及び図１４４は、変位部材７７１０に遊技球が保持された場合における変位ユ
ニット７７００の側面模式図である。なお、図１４３では、変位部材７７１０が上昇位置
に配置された状態が、図１４４では、変位部材７７１０が下降位置に配置された状態が、
それぞれ模式的に図示される。
【１０８７】
図１４３及び図１４４に示すように、変位部材７７１０は、その上面に遊技球を保持可
能に形成される。即ち、本実施形態では、変位ユニット７７００が遊技領域において遊技
球が流下される領域に配置され、その流下する遊技球を変位部材７７１０がその上面で受
け止め可能に形成される。なお、図１４３では、符号Ｔで示す４球の遊技球が変位部材７
７１０の上面に保持された状態が例示される。
【１０８８】
この場合、変位部材７７１０が遊技球を保持した状態では、その遊技球の重さの分、変
位部材７７１０全体としての重さを大きく（重く）して、負荷ギヤ７７３０の回転に伴う
抵抗を越えさせることができる。即ち、変位部材７７１０全体の重さ（遊技球を含む重さ
）をアーム部材７７２３に作用させ、回転部材７７２１を矢印Ａ方向（図１４３の時計周
り）に回転させることで、ワンウェイクラッチＯＷ１の外輪を内輪に対して一方向（矢印
Ａ方向）へ先行させることができる。その結果、上昇位置から下降位置へ向かう際の変位
部材７７１０の変位速度を、遊技球を保持していない場合（図１４１参照）の変位速度よ
りも、速くすることができる。
【１０８９】
また、保持されている遊技球の数に応じて、変位部材７７１０全体としての重さを異な
らせることができる。これにより、変位部材７７１０に遊技球が保持されているか否かだ
けでなく、保持している遊技球の数に応じても、変位部材７７１０の変位速度を異ならせ
る（変化させる）ことができる。その結果、変位部材７７１０の変位速度のバリエーショ
ンを増やすことができ、その分、変位部材７７１０の変位に伴う演出の演出効果を高める
ことができる。
【１０９０】
上述したように、変位部材７７１０には、その先端（下方傾斜側の端部）に球受け部材
７７１３が配設される。よって、遊技領域を流下される遊技球を変位部材７７１０（その
上面または球受け部材７７１３）が受け止めた際には、その遊技球から変位部材７７１０
に作用される力を、下降位置へ向けてスライド変位させる力として作用させることができ
る。即ち、かかる力を、アーム部材７７２３及び回転部材７７２１を介して、ワンウェイ
クラッチＯＷ１の外輪を内輪に対して一方向（矢印Ａ方向）へ先行させる方向へ作用させ
ることができる。
【１０９１】
これにより、流下する遊技球を、変位部材７７１０（その上面または球受け部材７７１
３）が受け止めた際に、その遊技球の運動エネルギーを利用して、変位部材７７１０の下
降位置へ向かう方向へのスライド変位の変位速度をより速くすることができる。
【１０９２】
この場合、流下する遊技球は、その流下方向や流下速度がそれぞれ異なる。そのため、
受け止める遊技球の流下状態（流下方向や流下速度）の差に応じて、変位部材７７１０に
作用される力（運動エネルギーの大きさ）を異ならせることができる。これにより、変位
部材７７１０に遊技球が保持されているか否かや保持されている遊技球の数だけでなく、
遊技球の流下状態に応じても、変位部材７７１０の変位速度を異ならせる（変化させる）
ことができる。その結果、変位部材７７１０の変位速度のバリエーションを増やすことが
でき、その分、変位部材７７１０の変位に伴う演出の演出効果を高めることができる。
【１０９３】
また、第７実施形態では、回転部材７７２１の回転方向が一方向とされるので、駆動手
段の駆動方向を切り替える必要がない。言い変えると、回転手段を一方向に連続して回転
させることで、変位部材７７１０を往復変位させることができる。よって、駆動手段の駆
動方向を切り替える時間をなくすことができる。その結果、駆動手段の切り替えを必要と
しない分、変位部材７７１０を直ちに変位させることができる。
【１０９４】
この場合、変位部材７７１０の変位を直ちに行うことで、球受け部材７７１３が回転変
位して変位部材７７１０（その上面または球受け部材７７１３）が受け止めた遊技球を落
下させる動作をした際の反作用による変位部材７７１０のがたつきを抑制することができ
る。
【１０９５】
即ち、変位部材７７１０（球受け部材７７１３）から遊技球を落下させた際には、落下
された遊技球の分、変位部材７７１０の荷重が軽くなり、反作用で変位部材７７１０が上
方に変位しやすいところ、変位部材７７１０を直ちに変位させることで、球受け部材７７
１３の変位による反作用で、変位部材７７１０を下方に変位させる力を作用させて、変位
部材７７１０から球が落下された際の反作用を打ち消すことができる。
【１０９６】
なお、遊技領域を流下する遊技球とは、遊技盤１３の前面（正面）を重力方向に沿って
移動する遊技球に限定されず、重力方向と異なる方向へ移動する遊技球も含まれる。重力
方向と異なる方向へ移動する遊技球としては、例えば、釘やチューリップ、役物などに衝
突して、重力方向と異なる方向へ移動する遊技球や、ステージを転動した後、そのステー
ジから飛び出して、重力方向と異なる方向へ移動する遊技球が例示される。
【１０９７】
ここで、本実施形態では、負荷ギヤ７７３０を設けることで、変位部材７７１０が遊技
球を保持していない状態では（図１４１参照）、変位部材７７１０が下降位置へ向けてス
ライド変位される際に、ワンウェイクラッチＯＷ１の外輪が内輪に対して一方向（矢印Ａ
方向）へ先行しない（即ち、変位部材７７１０の変位速度が速くならない）ように構成し
た。
【１０９８】
これに対し、負荷ギヤ７７３０を省略する又はその負荷ギヤ７７３０の抵抗を小さい値
に設定して、変位部材７７１０が下降位置へ向けてスライド変位される際に、ワンウェイ
クラッチＯＷ１の外輪が内輪に対して一方向（矢印Ａ方向）へ先行する（即ち、変位部材
７７１０の変位速度が速くなる）ように構成しても良い。即ち、変位部材７７１０の重さ
（自重）のみを、アーム部材７７２３に作用させ、回転部材７７２１を矢印Ａ方向（図１
４１の時計周り）に回転させた場合でも、ワンウェイクラッチＯＷ１の外輪が内輪に対し
て先行するようにしても良い。
【１０９９】
次いで、図１４５から図１４８を参照して、第８実施形態における上皿８０１７につい
て説明する。第８実施形態における上皿８０１７には、正面視した左右方向略中央位置に
回転操作ユニット８６５０が配設される。なお、上記各実施形態と同一の部分には、同一
の符号を付してその説明を省略する。
【１１００】
まず、第８実施形態における回転操作ユニット８６５０の全体構成について、図１４５
から図１４７を参照して説明する。図１４５は、第８実施形態におけるパチンコ機１０の
正面図である。図１４６は、回転操作ユニット８６５０の分解斜視正面図である。図１４
７は、図１４５のＣＸＬＶＩＩ−ＣＸＬＶＩＩ線におけるパチンコ機１０の断面模式図で
ある。
【１１０１】
図１４５から図１４７に示すように、回転操作ユニット８６５０は、パチンコ機１０の
上皿８０１７の内部空間に配置されると共に、後述する回転操作部８６５４の外周面が上
皿８０１７の外方に突出した状態で配設される。
【１１０２】
回転操作ユニット８６５０は、駆動モータＫＭ６と、その駆動モータＫＭ６の軸部に連
結される伝達ギヤ８６５１と、その伝達ギヤ８６５１の外周面に歯合される伝達ギヤ８６
５２と、その伝達ギヤ８６５２の軸孔に内嵌される軸部８６５３と、その軸部８６５３に
内輪が外嵌するワンウェイクラッチＯＷ１と、そのワンウェイクラッチＯＷ１の外輪が内
嵌される回転操作部８６５４とを主に備えて形成される。
【１１０３】
伝達ギヤ８６５１は、駆動モータＫＭ６の軸に連結される。よって、駆動モータＫＭ６
に回転の駆動力が付与されることで、伝達ギヤ８６５１を回転できる。上述したように、
伝達ギヤ８６５１には、伝達ギヤ８６５２が歯合された状態で配置される。従って、駆動
モータＫＭ６に回転の駆動力が付与されると、伝達ギヤ８６５１を介して伝達ギヤ８６５
２を回転できる。
【１１０４】
軸部８６５３は、円柱状に形成された棒部材であり、その軸方向長さは回転操作部８６
５４の左右方向の幅寸法よりも長く形成される。軸部８６５３は、上述したように、一方
が伝達ギヤ８６５２の軸孔に内嵌されると共に、他方がワンウェイクラッチＯＷ１の内輪
に挿入される。これにより、伝達ギヤ８６５２が回転された際の駆動力をワンウェイクラ
ッチＯＷ１に伝達することができる。
【１１０５】
ワンウェイクラッチＯＷ１は、上述したように内輪と外輪とその間に係合されるローラ
ーとから形成されており、内輪が一方向に回転されると内輪の回転を外輪に伝達できると
共に内輪が他方向に回転されると内輪の回転を外輪に非伝達にできる。
【１１０６】
回転操作部８６５４は、円環状に形成されており、その外周面の一部が上皿８０１７か
ら突出した状態で配設される。また、回転操作部８６５４の内円部には、ワンウェイクラ
ッチＯＷ１の外輪が内嵌される。即ち、回転操作部８６５４の内傾は、ワンウェイクラッ
チＯＷ１の外径と略同一に形成される。よって、回転操作部８６５４は、ワンウェイクラ
ッチＯＷ１の外輪が回転されることで、回転が伝達される。
【１１０７】
その結果、駆動モータＫＭ６が駆動されて、一方向に回転されると、その回転が伝達ギ
ヤ８６５１，８６５２及びワンウェイクラッチＯＷ１の内輪を介してワンウェイクラッチ
ＯＷ１の外輪に伝達されて、回転操作部８６５４が回転される。一方、駆動モータＫＭ６
が駆動されて、他方向に回転されると、ワンウェイクラッチＯＷ１の内輪と外輪とが非伝
達とされ回転操作部８６５４への回転駆動の伝達が遮断される。
【１１０８】
次に、図１４８を参照して、遊技者が回転操作部８６５４を操作する場合の説明をする
。図１４８は、パチンコ機１０の断面模式図である。なお、図１４８の断面は、図１４７
と対応する。
【１１０９】
上述したように、回転操作部８６５４は、駆動モータＫＭ６が回転されることで、回転
操作部８６５４が回転する態様と、駆動モータＫＭ６の回転を非回転とすることで、回転
操作部８６５４の回転変位が停止された態様を形成することができる。
【１１１０】
さらに、図１４８に示すように、駆動モータＫＭ６が一方向へ回転され、回転操作部８
６５４がＡ方向に回転される際に、遊技者が回転操作部８６５４の外周面を操作して回転
操作部８６５４に回転Ａ方向と同一方向に回転力を発生させると、ワンウェイクラッチＯ
Ｗ１の外周面および回転操作部８６５４が先行して回転される。即ち、回転操作部８６５
４は、遊技者の操作により駆動モータＫＭ６の回転速度よりも速い速度の回転で操作する
ことができる。
【１１１１】
また、回転操作部８６５４が非回転（駆動モータＫＭ６が非回転）とされる際に、遊技
者が回転Ａ方向に回転操作部８６５４に駆動力を付与することで回転操作部８６５４を回
転変位させることができる。
【１１１２】
よって、第８実施形態では、回転操作部８６５４が、駆動モータＫＭ６の駆動により非
回転または回転状態の態様を形成するだけでなく、回転操作部８６５４が遊技者の操作に
より停止状態から回転する態様および回転操作部８６５４が遊技者の操作により回転状態
から更に早い速度で回転される態様を形成することができる。
【１１１３】
その結果、回転操作部８６５４の変位態様を遊技者に視認させる態様を複数形成するこ
とができるので、遊技者に興趣を与えることができる。また、回転操作部８６５４の回転
態様を複数形成することで、パチンコ機１０の演出態様を複数形成することができるので
、その演出を増加できる分、遊技者に興趣を与えることができる。
【１１１４】
なお、回転操作部８６５４の側面には、その回転回数を計測するセンサ装置等が配置さ
れており、回転操作部８６５４の回転数や回転速度に基づいて変化される演出を行うこと
ができる。
【１１１５】
次いで、図１４９を参照して、第９実施形態における第１リンク部材９４３１について
説明する。第９実施形態における第１リンク部材９４３１の板状突起９４３１ｂは、カム
部材４２２との当接面が傾斜して形成される傾斜面９４３１ｂ１を備える。なお、上記各
実施形態と同一の部分には同一の符号を付してその説明を省略する。
【１１１６】
図１４９（ａ）は、第９実施形態における第１リンク部材９４３１の斜視正面図であり
、図１４９（ｂ）は、下変位ユニット４００の断面模式図である。なお、図１４９（ｂ）
は、図５６（ａ）の断面模式図と対応する。
【１１１７】
なお、第９実施形態における下変位ユニット４００は、第１実施形態における下変位ユ
ニット４００と同様に、背面ケース３００の底壁部３０１（図６参照）に配設されるベー
ス部材４１０と、そのベース部材４１０に配設される伝達部材４２０と、その伝達部材４
２０から駆動力が伝達されることで変位する下変位部材４４０（図４５参照）と、を備え
る。また、第９実施形態における下変位ユニット４００は、ベース部材４１０及び下変位
部材４４０に連結されると共に伝達部材４２０の駆動に伴って変位されるリンク部材９４
３０を備え、そのリンク部材９４３０の変位により下変位部材４４０が変位される。
【１１１８】
図１４９に示すように、第９実施形態における第１リンク部材９４３１は、正面視略く
の字形状に屈曲して形成されると共に、前後方向に所定の厚みを有する板状に形成される
。第１リンク部材９４３１は、一端側（図１４９（ａ）矢印Ｄ方向側）の前後方向に貫通
する貫通孔４３１ａと、他端側（図１４９（ａ）矢印Ｕ方向側）の背面側に突出する円柱
状の連結突起４３１ｃ（図４６参照）と、ベース部材４１０の湾曲壁部４１１ｅと対向す
る位置に突出する板状突起９４３１ｂと、屈曲部分の正面側に突出する円柱状の摺動突起
４３１ｄと、備える。
【１１１９】
板状突起９４３１ｂは、貫通孔４３１ａの軸を中心に湾曲状に延設されると共に、正面
側（正面ベース４１１側（矢印Ｆ方向側））に向かって突設される。また、板状突起９４
３１ｂの突設寸法は、カム部材４２２の厚み（矢印Ｆ−Ｂ方向寸法）寸法よりも大きく設
定される。さらに、板状突起９４３１ｂの突設先端面と対向するベース部材４１０（湾曲
壁部４１１ｅ）とは、若干の隙間（距離Ｘ１４（図１４９（ｂ）参照））を隔てて配置さ
れる。
【１１２０】
カム部材４２２は、板状突起９４３１ｂを除く第１リンク部材９４３１の正面と湾曲壁
部４１１ｅの突出面（背面）との対向間における領域を変位可能な状態で配置される。ま
た、カム部材４２２及び第１リンク部材９４３１との対向間の隙間と、カム部材４２２及
びベース部材４１０の対向間の隙間と、を合わせた２箇所の隙間の寸法は、上述した距離
Ｘ１４よりも大きく設定される。
【１１２１】
これにより、上述した距離Ｘ１４が小さくなる方向（矢印Ｆ方向）に第１リンク部材９
４３１が、撓んだ際に板状突起９４３１ｂの突設先端面を対向するベース部材４１０（湾
曲壁部４１１ｅ）に当接させることができる。よって、板状突起９４３１ｂを除く第１リ
ンク部材９４３１の正面と湾曲壁部４１１ｅの突出面（背面）との対向間にカム部材４２
２が挟まれて変位が規制されることを抑制できる。
【１１２２】
また、板状突起９４３１ｂは、カム部材４２２側（図１４９（ｂ）矢印Ｌ方向側）の周
方向の側面に、カム部材４２２に向かうに従って正面側に突出する傾斜面９４３１ｂ１を
備える。傾斜面９４３１ｂ１は、図１４９（ｂ）に示すように、突出側（矢印Ｆ方向側）
に向かって略４５度傾斜して形成される。
【１１２３】
これにより、下変位ユニット４００が第２変位状態とされてカム部材４２２の端部が板
状突起９４３１ｂに当接した際に、カム部材４２２を第１リンク部材９４３１の背面（矢
印Ｆ方向側の面）に押し付ける（変位させる）ことができると共に、第１リンク部材９４
３１の板状突起９４３１ｂの突設先端面（矢印Ｆ方向側の面）を湾曲壁部４１１ｅに押し
付けることができる。その結果、カム部材４２２及び第１リンク部材９４３１が前後方向
（矢印Ｆ−Ｂ方向）に揺れ動くことを抑制でき、下変位部材４４０を第２変位状態の位置
で維持しやすくできる。
【１１２４】
なお、この場合、カム部材４２２の端部には、傾斜面９４３１ｂ１との当接部分に傾斜
面９４３１ｂ１と平行な平面が形成されることが好ましい。これにより、カム部材４２２
と傾斜面９４３１ｂ１とが当接した際に、カム部材４２２を背面側（矢印Ｂ方向側）に変
位させやすくできる。
【１１２５】
次いで、図１５０を参照して、第１０実施形態における一般入賞口ユニット１０１５０
について説明する。上記第１実施形態では、一般入賞口ユニット１５０は、接着テープ１
５４ａが、装飾部材１５４の端部に貼付される場合について説明したが、第１０実施形態
では、接着テープ１０１５４ａが装飾部材１０１５４の端部から所定の幅を隔てる内側に
貼付される。なお、上記各実施形態と同一の部分には、同一の符号を付してその説明は省
略する。
【１１２６】
図１５０は、第１０実施形態における遊技盤１３の断面図である。なお、図１５０は、
図１６の断面図に対応する。また、第１０実施形態における一般入賞口ユニット１０１５
０は、第１実施形態における一般入賞口ユニット１５０と同様に、遊技盤１３の遊技領域
（ベース板６０の正面）に配設され、遊技領域を流下する遊技球の経路を変更可能とされ
る。また、一般入賞口ユニット１０１５０は、内レール７６及び外レール７７により囲わ
れて形成される遊技領域に対して、正面視（矢印Ｂ方向視）における重力方向下側（矢印
Ｄ方向側）の端部に沿う位置に配置される。
【１１２７】
さらに、一般入賞口ユニット１０１５０は、正面視において三日月状に形成される本体
部１５１と、その本体部１５１の端部から正面側（矢印Ｆ方向側）に立設される第１立設
部１５２（図１２参照）と、その第１立設部１５２の重力方向上側（矢印Ｕ方向側）の端
部から遊技領域の中央側に向かって延設される第２立設部１５３（図１２（ａ）参照）と
、本体部１５１の正面側に形成される複数（本実施形態では３個）の一般入賞口６３（図
１２（ａ）参照）と、備える。
【１１２８】
図１５０に示すように、第１０実施形態における一般入賞口ユニット１０１５０は、本
体部１０１５１の背面に配設される装飾部材１０１５４を備える。装飾部材１０１５４は
、本体部１５１と接着される接着テープ１０１５４ａが、装飾部材１０１５４の端部から
所定の幅を隔てる内側に貼付される。これにより、接着テープ１０１５４ａの厚みの分、
本体部１５１と装飾部材１０１５４との間に所定の隙間（空間）が装飾部材１０１５４の
端部に形成される。その結果、遊技者が所定以上の角度（例えば、パチンコ機１０（図１
参照）の重力方向上側端部と同じ高さの視点）から一般入賞口ユニット１０１５０を視認
した場合に、装飾部材６０ｃと装飾部材１０１５４の装飾との境界を遊技者に視認させに
くくすることができる。
【１１２９】
詳しく説明すると、装飾部材１０１５４の端部に本体部１５１との間の空気層を形成す
ることで、本体部１５１の内部を反射して本体部１５１の端部（傾斜面１５１ａ）から遊
技者側に出射する光Ｌが、装飾部材１０１５４の端部での装飾の影響を受けないようにす
る（光Ｌの波長が変更されにくくする）ことができる。また、接着テープ１０１５４ａの
内部を通過して、装飾部材１０１５４の装飾の影響の受ける光は、本体部１５１の内部を
繰り返し反射されることで本体部１５１の外側に出射されるので、遊技者の視点に向かっ
て反射される際に、装飾部材１０１５４の装飾の影響を少なくすることができる。
【１１３０】
よって、遊技者に出射される光Ｌの波長の変化を少なくすることができ、遊技者が所定
以上の角度から一般入賞口ユニット１０１５０を視認した場合に、装飾部材６０ｃと装飾
部材１０１５４の装飾との境界を認識させにくくすることができる。その結果、通常の角
度（例えば、遊技盤１３の重力方向略中間位置と同一の高さの視点）から装飾部材６０ｃ
と装飾部材１０１５４の装飾を遊技者が視認する場合には、ベース板の装飾部材６０ｃと
装飾部材１０１５４の装飾とを１の装飾として遊技者に視認させやすくできると共に、所
定の角度（例えば、パチンコ機１０（図１参照）の重力方向上側端部と同じ高さの視点）
から視認する場合には、境界部分の装飾を見にくくして、装飾が分割されていることを遊
技者に分かりにくくすることができる。
【１１３１】
次いで、図１５１から図１５３を参照して、第１１実施形態における下変位部材１１４
４０について説明する。上記第１実施形態では、下変位部材４４０の背面側に配設される
制御基板４９１により装飾部材４５０に光を照射する場合について説明したが、第１１実
施形態の下変位部材１１４４０は、制御基板４９１から照射される光により内部の遊技球
の位置を遊技者に認識させることができる。なお、上記各実施形態と同一の部分には、同
一の符号を付してその説明は省略する。
【１１３２】
初めに、図１５１及び図１５２を参照して、第１１実施形態における下変位部材１１４
４０の全体構成について説明する。図１５１は、第１１実施形態における下変位部材１１
４４０の分解斜視正面図である。図１５２（ａ）及び図１５２（ｂ）は、下変位部材１１
４４０の正面図である。なお、図１５２（ａ）では、制御基板４９１に配設される発光体
１１４９１ａの外形が鎖線で図示され、図１５２（ｂ）では、装飾部材１１４５０が取り
外された状態が図示される。
【１１３３】
図１５２（ａ）及び図１５２（ｂ）に示すように、第１１実施形態における下変位部材
１１４４０は、正面ベース４１１（図４５参照）に連結されるベース部材４７０と、その
ベース部材４７０の前後を覆うケース部材４８０と、ケース部材４８０及びベース部材４
７０の間に変位可能に配設される伝達機構１１４６０と、ケース部材４８０の前後（矢印
Ｆ−Ｂ方向）を覆う態様で形成される装飾部材１１４５０と、を主に備えて形成される。
【１１３４】
装飾部材１１４５０は、模様やキャラクターを模した外形に形成され、表面にその模様
やキャラクターの絵が描かれる。装飾部材１１４５０は、正面ケース４８１の正面側（矢
印Ｆ方向側）に配設される正面側装飾部１１４５１と、背面ケース４８２の背面側（矢印
Ｂ方向側）に配設される背面側装飾部４５２とを主に備えて形成される。なお、本実施形
態では、装飾部材１１４５０にサメの模様（キャラクター）が描かれる。
【１１３５】
正面側装飾部１１４５１は、正面視において正面ケース４８１の外形よりも大きい外形
に形成され、正面ケース４８１に取着される。これにより、正面側装飾部１１４５１の背
面側に配設される部材（ケース部材４８０、ベース部材４７０等）を遊技者から視認不可
能とすることができる。また、正面側装飾部１１４５１は、正面視における内側に光透過
性材料から形成される透過部１１４５１ｂを備える。
【１１３６】
透過部１１４５１ｂは、後述する制御基板４９１に配設される複数の発光体１１４９１
ａと対向する位置の全域に形成されており、複数の発光体１１４９１ａから照射される光
を遊技者側に導光可能とされる。また、透過部１１４５１ｂは、正面側（矢印Ｆ方向側）
が、上下方向（矢印Ｕ−Ｄ方向）の外側端部に向かって背面側（矢印Ｂ方向側）に湾曲し
て形成される。これにより、透過部１１４５１ｂの背面側から入射される光が透過部１１
４５１ｂの内部を通過して正面側から出射される際に、拡散しやすくされる。
【１１３７】
伝達機構１１４６０は、ベース部材４７０の正面側（矢印Ｆ方向側）に配置される部材
であり、伝達ギヤ４６１，４６２，４６３と、その伝達ギヤ４６１に軸部分が連結される
駆動モータＫＭ２と、伝達ギヤ４６３と歯合する歯面を有し、ベース部材４７０の正面側
をスライド変位可能に配設される可動ラック４６４と、その可動ラック４６４に回転可能
に配置される伝達ギヤ４６５と、ベース部材４７０に形成され、伝達ギヤ４６５が歯合さ
れる歯面のラックギヤ４７６と、伝達ギヤ４６５に歯合される歯面を有し可動ラック４６
４の正面側をスライド変位可能に配設されるラック１１４６６と、そのラック１１４６６
の一端側に回転可能に配設される球受部４６７と、を主に備える。
【１１３８】
ラック１１４６６は、正面視矩形横長の棒状体から形成され、上端面に刻設されるラッ
クギヤ４６６ａと、長手方向の他端側（矢印Ｌ方向側）の端部から背面側（矢印Ｂ方向側
）に円柱状に突出する軸部４６６ｂと、正面側（矢印Ｆ方向側）に突出する２つの摺動板
４６６ｃと、長手方向の一端（矢印Ｒ方向側）から他端に亘って背面に凹設される凹設部
４６６ｄ（図５９参照）と、ラックギヤ４６６ａの正面側から上方（矢印Ｕ方向）に突設
される遮蔽板１１４６６ｅと、を備える。
【１１３９】
遮蔽板１１４６６ｅは、非光透過性の材料から形成されており、発光体１１４９１ａか
ら出射される光を遮断可能とされる。また、遮蔽板１１４６６ｅは、上方への突設高さ（
矢印Ｕ方向高さ）が、背面側に配設される発光体１１４９１ａよりも高い位置（矢印Ｕ方
向側の位置）とされる。これにより、ラック１１４６６の変位に伴って、遮蔽板１１４６
６ｅを前後方向（矢印Ｆ−Ｂ方向）に変位させて、発光体１１４９１ａから照射される光
を遮断できる。
【１１４０】
制御基板４９１は、ベース部材４７０の背面側（矢印Ｂ方向側）に配設されており、正
面側に光を照射できる発光体１１４９１ａを複数個備える。複数の発光体１１４９１ａは
、下変位部材１１４４０の長手方向（矢印Ｌ−Ｒ方向）に並設されると共に、ベース部材
４７０を介して正面側（矢印Ｆ方向側）に配設される球受部４６７よりも上方（矢印Ｕ方
向）に配設される。これにより、球受部４６７により、発光部１１４９１ａから出射され
た光が遮られることを抑制できる。
【１１４１】
次いで、図１５３を参照して、遊技球が球受部４６７の内側に送球された状態について
説明する。図１５３（ａ）は、下変位部材１１４４０の正面図であり、図１５３（ｂ）は
、図１５３（ａ）のＣＬＩＩＩｂ−ＣＬＩＩＩｂ線における下変位部材１１４４０の断面
模式図であり、図１５３（ｃ）は、図１５３（ａ）のＣＬＩＩＩｃ−ＣＬＩＩＩｃ線にお
ける下変位部材１１４４０の断面模式図である。
【１１４２】
図１５３に示すように、球受部４６７に遊技球が受け入れられると、受け入れられた遊
技球が、発光体１１４９１ａの正面側（矢印Ｆ方向側）に重なる位置に配置される。これ
により、球受部４６７により受け入れられた遊技球で、発光体１１４９１ａから遊技者側
に照射される光を遮断することができる。その結果、下変位部材１１４４０の内側に送球
された遊技球の位置を光が遮断されてできる影により遊技者に認識させることができる。
【１１４３】
また、第１１実施形態では、装飾部材１１４５０の背面側に配設され、球受部４６７の
変位領域に向けて光を出射可能な制御基板４９１を備え、制御基板４９１は、球受部４６
７の背面側に配設され、球受部４６７または球受部４６７に受け入れられた遊技球により
、制御基板４９１から出射される光を遮断して、装飾部材１１４５０から出射される光の
光量を部分的に異ならせるので、球受部４６７または球受部４６７に受け入れられた遊技
球の正面側に位置する装飾部材１１４５０から出射される光の光量と、その他の位置の装
飾部材１１４５０から出射される光の光量と、を異ならせる（暗くして影を形成する）こ
とで、その光量の異なる部分の背面側に球受部４６７または球受部４６７に受け入れられ
た遊技球が位置することを遊技者に認識させることができる。
【１１４４】
詳しく説明すると、球受部４６７の背面側に制御基板４９１が配設される場合には、制
御基板４９１から出射される光を球受部４６７または球受部４６７に受け入れた遊技球に
より遮断することで、球受部４６７または球受部４６７に受け入れた遊技球の正面側の装
飾部材１１４５０から出射される光の光量を装飾部材１１４５０の他の部分よりも暗くす
ることができる。その結果、装飾部材１１４５０から出射される光量の少ない（暗い）部
分の背面側に球受部４６７または球受部４６７に受け入れた遊技球が位置することを遊技
者に認識させることができる。
【１１４５】
また、球受部４６７は、遊技球の下半球を受け入れる形状に形成され、発光体１１４９
１ａは、球受部４６７に受け入れられる遊技球の中心よりも高い位置に配置されるので、
発光体１１４９１ａから照射される光が球受部４６７に照射されにくくすることができる
。従って、発光体１１４９１ａから照射される光により、遊技球を受け入れる球受部４６
７及び球受部４６７をスライド変位させるラック１１４６６の外形が影となって、透過部
１１４５１ｂに影が形成されることを抑制できる。その結果、球受部４６７に受け入れら
れた遊技球でのみ、透過部１１４５１ｂに影を形成することができるので、遊技球が球受
部４６７に受け入れられていない状態で球受部４６７が変位する場合に、遊技者の視線が
球受部４６７に注目されることを抑制できる。
【１１４６】
次いで、図１５４及び図１５５を参照して、第１２実施形態における球受部１２４６７
について説明する。上記第１１実施形態では、球受部４６７に受け入れた遊技球により発
光体１１４９１ａから照射される光を遮断する場合について説明したが、第１２実施形態
では、球受部１２４６７に配設される第３片１２４６７ｅにより発光体１１４９１ａから
照射される光を遮蔽する。なお、上記各実施形態と同一の部分には、同一の符号を付して
その説明は省略する。
【１１４７】
初めに、図１５４を参照して、第１２実施形態における球受部１２４６７の構成につい
て説明する。図１５４（ａ）は、第１２実施形態における球受部１２４６７の分解斜視正
面図であり、図１５４（ｂ）は、球受部１２４６７の正面図である。なお、図１５４（ａ
）では、球受部１２４６７の一部が鎖線で図示される。
【１１４８】
なお、第１２実施形態における下変位部材１２４４０は、上記第１１実施形態における
下変位部材１１４４０と同様に、正面ベース４１１（図４５参照）に連結されるベース部
材４７０と、そのベース部材４７０の前後を覆うケース部材４８０と、ケース部材４８０
の前後（矢印Ｆ−Ｂ方向）を覆う態様で形成される装飾部材１１４５０と、を主に備えて
形成される。また、第１２実施形態における下変位部材１２４４０は、ケース部材４８０
及びベース部材４７０の間に変位可能に配設され、遊技球を受け入れることで変形可能な
球受部１２４６７ｃを有する伝達機構１２４６０を備える。
【１１４９】
図１５４に示すように、第１２実施形態における球受部１２４６７は、正面視略Ｌ字に
屈曲して形成される第１片１２４６７ｃと、その第１片１２４６７ｃに連結される第２片
１２４６７ｄと、その第２片１２４６７ｄに連結されると共に第１片１２４６７ｃ及び第
２片１２４６７ｄの背面側に配設される第３片１２４６７ｅと、を備える。
【１１５０】
第１片１２４６７ｃ及び第２片１２４６７ｄは、開口４５１ａ（図５７参照）から下変
位部材１２４４０の内側に送球された遊技球を保持する部分であり、第１片１２４６７ｃ
及び第２片１２４６７ｄの対向間に遊技球が送球されると、第１片１２４６７ｃに対して
第２片１２４６７ｄが離間する方向に変位され、第１片１２４６７ｃの一部と第２片１２
４６７ｄとが正面視においてＵ字状に配置され、そのＵ字の内側部分に遊技球を保持する
ことができる。
【１１５１】
第１片１２４６７ｃは、正面視においてＬ字に形成される一方の延設側を形成する受入
片１２４６７ｃ４と、他方の延設側を形成する脚部４６７ａと、受入片１２４６７ｃ４及
び脚部４６７ａとの連結部分（屈曲部分）に前後方向（矢印Ｆ−Ｂ方向）に貫通する軸孔
４６７ｂが形成される円環状の屈曲部１２４６７ｃ５と、屈曲部１２４６７ｃ５を間に挟
んで反対側に突出する連結部１２４６７ｃ１と、を備える。
【１１５２】
受入片１２４６７ｃ４は、１片１２４６７ｃ及び第２片１２４６７ｄにより正面視Ｕ字
状に形成される他方側（矢印Ｒ方向側）の側面を形成する部分であり、正面において三日
月状に形成されると共に、第２片１２４６７ｄから離間する方向に凹となる湾曲形状に形
成される。
【１１５３】
連結部１２４６７ｃ１は、屈曲部１２４６７ｃ５の軸方向（矢印Ｆ−Ｂ方向）に所定の
間隔を隔てて２箇所から突設される。また、連結部１２４６７ｃ１は、後述する第２片１
２４６７ｄ及び第３片１２４６７ｅを連結する部分であり、軸孔４６７ｂの軸方向に沿っ
て延設されると共に断面円形状に開口される連結孔１２４６７ｃ２を備える。
【１１５４】
連結孔１２４６７ｃ２は、後述する第３片１２４６７ｅに突設される軸部１２４６７ｅ
３が挿入される開口である。連結孔１２４６７ｃ２は、後述する第２片１２４６７ｄに形
成される挿通孔１２４６７ｄ３に挿通した軸部１２４６７ｅ３が背面側（矢印Ｂ方向側）
から挿入される。また、軸部１２４６７ｅ３は、連結孔１２４６７ｃ２の挿入側と反対側
（正面側（矢印Ｆ方向側））から挿入されるネジにより締結される。これにより、第１片
１２４６７ｃに第２片１２４６７ｄ及び第３片１２４６７ｅを締結することができる。
【１１５５】
また、第１片１２４６７ｃは、連結部１２４６７ｃ１の突設基端側に重力方向下側（矢
印Ｄ方向側）に凹む凹部１２４６７ｃ３を備える。凹部１２４６７ｃ３の凹設底面は、第
１片１２４６７ｃ及び第２片１２４６７ｄにより遊技球が保持される底面の中で一番低い
位置（最下部）に形成される。これにより、第１片１２４６７ｃ及び第２片１２４６７ｄ
に保持される遊技球は、凹部１２４６７ｃ３の内側に転動される。
【１１５６】
第２片１２４６７ｄは、第１片１２４６７ｃの受入片１２４６７ｃ４及び第２片１２４
６７ｄにより正面視Ｕ字状に形成される他方側（矢印Ｌ方向側）の側面を形成する部分で
あり、正面視において三日月状に形成されると共に、受入片１２４６７ｃ４から離間する
方向に凹となる湾曲形状に形成される。また、第１片１２４６７ｃ、第２片１２４６７ｄ
の連結部分に前後方向（矢印Ｆ−Ｂ方向）に円形状に開口する挿通孔１２４６７ｄ３と、
背面側（矢印Ｂ方向側）から正面側（矢印Ｆ方向側）に向かって断面円形状に凹設される
凹設部１２４６７ｄ２と、を主に備える。
【１１５７】
第２片１２４６７ｄは、挿通孔１２４６７ｄ３に、第３片１２４６７ｅの軸部１２４６
７ｅ３が挿入され、凹設部１２４６７ｄ２に、第３片１２４６７ｅの連結軸１２４６７ｅ
４が挿入される。従って、第２片１２５６７ｄが変位されると、第３片１２４６７ｅも同
様に変位される。よって、第２片１２５６７ｄが第１片１２４６７ｃに対して回転変位さ
れると、第３片１２５６７ｅも同様に第１片１２４６７ｃに対して回転変位される。
【１１５８】
さらに、第２片１２４６７ｄは、第１片１２４６７ｃの２箇所に突設される連結部１２
４６７ｃ１の対向間に配設されて、第１片１２４６７ｃに連結される。これにより、第２
片１２４６７ｄが挿通孔１２４６７ｄ３の軸方向にねじれた場合に、連結部１２４６７ｃ
１の対向側の側面に第２片１２４６７ｄを当接させて軸部１２４６７ｅ３が折れることを
抑制できる。
【１１５９】
凹設部１２４６７ｄ２は、後述する第３片１２４６７ｅの連結軸１２４６７ｅ４を挿入
する孔であり、連結軸１２４６７ｅ４と略同一の形状に凹設される。
【１１６０】
第３片１２４６７ｅは、正面視略半円形の板状に形成される遮蔽板１２４６７ｅ１と、
その遮蔽板１２４６７ｅ１から正面側（矢印Ｆ方向側）に向かって突設される軸部１２４
６７ｅ３及び連結軸１２４６７ｅ４と、を備える。
【１１６１】
遮蔽板１２４６７ｅ１は、非光透過性の材料から形成されており、発光体１１４９１ａ
の正面側に配置される場合に、発光体１１４９１ａから照射される光を遮蔽することがで
きる。なお、遮蔽板１２４６７ｅ１による発光体１１４９１ａの光の遮蔽については後述
する。
【１１６２】
軸部１２４６７ｅ３は、上述したように第１片１２４６７ｃの連結孔１２４６７ｃ２及
び第２片１２４６７ｄの挿通孔１２４６７ｄ３に挿入される円柱体である。また、軸部１
２４６７ｅ３の突設先端面には、軸部１２４６７ｅ３の挿入側と反対側から連結孔１２４
６７ｃ２に挿入されるネジを螺合可能な孔が形成される。よって、軸部１２４６７ｅ３を
連結孔１２４６７ｃ２及び挿通孔１２４６７ｄ３に挿入した状態で、軸部１２４６７ｅ３
の挿入先端面にネジを締結することで、第１片１２４６７ｃ、第２片１２４６７ｄ及び第
３片１２４６７ｅを連結することができると共に、第３片１２４６７ｅを第１片１２４６
７ｃに対して回転可能な状態にできる。
【１１６３】
連結軸１２４６７ｅ４は、上述したように、第２片１２４６７ｄの凹設部１２４６７ｄ
２に挿入される。これにより、第２片１２４６７ｄが第１片１２４６７ｃに対して軸部１
２４６７ｅ３を中心に回転変位した際に、連結軸１２４６７ｅ４を第２片１２４６７ｄの
変位に伴って変位させることができる。従って、第３片１２４６７ｅを第２片１２４６７
ｄの変位に伴って変位させることができる。
【１１６４】
次いで、図１５５を参照して、第１２実施形態における球受部１２４６７の変位につい
て詳しく説明する。図１５５（ａ）及び図１５５（ｂ）は、下変位部材１２４４０の正面
図であり、図１５５（ｃ）は、図１５５（ｂ）のＣＬＶｃ−ＣＬＶｃ線における下変位部
材１２４４０の断面模式図である。なお、図１５５（ａ）及び図１５５（ｂ）では、下変
位部材１２４４０の一部および発光体１１４９１ａが鎖線で図示される。また、図１５５
（ａ）では、遊技球が球受部１２４６７に受け入れられる前（保持される前）の状態が図
示され、図１５５（ｂ）では、遊技球が球受部１２４６７に受け入られた（保持された）
状態が図示される。
【１１６５】
図１５５に示すように、球受部１２４６７は、遊技球が第１片１２４６７ｃ及び第２片
１２４６７ｄの対向間に受け入れられる前の状態では、第３片１２４６７ｅの荷重により
第２片１２４６７ｄが第１片１２４６７ｃ側に近づいた状態とされ、第３片１２４６７ｅ
が、球受部１２４６７の背面側に配設される発光体１１４９１ａよりも下方に位置される
。従って、球受部１２４６７に遊技球が受け入れられる前では、発光体１１４９１ａから
照射される光を遊技者側に出射することができる。
【１１６６】
一方、第１片１２４６７ｃ及び第２片１２４６７ｄの対向間に遊技球が受け入れられる
と、受け入れられた遊技球は、第１片１２４６７ｃ及び第２片１２４６７ｄの受入面（正
面視Ｕ字に形成される内側の側面）を転動して、その受入面の最下端に位置する凹部１２
４６７ｃ３に案内される。これにより、遊技球の外面で第２片１２４６７ｄを軸部１２４
６７ｅ３を中心に第１片１２４６７ｃから離間する方向に回転させることができる。その
結果、第２片１２４６７ｄの変位に伴って移動する第３片１２４６７ｅを球受部１２４６
７の背面側に配設される発光体１１４９１ａの正面側（矢印Ｆ方向側）に配置することが
できる。
【１１６７】
従って、発光体１１４９１ａから出射される光を第３片１２４６７ｅの遮蔽板１２４６
７ｅ１により遮蔽することができる。その結果、球受部１２４６７に遊技球が受け入れら
れた場合にのみ、発光体１１４９１ａから出射される光を遮蔽しやすくできるので、下変
位部材１２４４０に受け入れられた遊技球の位置を発光体１１４９１ａの光を遮蔽する影
の位置で遊技者に認識させることができる。
【１１６８】
また、第２片１２４６７ｄは、凹設部１２４６７ｄ２に連結軸１２４６７ｅ４が挿入さ
れて、第３片１２４６７ｅの荷重が常に作用される。第３片１２４６７ｅの重心Ｇ（図１
５４（ｂ）参照）は、第２片１２５６７ｄ及び第３片１２５６７ｅとの連結部分から、軸
部１２４６７ｅ３を挟んで反対側に設定される。これにより、第２片１２４６７ｄおよび
第３片１２４６７ｄｅに重力以外の力が作用していない状態では、第３片１２４６７ｅの
荷重により、第２片１２４６７ｄを第１片１２４６７ｃ４側に、回転させることができる
。
【１１６９】
従って、球受部１２４６７から遊技球が排出される（取り出される）と、第３片１２４
６７ｅの荷重により第２片１２４６７ｄを第１片１２４６７ｃの球受片１２４６７ｃ４側
に変位させることができる。
【１１７０】
さらに、球受部１２４６７は、第１実施形態における球受部４６７と同様に、下変位部
材１２４４０の内部をスライド変位させる動作により、軸穴１２４６７ｂを中心に回転さ
れて、下変位部材１２４４０の出射開口４７１（図６６参照）から受け入れた遊技球が外
側に排出される。
【１１７１】
ここで、球受部１２４６７に受け入れられた遊技球を排出する構造として、球受部１２
４６７のスライド移動に伴って、軸孔４６７ｂを中心に球受部１２４６７の回転させる構
造では、球受部１２４６７のスライド速度により、軸孔４６７ｂを中心とする球受部１２
４６７の回転速度が変更される。従って、球受部１２４６７のスライド速度のみに回転速
度が依存するので、球受部１２４６７からの遊技球の排出速度が安定しないという問題点
があった。
【１１７２】
これに対し、第１２実施形態では、第３片１２４６７ｅの荷重により第２片１２４６７
ｄが回転する方向と、遊技球を出射する際の軸孔４６７ｂを軸とする球受部１２４６７の
回転方向とが略同一の方向に設定されるので、出射開口４７１から出射される遊技球に第
２片１２４６７ｄが変位する際の駆動力を付与することができる。従って、球受部１２４
６７を変位させて出射開口４７１から遊技球を排出する際の球受部１２４６７から遊技球
に作用させる力を小さくしても、出射される遊技球の速度を維持することができる。その
結果、球受部１２４６７から出射される遊技球の排出速度を安定させることができる。
【１１７３】
次いで、図１５６から図１５８を参照して、第１３実施形態における特別入賞装置１３
５５０について説明する。上記第１実施形態では、特別入賞装置５５０の第１ユニット５
５１の内部に流入した遊技球の送球経路を第３経路部材５８０の第１及び第２駆動ユニッ
ト５８３，５８４により切り替える場合を説明したが、第１３実施形態では、特別入賞装
置１３５５０の送球経路の対向間隔を変更することで、特別入賞装置１３５５０の内部を
流下する遊技球の流下経路を調整する。なお、上記各実施形態と同一の部分には、同一の
符号を付してその説明は省略する。
【１１７４】
初めに、図１５６及び図１５７を参照して、第１３実施形態における特別入賞装置１３
５５０の全体構成について説明する。図１５６（ａ）は、第１３実施形態における特別入
賞装置１３５５０の正面図であり、図１５６（ｂ）は、特別入賞装置１３５５０の斜視正
面図であり、図１５６（ｃ）は、図１５６（ａ）のＣＬＶＩｃ−ＣＬＶＩｃ線における特
別入賞装置１３５５０の断面図である。図１５７は、特別入賞装置１３５５０の分解斜視
正面図である。
【１１７５】
図１５６及び図１５７に示すように、第１３実施形態における特別入賞装置１３５５０
は、正面側に配設される第１経路部材１３５６０と、その第１経路部材１３５６０の背面
側に配設される第２経路部材１３５７０と、を備える。
【１１７６】
第１経路部材１３５６０は、遊技盤１３の遊技領域の正面に沿った板状に形成される正
面板１３５６４と、その正面板１３５６４の左右の端部から背面側（ベース板６０側）に
突設される第１壁部１３５６５と、を主に備える。
【１１７７】
正面板１３５６４は、後述する第２経路部材１３５７０との対向間に形成される遊技球
の流下経路の正面側の壁部となる板部材であり、光透過部材から形成される。これにより
、遊技者は、特別入賞装置１３５５０の内部を流下する遊技球を正面板１３５６４を介し
て視認することができる。また、正面板１３５６４は、第２経路部材１３５７０側に突出
する第１凸部１３５６４ｂ、第２凸部１３５６４ｃと、その第１凸部１３５６４ｂ、第２
凸部１３５６４ｃの下方に位置し第２経路部材１３５７０側に突設される第３凸部１３５
６４ｄと、を備える。
【１１７８】
第１凸部１３５６４ｂ及び第２凸部１３５６４ｃは、特別入賞装置１３５５０の内部を
流下する遊技球を案内するための突起であり、正面板１３５６４の左右方向外側（矢印Ｌ
−Ｒ方向外側）から正面板１３５６４の左右方向中央側に向かって下降傾斜して形成され
る。
【１１７９】
第３凸部１３５６４ｄは、正面板１３５６４の左右方向（矢印Ｌ−Ｒ方向）中央に位置
し重力方向（矢印Ｕ−Ｄ方向）に延設される。なお、第１３実施形態では、遊技盤１３の
遊技領域において、特別入賞装置１３５５０の左右方向（矢印Ｌ−Ｒ方向）略中央位置の
左右で特別入賞装置１３５５０から流下する遊技球の送球経路が異なり、特別入賞装置１
３５５０の正面視左側から流下する遊技球は、第１入賞口６４（図２参照）に送球され、
送球された遊技球により、遊技者に特定の遊技価値が付与される（所定数の遊技球が払い
出される）。一方、特別入賞装置１３５５０の正面視右側から流下する遊技球は、遊技盤
１３のアウト口７１に送球され、パチンコ機１０に回収される。
【１１８０】
なお、第１３実施形態では、特別入賞装置１３５５０の左側（矢印Ｌ方向側）の下方（
矢印Ｄ方向側に第１入賞口６４が配置される。これにより、特別入賞装置１３５５０の正
面視左側から流下する遊技球を第１入賞口６４に流入させることができる。
【１１８１】
第１壁部１３５６５は、遊技盤１３のベース板６０と特別入賞装置１３５５０とを連結
する部分であり、突設先端部に左右外側に突出する連結板１３５６５ａを左右の第１壁部
１３５６５にそれぞれ２箇所ずつ備える。
【１１８２】
連結板１３５６５ａは、特別入賞装置１３５５０を遊技盤１３のベース板６０に締結す
るためのネジを挿入するための貫通孔１３５６５ａ１が貫通形成される。この貫通穴１３
５６５ａ１に挿通したネジにより、特別入賞装置１３５５０をベース板６０に締結するこ
とができる。
【１１８３】
第２経路部材１３５７０は、第１経路部材１３５６０の正面板１３５６４と対向する板
状のベース板１３５７１と、そのベース板１３５７１の左右（矢印Ｌ−Ｒ方向）の端部か
ら第１経路部材１３５６０の正面板１３５６４側に突設される第４壁部１３５７３と、を
備える。
【１１８４】
ベース板１３５７１は、第１経路部材１３５６０の正面板１３５６４との対向間の隙間
で遊技球の送球経路を形成する部材であり、正面視における外形が正面板１３５６４の外
形よりも小さく形成される。これにより、ベース板１３５７１の正面側を正面板１３５６
４で覆うことができるので、遊技者側からベース板１３５７１を視認しにくくすることが
できる。
【１１８５】
また、ベース板１３５７１は、第１経路部材１３５６０側に突出する第４凸部１３５７
１ｂ、第５凸部１３５７１ｃと、それら第４凸部１３５７１ｂ及び第５凸部１３５７１ｃ
の下方に位置し正面板１３５６４側に突設される第６凸部１３５７１ｄと、を主に備える
。
【１１８６】
第４凸部１３５７１ｂ及び第５凸部１３５７１ｃは、特別入賞装置１３５５０の内部を
流下する遊技球を案内するための突起であり、ベース板１３５７１の左右方向外側（矢印
（Ｌ−Ｒ方向外側）からベース板１３５７１の中央側に向かって下降傾斜して形成される
。
【１１８７】
第６凸部１３５７１ｄは、上述した第３凸部１３５６４ｄと対向する位置に形成されて
おり、第３凸部１３５６４ｄの先端と所定の隙間を有する長さに形成される。なお、第３
凸部１３５６４ｄと、第６凸部１３５７１ｄとの対向間の隙間は、遊技球の直径よりも小
さい寸法に設定される。
【１１８８】
第４壁部１３５７３は、第１経路部材１３５６０を挿通したネジを締結するための締結
孔１３５７３ａが左右の第４壁部１３５７３のそれぞれに２箇所ずつ穿設される。これに
より、第１経路部材１３５６０と第２経路部材１３５７０とが締結固定される。
【１１８９】
また、第４壁部１３５７３の締結孔１３５７３ａの周囲には、第１経路部材１３５６０
と第２経路部材１３５７０との対向間の隙間を調整するシム部材ＳＩが配設される。
【１１９０】
シム部材ＳＩは、薄い板状の透明材料から形成されており、遊技者側から視認されにく
くされる。また、本実施形態では、シム部材ＳＩは、正面視左側の端部に配設され、正面
視左側の正面板１３５６４とベース板１３５７１の対向間の間隔が大きくされる。
【１１９１】
次いで、図１５８を参照して、第１３実施形態における特別入賞装置１３５５０の内部
を流下する遊技球について説明する。図１５８（ａ）は、特別入賞装置１３５５０の上面
図であり、図１５８（ｂ）は、図１５８（ａ）のＣＬＶＩＩＩｂ−ＣＬＶＩＩＩｂ線にお
ける特別入賞装置１３５５０の断面図である。
【１１９２】
図１５８に示すように、特別入賞装置１３５５０は、正面視左側の端部にシム部材ＳＩ
が配設され、正面視左側における正面板１３５６４とベース板１３５７１との対向間の間
隔Ｌ１４（図１５８（ａ）参照）が、正面視右側における正面板１３５６４とベース板１
３５７１との対向間の間隔Ｌ１５（図１５８（ａ）参照）よりも大きく設定される（Ｌ１
４＞Ｌ１５）。
【１１９３】
なお、間隔Ｌ１４は、正面板１３５６４とベース板１３５７１とが対向する位置におけ
る左側（矢印Ｌ方向側）端部の間隔である。また、間隔Ｌ１５は、正面板１３５６４とベ
ース板１３５７１とが対向する位置における右側（矢印Ｒ方向側）端部の間隔である。さ
らに、間隔Ｌ１５は、遊技球の直径よりも大きく設定されており、特別入賞装置１３５５
０の上方から流下する遊技球を左右方向のどの位置からでも特別入賞装置１３５５０の内
部に流入させることができる（Ｌ１４＞Ｌ１５＞遊技球の直径）。
【１１９４】
また、特別入賞装置１３５５０は、第３凸部１３５６４ｄ及び第６凸部１３５７１ｄに
より下流側が左右に区画される。これにより、特別入賞装置１３５５０の上流側の主経路
ＳＫ１（図１５８（ｂ）参照）を流下する遊技球は、特別入賞装置１３５５０の正面視左
側に形成される主経路ＳＫ２と、正面視右側に形成される副経路ＨＫ１とのどちらか一方
に流入される。なお、上述したように、特別入賞装置１３５５０の下流側の遊技領域は、
特別入賞装置１３５５０の左右方向の略中央位置で送球経路が異なって形成されている。
従って、主経路ＳＫ２から遊技領域に送球される遊技球は、特定の入賞口に送球され、副
経路ＨＫ１から遊技領域に送球される遊技球は、遊技板１３のアウト口７１に送球される
。
【１１９５】
さらに、上述した正面板１３５６４の第１凸部１３５６４ｂ及び第２凸部１３５６４ｃ
と、ベース板１３５７１の第４凸部１３５７１ｂ及び第５凸部１３５７１ｃとの突出寸法
は、略同一に設定される。即ち、正面板１３５６４から背面側に向かって突出する第１凸
部１３５６５ｂと第２凸部１３５６４ｃとは、その突出寸法が同一に設定される。また、
ベース板１３５７１から正面側に向かって突出する第４凸部１３５７１ｂと第５凸部１３
５７１ｃとは、その突出寸法が同一に設定される。さらに、第１凸部１３５６５ｂと第４
凸部１３５７１ｂとの突出寸法が同一に設定される。
【１１９６】
また、第１凸部１３５６４ｂ及び第２凸部１３５６４ｃと第４凸部１３５７１ｂ及び第
５凸部１３５７１ｃとは、上下方向の高さが異なる位置に配置される。即ち、正面板１３
５６４から背面側に向かって突出する第１凸部１３５６５ｂと第２凸部１３５６４ｃとは
、同一の高さから突出される。また、ベース板１３５７１から正面側に向かって突出する
第４凸部１３５７１ｂと第５凸部１３５７１ｃとは、同一の高さから突出される。さらに
、第１凸部１３５６５ｂと第４凸部１３５７１ｂとは、異なる高さに配置され、第４凸部
１３５７１ｂが、第１凸部１３５６５ｂよりも下方に配置される。また、重力方向２箇所
から突設される第４凸部１３５７１ｂの中間位置に、重力方向の２箇所から突設される第
１凸部１３５６５ｂの下方側が配置される。
【１１９７】
これにより、特別入賞装置１３５５０の内部を流下する遊技球を第１凸部１３５６４ｂ
及び第４凸部１３５７１ｂ又は第２凸部１３５６４ｃ及び第５凸部１３５７１ｃに順に衝
突させつつ流下させることができる。その結果、遊技球を第１凸部１３５６４ｂ及び第２
凸部１３５６４ｃと第４凸部１３５７１ｂ及び第５凸部１３５７１ｃの延設方向に沿って
流下させることができる。
【１１９８】
特別入賞装置１３５５０の正面視左側における正面板１３５６４及び第４凸部１３５７
１ｂ又は、ベース板１３５７１及び第１凸部１３５６４ｂの対向間の距離寸法Ｌ１６（図
１５８（ａ）参照）は、シム部材ＳＩにより遊技球の直径よりも大きく設定されると共に
、特別入賞装置１３５５０の正面視右側における正面板１３５６４及び第５凸部１３５７
１ｃ又は、ベース板１３５７１及び第２凸部１３５６４ｃの対向間の距離寸法Ｌ１７は、
遊技球の直径よりも小さく設定される。
【１１９９】
なお、間隔Ｌ１６は、第４凸部１３５７１ｂ及び第１凸部１３５６４ｂの第５凸部１３
５７１ｃ及び第２凸部１３５６４ｃ側（矢印Ｒ方向側）の端部における正面板１３５６４
又はベース板１３５７１との対向間の距離寸法である。また、間隔Ｌ１７は、第５凸部１
３５７１ｃ及び第２凸部１３５６４ｃの第４凸部１３５７１ｂ及び第１凸部１３５６４ｂ
側（矢印Ｌ方向側）の端部における正面板１３５６４又はベース板１３５７１との対向間
の距離寸法である。
【１２００】
さらに、第１３実施形態では、特別入賞装置１３５５０の左側（矢印Ｌ方向側）の下方
（矢印Ｄ方向側に第１入賞口６４が配置される。これにより、特別入賞装置１３５５０の
正面視左側から流下する遊技球を第１入賞口６４に流入させることができる。
【１２０１】
よって、特別入賞装置１３５５０の正面視右側（矢印Ｒ方向側）から特別入賞装置１３
５５０の主経路ＳＫ１に流入される遊技球は、第２凸部１３５６４ｃ及び第５凸部１３５
７１ｃに当接しやすくされ、第２凸部１３５６４ｃ及び第５凸部１３５７１ｃの延設方向
に沿って流下させて副経路ＨＫ１側に案内されやすくなる。一方、特別入賞装置１３５５
０の正面視左側（矢印Ｌ方向側）から特別入賞装置１３５５０の主経路ＳＫ１に流入され
る遊技球は、第１凸部１３５６４ｂ及び第４凸部１３５７１ｂに衝突し難くされ、そのま
ま副経路ＨＫ１に送球されやすくなる。その結果、特別入賞装置１３５５０の内部に流入
した遊技球の流下方向を変更することができる。
【１２０２】
なお、本実施形態では、第１凸部１３５６４ｂ、第２凸部１３５６４ｃ、第４凸部１３
５７１ｂ及び第５凸部１３５７１ｃが、第６凸部１３５７１ｄ及び第３凸部１３５６４ｄ
（主経路ＨＫ１と副経路ＳＫ６との遊技球の流入口）よりも上方（矢印Ｕ方向）に形成さ
れる。よって、主経路ＳＫ１を流下する遊技球の大半を副経路ＨＫ１に流下させることが
できると共に、副経路ＨＫ１よりも相対的に少ない個数の遊技球を主経路ＳＫ６に流下さ
せることができる。
【１２０３】
また、第１３実施形態では、第１経路部材１３５６０と第２経路部材１３５７０との対
向間をシム部材ＳＩにより調整すると共に非平行として、第１経路部材１３５６０と第２
経路部材１３５７０との対向間を流下する遊技球の位置（遊技球の流下する方向）を調整
することができる。
【１２０４】
従って、ベース板６０の正面に打ち付けられた釘のベース板６０の正面に対する角度を
変更して遊技球が流下されやすい方向を調整する場合に比べて、特別入賞装置１３５５０
の内側を流下されやすい方向を遊技者に認識させにくくすることができる。その結果、遊
技者が遊技機で遊技をする前に遊技が不利であると認識することを抑制でき、遊技機の稼
動率を向上できる。
【１２０５】
また、第１経路部材１３５６０及び第２経路部材１３５７０の対向方向の２方向（前後
方向（矢印Ｆ−Ｂ方向））を変更することのみで、特別入賞装置１３５５０の内側を流下
する遊技球の流下方向を変更できるので、遊技盤１３（ベース板６０）の正面に対して全
方向に調整可能な釘よりも、その調整を簡易にできる。その結果、調整者の意図する方向
に遊技球を流下させやすくできる。
【１２０６】
なお、調整者の意図する方向とは、例えば、副経路ＨＫ１側（矢印Ｌ方向側）の第１経
路部材１３５６０及び第２経路部材１３５７０の対向間を主経路ＳＫ６側（矢印Ｒ方向側
）の第１経路部材１３５６０及び第２経路部材１３５７０の対向間よりも大きくして、特
別入賞装置１３５５０の内側を流下する遊技球が副経路ＨＫ１に流下する、又は、主経路
ＳＫ６側（矢印Ｒ方向側）の第１経路部材１３５６０及び第２経路部材１３５７０の対向
間を副経路ＨＫ１側（矢印Ｌ方向側）の第１経路部材１３５６０及び第２経路部材１３５
７０の対向間よりも大きくして、特別入賞装置１３５５０の内側を流下する遊技球が主経
路ＳＫ６に流下することである。
【１２０７】
さらに、正面側に配設される第１経路部材１３５６０に対して、シム部材ＳＩを挟むこ
とにより背面側に配設される第２経路部材１３５７０を前後方向（矢印Ｆ−Ｂ方向）に移
動させることができるので、第１経路部材１３５６０と第２経路部材１３５７０との対向
間の距離を遊技者に認識させにくくすることができる。即ち、遊技者から遠方側に配設さ
れる第２経路部材１３５７０が前後方向に移動されるので、遊技者から近い第１経路部材
１３５６０が変位される場合に比べて、第１経路部材１３５６０と第２経路部材１３５７
０の対向間の距離を遊技者に把握されにくくすることができる。その結果、遊技機の稼動
率を向上することができる。
【１２０８】
次いで、図１５９を参照して、第１４実施形態における係合部材１４３１０について説
明する。上記第１実施形態では、係合部材３１０の操作子３１５が、背面ケース３００の
底壁部３０１側（背面側（矢印Ｂ方向側））に向かって突出して形成される場合について
説明したが、第１４実施形態における操作子１４３１５は、突出先端面が基端側に向かっ
て傾斜して形成される。なお、上記各実施形態と同一の部分には、同一の符号を付してそ
の説明は省略する。
【１２０９】
図１５９（ａ）は、第１４実施形態における背面ケース３００の背面図であり、図１５
９（ｂ）は、図１５９（ａ）のＣＬＩＸｂ−ＣＬＩＸｂ線における背面ケース３００の模
式断面図である。
【１２１０】
なお、第１４実施形態における背面ケース１４３００は、第１実施形態における背面ケ
ース３００と同様に、正面視略矩形の底壁部３０１と、その底壁部３０１の４辺の外縁か
ら正面へ向けて立設される外壁部３０２とを備え、それら各壁部３０１，３０２により一
面側（正面側）が開放された箱状に形成される。底壁部３０１には、その中央に正面視矩
形の開口３０１ａが開口形成され、その開口３０１ａを通じて、底壁部３０１の背面に配
設される第３図柄表示装置８１（図２参照）が視認可能とされる。
【１２１１】
また、第１４実施形態における背面ケース１４３００は、底壁部３０１の正面側（箱状
に形成された開放側（矢印Ｆ方向側））に配設される係合部材１４３１０と、背面ケース
１４３００の背面側（矢印Ｂ方向側）に配設され、基板ボックス１００（主制御装置１１
０）を固定する固定部材３２０と、を主に備える。
【１２１２】
図１５９に示すように、第１４実施形態における係合部材１４３１０は、正面視におけ
る外形がクランク状に形成されており、互いに平行となる方向に延設される第１片１４３
１１及び第２片３１２と、その第１片１４３１１及び第２片３１２の端部同士を第１片１
４３１１及び第２片３１２の延設方向と直交する方向に連結する第３片３１３とから構成
される。
【１２１３】
第１片１４３１１は、第３片３１３が連結される他側と反対側の一側（矢印Ｒ方向側）
の端部が、固定部材３２０の被係合部３３２（図４１（ａ）参照）との係合部分として形
成されており、第１片１４３１１の延設方向と略直交する方向である上下方向（矢印Ｕ−
Ｄ方向）の両外側に突出する係合部３１６と、その２箇所の係合部３１６の略中間位置か
ら第１片１４３１１の延設方向（矢印Ｌ−Ｒ方向）に凹設される凹部３１７と、背面ケー
ス３００の底壁部３０１側（背面側（矢印Ｂ方向側））に向かって突出する操作子１４３
１５と、を備える。
【１２１４】
操作子１４３１５は、第１片１４３１１の他側（矢印Ｌ方向側）の端部に形成され、そ
の突出寸法が、背面ケース３００の底壁部３０１の板厚よりも大きい値に設定され、少な
くとも作業者が指で掴める程度の寸法分、背面ケース１４３００（底壁部３０１）の背面
側に突出される。これにより、操作子１４３１５を底壁部３０１の第２開口部３０１ｄか
ら突出させることができると共に、その突出部分（操作子１４３１５の先端）を掴ませて
操作させることができる。
【１２１５】
また、操作子１４３１５の突出先端面は、係合部３１６側（第１片１４３１１の他側（
矢印Ｌ方向側）に向かうほど操作子１４３１５の基端側に近づく傾斜面１４３１５ａとし
て形成される。これにより、係合部材１４３１０と固定部材３２０との係合を解除する方
向（矢印Ｌ方向側）に作業者が操作子１４３１５を操作する際に、係合部材１４３１０と
固定部材３２０との係合を解除する方向に作用する力を小さくすることができる。
【１２１６】
即ち、傾斜面１４３１５ａにより作業者が操作子１４３１５を操作した力を分散するこ
とができる。これにより、背面ケース３００の背面側から操作子１４３１５を操作して係
合部材１４３１０と固定部材３２０との係合を解除し難くすることができる。その結果、
不正に固定部材３２０に配設される基板ボックス１００を交換しようとする作業者が、背
面ケース３００の背面側から操作子１４３１５を操作して、固定部材３２０を背面ケース
３００から取り外すことを抑制できる。
【１２１７】
また、傾斜面１４３１５ａの係合部３１６側の端部は、背面ケース３００の底壁部３０
１の背面よりも正面側（矢印Ｆ方向側）に配置される。これにより、係合部材１４３１０
と固定部材３２０との係合を解除する目的で操作子１４３１５を操作する作業者の手を傾
斜面１４３１５ａに当接させることができる。その結果、操作子１４３１５を操作し難く
して、固定部材３２０に配設される基板ボックス１００を不正に交換しようとする作業者
が、背面ケース３００の背面側から操作子１４３１５を操作して、固定部材３２０を背面
ケース３００から取り外すことを抑制できる。
【１２１８】
次いで、図１６０（ａ）を参照して、第１５実施形態における係合部材１５３１０につ
いて説明する。上記第１実施形態では、係合部材３１０の操作子３１５は、背面ケース３
００の底壁部３０１側（背面側（矢印Ｂ方向側））に向かって突出して形成される場合に
ついて説明したが、第１５実施形態における操作子１５３１５は、係合部材１５３１０の
第１片１５３１１に軸支される。なお、上記各実施形態と同一の部分には、同一の符号を
付してその説明は省略する。
【１２１９】
図１６０（ａ）は、第１５実施形態における背面ケース３００の模式断面図である。な
お、図１６０（ａ）の断面は、図１５９（ｂ）の断面と対応する。
【１２２０】
なお、第１５実施形態における背面ケース１５３００は、第１実施形態における背面ケ
ース３００と同様に、正面視略矩形の底壁部３０１と、その底壁部３０１の４辺の外縁か
ら正面へ向けて立設される外壁部３０２とを備え、それら各壁部３０１，３０２により一
面側（正面側）が開放された箱状に形成される。底壁部３０１には、その中央に正面視矩
形の開口３０１ａ（図５参照）が開口形成され、その開口３０１ａを通じて、底壁部３０
１の背面に配設される第３図柄表示装置８１（図２参照）が視認可能とされる。
【１２２１】
また、第１５実施形態における背面ケース１５３００は、底壁部３０１の正面側（箱状
に形成された開放側（矢印Ｆ方向側））に配設される係合部材１５３１０と、背面ケース
１５３００の背面側（矢印Ｂ方向側）に配設され、基板ボックス１００（主制御装置１１
０）を固定する固定部材３２０（図４１参照）と、を主に備える。
【１２２２】
図１６０（ａ）に示すように、第１５実施形態における係合部材１５３１０は、正面視
における外形がクランク状に形成されており、互いに平行となる方向に延設される第１片
１５３１１及び第２片３１２（図４１参照）と、その第１片１４３１１及び第２片３１２
の端部同士を第１片１５３１１及び第２片３１２の延設方向と直交する方向に連結する第
３片３１３（図４１参照）とから構成される。
【１２２３】
第１片１５３１１は、第３片３１３が連結される他側（矢印Ｌ方向側）と反対側の一側
（矢印Ｒ方向側）の端部が、固定部材３２０の被係合部３３２（図４１（ａ）参照）との
係合部分として形成されており、第１片１５３１１の延設方向と略直交する方向である上
下方向（矢印Ｕ−Ｄ方向）の両外側に突出する係合部３１６（図４１参照）と、その２箇
所の係合部３１６の略中間位置から第１片１５３１１の延設方向（矢印Ｌ−Ｒ方向）に凹
設される凹部３１７（図４１参照）と、背面ケース３００の第２開口部３０１ｄに挿通さ
れる操作子１５３１５と、その操作子１５３１５が軸支される軸受部１５３１９と、を主
に備える。
【１２２４】
軸受部１５３１９は、第１片１５３１１の第３片３１３が連結される他側（矢印Ｌ方向
側）に第１片１５３１１から突設される。また、軸受部１５３１９は、後述する操作子１
５３１５を重力方向（矢印Ｕ−Ｄ方向）に挿通した円柱状の軸部材１５３１５ｃが挿入さ
れる凹部が形成される。
【１２２５】
操作子１５３１５は、棒状に形成されると共に、第１片１５３１１側の端部に重力方向
に貫通する貫通孔１５３１５ｂと、その貫通孔１５３１５ｂに挿入される軸部材１５３１
５ｃと、を備える。
【１２２６】
よって、操作子１５３１５は、貫通孔１５３１５ｂに挿入された軸部材１５３１５ｃが
、軸受部１５３１９の凹部に挿入されることで、第１片１５３１１に対して回転変位可能
な状態で保持される。また、操作子１５３１５の回転軸（軸部材１５３１５ｃ）は、第１
片１５３１１よりも正面側に配置される。これにより、図１６０（ａ）に示す状態の操作
子１５３１５の上方視における右方向（時計回り）の回転を第１片１５３１１の他側の端
部に当接させて規制することができると共に、左方向（反時計回り）の回転を許容するこ
とができる。
【１２２７】
よって、係合部材１５３１０と固定部材３２０との係合を解除する方向（矢印Ｌ方向側
）に作業者が操作子１５３１５を操作する際（図１６０（ａ）に示す状態の操作子１５３
１５を反時計周りに回転させる際）に、係合部材１５３１０と固定部材３２０との係合を
解除する方向（矢印Ｌ方向）に作用する力を小さくすることができる。これにより、背面
ケース３００の背面側から操作子１５３１５を操作して係合部材１５３１０と固定部材３
２０との係合を解除しにくくすることができる。その結果、固定部材３２０に配設される
基板ボックス１００を不正に交換しようとする遊技者が、背面ケース３００の背面側から
操作子１５３１５を操作して、固定部材３２０を背面ケース３００から取り外すことを抑
制できる。
【１２２８】
次いで、図１６０（ｂ）を参照して、第１６実施形態における係合部材１５３１０につ
いて説明する。上記第１実施形態では、係合部材３１０のスライド操作を操作子３１５に
より行われる場合について説明したが、第１６実施形態では、係合部材１６３１０の第１
片１６３１１の端部が操作されることで行われる。なお、上記各実施形態と同一の部分に
は、同一の符号を付してその説明は省略する。
【１２２９】
図１６０（ｂ）は、第１６実施形態における背面ケース３００の模式断面図である。な
お、図１６０（ｂ）の断面は、図１６０（ａ）の断面と対応する。また、第１６実施形態
における背面ケース１６３００は、第１実施形態における背面ケース３００と同様に、正
面視略矩形の底壁部３０１と、その底壁部３０１の４辺の外縁から正面へ向けて立設され
る外壁部３０２とを備え、それら各壁部３０１，３０２により一面側（正面側）が開放さ
れた箱状に形成される。底壁部３０１には、その中央に正面視矩形の開口３０１ａ（図５
参照）が開口形成され、その開口３０１ａを通じて、底壁部３０１の背面に配設される第
３図柄表示装置８１（図２参照）が視認可能とされる。
【１２３０】
さらに、第１６実施形態における背面ケース１６３００は、底壁部３０１の正面側（箱
状に形成された開放側（矢印Ｆ方向側））に配設される係合部材１６３１０と、背面ケー
ス１６３００の背面側（矢印Ｂ方向側）に配設され、基板ボックス１００（主制御装置１
１０）を固定する固定部材３２０（図４１参照）と、を主に備える。
【１２３１】
図１６０（ｂ）に示すように、第１６実施形態における係合部材１６３１０は、正面視
における外形がクランク状に形成されており、互いに平行となる方向に延設される第１片
１６３１１及び第２片３１２（図４１参照）と、その第１片１６３１１及び第２片３１２
の端部同士を第１片１６３１１及び第２片３１２の延設方向と直交する方向に連結する第
３片３１３（図４１参照）とから構成される。また、第１６実施形態における係合部材１
６３１０は、背面ケース３００に形成される第２開口部３０１ｄに背面側から挿通させた
指によりスライド変位可能とされる。
【１２３２】
第１片１６３１１は、第３片３１３が連結される他側（矢印Ｌ方向側）と反対側の一側
（矢印Ｒ方向側）の端部が、固定部材３２０の被係合部３３２（図４１参照）との係合部
分として形成されており、第１片３１１の延設方向と略直交する方向である上下方向（矢
印Ｕ−Ｄ方向）の両外側に突出する係合部３１６（図４１参照）と、その２箇所の係合部
３１６の略中間位置から第１片１６３１１の延設方向（矢印Ｌ−Ｒ方向）に凹設される凹
部３１７（図４１参照）と、を主に備える。
【１２３３】
図１６０（ｂ）に示すように、係合部材１６３１０の係合部３１６と固定部材３２０の
被係合部３３２とが係合した状態では、第１片１６３１１の他側（矢印Ｌ方向側）の端部
が第２開口部３０１ｄの開口に対して水平方向外側に配置される。従って、係合部材１６
３１０と固定部材３２０との係合を解除する方向（矢印Ｌ方向側）に作業者が係合部材１
６３１０を操作する際には、背面ケース３００の第２開口部３０１ｄから挿入する指で、
係合部材１６３１０と固定部材３２０との係合を解除する方向に係合部材１６３１０を変
位させにくくすることができる。その結果、固定部材３２０に配設される基板ボックス１
００を交換しようとしてする作業者が、背面ケース３００の背面側から係合部材１６３１
０を不正に操作して、固定部材３２０を背面ケース３００から取り外すことを抑制できる
。
【１２３４】
次いで、図１６１を参照して、第１７実施形態における背面ケース１７３００について
説明する。上記第１実施形態では、背面ケース３００の第２開口部３０１ｄから、係合部
材３１０の操作子３１５が突出する場合について説明したが、第１７実施形態では、背面
ケース１７３００の第２開口部３０１ｄから突出する操作子３１５が、所定の位置で背面
ケースの一部に覆われる。なお、上記各実施形態と同一の部分には同一の符号を付してそ
の詳しい説明を省略する。
【１２３５】
図１６１（ａ）は、第１７実施形態における背面ケース１７３００の背面図であり、図
１６１（ｂ）は、図１６１（ａ）のＣＬＸＩｂ−ＣＬＸＩｂ線における背面ケース１７３
００の断面図である。
【１２３６】
図１６１に示すように、第１７実施形態における背面ケース１７３００は、正面視略矩
形の底壁部１７３０１と、その底壁部１７３０１の４辺の外縁から正面へ向けて立設され
る外壁部３０２とを備え、それら各壁部１７３０１，３０２により一面側（正面側）が開
放された箱状に形成される。底壁部１７３０１には、その中央に正面視矩形の開口３０１
ａが開口形成され、その開口３０１ａを通じて、底壁部１７３０１の背面に配設される第
３図柄表示装置８１（図２参照）が視認可能とされる。
【１２３７】
また、背面ケース１７３００は、底壁部１７３０１に正面側の２箇所から突設される突
設部３０１ｂと、固定部材３２０と対向する位置に開口する第１開口部３０１ｃと、係合
部材３１０と対向する位置に開口する第２開口部３０１ｄと、その第２開口部３０１ｄの
第１開口部３０１ｃ側（矢印Ｒ方向側）の背面を覆設する覆設部１７３０１ｅと、を備え
る。
【１２３８】
覆設部１７３０１ｅは、第２開口部３０１ｄの第１開口部３０１ｃ側（矢印Ｒ方向側）
の端部から背面側（矢印Ｂ方向側）に向かって立設される。また、覆設部１７３０１ｅは
立設先端部が背面視における第２開口部３０１ｄの開口の内側に向かって屈曲する屈曲部
１７３０１ｅ１を備える。これにより、覆設部１７３０１ｅは、第１開口部３０１ｃ側（
矢印Ｒ方向側）と反対側（矢印Ｌ方向側）が開口する箱形状に形成される。
【１２３９】
また、覆設部１７３０１ｅの立設距離（底壁部１７３０１ｃの背面から屈曲部１７３０
１ｅ１の正面との間の距離）は、底壁部１７３０１ｃから突出する操作子３１５の突出寸
法よりも大きく設定される。さらに、覆設部１７３０１ｅは、背面視における屈曲部１７
３０１ｅ１の左右方向（矢印Ｌ−Ｒ方向）の寸法が、背面視における操作子３１５の左右
方向の寸法よりも大きく設定される。
【１２４０】
これにより、係合部材３１０の係合部３１６と固定部材３２０の被係合部３３２とが係
合した状態では、図１６１（ｂ）に示すように、操作子３１５が覆設部材１７３０１ｅの
内側に配置される。従って、係合部材３１０と固定部材３２０との係合を解除する方向（
矢印Ｌ方向側）に係合部材３１０を作業者が操作する際に、背面ケース１７３００の背面
側から操作子３１５を掴みにくくすることができる。これにより、係合部材３１０と固定
部材３２０との係合を解除する方向（矢印Ｌ方向側）に係合部材３１０が変位されること
を抑制できる。その結果、固定部材３２０に配設される基板ボックス１００を不正に交換
しようとしてする作業者（遊技者）が、背面ケース１７３００の背面側から係合部材３１
０を操作して、固定部材３２０を背面ケース１７３００から取り外すことを抑制できる。
【１２４１】
次いで、図１６２から図１６４を参照して、第１８実施形態における背面ケース１８３
００について説明する。上記第１実施形態では、係合部材３１０が、直線方向（矢印Ｌ−
Ｒ方向）にスライド変位される場合について説明したが、第１８実施形態における係合部
材１８３１０は、背面ケース１８３００に対して回転変位される。なお、上記各実施形態
と同一の部分については、同一の符号を付してその詳しい説明を省略する。
【１２４２】
初めに、図１６２及び図１６３を参照して、第１８実施形態における背面ケース１８３
００の構成および係合部材１８３１０の操作について説明する。図１６２（ａ）及び図１
６３（ａ）は、第１８実施形態における背面ケース１８３００の正面図であり、図１６２
（ｂ）及び図１６３（ｂ）は、背面ケース１８３００の背面図である。なお、図１６２（
ａ）及び図１６２（ｂ）では、係合部材１８３１０と固定部材１８３２０とが係合した状
態が図示され、図１６３（ａ）及び図１６３（ｂ）では、係合部材１８３１０と固定部材
１８３２０との係合が解除された状態が図示される。
【１２４３】
図１６２及び図１６３に示すように、第１８実施形態における背面ケース１８３００は
、正面視略矩形の底壁部１８３０１と、その底壁部１８３０１の４辺の外縁から正面へ向
けて立設される外壁部１８３０２とを備え、それら各壁部１８３０１，１８３０２により
一面側（正面側）が開放された箱状に形成される。また、背面ケース１８３００は、底壁
部１８３０１の正面側（箱状に形成された開放側（矢印Ｆ方向側））に配設される係合部
材１８３１０と、背面ケース１８３００の背面側に配設され、基板ボックス１００（主制
御装置１１０）を固定する固定部材１８３２０と、を備える。
【１２４４】
底壁部１８３０１は、その中央に正面視矩形の開口３０１ａが開口形成され、その開口
３０１ａを通じて、底壁部１８３０１の背面に配設される第３図柄表示装置８１（図２参
照）が視認可能とされる。また、底壁部１８３０１は、固定部材１８３２０と対向する位
置に開口する第１開口部１８３０１ｃと、その第１開口部１８３０１ｃの下方（矢印Ｄ方
向）に位置し、正面側に突出する突設部１８３０１ｂと、を備える。
【１２４５】
第１開口部１８３０１ｃは、後述する固定部材１８３２０の被係合部１８３３２を挿通
するための開口であり、正面視において被係合部１８３３２よりも大きい形状に形成され
る。これにより、背面ケース１８３００の内側に役物装置（回転ユニット７００）を配設
した後で、背面ケース１８３００の背面側から固定部材１８３２０の係合部分を背面ケー
ス１８３００の正面側に配置することができる。
【１２４６】
突設部１８３０１ｂは、後述する係合部材１８３１０を軸支する部材であり、底壁部１
８３０１ｂの正面から円柱状に突設される。また、突設部１８３０１ｂの突設先端面には
、ネジを螺合する孔が凹設される。これにより、係合部材１８３１０を背面ケース１８３
００に配設した状態で、突設部１８３０１ｂにネジを螺合することで、係合部材１８３１
０が突設部１８３０１ｂから抜け出ることを規制できる。
【１２４７】
外壁部１８３０２は、正面視において右側（矢印Ｒ方向側）の側面に左右方向（矢印Ｌ
−Ｒ方向）に開口する開口部１８３０２ａを備える。開口部１８３０２ａは、後述する係
合部材１８３１０の回転軌跡上に形成される。これにより、係合部材１８３１０を背面ケ
ース１８３００の内側に配設した後に、係合部材１８３１０を回転させることで係合部材
１８３１０を背面ケース１８３００の外側に突出させることができる。
【１２４８】
固定部材１８３２０は、後述する係合部材１８３１０と係合する介設部材１８３３０と
、その介設部材１８３３０に締結される軸支部材３４０と、から構成される。
【１２４９】
介設部材１８３３０は、正面側が開放する箱状に形成され、他側（矢印Ｌ方向側）の側
面に突設される係止部１８３３１と、一側（矢印Ｒ方向側）の側面から背面ケース３００
側に突出して枠状に形成される被係合部１８３３２と、箱状の底面（矢印Ｂ方向側の側面
）に円形状に開口する挿通孔３３３（図３９（ｂ）参照）と、背面から突出する突部３３
４と、を主に備える。
【１２５０】
係止部１８３３１は、固定部材３２０の他側（矢印Ｌ方向側）を底壁部１８３０１に係
合させるための開口を備え、その開口に上述した第１開口部１８３０１ｃの周囲から断面
Ｌ字状に突設される突壁１８３０１ｃ１が挿通されることで底壁部１８３０１に係合され
る。
【１２５１】
これにより、介設部材１８３３０（固定部材１８３２０）を背面ケース１８３００に配
設する際に、介設部材１８３３０の係止部１８３３１に突壁１８３０１ｃ１を挿通させて
介設部材１８３３０の他側（矢印Ｌ方向側）を背面ケース１８３００に対して係止するこ
とができる。
【１２５２】
被係合部１８３３２は、係合部材１８３１０と係合する部分であり、背面ケース１８３
００側（矢印Ｆ方向側）への突出寸法が、背面ケース１８３００に配設される係合部材１
８３１０を超える寸法に設定され、囲われる空間の正面側（矢印Ｆ方向側）の内面から底
壁部１８３０１の正面までの距離寸法が、係合部材１８３１０の正面から底壁部１８３０
１の正面までの距離よりも大きく設定される。これにより、被係合部１８３３２により囲
われる空間と係合部材１８３１０とが、前後方向（矢印Ｆ−Ｂ方向）において重なる位置
に配置される。
【１２５３】
係合部材１８３１０は、正面視略Ｌ字状に形成されており、背面ケース１８３００の突
設部１８３０１ｂに軸支される第２片１８３１２と、その第２片１８３１２の一方の端部
から屈曲して形成される第１片１８３１１と、から構成される。
【１２５４】
第２片１８３１２は、第１片１８３１１が形成される側と反対側の端部に前後方向（矢
印Ｆ−Ｂ方向）に円形状に開口される軸支孔１８３１２ａを備える。軸支孔１８３１２ａ
は、上述した背面ケース１８３００の突設部１８３０１ｂが挿入される孔であり、これに
より、係合部材１８３１０を背面ケース１８３００の内側に軸支した状態で配設できる。
【１２５５】
第１片１８３１１は、上述した軸支孔１８３１２ａの軸を中心として円弧状に延設され
る。これにより、係合部材１８３１０を軸支孔１８３１２ａの軸を中心として回転させた
際に第１片１８３１１の変位領域を最小とすることができる。また、第１片１８３１１は
、第２片１８３１２との連結側と反対側の端部に、軸支孔１８３１２ａから径方向の両側
に突出する係合部１８３１６と、その２箇所の係合部３１６の略中間位置から第１片１８
３１１の延設方向に凹設される凹部１８３１７と、を備える。
【１２５６】
２箇所の係合部１８３１６は、正面視における外形が略三角形状に形成される。また、
２箇所の係合部１８３１６の一方の係合部１８３１６は、第２片１８３１２との連結部と
反対側の端部から第２片１８３１２との連結部側に向かう程、第１片１８３１１の径方向
外側に突出する外形に形成される。２箇所の係合部１８３１６の他方の係合部１８３１６
は、第２片１８３１２との連結部と反対側の端部から第２片１８３１２との連結部側に向
かう程、第１片１８３１１の径方向内側に突出する外形に形成される。
【１２５７】
凹部１８３１７は、第１片１８３１１の厚み方向に切り欠いて形成されると共に、第１
片１８３１１の第２片１８３１２との連結側と反対側の端部から、第１片１８３１１の延
設方向に沿って第２片１８３１２との連結側に向かって凹設される。よって、第１片１８
３１１の端部が二股に分割される。これにより、第１片１８３１１の第２片１８３１２と
の連結側と反対側の端部を、第２片１８３１２との連結側よりも弾性変形させやすくして
、係合部材１８３１０を固定部材１８３２０と係合させやすくできる。
【１２５８】
次いで、係合部材１８３１０と固定部材１８３２０との係合について説明する。図１６
３に示すように、介設部材１８３３０及び軸支部材３４０は、係合部材１８３１０との係
合前に介設部材１８３３０側から挿入されるネジにより締結されて組み合わされる。
【１２５９】
また、係合部材１８３１０は、上述したように背面ケース１８３００の突設部１８３０
１ｂに軸支された状態で配設され、第１片１８３１１と第２片１８３１２との連結部が、
背面ケース１８３００の開口部１８３０２ａから突出された状態で配設される。
【１２６０】
なお、背面ケース１８３００に軸支された係合部材１８３１０は、重心が背面ケース１
８３００の突設部１８３０１ｂよりも開口部１８３０２ａ側に位置しており、外部の力が
作用していない状態では、重力により第１片１８３１１と第２片１８３１２との連結部が
背面ケース１８３００の開口部１８３０２ａから突出する方向に回転される力が、係合部
材１８３１０に作用される。これにより、係合部材１８３１０と固定部材１８３２０との
係合が不完全であった場合に、係合部材１８３１０を背面ケース１８３００の外側に突出
させて、係合部材１８３１０と固定部材１８３２０との係合の忘れを防止することができ
る。
【１２６１】
締結された状態の介設部材１８３３０及び軸支部材３４０（固定部材１８３２０）は、
介設部材１８３３０の係止部１８３３１に第１開口部１８３０１ｃの周囲から突設される
突壁１８３０１ｃ１が挿入されて、固定部材１８３２０の正面視左側（矢印Ｌ方向側）が
背面ケース１８３００に係止される。この場合、固定部材１８３２０の被係合部１８３３
２が、第１開口部１８３０１ｃの内側に挿入され、その被係合部１８３３２に囲われた空
間が係合部材１８３１０の第１片１８３１１の先端と対向する位置に配設される。
【１２６２】
次に、係合部材１８３１０を固定部材１８３２０に係合させる作業者は、背面ケース１
８３００の開口部１８３０２ａから突出した係合部材１８３１０（第１片１８３１１と第
２片１８３１２との連結部）を背面ケース１８３００の内側（矢印Ｒ１方向側）に押し込
む（図１６３参照）ことで、係合部材１８３１０を突設部１８３０１ｂを中心に回転させ
る。
【１２６３】
これにより、図１６２に示すように、係合部材１８３１０の先端を、被係合部１８３３
２の内部空間に挿入できる。この場合、２箇所の係合部１８３１６の外側端部同士の離間
寸法は、被係合部１８３３２の内部空間の上下方向の開口寸法よりも大きく設定されるが
、係合部材１８３１０の凹部１８３１７により、第１片１８３１１が弾性変形させやすく
されるので、第１片１８３１１の端部を凹部１８３１７の内側に弾性変形させて、２箇所
の係合部１８３１６の外側端部同士の離間寸法を、被係合部１８３３２の内部空間の上下
方向の開口寸法よりも小さくして第１片１８３１１の端部を被係合部１８３３２の内側に
挿入できる。
【１２６４】
また、係合部材１８３１０の第１片１８３１１と第２片１８３１２との連結部分は、背
面ケース１８３００の開口部１８３０２ａの内側に挿入されるので、係合部材１８３１０
が、係合された状態で係合部材１８３１０が背面ケース１８３００の外側から操作される
ことを抑制できる。その結果、係合部材１８３１０が不正に操作されて、固定部材１８３
２０に連結される基板ボックス１００（主制御装置１１０）が不正な基板に交換されるこ
とを抑制できる。
【１２６５】
次に、第１８実施形態における係合部材１８３１０と固定部材１８３２０との係合の解
除は、について説明する。図１６３（ａ）に示すように、第１開口部１８３０１ｃは、正
面視略Ｌ字状に開口されており、固定部材１８３２０の被係合部１８３３２と係合状態に
おける係合部材１８３１０の凹部１８３１７が、第１開口部１８３０１ｃを介して背面ケ
ース１３００の背面側（矢印Ｂ方向側）から操作可能とされる。
【１２６６】
よって、係合部材１８３１０の凹部１８３１７の外側部分を、専用の工具等で凹部１８
３１７の凹設側に弾性変形させることで、係合部材１８３１０の係合部１８３１６と被係
合部１８３３２との係合が解除される。この係合を解除した状態で、係合部材１８３１０
を被係合部１８３３２により係合される内部空間から引き出す方向（矢印Ｌ方向）に変位
させた後、係合部材３１０の変形を戻すことで、係合部材１８３１０と被係合部１８３３
２との係合を解除することができる。
【１２６７】
なお、係合部材１８３１０の凹部１８３１７の外側部分と第１開口部１８３０１ｃとの
隙間は、なるべく小さく形成されることが好ましい。これによれば、背面ケース３００か
ら固定部材１８３２０を取り外す人の指を挿入不可能にできると共に、専用の工具の挿入
は可能とされる。その結果、専用の工具を有する作業者のみに基板ボックス１００（主制
御装置１１０）を交換可能とさせることができ、不正な基板ボックス１００に交換される
ことを抑制できる。
【１２６８】
次いで、図１６４を参照して、係合部材１８３１０を固定部材１８３２０に係合し忘れ
た場合についての説明をする。図１６４（ａ）は、遊技盤１３の模式上面図であり、図１
６４（ｂ）は、パチンコ機１０の模式上面図である。なお、図１６４（ａ）及び図１６４
（ｂ）では、係合部材１８３１０を被係合部１８３３２に係合し忘れた状態が図示される
。また、図１６４（ａ）及び図１６４（ｂ）では、正面視において枠状に形成される外枠
１１の上方側の一片を取り外した状態が図示される。
【１２６９】
上述したように、係合部材１８３１０と被係合部１８３３２との係合が不完全であった
場合に、重力により係合部材１８３１０を背面ケース１８３００の外側に突出させること
ができる。この場合、遊技盤１３の左右方向（矢印Ｌ−Ｒ方向）における係合部材１８３
１０の端部から背面ケース１８３００の右側（矢印Ｒ方向側）の端部までの距離寸法ＬＲ
１（図１６４（ａ）参照）が、遊技盤１３が配設される外枠１１の左右方向における内側
の左右方向寸法ＬＲ２（図１６４（ｂ）参照）よりも大きく設定される。これにより、係
合部材１８３１０と固定部材１８３２０とが非係合の場合に、遊技盤１３を外枠１１の内
側に挿入しようとすると、係合部材１８３１０の背面側を外枠１１の正面に当接させるこ
とができる。その結果、係合部材１８３１０と固定部材１８３２０とが非係合の場合に、
遊技盤１３が外枠１１に配設されることを抑制して、係合部材１８３１０と固定部材１８
３２０との係合の忘れを抑制することができる。
【１２７０】
次いで、図１６５及び図１６６を参照して、第１９実施形態における係合部材１９３１
０について説明する。上記第１８実施形態では、外枠１１の内側に係合部材１８３１０を
配置して係合部材１８３１０が不正に操作されることを抑制したが、第１９実施形態では
、係合部材１９３１０の解除方向への回転を規制して、係合部材１８３１０が不正に操作
されることを抑制する。なお、上記各実施形態と同一の部分については、同一の符号を付
してその詳しい説明を省略する。
【１２７１】
図１６５は、第１９実施形態における係合部材１９３１０の分解斜視正面図である。図
１６６（ａ）は、背面ケース１８３００の正面図であり、図１６６（ｂ）は、図１６５の
ＣＬＸＶＩｂ−ＣＬＸＶＩｂ線におけるワンウェイ１９３５０の断面図である。
【１２７２】
図１６５に示すように、第１９実施形態における係合部材１９３１０は、正面視略Ｌ字
状に形成されており、背面ケース１９３００に対して回転軸を有する第２片１９３１２と
、その第２片１９３１２の一方の端部から屈曲して形成される第１片１８３１１と、から
構成される。
【１２７３】
第２片１９３１２は、第１片１８３１１が形成される側と反対側の端部に前後方向（矢
印Ｆ−Ｂ方向）に円形状に開口する嵌合孔１９３１２ｂを備える。嵌合孔１９３１２ｂは
、後述するワンウェイ１９３５０が嵌合される孔であり、ワンウェイ１９３５０の外輪１
９３５１と略同一の内径に形成される。
【１２７４】
ワンウェイ１９３５０は、外周面にカム面が形成される内輪１９３５２と、その内輪１
９３５２との外側を囲む円環状に形成される外輪１９３５１と、それら外輪１９３５１及
び内輪１９３５２の間に配設される複数のスプリング１９３５３及びローラ１９３５４と
、を備え（図１６６（ｂ）参照）、外輪１９３５１に対して内輪１９３５２が一方向に回
転しようとするとカム面とローラ１９３５４との接触面圧が高くなり、抵抗となって外輪
への動力を伝達し、外輪１９３５１に対して内輪が他方向に回転すると、カム面とローラ
１０３５４との接触面圧が低くなり滑って動力伝達を切断するカム式のクラッチである。
なお、ワンウェイ１９３５０の詳しい説明は後述する。
【１２７５】
また、ワンウェイ１９３５０の内輪１９３５２には、中心に操作子１９３６０が挿入さ
れる。操作子１９３６０は、背面ケース１９３００の背面側（矢印Ｂ方向側）に配置され
る操作部１９３６１と、その操作部１９３６１の正面側（矢印Ｆ方向側）に突設される挿
入部１９３６２と、を主に備える。
【１２７６】
操作部１９３６１は、背面ケース１９３００の背面側から操作子１９３６０を作業者が
操作する部分であり、円形状に形成され、その外形が後述する挿入部１９３６２が挿通さ
れる開口よりも大きく形成される。これにより、操作子１９３６０を背面ケース１９３０
０の背面側から配設した場合に、操作部１９３６１が背面ケース１９３００の正面側（矢
印Ｆ方向側）に抜け出ることを抑制できる。
【１２７７】
挿入部１９３６２は、操作部１９３６１の軸と同軸上の円柱状に形成され、正面側（矢
印Ｆ方向側）に突設される。また、挿入部１９３６２は、その外周面に径方向に突設され
る突壁１９３６２ａを備える。
【１２７８】
突壁１９３６２ａは、挿入部１９３６２に対してワンウェイ１９３５０の内輪１９３５
２が空転することを防止する係合部分であり、内輪１９３５２に形成される凹部１９３５
２ａに挿入される。これにより、操作子１９３６０に作用する回転力が内輪１９３５２に
非伝達とされることを防止できる。
【１２７９】
さらに、挿入部１９３６２の突設先端面には、正面視円形状に凹設される凹部が形成さ
れており、その凹部に正面側から背面側に向かってネジを螺合させることで、ワンウェイ
１９３５０に対して操作子１９３６０を連結できる。
【１２８０】
次いで、図１６６を参照して背面ケース１９３００と係合部材１９３１０との配設状態
について説明する。背面ケース１９３００は、正面視略矩形状の底壁部１９３０１と、そ
の底壁部１９３０１の４辺の外縁から正面へ向けて立設される外壁部３０２とを備え、そ
れら各壁部１９３０１，３０２により一面側（正面側）が開放された箱状に形成される。
また、背面ケース１９３００は、底壁部１９３０１の正面側（箱状に形成された開放側（
矢印Ｆ方向側））に配設される係合部材１９３１０と、背面ケース１９３００の背面側に
配設され、基板ボックス１００（主制御装置１１０）を固定する固定部材１８３２０と、
を備える。
【１２８１】
底壁部１９３０１は、その中央に正面視矩形の開口３０１ａが開口形成され、その開口
３０１ａを通じて、底壁部１９３０１の背面に配設される第３図柄表示装置８１（図２参
照）が視認可能とされる。また、底壁部１９３０１には、固定部材１８３２０と対向する
位置に開口する第１開口部１８３０１ｃと、その第１開口部１８３０１ｃの下方（矢印Ｄ
方向）に位置し、前後方向に開口して内側に上述した操作子１９３６０の挿入部１９３６
２が挿入される開口（図示しない）と、を備える。
【１２８２】
上述した係合部材１９３１０は、嵌合孔１９３１２ｂの内側にワンウェイ１９３５０を
内観した状態の係合部材１９３１０を底壁部１０３０１の正面側に配設した後に、背面ケ
ース１９３００の背面側から操作子１９３６０の挿入部１９３６２を背面ケース１９３０
０の開口を介してワンウェイ１９３５０の内輪１９３５２の内側に挿入することで底壁部
１９３０１に配設される。
【１２８３】
次いで、ワンウェイ１９３５０の動作について説明する。上述したようにワンウェイ１
９３５０は、内輪１９３５２の一方向と他方向との回転方向で外輪１９３５１への動力の
伝達が許容される場合と遮断される場合とに切り替えられる。
【１２８４】
初めに、内輪１９３５２の動力が外輪に伝達される場合について説明する。図１６６（
ｂ）に示すように、内輪１９３５２が一方向（矢印ＬＫ方向（図１６６（ｂ）参照））に
回転されると、内輪１９３５２のカム面と外輪１９３５１の内周面との間にローラ１９３
５４が挟まり、ローラ１９３５４の接触が抵抗となって、内輪１９３５２の動力が外輪１
９３５１に伝達される。この場合、一方向の回転方向が、係合部材１９３１０を固定部材
１８３２０に係合させる方向に設定される。
【１２８５】
次いで、内輪１９３５２の動力が遮断される場合について説明する。内輪１９３５２が
他方向（矢印ＲＫ方向（図１６６（ｂ）参照））に回転されると、ローラ１９３５４が外
輪１９３５１の内周面と接触する抵抗により、内輪１９３５２の径方向内側に変位される
。これにより、外輪１９３５１の内周面とローラ１９３５４との接触面圧が低くなり、ロ
ーラ１９３５４が外輪１９３５１に対して滑って動力伝達を遮断する。この場合、他方向
の回転方向が、係合部材１９３１０を固定部材１８３２０との係合を解除する方向に設定
される。
【１２８６】
これにより、係合部材１９３１０を背面ケース１９３００に配設した状態で、操作子１
９３６０を回転させて係合部材１９３１０を固定部材１８３２０に係合させることができ
る。さらに、係合部材１９３１０と固定部材１８３２０とが係合した状態から操作子１９
３６０を回転させて係合部材１９３１０と固定部材１８３２０との係合を解除することが
規制される。その結果、係合部材１９３１０（操作子１９３６０）が不正に操作されて、
固定部材１８３２０に連結される基板ボックス１００（主制御装置１１０）が不正な基板
に交換されることを抑制できる。
【１２８７】
次いで、図１６７から図１６９を参照して、第２０実施形態における係合部材２０３１
０について説明する。上記第１実施形態では、係合部材３１０の移動が回転ユニット７０
０の背面ベース７２０に挿通されるネジにより規制される場合について説明したが、第２
０実施形態では、係合部材２０３１０が固定部材３２０に係合された際に、係合部材２０
３１０の移動が回転ユニット２０７００の背面ベース２０７２０に形成される係合部２０
７２４ａに係合されることで規制される。なお、上記各実施形態と同一の部分については
、同一の符号を付してその詳しい説明を省略する。
【１２８８】
初めに、図１６７及び図１６８を参照して、第２０実施形態における係合部材２０３１
０及び回転ユニット２０７００について説明する。図１６７は、第２０実施形態における
背面ケース２０３００及び回転ユニット２０７００の分解斜視図である。図１６８（ａ）
は、係合部材２０３１０の正面図であり、図１６８（ｂ）は、回転ユニット２０７００及
び係合部材２０３１０の背面図である。
【１２８９】
なお、第２０実施形態における背面ケース２０３００は、第１実施形態における背面ケ
ース３００と同様に、正面視略矩形の底壁部３０１と、その底壁部３０１の４辺の外縁か
ら正面へ向けて立設される外壁部３０２とを備え、それら各壁部３０１，３０２により一
面側（正面側）が開放された箱状に形成される。底壁部３０１には、その中央に正面視矩
形の開口３０１ａ（図５参照）が開口形成され、その開口３０１ａを通じて、底壁部３０
１の背面に配設される第３図柄表示装置８１（図２参照）が視認可能とされる。
【１２９０】
また、第２０実施形態における背面ケース２０３００は、底壁部３０１の正面側（箱状
に形成された開放側（矢印Ｆ方向側））に配設される係合部材２０３１０と、背面ケース
２０３００の背面側（矢印Ｂ方向側）に配設され、基板ボックス１００（主制御装置１１
０）を固定する固定部材３２０と、を主に備える。さらに、第２０実施形態における背面
ケース２０３００には、底壁部３０１の正面に回転ユニット２０７００が配設される。
【１２９１】
図１６７及び図１６８に示すように、第２０実施形態における背面ケース２０３００の
底壁部３０１の正面側（矢印Ｆ方向側）に配設される係合部材２０３１０は、正面視にお
ける形状がクランク状に形成されており、互いに平行となる方向に延設される第１片３１
１及び第２片２０３１２と、その第１片３１１及び第２片２０３１２の端部同士を第１片
３１１及び第２片２０３１２の延設方向と直交する方向に連結する第３片３１３とから構
成される。
【１２９２】
第１片３１１及び第２片２０３１２には、その延設方向に長い長穴の摺動溝３１４がそ
れぞれ形成されており、これにより、係合部材２０３１０は、第１片３１１及び第２片２
０３１２の延設方向（矢印Ｌ−Ｒ方向）に摺動可能とされる。
【１２９３】
また、第２片２０３１２は、係合部材２０３１０の摺動方向と平行な側面に凹設される
凹部２０３１２ｃを備える。凹部２０３１２ｃは、後述する回転ユニット２０７００の背
面ベース２０７２０の係合部２０７２４ａの先端が挿入される凹みであり、係合部２０７
２４ａの外形と略同一の形状に形成される。
【１２９４】
詳しく説明すると、凹部２０３１２ｃは、第２片２０３１２の第３片３１３との連結側
と反対側（矢印Ｌ方向側）の端部までの寸法ＳＨ１（図１６８（ａ）参照）が、係合部材
２０３１０の摺動溝３１４の内部を突設部３０１ｂが摺動可能な寸法ＳＨ２（図１６８（
ｂ）参照）と略同一に設定される。また、凹部２０３１２ｃは、正面視における角度が直
角の三角形に凹設されると共に、その直角の部分が第２片２０３１２の第３片３１３との
連結側（矢印Ｒ方向側）に設定される。
【１２９５】
回転ユニット２０７００は、背面ケース２０３００の底壁部３０１のうちの開口３０１
ａの下側部分の右側（矢印Ｒ方向側に配設される正面視矩形状の背面ベース２０７２０と
、その背面ベース２０７２０の正面側（矢印Ｆ方向側）に配設される回転体８００（図９
３参照）とを備え、遊技盤１３に配設される光透過性のセンターフレーム８６を介して回
転体８００を回転変位させる演出を遊技者に視認させることができる。
【１２９６】
背面ベース２０７２０は、球受台７１０の背面および装飾ユニット７５０の背面側（矢
印Ｂ方向側）を連結する板部材であり、球受台７１０及び装飾ユニット７５０の背面側に
配設される。また、背面ベース２０７２０は、背面から立設される立設壁２０７２４を備
える。
【１２９７】
立設壁２０７２４は、背面ケース２０３００に配設される係合部材２０３１０の外縁を
取り囲む形状に延設される。また、立設壁２０７２４は、係合部材２０３１０の凹部２０
３１２ｃと対向する位置に形成され、凹部２０３１２ｃの内側に先端が挿入される係合部
２０７２４ａを備える。
【１２９８】
係合部２０７２４ａは、係合部材２０３１０を固定部材３２０に係合させる方向（矢印
Ｒ方向）に立設壁２０７２４から突設され、係合部材２０３１０の摺動方向と直交する方
向において、立設壁２０７２４と所定の隙間を隔てて形成される。これにより、係合部２
０７２４ａの剛性を低くして、係合部２０７２４ａを弾性変形させやすくできる。また、
立設壁２０７２４と係合部２０７２４ａとの隙間の分、係合部２０７２４ａが弾性変形可
能な領域を確保することができる。
【１２９９】
また、係合部２０７２４ａは、突設先端部に係合部材２０３１０側に屈曲する屈曲部２
０７２４ａ１を備え、その屈曲部２０７２４ａ１の正面視形状が、上述した凹部２０３１
２ｃと略同一形状の三角形状に形成される。これにより、係合部材２０３１０は、固定部
材３２０との係合前において、係合部材２０３１０の凹部２０３１２ｃの内側に屈曲部２
０７２４ａ１が配置される。よって、係合部材２０３１０を、その変位方向（矢印Ｌ−Ｒ
方向）に摺動させにくくすることができる（図１６８（ｂ）参照）。
【１３００】
従って、係合部材２０３１０が背面ケース２０３００に対して振動や揺れ等の力により
振動して、固定部材３２０との係合方向（矢印Ｒ方向）に移動することを抑制できる。よ
って、背面ケース２０３００に固定部材３２０が配設される前に、係合部材２０３１０の
位置が変位して、固定部材３２０を背面ケース２０３００に配設した際に、固定部材３２
０の被係合部３３２が係合部材２０３１０と当接することを抑制できる。言い換えると、
背面ケース２０３００に固定部材３２０を配設する際に、固定部材３２０の被係合部３３
２（図１６７参照）を配設する際の変位領域内に、係合部材２０３１０が位置することを
抑制できる。その結果、係合部材２０３１０を固定部材３２０との係合を解除する方向に
操作する必要がなくなるので、係合部材２０３１０と固定部材３２０とを係合させる際の
作業性を向上することができる。
【１３０１】
次いで、図１６９を参照して、係合部材２０３１０と固定部材３２０とが係合された状
態における係合部材２０３１０及び回転ユニット２０７００について説明する。図１６９
（ａ）は、回転ユニット２０７００及び係合部材２０３１０の背面図であり、図１６９（
ｂ）は、背面ケース２０３００の背面図である。なお、図１６９（ａ）及び図１６９（ｂ
）では、係合部材２０３１０と固定部材２０３２０とが係合した状態が図示される。また
、図１６９（ｂ）では、係合部材２０３１０の一部および立設壁２０７２４の外形が鎖線
で図示される。
【１３０２】
図１６９に示すように、背面ケース２０３００の背面側（矢印Ｂ方向側）から操作子３
１５が操作されて係合部材２０３１０が、背面ケース２０３００の底壁部３０１に対して
正面視左側（矢印Ｌ方向側）に配置された状態から、背面ケース２０３００の底壁部３０
１に対して正面視右側（矢印Ｒ方向側）に変位されると、係合部材２０３１０の凹部２０
３１２ｃの内側に配設された屈曲部２０７２４ａ１が、その凹部２０３１２ｃの傾斜面に
より凹部２０３１２ｃに押し出される。
【１３０３】
ここで、上述したように、凹部２０３１２ｃは、第２片２０３１２の第３片３１３との
連結側と反対側（矢印Ｌ方向側）の端部までの距離寸法ＳＨ１（図１６８（ａ）参照）が
、係合部材２０３１０の摺動溝３１４の内部を突設部３０１ｂが摺動可能な寸法ＳＨ２（
図１６８（ｂ）参照）と略同一に設定されるので、係合部材２０３１０が固定部材３２０
と係合する位置まで変位されると、係合部材２０３１０の第２片２０３１２の第３片３１
３との連結側と反対側（矢印Ｌ方向側）の端部が、屈曲部２０７２４ａ１と係合部材２０
３１０の変位方向（矢印Ｌ−Ｒ方向）に隣合う位置に配置される。これにより、係合部材
２０３１０が、固定部材３２０との係合を解除する方向（矢印Ｌ方向）に不正に変位され
ることを抑制できる。
【１３０４】
なお、上記第１実施形態と同様に、係合部材２０３１０は、係合部３１６が固定部材３
２０の被係合部３３２に引っ掛かる（係合する）ことで、係合部材２０３１０の固定部材
３２０との係合を解除する方向への変位が規制される。しかしながら、固定部材３２０の
被係合部３３２を背面ケース３００の第１開口部３０１ｃを挿通させるので、被係合部３
３２と係合部３１６との係合は、第１開口部３０１ｃを介して不正に解除される恐れがあ
った。
【１３０５】
これに対して、第２０実施形態では、係合部材２０３１０の固定部材３２０との係合を
解除する方向への変位を、固定部材３２０と係合する係合部材２０３１０の係合部３１６
と反対側の端部を屈曲部２０７２４ａ１に当接させて規制することができるので、第１開
口部３０１ｃから不正物が挿入されて、係合部材２０３１０の端部と屈曲部２０７２４ａ
１との係合が解除されることを抑制できる。その結果、係合部材２０３１０と固定部材３
２０との係合が不正に解除されて、固定部材３２０に連結される基板ボックス１００（主
制御装置１１０）が不正な基板に交換されることを抑制できる。
【１３０６】
なお、固定部材３２０と係合部材２０３１０とは、背面ケース２０３００の内側（底壁
部３０１）に配設される回転ユニット２０７００を背面ケース２０３００から取り外して
、係合部材２０３１０の端部と屈曲部２０７２４ａ１との係合を解除した後に、係合部材
２０３１０の第１片３１１の端部を弾性変形させて、係合部材２０３１０の端部を被係合
部３３２の内部空間から引き出すことで両者の係合を解除できる。
【１３０７】
従って、背面ケース２０３００から、固定部材３２０を取り外す場合には、背面ケース
２０３００の正面側から回転ユニット２０７００を取り外す必要があるので、係合部材２
０３１０と固定部材３２０との係合が不正に解除されて、固定部材３２０に連結される基
板ボックス１００（主制御装置１１０）が不正な基板に交換されることを抑制できる。
【１３０８】
さらに、係合部材２０３１０は、上述したように正面視における形状がクランク状に屈
曲して形成されるので、第１片３１１側から挿入される針金やワイヤー等の不正物が直線
状に第２片２０３１２の端部まで送られることを規制できる。従って、第１片３１１側か
ら挿入される不正物が正確に第２片２０３１２と屈曲部２０７２４ａ１との係合部分に送
れることを抑制できる。その結果、係合部材２０３１０と固定部材３２０との係合が不正
に解除されて、固定部材３２０に連結される基板ボックス１００（主制御装置１１０）が
不正な基板に交換されることを抑制できる。
【１３０９】
次いで、図１７０から図１７３を参照して、第２１実施形態における回転ユニット２１
７００について説明する。上記第１実施形態では、回転ユニット７００の背面ベース７２
０に挿通されるネジにより係合部材３１０の移動が規制される場合について説明したが、
第２１実施形態では、回転ユニット２１７００の背面ベース２１７２０に形成される挿入
部２１７２４ｂに第１片３１１が挿入されることで、係合部材３１０の移動が規制される
。なお、上記各実施形態と同一の部分については、同一の符号を付してその詳しい説明を
省略する。
【１３１０】
初めに、図１７０及び図１７１を参照して、第２１実施形態における係合部材３１０及
び回転ユニット２１７００の全体構成について説明する。図１７０は、第２１実施形態に
おける背面ケース３００及び回転ユニット２１７００の分解斜視図である。図１７１（ａ
）は、回転ユニット２１７００及び係合部材３１０の背面図であり、図１７１（ｂ）は、
図１７１（ａ）のＣＬＸＸＩｂ−ＣＬＸＸＩｂ線における回転ユニット２１７００の模式
断面図である。
【１３１１】
なお、第２１実施形態における背面ケース２１３００は、第１実施形態における背面ケ
ース３００と同様に、正面視略矩形の底壁部３０１と、その底壁部３０１の４辺の外縁か
ら正面へ向けて立設される外壁部３０２とを備え、それら各壁部３０１，３０２により一
面側（正面側）が開放された箱状に形成される。底壁部３０１には、その中央に正面視矩
形の開口３０１ａが開口形成され、その開口３０１ａを通じて、底壁部３０１の背面に配
設される第３図柄表示装置８１（図２参照）が視認可能とされる。
【１３１２】
また、第２１実施形態における背面ケース２１３００は、底壁部３０１の正面側（箱状
に形成された開放側（矢印Ｆ方向側））に配設される係合部材３１０と、背面ケース２１
３００の背面側（矢印Ｂ方向側）に配設され、基板ボックス１００（主制御装置１１０）
を固定する固定部材３２０と、を主に備える。さらに、第２１実施形態における背面ケー
ス２１３００には、底壁部３０１の正面に回転ユニット２１７００が配設される。
【１３１３】
図１７０及び図１７１に示すように、第２１実施形態における回転ユニット２１７００
は、背面ケース３００の底壁部３０１のうちの開口３０１ａの下側（矢印Ｄ方向側）部分
の右側（矢印Ｒ方向側）に配設される正面視矩形状の背面ベース２１７２０と、その背面
ベース２１７２０の正面側に配設される回転体８００（図９３参照）と、を備え、遊技盤
１３に配設される光透過性のセンターフレーム８６を介して回転体８００を回転変位させ
る演出を遊技者に視認させることができる。
【１３１４】
背面ベース２１７２０は、球受台７１０の背面および装飾ユニット７５０の背面側を連
結する板部材であり、球受台７１０及び装飾ユニット７５０の背面側に配設される。また
、背面ベース２１７２０は、その背面に立設される立設壁２１７２４を備える。
【１３１５】
立設壁２１７２４は、背面ケース３００に配設された状態の係合部材３１０の外縁を取
り囲む形状に延設される。また、立設壁２１７２４は、係合部材３１０が背面ケース３０
０に対して左側（矢印Ｌ方向側）端部に位置する状態（係合部材３１０と固定部材３２０
との係合が解除された状態）において、係合部材３１０の凹部３１７に向かって（矢印Ｌ
方向に向かって）突設される挿入部２１７２４ｂを備える。
【１３１６】
挿入部２１７２４ｂは、立設壁２１７２４から係合部材３１０の変位方向（矢印Ｌ−Ｒ
方向）と平行な方向に延設されると共に、固定部材３２０と係合された状態における係合
部材３１０と重力方向（矢印Ｕ−Ｂ方向）に重なる寸法に設定される。また、挿入部２１
７２４ｂの先端部には、背面側（係合部材３１０側）に屈曲する屈曲部２１７２４ｂ１が
形成され、その屈曲部２１７４２ｂ１の屈曲先端部が、パチンコ機１０の前後方向（矢印
Ｆ−Ｂ方向）において、係合部材３１０と重なる長さに設定される。
【１３１７】
さらに、挿入部２１７４２ｂの上下方向（矢印Ｕ−Ｄ方向）における幅寸法は、係合部
材３１０の凹部３１７の上下方向における幅寸法よりも小さい寸法に設定される。従って
、挿入部２１７２４ｂは、係合部材３１０が固定部材３２０と係合された状態において、
屈曲部２１７２４ｂ１が凹部３１７の内側に挿入された状態とされる。これにより、係合
部材３１０及び固定部材３２０が係合された状態から係合部材３１０の第１片３１１が凹
部３１７の凹設内側に弾性変形されることを抑制できる。その結果、係合部材２０３１０
と固定部材３２０との係合が不正に解除されて、固定部材３２０に連結される基板ボック
ス１００（主制御装置１１０）が不正な基板に交換されることを抑制できる。
【１３１８】
次いで、図１７１から図１７３を参照して、係合部材３１０を固定部材３２０に係合さ
せる場合の挿入部２１７２４ｂの動作について説明する。図１７２（ａ）及び図１７３（
ａ）は、回転ユニット２１７００及び係合部材３１０の背面図である。図１７２（ｂ）及
び図１７３（ｂ）は、背面ケース３００及び回転ユニット２１７００の模式断面図である
。なお、図１７２（ａ）及び図１７２（ｂ）では、係合部材３１０と固定部材３２０との
係合が解除された状態が図示され、図１７３（ａ）及び図１７３（ｂ）では、係合部材３
１０が、固定部材３２０へ係合される途中の状態が図示される。
【１３１９】
図１７２及び図１７３に示すように、係合部材３１０は、固定部材３２０との係合が解
除された状態から、係合部材３１０の第１片３１１の端部が固定部材３２０の被係合部３
３２の内部空間に挿入される際に、第１片３１１の端部が凹部３１７の内側に向かって弾
性変形される。これにより、凹部３１７は、その上下方向（矢印Ｕ−Ｄ方向）における幅
寸法が、挿入部２１７２４ｂの上下方向の幅寸法よりも小さくされる。
【１３２０】
また、係合部３１６が、被係合部３３２の内部空間に位置する場合（図１７３（ａ）に
示す位置の場合）、第１片３１１の端部が挿入部２１７２４ｂの突設先端部を超える位置
に配置される。言い換えると、係合部３１６の左右方向における長さ寸法が、挿入部２１
７２４ｂの突設先端部から固定部材３２０の被係合部３３２の端部までの対向間寸法より
も大きく設定される。
【１３２１】
よって、係合部３１６が、被係合部３３２の内部空間から押し出される際に、係合部材
３１０の第１片３１１側の端部を挿入部２１７２４ｂの屈曲部２１７２４ｂ１に当接させ
ることができる。この場合、挿入部２１７２４ｂは、屈曲部２１７２４ｂ１の傾斜面に沿
って先端が正面側（矢印Ｆ方向側）に押し出される。これにより、係合部材３１０を固定
部材３２０と係合する位置まで変位させることができる。
【１３２２】
なお、図１７１に示すように、係合部３１６が、被係合部３３２の内部空間から抜け出
された場合には、上述したように、第１片３１１の上下方向における凹部３１７の幅寸法
よりも、挿入部２１７２４ｂの上下方向における幅寸法が大きくされるため、凹部３１７
の内側に屈曲部２１７２４ｂ１が挿入される。
【１３２３】
従って、上述したように、係合部材３１０の第１片３１１が凹部３１７の凹設内側に弾
性変形されることを抑制できる。その結果、係合部材２０３１０と固定部材３２０との係
合が不正に解除されて、固定部材３２０に連結される基板ボックス１００（主制御装置１
１０）が不正な基板に交換されることを抑制できる。
【１３２４】
なお、係合部材３１０と固定部材３２０とは、背面ケース３００の内側（底壁部３０１
）に配設される回転ユニット２１７００を背面ケース２１３００から取り外して、係合部
材３１０の端部と背面ケース２０３００との係合を解除した後に、係合部材３１０の第１
片３１１の端部を弾性変形させて、係合部材３１０の端部を被係合部３３２の内部空間か
ら引き出すことで両者の係合を解除することができる。
【１３２５】
従って、背面ケース２１３００から、固定部材３２０を取り外す場合には、背面ケース
２１３００の正面側から回転ユニット２１７００を取り外す必要があるので、係合部材３
１０と固定部材３２０との係合が背面ケース２１３００の背面側から不正に解除されて、
固定部材３２０に連結される基板ボックス１００（主制御装置１１０）が不正な基板に交
換されることを抑制できる。
【１３２６】
次いで、図１７４から図１７６を参照して、第２２実施形態における係合部材２２３１
０及び固定部材２２３２０について説明する。上記第１実施形態では、固定部材３２０の
被係合部３３２に係合部材３１０の係合部３１６が係合される場合について説明したが、
第２２実施形態では、係合部材２２３１０に凹設される凹部２２３１１ａに固定部材２２
３２０に形成される屈曲部２２３３２ａ１が係合される。なお、上記各実施形態と同一の
部分については、同一の符号を付してその詳しい説明を省略する。
【１３２７】
図１７４から図１７６（ａ）を参照して、第２２実施形態における係合部材２２３１０
及び固定部材２２３２０の構成について説明する。図１７４は、係合部材２２３１０及び
固定部材２２３２０の斜視正面図である。図１７５（ａ）及び図１７５（ｂ）は、背面ケ
ース２２３００の正面図である。図１７６（ａ）は、図１７５（ｂ）のＣＬＸＸＶＩａ−
ＣＬＸＸＶＩａ線における背面ケース２２３００の模式断面図である。なお、図１７５（
ａ）では、係合部材２２３１０と固定部材２２３２０とが係合前の状態が図示され、図１
７５（ｂ）では、係合部材２２３１０と固定部材２２３２０とが係合された状態が図示さ
れる。
【１３２８】
図１７４から図１７６（ａ）に示すように、第２２実施形態における背面ケース２２３
００は、正面視略矩形状の底壁部３０１と、その底壁部３０１の４辺の外縁から正面へ向
けて立設される外壁部３０２とを備え、それら各壁部３０１，３０２により、一面側が開
放される箱状に形成される。また、背面ケース２２３００は、底壁部３０１の正面側（箱
状に形成された開放側（矢印Ｆ方向側））に配設される係合部材２２３１０と、底壁部３
０１の背面側に配設され、基板ボックス１００（主制御装置１１０）を固定する固定部材
２２３２０とを備える。
【１３２９】
係合部材２２３１０は、正面視における外形がクランク形状に形成されており、互いに
平行となる方向に延設される第１片２２３１１及び第２片３１２と、その第１片２２３１
１及び第２片３１２の端部同士を第１片２２３１１及び第２片３１２の延設方向と直交す
る方向に連結する第３片３１３とから構成される。
【１３３０】
また、第１片２２３１１及び第２片３１２には、その延設方向に長い長穴の摺動溝３１
４がそれぞれ形成されており、これにより、係合部材２２３１０は、第１片２２３１１及
び第２片３１２の延設方向（矢印Ｌ−Ｒ方向）に摺動可能とされる。
【１３３１】
第１片２２３１１は、第３片３１３が連結される側と反対側の端部の正面側（矢印Ｆ方
向側）に背面側（矢印Ｂ方向側）に向かって凹設される凹部２２３１１ａを備える。
【１３３２】
凹部２２３１１ａは、後述する固定部材２２３２０に形成される屈曲部２２３３２ａ１
が挿入されて、係合部材２２３１０と固定部材２２３２０とを係合させる部分であり、後
述するように、係合部材２２３１０の第１片２２３１１の一側（矢印Ｒ方向側）の端部を
固定部材２２３２０の被係合部２２３３２の内部空間に収容した場合に、固定部材２２３
２０の２２３３２ａと対向する位置に形成される。
【１３３３】
また、凹部２２３１１ａの内部形状は、断面が略直角三角形状に形成されており、直角
部分が、第１片２２３１１の端部側（矢印Ｒ方向側）に設定されると共に、凹設底面が第
１片２２３１１の端部側に向かって背面側（矢印Ｂ方向）に深くなる傾斜面として形成さ
れる。
【１３３４】
固定部材２２３２０は、上述した係合部材２２３１０に係合する介設部材２２３３０と
、その介設部材２２３３０の背面側に締結される軸支部材３４０とから構成される。
【１３３５】
介設部材２２３３０は、正面側（矢印Ｆ方向側）が開放する箱状に形成され、一側（矢
印Ｒ方向側）の側面に突出する係止部３３１と、他側（矢印Ｌ方向側）の側面から背面ケ
ース２２３００の底壁部３０１側（背面側（矢印Ｂ方向側））に突出して枠状に形成され
る被係合部２２３３２と、箱状の底面（矢印Ｂ方向側の側面）に円形状に開口する挿通孔
３３３（図３９（ｂ）参照）と、背面から突出する突部３３４と、を主に備える。
【１３３６】
被係合部２２３３２は、その囲われた内部空間に係合部材２２３１０の第１片２２３１
１の一側（矢印Ｒ方向側）の端部が挿入される部分であり、その内縁形状が、第１片２２
３１１の外形よりも若干大きく設定される。また、被係合部２２３３２は、枠状に形成さ
れるうちの正面側（矢印Ｆ方向側）の１辺から係合部材２２３１０の被係合部２２３３２
への挿入方向（矢印Ｒ方向側）に突出する突部２２３３２ａを備える。
【１３３７】
突部２２３３２ａは、先端の端部に正面側（矢印Ｆ方向側）に屈曲する屈曲部２２３３
２ａ１を備え、その屈曲部２２３３２ａ１が、上述した係合部材２２３１０の凹部２２３
１１ａに挿入されることで、係合部材２２３１０と固定部材２２３２０とを係合させるこ
とができる。即ち、屈曲部２２３３２ａ１は、係合部材２２３１０が被係合部２２３３２
へ挿入された状態における凹部２２３１１ａと対向する位置に形成される。
【１３３８】
この場合、図１７６（ａ）に示すように、係合部材２２３１０と固定部材２２３２０と
の係合部分が、背面ケース２２３００の底壁部３０１に対して係合部材２２３１０を挟ん
で正面側に形成される。従って、底壁部３０１に形成される第１開口部３０１ｃから係合
部材２２３１０と固定部材２２３２０との係合部分を離間させることができるので、第１
開口部３０１ｃから針金やワイヤなどの不正部材が挿入されて、係合部材２２３１０と固
定部材２２３２０との係合が不正に解除されることを抑制できる。
【１３３９】
さらに、底壁部３０１と係合部材２２３１０及び固定部材２２３２０の係合部分との間
に、係合部材２２３１０の第１片２２３１１を配置することができるので、底壁部３０１
に形成される第１開口部３０１ｃ等の開口部から不正に挿入された針金やワイヤ等が、直
線的に係合部材２２３１０及び固定部材２２３２０の係合部分に到達することを抑制でき
る。その結果、底壁部３０１の開口から不正部材（針金やワイヤ等）が挿入されて、係合
部材２２３１０と固定部材２２３２０との係合が不正に解除されることを抑制できる。
【１３４０】
また、本実施形態では、突部２２３３２ａが、被係合部２２３３２の内部空間への係合
部材２２３１０の挿入方向に突設される。従って、係合部材２２３１０と固定部材２２３
２０との係合部分が、固定部材２２３２０の正面側に設定される。これにより、底壁部３
０１の第１開口部３０１ｃから針金やワイヤ等の不正部材が挿入された場合に、係合部材
２２３１０と固定部材２２３２０との係合部分に到達する不正部材の挿入方向を底壁部３
０１の正面に対して斜めに傾かせることができる。これにより、不正部材の先端から係合
部材２２３１０と固定部材２２３２０との係合部分の係合を解除する方向の力が伝達され
にくくすることができる。その結果、底壁部３０１の第１開口部３０１ｃから不正部材が
挿入されて、係合部材２２３１０と固定部材２２３２０との係合が不正に解除されること
を抑制できる。
【１３４１】
次いで、図１７６（ｂ）を参照して、第２３実施形態における係合部材２３３１０及び
固定部材２３３２０について説明する。上記第２２実施形態では、係合部材２２３１０の
被係合部２２３３２への挿入方向に係合部材２２３１０を係合させる突部２２３３２ａが
突設される場合を説明したが、第２３実施形態では、係合部材２３３１０の被係合部２３
３３２の挿入方向と反対方向に突部２３３３２ａが突設される。なお、上記各実施形態と
同一の部分については、同一の符号を付してその詳しい説明を省略する。
【１３４２】
図１７６（ｂ）は、第２３実施形態における背面ケース２３３００の断面図である。な
お、図１７６（ｂ）の断面図は、図１７６（ａ）の断面図と対応する。また、第２３実施
形態は、上述したように、第２２実施形態における係合部材２２３１０と固定部材２２３
２０と、係合位置が異なるのみであるので、係合部材２３３１０と固定部材２３３２０と
の係合部分以外は、第２２実施形態と同一であるのでその説明は省略する。
【１３４３】
なお、第２３実施形態における背面ケース２２３００は、正面視略矩形の底壁部２３３
０１と、その底壁部２３３０１の４辺の外縁から正面へ向けて立設される外壁部３０２と
を備え、それら各壁部２３３０１，３０２により一面側（正面側）が開放された箱状に形
成される。底壁部３０１には、その中央に正面視矩形の開口３０１ａ（図５参照）が開口
形成され、その開口３０１ａを通じて、底壁部３０１の背面に配設される第３図柄表示装
置８１（図２参照）が視認可能とされる。
【１３４４】
また、第２３実施形態における背面ケース２３３００は、底壁部２３３０１の正面側（
箱状に形成された開放側（矢印Ｆ方向側））に配設される係合部材２３３１０と、背面ケ
ース２３３００の背面側（矢印Ｂ方向側）に配設され、基板ボックス１００（主制御装置
１１０）を固定する固定部材２３３２０と、を主に備える。
【１３４５】
図１７６（ｂ）に示すように、第２３実施形態では、上述したように被係合部２３３３
２から突出される突部２３３３２ａの突出方向が、第２２実施形態の突部２２３３２ａ（
図１７６（ａ）参照）と反対方向（矢印Ｌ方向）に設定され、その突部２３３３２ａの突
出先端に背面側（矢印Ｂ方向側）に向かって屈曲する屈曲部２３３３２ａ１が形成される
。
【１３４６】
係合部材２３３１０は、屈曲部２３３３２ａ１と対向する位置に屈曲部２３３３２ａ１
の外形よりも大きい矩形状の開口２３３１０ｂが形成される。これにより、係合部材２３
３１０が、固定部材２３３２０の被係合部２３３３２の内部空間に挿入されると、開口２
３３１０ｂの内側に屈曲部２３３３２ａ１が挿入されて、係合部材２３３１０と固定部材
２３３２０とが係合される。
【１３４７】
また、第２３実施形態における背面ケース２３３００の底壁部２３３０１には、固定部
材２３３２０と対向する位置に、第３開口部２３３０１ｅが形成される。この第３開口部
２３３０１ｅにより、作業者は底壁部２３３０１の背面側から係合部材２３３１０と固定
部材２３３２０との係合部分を解除することができる。その結果、背面ケース２３３００
から固定部材２３３２０の取り外しの作業を簡易にすることができる。
【１３４８】
次いで、図１７７及び図１７８を参照して、第２４実施形態における背面ケース２４３
００について説明する。上記第１８実施形態では、固定部材１８３２０を底壁部１８３０
１から取り外す場合に、固定部材１８３２０と係合部材１８３１０との係合を解除する場
合について説明したが、第２４実施形態では、固定部材２４３２０を底壁部２４３０１か
ら取り外す場合に、係合部材２４３１０の固定部材２４３２０への挿入部分を切断する。
なお、上記各実施形態と同一の部分については、同一の符号を付してその詳しい説明を省
略する。
【１３４９】
図１７７（ａ）は、第２４実施形態における背面ケース２４３００の正面図であり、図
１７７（ｂ）は、図１７７（ａ）のＣＬＸＸＶＩＩｂ−ＣＬＸＸＶＩＩｂ線における背面
ケース２４３００の断面図である。図１７８は、図１７７（ｂ）のＣＬＸＸＶＩＩＩ−Ｃ
ＬＸＸＶＩＩＩ線における背面ケース２４３００の断面図である。
【１３５０】
図１７７及び図１７８に示すうように、第２４実施形態における背面ケース２４３００
は、正面視略矩形状の底壁部２４３０１と、その底壁部２４３０１の４辺の外縁から正面
へ向けて立設される外壁部３０２とを備え、それら各壁部２４３０１，３０２により一面
側（正面側）が開放された箱状に形成される。また、背面ケース２４３００は、底壁部２
４３０１の正面側（箱状に形成された開放側（矢印Ｆ方向側））に配設される係合部材２
４３１０と、底壁部２４３０１の背面側に配設され、基板ボックス１００（主制御装置１
１０）を固定する固定部材２４３２０と、を備える。
【１３５１】
底壁部２４３０１は、その中央に正面視矩形状の開口３０１ａが開口形成され、その開
口３０１ａを通して、底壁部２４３０１の背面に配設される第３図柄表示装置８１（図２
参照）が視認可能とされる。また、底壁部２４３０１には、固定部材２４３２０と対向す
る位置に開口する第１開口部２４３０１ｃと、その第１開口部２４３０１ｃの左側（矢印
Ｌ方向側）に位置し、前後方向（矢印Ｆ−Ｂ方向）に開口して内側に後述する操作子２４
３６０の挿入部２４３６２が挿入される開口（図示しない）と、を備える。
【１３５２】
係合部材２４３１０は、正面視Ｔ字状に形成される第２片２４３１２と、その第２片２
４３１２の端部から屈曲して円弧状に延設される第１片２４３１１と、を主に備える。第
２片２４３１２は、直交する２本の延設部分の連結部分に前後方向に貫通する貫通孔２４
３１２ｄを備え、その貫通孔２４３１２ｄから第２片２４３１２の延設部分の外側までの
距離距離が、それぞれ略同一に設定される。
【１３５３】
貫通孔２４３１２ｄは、後述する操作子２４３６０の挿入部２４３６２が挿入される部
分であり、挿入部２４３６２の外形と略同一の円形状に形成される。これにより、操作子
２４３６０が回転操作されることで、貫通孔２４３１２ｄを中心に係合部材２４３１０が
回転変位される。
【１３５４】
第１片２４３１１は、貫通孔２４３１２ｄを中心とする円弧形状に形成され、第２片２
４３１２のそれぞれの端部から一方向の回転（正面視左回転）方向に突設される。また、
各第１片２４３１１は、突設先端部に貫通孔２４３１２ｄの軸を中心とする径方向の両側
に突出する係合部２４３１６と、突設先端面から第２片２４３１２との連結側に向かって
凹設される凹部２４３１７と、を備える。
【１３５５】
係合部２４３１６は、後述する固定部材２４３２０と係合させる部分であり、凹部２４
３１７により第１片２４３１１の突設先端部（係合部２４３１６が形成される部分）を弾
性変形して固定部材２４３２０に形成される被係合部２４３３２に係合させることができ
る。なお、係合部２４３１６と凹部２４３１７との形状についての詳しい説明は後述する
。
【１３５６】
操作子２４３６０は、底壁部２４３０１の背面側（矢印Ｂ方向側）からの操作を底壁部
２４３０１の正面側（矢印Ｆ方向側）に配設される係合部材２４３１０に伝達する操作部
材であり、円柱状に形成される操作部２４３６１と、その操作部２４３６１と同軸上に突
出される挿入部２４３６２と、を備える。操作部２４３６１は、底壁部２４３０１に形成
され、挿入部２４３６２を挿通する開口よりも大きい寸法に外径が設定される。これによ
り、操作子２４３６０の全体が底壁部２４３０１の正面側に変位されることを抑制できる
。
【１３５７】
挿入部２４３６２は、上述したように係合部材２４３１０の貫通孔２４３１２ｄに挿入
される部分であり、これにより、操作部２４３６１から入力された回転力を係合部材２４
３１０に伝達できる。
【１３５８】
固定部材２４３２０は、上述した係合部材２４３１０と係合する介設部材２４３３０と
、その介設部材２４３３０の背面側に配設される軸支部材３４０と、から構成される。
【１３５９】
介設部材２４３３０は、正面側（矢印Ｆ方向側）が開放する箱状に形成される。また、
介設部材２４３３０は、正面から突設されると共に、下方側（矢印Ｄ方向側）が開放され
た箱状に形成される収容部２４３３５を備える。収容部２４３３５は、内部に係合部材２
４３１０の係合部分（第１片２４３１１の先端部分）を挿入する部分であり、下方側の開
放部分が上述した係合部材２４３１０の第１片２４３１１の変位軌跡上に配置される。こ
れにより、係合部材２４３１０を回転させて、係合部材２４３１０の第１片２４３１１の
端部を収容部２４３３５の内部空間に収容することができる。
【１３６０】
また、収容部２４３３５は、その内部空間が１箇所の係合部材２４３１０の係合部分よ
りも大きく形成される。これにより、後述するように係合部材２４３１０が切断された場
合に、収容部２４３３５の内部空間に係合部材２４３１０の切断部分を収容することがで
きる。なお、本実施形態では、収容部２４３３５の内部空間の大きさが、係合部材２４３
１０の係合部分（第１片２４３１１の先端部分）の略３倍に設定されており、収容部２４
３３５の内部空間に少なくとも３個以上の係合部材２４３１０が収容可能とされる。
【１３６１】
収容部２４３３５は、図１７８に示すように、下方側が開口されると共に、開口部分に
段部２４３３５ａが階段状に突出され、その段部２４３３５ａに収容部２４３３５の内側
に収容される係合部材２４３１０の係合部２４３１６が係合される。これにより、係合部
材２４３１０を回転した場合に、第１片２４３１１の先端部を収容部２４３３５の内側に
挿入すると共に、係合部材２４３１０と固定部材２４３２０と係合させることができる。
【１３６２】
また、この場合、凹部２４３１７の凹設深さＳＨ３（図１７８参照）は、収容部２４３
３５に収容され係合された状態の第１片２４３１１の端部から収容部２４３３５の下方側
端までの距離寸法ＳＨ４よりも小さく設定される。従って、係合された第１片２４３１１
に形成される凹部２４３１７が、収容部２４３３５の内側に収容された状態とされる。こ
れにより、第１片２４３１１の端部が弾性変形されて係合部材２４３１０と固定部材２４
３２０との係合が解除されることを抑制できる。
【１３６３】
従って、第２４実施形態では、収容部２４３３５の内側に挿入される第１片２４３１１
の収容部２４３３５から突出する第１片２４３１１を切断することで、底壁部２４３０１
から固定部材２４３２０を取り外すことができる。
【１３６４】
この場合、収容部２４３３５の上部内縁から第１片２４３１１の先端部までの距離寸法
ＳＨ５（図１７８参照）が、上述した距離寸法ＳＨ４よりも大きく設定される。これによ
り、第１片２４３１１の切断した部分を収容部２４３３５の上方に移動させることができ
、収容部２４３３５の開放側（矢印Ｆ方向側）から他の第１片２４３１１を挿入して段部
２４３３５ａに係合させることができる。
【１３６５】
よって、固定部材２４３２０が底壁部２４３０１から取り外された回数を係合部材２４
３１０の残りの第１片２４３１１の個数または収容部２４３３５に収容される切断された
第１片２４３１１の個数により、判断させることができる。その結果、固定部材２４３２
０が底壁部２４３０１から不正に取り外されて、その固定部材２４３２０に連結される基
板ボックス１００（主制御装置１１０）が不正な基板に交換された場合に、係合部材２４
３１０の残りの第１片２４３１１の個数または収容部２４３３５に収容される切断された
第１片２４３１１の個数によ、不正に固定部材２４３２０が取り外されたことを作業者に
認識させることができる。
【１３６６】
また、係合部材２４３１０は上述したように第２片２４３１２が、正面視Ｔ字状に形成
され、第１片２４３１１が形成されていない側（Ｔ字の上方側）の領域を利用して、係合
部材２４３１０を回転させて第１片２４３１１を固定部材２４３２０に挿入することがで
きる。また、第１片２４３１１が切断されるとその第１片２４３１１の切断された領域を
利用して、係合部材２４３１０を回転可能とされ、次（他）の第１片２４３１１を固定部
材２４３２０に挿入することができる。これにより、第１片２４３１１の収容部２４３３
５に収容される順番を決定することができる。よって、作業者は、切断されていない第１
片２４３１１がどの位置にあるのかを視認して、固定部材２４３２０が不正に解除されて
いないのかを判断することができるので、第１片２４３１１の個数を作業者が数える場合
よりも、不正がされた痕跡を作業者が見落とすことを抑制できる。
【１３６７】
次いで、図１７９を参照して、第２５実施形態における遊技盤２５０１３について説明
する。上記第１実施形態では、一般入賞口ユニット１５０の装飾部材１５４が、本体部１
５１に接着される場合について説明したが、第２５実施形態では、装飾部材１５４が、ベ
ース板６０の正面側に接着される。なお、上記各実施形態と同一の部分については、同一
の符号を付してその詳しい説明を省略する。
【１３６８】
図１７９（ａ）及び図１７９（ｂ）は、第２５実施形態における遊技盤２５０１３の断
面図である。なお、図１７９（ａ）及び図１７９（ｂ）は、図１４の断面図と対応する。
また、図１７９（ｂ）では、ベース板６０から一般入賞口ユニット２５１５０が分解され
た状態が図示される。
【１３６９】
なお、第２５実施形態における遊技盤２５０１３は、第１実施形態における遊技盤１３
と同様に、遊技盤２５０１３は、正面視略矩形状の板部材から形成されるベース板６０と
、そのベース板６０に形成される開口部分に配設されるセンターフレーム８６を備える。
また、遊技盤２５０１３は、正面視略正方形状に切削加工したベース板６０に、球案内用
の多数の釘（図示せず）や風車の他、レール７６，７７、一般入賞口６３、第１入賞口６
４、第２入賞口６４０、可変入賞装置６５、第１スルーゲート６６、可変表示装置ユニッ
ト８０等（図２参照）を組み付けて構成され、その周縁部が内枠４（図１参照）の裏面側
に取り付けられる。さらに、第２５実施形態では、ベース６０の第２開口部６０ｂ（図１
１参照）の開口部分に一般入賞口ユニット２５１５０が配設される。
【１３７０】
図１７９に示すように、第２５実施形態における遊技盤２５０１３のベース板６０の正
面側に配設される一般入賞口ユニット２５１５０は、ベース板６０の正面に沿って配設さ
れる本体部１５１と、その本体部１５１の端部に立設される第１立設部１５２と、本体部
１４１の正面から立設されると共に、一端が第１立設部１５２に連結される第２立設部１
５３と、本体部１５１の背面側に配設される装飾部材２５１５４と、本体部１５１に形成
される複数（本実施形態では３個）の一般入賞口６３と、を主に備える。
【１３７１】
装飾部材２５１５４は、光透過性材料から板状に形成されると共に、ベース板６０の正
面側に配設される装飾部材６０ｃと連なる模様や文字（絵柄）の装飾が施される。また、
装飾部材２５１５４は、その外縁の形状が、本体部１５１に形成される凹部１５１ｂの内
縁の形状よりも若干小さく形成される。
【１３７２】
また、装飾部材２５１５４は、ベース板６０（装飾部材６０ｃ）の正面に接着させる接
着テープ２５１５４ａを装飾部材２５１５４の背面の端部に備える。これにより、装飾部
材２５１５４をベース板６０に接着して配設することができる。従って、作業者は、装飾
部材２５１５４をベース板６０へ配置する際に、ベース板６０の装飾部材６０ｃの装飾を
視認しつつ装飾部材２５１５４をベース板６０の正面に貼付することができる。よって、
装飾部材２５１５４とベース板６０の装飾部材６０ｃとの装飾の位置を合わせやすくする
ことができる。その結果、装飾部材２５１５４とベース板６０の装飾部材６０ｃとの装飾
の位置がずれることを抑制して、遊技者に装飾部材２５１５４とベース板６０の装飾部材
６０ｃとを１の装飾として遊技者に視認させやすくできる。
【１３７３】
さらに、装飾部材２５１５４がベース板６０（装飾部材６０ｃ）の正面に直接貼付され
るので、本体部１５１の正面側に装飾が施される場合よりも、装飾部材２５１５４と装飾
部材６０ｃとの前後方向（矢印Ｆ−Ｂ方向）における配置を近づけることができる。その
結果、遊技者が装飾部材２５１５４を斜めから視認した場合の各装飾部材２５１５４，６
０ｃの装飾の位置ずれが大きくなることを抑制できる。その結果、遊技者に装飾部材２５
１５４とベース板６０の装飾部材６０ｃとを１の装飾として遊技者に視認させやすくでき
る。
【１３７４】
また、第２５実施形態では、本体部１５１の凹部１５１ｂの凹設寸法Ｘ１が、装飾部材
２５１５４及び接着テープ２５１５４ａとを合わせた前後方向（矢印Ｆ―Ｂ方向）におけ
る幅寸法Ｘ２よりも、小さく設定される。これにより、装飾部材２５１５４の正面側（矢
印Ｆ方向側）から、本体部１５１を配設した場合に、装飾部材２５１５４を凹部１５１ｂ
の凹設底面１５１ｂ２に装飾部材２５１５４の正面が当接することを抑制できる。
【１３７５】
従って、凹部１５１ｂを除いた本体部１５１の背面を形成する背面部１５１ｄをベース
板６０の正面に当接させることができ、背面部１５１ｄとベース板６０との間に隙間が形
成されることを抑制できる。その結果、背面部１５１ｄとベース板６０との間にゴミ等が
入ってベース板６０の装飾部材６０ｃの装飾が視認されにくくなることを抑制できる。
【１３７６】
次いで、図１８０を参照して第２６実施形態における遊技盤２６０１３について説明す
る。上記第１実施形態では、一般入賞口ユニット１５０の本体部１５１の端部に直線状の
傾斜面１５１ａが形成される場合について説明したが、第２６実施形態では、本体部２６
１５１の端部に形成される傾斜面２６１５１ａが外側に膨出する断面円弧状に形成される
。なお、上記各実施形態と同一の部分については、同一の符号を付してその詳しい説明を
省略する。
【１３７７】
図１８０（ａ）及び図１８０（ｂ）は、第２６実施形態における遊技盤２６０１３の断
面図である。なお、図１８０（ａ）及び図１８０（ｂ）は、図１４の断面図に対応する。
また、図１８０（ａ）では、遊技者が遊技盤２６０１３を通常よりも高い位置（例えば、
パチンコ機１０（図１参照）の重力方向上側端部と同じ高さの視点）から視認した場合の
視線が２点鎖線で図示され、図１８０（ｂ）では、遊技者が遊技盤２６０１３を通常の位
置（例えば、遊技盤２６０１３の重力方向略中間位置と同一の高さの視点）から視認した
場合の視線が２点鎖線で図示される。
【１３７８】
なお、第２６実施形態における遊技盤２６０１３は、第１実施形態における遊技盤１３
と同様に、遊技盤２６０１３は、正面視略矩形状の板部材から形成されるベース板６０と
、そのベース板６０に形成される開口部分に配設されるセンターフレーム８６（図２参照
）を備える。また、遊技盤２６０１３は、正面視略正方形状に切削加工したベース板６０
に、球案内用の多数の釘（図示せず）や風車の他、レール７６，７７、一般入賞口６３、
第１入賞口６４、第２入賞口６４０、可変入賞装置６５、第１スルーゲート６６、可変表
示装置ユニット８０等（図２参照）を組み付けて構成され、その周縁部が内枠４（図１参
照）の裏面側に取り付けられる。さらに、第２６実施形態では、ベース６０の第２開口部
６０ｂ（図１１参照）の開口部分に一般入賞口ユニット２６１５０が配設される。
【１３７９】
図１８０に示すように、第２６実施形態における遊技盤２６０１３のベース板６０の正
面側に配設される一般入賞口ユニット２６１５０は、ベース板６０の正面に沿う板状の本
体部２６１５１と、その本体部２６１５１の背面側に配設される装飾部材１５４と、を備
える。
【１３８０】
本体部２６１５１は、透明の樹脂材料から形成され、背面側に配設される装飾部材１５
４の模様や文字等（絵柄）の装飾を遊技者側から視認可能とされる。また、本体部２６１
５１は、正面視における端部が背面側に向かって傾斜すると共に、断面円弧状に膨出する
傾斜面２６１５１ａと、本体部２６１５１の背面から正面側に向かって凹設される凹部１
５１ｂと、を主に備えて形成される。
【１３８１】
傾斜面２６１５１ａは、本体部２６１５１の正面側の平面との連結点と、背面側の端部
と、を連結する仮想線ＩＬ１のベース板６０の正面に対する傾斜角度θ１が、４５度より
も小さく設定される。これにより、傾斜角度θ１が、４５度よりも大きく設定される場合
よりも、本体部２６１５１を水平方向に進む光が傾斜面２６１５１ａから本体部２６１５
１の外側に入射する際の入射角が大きくされる。よって、本体部２６１５１の外側に光が
出射させた際に、その光の進行方向を上方側に屈曲させやすくできる。従って、遊技者が
、遊技盤２６０１３に対して通常の位置よりも高い位置から一般入賞口ユニット２６１５
０を視認した場合に、装飾部材１５４，６０ｃの連結部分を正面側から視認させやすくで
きる。その結果、装飾部材１５４，６０ｃの連結部分の前後方向の位置の違いを遊技者に
認識されにくくすることができるので、一般入賞口ユニット２６１５０の装飾部材１５４
と、ベース板６０の装飾部材６０ｃとを合わせて１の装飾として視認させやすくできる。
なお、本実施形態では、角度θ１が４０度に設定される。
【１３８２】
また、上述したように傾斜面２６１５１ａは、外側に膨出する断面円弧状に形成される
ので、本体部２６１５１の中央側（図１８０（ａ）下側）に向かうほど、本体部２６１５
１を水平方向に進む光が傾斜面２６１５１ａから本体部２６１５１の外側に入射する際の
入射角が大きくされる。従って、本体部２６１５１の中央側（図１８０（ａ）下側）に向
かうほど、本体部２６１５１を水平方向に進む光が傾斜面２６１５１ａから本体部２６１
５１の外側に入射する際の入射角が大きくされる。
【１３８３】
よって、遊技者が傾斜面２６１５１ａを介して、本体部２６１５１の正面側の平面との
連結点と背面側の端部との中間位置を通過する水平線ＨＲ１（図１８０（ａ）参照）より
も下方側の装飾を視認した場合に、本体部２６１５１内を通過する遊技者の視線の角度を
ベース板６０の正面に対して直交する方向（水平方向）に近づけやすくできる。
【１３８４】
さらに、凹部１５１ｂの内側に配設される装飾部材１５４は、その端部の位置が、本体
部２６１５１の正面側の平面との連結点と背面側の端部との中間位置を通過する水平線Ｈ
Ｒ１（図１８０（ａ）参照）よりも下方に設定されると共に、傾斜面２６１５１ａの背面
側に設定される。上述したように、水平線ＨＲ１（図１８０（ａ）参照）よりも下方側の
装飾を、遊技者が傾斜面２６１５１ａを介して視認した場合に、本体部２６１５１内を通
過する遊技者の視線の角度をベース板６０の正面に対して直交する方向（水平方向）に近
づけやすくできる。
【１３８５】
従って、図１８０（ａ）に示すように、遊技者が遊技盤２６０１３を通常よりも高い位
置から一般入賞口ユニット２６１５０及びベース板６０を視認した場合にも、傾斜面２６
１５１ａを介してベース板６０の装飾部材６０ｃの装飾と、一般入賞口ユニット２６１５
０の装飾部材１５４の装飾とを合わせて遊技者に視認させやすくできる。その結果、一般
入賞口ユニット２６１５０の装飾部材１５４と、ベース板６０の装飾部材６０ｃとを合わ
せて１の装飾として視認させやすくできる。
【１３８６】
一方、図１８０（ｂ）に示すように、遊技者が遊技盤２６０１３を通常の高さから一般
入賞口ユニット２６１５０及びベース板６０を視認した場合には、傾斜面２６１５１ａの
膨出形状により、本体部２６１５１を水平方向に進む光が傾斜面２６１５１ａから本体部
２６１５１の外側に入射する際の入射角が直角に近似するので、本体部２６１５１の外側
に出射される光を屈折しにくくできる。よって、傾斜面２６１５１ａを介した際に遊技者
の視線の方向が屈曲することを抑制して、一般入賞口ユニット２６１５０の装飾部材１５
４と、ベース板６０の装飾部材６０ｃと、の前後方向位置ずれを遊技者に認識させにくく
することができる。その結果、一般入賞口ユニット２６１５０の装飾部材１５４と、ベー
ス板６０の装飾部材６０ｃとを合わせて１の装飾として視認させやすくできる。
【１３８７】
次いで、図１８１を参照して、第２７実施形態における遊技盤２７０１３について説明
する。上記第１実施形態では、一般入賞口ユニット１５０の本体部１５１の端部に直線状
の傾斜面１５１ａが形成される場合について説明したが、第２７実施形態では、本体部２
６１５１の端部形成される傾斜面２７１５１ａが、本体部２７１５１の内側に凹む断面円
弧状に形成される。なお、上記各実施形態と同一の部分については、同一の符号を付して
その詳しい説明を省略する。
【１３８８】
図１８１（ａ）及び図１８１（ｂ）は、第２７実施形態における遊技盤２７０１３の断
面図である。なお、図１８１（ａ）及び図１８１（ｂ）は、図１４の断面図に対応する。
また、図１８１（ａ）では、遊技者が遊技盤２７０１３を通常よりも高い位置（例えば、
パチンコ機１０（図１参照）の重力方向上側端部と同じ高さの視点）から視認した場合の
視線が２点鎖線で図示され、図１８１（ｂ）では、遊技者が遊技盤２７０１３を通常の位
置（例えば、遊技盤２７０１３の重力方向略中間位置と同一の高さの視点）から視認した
場合の視線が２点鎖線で図示される。
【１３８９】
なお、第２７実施形態における遊技盤２７０１３は、第１実施形態における遊技盤１３
と同様に、遊技盤２７０１３は、正面視略矩形状の板部材から形成されるベース板６０と
、そのベース板６０に形成される開口部分に配設されるセンターフレーム８６（図２参照
）を備える。また、遊技盤２７０１３は、正面視略正方形状に切削加工したベース板６０
に、球案内用の多数の釘（図示せず）や風車の他、レール７６，７７、一般入賞口６３、
第１入賞口６４、第２入賞口６４０、可変入賞装置６５、第１スルーゲート６６、可変表
示装置ユニット８０等（図２参照）を組み付けて構成され、その周縁部が内枠４（図１参
照）の裏面側に取り付けられる。さらに、第２７実施形態では、ベース６０の第２開口部
６０ｂ（図１１参照）の開口部分に一般入賞口ユニット２７１５０が配設される。
【１３９０】
図１８１に示すように、第２７実施形態における遊技盤２７０１３のベース板６０の正
面側に配設される一般入賞口ユニット２７１５０は、ベース板６０の正面に沿う板状の本
体部２７１５１と、その本体部２７１５１の背面側に配設される装飾部材１５４と、を備
える。
【１３９１】
本体部２７１５１は、透明の樹脂材料から形成され、背面側に配設される装飾部材１５
４の模様や文字等（絵柄）の装飾を遊技者側から視認可能とされる。また、本体部２７１
５１は、正面視における端部が背面側に向かって傾斜し、本体部２７１５１の内側に向か
って凹設される断面円弧状の傾斜面２７１５１ａと、本体部２７１５１の背面から正面側
に向かって凹設される凹部１５１ｂと、を主に備えて形成される。
【１３９２】
傾斜面２７１５１ａは、本体部２７１５１の正面側の平面との連結点と、背面側の端部
と、を連結する仮想線ＩＬ２のベース板６０の正面に対する傾斜角度θ２が、４５度より
も大きく設定される。これにより、傾斜面２７５１ａの外側への突出距離を小さくするこ
とができ、本体部２７１５１の外形が大きくなることを抑制できる。
【１３９３】
また、上述したように、傾斜面２７１５１ａは、本体部２７１５１の内側に凹設される
断面円弧状に形成されるので、遊技者が傾斜面２７１５１ａを介して、各装飾部材６０ｃ
，１５４を視認する場合に、その凹設形状により傾斜面２７１５１ａを介して各装飾部材
６０ｃ，１５４の装飾を視認可能な領域を広げることができる。即ち、本体部２７１５１
の内側に向かって凹設される断面円弧状により、各装飾部材６０ｃ，１５４から傾斜面２
７１５１ａに入射される光を屈折させて、遊技者の視点に向かって集光することができる
。その結果、傾斜面２７１５１ａ介して視認される模様や文字（絵柄）を小さくして、各
装飾部材６０ｃ，１５４の連結を遊技者に分かりにくくすることができる。その結果、各
装飾部材６０ｃ，１５４の位置ずれを遊技者に分かりにくくさせることができ、遊技者の
興趣が損なわれることを抑制できる。
【１３９４】
さらに、凹部１５１ｂの内側に配設される装飾部材１５４は、その端部の位置が、本体
部２７１５１の正面側の平面との連結点と背面側の端部との中間位置を通過する水平線Ｈ
Ｒ２よりも上方に設定されると共に、傾斜面２７１５１ａの背面側に設定される。
【１３９５】
これにより、図１８１（ａ）に示すように、遊技者が遊技盤２６０１３を通常よりも高
い位置から一般入賞口ユニット２７１５０及びベース板６０を視認した場合には、装飾部
材６０ｃと装飾部材１５４との連結部分の正面側の本体部２６１５１を水平方向に進む光
が傾斜面２６１５１ａから本体部２６１５１の外側に入射する際の入射角が大きくされる
。従って、装飾部材１５４との連結部分の正面側の本体部２７１５１を水平方向に進む光
は、遊技者の視点側に屈折されやすくなるので、遊技者が、遊技盤２７０１３に対して通
常の位置よりも高い位置から一般入賞口ユニット２７１５０を視認した場合に、装飾部材
１５４，６０ｃの連結部分を正面側から視認させやすくできる。その結果、装飾部材１５
４，６０ｃの連結部分の前後方向の位置の違いを遊技者に認識されにくくすることができ
るので、一般入賞口ユニット２７１５０の装飾部材１５４と、ベース板６０の装飾部材６
０ｃとを合わせて１の装飾として視認させやすくできる。
【１３９６】
一方、図１８１（ｂ）に示すように、遊技者が遊技盤２７０１３を通常の高さから一般
入賞口ユニット２７１５０及びベース板６０を視認した場合には、傾斜面２７１５１ａの
凹設形状により、装飾部材１５４との連結部分の正面側の本体部２７１５１を水平方向に
進む光が傾斜面２７１５１ａから本体部２７１５１の外側に入射する際の入射角が直角に
近似するので、本体部２７１５１の外側に出射される光を屈折しにくくできる。よって、
傾斜面２７１５１ａを介した際に遊技者の視線の方向が屈曲することを抑制して、一般入
賞口ユニット２７１５０の装飾部材１５４と、ベース板６０の装飾部材６０ｃと、の前後
方向位置ずれを遊技者に認識させにくくすることができる。その結果、一般入賞口ユニッ
ト２７１５０の装飾部材１５４と、ベース板６０の装飾部材６０ｃとを合わせて１の装飾
として視認させやすくできる。
【１３９７】
次いで、図１８２（ａ）を参照して、第２８実施形態における遊技盤２８０１３につい
て説明する。上記第１実施形態では、一般入賞口ユニット１５０の本体部１５１に凹設さ
れる凹部１５１ｂの端部の内面は、本体部１５１の板厚方向と平行とされる場合について
説明したが、第２８実施形態における凹部２８１５１ｂの端部の内面は、凹設底面１５１
ｂ２側に向かって内側に傾斜される。なお、上記各実施形態と同一の部分については、同
一の符号を付してその詳しい説明を省略する。
【１３９８】
図１８２（ａ）は、第２８実施形態における遊技盤２８０１３の断面図である。なお、
図１８２（ａ）は、図１４の断面図に対応する。また、図１８２（ａ）では、遊技者が遊
技盤２８０１３を通常の位置（例えば、遊技盤２８０１３の重力方向略中間位置と同一の
高さの視点）から視認した場合の視線が２点鎖線で図示される。
【１３９９】
なお、第２８実施形態における遊技盤２８０１３は、第１実施形態における遊技盤１３
と同様に、遊技盤２８０１３は、正面視略矩形状の板部材から形成されるベース板６０と
、そのベース板６０に形成される開口部分に配設されるセンターフレーム８６（図２参照
）を備える。また、遊技盤２８０１３は、正面視略正方形状に切削加工したベース板６０
に、球案内用の多数の釘（図示せず）や風車の他、レール７６，７７、一般入賞口６３、
第１入賞口６４、第２入賞口６４０、可変入賞装置６５、第１スルーゲート６６、可変表
示装置ユニット８０等（図２参照）を組み付けて構成され、その周縁部が内枠４（図１参
照）の裏面側に取り付けられる。さらに、第２８実施形態では、ベース６０の第２開口部
６０ｂ（図１１参照）の開口部分に一般入賞口ユニット２８１５０が配設される。
【１４００】
図１８２（ａ）に示すように、第２８実施形態における遊技盤２８０１３のベース板６
０の正面側に配設される一般入賞口ユニット２８１５０は、ベース板６０の正面に沿う板
状の本体部２８１５１と、その本体部２８１５１の背面側に配設される装飾部材１５４と
、を備える。
【１４０１】
本体部２８１５１は、透明の樹脂材料から形成され、背面側に配設される装飾部材１５
４の模様や文字等（絵柄）の装飾を遊技者側から視認可能とされる。また、本体部２８１
５１は、端部が背面側に向かって傾斜される傾斜面１５１ａと、本体部２８１５１の背面
から正面側に向かって凹設される凹部２８１５１ｂとを主に備える。
【１４０２】
凹部２８１５１ｂの内側面２８１５１ｂ３は、上述したように、凹設底面１５１ｂ２側
から凹設開口側に向かって（矢印Ｆ方向側から矢印Ｂ方向側に向かって）外側に本体部２
８１５１の端部側に向かって傾斜して形成される。この場合、その凹部２８１５１ｂの断
面における内側面２８１５１ｂ３のベース板６０の正面に対する傾斜角度θ３（図１８２
（ａ）参照）が、本体部１５１の傾斜面１５１ａのベース板６０に対する傾斜角度θ４（
図１８２（ａ）参照）よりも小さく設定される。
【１４０３】
これにより、図１８２（ａ）示すように、遊技者が本体部２８１５１の傾斜面２８１５
１ａを介して装飾部材６０ｃを視認する場合に、本体部２８１５１を通過することで屈曲
して遊技者に視認される虚像の装飾位置と、本体部２８１５１を介さずに装飾部材６０ｃ
を視認した際の実像の装飾位置とを近づけることができる。即ち、本体部２８１５１の傾
斜面２８１５１ａ及び凹部の内側面２８１５１ｂ３で屈折されて視認される装飾部材６０
ｃの位置を遊技者の視線の延長線上に位置させることができる。その結果、遊技者に本体
部２８１５１を介して装飾部材６０ｃを視認させた際に、光の屈折により生じる装飾の位
置ずれを抑制して、遊技者の興趣が損なわれることを抑制できる。
【１４０４】
次いで、図１８２（ｂ）を参照して、第２９実施形態における遊技盤２９０１３につい
て説明する。上記第２８実施形態では、凹部２９１５１ｂの断面における内側面２９１５
１ｂ３のベース板６０の正面に対する傾斜角度θ３が、傾斜面１５１ａのベース板６０に
対する傾斜角度θ４よりも小さく設定される場合について説明したが、第２９実施形態で
は、凹部２９１５１ｂの断面における内側面２９１５１ｂ３のベース板６０の正面に対す
る傾斜角度θ５が、傾斜面１５１ａのベース板６０に対する傾斜角度θ６よりも大きく設
定される。なお、上記各実施形態と同一の部分については、同一の符号を付してその詳し
い説明を省略する。
【１４０５】
図１８２（ｂ）は、第２９実施形態における遊技盤２９０１３の断面図である。なお、
図１８２（ｂ）は、図１４の断面図に対応する。また、図１８２（ｂ）では、遊技者が遊
技盤２９０１３を通常の位置（例えば、遊技盤２９０１３の重力方向略中間位置と同一の
高さの視点）から視認した場合の視線が２点鎖線で図示される。
【１４０６】
なお、第２９実施形態における遊技盤２９０１３は、第１実施形態における遊技盤１３
と同様に、遊技盤２９０１３は、正面視略矩形状の板部材から形成されるベース板６０と
、そのベース板６０に形成される開口部分に配設されるセンターフレーム８６（図２参照
）を備える。また、遊技盤２９０１３は、正面視略正方形状に切削加工したベース板６０
に、球案内用の多数の釘（図示せず）や風車の他、レール７６，７７、一般入賞口６３、
第１入賞口６４、第２入賞口６４０、可変入賞装置６５、第１スルーゲート６６、可変表
示装置ユニット８０等（図２参照）を組み付けて構成され、その周縁部が内枠４（図１参
照）の裏面側に取り付けられる。さらに、第２９実施形態では、ベース６０の第２開口部
６０ｂ（図１１参照）の開口部分に一般入賞口ユニット２９１５０が配設される。
【１４０７】
図１８２（ｂ）に示すように、第２９実施形態における遊技盤２９０１３のベース板６
０の正面側に配設される一般入賞口ユニット２９１５０は、ベース板６０の正面に沿う板
状の本体部２９１５１と、その本体部２９１５１の背面側に配設される装飾部材１５４と
、を備える。
【１４０８】
本体部２９１５１は、透明の樹脂材料から形成され、背面側に配設される装飾部材１５
４の模様や文字等（絵柄）の装飾を遊技者側から視認可能とされる。また、本体部２９１
５１は、端部が背面側に向かって傾斜される傾斜面１５１ａと、本体部２９１５１の背面
から正面側に向かって凹設される凹部２９１５１ｂとを主に備える。
【１４０９】
凹部２９１５１ｂの内側面２９１５１ｂ３は、上述したように、凹設底面１５１ｂ２側
から凹設開口側に向かって（矢印Ｆ方向側から矢印Ｂ方向側に向かって）外側に本体部２
９１５１の端部側に向かって傾斜して形成される。この場合、その凹部２９１５１ｂの断
面における内側面２９１５１ｂ３のベース板６０の正面に対する傾斜角度θ５（図１８２
（ｂ）参照）が、本体部１５１の傾斜面１５１ａのベース板６０に対する傾斜角度θ６（
図１８２（ｂ）参照）よりも大きく設定される。
【１４１０】
これにより、図１８２（ｂ）示すように、遊技者が本体部２９１５１の傾斜面１５１ａ
を介して装飾部材６０ｃを視認する場合に、装飾部材６０ｃ及び装飾部材１５４から傾斜
面１５１ａを介して遊技者の視点に照射される光を、凹部２９１５１ｂの内側面２９１５
１ｂ３の傾斜に対して、略直交する方向に照射される光とすることができる。従って、装
飾部材６０ｃ及び装飾部材１５４から凹部２９１５１ｂの内側面２９１５１ｂ３に光が入
射する際に、光が屈折すること抑制できる。その結果、凹部２９１５１ｂの内側面２９１
５１ｂ３に光が入射する際に、光が屈折することで、装飾部材６０ｃ及び装飾部材１５４
の連結部分が重力方向上側から視認されることを抑制でき、装飾部材６０ｃ及び装飾部材
１５４を１の装飾として遊技者に視認させやすくできる。
【１４１１】
また、凹部２９１５１ｂの内側面２９１５１ｂ３と装飾部材１５４の端部との間に所定
の隙間を備えるので、その隙間により装飾部材１５４が形成される際に生じる寸法誤差を
吸収することができる。
【１４１２】
次いで、図１８３（ａ）を参照して、第３０実施形態における一般入賞口ユニット３０
１５０について説明する。上記第２８実施形態では、凹部２８１５１ｂの内側面２８１５
１ｂ３が傾斜して形成される場合について説明したが、第３０実施形態では、凹部３０１
５１ｂの内側面３０１５１ｂ３が凹部２８１５１ｂの内側に膨出すると共に断面円弧状に
湾曲して形成される。なお、上記各実施形態と同一の部分については、同一の符号を付し
てその詳しい説明を省略する。
【１４１３】
なお、第３０実施形態における遊技盤３００１３は、第１実施形態における遊技盤１３
と同様に、遊技盤３００１３は、正面視略矩形状の板部材から形成されるベース板６０と
、そのベース板６０に形成される開口部分に配設されるセンターフレーム８６（図２参照
）を備える。また、遊技盤３００１３は、正面視略正方形状に切削加工したベース板６０
に、球案内用の多数の釘（図示せず）や風車の他、レール７６，７７、一般入賞口６３、
第１入賞口６４、第２入賞口６４０、可変入賞装置６５、第１スルーゲート６６、可変表
示装置ユニット８０等（図２参照）を組み付けて構成され、その周縁部が内枠４（図１参
照）の裏面側に取り付けられる。さらに、第３０実施形態では、ベース６０の第２開口部
６０ｂ（図１１参照）の開口部分に一般入賞口ユニット３０１５０が配設される。
【１４１４】
図１８３（ａ）は、第３０実施形態における一般入賞口ユニット３０１５０の断面図で
ある。なお、図１８３（ａ）は、図１４の断面図に対応する。また、図１８３（ａ）では
、遊技者が、遊技盤３００１３を通常の位置（例えば、遊技盤３００１３の重力方向略中
間位置と同一の高さの視点）から視認した場合の視線が２点鎖線で図示される。
【１４１５】
図１８３（ａ）に示すように、第３０実施形態における遊技盤３００１３のベース板６
０の正面側に配設される一般入賞口ユニット３０１５０は、ベース板６０の正面に沿う板
状の本体部３０１５１と、その本体部３０１５１の背面側に配設される装飾部材１５４と
、を備える。
【１４１６】
本体部３０１５１は、透明の樹脂材料から形成され、背面側に配設される装飾部材１５
４の模様や文字等（絵柄）の装飾を遊技者側から視認可能とされる。また、本体部３０１
５１は、端部が背面側に向かって傾斜される傾斜面１５１ａと、本体部３０１５１の背面
から正面側に向かって凹設される凹部３０１５１ｂとを主に備える。
【１４１７】
凹部３０１５１ｂの内側面３０１５１ｂ３は、凹設底面１５１ｂ２側から凹設開口側に
向かって（矢印Ｆ方向側から矢印Ｂ方向側に向かって）外側に本体部３０１５１の端部側
に傾斜して形成される共に、凹部３０１５１ｂの内側に向かって断面円弧状に膨出する。
これにより、凹部３０１５１ｂを介して装飾部材６０ｃを視認する遊技者の視線を装飾部
材６０ｃの装飾面と直交する方向（水平方向）に向けやすくできる。その結果、凹部３０
１５１ｂを介して遊技盤３００１３の装飾を視認した場合に、装飾部材１５４の端部が視
認されることを抑制して、装飾部材６０ｃ及び装飾部材１５４を１の装飾として遊技者に
視認させやすくできる。
【１４１８】
次いで、図１８３（ｂ）を参照して第３１実施形態における一般入賞口ユニット３１１
５０について説明する。上記第１実施形態では、傾斜面１５１ａは、断面が直線状の面と
して形成される場合について説明したが、第３１実施形態における傾斜面３１１５１ａは
、複数の凹設部３１１５１ａ１を備える。なお、上記各実施形態と同一の部分については
、同一の符号を付してその詳しい説明を省略する。
【１４１９】
図１８３（ｂ）は、第３１実施形態における一般入賞口ユニット３１１５０の断面図で
ある。なお、図１８３（ｂ）は、図１４の断面図に対応する。また、第３１実施形態にお
ける遊技盤３１０１３は、第１実施形態における遊技盤１３と同様に、遊技盤３１０１３
は、正面視略矩形状の板部材から形成されるベース板６０と、そのベース板６０に形成さ
れる開口部分に配設されるセンターフレーム８６（図２参照）を備える。また、遊技盤３
１０１３は、正面視略正方形状に切削加工したベース板６０に、球案内用の多数の釘（図
示せず）や風車の他、レール７６，７７、一般入賞口６３、第１入賞口６４、第２入賞口
６４０、可変入賞装置６５、第１スルーゲート６６、可変表示装置ユニット８０等（図２
参照）を組み付けて構成され、その周縁部が内枠４（図１参照）の裏面側に取り付けられ
る。さらに、第３１実施形態では、ベース６０の第２開口部６０ｂ（図１１参照）の開口
部分に一般入賞口ユニット３１１５０が配設される。
【１４２０】
図１８３（ｂ）に示すように、第３１実施形態における遊技盤３１０１３のベース板６
０の正面側に配設される一般入賞口ユニット３１１５０は、ベース板６０の正面に沿う板
状の本体部３１１５１と、その本体部３１１５１の背面側に配設される装飾部材１５４と
を備える。
【１４２１】
本体部３１１５１は、透明の樹脂材料から形成され、背面側に配設される装飾部材１５
４の模様や文字等（絵柄）の装飾を遊技者側から視認可能とされる。また、本体部３１１
５１は、端部が背面側に向かって傾斜される傾斜面３１１５１ａと、本体部３１１５１の
背面から正面側に向かって凹設される凹部１５１ｂとを主に備える。
【１４２２】
傾斜面３１１５１ａは、その傾斜方向と直行する方向に凹設される複数の凹設部３１１
５１ａ１を備える。複数の凹設部３１１５１ａ１は、傾斜面３１１５１ａの傾斜方向に複
数個並設されると共に、正面視における本体部３１１５１の端部に沿って延設される。こ
れにより、本体部３１１５１の内部に入射されて本体部３１１５１の端部（傾斜面３１１
５１ａ）から出射される光を乱反射させることができる。従って、傾斜面３１１５１ａを
介して視認される装飾をぼやかした状態で遊技者に視認させることができる。
【１４２３】
ここで、本体部３１１５１に配設される装飾部材１５４の端部は、第１実施形態と同様
に傾斜面３１１５１ａの背面側に配設されるので、装飾部材１５４の装飾と装飾部材６０
ｃの装飾の連結部分をぼやかした状態で遊技者に視認させることができる。その結果、遊
技者に各装飾部材の連結を認識させにくくすることができ、装飾部材６０ｃの装飾と装飾
部材１５４の装飾とを１の装飾として遊技者に認識させやすくできる。
【１４２４】
＜対向間の間隔を調整して流下方向を変更する調整手段＞
次いで、図１８４から図１８６を参照して、第３２実施形態における特別入賞装置３２
５５０について説明する。上記第１３実施形態では、第１経路部材１３５６０と第２経路
部材１３５７０との間にシム部材ＳＩを挟むことで、第１経路部材１３５６０と第２経路
部材１３５７０との対向間隔を調整する場合について説明したが、第３２実施形態では、
第１経路部材３２５６０と第２経路部材３２５７０との対向間隔をネジの締結位置により
調整する場合について説明する。なお、上記各実施形態と同一の部分には、同一の符号を
付してその説明は省略する。
【１４２５】
初めに、図１８４及び図１８５を参照して、第３２実施形態における特別入賞装置３２
５５０の構成について説明する。図１８４は、第３２実施形態における特別入賞装置３２
５５０の分解斜視正面図である。図１８５（ａ）は、特別入賞装置３２５５０の正面図で
あり、図１８５（ｂ）は、特別入賞装置３２５５０の上面図であり、図１８５（ｃ）は、
図１８５（ａ）のＣＬＸＸＸＶｃ−ＣＬＸＸＸＶｃ線における特別入賞装置３２５５０の
断面図である。
【１４２６】
図１８４及び図１８５に示すように、第３２実施形態における特別入賞装置３２５５０
は、正面側に配設される第１経路部材３２５６０と、その第１経路部材３２５６０の背面
側に配設される第２経路部材３２５７０と、を備える。
【１４２７】
第１経路部材３２５６０は、非光透過の材料から形成される。また、第１経路部材３２
５６０は、板状に形成され遊技領域の正面側に配設される正面板３２５６４と、その正面
板３２５６４の左右の端部から背面側（ベース板６０側）に突設される第１壁部３２５６
５と、を備える。
【１４２８】
正面板３２５６４は、後述する第２経路部材３２５７０との対向間で形成される遊技球
の流下経路の正面側の壁部となる板部材であり、非光透過の材料から形成される。これに
より、遊技者に特別入賞装置３３５５０の内部を流下する遊技球を視認不能にできる。そ
の結果、遊技者が特別入賞装置３３５５０の内部の遊技球の流下方向を把握することを抑
制して、遊技者が遊技をやめることを抑制できる。
【１４２９】
第１壁部３２５６５は、第２経路部材３２５７０と連結（締結）される部分であり、左
右方向（板厚方向）に円形状に貫通する貫通孔３２５６５ｃと、２の第１壁部３２５６５
の対向面に複数個並設されると共に断面三角形状に突設される一側突部３２５６５ｄと、
第１壁部３２５６５の上下の両端から２の第２壁部３２５６６の対向面側に立設される立
設部３２５６５ｅとを主に備える。
【１４３０】
貫通孔３２５６５ｃは、第１経路部材３２５６０を第２経路部材３２５７０に締結させ
るためのネジを挿通する貫通穴であり、各第１壁部３２５６５に１箇所ずつ形成される。
【１４３１】
一側突部３２５６５ｄは、後述する第２経路部材３２５７０の他側凹部３２５７３ｃに
挿入されて、第１経路部材３２５６０を第２経路部材３２５７０に対して位置決めをする
部分であり、前後方向（矢印Ｆ−Ｂ方向）に並設されると共に、上下方向（矢印Ｕ−Ｄ）
方向に延設される。
【１４３２】
立設部３２５６５ｅは、一側突部３２５６５ｄを覆設して、遊技者から一側突部３２５
６５ｄを不可視にする部分であり、一側突部３２５６５ｄの突設距離より大きく設定され
る。これにより、一側突部３２５６５ｄが他側凹部３２５７３ｃに挿入された位置を視認
されることを抑制して、第２経路部材３２５７０に対する第１経路部材３２５６０の位置
が遊技者に認識されることを抑制できる。その結果、遊技者が不利と判断してパチンコ機
１０を遊技しなくなることを抑制できる。
【１４３３】
第２経路部材３２５７０は、第１経路部材３２５６０の正面板３２５６４と対向する板
状のベース板３２５７１と、そのベース板３２５７１の左右（矢印Ｌ−Ｒ方向）の端部か
ら第１経路部材３２５６０の正面板３２５６４側に突設される第４壁部３２５７３と、を
備える。
【１４３４】
ベース板３２５７１は、第１経路部材３２５６０の正面板３２５６４との対向間の隙間
で遊技球の送球経路を形成する部材であり、正面視におけるベース板３２５７１の上下方
向（矢印Ｕ−Ｄ方向）の大きさが正面板３２５６４よりも小さくされる。これにより、遊
技者側からベース板３２５７１が視認されることを抑制できる。その結果、遊技者が、ベ
ース板３２５７１と正面板３２５６４との対向間隔を視認して遊技が有利または不利であ
ると判断することを防止できる。
【１４３５】
また、ベース板３２５７１は、第１経路部材３２５６０側に突出する第４凸部３２５７
１ｂ及び第５凸部３２５７１ｃと、それら第４凸部３２５７１ｂ及び第５凸部３２５７１
ｃの下方に位置し、正面板３２５６４側に突設される第６凸部３２５７１ｄと、を備える
。
【１４３６】
第４凸部３２５７１ｂ及び第５凸部３２５７１ｃは、特別入賞装置３２５５０の内部を
流下する遊技球を案内するための突起であり、ベース板３２５７１の左右方向外側（矢印
Ｌ−Ｒ方向外側）からベース板３２５７１の中央側に向かって下降傾斜して形成される。
これにより、ベース板３２５７１と正面板３２５６４との対向間を流下して、第４凸部３
２５７１ｂ又は第５凸部３２５７１ｃに衝突する遊技球を、それら第４凸部３２５７１ｂ
又は第５凸部３２５７１ｃの傾斜方向に流下させやすくすることができる。
【１４３７】
第６凸部３２５７１ｄは、上述した第４凸部３２５７１ｂ及び第５凸部３２５７１ｃの
下方側に形成されると共に、ベース板３２５７１の左右方向略中央位置に形成される。ま
た第６凸部３２５７１ｄは、重力方向に延設される。これにより、ベース板３２５７１と
正面板３２５６４との対向間を流下して、第４凸部３２５７１ｂ又は第５凸部３２５７１
ｃに案内される遊技球を第６凸部３２５７１ｄの左右のどちらかに振り分けられる。
【１４３８】
対向する２箇所の第４壁部３２５７３は、対向方向外側の側面に対向方向の内側に向か
って凹設される複数の他側凹部３２５７３ｃと、対向方向に貫通される調整孔３２５７３
ｂと、２箇所の第４壁部３２５７３の対向方向内側に形成されると共に調整孔３２５７３
ｂを取り囲む収容部３２５７３ｄと、を主に備える。
【１４３９】
他側凹部３２５７３ｃは、第４壁部３２５７３の前後方向（矢印Ｆ−Ｂ方向）に複数個
並設されると共に、重力方向に延設される。また、他側凹部３２５７３ｃは、断面略三角
形状に凹設して形成され、その断面形状が、一側突部３２５６５ｄと略同一に設定される
。これにより、一側突部３２５６５ｄを他側凹部３２５７３ｃに挿入して第１経路部材３
２５６０を位置決めすることができる。
【１４４０】
調整孔３２５７３ｂは、上述した第１経路部材３２５６０の貫通孔３２５６５ｃを挿通
したネジの先端を収容部３２５７３ｄ側に挿通させる部分である。また、調整孔３２５７
３ｂは、前後方向（矢印Ｆ−Ｂ方向）に長い長穴に形成されており、これにより、第２経
路部材３２５７０に対する第１経路部材３２５６０の移動が許容される。
【１４４１】
収容部３２５７３ｄは、正面視において断面コ字状に形成されると共に、その両端部が
第４壁部３２５７３に連結される。また、収容部３２５７３ｄは、ベース板３２５７１の
正面から第４壁部３２５７３の正面側の端部に亘って延設される。これにより、収容部３
２５７３ｄにより囲われた空間内に、貫通孔３２５６５ｃ及び調整孔３２５７３ｂを挿通
したネジを螺合する螺合板３２５９０を収容できる。
【１４４２】
螺合板３２５９０は、収容部３２５７３ｄにより形成される空間に挿入可能な寸法に設
定されると共に、前後方向（矢印Ｆ−Ｂ方向）における幅寸法が収容部３２５７３ｄによ
り形成される空間の前後方向寸法（第４壁部３２５７３の正面側への突設寸法）よりも小
さく設定される。これにより、螺合板３２５９０を収容部３２５７３ｄの内側に挿入でき
ると共に、前後方向に移動可能とされる。
【１４４３】
また、螺合板３２５９０は、貫通孔３２５６５ｃ及び調整孔３２５７３ｂを挿通したネ
ジを螺合する螺合孔３２５９１と、その螺合孔３２５９１の前後方向（矢印Ｆ−Ｂ方向）
の両端から２箇所の第４壁部３２５７３の対向面に向かって突設される案内突部３２５９
２とを備える。
【１４４４】
螺合孔３２５９１は、２箇所形成されており、上下方向に並んで形成される。また、２
箇所の螺合孔３２５９１は、上端から一方の螺合孔３２５９１の距離寸法と下端から他方
の螺合孔３２５９１の距離寸法とが同一となる位置に形成される。これにより、どちらか
一方の螺合孔３２５９１のネジ溝が潰れた場合に、螺合板３２５９０を上下反転させるこ
とで他方の螺合孔３２５９１を利用してネジを締結することができる。
【１４４５】
案内突部３２５９２は、前後の両端部分から左右方向の両外側に所定量突設されると共
に、螺合孔３２５９１側に向かって傾斜する傾斜面を備える。これにより、貫通孔３２５
６５ｃ及び調整孔３２５７３ｂを挿通したネジの先端を螺合孔３２５９１に案内すること
ができる。特に本実施形態では、螺合孔３２５９１が破損した場合に、上下を反転させる
ことで新しい螺合孔３２５９１を使用できる。この場合、ネジの先端に対する螺合孔３２
５９１の位置が合わなくなりやすいので、本実施形態のように、ネジの先端を螺合孔３２
５９１に案内する構成が特に有効となる。
【１４４６】
以上のように構成される特別入賞装置３２５５０の第２経路部材３２５７０に対する第
１経路部材３２５６０の調整方法は、初めに、第１経路部材３２５６０の貫通孔３２５６
５ｃに挿通されると共に螺合板３２５９０に螺合されるネジを緩める。これにより、第２
経路部材３２５７０に対し第１経路部材３２５６０の移動が許容された状態とされる。
【１４４７】
次に、第１壁部３２５６５を正面板３２５６４に対して左右方向外側に弾性変形させる
ことで、第２経路部材３２５７０の他側凹部３２５７３ｃに挿入された第１経路部材３２
５６０の一側突部３２５６５ｄを他側凹部３２５７３ｃから引き出した後に、前後方向の
位置を調整して調整後の位置で、第１壁部３２６５５の弾性変形を戻して再度一側突部３
２５６５ｄを他側凹部３２５７３ｃに挿入させる。これにより、第２経路部材３２５７０
に対して第１経路部材３２５６０を仮止め（位置決め）することができる。
【１４４８】
最後に、第１経路部材３２５６０の貫通孔３２５６５ｃに挿通されると共に螺合板３２
５９０に螺合されるネジを再度締めなおすことで、第２経路部材３２５７０に対する第１
経路部材３２５６０の調整が完了される。
【１４４９】
これによれば、上述したように、一側突部３２５６５ｄと他側凹部３２５７３ｃとが対
応する形状に形成されるので、仮止めした後にネジを締結することで、一側突部３２５６
５ｄを他側凹部３２５７３ｃに押し込むことができる。よって、一側突部３２５６５ｄを
他側凹部３２５７３ｃに挿入可能なそれぞれの位置で、常に同じ位置となるように調整さ
せることができる。その結果、調整を行う作業者によって、遊技球の流れにばらつきが発
生することを抑制でき、調整を簡易にすることができる。
【１４５０】
次いで、図１８６を参照して、第１経路部材３２５６０の第２経路部材３２５７０の位
置調整について説明する。図１８６（ａ）は、特別入賞装置３２５５０の断面図であり、
図１８６（ｂ）は、図１８６（ａ）のＣＬＸＸＸＶＩｂ−ＣＬＸＸＸＶＩｂ線における特
別入賞装置３２５５０の断面図である。
【１４５１】
図１８６に示すように、左側（矢印Ｌ方向側）の第１経路部材３２５６０が第２経路部
材３２５７０に対して正面側（矢印Ｆ方向側）に引き出された場合には、図１８５に示す
ように、左側の正面板３２５６４及びベース板３２５７１との対向間の距離が右側に比べ
て広くされる。この場合、正面板３２５６４及びベース板３２５７１の対向間を流下する
遊技球は、左側の第４凸部３２５７１ｂに衝突し難くなるので、その分、遊技球を、左側
の対向間を流下しやすくできる。これにより、正面板３２５６４及びベース板３２５７１
の対向間を流下する遊技球を左側の下方から排出させやすくできる。
【１４５２】
次いで、図１８７を参照して第３３実施形態における特別入賞装置３３５５０について
説明する。上記第３２実施形態では、第１経路部材３２５６０の第１壁部３２５６５を弾
性変形させた状態で第２経路部材３２５７０に対する第２経路部材３２５７０の位置を調
整する場合について説明したが、第３３実施形態では、第１壁部３３５６５を正面板３２
５６４に対して可変可能に連結される。なお、上記各実施形態と同一の部分については、
同一の符号を付してその詳しい説明を省略する。
【１４５３】
図１８７（ａ）は、第３３実施形態における第１経路部材３３５６０の分解斜視正面図
であり、図１８７（ｂ）は、特別入賞装置３３５５０の断面図である。なお、図１８７（
ｂ）は、図１８６（ｃ）の断面図と対応する。
【１４５４】
図１８７に示すように、第３３実施形態における特別入賞装置３３５５０は、正面側に
配設される第１経路部材３３５６０と、その第１経路部材３３５６０の背面側に配設され
る第２経路部材３２５７０と、を備える。
【１４５５】
第１経路部材３３５６０は、板状に形成され遊技領域の正面側に配設される正面板３３
５６４と、その正面板３３５６４の左右の端部に軸支される第１壁部３３５６５と、を備
える。
【１４５６】
正面板３２５６４は、後述する第２経路部材３２５７０との対向間で形成される遊技球
の流下経路の正面側の壁部となる板部材であり、非光透過の材料から形成される。これに
より、遊技者に特別入賞装置３３５５０の内部を流下する遊技球を視認不能にできる。そ
の結果、特別入賞装置３３５５０の内部の遊技球の流下方向を遊技者が把握することを抑
制して、遊技者が遊技をやめることを抑制できる。
【１４５７】
保持部３３５６４ｅは、後述する第１壁部３３５６５を軸支するロッドＲＤを保持する
部材であり、円環状に形成された内側部分にロッドＲＤを挿入可能な大きさに設定される
。また、保持部３３５６４ｅは、上下方向に所定の距離を隔てる２箇所に形成されており
、それら保持部３３５６４ｅの円環部分の軸が上下方向に同軸とされる。また、２箇所の
保持部３３５６４ｅのうち下方側に形成される保持部３３５６４ｅは、正面板３３５６４
の下側端部に形成されると共に、下端側が塞がれる。これにより、ロッドＲＤを保持部３
３５６４ｅの上方側から保持部３３５６４ｅの内側に挿入した場合に、ロッドＲＤが保持
部３３５６４ｅの下端から脱落する（抜け出る）ことを抑制できる。
【１４５８】
第１壁部３３５６５は、第２経路部材３２５７０と連結（締結）される部分であり、左
右方向（板厚方向）に円形状に貫通する貫通孔３２５６５ｃと、２箇所の第１壁部３２５
６５の対向面に複数個並設されると共に断面三角形状に突設される一側突部３２５６５ｄ
と、第１壁部３２５６５の上下（矢印Ｕ−Ｄ方向）の両端から２の第２壁部３２５６６の
対向面側に立設される立設部３２５６５ｅと、正面板３３５６４側に断面円環形状に突出
する被軸支部３３５６５ｆと、を主に備える。
【１４５９】
被軸支部３３５６５ｆは、上述した正面板３３５６４の保持部３３５６４ｅに挿入され
るロッドＲＤが挿入される部分であり、円環状に形成された内側部分がロッドＲＤを挿入
可能な大きさに設定される。また、被軸支部３３５６５ｆは、上下方向に所定の距離を隔
てる２箇所に形成されており、それら被軸支部３３５６５ｆの円環部分の軸が上下方向に
同軸とされる。また、２箇所の被軸支部３３５６５ｆは、その間に上述した保持部３３５
６４ｅのうち上方に形成される保持部３３５６４ｅが配設される。
【１４６０】
これにより、正面板３３５６４及び第１壁部３３５６５との連結は、保持部３３５６４
ｅと被軸支部３３５６５ｆとを同軸上に配置すると共に、それら保持部３３５６４ｅと被
軸支部３３５６５ｆとの内側に上方側からロッドＲＤを挿入することで、正面板３３５６
４に第１壁部３３５６５が回転可能な状態で配設される。
【１４６１】
これにより、図１８７（ｂ）に示すように、第２経路部材３２５７０のベース板３２５
７１に対して、第１経路部材３３５６０の正面板３３５６４が非平行に配設される場合に
、正面板３３５６４に対して第１壁部３３５６５の角度を変更して配設できる。
【１４６２】
即ち、上記第３２実施形態では、第２経路部材３２５７０のベース板３２５７１に対し
て第１経路部材３２５６０の正面板３２５６４を非平行に配設した場合に、正面板３２５
６４に対して第１壁部３３５６５を弾性変形させた状態で保持する必要がある。また、第
２経路部材３２５７０に対して第１経路部材３２５６０の位置を調整する際に、第１壁部
３２５６５を正面板３２５６４に対して左右方向外側に弾性変形させて、第２経路部材３
２５７０の他側凹部３２５７３ｃに挿入された第１経路部材３２５６０の一側突部３２５
６５ｄを他側凹部３２５７３ｃから引き出す必要がある。そのために、正面板３２５６４
と第１壁部３２５６５との連結部分が破損する可能性があった。
【１４６３】
これに対し、第３３実施形態では、正面板３３５６４に対して、第１壁部３３５６５を
回転させることができるので、第１経路部材３３５６０を弾性変形させる必要がなくなり
、正面板３３５６４と第１壁部３３５６５との連結部分が破損することを抑制できる。
【１４６４】
以上のように構成される特別入賞装置３３５５０の第２経路部材３２５７０に対する第
１経路部材３３５６０の調整方法は、初めに、第１経路部材３３５６０の貫通孔３２５６
５ｃに挿通されると共に螺合板３２５９０に螺合されるネジを緩める。これにより、第２
経路部材３２５７０に対し第１経路部材３３５６０の移動が許容された状態とされる。
【１４６５】
次に、第１壁部３３５６５を正面板３３５６４に対して左右方向外側に回転させること
で、第２経路部材３２５７０の他側凹部３２５７３ｃに挿入された第１経路部材３３５６
０の一側突部３２５６５ｄを他側凹部３２５７３ｃから引き出した後に、前後方向の位置
を調整して調整後の位置で、第１壁部３３５６５の回転を戻して再度一側突部３２５６５
ｄを他側凹部３２５７３ｃに挿入させる。これにより、第２経路部材３２５７０に対して
第１経路部材３２５６０を仮止めすることができる。
【１４６６】
最後に、第１経路部材３３５６０の貫通孔３２５６５ｃに挿通されると共に螺合板３２
５９０に螺合されるネジを再度締めなおすことで、第２経路部材３２５７０に対する第１
経路部材３３５６０の調整が完了される。
【１４６７】
次いで、図１８８から図１９０を参照して第３４実施形態における特別入賞装置３４５
５０について説明する。上記第１３実施形態では、特別入賞装置１３５５０の前後の板の
対向間隔を調整することで、遊技球の流下する方向を調整する場合について説明したが、
第３４実施形態では、流下経路の内側に向かって突設される突起の位置を変更することで
、遊技球の流下する方向を調整できる。なお、上記各実施形態と同一の部分については、
同一の符号を付してその詳しい説明を省略する。
【１４６８】
初めに、図１８８及び図１８９を参照して、特別入賞装置３４５５０の全体構成につい
て説明する。図１８８（ａ）は、第３４実施形態における遊技盤３４０１３の正面図であ
り、図１８８（ｂ）は、図１８８（ａ）のＣＬＸＸＸＶＩＩＩｂ−ＣＬＸＸＸＶＩＩＩｂ
線における遊技盤３４０１３の断面図である。図１８９は、遊技盤３４０１３の分解斜視
正面図である。
【１４６９】
図１８８及び図１８９に示すように、第３４実施形態における特別入賞装置３４５５０
は、遊技盤３４０１３に配設される第１入賞口６４の上方に配設される。また、特別入賞
装置３４５５０は、正面側に配設される第１経路部材３４５６０の左右方向における中心
線が第１入賞口６４の左右方向における中心線と正面視において同一直線状に配設される
。
【１４７０】
さらに、特別入賞装置３４５５０と第１入賞口６４とは、重力方向（矢印Ｕ−Ｄ方向）
に遊技球の直径分離れた位置に配設される。これにより、特別入賞装置３４５５０から排
出される遊技球を遊技者に視認させることができる。
【１４７１】
特別入賞装置３４５５０は、正面側（矢印Ｆ方向側）に配設される第１経路部材３４５
６０と、その第１経路部材３４５６０の背面側（矢印Ｂ方向側）に配設される第２経路部
材３４５７０と、その第２経路部材３４５７０の背面側に螺合される固定具３４５５３と
、を備える。
【１４７２】
第１経路部材３４５６０は、後述する第２経路部材３４５７０との対向間で形成される
遊技球の流下経路の正面側の壁部となる板部材であり、非光透過の材料から形成される。
これにより、遊技者に特別入賞装置３４５５０の内部を流下する遊技球を視認不能にでき
る。その結果、特別入賞装置３４５５０の内部の遊技球の流下方向を遊技者が把握するこ
とを抑制して、遊技者が遊技をやめることを抑制できる。
【１４７３】
また、第１経路部材３４５６０は、板状に形成され、遊技領域の正面側（矢印Ｆ方向側
）に配設される正面板３４５６４と、その正面板３４５６４の左右の端部から背面側（矢
印Ｂ方向側）に立設される第１壁部３４５６５と、を備える。
【１４７４】
正面板３４５６４は、後述する第２経路部材３２５７０との対向間で形成される遊技球
の流下経路の正面側の壁部となる板部材であり、後述する第２経路部材３４５７０のベー
ス板３４５７１よりも正面視における外形が大きく形成される。これにより、第１経路部
材３４５６０の背面側（矢印Ｂ方向側）に配設される第２経路部材３４５７０を正面板３
４５６４で視認しにくくすることができる。従って、遊技者側から第２経路部材３４５７
０が視認されることを抑制できる。よって、第２経路部材３４５７０の位置を変更した場
合に、その変更が遊技者に認識されることを抑制できる。
【１４７５】
第１壁部３４５６５は、遊技盤１３のベース板３４０６０に締結される部分であり、断
面略Ｌ字形状に形成される。第１壁部３４５６５の背面側への立設寸法は、正面板３４５
６４と後述するベース板３４５７１の第４凸部３４５７１ｂとの対向間寸法Ｘ３（図１８
８（ｂ）参照）が、遊技球の直径よりも若干大きい値に設定される。
【１４７６】
また、第１壁部３４５６５は、立設先端部からベース板３４０６０の正面と平行な方向
に屈曲される屈曲部３４５６５ｇを有し、その屈曲部３４５６５ｇに前後方向に貫通する
貫通孔３４５６５ｇ１が形成される。貫通孔３４５６５ｇ１は、ネジが挿通される孔であ
り、貫通孔３４５６５ｇ１に挿通したネジをベース板３４０６０に螺合することで、第１
経路部材３４５６０をベース板３４０６０に締結できる。
【１４７７】
第２経路部材３４５７０は、第１経路部材３４５６０の正面板３４５６４と対向する板
状のベース板３４５７１と、そのベース板３４５７１の背面側から円柱状に突設される支
持部３４５７９と、を備える。
【１４７８】
ベース板３４５７１は、第１経路部材３４５６０の正面板３４５６４との対向間の隙間
で遊技球の送球経路を形成する部材であり、正面板３４５６４と所定量離間する位置に形
成される。また、ベース板３４５７１は、正面板３４５６４側に突出する第４凸部３４５
７１ｂを備える。これにより、ベース板３４５７１及び正面板３４５６４の対向間を流下
する遊技球を第４凸部３４５７１ｂに衝突させて流下する方向を変更することができる。
【１４７９】
支持部３４５７９は、第２経路部材３４５７０を軸支する部分であり、円柱状の軸が、
ベース板３４５７１の軸と同軸上となる位置（ベース板３４５７１の中心）に形成される
。また、遊技盤３４０１３のベース板３４０６０には、支持部３４５７９と対応する位置
に円形状の貫通穴３４０６０ｄが開口され、その貫通穴３４０６０ｄの内側に支持部３４
５７９が挿入される。これにより、第２経路部材３４５７０が、ベース板３４０６０に軸
支される。
【１４８０】
支持部３４５７９は、その突設先端に締結孔３４５７９ａが凹設される。締結孔３４５
７９ａは、支持部３４５７９の軸と同軸上に凹設されると共に、内周面に雌ネジ加工がさ
れる。これにより、ベース板３４０６０の背面側から貫通孔３４０６０ｄに挿通される固
定具３４５５３のネジ部３４５５３ｂを締結孔３４５７９ａに螺合させることができる。
【１４８１】
固定具３４５５３は、上述した第２経路部材３４５７０を遊技盤３４０１３のベース板
３４０６０に締結するための締結部材であり、円柱状に形成される操作部３４５５３ａと
、その操作部３４５５３ａの正面側に突設されるネジ部３４５５３ｂと、を備える。
【１４８２】
操作部３４５５３ａは、第２経路部材３４５７０をベース板３４０６０に配設する作業
者が把持する部分であり、ベース板３４０６０に形成される貫通孔３４０６０ｄよりも大
きい外形に形成される。また、操作部３４５５３ａは、ベース板３４０６０の貫通穴３４
０６０ｄの内径よりも大きい外径に設定される。
【１４８３】
これにより、固定具３４５５３のネジ部３４５５３ｂを締結孔３４５７９ａに螺合させ
て、第２経路部材３４５７０をベース板３４０６０に配設した場合に、固定具３４５５３
が貫通穴３４０６０ｄを介してベース板３４０６０の正面側に抜け出ることを抑制できる
。
【１４８４】
ネジ部３４５５３ｂは、操作部３４５５３ａの軸と同軸の円柱状に形成されると共に、
その外周面に雄ネジ加工がされる。ネジ部３４５５３ｂは、上述したように、第２経路部
材３４５７０の締結孔３４５７９ａに螺合される部分であり、ベース板３４０６０の貫通
孔３４０６０ｄよりも小さい外径に設定され、貫通孔３４０６０ｄを挿通して第２経路部
材３４５７０の締結孔３４５７９ａに螺合される。
【１４８５】
以上のように構成される特別入賞装置３４５５０によれば、特別入賞装置３４５５０か
ら排出される遊技球の排出位置を変更する場合に、作業者は、遊技盤１３のベース板３４
０６０に形成される第１開口部６０ａ（センターフレーム８６）を介して遊技盤１３の正
面側（矢印Ｆ方向側）から手（腕）をベース板３４０６０の背面側（矢印Ｂ方向側）に挿
通させて、固定具３４５５３の操作部３４５５３ａにアクセスさせる。
【１４８６】
次に、操作部３４５５３ａを回転させて、第２経路部材３４５７０の締結孔３４５７９
ａに螺合されるネジ部３４５５３ｂを緩める。これにより、第２経路部材３４５７０を支
持部３４５７９を中心に回転変位可能な状態にして、第２経路部材３４５７０を回転させ
て、第２経路部材３４５７０の第４凸部３４５７１ｂの位置を変更する。第４凸部３４５
７１ｂの位置が変更されると、特別入賞装置３４５５０の内部を流下する遊技球が第４凸
部３４５７１ｂと衝突する位置が変更されるので、特別入賞装置３４５５０から排出され
る遊技球の排出位置を変更することができる。
【１４８７】
この場合、上述したように、第２経路部材３４５７０のベース板３４５７１は、正面視
円形状に形成され、その軸と同軸上に支持部３４５７９が形成されるので、第２経路部材
３４５７０を回転させた場合に、正面視におけるベース板３４０６０に対する第２経路部
材３４５７０の配置が変化することを抑制できる。よって、第２経路部材３４５７０の回
転されたことを遊技者が認識することを抑制できる。その結果、遊技者が不利と判断して
遊技をしなくなることを抑制できる。
【１４８８】
次に、図１９０を参照して、第４凸部３４５７１ｂ（第２経路部材３４５７０）の位置
を変化させた場合の遊技球の排出位置の変化について説明する。図１９０（ａ）から図１
９０（ｄ）は、図１８８のＣＸＣ−ＣＸＣ線におけるパチンコ機３４０１０の断面図であ
る。
【１４８９】
図１９０に示すように、第４凸部３４５７１ｂは、正面視における突出形状が、略Ｖ字
状に形成される。従って、図１９０（ａ）に示すように、Ｖ字の屈曲側を下方側に配置し
た場合には、特別入賞装置３４５５０の上方から流入する遊技球をＶ字の傾斜に沿って中
央部分に送球しやすくできる。その結果、特別入賞装置３４５５０の下方に配設される入
賞口６４に遊技球を流入させやすくすることができる。
【１４９０】
一方、図１９０（ｂ）に示すように、Ｖ字の屈曲側を上方側に配置した場合には、特別
入賞装置３４５５０の上方から流入する遊技球をＶ字の傾斜に沿って左右の両端に送球し
やすくできる。その結果、特別入賞装置３４５５０の下方に配設される入賞口６４に遊技
球を流入させにくくすることができる。
【１４９１】
また、図１９０（ｃ）及び図１９０（ｂ）に示すように、Ｖ字の屈曲側を左右のどちら
かの端部に配置した場合には、特別入賞装置３４５５０の上方から流入する遊技球をＶ字
の上方側の傾斜に沿って送球しやすくできると共に、Ｖ字の上方側に衝突されずＶ字の下
方側に送球される遊技球をＶ字の下方側の傾斜に沿って送球することができる。従って、
Ｖ字の上方側とＶ字の下方側とで遊技球を衝突させる領域の違いで、遊技球が送球される
方向を変更することができる。
【１４９２】
なお、詳しい説明は省略するが、図１９０（ａ）から図１９０（ｄ）に示す位置以外の
位置に、第４凸部３４５７１ｂの屈曲部分を配置することも可能である。例えば、図１９
０（ａ）に示す位置から第２経路部材３４５７０を正面視右方向に１０度回転させた場合
には、特別入賞装置３４５５０の上方から流入する遊技球を、Ｖ字の傾斜に沿って流下さ
せて、特別入賞装置３４５５０の下方に配設される入賞口６４の上方側から若干左側（矢
印Ｌ方向側）にずれた位置から遊技球を排出しやすくできる。
【１４９３】
次いで、図１９１から図１９３を参照して第３５実施形態における特別入賞装置３５５
５０について説明する。上記第３４実施形態では、第２経路部材３４５７０を回転させて
第４凸部３４５７１ｂの位置を変更する場合について説明したが、第３５実施形態では、
第２経路部材３５５７０をスライドさせて第４凸部３５５７１ｂの位置を変更する。なお
、上記各実施形態と同一の部分については、同一の符号を付してその詳しい説明を省略す
る。
【１４９４】
初めに、図１９１及び図１９２を参照して、第３５実施形態における特別入賞装置３５
５５０について説明する。図１９１（ａ）は、第３５実施形態における遊技盤３５０１３
の正面図であり、図１９１（ｂ）は、図１９１（ａ）のＣＸＣＩｂ−ＣＸＣＩｂ線におけ
る遊技盤３５０１３の断面図である。図１９２は、特別入賞装置３５５５０の分解斜視図
である。
【１４９５】
図１９１及び図１９２に示すように、第３５実施形態における特別入賞装置３５５５０
は、遊技盤３５０１３に配設される第１入賞口６４の上方側（矢印Ｕ方向側）に配設され
る。また、特別入賞装置３５５５０は、正面側（矢印Ｆ方向側）に配設される第１経路部
材３５５６０の左右方向における中心線が第１入賞口６４の左右方向における中心線と正
面視において同一直線状に配設される。
【１４９６】
さらに、特別入賞装置３５５５０と第１入賞口６４とは、重力方向（矢印Ｕ−Ｄ方向）
に遊技球の直径分離れた位置に配設される。これにより、特別入賞装置３５５５０から排
出される遊技球を遊技者に視認させることができる。
【１４９７】
特別入賞装置３４５５０は、正面側（矢印Ｆ方向側）に配設される第１経路部材３５５
６０と、その第１経路部材３５５６０の背面側（矢印Ｂ方向側）に配設される第２経路部
材３５５７０と、その第２経路部材３５５７０の背面側に螺合される固定具３４５５３と
、を備える。
【１４９８】
第１経路部材３５５６０は、後述する第２経路部材３５５７０との対向間で形成される
遊技球の流下経路の正面側の壁部となる板部材であり、非光透過の材料から形成される。
これにより、遊技者に特別入賞装置３５５５０の内部の遊技球の流下方向を視認不能にで
きる。その結果、遊技者が、特別入賞装置３５５５０の内部の遊技球の流下方向を把握す
ることを抑制して、遊技者が遊技をやめることを抑制できる。
【１４９９】
また、第１経路部材３５５６０は、板状に形成され、遊技領域の正面側に配設される正
面板３４５６４と、その正面板３４５６４の左右の端部から背面側（矢印Ｂ方向側）に立
設される第１壁部３５５６５と、を備える。
【１５００】
正面板３５５６４は、後述する第２経路部材３５５７０との対向間で形成される遊技球
の流下経路の正面側（矢印Ｆ方向側）の壁部となる板部材であり、後述する第２経路部材
３５５７０のベース板３５５７１よりも正面視における外形が大きく形成される。これに
より、第１経路部材３５５６０の背面側（矢印Ｂ方向側）に配設される第２経路部材３５
５７０を正面板３５５６４で視認しにくくすることができる。従って、遊技者側から第２
経路部材３５５７０が視認されることを抑制できる。よって、第２経路部材３５５７０の
位置を変更した場合に、その変更が遊技者に認識されることを抑制できる。
【１５０１】
第１壁部３５５６５は、遊技盤３５０１３のベース板６０に締結される部分であり、断
面略Ｌ字形状に形成される第１壁部３４５６５の背面側への立設寸法は、正面板３５５６
４と後述するベース板３５５７１の第４凸部３５５７１ｂとの対向間寸法Ｘ４（図１９１
（ｂ）参照）が、遊技球の直径よりも若干大きい値に設定される。
【１５０２】
また、第１壁部３５５６５は、立設先端部からベース板６０の正面と平行な方向に屈曲
される屈曲部３５５６５ｇを有し、その屈曲部３５５６５ｇに前後方向（矢印Ｆ−Ｂ方向
）に貫通する貫通孔３５５６５ｇ１と、屈曲部３５５６５ｇの背面から正面側（矢印Ｆ方
向側）に向かって凹設される凹設部３５５６５ｇ２とが形成される。
【１５０３】
貫通孔３５５６５ｇ１は、ネジが挿通される孔であり、貫通孔３５５６５ｇ１に挿通し
たネジをベース板６０に螺合することで、第１経路部材３５５６０をベース板６０に締結
できる。
【１５０４】
凹設部３５５６５ｇ２は、後述する第２経路部材３５５７０のベース板３５５７１の左
右（矢印Ｌ−Ｒ方向側）の両端を内側に収容する部分であり、屈曲部３５５６５ｇの基端
から凹設されると共に、屈曲部３５５６５ｇの上下方向中央部に凹設される。これにより
、ベース板３５５７１の左右の両端を凹設部３５５６５ｇ２の内側に収容した際に、ベー
ス板３５５７１の左右の両端を屈曲部３５３６５ｇにより隠すことができる。よって、遊
技者にベース板３５５７１の位置が認識されることを抑制できる。その結果、遊技者が不
利と判断して遊技をしなくなることを抑制できる。
【１５０５】
また、凹設部３５５６５ｇ２の凹設寸法は、ベース板３５５７１の板厚よりも大きい深
さ寸法に設定されると共に、屈曲部３５５６５ｇの左右の両端の離間距離Ｘ５（図１９１
（ｂ）参照）が、ベース板３５５７１の左右方向の幅寸法Ｘ６（図１９１（ｂ）参照）よ
りも大きく設定される。これにより、ベース板３５５７１（第２経路部材３５５７０）を
左右方向に変位させることができる。なお、ベース板３５５７１（第２経路部材３５５７
０）の変位方法については後述する。
【１５０６】
第２経路部材３５５７０は、第１経路部材３５５６０の正面板３５５６４と対向する板
状のベース板３５５７１と、そのベース板３５５７１の背面側（矢印Ｂ方向側）から背面
視矩形状に突設される支持部３５５７９と、を備える。
【１５０７】
ベース板３５５７１は、第１経路部材３５５６０の正面板３５５６４との対向間の隙間
で遊技球の送球経路を形成する部材であり、正面板３５５６４と所定量離間する位置に形
成される。また、ベース板３５５７１は、正面板３５５６４側（矢印Ｆ方向側）に突出す
る第４凸部３５５７１ｂを備える。これにより、ベース板３５５７１及び正面板３５５６
４の対向間を流下する遊技球を第４凸部３５５７１ｂに衝突させて流下する方向を変更す
ることができる。
【１５０８】
支持部３５５７９は、第２経路部材３５５７０を軸支する部分であり、ベース板３４５
７１の軸と同軸上となる位置（ベース板３４５７１の中心）に円柱状の軸が形成される。
また、遊技盤３４０１３のベース板６０には、支持部３５５７９と対応する位置に左右方
向に長い長穴形状の摺動孔３５０６０ｅが開口され、その摺動孔３５０６０ｅの内側に支
持部３５５７９が挿入される。これにより、第２経路部材３５５７０がベース板６０に支
持される。
【１５０９】
摺動孔３５０６０ｅは、支持部３５５７９の上下方向（矢印Ｕ−Ｄ方向）寸法と略同一
の寸法に短手方向（矢印Ｕ−Ｄ方向）の幅寸法が設定されると共に、支持部３５５７９の
左右方向（矢印Ｌ−Ｒ方向）寸法よりも長手方向（矢印Ｌ−Ｒ方向）の幅寸法が大きく設
定される。これにより、摺動孔３５０６０ｅの内側に挿入される支持部３５５７９を摺動
孔３５０６０ｅの長手方向に摺動可能にできる。
【１５１０】
また、支持部３５５７９は、その突設先端に締結孔３５５７９ａが凹設される。締結孔
３５５７９ａは、内周面に雌ネジ可能がされ、固定具３４５５３のネジ部３４５５３ｂを
締結孔３５５７９ａに螺合させることができる。なお、支持部３４５７９の突設寸法は、
ベース板６０の厚み寸法よりも小さく設定されており、締結孔３５５７９ａに固定具３４
５５３のネジ部３４５５３ｂを螺合させることで、第２経路部材３５５７０をベース板６
０に固定することができる。
【１５１１】
以上のように構成される特別入賞装置３５５５０によれば、特別入賞装置３５５５０か
ら排出される遊技球の排出位置を変更する場合に、作業者は、遊技盤３５０１３のベース
板６０に形成される第１開口部６０ａ（センターフレーム８６）を介して遊技盤３５０１
３の正面側（矢印Ｆ方向側）から手（腕）をベース板６０の背面側（矢印Ｂ方向側）に挿
通させて、固定具３４５５３の操作部３４５５３ａにアクセスさせる。
【１５１２】
次に、操作部３４５５３ａを回転させて、第２経路部材３５５７０の締結孔３５５７９
ａに螺合されるネジ部３４５５３ｂを緩める。これにより、第２経路部材３５５７０を左
右方向にスライド変位可能な状態にして、第２経路部材３５５７０をスライド変位させて
、第２経路部材３５５７０の第４凸部３５５７１ｂの位置を変更する。第４凸部３５５７
１ｂの位置が変更されると、特別入賞装置３５５５０の内部を流下する遊技球が第４凸部
３５５７１ｂと衝突する位置が変更されるので、特別入賞装置３５５５０から排出される
遊技球の排出位置を変更することができる。
【１５１３】
次に、図１９３を参照して、第４凸部３５５７１ｂ（第２経路部材３５５７０）の位置
を変化させた場合の遊技球の排出位置の変化について説明する。図１９３（ａ）から図１
９３（ｃ）は、図１９１（ｂ）のＣＸＣＩＩＩ−ＣＸＣＩＩＩ線における遊技盤３５０１
３の断面図である。なお、図１９３（ａ）から図１９３（ｃ）では、図１９３（ｂ）にお
ける第２経路部材３５５７０の位置を基準位置として、図１９３（ａ）では、第２経路部
材３５５７０が基準位置から正面視左側に変位された状態が図示され、図１９３（ｃ）で
は、第２経路部材３５５７０が基準位置から正面視右側（矢印Ｒ方向側）に変位された状
態が図示される。
【１５１４】
図１９３に示すように、第４凸部３５５７１ｂは、正面視における突出形状が、略Ｖ字
状に形成され、特別入賞装置３５５５０の上方から流入する遊技球が、Ｖ字の傾斜に沿っ
て中央部分（Ｖ字の屈曲部分）に案内される。
【１５１５】
よって、図１９３（ｂ）に示すように、第４凸部３５５７１ｂのＶ字の屈曲部分が、第
１入賞口６４の上方に配設される場合には、特別入賞装置３５５５０の下方から排出され
る遊技球を第１入賞口６４に流入させやすくできる。
【１５１６】
一方、図１９３（ａ）及び図１９３（ｃ）に示すように、第２経路部材３５５７０を基
準位置（図１９３（ｂ）に示す位置）から移動した場合には、第４凸部３５５７１ｂのＶ
字の屈曲部分が第１入賞口６４の上部から左右のどちらかにずれた位置に配置されるので
、第２経路部材３５５７０が基準位置に配置される場合に比べて、特別入賞装置３５５５
０の下方から排出される遊技球が、第１入賞口６４に流入しにくくされる。
【１５１７】
次いで、図１９４を参照して、第３６実施形態における特別入賞装置３６５５０につい
て説明する。上記第１実施形態では、ベース板６０の正面側に配設される第１ユニット５
５１が、ベース板６０の背面側に配設される第２ユニット５５２に締結されて、ベース板
６０の背面側に向かって付勢された状態で保持される場合について説明したが、第３６実
施形態では、第１ユニット３６５５１に形成される締結部３６５５１ｂの弾性回復力によ
り第１ユニット３６５５１がベース板６０の背面側に向かって付勢される。なお、上記各
実施形態と同一の部分については、同一の符号を付してその詳しい説明を省略する。
【１５１８】
図１９４（ａ）は、第３６実施形態における遊技盤３６０１３を模式的に示した分解斜
視正面図であり、図１９４（ｂ）は、遊技盤３６０１３の断面模式図である。なお、図１
９４は、図３６の断面図と対応する。
【１５１９】
図１９４に示すように、第３６実施形態における特別入賞装置３６５５０は、センター
フレーム８６が配設される第１開口部６０ａの内側からスライド変位されて、ベース板６
０に配設される第１ユニット３６５５１から形成される。
【１５２０】
第１ユニット３６５５１は、その内部に遊技球を送球可能な空間を備え、その空間がベ
ース板６０の正面側（矢印Ｆ方向側）に配設される。これにより、ベース板６０の正面を
流下する遊技球を第１ユニット３６５５１の内部に流入させることができる。また、第１
ユニット３６５５１は、ベース板６０正面と隣合う側面（背面）から背面側（矢印Ｂ方向
側）に向かって突設される締結部３６５５１ｂを備える。
【１５２１】
締結部３６５５１ｂは、第１ユニット３６５５１をベース板６０に締結するネジが挿通
される部分であり、背面側（矢印Ｂ方向側）に向かって突設されると共に、ベース板６０
の背面と平行な方向に突設先端が屈曲される。
【１５２２】
また、締結部３６５５１ｂは、その屈曲側の側面に正面側（矢印Ｆ方向側）に膨出する
膨出部３６５５１ｂ２と、その膨出部３６５５１ｂ２よりも屈曲先端側に板厚方向（矢印
Ｆ−Ｂ方向）に貫通する貫通孔３６５５１ｂ１と、を備える。
【１５２３】
また、締結部３６５５１ｂは、第１ユニット３６５５１がベース板６０に装着されてい
ない状態における基端（第１ユニット３６５５１の背面）から屈曲部分の正面までの距離
寸法Ｘ７（図１９４（ｂ）参照）が、ベース板６０の厚み寸法よりも大きく設定される。
また、締結部３６５５１ｂは、第１ユニット３６５５１がベース板６０に装着されていな
い状態における基端（第１ユニット３６５５１の背面）から膨出部３６５５１ｂ２の膨出
先端位置までの距離寸法Ｘ８（図１９４（ｂ）参照）が、ベース板６０の厚み寸法と同一
または、若干小さく設定される。
【１５２４】
膨出部３６５５１ｂ２は、貫通孔３６５５１ｂ１にネジが締結された場合に、ネジが締
結される力を第１ユニット３６５５１をベース板６０の背面側（矢印Ｆ方向側）に押し付
ける（付勢する）力に変換する部分であり、締結部３６５５１ｂの屈曲部分の基端と貫通
孔３６５５１ｂ１との間に形成される。
【１５２５】
これにより、締結部３６５５１ｂを挿通したネジをベース板６０の背面に締結させた場
合に、膨出部３６５５１ｂ２がベース板６０の背面と当接することで、屈曲部分とベース
板６０との隙間の分、ネジにより屈曲先端側をベース板６０側に押し込む力を屈曲部分の
基端側を背面側（矢印Ｂ方向側）に引き抜く力に変換することができる。これにより、第
１ユニット３６５５１の背面と、ベース板６０の正面との間に隙間が形成されることを抑
制できる。
【１５２６】
その結果、正面側から第１ユニット３６５５１を挿通させたネジをベース板６０に締結
する必要がなくなり、その締結代の分、第１ユニット３６５５１を大きく形成しやすくで
きる。また、第３６実施形態では、第１ユニット３６５５１は、センターフレーム８６が
締結される第１開口部６０ａを利用してベース板６０に取付られるので、第１ユニット３
６５５１をスライド変位させてベース板６０の第１開口部６０ａに装着しやすくできる。
【１５２７】
次いで、図１９５を参照して、第３７実施形態における特別入賞装置３７５５０につい
て説明する。上記第１実施形態では、ベース板６０の正面側に配設される第１ユニット５
５１が、ベース板６０の背面側に配設される第２ユニット５５２に締結されて、ベース板
６０の背面側に向かって付勢された状態で保持される場合について説明したが、第３７実
施形態では、第１ユニット３７５５１がベース板６０の背面側から挿通されるネジにより
締結されて、ベース板６０の背面側に向かって付勢された状態で保持される。なお、上記
各実施形態と同一の部分については、同一の符号を付してその詳しい説明を省略する。
【１５２８】
図１９５（ａ）は、第３７実施形態における遊技盤３７０１３を模式的に示した分解斜
視正面図であり、図１９５（ｂ）は、遊技盤３７０１３の断面模式図である。なお、図１
９５は、（ｂ）は、図３６の断面図と対応する。
【１５２９】
図１９５に示すように、第３７実施形態における特別入賞装置３７５５０は、ベース板
６０の正面に配設される第１ユニット３７５５１から形成される。
【１５３０】
第１ユニット３７５５１は、その内部に遊技球を送球可能な空間を備え、その空間がベ
ース板６０の正面側（矢印Ｆ方向側）に配設される。これにより、ベース板６０の正面を
流下する遊技球を第１ユニット３７５５１の内部に流入させることができる。また、第１
ユニット３７５５１は、背面側（矢印Ｂ方向側）に円環状に突設される複数の円環凸部３
７５５１ｂを備える。
【１５３１】
円環凸部３７５５１ｂは、ベース板６０の背面側から挿通されるネジを螺合する部分で
あり、内周面に雌ネジ加工がされる。なお、本実施形態では、円環凸部３７５５１ｂが第
１ユニット３７５５１の背面に４箇所形成される。
【１５３２】
また、円環凸部３７５５１ｂと対向する位置のベース板６０には、円形状に凹設される
凹部３７０６０ｄが形成される。凹部３７０６０ｄは、円環凸部３７５５１ｂを内側に挿
入する部分であり、円環凸部３７５５１ｂの外径と略同一の内径に形成される。また、凹
部３７０６０ｄの凹設深さは、円環凸部３７５５１ｂの突設寸法よりも大きく設定される
。
【１５３３】
また、凹部３７０６０ｄの凹設底面には、凹部３７０６０の同軸上の円形状に貫通形成
される貫通孔３７０６０ｄ１が形成される。貫通孔３７０６０ｄ１は、円環凸部３７５５
１ｂに螺合されるネジの先端が挿通される孔であり、凹部３７０６０ｄの内径よりも小さ
い内径の開口に形成される。これにより、ベース板６０の背面側（矢印Ｂ方向側）からベ
ース板６０の正面側（矢印Ｆ方向側）に配設される第１ユニット３７５５１にネジを締結
できる。
【１５３４】
この場合、上述したように、凹部３７０６０ｄの凹設深さは、円環凸部３７５５１ｂの
突設寸法よりも大きく設定されるので、ネジを円環凸部３７５５１ｂに螺合させることで
、円環凸部３７５５１ｂ（第１ユニット３７５５１）を背面側（矢印Ｂ方向側）に付勢し
た状態で、第１ユニット３７５５１をベース板６０に配設できる。これにより、第１ユニ
ット３７５５１の背面と、ベース板６０の正面との間に隙間が形成されることを抑制でき
る。
【１５３５】
その結果、正面側から第１ユニット３７５５１を挿通させたネジをベース板６０に締結
する必要がなくなり、その締結代の分、第１ユニット３７５５１を大きく形成しやすくで
きる。また、第３７実施形態では、第１ユニット３７５５１の締結部分をベース板６０の
凹部３７０６０ｄの内側に収容することができるので、その分、第１ユニット３７５５１
に形成される遊技球を送球する空間を大きくすることができる。
【１５３６】
＜正面側に出射される光の光量を遊技球により変更する＞
次いで、図１９６及び図１９７を参照して、第３８実施形態における下変位部材３８４
４０について説明する。上記第１１実施形態では、制御基板４９１から照射される光によ
り下変位部材１１４４０に収容された遊技球の位置に影を形成して、その影の位置で遊技
球の位置を認識させる場合について説明したが、第３８実施形態における下変位部材１１
４４０は、制御基板４９１から照射される光を遊技球の外面で反射させて、その光量が多
くされる位置で遊技球の位置を認識させる。なお、上記各実施形態と同一の部分について
は、同一の符号を付してその詳しい説明を省略する。
【１５３７】
図１９６は、第３８実施形態における下変位部材３８４４０の分解斜視正面図である。
図１９７（ａ）は、下変位部材３８４４０の正面図であり、図１９７（ｂ）は、図１９７
（ａ）のＣＸＣＶＩＩｂ−ＣＸＣＶＩＩｂ線における下変位部材３８４４０の断面図であ
り、図１９７（ｃ）は、図１９７（ａ）のＣＸＣＶＩＩｃ−ＣＸＣＶＩＩｃ線における下
変位部材３８４４０の断面図である。なお、図１９７（ａ）では、正面側装飾部材３８４
５１及び正面ケース３８４８１が取り外された状態が図示されると共に、正面ケース３８
４８１に配設されるＬＥＤ３８４８３ｂが２点鎖線で図示される。また、図１９７（ｂ）
及び図１９７（ｃ）では、正面側装飾部４５１が取付られた状態が図示される。
【１５３８】
図１９６及び図１９７に示すように、第３８実施形態における下変位部材３８４４０は
、正面ベース４１１（図４６参照）に連結されるベース部材４７０と、そのベース部材４
７０の前後方向（矢印Ｆ−Ｂ方向）両側を覆うケース部材３８４８０と、そのケース部材
３８４８０とベース部材４７０との間に変位可能に配設される伝達機構４６０と、ケース
部材３８４８０の前後を覆う態様で形成される装飾部材１１４５０とを主に備えて形成さ
れる。
【１５３９】
ケース部材３８４８０は、ベース部材４７０の前後方向（矢印Ｆ−Ｂ方向）両側を覆設
する部材であり、ベース部材４７０の正面側（矢印Ｆ方向側）に配設される正面ケース３
８４８１と、背面側（矢印Ｂ方向側）に配設される背面ケース４８２とを主に備える。
【１５４０】
正面ケース３８４８１は、正面視矩形横長の板状に形成される。また、正面ケース３８
４８１は、上下方向（矢印Ｕ−Ｄ方向）略中間位置に左右方向（矢印Ｌ−Ｒ方向）に広が
る開口４８１ａと、背面側（矢印Ｂ方向側）の下端面に突出形成される底壁部４８１ｂと
、下方の端部に前後方向に貫通する軸孔４８１ｃと、背面側に配設されるＬＥＤ基板３８
４８３と、を主に備える。
【１５４１】
ＬＥＤ基板３８４８３は、下変位部材３８４４０（正面ケース３８４８１）の内部を発
光させる部材であり、板状に形成される本体部３８４８３ａと、その本体部３８４８３ａ
に配設されると共に光を照射する複数のＬＥＤ３８４８３ｂと、を備える。
【１５４２】
本体部３８４８３ａは、複数のＬＥＤ３８４８３ｂに電気を通す配線が敷設される基盤
であり、球受部４６７の変位方向（矢印Ｌ−Ｒ方向）に延設される。複数のＬＥＤ３８４
８３ｂは、本体部３８４８３ａの延設方向（矢印Ｌ−Ｒ方向）に所定の間隔で配設される
。
【１５４３】
また、各ＬＥＤ３８４８３ｂは、各ＬＥＤ３８４８３ｂの背面側（矢印Ｂ方向側）を遊
技球が通過する際の遊技球の中心に向かう方向に設定される。これにより、各ＬＥＤ３８
４８３ｂの背面側に遊技球が位置する場合に、ＬＥＤの光を遊技球の外面に反射させて正
面側装飾部１１４５１に照射させることができる。従って、上述したように、正面側装飾
部１１４５１は、光を透過可能な透過部１１４５１ｂを備えるので、遊技球の外面に反射
されて正面側装飾部１１４５１に照射された光を、透過部１１４５１ｂを介して遊技者側
（矢印Ｆ方向側）に出射させることができる。よって、透過部１１４５１ｂを介して遊技
者側から視認される光を、遊技球により反射された部分を他の部分よりも光量を多くする
ことができる。その結果、光の光量を多く（変更）することで、下変位部材３８４４０の
内部に送球された遊技球の位置を遊技者に認識させることができる。
【１５４４】
なお、本実施形態では、複数のＬＥＤ３８４８３ｂが配設される間隔が遊技球の直径よ
りも小さく設定される。これにより、球受部４６７に受け入れられた遊技球が変位された
場合でも、遊技球の少なくとも一部にＬＥＤ３８４８３ｂから出射される光を照射するこ
とができる。よって、ＬＥＤ３８４８３ｂから出射される光を、球受部４６７に受け入れ
られた遊技球に常時照射させることができる。
【１５４５】
また、第３８実施形態によれば、ＬＥＤ３８４８３ｂよりも背面側（矢印Ｂ方向側）に
配設されるベース部材４７０、伝達機構４６０及び背面ケース４８２は、光の吸収率が高
い部材が好ましい。例えば、各部材の外面が黒い配色を構成する。これによれば、ＬＥＤ
３８４８３ｂから出射された光が、ケース部材３８４８０（下変位部材３８４４０）の内
部を反射して正面側装飾部１１４５１の透過部１１４５１ｂから出射されることを抑制で
きる。その結果、遊技球が配置される正面と、それ以外の正面とで光の出射量の違いを大
きくすることができ、遊技者に下変位部材３９４４０の内側に受け入れられた遊技球の位
置を認識させやすくすることができる。
【１５４６】
次いで、図１９８及び図１９９を参照して第３９実施形態における下変位部材３９４４
０について説明する。上記第３８実施形態では、遊技球で光を反射させて遊技球が配設さ
れる位置を遊技者に認識させる場合について説明したが、第３９実施形態では、球受部３
９４６７に配設される反射部材により光を反射させて遊技球の位置を認識させる。なお、
上記各実施形態と同一の部分については、同一の符号を付してその詳しい説明を省略する
。
【１５４７】
図１９８は、第３９実施形態における下変位部材３９４４０の分解斜視背面図である。
図１９９（ａ）は、下変位部材３９４４０の正面図であり、図１９９（ｂ）及び図１９９
（ｃ）は、下変位部材３９４４０の断面図である。なお、図１９９（ｂ）及び図１９９（
ｃ）は、図１９８（ｃ）の断面と対応する。
【１５４８】
図１９８及び図１９９に示すように、第３９実施形態における下変位部材３９４４０は
、正面ベース４１１（図４６参照）に連結されるベース部材４７０と、そのベース部材４
７０の前後を覆うケース部材３８４８０と、ケース部材３８４８０とベース部材４７０と
の間に変位可能に配設される伝達機構３９４６０と、ケース部材３８４８０の前後を覆う
態様で配設される装飾部材１１４５０と、を備える。
【１５４９】
伝達機構３９４６０は、ベース部材４７０の正面側に配置される部材であり、伝達ギヤ
４６１，４６２，４６３と、その伝達ギヤ４６１に軸部分が連結される駆動モータＫＭ２
と、伝達ギヤ４６３と歯合する歯面を有し、ベース部材４７０の正面側をスライド変位可
能に配設される可動ラック４６４と、その可動ラック４６４に回転可能に配置されると共
に、ラックギヤ４７６に歯合した状態とされる伝達ギヤ４６５と、その伝達ギヤ４６５に
歯合される歯面を有し可動ラック４６４の正面側をスライド変位可能に配設されるラック
３９４６６と、そのラック３９４６６の一端側に回転可能に配設される球受部３９４６７
とを主に備えて形成される。
【１５５０】
ラック３９４６６は、正面視矩形横長の棒状体から形成され、上端面に刻設されるラッ
クギヤ４６６ａと、他端側の端部から正面側に円柱状に突出する軸部３９４６６ｂと、正
面側に突出する２つの摺動板４６６ｃと、背面側に一端から他端に亘って凹設される凹設
部４６６ｄとを主に備えて形成される。
【１５５１】
軸部３９４６６ｂは、後述する球受部３９４６７の軸孔４６７ｂに挿入される突起であ
り、軸孔４６７ｂの内径よりも大きい外径の円柱状に形成される。これにより、球受部４
６７を回転可能に保持できる。
【１５５２】
球受部３９４６７は、正面視略Ｌ字に屈曲して形成される第１片３９４６７ｃと、その
第１片３９４６７ｃに連結される第２片３９４６７ｄと、その第２片３９４６７ｄに連結
されると共に第１片３９４６７ｃ及び第２片３９４６７ｄの正面側（矢印Ｆ方向側）に配
設される第３片３９４６７ｅと、を備える。
【１５５３】
第１片３９４６７ｃ及び第２片３９４６７ｄは、開口４５１ａ（図５７参照）から下変
位部材３９４４０の内側に送球された遊技球を保持する部分であり、第１片３９４６７ｃ
及び第２片３９４６７ｄの対向間に遊技球が送球されると、第１片３９４６７ｃに対して
第２片３９４６７ｄが離間する方向に変位され、第１片３９４６７ｃの一部と第２片３９
４６７ｄとが正面視においてＵ字状に配置され、そのＵ字の内側部分に遊技球を保持する
ことができる。
【１５５４】
第１片３９４６７ｃは、正面視においてＬ字に形成される一方の延設側を形成する受入
片３９４６７ｃ４と、他方の延設側を形成する脚部４６７ａと、受入片３９４６７ｃ４及
び脚部４６７ａとの連結部分（屈曲部分）に前後方向（矢印Ｆ−Ｂ方向）に貫通する軸孔
４６７ｂが形成される円環状の屈曲部３９４６７ｃ５と、屈曲部３９４６７ｃ５を間に挟
んで反対側に突出する連結部３９４６７ｃ１と、を備える。
【１５５５】
受入片３９４６７ｃ４は、１片３９４６７ｃ及び第２片３９４６７ｄにより正面視Ｕ字
状に形成される他方側（矢印Ｒ方向側）の側面を形成する部分であり、正面において三日
月状に形成されると共に、第２片３９４６７ｄから離間する方向に凹となる湾曲形状に形
成される。
【１５５６】
連結部３９４６７ｃ１は、屈曲部３９４６７ｃ５の軸方向（矢印Ｆ−Ｂ方向）に所定の
間隔を隔てて２箇所から突設される。また、連結部３９４６７ｃ１は、後述する第２片３
９４６７ｄ及び第３片３９４６７ｅを連結する部分であり、軸孔４６７ｂの軸方向に沿っ
て延設されると共に断面円形状に開口される連結孔３９４６７ｃ２を備える。
【１５５７】
連結孔３９４６７ｃ２は、後述する第３片３９４６７ｅに突設される軸部３９４６７ｅ
３が挿入される開口である。連結孔３９４６７ｃ２は、後述する第２片３９４６７ｄに形
成される挿通孔３９４６７ｄ３に挿通した軸部３９４６７ｅ３が正面側（矢印Ｆ方向側）
から挿入される。また、軸部３９４６７ｅ３は、連結孔３９４６７ｃ２の挿入側と反対側
（矢印Ｂ方向側）から挿入されるネジにより締結される。これにより、第１片３９４６７
ｃに第２片３９４６７ｄ及び第３片３９４６７ｅを締結することができる。
【１５５８】
また、第１片３９４６７ｃは、連結部３９４６７ｃ１の突設基端側に重力方向下側（矢
印Ｄ方向側）に凹む凹部３９４６７ｃ３を備える。凹部３９４６７ｃ３の凹設底面は、第
１片３９４６７ｃ及び第２片３９４６７ｄにより遊技球が保持される側面のうち一番低い
位置（最下部）に形成される。これにより、第１片３９４６７ｃ及び第２片３９４６７ｄ
に保持される遊技球は、凹部３９４６７ｃ３の内側に転動される。その結果、遊技球の荷
重により第２片３９４６７ｄを第１片３９４６７ｃに対して変位させやすくできる。
【１５５９】
第２片３９４６７ｄは、第１片３９４６７ｃの受入部３９４６７ｃ４及び第２片３９４
６７ｄにより正面視Ｕ字状に形成される他方側（矢印Ｌ方向側）の側面を形成する部分で
あり、正面視において三日月状に形成されると共に、第１片３９４６７ｃから離間する方
向に凹となる湾曲形状に形成される。また、第２片３９４６７ｄは、第１片３９４６７ｃ
の連結部分に前後方向に円形状に開口する挿通孔３９４６７ｄ３と、正面側（矢印Ｆ方向
側）から背面側（矢印Ｂ方向側）に向かって円形状に凹設される凹設部３９４６７ｄ２と
を主に備える。
【１５６０】
第２片３９４６７ｄは、挿通孔３９４６７ｄ３に、第３片３９４６７ｅの軸部３９４６
７ｅ３が挿入され、凹設部３９４６７ｄ２に、第３片３９４６７ｅの連結軸３９４６７ｅ
４が挿入される。従って、第２片３９５６７ｄが変位されると、第３片３９４６７ｅも同
様に変位される。よって、第２片３９５６７ｄが第１片３９４６７ｃに対して回転変位さ
れると、第３片３９５６７ｅも同様に第１片３９４６７ｃに対して回転変位される。
【１５６１】
さらに、第２片３９４６７ｄは、第１片３９４６７ｃの２箇所に突設される連結部３９
４６７ｃ１の対向間に配設されて、第１片３９４６７ｃに連結される。これにより、第２
片３９４６７ｄが挿通孔３９４６７ｄ３の軸方向にねじれた場合に、連結部３９４６７ｃ
１の対向側の側面に第２片３９４６７ｄを当接させて軸部３９４６７ｅ３が折れることを
抑制できる。
【１５６２】
凹設部３９４６７ｄ２は、後述する第３片３９４６７ｅの連結軸３９４６７ｅ４を挿入
する孔であり、連結軸３９４６７ｅ４と略同一の形状に凹設される。
【１５６３】
第３片３９４６７ｅは、正面視略半円形の板状に形成される反射板３９４６７ｅ１と、
その反射板３９４６７ｅ１から背面側（矢印Ｂ方向側）に向かって突設される軸部３９４
６７ｅ３及び連結軸３９４６７ｅ４と、を備える。
【１５６４】
反射板３９４６７ｅ１は、樹脂材料から形成されると共に外面にメッキの塗装が施され
る。これにより、反射板３９４６７ｅ１にＬＥＤ３８４８３ｂから出射される光が照射さ
れた場合に、その外面で光を反射させることができる。また、反射板３９４６７ｅ１は、
全体が正面側（矢印Ｆ方向側）に向かって円弧状に湾曲して形成される。これにより、正
面側から照射される光を反射した場合に、その光を所定の部分に集光させることができる
。なお、反射板３９４６７ｅ１による発光体１１４９１ａの光の遮蔽については後述する
。
【１５６５】
軸部３９４６７ｅ３は、上述したように第１片３９４６７ｃの連結孔３９４６７ｃ２及
び第２片３９４６７ｄの挿通孔３９４６７ｄ３に挿入される円柱体である。また、軸部３
９４６７ｅ３の突設先端面には、軸部３９４６７ｅ３の挿入側と反対側から連結孔３９４
６７ｃ２に挿入されるネジを螺合可能な孔が形成される。よって、軸部３９４６７ｅ３を
連結孔３９４６７ｃ２及び挿通孔３９４６７ｄ３に挿入した状態で、軸部３９４６７ｅ３
の挿入先端面にネジを締結することで、第１片３９４６７ｃ、第２片３９４６７ｄ及び第
３片３９４６７ｅを連結することができると共に、第３片３９４６７ｅを第１片３９４６
７ｃに対して回転可能な状態にできる。
【１５６６】
連結軸３９４６７ｅ４は、上述したように、第２片３９４６７ｄの凹設部３９４６７ｄ
２に挿入される。これにより、第２片３９４６７ｄが第１片３９４６７ｃに対して軸部３
９４６７ｅ３を中心に回転変位した際に、連結軸３９４６７ｅ４を第２片３９４６７ｄの
変位に伴って変位させることができる。従って、第３片３９４６７ｅを第２片３９４６７
ｄの変位に伴って変位させることができる。
【１５６７】
よって、図１９９に示すように、球受部３９４６７は、第１片３９４６７ｃ及び第２片
３９４６７ｄの対向間に遊技球が受け入れられると、受け入れられた遊技球が、第１片３
９４６７ｃ及び第２片３９４６７ｄの受入面（正面視Ｕ字に形成される内側の側面）を転
動して、その受入面の最下端に位置する凹部３９４６７ｃ３に案内される。これにより、
遊技球の外面で第２片３９４６７ｄを軸部３９４６７ｅ３を中心に第１片３９４６７ｃか
ら離間する方向に回転させることができる。その結果、第２片３９４６７ｄの変位に伴っ
て移動する第３片３９４６７ｅを上方に変位させてＬＥＤ３８４８３ｂの光の照射上に配
置できる。
【１５６８】
従って、ＬＥＤ３８４８３ｂから出射される光を、第３片３９４６７ｅの反射板３９４
６７ｅ１により下変位部材３９４４０の正面側（矢印Ｆ方向側）に反射させて、透過部１
１４５１ｂから出射させることができる。これにより、透過部１１４５１ｂから出射され
る光量を部分的に多くして、遊技者に下変位部材３９４４０の内部に送球された遊技球の
位置を認識させることができる。
【１５６９】
また、第２片３９４６７ｄは、凹設部３９４６７ｄ２に連結軸３９４６７ｅ４が挿入さ
れて、第３片３９４６７ｅの荷重が常に作用される。第３片３９４６７ｅの重心Ｇは、第
２片３９５６７ｄ及び第３片３９５６７ｅとの連結部分から、軸部３９４６７３ｅを挟ん
で反対側に設定される。これにより、第２片３９４６７ｄおよび第３片３９４６７ｄｅに
重力以外の力が作用していない状態では、第３片３９４６７ｅの荷重により、第２片３９
４６７ｅを第１片３９４６７ｃ４側に、回転させることができる。
【１５７０】
従って、球受部３９４６７から遊技球が排出される（取り出される）と、第３片３９４
６７ｅの荷重により第２片３９４６７ｄを第１片３９４６７ｃの球受片３９４６７ｃ４側
に変位させることができる。よって、球受部３９４６７に遊技球が受け入れられた場合に
のみ、反射板３９４６７ｅ１により反射されて透過部１１４５１ｂから出射される光量を
部分的に大きくすることができる。その結果、球受部３９４６７の位置出し動作等により
、反射板３９４６７ｅ１で光が反射されることを抑制できる。
【１５７１】
さらに、球受部３９４６７は、第１実施形態における球受部４６７と同様に、下変位部
材３９４４０の内部をスライド変位させる動作により、軸穴３９４６７ｂを中心に回転さ
れて、下変位部材３９４４０の出射開口４７１（図６６参照）から受け入れた遊技球が外
側に排出される。
【１５７２】
ここで、球受部３９４６７に受け入れられた遊技球を排出する構造として、球受部３９
４６７のスライド移動に伴って、軸孔４６７ｂを中心に球受部３９４６７の回転させる構
造では、球受部３９４６７のスライド速度により、軸孔４６７ｂを中心とする球受部３９
４６７の回転速度が変更される。従って、球受部３９４６７のスライド速度のみに回転速
度が依存するので、球受部３９４６７からの遊技球の排出速度が安定しないという問題点
があった。
【１５７３】
これに対し、第３９実施形態では、第３片３９４６７ｅの荷重により第２片３９４６７
ｄが回転する方向と、遊技球を出射する際の軸孔４６７ｂを軸とする球受部３９４６７の
回転方向とが略同一の方向に設定されるので、出射開口４７１から出射される遊技球に第
２片３９４６７ｄが変位する際の駆動力を付与することができる。従って、球受部３９４
６７を変位させて出射開口４７１から遊技球を排出する際の球受部３９４６７から遊技球
に作用させる力を小さくしても、出射される遊技球の速度を維持することができる。その
結果、球受部３９４６７から出射される遊技球の排出速度を安定させることができる。
【１５７４】
次いで、図２００を参照して、第４０実施形態における第１ユニット４０５５１につい
て説明する。上記第１実施形態では、主経路ＳＫ１の湾曲部５８１ａに遊技球が詰まった
場合にその不具合を報知する場合について説明したが、第４０実施形態では、規定の大き
さ以外の遊技球が主経路ＳＫ１を通過する場合に不正を報知できる。なお、上記各実施形
態と同一の部分については、同一の符号を付してその詳しい説明を省略する。
【１５７５】
図２００（ａ）は、第４０実施形態における第１ユニット４０５５１の模式断面図であ
り、図２００（ｂ）は、図２００（ａ）のＣＣｂ−ＣＣｂ線における第１ユニット４０５
５１の模式断面図である。なお、図２００（ａ）の断面図は、図２５の断面図と対応する
。
【１５７６】
図２００に示すように、第４０実施形態における第１ユニット４０５５１は、正面側（
矢印Ｆ向側）に配設される第１経路部材５６０と、その第１経路部材５６０の背面側（矢
印Ｂ方向側）に配設される第２経路部材５７０と、その第２経路部材５７０の背面に配設
される第３経路部材４０５８０と、を主に備えて形成される。
【１５７７】
第３経路部材４０５８０は、第２経路部材５７０の上方側（矢印Ｕ方向側）の背面に配
設される第１覆設部材４０５８１と、第２経路部材５７０の下方側（矢印Ｄ方向側）の背
面に配設される第２覆設部材５８２（図１９参照）と、第１覆設部材４０５８１及び第２
覆設部材５８２の間に配設される第１駆動ユニット５８３（図１９参照）と、第２覆設部
材５８２の背面に配設される第２駆動ユニット５８４（図１９参照）と、を主に備えて構
成される。
【１５７８】
第１覆設部材４０５８１は、背面側（矢印Ｂ方向側）に略Ｕ字状に湾曲する遊技球の送
球経路を形成する部材であり、第１開口部５７１ａ及び第４開口部５７１ｄの背面側を連
結する湾曲部４０５８１ａと、その湾曲部４０５８１ａの下方側に連なる板状の取付部４
０５８１ｂと、を主に備える。
【１５７９】
湾曲部４０５８１ａは、第１開口部５７１ａ及び第４開口部５７１ｄ（第２経路部材５
７０）側が開放される断面Ｕ字状に湾曲して形成され、その内側に第１転動部５７６が配
設される。また、湾曲部４０５８１ａは、左右方向（矢印Ｌ−Ｒ方向）における幅寸法が
、背面側（矢印Ｂ方向側）に向かって小さく形成されており、断面Ｕ字の湾曲部分におけ
る左右方向の幅寸法Ｘ１０（図２００（ａ）参照）が遊技球の直径に対して１．１倍以下
の大きさに形成される。これにより、規定の遊技球よりも直径が１．１倍以上の遊技球が
送球された場合に、その遊技球を湾曲部４０５８１ａ（主経路ＳＫ１）の内部で停止させ
ることができる。
【１５８０】
また、湾曲部４０５８１ａは、第１実施形態における湾曲部５８１ａと同様に、センタ
ーフレーム８６の凹部８６ｂ２（図１７参照）の内側に配設される。よって、湾曲部４０
５８１ａの内部に停止した遊技球を検出装置８６ｂ３（図１７参照）により検出してパチ
ンコ機１０にエラー（不正）を報知させることができる。
【１５８１】
さらに、湾曲部４０５８１ａは、断面Ｕ字の湾曲部分に開口する開口４０５８１ａ１と
、その開口４０４８１ａ１の背面側の端部から上方が開放する箱状に突設される収容部４
０５８１ａ２とを備える。
【１５８２】
開口４０５８１ａ１は、規定の遊技球の直径よりも小さい直径の球を主経路ＳＫ１から
排出する開口であり、左右方向（矢印Ｌ−Ｒ方向）における開口寸法Ｘ１５（図２００（
ａ）参照）が、遊技球の直径の０．９倍よりも大きい寸法に形成される。なお、開口４０
５８１ａ１は、第１転動部５７６を転動する遊技球の転動方向となる湾曲部４０５８１の
背面側に形成されており、主経路ＳＫ１を通過する遊技球を開口４０５８１ａ１に送球す
ることができる。これにより、規定の遊技球よりも直径が０．９割以上小さい遊技球が送
球された場合に、その遊技球を開口４０５８１ａ１から主経路ＳＫ１の外側に排出するこ
とができる。
【１５８３】
収容部４０５８１ａ２は、開口４０５８１ａ１から排出される遊技球を収容する箱であ
り、内側の空間が遊技球の直径よりも大きい大きさに形成される。これにより、開口４０
５８１ａ１から排出された遊技球を収容部４０５８１ａ２に収容することができ、その収
容された遊技球を検出装置８６ｂ３により検出してパチンコ機１０にエラー（不正）を報
知させることができる。
【１５８４】
なお、第４０実施形態では、幅寸法Ｘ１０及び開口寸法Ｘ１１が、規定の直径（１１ミ
リメートル）の遊技球に対して０．１倍の異なる大きさで形成される場合について説明し
たが、必ずしもこれに限られるものではなく、遊技球に対する大きさの倍率を変更しても
良い。
【１５８５】
次いで、図２０１及び図２０２を参照して第４１実施形態における第１ユニット４１５
５１について説明する。上記第１実施形態では、主経路ＳＫ２、湾曲経路ＷＫ１及び主経
路ＳＫ３に形成される第１凹部５７１ｈ、第２凹部５７１ｉ及び第３凹部５７１ｊが、湾
曲経路ＷＫ１の湾曲部分を中心に上下（矢印Ｕ−Ｄ方向）で略対象に形成される場合につ
いて説明したが、第４１実施形態における第１凹部４１５７１ｈ、第２凹部４１５７１ｉ
及び第３凹部４１５７１ｊは、それぞれ異形に形成されるなお、上記各実施形態と同一の
部分については、同一の符号を付してその詳しい説明を省略する。
【１５８６】
図２０１（ａ）は、第４１実施形態における第１ユニット４１５５１の模式断面図であ
り、図２０１（ｂ）は、図２０１（ａ）のＣＣＩｂ−ＣＣＩｂ線における第１ユニット４
１５５１の模式断面図である。図２０２（ａ）は、図２０１（ａ）のＣＣＩＩａ−ＣＣＩ
Ｉａ線における第１ユニット４１５５１の模式断面図であり、図２０２（ｂ）は、図２０
１（ａ）のＣＣＩＩｂ−ＣＣＩＩｂ線における第１ユニット４１５５１の模式断面図であ
る。
【１５８７】
図２０１及び図２０２に示すように、第４１実施形態における第１ユニット４１５５１
は、正面側に配設される第１経路部材４１５６０と、その第１経路部材４１５６０の背面
側に配設される第２経路部材４１５７０と、その第２経路部材４１５７０の背面に配設さ
れる第３経路部材５８０（図１９参照）と、を主に備えて形成される。
【１５８８】
第１経路部材４１５６０は、遊技盤１３（図２参照）の遊技領域の正面に沿った板状に
形成される正面板４１５６４と、上方側（矢印Ｕ方向側）が開放する断面略Ｕ字状に形成
され、正面板４１５６４の上方側（矢印Ｕ方向側）端部から背面側（矢印Ｂ方向側）に突
設される第１受入部５６１、第２受入部５６２及び第３受入部５６３と（図２１参照）、
その第１受入部５６１、第２受入部５６２及び第３受入部５６３の下側（矢印Ｄ方向側）
に連なって突設されると共に、正面板４１５６４の一部の端部に沿って延設される第１壁
部４１５６５と、その第１壁部５６５の下方に形成され、所定の間隔を隔てた２箇所から
突設される２組の第２壁部５６６及び第３壁部５６７（図２１参照）と、を主に備える。
【１５８９】
正面板４１５６４は、後述する第２経路部材４１５７０及び第３経路部材５８０の対向
間に形成される遊技球の流下経路の正面側（矢印Ｆ方向側）の壁部となる板部材であり、
光透過部材から形成される。これにより、遊技者は、第１ユニット５５１の内部を流下す
る遊技球を正面板４１５６４を介して（通して）視認することができる。
【１５９０】
また、正面板５６４は、後述する第１凹部４１５７１ｈ、第２凹部４１５７１ｉ及び第
３凹部４１５７１ｊと対向する位置に、それぞれ第１凸部４１５６４ｂ、第２凸部４１５
６４ｃ及び第３凸部４１５６４ｄが突設される。
【１５９１】
第２経路部材４１５７０は、第１経路部材４１５６０の正面板４１５６４と対向する板
状のベース板４１５７１と、そのベース板４１５７１の正面（矢印Ｆ方向側）から第１経
路部材４１５６０側に突設される第４壁部５７３（図２１参照）と、その第４壁部５７３
から下方側に所定の距離離間する位置に突設される第５壁部５７４（図２１参照）と、そ
の第５壁部５７４から下方側に所定の距離離間する位置に突設される第６壁部５７５（図
２１参照）と、を主に備えて形成される。
【１５９２】
ベース板４１５７１は、正面板４１５６４との対向間で形成される遊技球の送球経路（
主経路ＳＫ２、湾曲経路ＷＫ１及び主経路ＳＫ３）に凹設される第１凹部４１５７１ｈ、
第２凹部４１５７１ｉ及び第３凹部４１５７１ｊを備える。
【１５９３】
第１凹部４１５７１ｈ、第２凹部４１５７１ｉ及び第３凹部４１５７１ｊは、背面側に
向かって湾曲形状に凹設されて形成される。また、第１凹部４１５７１ｈ及び第１凸部４
１５６４ｂの対向間寸法と、第２凹部４１５７１ｉ及び第２凸部４１５６４ｃの対向間寸
法と、第３凹部４１５７１ｊ及び第３凸部４１５６４ｄの対向間寸法は、それぞれ同一の
対向間寸法Ｌ１９（図２０１（ｂ）参照）に設定される。
【１５９４】
また、対向間寸法Ｌ１９は、遊技球の直径よりも大きい値に設定されると共に、正面板
４１５６４の背面およびベース板５７１の正面の対向間寸法Ｌ２０（図２０１（ｂ）参照
）よりも小さい値に設定される。これにより、第１凹部４１５７１ｈ、第２凹部４１５７
１ｉ及び第３凹部４１５７１ｊと、第１凸部４１５６４ｂ、第２凸部４１５６４ｃ及び第
３凸部４１５６４ｄとの対向間に送球される遊技球を第１凹部４１５７１ｈ、第２凹部４
１５７１ｉ及び第３凹部４１５７１ｊと、第１凸部４１５６４ｂ、第２凸部４１５６４ｃ
及び第３凸部４１５６４ｄに当接させて、遊技球の転動（流下）速度を遅くすることがで
きる。
【１５９５】
さらに、第１凸部４１５６４ｂ、第２凸部４１５６４ｃ及び第３凸部４１５６４ｄのベ
ース板４１５７１側への突出寸法は同一に設定される。また、第１凸部４１５６４ｂ、第
２凸部４１５６４ｃ及び第３凸部４１５６４ｄの突設先端面と、第１凹部４１５７１ｈ、
第２凹部４１５７１ｉ及び第３凹部４１５７１ｊを除くベース板４１５７１の正面との対
向間の距離寸法Ｌ２１（図２０１（ｂ）参照）は、遊技球の直径よりも小さく設定される
。これにより、第１凹部４１５７１ｈ、第２凹部４１５７１ｉ及び第３凹部４１５７１ｊ
と、第１凸部４１５６４ｂ、第２凸部４１５６４ｃ及び第３凸部４１５６４ｄとの対向間
に送球される遊技球を第１凸部４１５６４ｂ、第２凸部４１５６４ｃ及び第３凸部４１５
６４ｄに衝突させることができる。その結果、遊技球の転動（流下）速度を遅くすること
ができる。
【１５９６】
第１凹部４１５７１ｈは、主経路ＳＫ２のベース板４１５７１に形成されており、主経
路ＳＫ２の遊技球の送球方向に沿って長く凹設される。これにより、第１凹部４１５７１
ｈの内側に送球された遊技球が第１凹部４１５７１ｈの内部を送球された際に、第１凹部
４１５７１ｈとの摩擦抵抗が増加することを抑制できる。その結果、主経路ＳＫ２を流下
する遊技球が第１凹部４１５７１ｈとの当接により停止することを抑制できる。
【１５９７】
第１凹部４１５７１ｈとの対向面に突設される第１凸部４１５６４ｂは、第１凹部４１
５７１ｈの延設方向と直交する方向に延設される。これにより、主経路ＳＫ２を送球され
る遊技球を第１凸部４１５６４ｂに当接させた際に、その遊技球を第１凹部４１５７１ｈ
の内側に送球しやすくできる。
【１５９８】
第２凹部４１５７１ｉは、湾曲経路ＷＫ１のベース板４１５７１に形成されており、重
力方向（矢印Ｕ−Ｄ方向）に沿って長く凹設される。また、第２凹部４１５７１ｉは、正
面視における形状が上下方向に長い楕円に形成され、その楕円の左右方向における中間位
置が、上下方向に延びる湾曲経路ＷＫ１の左右方向中間位置に設定される。また、第２凹
部４１５７１ｉの楕円の上方側（主経路ＳＫ２側）の湾曲中心が、主経路ＳＫ２を送球さ
れる遊技球の中心の送球軌跡上に配置される。従って、第２凹部４１５７１ｉは、主経路
ＳＫ２から送球される遊技球の送球軌跡よりも上方側に凹設されるので、主経路ＳＫ２を
遊技球が比較的速い速度で送球された場合でも、その遊技球の中心を第２凹部４１５７１
ｉの正面側を通過させることができる。その結果、主経路ＳＫ２を通過する遊技球を第２
凹部４１５７１ｉの内側に送球して遊技球の速度を遅くしやすくでき、湾曲経路ＷＫ１で
遊技球が暴れることを抑制できる。
【１５９９】
第２凹部４１５７１ｉとの対向面に突設される第２凸部４１５６４ｃは、正面視におい
て略Ｌ字状に屈曲して形成される。また、第２凸部４１５６４ｃは、屈曲部分が正面視に
おける第２凹部４１５７１ｉの楕円の上方側の湾曲中心の正面側に設定される。また、第
２凸部４１５６４ｃの一方側の屈曲部分が、湾曲経路ＷＫ１の遊技球の送球方向と直交す
る方向に延設されると共に、他方側の屈曲部分が、主経路ＳＫ２の遊技球の送球方向と直
交する方向に延設される。これにより、主経路ＳＫ２から湾曲経路ＷＫ１に送球される遊
技球を他方側の第２凸部４１５６４ｃに当接させて第２凹部４１５７１ｉの内側に送球す
ると共に、一方側の第２凸部４１５６４ｃに当接させて湾曲経路ＷＫ１１を送球される遊
技球の送球速度を低下しやすくできる。その結果、湾曲経路ＷＫ１に送球された遊技球が
暴れることを抑制して、遊技球をスムーズに送球することができる。
【１６００】
第３凹部４１５７１ｊは、主経路ＳＫ３のベース板４１５７１に形成されており、主経
路ＳＫ３の遊技球の送球方向に長い楕円形状に凹設される。これにより、第３凹部４１５
７１ｊの内側に送球された遊技球が第３凹部４１５７１ｊの内側を送球された際に、第３
凹部４１５７１ｊとの摩擦抵抗が増加することを抑制できる。その結果、主経路ＳＫ３を
流下する遊技球が第３凹部４１５７１ｊとの当接により停止することを抑制できる。
【１６０１】
また、第３凹部４１５７１ｊは、遊技球の送球経路の上流側の端部の湾曲中心が第２凹
部４１５７１ｉの左右方向中央位置の下方側に設定される。これにより、湾曲経路ＷＫ１
の第２凹部４１５７１ｉの内側を流下した遊技球を第２凹部４１５７１ｉに受け入れやす
くすることができ、湾曲経路ＷＫ１から主経路ＳＫ３へ遊技球を送球しやすくできる。
【１６０２】
第３凹部４１５６７１ｊとの対向面に突設される第３凸部４１５６４ｄは、正面視にお
いて略Ｌ字状に屈曲して形成される。また、第３凸部４１５６４ｄは、屈曲部分が正面視
における第３凹部４１５７１ｊの上流側端部の湾曲中心の正面側に設定される。第３凸部
４１５６４ｄの一方側の屈曲部分が、主経路ＳＫ３の遊技球の送球方向と直交する方向に
延設され、他方側の屈曲部分が、湾曲経路ＷＫ１の遊技球の送球方向と直交する方向に延
設される。これにより、湾曲経路ＷＫ１から主経路ＳＫ３に送球される遊技球を他方側の
第３凸部４１５６４ｄに当接させて第３凹部４１５７１ｊの内側に送球すると共に、一方
側の第３凸部４１５６４ｄに当接させて主経路ＳＫ３を送球する遊技球の送球速度を低下
させることができる。その結果、湾曲経路ＷＫ１から主経路ＳＫ１に送球された遊技球が
暴れることを抑制して、遊技球をスムーズに送球することができる。
【１６０３】
次いで、図２０３から図２０６を参照して、第４２実施形態における遊技盤４２０１３
について説明する。上記第１実施形態では、背面ケース３００に配設される基板ボックス
１００（主制御装置１１０）の他端側が、基板ボックス１００の背面側から挿通されるネ
ジにより背面ケース３００に固定される場合について説明したが、第４２実施形態では、
背面ケース４２３００に配設される第２係合部材４２３７０が基板ボックス４２１００に
係合される場合について説明する。
【１６０４】
初めに、図２０３及び図２０４を参照して、第４２実施形態における背面ケース４２３
００の全体構成について説明する。図２０３は、第４２実施形態における背面ケース４２
３００の分解斜視正面図である。図２０４（ａ）は、背面ケース４２３００の正面図であ
り、図２０４（ｂ）は、図２０４（ａ）のＣＣＩＶｂ−ＣＣＩＶｂ線における背面ケース
４２３００の模式断面図である。なお、上記各実施形態と同一の部分には同一の符号を付
してその詳しい説明を省略する。
【１６０５】
図２０３及び図２０４に示すように、第４２実施形態における背面ケース４２３００は
、正面視略矩形の底壁部４２３０１と、その底壁部４２３０１の４辺の外縁から正面へ向
けて立設される外壁部４２３０２とを備え、それら各壁部４２３０１，４２３０２により
一面側（正面側）が開放された箱状に形成される。
【１６０６】
また、背面ケース４２３００は、底壁部４２３０１の正面側（箱状に形成された開放側
（矢印Ｆ方向側））に配設される係合部材３１０と、背面ケース４２３００の背面側に配
設され、基板ボックス４２１００の一端側を固定する固定部材３２０と、底壁部４２３０
１の正面側に配設され、基板ボックス４２１００の他端側を固定する第２係合部材４２３
７０と、を備える。
【１６０７】
底壁部４２３０１は、その中央に正面視矩形の開口３０１ａが、開口形成され、その開
口３０１ａを通じて、底壁部４２３０１の背面に配設される第３図柄表示装置８１（図２
参照）が視認可能とされる。また、底壁部４２３０１には、正面側に円柱状に突設され、
係合部材３１０の摺動溝３１４に挿入される突設部３０１ｂと、固定部材３２０と対向す
る位置に開口する第１開口部３０１ｃと、係合部材３１０と対向する位置に開口する第２
開口部３０１ｄと、底壁部４２３０１の正面側（矢印Ｆ方向側）に円柱状に突設され、後
述する第２係合部材４２３７０の摺動溝４２３７２に挿入される第２突設部４２３０１ｆ
と、その第２突設部４２３０１ｆの上方（矢印Ｕ方向）に板厚方向（矢印Ｆ−Ｂ方向）に
貫通形成される第３開口部４２３０１ｇと、を備える。
【１６０８】
第２突設部４２３０１ｆは、第２係合部材４２３７０の変位方向を規定する突起であり
、重力方向の２箇所に並んで形成される。また、第２突設部４２３０１ｆの外径は、後述
する第２係合部材４２３７０の摺動溝４２３７２の短手方向の溝幅よりも若干小さい寸法
に設定される。さらに、２箇所の第２突設部４２３０１ｆは、互いの中心の離間距離が摺
動溝４２３７２の長手方向の溝幅よりも小さい寸法に設定される。これにより、摺動溝４
２３７２の内側に２箇所の第２突設部４２３０１ｆを挿入して配設できる。
【１６０９】
第３開口部４２３０１ｇは、内側に後述する基板ボックス４２１００の突設部４２１１
８が挿入される開口であり、正面視における突設部４２１１８の外形よりも大きい寸法で
開口される。また、第３開口部４２３０１ｇは、係合部材３１０と固定部材３２０とが係
合された状態（図２０４（ａ）に示す状態）において、係合部材３１０を固定部材３２０
との係合を解除する方向（矢印Ｌ方向）に隣合う位置に形成される。これにより、第３開
口部４２３０１ｇに突設部４２１１８が挿入された状態において、係合部材３１０を固定
部材３２０との係合を解除することを不能とできる。なお、突設部４２１１８と係合部材
３１０との位置関係についての詳しい説明は後述する。
【１６１０】
外壁部４２３０２は、正面視において下方側（矢印Ｄ方向側）の側面に上下方向（矢印
Ｕ−Ｄ方向）に開口する第２開口部４２３０２ｂを備える。第２開口部４２３０２ｂは、
後述する第２係合部材４２３７０の下方側（矢印Ｄ方向側）の端部を挿通させる開口であ
り、第２係合部材４２３７０の変位領域に開口形成される。これにより、第２係合部材４
２３７０を変位させることができる。
【１６１１】
基板ボックス４２１００は、正面視における外形が、横長矩形の長方形に形成されると
共に、内側に主制御装置１１０が配設される。また、基板ボックス４２１００は、一端側
（矢印Ｒ方向側）の端部から突出する軸受部１１７（図２０６（ａ）参照）と、基板ボッ
ク４２１００の正面側の一面から突設される突設部４２１１８と、を備える。
【１６１２】
突設部４２１１８は、上述したように、背面ケース４２３００の第３開口部４２３０１
ｇに挿入される部分であり、基板ボックス４２１００の正面と背面ケース４２３００の背
面とが平行となる状態において、背面ケース４２３００の底壁部４２３０１の正面側に後
述する開口部４２１１８ａが配置される長さに設定される。また、突設部４２１１８は、
重力方向に開口する開口部４２１１８ａを備えており、その開口部４２１１８ａの内側に
後述する第２係合部材４２３７０が挿通した状態で配設される。これにより、基板ボック
ス４２１００が固定部材３２０を中心に回転することを抑制して、基板ボックス４２１０
０を背面ケース４２３００の背面側（矢印Ｂ方向側）に変位不能な状態で配設できる。
【１６１３】
また、突設部４２１１８が挿入される第３開口部４２３０１ｇは、上述したように係合
部材３１０と固定部材３２０とが係合された状態（図２０４（ａ）に示す状態）において
、係合部材３１０を固定部材３２０との係合を解除する方向（矢印Ｌ方向）に隣合う位置
に形成されるので、突設部４２１１８が係合部材３１０と隣り合う位置に配設される。ま
た、突設部４２１１８の第３開口部４２３０１ｇへの挿入寸法Ｙ６（図２０４（ｂ）参照
）は、係合部材３１０の正面と底壁部４２３０１の正面との離間距離Ｙ７（図２０４（ｂ
）参照）よりも大きく設定される。これにより、図２０４（ｂ）に示すように、係合部材
３１０と突設部４２１１８とが前後方向（矢印Ｆ−Ｂ方向）位置において重なる位置に配
設される。
【１６１４】
従って、突設部４２１１８の開口部４２１１８ａに第２係合部材４２３７０が挿入され
た状態において、係合部材３１０が固定部材３２０との係合を解除する方向（突設部４２
１１８が配設された方向）への変位が規制される。その結果、開口部４２１１８ａに第２
係合部材４２３７０が挿入された状態で、係合部材３１０が固定部材３２０との係合が不
正に解除されることを抑制でき、基板ボックス４２１００（主制御装置１１０）が不正な
基盤に交換されることを抑制できる。
【１６１５】
また、突設部４２１１８の開口部４２１１８ａは、重力方向に開口されており、その開
口部４２１１８ａに挿入される第２係合部材４２３７０が重力方向に変位されて挿入され
る。従って、第２係合部材４２３７０の変位方向（重力方向）と、係合部材３１０の変位
方向（水平方向）と、直行する方向に設定されるので、係合部材３１０が遊技者の不正に
より無理に操作された場合の力を、開口部４２１１８ａに挿入される第２係合部材４２３
７０で受け止めやすくすることができる。その結果、係合部材３１０が遊技者の不正によ
り無理に操作された場合に、固定部材３２０との係合が解除されることを抑制できる。
【１６１６】
第２係合部材４２３７０は、正面視縦長矩矩形の板状に形成される板部材４２３７１と
、その板部材４２３７１の上方側（矢印Ｕ方向側）の端部から下方（矢印Ｄ方向）に向か
って凹設される凹設部４２３７４と、板部材４２３７１の上方側（矢印Ｕ方向側）端部の
水平方向外側（矢印Ｌ−Ｒ方向）に突設される第２係合部４２３７３と、凹設部４２３７
４の下方に位置に前後方向（矢印Ｆ−Ｂ方向）に開口される摺動溝４２３７２と、を主に
備える。
【１６１７】
摺動溝４２３７２は、上述したように、第２係合部材４２３７０を変位可能に配設する
ための開口であり、重力方向（矢印Ｕ−Ｄ方向）に長く開口される。また、摺動溝４２３
７２は、短手方向（矢印Ｌ−Ｒ方向）の幅寸法が、摺動溝４２３７２の内側に配設される
第２突設部４２３０１ｆの直径と略同一に設定される。よって、上述したように摺動溝４
２３７２に第２突設部４２３０１ｆが挿入されると、第２係合部材４２３７０の摺動方向
が摺動溝４２３７２の開口の長手方向に規定される。
【１６１８】
凹設部４２３７４は、板部材４２３７１の上方側の端部を弾性変形やすくするための開
口であり、下方に向かって凹設されると共に、前後方向に切り欠かれる。これにより、板
部材４２３７１の上方側の端部の剛性を低くして、弾性変形やすくできる。
【１６１９】
第２係合部４２３７３は、上述した突設部４２１１８の開口部４２１１８ａの端部と係
合する部分であり、凹設部４２３７４の切り欠き方向と直行する方向の両側面から突設さ
れ、その両側の突設先の端部の離間距離Ｘ１２（図２０４（ａ）参照）が、開口部４２１
１８ａの左右方向の開口寸法Ｘ１３（図２０４（ｂ）参照）よりも大きく設定される。こ
れにより、第２係合部材４２３７０が開口部４２１１８ａに挿入された場合に、第２係合
部４２３７３が開口部４２１１８ａの端部と係合することで、第２係合部４２３７３が開
口部４２１１８ａから抜け出ることを抑制できる。
【１６２０】
なお、第２係合部４２３７３は、板部材４２３７１の上方側から下方側に向かって水平
方向外側に突設する形状に形成される。これにより、第２係合部材４２３７０が開口部４
２１１８ａに挿入される際に、第２係合部４２３７３を開口部４２１１８ａの内側に当接
させて、板部材４２３７１の上方側を弾性変形させやすくすることができる。
【１６２１】
また、第２係合部材４２３７０は、開口部４２１１８ａに挿入された状態（係合部４２
３７３が突設部４２１１８と係合した状態）において、下方側の端部が、外壁部４２３０
２の第２開口部４２３０２ｂの内側に配置される。これにより、第２係合部４２３７０が
背面ケース４２３００の外側から操作されることを抑制できる。その結果、第２係合部４
２３７３と突設部４２１１８との係合が不正に解除されて、基板ボックス４２１００（主
制御装置１１０）が不正な基盤に交換されることを抑制できる。
【１６２２】
次いで、図２０４及び図２０５を参照して、背面ケース４２３００への基板ボックス４
２１００の配設方法について説明する。図２０５（ａ）は、背面ケース４２３００の正面
図であり、図２０５（ｂ）は、図２０５（ａ）のＣＣＶｂ−ＣＣＶｂ線における背面ケー
ス４２３００の模式断面図である。なお、図２０４（ａ）及び図２０４（ｂ）では、背面
ケース４２３００に基板ボックス４２１００が配設された後の状態が図示され、図２０５
（ａ）及び図２０５（ｂ）では、背面ケース４２３００に基板ボックス４２１００が配設
される前の状態が図示される。
【１６２３】
第４２実施形態における基板ボックス４２１００は、上述した第１実施形態と同様に、
初めに、固定部材３２０が係合部材３１０と係合されて、一側が背面ケース４２３００の
背面側に配設される。
【１６２４】
なお、図２０５（ａ）及び図２０５（ｂ）に示すように、係合部材３１０が固定部材３
２０に係合前（変位前）の状態では、係合部材３１０の第２片３１２の先端が、第３開口
部４２３０１ｇの正面側に配設される。これにより、係合部材３１０と固定部材３２０と
が係合される前に、基板ボックス４２１００の突設部４２１１８が第３開口部４２３０１
ｇの内側に挿通されることを抑制できる。その結果、基板ボックス４２１００が、突設部
４２１１８及び第２係合部４２３７０の係合のみで、背面ケース４２３００に配設される
ことを抑制できる。
【１６２５】
次に、基板ボックス４２１００は、他側が一側の固定部材と３２０との連結部分を軸に
回転され、突設部４２１１８が背面ケース４２３００の第３開口部４２３０１ｇの内側に
挿通される。これにより、突設部４２１１８が第２係合部材４２３７０と係合可能な位置
配置される。
【１６２６】
なお、第２係合部材４２３７０は、第３開口部４２３０１ｇの内側に挿通前の状態にお
いて、下方側が第２開口部４２３０２ｂに挿通されて背面ケース４２３００の外側に配置
される（図２０５（ａ）参照）。これにより、基板ボックス４２１００を背面ケース４２
３００に配設する作業者は、背面ケース４２３００の外側から第２係合部材４２３７０を
操作して、第２係合部材４２３７０は、第３開口部４２３０１ｇの内側に挿通させること
ができる。
【１６２７】
また、第２係合部材４２３７０は、その変位方向が重力方向に設定されるので、第３開
口部４２３０１ｇの内側に挿通前の状態において、重力の作用により下方側の端部に配設
される。これにより、突設部４２１１８が背面ケース４２３００の第３開口部４２３０１
ｇの内側に挿通される際に、第２係合部材４２３７０と衝突することを抑制できる。その
結果、作業者の作業効率を向上できる。
【１６２８】
また、第２係合部材４２３７０を突設部４２１１８に係合し忘れた場合に、第２係合部
材４２３７０を背面ケース４２３００の外側に配置することができるので、作業者に正常
な状態でないことを認識やすくすることができる。その結果、第２係合部材４２３７０と
突設部４２１１８との係合し忘れを防止できる。
【１６２９】
次に、図２０６を参照して、背面ケース４２３００とベース板４２０６０とについて説
明する。図２０６（ａ）は、遊技盤１３の背面図であり、図２０６（ｂ）は、図２０６（
ａ）のＣＣＶＩｂ−ＣＣＶＩｂ線における遊技盤１３の断面図である。
【１６３０】
図２０６に示すように、第４２実施形態におけるベース板４２０６０の背面には、立設
部材４２０６０ｆが配設される。立設部材４２０６０ｆは、ベース板４２０６０の背面側
（矢印Ｂ方向側）に向かって立設されており、その立設先端位置が、背面ケース４２３０
０の底壁部４２３０１の同一平面状に設定される。また、立設部材４２０６０ｆは、第２
係合部材４２３７０の下方側に配置されると共に、背面ケース４２３００の外側に配設さ
れる。これにより、第２係合部材４２３７０と突設部４２１１８とを係合し忘れた状態で
、背面ケース４２３００を遊技盤４２０１３に配設した場合に、立設部４２０６０ｆを第
２係合部材４２３７０の下方側に衝突させることができる。その結果、第２係合部材４２
３７０と突設部４２１１８とを係合し忘れた状態、又は、背面ケース４２３００に基板ボ
ックス４２１００を配設し忘れた状態で、背面ケース４２３００がベース板４２０６０に
配設されることを抑制できる。
【１６３１】
なお、本実施形態では、立設部４２０６０ｆに、背面ケース４２３００の内側を照射す
る発光基板が配設される。これにより、立設部４２０６０ｆを光を照射する部分と、異常
な状態で背面ケース４２３００とベース板４２０６０とが係合されることを抑制する部分
と、兼用させることができる。その結果、ベース板４２０６０の外形が大きくなることを
抑制できる。
【１６３２】
以上、上記実施形態に基づき本発明を説明したが、本発明は上記形態に何ら限定される
ものではなく、本発明の趣旨を逸脱しない範囲内で種々の変形改良が可能であることは容
易に推察できるものである。
【１６３３】
上記第１実施形態では、球受部４６７を第３位置から第２位置または第１位置に退避さ
せるには、駆動モータＫＭ２の駆動に従う形態とされたが、第３位置から第２位置または
第１位置に退避させる駆動を付勢ばねにより駆動させても良い。例えば、ラック４６６又
は可動ラック４６４とベース部材４７０との間に付勢ばねを配設して、ラック４６６又は
可動ラック４６４の変位に伴って弾性力が付与される形態とする。
【１６３４】
この場合、球受部４６７が、第３位置まで変位され払出動作をした際に、駆動モータＫ
Ｍ３の駆動をオフすることで、付勢ばねの付勢力により球受部４６７を第２位置または第
１位置側へ変位させることができる。
【１６３５】
よって、駆動モータＫＭ２の駆動力を第３位置で切り換えるまでの間の時間を利用し、
球受部４６７を変位させることができるので、球受部４６７の内側から遊技球を排出した
際の排出動作の反作用による下変位部材４４０のぐらつきを抑えることができる。
【１６３６】
即ち、球受部４６７の内側から遊技球を排出した際には、排出された遊技球の分、下変
位部材４４０の荷重が軽くなり、反作用で下変位部材４４０が上方に変位しやすいところ
、球受部４６７を直ちに変位させることで、球受部４６７の回転変位による反作用でベー
ス部材４７０を下方に変位させる力を作用させて、下変位部材４４０から球が排出された
際の反作用を打ち消すことができる。
【１６３７】
上記第１実施形態では、回転体８００の回転を規制する係合突起８８２が回転体８００
の側面に所定の間隔を隔てて２つ形成される場合を説明したが、必ずしもこれに限られる
ものではない。例えば、回転体８００の側壁に所定の間隔を隔てて複数個連設してもよい
。この場合、回転体８００の回転の規制をどの位置においても可能とすることができ、蓋
部材７７０が開放状態とされた際に回転体８００が外力で回転することを規制することが
できる。
【１６３８】
上記第１実施形態では、開口８３１が、回転体８００の外周面に形成されて、遊技球が
開口８３１から送球される場合を説明したが、開口８３１が回転体８００の連通孔８８１
ｂと反対側の側面に形成されてもよい。即ち、回転体８００の軸方向の両側の側面に開口
が形成され、一方を球の流入口とし、他方を球の排出口としてもよい。この場合、回転体
８００の内部に球の送球経路を形成できるので、特に遊技盤１３の背面側に配置スペース
がない場合に、役物（回転体８００）を送球経路として利用することができるので、遊技
盤１３を大型化することなく送球経路を確保することができる。
【１６３９】
上記第１実施形態では、回転体８００は、外形が円柱状に形成される場合を説明したが
、必ずしもこれに限られるものではない。例えば、多角形状、楕円形状またはそれらを組
み合わせて形状としてもよい。この場合、回転体８００の形状を複雑化することができる
ので、回転体８００の回転変位により演出が切り替わったことを遊技者に視認させやすく
できる。
【１６４０】
上記第８実施形態では、回転操作部８６５４の外周面が遊技者により操作可能に形成さ
れる場合を説明したが、回転操作部８６５４の外周面に押込み式のボタンを配設してもよ
い。この場合、遊技者は、回転操作部８６５４に回転力を付与する操作だけでなく、押し
ボタンを押す操作、又は、回転操作部８６５４の回転操作と押す操作とを組み合わせた操
作をすることができる。その結果、回転操作部８６５４の操作形態を複数形成することが
できるので、遊技者に興趣を与えることができる。
【１６４１】
上記第８実施形態では、伝達ギヤ８６５１と伝達ギヤ８６５２とが歯合した状態とされ
る場合を説明したが、必ずしもこれに限られるものではない。例えば、伝達ギヤ８６５１
と、伝達ギヤ８６５２との間に、過負荷がかかると駆動力の伝達を遮るトルクリミッタ等
を介設してもよい。
【１６４２】
この場合、遊技者が回転状態の回転操作部８６５４の回転を停止させた際に、駆動モー
タＫＭ６からの回転の駆動力の伝達を遮り、回転操作部８６５４の回転が継続されること
を抑制できる。その結果、回転操作部８６５４にＡ方向の回転と反対方向の回転が遊技者
から入力された際に、回転操作ユニット８６５０が壊れることを抑制できる。
【１６４３】
さらに、遊技者が回転操作部８６５４を操作した際に、遊技者の指や衣服が回転操作部
８６５４の回転方向側の上皿８０１７との間に挟み込んだ際に、その回転を停止させて、
遊技者の指や衣服が更に挟み込まれることを抑制できる。よって、遊技者が回転操作部８
６５４と上皿８０１７との間に挟まれて怪我をすることを抑制できる。
【１６４４】
上記第８実施形態では、回転操作部８６５４の回転方向をＡ方向としたが必ずしもこれ
に限られるものではない。例えば、回転操作部８６５４の回転方向をパチンコ機１０に対
して左右方向としてもよい。この場合、その遊技機の演出に伴った動作を遊技者にさせる
ことができ、演出効果を向上させることができる。例えば、左手で回転操作部８６５４を
右方向に回転するように叩いて操作させることで、第３図柄表示装置８１上に表示したキ
ャラクター等を叩く（ビンタする）ような演出をすることができる。
【１６４５】
上記第１実施形態では、固定部材３２０に基板ボックス１００が配設されて、固定部材
３２０を係合部材３１０と係合させることで、基板ボックス１００が不正な基板に交換さ
れることを抑制する場合について説明したが、必ずしもこれに限られるものではなく、固
定部材３２０に配設されることで、不正に取り外されることを抑制できる効果を奏するも
のであれば他の部材（例えば、第３図柄表示装置８１や不正な電波または振動等の不正な
入力を検出できる検出装置）であっても良い。
【１６４６】
上記第１実施形態では、第１ユニット５５１に形成される第１凹部５７１ｈ、第２凹部
５７１ｉ及び第３凹部５７１ｊと、第１凸部５６４ｂ、第２凸部５６４ｃ及び第３凸部５
６４ｄは、互いに対向する位置に形成される場合について説明したが、必ずしもこれに限
られるものではなく、例えば、第１凸部５６４ｂ、第２凸部５６４ｃ及び第３凸部５６４
ｄを、第１凹部５７１ｈ、第２凹部５７１ｉ及び第３凹部５７１ｊに対して上流側に配置
して、流下する遊技球を第１凸部５６４ｂ、第２凸部５６４ｃ及び第３凸部５６４ｄに当
接させた後に第１凹部５７１ｈ、第２凹部５７１ｉ及び第３凹部５７１ｊに受け入れられ
るように形成してもよい。
【１６４７】
上記第１実施形態では、装飾部材１５４は、その厚み寸法が本体部１５１の凹部１５１
ｂの凹設深さよりも小さくされる場合について説明したが必ずしもこれに限られるもので
はない。例えば、装飾部材１５４を弾性変形可能な材料から形成すると共に、本体部１５
１の凹部１５１ｂの凹設深さよりも厚く形成してもよい。この場合、一般入賞口ユニット
１５０をベース板６０に配設する際に圧縮して弾性変形させることで、本体部１５１をベ
ース板６０に当接した状態で配設することができる。
【１６４８】
上記第１実施形態では、カム部材４２２が第２変位状態の位置に配置される際には、第
１リンク部材４３１からカム部材４２２に作用される力ＰＷ１及びＰＷ２が互いに打ち消
し合う方向に作用する場合について説明したが、必ずしもこれに限られるものではない。
例えば、カム部材４２２の端部と板状突起４３１ｂとが当接する点からカム部材４２２に
入力される力の方向が、その当接点から軸部４２２ａの軸心に向かう方向に設定しても良
い。これによれば、軸部４２２ａを軸に回転する方向の力がカム部材４２２に作用するこ
とを抑制できる。
【１６４９】
上記第１実施形態では、基板ボックス１００の他端側が、ネジにより背面ケース３００
の背面側に配設される場合を説明したが、必ずしもこれに限られるものではない。例えば
、基板ボックス１００の他端側が背面ケース３００に係合されると取り外し不能とされる
封印具により固定されていても良い。詳しく説明すると、背面ケース３００の背面側の複
数箇所に凹設される挿入部に、背面ケース３００の他端側の複数箇所に形成される開口を
挿通した円柱状の封印具を挿入して、挿入部と封印具とを係合させることで、基板ボック
ス１００を背面ケース３００の背面側に回転（動作）不能な状態で配設する。
【１６５０】
なお、基板ボックス１００を取り外す場合には、挿入部と封印具との係合部分を切断す
ることで、背面ケース３００から基板ボックス１００の他端側を取り外すことができる。
また、再度、基板ボックス１００の他端側を背面ケース３００に配設する場合には、新し
い封印具を、基板ボックス１００の未使用の開口に挿通させて、背面ケース３００の未使
用の挿入部に係合させることで基板ボックス１００の他端側を背面ケース３００に配設す
ることができる。
【１６５１】
上記第１実施形態では、正面視における装飾部材１５４の外形が、第２開口部６０ｂの
開口形状よりも大きく形成され、装飾部材１５４の端部がベース板６０の装飾部材６０ｃ
と前後方向に重なる状態で配設される場合について説明したが、必ずしもこれに限られる
ものではない。例えば、正面視における装飾部材１５４の外形が、第２開口部６０ｂの開
口形状と略同一に設定されてもよい。
【１６５２】
この場合、一般入賞口ユニット１５０の装飾部材１５４と、ベース板６０の装飾部材６
０ｃとを同一の材料から形成することで、装飾部材１５４と装飾部材６０ｃとを一枚から
なるシートで形成し、そのシートから装飾部材１５４を切断することで、装飾部材１５４
と装飾部材６０ｃとを形成することができる。従って、装飾部材１５４を別工程で形成す
る必要がなくなるので、装飾部材１５４を形成する際の歩留まりを向上できる。
【１６５３】
なお、正面視における装飾部材１５４の外形を第２開口部６０ｂの開口形状と略同一に
形成する場合には、装飾部材１５４を第２開口部６０ｂの内側に配設して、装飾部材１５
４と装飾部材６０ｃとの正面を同一の平面上に配置することが好ましい。この場合、装飾
部材１５４と装飾部材６０ｃとの装飾面が正面視における前後方向に一致するので、装飾
部材１５４と装飾部材６０ｃとの装飾を１の装飾として遊技者に認識させることができる
。
【１６５４】
上記第１実施形態では、第１ユニット５５１の遊技球の送球経路の正面側（矢印Ｆ方向
側）の内面に背面側（矢印Ｂ側方向側）に向かって突設される第１凸部５７１ｈ、第２凸
部５７１ｉ、第３凸部５７１ｋが形成され、第１ユニット５１１の遊技球の送球経路の背
面側の内面に背面側に向かって凹設される第１凹部５７１ｈ、第２凹部５７１ｉ及び第３
凹部５７１ｊを備える場合について説明したが、必ずしもこれに限られるものではない。
【１６５５】
例えば、第１凹部５７１ｈ、第２凹部５７１ｉ及び第３凹部５７１ｊと第１凸部５７１
ｈ、第２凸部５７１ｉ及び第３凸部５７１ｋとを正面視における前後方向で反対側の内面
に形成にしても良い。
【１６５６】
また、第２凹部５７１ｉと対向する位置の正面側の内面に正面画に向かって凹設される
凹部が形成されても良い。この場合、湾曲経路ＷＫ１の送球空間に凹部が凹設される分、
送球空間を大きくすることができる。従って、湾曲経路ＷＫ１で遊技球の流下が遅くなり
すぎることを抑制できる。その結果、湾曲経路ＷＫ１で遊技球が留まることを抑制できる
。
【１６５７】
上記第９実施形態では、傾斜面９４３１ｂ１が、カム部材４２２に向かうに従って正面
側に突出する場合について説明したが、必ずしもこれに限られるものではない。例えば、
傾斜面９４３１ｂ１が、カム部材４２２に向かうに従って正面側への突出量が小さくされ
る傾斜として形成されていても良い。
【１６５８】
この場合、下変位ユニット４００が第２変位状態とされてカム部材４２２の端部が板状
突起９５３１ａに当接した際に、カム部材４２２を正面ベース４１１の湾曲壁部４１１ｅ
に押し付けることができる。その結果、カム部材４２２が前後方向に揺れ動くことを抑制
でき、下変位部材４４０を第２変位状態の位置で維持しやすくできる。
【１６５９】
上記第１１実施形態では、発光体１１４９１ａが、球受部４６７に受け入れられる遊技
球の中心よりも高い（矢印Ｕ方向）位置に形成される場合について説明したが、必ずしも
これに限られるものではなく、例えば、球受部４６７に受け入れられる遊技球の中心と略
同一の高さに発光体１１４９１ａが配設されていても良い。この場合、透過部１１４５１
ｂの高さ位置が、球受部４６７に受け入れられる遊技球の中心から中心よりも上方側に亘
って形成されることが好ましい。
【１６６０】
これによれば、発光体１１４９１ａから出射された光の一部を遊技球により遮断した場
合に、透過部１１４５１ｂに形成される遊技球の影を、遊技球の上方側半球により半円形
状に形成できる。これより、透過部１１４５１ｂに形成される影に遊技球の丸みを形成で
きるので、遊技者に球受部４６７に受入られた遊技球の位置を認識させやすくすることが
できる。
【１６６１】
上記第１２，第３９実施形態では、第３片１２４６７ｅ，３９４６７ｅの変位を遊技球
の荷重により行う場合について説明したが、必ずしもこれに限られるものではない。例え
ば、球受部１２４６７，３９４６７に遊技球を送球する送球経路に遊技球が通過したこと
を検知するセンサを取り付けて、そのセンサにより遊技球が検出されたことに起因して第
３片１２４６７ｅ，３９４６７ｅを単独で変位させても良い。これによれば、第２片１２
４６７ｄ，３９４６７ｄを遊技球の荷重により変位させる必要がなくなるので球受部１２
４６７，３９４６７の変位の信頼性を向上できる。なお、この場合、第３片１２４６７ｅ
，３９４６７ｅを単独で変位させる駆動装置が球受部１２４６７，３９４６７に配設され
る。
【１６６２】
上記第１２，第３９実施形態では、第３片１２４６７ｅ，３９４６７ｅが回転変位する
際の回転軸を第１片１２４６７ｃ，３９４６７ｃに形成する場合について説明したが、必
ずしもこれに限られるものではない。例えば、第３片１２４６７ｅ，３９４６７ｅの軸部
１２４６７ｅ３，３９４６７ｅ３をラック４６６に形成される開口に挿入して、第３片１
２４６７ｅ，３９４６７ｅをラック４６６に対して回転変位させても良い。この場合、回
転軸と第２片１２４６７ｄ，３９４６７ｄとの連結部分との距離を大きくしやすくできる
ので、第２片１２４６７ｄ，３９４６７ｄの変位量に対する第３片１２４６７ｅ，３９４
６７ｅの変位量を大きくしやすくできる。その結果、第３片１２４６７ｅの遮蔽板１２４
６７ｅ１を発光体１１４９１ａの正面側に配置しやすくできる。なお、この場合、ラック
４６６に形成される開口は、軸部１２４６７ｅ３，３９４６７ｅ３が摺動可能な長穴に形
成される。
【１６６３】
上記第１３実施形態では、第２経路部材１３５７０を第１経路部材１３５６０に対して
前後方向に移動させる場合について説明したが、必ずしもこれに限られるものではなく、
例えば、第１経路部材１３５６０を第２経路部材１３５７０に対して、前後方向に移動さ
せても良い。この場合、第２経路部材１３５７０とベース板６０（遊技盤１３）の正面と
の相対的な位置関係により第１部材と第２部材との対向間の間隔が遊技者に把握されるこ
とを抑制できる。その結果、遊技機の稼動率を向上させることができる。
【１６６４】
上記第１、第１０、第２５実施形態では、装飾部材１５４，１０１５４，２５１５４が
、接着テープ１５４ａ，１０１５４ａ，２５１５４ａにより貼付される場合について説明
したが、必ずしもこれに限られるものではなく、例えば、液状体からなる接着剤を用いて
も良い。
【１６６５】
上記第１３、第３２、第３３、第３４、第３５実施形態では、正面側に配設される第１
経路部材１３５６０，３２５６０，３３５６０，３４５６０，３５５６０が非光透過性材
料から形成されて第１経路部材１３５６０，３２５６０，３３５６０，３４５６０，３５
５６０と第２経路部材１３５７０，３２５７０，３４５７０との対向間が遊技者から認識
されにくくされる場合について説明したが、必ずしもこれに限られるものではない。
【１６６６】
例えば、第１経路部材１３５６０，３２５６０，３３５６０，３４５６０，３５５６０
に遊技球の直径よりも小さい幅のスリット状に開口される開口部を形成して第１経路部材
１３５６０，３２５６０，３３５６０，３４５６０，３５５６０と第２経路部材１３５７
０，３２５７０，３４５７０との対向間を流下する遊技球を開口部を介して遊技者に視認
させてもよい。なお、この場合、スリット状に形成される複数の開口部は、隣の開口部ま
での距離が遊技球の直径よりも小さく設定される。
【１６６７】
これにより、第１経路部材１３５６０，３２５６０，３３５６０，３４５６０，３５５
６０と第２経路部材１３５７０，３２５７０，３４５７０との対向間を流下する遊技球を
開口部を介して遊技者に認識させることができる。
【１６６８】
また、第１経路部材１３５６０，３２５６０，３３５６０，３４５６０，３５５６０に
遊技球の直径よりも小さい円形に開口される開口部を形成して第１経路部材１３５６０，
３２５６０，３３５６０，３４５６０，３５５６０と第２経路部材１３５７０，３２５７
０，３４５７０との対向間を流下する遊技球を開口部を介して遊技者に視認させてもよい
。この場合、複数の開口部同士の隣り合う幅寸法が遊技球の直径よりも小さく形成される
。従って、開口部がスリット状に形成される場合に比べて開口部の開口を小さくすること
ができるので、開口部を介して第１経路部材１３５６０，３２５６０，３３５６０，３４
５６０，３５５６０と第２経路部材１３５７０，３２５７０，３４５７０との対向間の間
隔が遊技者に認識されることを抑制できる。
【１６６９】
上記第１８実施形態では、変位部材１８３１０が係合される部分（被係合部１８３３２
）を固定部材１８３２０に形成する場合について説明したが、必ずしもこれに限られるも
のではない。例えば、変位部材１８３１０が係合される被係合部１８３３２を、固定部材
１８３２０にカシメ固定される基板ボックス１００に形成してもよい。
【１６７０】
この場合、基板ボックス１００が背面ケース１８３００に配設されていない状態では、
変位部材１８３１０を背面ケース１８３００の内側に配置することができず、変位部材１
８３１０を自重により背面ケース１８３００の外側に突出した状態とすることができる。
【１６７１】
その結果、基板ボックス１００が背面ケース１８３００に取り付け忘れた場合には、遊
技盤１８０１３が外枠１１に配設される際に、変位部材１８３１０を外枠１１に引っ掛け
る（図１６４（ｂ）参照）ことで、作業者に基板ボックス１００の取り付け忘れを気付か
せることができる。
【１６７２】
上記第２１実施形態では、背面ケース３００の底壁部３０２の正面側（矢印Ｆ方向側）
に配設される回転ユニット２１７００の挿入部２１７２４ｂが変位部材３１０の凹部３１
７の内側に挿入されて変位部材３１０と固定部材３２０との係合が不正に解除されること
を防止する場合について説明したが、必ずしもこれに限られるものではない。例えば、変
位部材３１０の凹部３１７の内側に挿入される挿入部２１７２４ｂを固定部材３２０に配
設される基板ボックス１００に形成してもよい。
【１６７３】
なお、この場合、挿入部２１７２４ｂは、固定部材３２０に穿設される開口を介して底
壁部３０２の正面側に配設される。さらに、挿入部２１７２４ｂは、固定部材３２０にカ
シメ固定する軸が挿入される部分に形成される。これにより、基板ボックス１００の軸受
部１１７が切断されて背面ケース２１３００から不正に取り外された場合に、挿入部２１
７２４ｂを変位部材３１０の凹部３１７の内側に取り残すことができる。その結果、背面
ケース２１３００から固定部材３２０を取り外すことを困難とすることができる。
【１６７４】
従って、固定部材３２０を交換する場合には、基板ボックス１００と固定部材３２０と
のカシメ部分を正しく（カシメ部分を切断する）必要がある。これにより、固定部材３２
０を背面部材２１３００から不正に取り外すことを困難とすることができるので、固定部
材３２０が取り外されて不正な基板ボックスに交換されることを抑制できる。
【１６７５】
上記第４２実施形態では、立設部４２０６０ｆに、光を照射する発光基板を配設する場
合を説明したが、必ずしもこれに限られるものではなく、例えば、ベース板４２０６０に
配設される駆動部材を制御する制御基板や、遊技球を送球する通路として形成しても良い
。
【１６７６】
＜第１制御例＞
次に、図２０７〜図２８７を参照して、本発明の第１制御例について説明する。なお、第１制御例は、上述した各実施形態に対して、一部構成を変更して、その制御例について説明するものであり、上記各実施形態と同様の構成については、その詳細な説明は省略する。なお、本制御例において用いられる構成にて、上記各実施形態と同一の構成に対して異なる符号を付しているものもあるが、それは、本制御例の発明を分かり易く説明するためのものであり、具体的な構成の内容については上記各実施形態の対応する構成と同一であるためその詳細な説明を省略する。
【１６７７】
従来より、特別図柄の抽選で大当たりに当選した場合に大当たり遊技を実行し、その大当たり遊技中に入賞装置（例えば、可変入賞装置）へ球を入賞させ易くすることにより、遊技者に対して大当たり遊技を目指して遊技を行わせるパチンコ機１０がある。このようにパチンコ機１０では、遊技者が苦労して大当たりに当選し大当たり遊技が実行された場合に、入賞装置（可変入賞装置）に入賞する球の割合が低いと遊技者の遊技意欲を低下させてしまうという問題があった。
【１６７８】
このような問題は、遊技盤１３上に形成された遊技領域を球が流下する際に、遊技盤１３に設けられた複数の障害物（例えば、釘）と衝突することで球の流下方向が可変されることにより、可変入賞装置６５へ入賞する球数が増減してしまうことに起因するものであるため、パチンコ機１０において避けることの出来ない問題であった。
【１６７９】
これに対して、本第１制御例では、大当たり遊技中に開放動作されるアタッカ（可変入賞装置）６５と同期させて疑似アタッカ（演出用アタッカ）１６５（図２０８参照）を駆動させるように構成し、且つ、疑似アタッカ１６５には可変入賞装置６５に入賞した球以外にも右一般入賞口１６３（図２０８参照）や特定アウト口１６６（図２０８参照）に入球した球も流入するように構成している。そして、可変入賞装置６５よりも疑似アタッカ１６５のほうが遊技者に視認し易くなるように構成している。
【１６８０】
このように構成することで、大当たり遊技が開始されると、遊技者は疑似アタッカ１６５に入賞する球を見ながら大当たり遊技を実行することになる。よって、大当たり遊技中に実際に可変入賞装置６５に入賞した球よりも多くの球が大当たり遊技中に可変入賞装置６５へ入賞しているように思わせることができる。
【１６８１】
また、大当たり遊技中に実行される右打ち遊技において発射された球のうち、可変入賞装置６５に入賞していない球（可変入賞装置６５に到達するまでに他の入賞（球）口に入賞（球）した球）を疑似アタッカ１６５に入賞させるように構成している。よって可変入賞装置６５への球の入賞数が減少した場合には、他の入賞（球）口（以下、入賞口等という）に入賞（球）する球数が増加し易くなるため、可変入賞装置６５への球の入賞数の増減に関わらず安定して所定数の球を疑似アタッカ１６５に入賞させることができる。
【１６８２】
また、本第１制御例では、各入賞口等（特定入賞口６５ａ、右一般入賞口１６３、特定アウト口１６６）に入賞（入球）した球が疑似アタッカ１６５に入賞するタイミングに合わせて、入賞演出を実行するように構成している。
【１６８３】
これにより、疑似アタッカ１６５に球が入賞したタイミングで可変入賞装置６５への球の入賞に基づく入賞演出を実行することができるため、遊技者に対して疑似アタッカ１６５を本物のアタッカ（可変入賞装置６５）と思わせることができる。なお、可変入賞装置６５への球の入賞に基づいて実行される入賞演出とは、例えば、可変入賞装置６５に球が入賞したことを遊技者に報知するための入賞音報知演出や、第３図柄表示装置８１に可変入賞装置６５に球が入賞したことに基づいて遊技者に付与される特典（賞球）の量を示すための情報（獲得情報）を表示させる賞球数表示演出等である。
【１６８４】
さらに、本制御例では、異なる複数の入賞口等に入賞した球を疑似アタッカ１６５に入賞させるために、各入賞口等を通過した球が疑似アタッカ１６５の上方に誘導されるように誘導流路６９０（図２０８参照）を設けているが、各入賞口から疑似アタッカ１６５までの距離が異なるため、各入賞口等に球が入賞した順番と、疑似アタッカ１６５に球が入賞する順番が異なる場合がある。そこで、本第１制御例では、球が入賞した入賞口の種別と、入賞タイミングと、に基づいて、疑似アタッカ１６５に入賞する順序を判別可能に構成している。そして、疑似アタッカ１６５が継続して開放している期間中に所定個数（可変入賞装置６５の閉鎖条件が成立する個数（例えば、１０個））を超える場合には特定の入賞演出（オーバーフロー演出）を実行するように構成している。
【１６８５】
このように、各入賞口等に入賞した球が誘導流路６９０を流下する構成において、各入賞口等に入賞した順番では無く、疑似アタッカ１６５に入賞する順番を算出し、その算出結果に基づいて特定の入賞演出（オーバーフロー演出）を実行するように構成することで、遊技者に違和感を与えること無く入賞演出を実行することができる。
【１６８６】
なお、本制御例では、上述した入賞演出を各入賞口等に球が入賞したことを検知するための検知センサ６５ｓ１，６５ｓ２，１６３ｓ，１６６ｓ（図２０８参照）の検知結果に基づいて実行するように構成しているため、疑似アタッカ１６５に入賞する球を用いた入賞演出を実行するための専用の検知センサを設ける必要が無い。よって、パチンコ機１０に取り付ける検知手段（センサ）の数を減らすことができるため、設計コストを抑えることができる。
【１６８７】
次に、本第１制御例のパチンコ機１０に用いられる特徴的な演出内容について簡単に説明をする。従来より、特別図柄の抽選権利を、所定個数（例えば４個）を上限に保留記憶可能な構成を有し、抽選権利が保留記憶されてから実際に特別図柄の抽選が実行されるまでの期間中に、保留記憶された抽選権利に含まれる情報（入賞情報）を用いて大当たりの抽選結果を事前に判別（予測）する処理（所謂、先読み処理）を行い、その事前判別結果に基づいた演出（所謂、先読み演出）を実行するパチンコ機１０がある。
【１６８８】
このような構成を用いた従来型の遊技機では、例えば、保留記憶されている抽選権利を示すための識別情報（所謂、保留図柄）の表示態様を可変させることで遊技者に対して抽選結果を事前に報知する先読み演出が実行される場合がある。このような先読み演出を実行することで、保留図柄の表示態様が可変された場合に、その保留図柄に対応する特別図柄抽選で大当たりに当選するのではと、その保留図柄に対応する特別図柄抽選が実行されるまでの期間（対応する保留図柄よりも前に実行される特別図柄抽選期間）、遊技者に継続して期待感を持たせることができる。
【１６８９】
しかしながら、上述した先読み演出の場合、表示態様が可変された保留図柄（可変保留図柄）に対応する特別図柄抽選が実行されてしまうと、可変保留図柄の表示が消えてしまうため、現在実行中の特別図柄抽選（変動）が、可変保留図柄に対応するものであるか否かを遊技者が容易に判別することが困難になるという問題があった。これに対して、本制御例では、現在実行されている特別図柄抽選（変動）に対応していた保留図柄の可変表示態様に基づいた実行中表示態様を表示するように構成している。これにより、遊技者に対して、実行中の特別図柄抽選（変動）が、可変保留図柄に対応するものであるか否かを容易に判別させることができる。
【１６９０】
また、上述したように保留図柄の表示態様を可変させることにより、特別図柄の抽選結果を遊技者に事前に報知する先読み演出にて、複数種類の演出結果を報知するように構成する場合には（例えば、大当たり当選の期待度が異なる複数の演出結果を報知するように構成する場合には）、各演出結果を容易に識別できるようにするために可変表示態様を分かり易く異ならせる必要があることから、多くの情報を事前に報知し難いという問題があった。
【１６９１】
これに対し、本制御例では、上述した先読み演出に加え、第３図柄表示装置８１とは別に設けた演出装置（宝箱役物７５０（図２１０参照））の表示態様を可変させる演出を実行するように構成している。そして、先読み処理によって取得した複数の情報のうち、保留図柄の表示態様を可変させることによって遊技者に事前報知する情報（例えば、大当たりの当否判別結果を示すための事前先読み情報）と、宝箱役物７５０の表示態様を可変させることによって遊技者に事前報知する情報（例えば、当選した大当たりの種別を示すための事前先読み情報）と、を異ならせるように構成している。
【１６９２】
このように、先読み演出に用いる被演出対象物を複数設け、各被演出対象物により事前報知される情報の種別を異ならせることにより、遊技者に対して多くの情報を事前に報知し易くすることができる。加えて、本制御例では、第３図柄表示装置８１以外の演出装置を用いているため、先読み演出の演出結果を継続して報知し易くすることができる。
【１６９３】
また、従来より、特別図柄の抽選結果を示すための識別情報（第３図柄）を第３図柄表示装置８１の表示画面にて変動表示（動的表示）させた後に停止表示させる変動演出を実行させるものがある。このようなパチンコ機１０によれば、第３図柄の変動演出態様によって今回の特別図柄の抽選結果が大当たりであるか否かを予測させることができ、遊技の興趣を高めることができるものであった。しかしながら、第３図柄の変動演出態様が特別図柄の抽選結果にのみ基づいて決定されてしまうことから、長時間遊技を行う遊技者に対して、実行される変動演出態様によって特別図柄の抽選結果を容易に判別されてしまうという問題があった。
【１６９４】
加えて、特別図柄の抽選結果が遊技者にとって有利となる抽選結果（例えば、大当たり）であることを示す特定変動演出態様（第３図柄の停止表示態様）を実行するには、特別図柄の抽選結果が遊技者にとって有利となる抽選結果（例えば、大当たり）であることが条件となるため、その変動演出態様が実行される頻度が低くなってしまうという問題があった。
【１６９５】
これに対して、本第１制御例では、特別図柄の抽選結果を示すための第３図柄の変動演出態様を用いて特別図柄以外の図柄（例えば、普通図柄）の抽選結果を報知することが可能となるように構成している。このように構成することで、特別図柄の抽選結果以外の情報（例えば、普通図柄の抽選結果）に基づいて第３図柄の変動演出態様を設定することができるため、実行される変動演出態様によって特別図柄の抽選結果が容易に判別されてしまうことを抑制することができる。
【１６９６】
さらに、普通図柄の抽選結果が遊技者に有利となる抽選結果（例えば、当たり）である場合にも特定変動演出態様を実行することができるため、特定変動演出態様の実行頻度を高めることができる。
【１６９７】
また、本第１制御例では、特別図柄の抽選結果に基づいて設定された変動時間（特図変動時間）に基づいて設定される変動演出を用いて普通図柄の抽選結果に示すために、普通図柄の変動時間が経過するタイミングにて第３図柄を仮停止（実際には動いている（揺動している）が、ほぼ停止している状態）させるように構成している。これにより、普通図柄の停止タイミングに合わせて第３図柄が停止表示されたように見せることができる。
【１６９８】
加えて、本制御例では、特別図柄の抽選結果に基づいて設定された変動時間（特図変動時間）に対応する変動演出中において、普通図柄の停止タイミングで第３図柄を仮停止させた場合に、その仮停止タイミングからの残時間（仮停止タイミングから、特別図柄が停止表示されるまでの時間）に基づいて残時間中に実行される残時間演出の演出態様を異ならせるように構成しており、例えば、残時間が３秒未満の場合は、第３図柄の仮停止表示が継続する残時間演出を実行し、残時間が３秒以上の場合は、仮停止中の第３図柄を再度変動表示させるように構成している。
【１６９９】
これにより、残時間が短い（例えば、０．５秒）にも関わらず、仮停止中の第３図柄の再度変動させてしまい、遊技者に分かり難い演出が実行されてしまうことを抑制することができる。また、残時間が長い（例えば、１０秒）にも関わらず、仮停止表示を継続してしまい遊技者が遊技に飽きてしまうことを抑制することができる。
【１７００】
さらに、本第１制御例では、残時間の長さを大まかに区分け（例えば、３秒間隔に区分け）し、その区分けに対応した再変動演出を実行するように構成している。これにより、残時間の長さに対応した再変動演出を実行し易くすることができる。また、再変動演出として設定可能な演出態様は、その演出期間が３秒、６秒、９秒・・・と３秒間隔で予め設定されており、残時間に対応する演出期間を設定した後に、詳細な残時間に対応させるために演出態様の前半部分を所定時間削除した再変動演出を実行するように構成している。
【１７０１】
このように構成することで、一定間隔で予め設定された演出期間を用いてランダムに算出される残時間に対応した再変動演出を実行することができるため、再変動用に用いられる演出データの容量を削減することができる。なお、詳細な説明は省略するが、本制御例では残時間に対応させて予め設定されている演出態様の前半部分（１秒分）として、第３図柄が揺動する演出が設定されている。これにより、実際の残時間に対応させて演出態様の前半部分の一部を削除したとしても、遊技者に違和感を与える演出が実行されることを抑制することができる。
【１７０２】
また、本制御例では、特別図柄の抽選結果が大当たり以外の場合であって、遊技者に大当たり遊技よりも少量の特典（賞球）を付与可能な抽選結果である小当たりに当選した場合にも、上述した特定変動演出が実行されるように構成している。
【１７０３】
そして、小当たりに当選した場合に実行される小当たり遊技として、上述した大当たりに当選した場合に実行される大当たり遊技の初期期間（１ラウンド目のラウンド遊技期間）にて実行される当たり遊技と同一の遊技内容が実行されるように構成している。
【１７０４】
これにより、特定変動演出が実行された後に当たり遊技が実行されたとしても、その時点では今回の当たり遊技が大当たり当選に基づく当たり遊技なのか、小当たり当選に基づく当たり遊技なのかを遊技者に分かり難くすることができるため、遊技者に対して大当たり当選に対する期待感を長期間抱かせることができる。
【１７０５】
なお、本第１制御例では、大当たり遊技と小当たり遊技とで同一の遊技内容が実行される期間を用いて、実行中の当たり遊技が大当たり遊技であるか小当たり遊技であるかを遊技者に報知するための報知演出を実行するように構成している。このように構成することで、当たり遊技の内容だけでは判別困難な情報を演出により報知することができるため、演出効果を高めることができる。
【１７０６】
従来より、特別図柄の抽選結果を遊技者に示唆するための演出（予告演出）として、遊技者に操作手段（枠ボタン２２）を操作させることにより予告内容を表示する演出（操作演出）を実行するものがある。このような操作演出を実行する際には、操作手段の操作を有効に判別可能な期間（操作有効期間）を設定し、その操作有効期間内に操作手段が操作された場合に予告内容を表示するように構成するのが一般的である。そして、上述した操作有効期間が設定されていることを遊技者に報知するために、例えば、操作手段を模した表示態様（ボタン表示）と、操作有効期間を示す表示態様（例えば、タイムゲージ表示）を第３図柄表示装置８１に表示するものがある。さらに、１回の操作演出において、遊技者に操作手段を複数回操作させるために、複数のボタン表示のそれぞれに対してタイムゲージを付した表示態様が表示されるものがある。
【１７０７】
このような構成を有した遊技機によれば、遊技者は各ボタン表示に対応する操作有効期間内に操作手段を操作することで複数の予告内容を把握することができるため、遊技者に対して積極的に演出に参加させることができるものであった。しかしながら、操作有効期間が設定されているボタン表示が同時期に複数表示される場合に、枠ボタン２２に対する操作を一時的に怠ってしまうと、個々に設定されている操作有効期間のそれぞれに対して適切に操作手段を操作することが困難となるため、操作有効期間が設定されている最中に演出への参加意欲が低下してしまうという問題があった。
【１７０８】
これに対して、本第１制御例では、操作有効期間が重複する複数の操作演出を実行可能に構成し、さらに、各操作演出の操作有効期間が所定条件を満たした場合に、各操作演出を融合させた融合操作演出を実行するように構成している。具体的には、操作有効期間の残期間を示すタイムゲージの表示態様が複数の操作演出間で同一となった場合に、融合操作演出が実行されるように構成している。
【１７０９】
このように構成することにより、複数の操作演出が１つの融合操作演出へと可変する可能性を持たせることができるため、最後まで操作演出を完遂させる可能性を残すことが可能となる。よって、操作演出中に操作演出に対する参加意欲が低下してしまうことを抑制することができる。
【１７１０】
また、従来型のパチンコ機１０には、操作演出に対して設定される操作有効期間内に操作手段が操作されない場合にも特定の予告内容が表示されるように構成しているものがある。このようなパチンコ機１０では、遊技者が操作手段を操作しない場合にも特定の予告内容を表示することができるため、操作有効期間内に操作手段を操作できなかった遊技者の遊技意欲が低下してしまうことを抑制することができる。しかしながら、このような構成では操作有効期間内に操作手段を操作することと、予告内容が表示されることの関連性が低くなってしまい演出効果が低下してしまうという問題があった。
【１７１１】
これに対して、本第１制御例では、操作有効期間のうち所定期間が経過した時点で操作手段が操作されていない場合に、自動的に操作手段が操作される演出（自動押下演出）を実行するように構成している。これにより、操作有効期間内に操作手段を操作することと、予告内容が表示されることとの関連性を強くすることができ演出効果を高めることができる。
【１７１２】
さらに、本第１制御例では、自動押下演出中に遊技者が操作手段を操作した場合に、遊技者の操作に対応させて自動押下演出の演出態様を可変させることができるように構成している。よって、操作有効期間が設定されている期間の最後まで遊技者に操作手段を操作させる楽しみを提供することができる。
【１７１３】
ここで、本第１制御例に用いるパチンコ機１０の構成について図２０７を参照して説明をする。図２０７は第１制御例におけるパチンコ機１０の正面図である。図２０７に示した通り、本第１制御例のパチンコ機１０は、上述した第１実施形態におけるパチンコ機１０（図２参照）に対して、遊技盤１３の左側領域（可変表示装置ユニット８０の左側に形成された遊技領域）に、スルーゲート６７を設けた点で相違し、それ以外は同一である。同一の構成については同一の符号を付してその詳細な説明を省略する。
【１７１４】
本第１制御例のパチンコ機１０は図２０７に示した通り、左側領域にスルーゲート６７を設けており、遊技者が左打ち遊技（遊技盤１３の左側領域へ球を流下させるための遊技）をした際に発射した球が全てスルーゲート６７を通過するように構成している。このように構成することにより、遊技者が左打ち遊技（遊技盤１３の左側領域へ球を流下させるための遊技）を行い、第１入賞口６４に球を入賞させて第１特別図柄の抽選を行っている間にも普通図柄の抽選を実行することが可能となる。これにより、第３図柄表示装置８１にて第１特別図柄の抽選結果を示すための識別情報（第３図柄）を動的表示させる変動演出（特図１変動演出）を用いて普通図柄の抽選結果を示すことができる。
【１７１５】
特図１変動演出の詳細な内容については図２１２を参照して後述するが、本第１制御例では、普通図柄の抽選結果が停止表示されるタイミングに合わせて、特別図柄の動的表示期間中（第３図柄変動中）に、第３図柄を仮停止表示（遊技者に対して第３図柄が停止表示していると思わせる程度に第３図柄を揺動させて表示）するように構成している。これにより、第３図柄を用いて普通図柄の抽選結果を報知することができるため、遊技者に意外性のある演出を提供することができる。
【１７１６】
また、本第１制御例では普通図柄の当たりに当選した場合と、特別図柄の当たりに当選した場合とで同一の当たり表示態様で第３図柄を停止（仮停止）表示させる演出（チャージ演出（図２１２参照））を実行するように構成している。これにより、遊技者に対して停止表示された当たり表示態様が特別図柄の抽選結果を示すための表示態様であるのか普通図柄の抽選結果を示すための表示態様であるのかを遊技者に判別させ難くすることができる。よって、第３図柄が停止表示された後に実行される当たり遊技に対して期待感を持たせ易くすることができる。
【１７１７】
さらに、普通図柄の当たりに当選した場合と、特別図柄の当たりに当選した場合の何れかで上述したチャージ演出を実行するように構成しているため、特別図柄の当たりに当選した場合のみチャート演出が実行される場合に比べてチャージ演出の実行頻度を高めることができる。
【１７１８】
図２０７に戻り説明を続ける。遊技盤１３の右側領域には、樹脂製の外縁部材７３（７３ｂ）に覆われた遊技領域（右下遊技領域）が形成されている。この右下遊技領域は、透過性があり、且つ、光を乱反射させる表面加工（例えば、シボ加工）が施されている外縁部材７３ｂに覆われているため、他の遊技領域よりも遊技者が視認困難な遊技領域となる。
【１７１９】
詳細な説明は、図２０８を参照して後述するが、右下遊技領域には、球を流下させるための流路と、球が入賞可能な各種入賞口と、を有する特別入賞装置５５０が設けられており、さらに、各種入賞口に入賞した球を擬似的な演出に用いるための排出流路が形成されている。そして、右下遊技領域を流下した球は、図示しないアウト口に入球してパチンコ機１０の外部へと排出されるように構成している。
【１７２０】
次に、図２０８を参照して、特別入賞装置５５０に設けられている入球口（入賞口）の種別と、各入球口へと入球した遊技球の流下経路とについて説明する。なお、特別入賞装置５５０の第１ユニット５５１の内部に流入した遊技球の流下経路（主経路ＳＫ１〜ＳＫ６）については、第１実施形態において図２２等を参照して説明済みであるので、ここではその詳細については省略する。図２０８は、特別入賞装置５５０の模式断面図である。図２０８に示した通り、特別入賞装置５５０における正面視右上には、特定アウト口１６６が設けられ、特定アウト口１６６に対して正面視左側には、特定一般入賞口１６３が設けられている。特定一般入賞口１６３は、上述した第１実施形態の説明における第２受入部５６２（図２２参照）に相当しており、説明を分かり易くするため（入球口であることを明確にするため）に、名称の変更を行っている。同様に、特定アウト口１６６は、上述した第１実施形態の説明における第３受入部５６３（図２２参照）の名称変更を行ったものである。特定一般入賞口１６３およびアウト口１６６には、図２０８に示した通り、遊技球の入球を検出することが可能な一般入賞センサ１６３ｓおよびアウト入球センサ１６６ｓが設けられている。特定一般入賞口１６３は、１個の遊技球の入賞（入球）に対して３個の賞球が付与される入賞口として構成されており、一般入賞センサ１６３ｓによって遊技球の入球が検出される毎に、３個の賞球が払い出される。一方、特定アウト口１６６は、遊技球が入球したとしても賞球が付与されない（単に入球した遊技球を外部へと排出させるのみの）入球口として構成されており、アウト入球センサ１６６ｓによって遊技球の入球が検出されたとしても、賞球が払い出されることはない。
【１７２１】
また、図２０８に示した通り、特別入賞装置５５０における略中央部分には、遊技球が入球可能な特定入賞口６５ａを有する可変入賞装置６５が設けられている。この可変入賞装置６５は、上述した第１実施形態の説明における第１可変板５８３ｂと、第１受入凹部５７４ａと、第２受入凹部５７４ｂとで構成されており、入賞口（入球口）である点を明確にするために、本第１制御例の説明では、第１可変板５８３ｂを開閉扉６５ｆ１と称し、第１受入凹部５７４ａと、第２受入凹部５７４ｂとを、単に特定入賞口６５ａと称している。大当たり抽選により大当たりになると、開閉扉６５ｆ１が所定回数（６〜１６ラウンド）開放されて（正面側に張り出された状態から、奥側に退避した状態に変位して）、特定入賞口６５ａへと遊技球が入球可能な状態になる。
【１７２２】
図２０８に示した通り、特定入賞口６５ａには、遊技球の入球を検出することが可能な特定入賞センサ６５ｓ１，６５ｓ２（第１実施形態の説明における検出装置ＳＥ３，ＳＥ４）がそれぞれ設けられている。特定入賞口６５ａは、１個の遊技球の入賞（入球）に対して１５個の賞球が付与される入賞口として構成されており、特定入賞センサ６５ｓ１，６５ｓ２によって遊技球の入球が検出される毎に、１５個の賞球が払い出される。大当たりの各ラウンドでは、特定入賞口６５ａが所定時間（例えば、３０秒経過するまで、或いは、遊技球が１０個入賞するまで）開放される（開閉扉６５ｆ１が奥側に退避する）ので、大当たりの間に特定入賞口６５ａを狙って遊技球を発射する（可変表示装置ユニット８０に対して正面視右側の流路に向けて遊技球を発射する）ことにより、多量の賞球の払い出しを受けることができる。よって、大当たりにおける遊技者の遊技に対する興趣を向上させることができる。
【１７２３】
また、図２０８に示した通り、特別入賞装置５５０における可変入賞装置６５の左下には、第２入球口（第２入賞口）６４０（第１実施形態の説明における第３受入凹部５７５ａ、第４受入凹部５７５ｂ、図２２参照）と、第２入球口（第２入賞口）６４０を開閉する第１電動役物６４０ａ（第１実施形態の説明における第２可変部材５８４ｂ）とが設けられている。第２入球口６４０へと遊技球が入球すると、大当たり抽選（特別図柄の抽選）が実行されて、大当たりになると、特定入賞口６５ａが複数回開閉される大当たり遊技が実行される。また、第１電動役物６４０ａは、上述した通り、第１スルーゲート６６を遊技球が通過したことに基づいて実行される普通図柄の抽選で当たりになった場合に所定時間だけ作動状態となる。
【１７２４】
特定一般入賞口１６３（第２受入部５６２）へと入球した遊技球は、第２転動部５７７（図２０参照）を転動することにより正面視奥側（ベース板６０の背面側）へと誘導される。正面視奥側へと誘導された遊技球は、図２０８において破線により示した誘導流路６９０に流入する。同様に、特定アウト口１６６へと入球した遊技球は、第３転動部５７８（図２０参照）を転動することによりベース板６０の背面側へと誘導され、誘導流路６９０に流入する。また、特定入賞口６５ａへと入球した遊技球は、副経路ＨＫ１（図２２参照）を転動してベース板６０の背面側へと誘導され、誘導流路６９０に流入する。即ち、特定一般入賞口１６３へと入球した遊技球と、特定アウト口１６６へと入球した遊技球と、特定入賞口６５ａへと入球した遊技球とは、いずれも誘導流路６９０を流下する。
【１７２５】
図２０８に示した通り、誘導流路６９０は、特定一般入賞口１６３へと入球した遊技球を誘導流路６９０に流入させるための一般送球部６９０ａと、特定アウト口１６６へと入球した遊技球を誘導流路６９０に流入させるためのアウト送球部６９０ｂと、特定入賞口６５ａへと入球した遊技球を誘導流路６９０に流入させるための特定送球部６９０ｃと、特定流路６９０の最下流に設けられ、ベース板６０の背面側から演出用流路６９１（第１実施形態の説明における副経路ＨＫ３）へと遊技球を流下（合流）させるための合流経路６９０ｄと、で少なくとも構成されている。一般送球部６９０ａ、アウト送球部６９０ｂ、および特定送球部６９０ｃのうち何れかを介して特定流路６９０へと流入した遊技球は、合流経路６９０ｄを介して演出用流路６９１へと誘導される。演出用流路６９１へと誘導された遊技球は、演出用流路６９１の下端の排出部６９１ａから、疑似アタッカ１６５（第１実施形態の説明における装飾ユニット７５０、図９１参照）に向けて落下する。この疑似アタッカ１６５は、遊技球が入球可能な疑似入賞口１６５ａと、その疑似入賞口１６５ａへと遊技球が入球可能となる開放状態と、疑似入賞口１６５ａへの入球が不可能となる閉鎖状態とに可変可能に構成されている疑似扉１６５ｆ１（第１実施形態の説明における開閉部材８７０、図１０４（ｂ）参照）とで少なくとも構成されている。また、疑似アタッカ１６５の手前側には、疑似扉１６５ｆ１が閉鎖されている状態で疑似アタッカ１６５へと到達した遊技球を外部へと排出するためのアウト口１６７（第１実施形態の説明における入賞口７６１ａ）が配設されている。
【１７２６】
詳細については後述するが、本第１制御例では、大当たり遊技の各ラウンドにおいて、特定入賞口６５ａを開閉させると共に、疑似アタッカ１６５の疑似扉１６５ｆ１を開閉させる構成としている。そして、本第１制御例では、疑似入賞口１６５ａに対する遊技球の入球タイミングに合わせて、賞球の払い出しを示唆する演出（疑似入賞演出）を実行する構成としている。言い換えれば、特定入賞口６５ａへの入球を検出したことに基づいて賞球の払い出しを報知する演出を実行するのではなく、疑似入賞口１６５ａへと入球するタイミングに合わせて疑似入賞演出を実行する構成としている。即ち、第１経路部材５６０に覆われている特定入賞口６５ａよりも視認し易い疑似アタッカ１６５を用いて賞球が払い出されるか否かの示唆を行う構成とすることにより、大当たりにおいて賞球が払い出される契機を、遊技者に対してより明確に理解させることができる。
【１７２７】
なお、特定入賞センサ６５ｓ１，６５ｓ２のいずれかによって入球が検出されてから、当該検出された遊技球が誘導流路６９０および演出用流路６９１を流下して疑似入賞口１６５ａへと入球するまでの間には０．５秒程度の時間を要する。このため、本第１制御例では、大当たりの各ラウンドにおいて特定入賞口６５ａが開放されるタイミングおよび閉鎖されるタイミングに対して、疑似入賞口１６５ａが開放されるタイミングおよび閉鎖されるタイミングを０．５秒間遅延させる構成としている。これにより、特定入賞口６５ａへと入賞（入球）した全ての遊技球を、疑似入賞口１６５ａへと入球させることができる。
【１７２８】
また、本第１制御例では、上述した通り、特定一般入賞口１６３や、特定アウト口１６６へと入球した遊技球も疑似アタッカ１６５へと到達可能に構成している。遊技者の見た目上は、いずれの入球口へ入球して疑似アタッカ１６５へと到達した遊技球であるのかが区別困難となるので、入球口の種別によらず、疑似入賞口１６５ａへの全ての入球に対して疑似入賞演出を実行する構成としている。これにより、大当たりのラウンド期間の間に、特定一般入賞口１６３や特定アウト口１６６へと遊技球がより多く入球する程、疑似入賞演出の実行回数も多くなるので、実際よりも多くの賞球を獲得したかのように錯覚させることができる。よって、大当たり遊技における遊技者の満足感をより大きくすることができる。なお、上述した通り、大当たりの各ラウンドは、特定入賞口６５ａへと遊技球が１０回入球することにより終了される。これに対し、疑似入賞口１６５ａに対しては、特定入賞口６５ａへと入球した遊技球に加え、特定一般入賞口１６３や特定アウト口１６６へと入球した遊技球も入球し得る構成となっているので、大当たりの各ラウンドにおいて、１０個以上の遊技球が疑似入賞口１６５ａへと入球し易くなる。よって、大当たりの各ラウンドにおいて、通常よりも多くの遊技球が特定入賞口６５ａに入賞しているかのように遊技者に思わせることができるので、遊技者に対してより大きな満足感を抱かせることができる。ここで、本第１制御例では、１の疑似扉１６５ｆ１の開放期間の間における疑似入賞口１６５ａへの入球回数が、規定回数（１０回）を超えたか否かによって、疑似入賞演出の態様（疑似入賞音）を異ならせる構成としている。これにより、疑似入賞音が変化した場合に、規定個数を超えて特定入賞口６５ａへと入球した（オーバー入賞した）かのように遊技者に錯覚させることができるので、遊技者に対してより大きな満足感を抱かせることができる。
【１７２９】
また、本第１制御例では、疑似入賞演出の実行可否、および実行タイミングを、各入球口（特定一般入賞口１６３、特定アウト口１６６、特定入賞口６５ａ）への入球を検出したタイミングで判別する構成としている。即ち、各入球口への入球を検出したタイミングで、当該入球が検出された遊技球が疑似アタッカ１６５へと到達するタイミングが疑似扉１６５ｆ１の開放期間中であるか否かを予測して、開放期間中である場合に（即ち、入球を検出した遊技球が疑似扉１６５ｆ１の開放期間中に疑似入賞口１６５ａに入球すると予測される場合に）、疑似入賞演出の実行を決定する構成としている。言い換えれば、疑似入賞口１６５ａに対しては、遊技球の入球を検出するための構成を何ら設けることなく、各入球口に元々設けられている入賞センサのみによって疑似入賞演出の実行可否、および実行タイミングを判別する構成としている。このように構成することで、入球を検出するためのセンサの個数を削減することができるので、部品点数の削減によりパチンコ機１０の原価率を低減することができる。
【１７３０】
なお、本第１制御例では、特定一般入賞口１６３への入球が検出されてから、当該入球が検出された遊技球が疑似アタッカ１６５に到達するまでには１．５秒前後の期間を要し、特定アウト口１６６への入球が検出されてから、当該入球が検出された遊技球が疑似アタッカ１６５に到達するまでには１秒前後の期間を要し、特定入賞口６５ａへの入球が検出されてから、当該入球が検出された遊技球が疑似アタッカ１６５に到達するまでには０．５秒前後の期間を要する。このため、特定一般入賞口１６３への入球を検出した場合には、１．５秒後に疑似扉１６５ｆ１が開放されているか否かを判別（予測）して、疑似扉１６５ｆ１が開放されている（入球を検出した遊技球が疑似入賞口１６５ａに入球する）と予測した場合には、１．５秒後に疑似入賞演出が実行されるように設定する構成としている。また、同様に、特定アウト口１６６への入球を検出した場合には、１秒後に疑似扉１６５ｆ１が開放されているか否かを判別（予測）して、疑似扉１６５ｆ１が開放されている（入球を検出した遊技球が疑似入賞口１６５ａに入球する）と予測した場合に、１秒後に疑似入賞演出が実行されるように設定する。特定入賞口６５ａへの入球を検出した場合には、０．５秒後に疑似扉１６５ｆ１が開放されているか否かを判別（予測）して、疑似扉１６５ｆ１が開放されている（入球を検出した遊技球が疑似入賞口１６５ａに入球する）と予測した場合に、０．５秒後に疑似入賞演出が実行されるように設定する。これにより、疑似入賞口１６５ａへと遊技球が入球するタイミングに合わせて疑似入賞演出を実行することができるので、大当たりにおいて、より確実に、疑似アタッカ１６５へと入球することにより賞球が付与されているかのように遊技者に錯覚させることができる。よって、大当たりにおいて、疑似アタッカ１６５へと遊技球が入球するか否かに注目して遊技を行わせることができるので、遊技者の遊技に対する興趣を向上させることができる。
【１７３１】
なお、本第１実施形態では、特定入賞口６５ａへと入球した遊技球だけでなく、特定一般入賞口１６３や、特定アウト口１６６へと入球した遊技球も疑似アタッカ１６５へと到達可能に構成していたが、これに限られるものではない。例えば、特定一般入賞口１６３と、特定アウト口１６６とのうち、少なくとも一方に入球した遊技球が疑似アタッカ１６５へと到達不可能に構成してもよい。このように構成することで、疑似入賞演出の回数から推測される賞球数と、実際に払い出された賞球数とが乖離してしまうことを抑制（防止）することができる。
【１７３２】
本第１実施形態では、特定入賞口６５ａを特定一般入賞口１６３や特定アウト口１６６よりも下流側に設ける構成としていたが、各入球口の配置は任意に定めてよい。
【１７３３】
図２０７に戻り説明を続ける。遊技盤１３の略中央部分に設けられた可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。また、センターフレーム８６は、遊技盤１３の前面側に突出して第３図柄表示装置８１の周囲を囲んでおり、第３図柄表示装置８１に遊技球が当接することを防止している。
【１７３４】
第３図柄表示装置８１は９インチサイズの大型の液晶ディスプレイで構成されるものであり、表示制御装置１１４（図４参照）によって表示内容が制御されることにより、例えば左、中および右の３つの図柄列が表示される。各図柄列は複数の図柄（第３図柄）によって構成され、これらの第３図柄が図柄列毎に縦スクロールして第３図柄表示装置８１の表示画面上にて第３図柄が可変表示（変動表示）されるようになっている。本実施形態の第３図柄表示装置８１は、主制御装置１１０（図４参照）の制御に伴った遊技状態の表示が第１図柄表示装置３７ａ，３７ｂで行われるのに対して、その第１図柄表示装置３７ａ，３７ｂの表示に応じた装飾的な表示を行うものである。なお、表示装置に代えて、例えばリール等を用いて第３図柄表示装置８１を構成するようにしても良い。
【１７３５】
次に、本制御例における第３図柄表示装置８１の表示内容について図２０９を参照して説明する。図２０９（ａ）は本制御例における第３図柄表示装置８１の表示画面の構成を模式的に示した模式図であって、図２０９（ｂ）は本制御例における第３図柄表示装置８１の表示内容を模式的に示した模式図である。第３図柄表示装置８１は、１５インチサイズの液晶ディスプレイで構成されるものであり、表示制御装置１１４（図４参照）によって表示内容が制御されることにより、例えば左、中及び右の３つの図柄列が表示される。
【１７３６】
図２０９（ａ）に示すように、第３図柄表示装置８１の表示画面は、大きくは上下に２分割され、上側の２／３が第３図柄を変動表示する主表示領域Ｄｍ、それ以外の下側の１／３が予告演出、キャラクタおよび保留球数などを表示する副表示領域Ｄｓとなっている。
【１７３７】
第３図柄表示装置８１の表示画面に表示される第３図柄（特別図柄１または特別図柄２）は、「０」から「９」の数字を模した１０種類の主図柄によりそれぞれ構成されている。また、本実施形態のパチンコ機１０においては、主制御装置１１０（図４参照）による抽選結果が大当たりであった場合に、同一の主図柄が揃う（例えば「７７７」）変動表示が行われ、その変動表示が終わった後に大当たりが発生するよう構成されている。つまり、第３図柄は、主制御装置１１０による特別図柄の抽選結果を示すための図柄として第３図柄表示装置８１に表示されるものである。
【１７３８】
具体的には、主表示領域Ｄｍは、左・中・右のそれぞれ３つの図柄列Ｌ１，Ｌ２，Ｌ３が表示される。各図柄列Ｌ１〜Ｌ３には、上述した第３図柄が規定の順序で表示される。即ち、各図柄列Ｌ１〜Ｌ３には、数字の昇順または降順に主図柄が配列され、図柄列Ｌ１〜Ｌ３毎に周期性をもって上から下へとスクロールして変動表示が行われる。
【１７３９】
また、主表示領域Ｄｍには、有効ラインＶ１上に各図柄列の第３図柄が停止表示される。その第３図柄が有効ラインＶ１上に大当たり図柄の組合せ（本第１制御例では、同一の主図柄の組合せ）で揃って停止されれば、大当たりとして大当たり動画が表示される。
【１７４０】
なお、第３図柄表示装置８１における第３図柄の変動表示の態様は、上記のものに限定されることはなく任意であり、図柄列の数、図柄列における図柄の変動表示の方向、各図柄列の図柄数などは適宜変更可能である。また、第３図柄表示装置８１にて変動表示される図柄は上記に限られることはなく、例えば図形やキャラクタ等の画像と数字とを組み合わせた図柄を第３図柄として構成してもよい。さらに、第３図柄が変動表示される領域を可変させる構成にしてもよく、例えば、第３図柄表示装置８１の表示画面上で特定の演出が実行される場合は、第３図柄の変動表示領域を小さくしたり、変動表示領域を遊技者が視認し難い位置（例えば、表示画面の隅部）へと移動させたりすることで、第３図柄が変動しているか否かを遊技者が分かり難くするようにしてもよい。また、特別図柄が変動している期間中に、第３図柄の変動を一旦停止（仮停止）させ、再度変動させるように構成してもよい。
【１７４１】
さらに、本実施形態では、第１特別図柄の変動に対応した第３図柄の表示態様と、第２特別図柄の変動に対応した第３図柄の表示態様とが同一（遊技者が識別困難な程度の相違も含む）となるように構成しているが、変動している特別図柄の種別に対応するように第３図柄の表示態様や表示領域を異ならせても良い。
【１７４２】
加えて、本第１制御例では中図柄列Ｚ２にて変動表示される第３図柄として特定図柄を停止表示させることが可能に構成されている。この特定図柄の詳細については図２１２を参照して後述するが、数字とは異なる識別情報（例えば、「チャージ」）が付された表示態様で構成されており、この特定図柄が有効ラインＶ１上に停止表示することにより、特別図柄の抽選結果が特定の抽選結果であることを報知可能に構成している。
【１７４３】
本制御例では、所定条件が成立した場合、例えば、左図柄列Ｌ１と、右図柄列Ｌ３とに同一の数字を示す第３図柄が停止表示した場合に、変動中の中図柄列Ｌ２の特定箇所（例えば、数字の「０」と「９」との間の箇所）に割り込んで特定図柄が表示されるように構成している。これにより、第３図柄の変動表示が所定期間経過した後に突然特定図柄が表示されるため、遊技者に対して意外性のある変動演出を提供することができる。
【１７４４】
なお、特定図柄を表示させるための条件は上述した条件以外でも良く、例えば、左図柄列Ｌ１と、右図柄列Ｌ３とに停止表示された第３図柄が示す数字が所定の組み合わせであることを条件としても良いし、第３図柄の変動表示中に遊技者が操作手段を操作することを条件としても良い。また、特別図柄の抽選結果に基づいて成立する条件としても良い。加えて、第３図柄の変動表示が開始されてから所定期間経過後に特定図柄が表示される変動演出を変動演出設定時（変動開始時）に予め設定しておいても良い。
【１７４５】
また、特定図柄を表示させる場合に、予め設定されている図柄列に割り込ませて表示させる手法以外を用いても良く、例えば、図柄列に予め設定されている１つの第３図柄と置き換えても良い。この場合、例えば、中図柄列Ｌ２に設定されている第３図柄のうち、特定の第３図柄が停止表示された場合に特別図柄の大当たり当選を示すこととなる第３図柄の組み合わせが停止表示される状態、即ち、リーチ状態であれば、その特定の第３図柄の前後に設定されている第３図柄に置き換えて特定図柄を表示させるように構成すると良い。これにより、連続する複数の第３図柄の何れが停止表示されたとしても遊技者に有利な抽選結果を示すことになるため、遊技者に期待感を抱かせながら変動演出を注視させることができる。
【１７４６】
本制御例では、特別図柄の抽選結果として、「大当たり」、「小当たり」、「外れ」の３種類が特別図柄の抽選結果として設定可能に構成されており、大当たりに当選した場合には、実行される大当たり遊技の内容や大当たり遊技終了後に設定される遊技状態を異ならせた複数の大当たり種別のうち一の大当たり種別が設定されるように構成している。そして、第３図柄表示装置８１に停止表示される第３図柄の組み合わせによって、特別図柄の抽選結果、及び、大当たり当選時における大当たり種別を遊技者に示唆（報知）するように構成している。
【１７４７】
例えば、特別図柄の抽選結果が遊技者に最も有利となる大当たり種別が設定される「大当たりＤ」であれば、奇数番号である「３，７」の主図柄のうち、いずれかがぞろ目で揃って停止表示される変動表示が行われる。また、「大当たりＡ」、「大当たりＢ」、「大当たりＣ」、「大当たりＥ」であれば、「０〜９」の主図柄のうちいずれかがぞろ目で揃う変動表示が行われる。さらに、特別図柄の抽選結果が「小当たり」である場合には、「３４１」の組み合わせで構成されたチャンス目が表示されるように構成されている。なお、このチャンス目の組み合わせは、抽選結果が外れである場合には選択されないように構成されている。本実施形態では、チャンス目を特定の第３図柄の組み合わせで表示するように構成したが、それに限らず、０〜９までの通常の第３図柄とは異なる特殊図柄（例えば、金色の魚図柄）を一つまたは、複数の組み合わせで表示するように構成してもよいし、「チャンス」等の文字を表示して報知するように構成してもよい。
【１７４８】
副表示領域Ｄｓは、２つの小領域に区画されており、特別図柄の変動表示を実行可能な表示画面では、小領域Ｄｓ１にて現在実行中の特別図柄の入賞情報を示すための情報（実行中図柄ｍ０）が表示され、小領域Ｄｓ２にて保留記憶されている特別図柄の入賞情報を示すための情報（特図１第１保留図柄ｍ１〜特図１第４保留図柄ｍ４、特図２第１保留図柄ｍ５〜特図２第４保留図柄ｍ８）が表示されるように構成している。また、副表示領域Ｄｓに表示される情報（内容）は、遊技状態によって切り替わるように構成されており、例えば、大当たり遊技中であれば、大当たり遊技中の遊技内容を案内するための案内表示態様が表示され、第３図柄の変動表示中においても、大当たりに当選している期待度が高く設定されている変動演出が実行されている場合には、その変動演出の大当たり期待度を遊技者に示すための表示態様が表示される。また、第３図柄表示装置８１の表示画面の全体を用いて変動演出を実行する場合には、副表示領域Ｄｓが消去するように構成している。
【１７４９】
次に、第３図柄表示装置８１に実際に表示される内容について図２０９（ｂ）を参照して説明をする。図２０９（ｂ）に示した通り、主表示領域Ｄｍにおける正面視左上には、第１特別図柄の変動表示に連動させて第４図柄を変動表示させる特図１表示領域Ｄｍ１ａと、第２特別図柄の変動表示に連動させて第４図柄を変動表示させる特図２表示領域Ｄｍ１ｂと、を形成し、主表示領域Ｄｍにおける正面視右上には、普通図柄の変動表示に連動させて変動表示される普図表示領域Ｄｍ２が停止表示されるように構成している。
【１７５０】
なお、図２０９（ｂ）に示した模式図では、特図１表示領域Ｄｍ１ａ、特図２表示領域Ｄｍ１ｂ、普図表示領域Ｄｍ２を遊技者が視認可能な程度の大きさで示しているが、実際には、遊技者が視認困難な程度の大きさで形成されている。このように構成することで、遊技者に対して主表示領域Ｄｍにて実行される第３図柄の変動演出を注視させることができる。
【１７５１】
また、第３図柄の変動演出として表示画面全体を用いた演出が実行される場合や、第３図柄表示装置８１近傍に設けられた演出用可動役物（例えば、下変位部材４４０（図９参照））が可動し、第３図柄表示装置８１の表示画面を覆った場合に対応させて特図１表示領域Ｄｍ１ａ、特図２表示領域Ｄｍ１ｂ、普図表示領域Ｄｍ２の表示領域の大きさを縮小させたり、表示位置を可変させたり、一時的に非表示にしたりしても良い。これにより迫力のある演出を違和感無く提供することができる。
【１７５２】
さらに、特図１表示領域Ｄｍ１ａ、特図２表示領域Ｄｍ１ｂ、普図表示領域Ｄｍ２に代えて、第３図柄表示装置８１外に第１特別図柄、第２特別図柄、普通図柄の変動表示に連動して動的表示する第４図柄を表示するように構成しても良い。この場合、パチンコ機１０に多数設けられる装飾用のＬＥＤと同様の箇所に第４図柄用のＬＥＤを各図柄に対応させて設けると良い。これにより、遊技者に分かり難く各図柄の変動表示に対応した第４図柄の動的表示を実行することができる。
【１７５３】
＜第１制御例における演出内容について＞
次に、図２１０〜図２１８を参照して、本第１制御例において実行される各種演出の内容について説明をする。まず、図２１０及び図２１１を参照して第３図柄表示装置８１に表示される保留図柄と、第３図柄表示装置外に設けられた演出役物である宝箱役物７５０とを用いた先読み演出について説明をする。
【１７５４】
本第１制御例では、特別図柄の変動表示中に特別図柄始動口（第１入球口６４、第２入球口６４０）に球が入球した場合において、特別図柄の抽選権利（球が入球した際に取得した各種カウンタの値（入賞情報）を用いて特別図柄の抽選を実行する権利）が所定個数（各特別図柄で４個）を上限に記憶（保留記憶）されるように構成されている。そして、保留記憶された抽選権利の数を示すための表示態様として第３図柄表示装置８１の副表示領域Ｄｓの小領域Ｄｓ２に保留図柄が表示されるように構成している。
【１７５５】
さらに、保留記憶されている入賞情報の内容を実際に特別図柄の抽選が実行されるよりも前に事前判別し、その判別結果に基づいて保留図柄の表示態様や宝箱役物７５０の表示態様を可変させる演出（先読み演出）を実行するように構成している。
【１７５６】
この先読み演出を実行すると、第３図柄表示装置８１の副表示領域Ｄｓの小領域Ｄｓ２に表示される保留図柄の表示態様が可変される。そして、表示態様が可変された保留図柄に対応した特別図柄抽選を実行する際には、図２１０（ａ）に示した通り、表示態様が可変された保留図柄に対応した表示態様で実行中図柄ｍ０が小領域Ｄｓ１に表示される。つまり、小領域Ｄｓ１に表示される実行中図柄ｍ０は、先読み演出によって可変された保留図柄の表示態様を、その保留図柄に基づく特別図柄変動が実行されている最中にも遊技者に報知することができるように構成している。
【１７５７】
加えて、本制御例では、図２１１（ｂ）に示した通り、先読み演出によって保留図柄に加えて宝箱役物７５０の表示態様も可変させることができるように構成している。さらに、同一の入賞情報を対象にして保留図柄の表示態様を可変させる先読み演出と、宝箱役物７５０の表示態様を可変させる先読み演出と、を実行する場合であっても、その先読み演出の結果が異なる様に構成している。
【１７５８】
図２１０にて示した例によれば、抽選結果が大当たりＤ（１６ラウンド大当たり）である特別図柄の変動表示中において、実行中図柄ｍ０には大当たりに当選している期待度が高いことを示す「緑色」の表示態様（図２１０（ａ）では、格子模様の表示態様）を表示することで、実行中の特別図柄変動が大当たり変動である可能性を遊技者に示唆している。そして、宝箱役物７５０は大当たり種別が大当たりＤである期待度が高いことを示す「赤色」の表示態様（図２１０（ｂ）では、斜線模様の表示態様）が表示される。
【１７５９】
また、図２１１に示した例によれば、抽選結果が大当たりＡ（６ラウンド大当たり）である特別図柄の変動表示中において、実行中図柄ｍ０には大当たりに当選している期待度が高いことを示す「緑色」の表示態様（図２１１（ａ）では、格子模様の表示態様）を表示することで、実行中の特別図柄変動が大当たり変動である可能性を遊技者に示唆している。そして、宝箱役物７５０は大当たり種別が大当たりＡである期待度が高いことを示す「緑色」の表示態様（図２１１（ｂ）では、格子模様の表示態様）が表示される。
【１７６０】
つまり、本第１制御例では、保留図柄の表示態様を可変させる先読み演出は、対象となる入賞情報のうち大当たりの当否判定結果を示す情報を主として先読み演出の演出態様を設定するのに対して、宝箱役物７５０の表示態様を可変させる先読み演出は、対象となる入賞情報のうち大当たりに当選した場合に選択される大当たり種別を示す情報を主として先読み演出の演出態様を設定するように構成している。
【１７６１】
これにより、遊技者は、先読み演出により表示態様が可変される複数の被演出物の表示態様を総合的に判別して対象となる入賞情報に基づく特別図柄の抽選結果を予測するために様々な演出を注意深く見ることになる。よって、遊技者が遊技に早期に飽きてしまうことを抑制することができる。
【１７６２】
また、図２１０および図２１１に示した通り、宝箱役物７５０の表示態様は遅くとも、第３図柄表示装置８１の主表示領域Ｄｍにて変動表示される第３図柄の一部が停止表示するよりも前に可変するように先読み演出が実行されるように構成している。即ち、上述した通り、第３図柄の数字と大当たり種別には関連性を持たせており、且つ、実際に大当たりした場合には所定の組み合わせ（例えば、ぞろ目）で各第３図柄が停止表示されることから、第３図柄の数字はより直接的に今回の特別図柄抽選の結果（大当たり種別）を遊技者に示唆するものであるため、その第３図柄が停止表示する前に宝箱役物７５０の表示態様を可変させるようにしている。
【１７６３】
このように構成することで、特別図柄の抽選結果を遊技者に対して順を追って示唆することができ、実行される各種演出に対して最後まで興味を持たせることができる。
【１７６４】
なお、本制御例では、先読み演出が実行されると保留図柄や宝箱役物７５０の表示態様を先読み演出の演出結果を示す表示態様に可変するように構成しているが、最終的に先読み演出の演出結果を示す表示態様に可変すれば良く、例えば、先読み演出の演出結果を最終段階として段階的に表示態様を可変させるように構成しても良い。この場合、先読み演出の演出結果を遊技者に付与する特典の大きさに対応させて複数段階設定可能に構成すると良い。これにより、より多く表示態様が可変することを期待しながら演出を楽しむことができる。
【１７６５】
さらに、保留図柄の表示態様を可変させる先読み演出を実行するか否かの判別と、宝箱役物７５０の表示態様を可変させる先読み演出を実行するか否かの判別と、を異ならせるように構成しているため、入賞情報を保留記憶してからその入賞情報に対応する特別図柄の変動が開始されるまでの期間の中でどのタイミングでどの被演出対象物の表示態様が可変するのかを分かり難くすることができるため、先読み演出の演出結果が既に表示されている場合であっても、さらに表示態様が可変するのではと期待を抱かせることができる。
【１７６６】
上述した通り、本制御例では、先読み演出として、複数の被演出対象物の表示態様をランダムに可変表示させることができるように構成しているが、先読み演出として表示態様が可変表示する被演出対象物の順番を予め定めておくように構成しても良い。これにより、次に表示態様が可変し得る被演出対象物がどれであるのかを遊技者に分かりすく伝えることができる。よって、表示態様が可変したことを容易に判別することができる。
【１７６７】
また、本制御例のように複数の被演出対象物の表示態様をランダムに可変表示させる場合には、実際に表示態様が可変するタイミングの直前でどの被演出対象物の表示態様が可変するのかを報知するように構成することで同様の効果を奏することができる。
【１７６８】
さらに、本制御例では被演出対象物の表示態様を可変表示させるタイミングをランダムに設定しているが、予め定められた特定のタイミングで表示態様を可変させるように構成しても良いし、遊技者が操作手段を操作したことに基づいて表示態様を可変させるように構成しても良い。
【１７６９】
さらに、本制御例では、保留図柄の表示態様を可変させることにより、今回の先読み演出の対象となる入賞情報を遊技者に分かり易く報知するともに、対象となる入賞情報が分かり難い宝箱役物７５０の表示態様を可変させる先読み演出を実行するように構成している。これにより、例えば、保留図柄の表示態様より先に、宝箱役物７５０の表示態様が可変した場合には、どの入賞情報に対して先読み演出を実行しているのかを遊技者に予測させる楽しみを提供することができる。
【１７７０】
なお、本制御例では、先読み演出の対象となる入賞情報に対応した保留図柄の表示態様を可変させるように構成したが、これに限られること無く例えば、その前後の保留図柄の表示態様を可変させるように構成しても良い。これにより、保留図柄を用いた先読み演出を実行した場合でも、どの保留図柄（入賞情報）を対象として先読み演出が実行されているのかを遊技者に分かり難くすることができる。また、宝箱役物７５０の表示態様を可変させる先読み演出において、対象となる保留図柄（入賞情報）を遊技者に報知するように構成しても良い。
【１７７１】
加えて、本制御例では先読み演出として、一つの入賞情報に対して複数の被演出対象物を用いることにより複数の可変表示演出を実行するように構成しているが、これに限ること無く、複数の被演出対象物のそれぞれが異なる入賞情報に対して先読み演出を実行するように構成しても良いし、例えば、一つの入賞情報に対して複数の被演出対象物を用いた先読み演出を実行するか否かを判別し、その判別の結果、先読み演出を実行しないと判別された被演出対象物のみ、他の入賞情報を対象とした先読み演出の被演出対象物として設定するように構成しても良い。これにより、遊技者は複数の被演出対象物の表示態様が可変した場合に、一つの入賞情報に対して実行されている先読み演出なのか、複数の入賞情報に対して実行されている複数の先読み演出なのかを分かり難くすることができる。よって、先読み演出の内容に対して早期に飽きてしまうことを抑制することができる。
【１７７２】
次に、図２１２及び図２１３を参照して、第３図柄として特定図柄（チャージ図柄）を表示させるチャージ演出の内容について説明をする。  図２１２（ａ）は、チャージ演出中に表示される表示画面の一例を示した模式図であり、図２１２（ｂ）は、チャージ演出において特定図柄Ｚ４が仮停止表示した場合の一例を示した模式図である。
【１７７３】
このチャージ演出とは、左図柄Ｚ１と右図柄Ｚ３とに同一の数字を示す第３図柄が停止した状態（即ち、リーチ状態）において中図柄Ｚ２が変動表示中の中図柄列Ｌ２（図２１０（ａ）参照）に特定図柄（チャージ図柄）Ｚ４を割り込ませて表示させる演出である。そして、特定図柄Ｚ４が中図柄列Ｌ２に停止表示すると、特別図柄の大当たり或いは小当たりに当選したことを示す第３図柄の組み合わせとなる。さらに、このチャージ演出中では、普通図柄（第２図柄）が当たりを示す表示態様で停止表示された場合に、その停止タイミングで特定図柄Ｚ４を仮停止させる演出が実行される。
【１７７４】
具体的には、図２１２（ａ）に示した通り、左図柄Ｚ１と、右図柄Ｚ３とが「７」を示す表示態様で停止表示し、中図柄列Ｌ２が変動表示中、即ち、「７」のリーチ状態になると、中図柄列Ｌ２に特定図柄Ｚ４が通常の中図柄列Ｌ２の中に割り込んで表示される。この状態では、特図１表示領域Ｄｍ１ａでは第１特別図柄が変動表示していることを示す第４図柄の変動表示態様が実行されており、普通図柄表示領域Ｄｍ２では普通図柄が変動表示していることを示す変動表示態様が表示されている。
【１７７５】
そして、図２１２（ａ）に示した状態から、普通図柄が停止表示されるタイミングに到達すると、図２１２（ｂ）に示した通り、中図柄列Ｌ２にて特定図柄Ｚ４が仮停止表示される。この仮停止表示とは、実際には完全に停止表示されておらず、遊技者が、特定図柄Ｚ４が停止したと認識できる程度に特定図柄Ｚ４を揺動させている表示状態である。この状態では、特図１表示領域Ｄｍ１ａでは第１特別図柄が変動表示していることを示す第４図柄の変動表示態様が実行されており、普通図柄表示領域Ｄｍ２では普通図柄が当たりを示す表示態様で停止表示したことを示す変動表示態様が表示されている。そして、図２１２（ｂ）では普通図柄の当たりに当選した場合の例を示しているので、特定図柄Ｚ４の仮停止後（普通図柄の変動停止後）に、第１電動役物６４０ａが開放動作される。
【１７７６】
このように構成することで、第３図柄表示装置８１の主表示領域Ｄｍに特定図柄Ｚ４が停止（仮停止）した場合は、遊技者に対して特別図柄の当たり（大当たり、小当たり）に当選したのか、普通図柄の当たりに当選したのかを分かり難く報知することができる。よって、特定図柄Ｚ４が停止（仮停止）した後に実行される遊技内容に興味を持たせることができる。
【１７７７】
さらに、特別図柄の当たりに当選した場合と、普通図柄の当たりに当選した場合とで上述したチャージ演出（特定図柄Ｚ４が停止（仮停止）表示される演出）を実行することができるため、チャージ演出の実行頻度を上げ演出効果を高めることができる。
【１７７８】
次に、上述したチャージ演出は、特別図柄の抽選結果が大当たりの場合でも、小当たりの場合でも実行されるように構成されているため、特別図柄の抽選結果に基づいて特定図柄Ｚ４が停止表示された場合には、遊技者により有利な抽選結果（大当たり）であることを遊技者に期待させることができるものであったが、例えば、特定図柄Ｚ４が停止表示された後に実行される大当たり遊技の遊技内容と、小当たり遊技の遊技内容とが全く異なる（例えば、開放動作されるアタッカ（可変入賞装置）が異なる）ように構成してしまうと、遊技者が今回の特別図柄の抽選結果を即座に判別してしまうため、遊技者に期待感を継続して抱かせることが困難となる。
【１７７９】
これに対して、本第１制御例では、特定図柄Ｚ４が停止表示された後に実行される大当たり遊技の初期遊技内容と、小当たり遊技の遊技内容と、が同一となるように構成している。これにより、大当たり遊技、或いは小当たり遊技が実行された直後に、実行中の当たり遊技が何であるのかを遊技者に容易に判別されてしまうことを抑制することができる。さらに、同一の遊技内容が設定されている期間（共通遊技期間）を用いて第３図柄表示装置８１の表示画面にて今回の当選結果を遊技者に報知する演出（ルーレット演出）を実行するように構成している。
【１７８０】
ここで、図２１３を参照して上述したルーレット演出の内容について説明をする。図２１３（ａ）は、ルーレット演出の実行中に表示される第３図柄表示装置８１の表示画面の一例を示した模式図であり、図２１３（ｂ）は、ルーレット演出の演出結果を表示する表示画面の一例を示した模式図である。
【１７８１】
図２１２（ａ）に示した通り、ルーレット演出が実行されると、主表示領域Ｄｍに、ルーレット演出の主人公となる男の子を模したキャラクタ８１１ｂと、今回の特別図柄の抽選結果（大当たり又は小当たり）を示すためのルーレット８１１ｃと、ルーレット８１１ｃを用いて特別図柄の抽選結果を報知するための剣８１１ｋと、が表示される。
【１７８２】
図２１２（ａ）に示した例は、特別図柄の小当たりに当選した場合に実行されるルーレット演出であるため、特図１表示領域Ｄｍ１ａには小当たりに当選したことを示す表示態様「三角」で第４図柄が停止表示されている。つまり、このルーレット演出は、小当たり遊技中に実行されるものである。
【１７８３】
ルーレット８１１ｃには、今回の特別図柄の抽選結果が大当たりであったことを示す大当たり領域（「丸」が付してある領域）８１１ｃ１と、小当たりであったことを示す小当たり領域（「バツ」が付してある領域）８１１ｃ２とが同一の大きさになるように形成されており、遊技者が各領域を識別可能な速度で右方向に回転表示されている。その後、ルーレット８１１ｃが高速度（遊技者が各領域を識別困難な速度）で回転表示され、剣８１１ｋがルーレット８１１ｃに向けて投げられる演出が実行される。
【１７８４】
剣８１１ｋがルーレット８１１ｃに刺さるとルーレット８１１ｃの回転速度が徐々に低下し、図２１３（ｂ）に示したようにルーレット８１１ｃが停止表示される。この状態において剣８１１ｋが刺さっている領域が今回の特別図柄の抽選結果であることを遊技者に報知する。図２１３（ｂ）では、小当たりに当選した後に実行されるルーレット演出（小当たり遊技中に実行されるルーレット演出）を示しているため、剣８１１ｋが小当たり領域８１１ｃ２に刺さる演出が実行される。
【１７８５】
なお、上述したルーレット演出は、小当たり遊技の遊技内容と、大当たり遊技の遊技内容が同一の期間（共通遊技期間）中に実行されるものであるため、ルーレット演出中は、当たり遊技の遊技内容からは今回の特別図柄の抽選結果を判別することができない。よって、いち早く今回の特別図柄の抽選結果を知ろうとする遊技者は実行中のルーレット演出の演出態様を注視することとなるため演出効果を高めることができる。
【１７８６】
なお、上述した例においては、ルーレット８１１ｃに形成される大当たり領域８１１ｃ１と小当たり領域８１１ｃ２とが同一の大きさで形成されている例を示しているが、これに限ること無く、特別図柄の抽選結果に応じて各領域の大きさを可変させるように構成すると良い。これにより、ルーレット演出開始時（ルーレット８１１ｃが高速度で回転する前）においてルーレット８１１ｃの表示態様（各領域の大きさ）を把握することで今回の特別図柄の抽選結果を遊技者に予測させることができる。また、上述した例では、大当たり領域８１１ｃ１と小当たり領域８１１ｃ２とが１つずつ形成される表示態様を示しているが、これに限ること無く、例えば、複数個の大当たり領域８１１ｃ１と小当たり領域８１１ｃ２とが交互に形成されるようにしても良い。
【１７８７】
また、上述した例では、特別図柄の抽選結果を示す領域として大当たり領域８１１ｃ１と小当たり領域８１１ｃ２との２種類を形成する例を示しているが、これに限ること無く、例えば、大当たり領域８１１ｃ１を当選した大当たりの大当たり種別毎にさらに細分化しても良い。
【１７８８】
加えて、ルーレット８１１ｃの回転表示態様や、剣８１１ｋの表示態様や、キャラクタ８１１ｂの表示態様を可変させることにより今回の特別図柄の抽選結果を示唆するように構成しても良い。
【１７８９】
本第１制御例では、当たり遊技が開始された場合に上述したルーレット演出が実行され、自動的にその演出結果が表示されるように構成しているが、これに限ること無く、例えば、当たり遊技の開始に基づいてルーレット演出を開始し、共通遊技期間中に開放動作されるアタッカに球が入賞したことに基づいてルーレット演出の演出結果を表示するように構成しても良いし、共通遊技期間中に操作手段に対して所定の操作が行われたことに基づいてルーレット演出の演出結果を表示するように構成しても良い。これにより、遊技者を演出に意欲的に参加させることができる。
【１７９０】
また、本第１制御例では、当たり遊技中にルーレット演出を実行するように構成しているが、これに限ること無く、例えば、特別図柄の変動中にルーレット演出を実行するように構成しても良い。つまり、例えば、ルーレット演出の演出期間を１０秒とし、チャージ演出の演出期間を１５秒とする場合には、特別図柄の変動停止タイミングの２５秒前にチャージ演出を開始し、変動停止タイミングの１０秒前にルーレット演出を実行するように特別図柄変動に対応した変動演出が設定されるように構成しても良い。
【１７９１】
このように当たり遊技中では無く、特別図柄の変動表示中にルーレット演出を実行可能に構成した場合には、普通図柄の当たり当選に基づいて実行されるチャージ演出においても、上述したルーレット演出を実行させることが可能となる。この場合、例えば、特別図柄の変動期間中に当たり当選した普通図柄が停止されると判別した場合に、その停止タイミングを算出し、算出された停止タイミングの１０秒前にルーレット演出が実行されるように（チャージ演出にて特定図柄Ｚ４が仮停止表示されるように）、チャージ演出の演出態様を設定すれば良い。また、ルーレット演出にて表示されるルーレット８１１ｃに、大当たり領域８１１ｃ１と小当たり領域８１１ｃ２に加え普通図柄の当たりを示す普図当たり領域を形成するように設定すれば良い。これにより、普通図柄の当たりに当選した場合にもルーレット演出を実行することが可能となるため、ルーレット演出の実行頻度を高めることができる。
【１７９２】
次に、図２１４及び図２１５を参照して、遊技者に操作手段を操作される操作演出の１つである第１操作演出（ボタン融合演出）の演出内容について説明をする。図２１４（ａ）は、第１操作演出（ボタン融合演出）が開始された時点における演出内容の一例を示した模式図であり、図２１４（ｂ）は、その後、一定期間が経過した後の演出内容の一例を示した模式図であり、図２１５（ａ）は、第１操作演出（ボタン融合演出）にて遊技者が操作手段（枠ボタン２２）を１回操作した場合における演出内容の一例を示した模式図であり、図２１５（ｂ）は、第１操作演出（ボタン融合演出）にてボタン融合された後の演出内容の一例を示した模式図である。
【１７９３】
ここで、第１操作演出（ボタン融合演出）の演出内容について説明をする。この第１操作演出（ボタン融合演出）では、遊技者が操作手段を操作することにより、今回の特別図柄の抽選結果が第３図柄表示装置８１の主表示領域Ｄｍに表示される演出である。そして、特別図柄の抽選結果を示すための第３図柄の数（本制御例では３つ）に対応した回数（３回）操作手段を操作させるものである。
【１７９４】
各操作手段の操作にはそれぞれ操作有効期間が設定されており、操作有効期間内に操作手段を操作しなかった場合には、特別図柄の抽選結果を示す第３図柄が表示されない。また、各操作手段の操作に設定されている操作有効期間に対応して表示されるタイムゲージの表示態様が所定条件を満たした場合（同一の表示態様となった場合）には、各操作手段の操作を融合させ、１回の操作手段の操作に基づいて複数の第３図柄が表示される。これにより、操作有効期間の残期間が少ない場合であっても、全ての第３図柄を表示させることが可能となるため、遊技者に最後まで操作手段を意欲的に操作させることができる。
【１７９５】
図２１４（ａ）に示した通り、変動表示中の左図柄列Ｌ１、中図柄列Ｌ２、右図柄列Ｌ３を覆い隠すように左表示領域８１ａ、中表示領域８１ｂ、右表示領域８１ｃが形成される。そして、左表示領域８１ａには第１ボタン８２２ａと、その第１ボタン８２２ａの操作有効期間を示すためのタイムゲージｔ１が表示され、中表示領域８１ｂには第２ボタン８２２ｂと、その第２ボタン８２２ｂの操作有効期間を示すためのタイムゲージｔ２が表示され、右表示領域８１ｃには第３ボタン８２２ｃと、その第３ボタン８２２ｃの操作有効期間を示すためのタイムゲージｔ３が表示される。
【１７９６】
この状態において、遊技者が操作手段（枠ボタン２２）を操作すると、まず第１ボタン８２２ａの表示態様が、操作手段が操作されたことを示す表示態様に可変し、左表示領域８１ａに左第３図柄Ｚ１が停止表示される（図２１５（ａ）参照）。
【１７９７】
各ボタン８２２ａ〜ｃに対応する操作有効期間は全て同一の長さ（５秒）で、且つ、操作有効期間の開始タイミングも同一となるように構成しているが、図２１４（ａ）では、表示画面上では、各タイムゲージｔ１〜ｔ３の残時間表示ｔ１ａ〜ｔ３ａが異なる残時間を示す表示態様で表示されている。具体的には、残時間表示ｔ１ａは残時間が４秒であることを示す表示態様で表示され、残時間表示ｔ２ａは残時間が３．５秒であることを示す表示態様で表示され、残時間表示ｔ３ａは残時間が５秒であることを示す表示態様で表示される。
【１７９８】
また、本制御例では、各タイムゲージｔ１〜ｔ３のゲージの移動速度（図２１４（ａ）の矢印の長さ）が同一となるように構成されている。つまり、同一の操作有効期間が設定されている状態において、各タイムゲージｔ１〜ｔ３の移動開始タイミング（減算表示タイミング）が異なるように構成している。
【１７９９】
このように同一の操作有効期間が設定されている複数の操作演出を実行する場合において、見た目上の残時間を異ならせるように表示することで、遊技者に対して操作演出の順番を視覚的に判別させることが可能となる。また、残時間の減少（減算）具合に応じていち早く操作手段を操作しなければならないと思わせることができ意欲的に操作手段を操作させることができる。
【１８００】
ここで、同一の操作有効期間が設定され、且つ、各タイムゲージｔ１〜ｔ３のゲージの移動速度（図２１４（ａ）の矢印の長さ）が同一となるように構成されている本演出において、各タイムゲージｔ１〜ｔ３の移動開始タイミング（減算表示タイミング）を異ならせてしまうと、残時間が０になるタイミングが異なってしまう虞がある。そこで、本制御例では、図２１４（ｂ）に示すようにタイムゲージを点滅させる演出を実行し、タイムゲージが消灯している（非表示にしている）期間は残時間を減少させないように構成している。これにより、タイミングの移動速度を複数用意しなくても各タイムゲージｔ１〜ｔ３の残時間が０になるタイミングを容易に統一させることができる。なお、本制御例では、各操作演出に設定される操作有効期間の残時間が１秒のタイミングで各タイムゲージｔ１〜ｔ３の残時間表示が同一となるように設定されている。
【１８０１】
図２１４（ｂ）では、第１ボタン８２２ａの操作有効期間を示すタイムゲージｔ１の残時間ｔ１ｂが２．５秒を示す点滅表示態様（破線で示す表示態様）で表示され、第２ボタン８２２ｂの操作有効期間を示すタイムゲージｔ２の残時間ｔ２ｂが３．５秒を示す点滅表示態様（破線で示す表示態様）で表示され、第３ボタン８２２ｃの操作有効期間を示すタイムゲージｔ３の残時間ｔ３ｂが４．５秒を示す表示態様で表示されている。つまり、図２１４（ｂ）に示す状態では、タイムゲージｔ１、タイムゲージｔ２の移動速度が、タイムゲージｔ３の移動速度よりも低くなるように表示される。
【１８０２】
図２１４（ｂ）に示した状態で、遊技者が枠ボタン２２を１回操作すると、図２１５（ａ）に示した通り、左表示領域８１ａに左第３図柄Ｚ１が「７」を示す表示態様で表示される。この状態においても、図２１４（ｂ）と同様にタイムゲージｔ２は点滅表示態様、タイムゲージｔ３は通常の表示態様で表示される。
【１８０３】
そして、図２１５（ａ）の状態で所定期間が経過すると、タイムゲージｔ２の移動速度よりもタイムゲージｔ３の移動速度のほうが速いため、タイムゲージｔ２とタイムゲージｔ３の残時間表示が同一となる。２つのタイムゲージｔ２，ｔ３の残時間表示態様が同一になると、図２１５（ｂ）に示したように、第２ボタン８２２ｂと第３ボタン８２２ｃとが融合した融合ボタン８２２ｄが表示され、タイムゲージｔ２と、タイムゲージｔ３とが融合した融合タイムゲージｔ４が表示される融合操作演出が実行を実行する。
【１８０４】
上述した通り、本制御例では、各操作演出に設定される操作有効期間の残時間が１秒のタイミングで各タイムゲージｔ１〜ｔ３の残時間表示が同一となるように設定されているため、融合タイムゲージｔ４では残時間表示ｔ４ａが残時間１秒を示す表示態様で表示される。この融合ボタン８２２ｄが表示されている状態で遊技者が操作手段を操作すると、中表示領域８１ｂに中図柄Ｚ２が、右表示領域８１ｃに右図柄Ｚ３が一度に表示される。
【１８０５】
なお、図２１４および図２１５を参照して上述した例では、既に左図柄Ｚ１が表示されている状態で融合ボタン８２２ｄが表示される例を示したが、第１操作演出中に一度も操作手段が操作されること無く、操作有効期間の残時間が１秒となった場合には、左表示領域８１ａ〜右表示領域８１ｃの全てを用いて融合ボタン８２２ｄが表示される。
【１８０６】
このように、融合ボタン８２２ｄが表示される表示領域が操作手段を操作した場合に実行される演出（第３図柄を表示させる演出）の範囲を示しているため、遊技者に分かり易い操作演出を提供することができる。
【１８０７】
なお、本制御例では、融合操作演出が設定された場合に、融合ボタン８２２ｄを表示することで、遊技者に対して分かり易い演出を実行するように構成しているが、これに限ること無く、例えば、融合操作演出が設定された後も、図２１４（ａ）に示した表示画面を継続して表示し、遊技者が操作手段を操作したことに基づいて、融合操作演出を実行するように構成しても良い。これにより、遊技者に対して意外性のある演出を提供することができる。
【１８０８】
また、本制御例では、各操作演出に設定される操作有効期間の残時間を示す表示態様が同一となった場合に融合操作演出が実行されるように構成しているが、それ以外の条件で融合操作演出を実行するように構成しても良く、例えば、複数の操作演出が開始されてから所定期間（例えば、０．５秒）内に操作手段を操作した場合に融合操作演出を実行しても良いし、複数の操作演出に設定される操作有効期間の残時間が全て所定のタイミング条件（例えば、残時間が全て奇数、残時間を示す特定の桁の値が０、残時間を示す数値の各桁の値を加算した加算値が１０）を満たした場合に融合操作演出を実行しても良い。これにより、意外性のある操作演出を提供することができる。
【１８０９】
本制御例では、複数の操作演出が同時に実行される場合について説明をしたが、これに限ること無く、複数の操作演出に設定される操作有効期間が重複すればよく、各操作演出の開始タイミングを異ならせても良いし、各操作有効期間の長さを異ならせても良い。
【１８１０】
次に、図２１６〜図２１８を参照して、本制御例における第２操作演出（自動押下演出）の演出内容について説明をする。図２１６は第２操作演出において実行される演出の流れを示したタイミングチャートであって、図２１７（ａ）は自動押下演出の初期期間（第１期間）にて実行される演出内容を模式的に示した模式図であって、図２１７（ｂ）は自動押下演出の中間期間（第２期間）にて実行される演出内容を模式的に示した模式図であって、図２１８（ａ）は自動押下演出の最終期間（第３期間）にて実行される演出内容を模式的に示した模式図である。
【１８１１】
ここで、図２１６を参照して、本制御例における自動押下演出の内容について説明をする。本制御例では、自動押下演出が実行される操作演出として、１０秒間の操作有効期間が設定され、その操作有効期間経過後に２秒間の演出結果表示期間が設定される。そして、１０秒間の操作有効期間のうち、最初の８秒間は、枠ボタン２２（操作手段）が操作されたことに基づいて即座に演出結果が表示されるボタン操作即対応期間として設定され、残りの２秒間は、所定期間が経過したタイミングで所定期間内に枠ボタン２２（操作手段）が操作されているか否かを判別し、操作されていた場合に演出結果が表示されるボタン操作定期対応期間として設定されている。
【１８１２】
ボタン操作即対応期間中は、第３図柄表示装置８１の主表示領域Ｄｍに対応するボタン表示Ｚ８（図２１７参照）が表示され、ボタン操作即対応期間が経過すると、図２１６に示した通り、自動押下演出が実行される。この自動押下演出は操作有効期間の残り２秒間（操作有効期間が設定されてから８秒が経過してから１０秒が経過するまでの２秒間）に実行される演出であって、詳細な説明は図２１７および図２１８を参照して後述するが、主表示領域Ｄｍに出現したキャラクタがボタン表示Ｚ８を押下する演出が実行される。
【１８１３】
本制御例では自動押下演出を３つの期間（第１期間、第２期間、第３期間）に区分けして設定しており、第１期間中に自動演出１（ボタン自動押下演出１）が実行され、第２期間中に自動演出２（ボタン自動押下演出２）が実行され、第３期間中に自動演出３（ボタン自動押下演出３）が実行されるように構成している。
【１８１４】
このように構成された第２操作演出において、例えば、ボタン操作即対応期間中に枠ボタン２２を操作すると（図２１６の（例１）参照）、そのボタン操作が実行された直後から演出結果表示期間が終了するまでの間、演出結果を示す表示態様が主表示領域Ｄｍに表示される。また、第１期間中に枠ボタン２２を操作すると（図２１６の（例２）参照）、第１期間が経過するまでの待機期間を経て、第２期間となるタイミングから演出結果表示期間が終了するまでの間、演出結果を示す表示態様が主表示領域Ｄｍに表示される。さらに、第３期間中に枠ボタン２２を操作すると（図２１６の（例３）参照）、操作有効期間中に操作手段を操作しなかった場合と同一の演出結果を示す表示態様が主表示領域Ｄｍに表示されるように構成している。
【１８１５】
このように、自動押下演出が実行されている最中をボタン操作定期対応期間として設定することにより、自動押下演出中に枠ボタン２２が操作されたとしても、実行中の演出が急に途切れてしまい違和感のある演出が実行されてしまうことを抑制することができるとともに、自動押下演出を枠ボタン２２の操作によりキャンセルすることができる。よって、操作演出に対して意欲的に遊技者を参加させることができる。
【１８１６】
また、自動押下演出実行中の枠ボタン２２を操作した場合に発生する待機期間中においては、第３図柄表示装置８１の主表示領域Ｄｍでは、継続して自動押下演出が実行されるが、音声や発光手段に対して待機期間中であることを示す演出態様が設定されるように構成している。これにより、遊技者に対して枠ボタン２２を操作したことを確実に報知することができる。
【１８１７】
ここで、図２１７および図２１８を参照して自動押下演出中の演出内容について説明をする。図２１７（ａ）に示した通り、自動押下演出が実行され、ボタン自動押下演出１が実行されると、主表示領域Ｄｍに鳥を模したキャラクタ８１１ａが登場しボタン表示Ｚ８の上に着陸しようとする演出が実行される。この状態ではボタン表示Ｚ８の操作有効期間を示すタイムゲージｔ５の残時間表示ｔ５ａが２秒（第１期間）であることを示している。
【１８１８】
そして、操作有効期間の残時間が１．５秒（第２期間）になると、図２１７（ｂ）に示したボタン自動押下演出２が実行される。このボタン自動押下演出２は、ボタン表示Ｚ８の上にキャラクタ８１１ａが乗って周りを見渡す演出が実行される。この状態ではボタン表示Ｚ８の操作有効期間を示すタイムゲージｔ５の残時間表示ｔ５ｂが１．５秒（第２期間）であることを示している。次いで、操作有効期間の残時間が１秒（第３期間）になると、図２１８に示したボタン自動押下演出３が実行される。このボタン自動押下演出３は、ボタン表示Ｚ８の上に乗っているキャラクタ８１１ａがボタンを押下する演出が実行される。
【１８１９】
上述した通り、本制御例では、自動押下演出としてキャラクタ８１１ａが登場し、ボタンを押下する演出が実行され、自動押下演出が完了したタイミング（操作有効期間が経過したタイミング）で操作結果表示期間が設定され操作演出の演出結果が表示されるため、遊技者に対して、操作演出と演出結果との関連性を持たせることができる。
【１８２０】
また、自動押下演出中に枠ボタン２２が操作された場合は、現在設定されている期間（第１期間〜第３期間）が経過したタイミングで演出結果表示が実行されるように構成しているが、この場合に、演出結果表示の開始態様（開始してから０．５秒間実行される演出態様）を枠ボタン２２が操作された期間に応じて異ならせている。具体的には、第１期間中に枠ボタン２２が操作された場合は、空を飛んでいるキャラクタ８１１ａが落下してボタン表示Ｚ８を押下する演出態様が設定され、第２期間中に枠ボタン２２が押下された場合は、鳥を模した別のキャラクタがボタン表示Ｚ８の上に乗り重みでボタン表示Ｚ８が押される演出態様が設定される。
【１８２１】
このように構成することで、自動押下演出の演出態様を枠ボタン２２の操作に基づいて可変させること無く、且つ、違和感を与えること無く演出結果を表示させることができる。なお、本制御例では、各期間において実行される自動押下演出の演出態様を枠ボタン２２への操作の有無に応じて可変させないように構成しているが、例えば、演出内容のうち変更処理が容易な要素（例えば、色の変更やコメントの追加）のみ可変させるように構成しても良く、この場合、演出結果が遊技者にとって有利となる演出結果で有る場合にのみ演出内容を変更すると良い。これにより、自動押下演出中に枠ボタン２２を操作する楽しみを遊技者に提供することができるため、遊技意欲を高めることができる。
【１８２２】
次に、図２１９を参照して、疑似アタッカ１６５を用いた大当たり演出中における第３図柄表示装置８１の表示画面に表示される演出内容について説明をする。図２１９（ａ）は、疑似アタッカ１６５を用いた大当たり演出中に可変入賞装置６５に球が入賞した時点の表示画面を模式的に示した模式図であって、図２１９（ｂ）は、疑似アタッカ１６５に球が入賞する時点の表示画面を模式的に示した模式図である。
【１８２３】
図２１９（ａ）に示した通り、特別入賞装置５５０内に設けられた可変入賞装置６５が開放動作される大当たり（大当たりＤ）に当選し、その大当たり遊技が実行されると第３図柄表示装置８１では大当たり遊技中画面が表示される。この大当たり遊技中画面では、主表示領域Ｄｍに大当たり遊技中であることを示す大当たり表示８３０が表示され、その大当たり遊技中に獲得した賞球数を示すための獲得情報８３１が表示される。そして、副表示領域Ｄｓは、小領域Ｄｓ１と小領域Ｄｓ２とが統合し、大当たり遊技中の遊技方法を示す「右打ちしてね」のコメントが表示される。
【１８２４】
図２１９（ａ）は、右打ち遊技によって発射された球が特別入賞装置５５０内の特定入賞口６５ａ（可変入賞装置６５が開放したことにより球が入賞可能となる入賞口）に球が入賞した際の表示内容を示しているが、獲得情報８３１には特定入賞口６５ａに球が入賞したことに基づいて付与される賞球数が加算されていない状態で表示される。
【１８２５】
そして、図２１９（ｂ）に示した通り、図２１９（ａ）に示した状態で特定入賞口６５ａに入賞した球が疑似アタッカ１６５に入賞するタイミングに合わせて特定入賞口６５ａに球が入賞したことに基づいて付与される賞球数が加算されるように構成している。具体的には、特定入賞口６５ａに球が入賞したことを特定入賞センサ６５ｓ１，６５ｓ２（図２０８参照）が検知した場合に、その時点から０．５秒経過したタイミング、即ち、特定入賞口６５ａに入賞した球が疑似アタッカ１６５に到達するまでに要する期間（０．５秒）が経過したタイミングで賞球が付与されたことを示す表示態様が表示されるように構成している。
【１８２６】
このように構成することで、遊技者に対してあたかも疑似アタッカ１６５に球が入賞したことに基づいて賞球が付与されていると思わせることができる。また、球が可変入賞装置６５に入賞したことを音声で報知するための入賞音も、上述した獲得情報８３１の更新タイミングに合わせて遅延させるように構成しているため、図２１９（ｂ）に示したタイミングで音声出力装置２２６から入賞音が出力される。
【１８２７】
＜第１制御例におけるパチンコ機１０における電気的構成について＞
図４を参照して上述した通り、主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【１８２８】
主制御装置１１０では、特別図柄の抽選、普通図柄の抽選、第１図柄表示装置３７における表示の設定、第２図柄表示装置８３における表示の設定といったパチンコ機１０の主要な処理を実行する。そして、ＲＡＭ２０３には、これらの処理を制御するための各種カウンタが設けられている。
【１８２９】
ここで、図２２０を参照して、主制御装置１１０のＲＡＭ２０３内に設けられるカウンタ等について説明する。図２２０は、本第１制御例における主制御装置１１０のＲＡＭ２０３内に設けられるカウンタ等について模式的に示した模式図である。これらのカウンタ等は、特別図柄の抽選、普通図柄の抽選、第１図柄表示装置３７における表示の設定、第２図柄表示装置８３における表示の設定、および、第３図柄表示装置８１における表示の設定などを行うために、主制御装置１１０のＭＰＵ２０１で使用される。
【１８３０】
特別図柄の抽選や、第１図柄表示装置３７および第３図柄表示装置８１の表示の設定には、特別図柄の抽選に使用する特別当たり乱数カウンタＣ１と、特別図柄の大当たり種別を選択するために使用する特別当たり種別カウンタＣ２と、特別図柄の停止種別（リーチ当たり種別、リーチ以外外れ（外れ長Ａ、外れ短Ａ）、リーチ外れ種別）を決定するための停止種別選択カウンタＣ３、変動パターン選択に使用する変動種別カウンタＣＳ１と、特別当たり乱数カウンタＣ１の初期値設定に使用する初期値乱数カウンタＣＩＮＩ１と、が用いられる。また、普通図柄の抽選には、普通当たり乱数カウンタＣ４が用いられ、普通当たり乱数カウンタＣ４の初期値設定には普通初期値乱数カウンタＣＩＮＩ２が用いられる。これら各カウンタは、更新の都度、前回値に１が加算され、最大値に達した後０に戻るループカウンタとなっている。
【１８３１】
各カウンタは、例えば、タイマ割込処理（図２３８参照）の実行間隔である２ミリ秒間隔で更新され、また、一部のカウンタは、メイン処理（図２５３参照）の中で不定期に更新されて、その更新値がＲＡＭ２０３の所定領域に設定されたカウンタ用バッファに適宜格納される。ＲＡＭ２０３には、第１特別図柄の保留球を記憶するための４つの保留エリア（保留第１〜第４エリア）からなる特別図柄１保留球格納エリア２０３ａと、第２特別図柄の保留球を記憶するための４つの保留エリア（保留第１〜第４エリア）からなる特別図柄２保留球格納エリア２０３ｂとがそれぞれ設けられており、第１特別図柄と第２特別図柄との共通の特別図柄保留球実行エリアが設けられている。特別図柄１保留球格納エリア２０３ａの各エリアには、第１入球口６４への入球タイミングに合わせて、特別当たり乱数カウンタＣ１、特別当たり種別カウンタＣ２、停止種別選択カウンタＣ３、変動種別カウンタＣＳ１の各値がそれぞれ格納される。同様に、特別図柄２保留球格納エリア２０３ｂの各エリアについても、第２入球口６４０への入球タイミングに合わせて、同様の値がそれぞれ格納される。
【１８３２】
また、ＲＡＭ２０３には、１つの実行エリアと４つの保留エリア（保留第１〜第４エリア）とからなる普通図柄保留球格納エリア２０３ｃが設けられており、これらの各エリアには、球が左右何れかの第２入球口（スルーゲート）６７を通過したタイミングに合わせて、普通当たり乱数カウンタＣ４の値が格納される。
【１８３３】
次に、各カウンタについて詳しく説明する。特別当たり乱数カウンタＣ１は、所定の範囲（例えば、０〜４９９）内で順に１ずつ加算され、最大値（例えば、０〜４９９の値を取り得るカウンタの場合は４９９）に達した後０に戻る構成となっている。特に、特別当たり乱数カウンタＣ１が１周した場合、その時点の初期値乱数カウンタＣＩＮＩ１の値が当該特別当たり乱数カウンタＣ１の初期値として読み込まれる。
【１８３４】
また、初期値乱数カウンタＣＩＮＩ１は、特別当たり乱数カウンタＣ１と同一範囲で更新されるループカウンタとして構成される。即ち、例えば、特別当たり乱数カウンタＣ１が０〜４９９の値を取り得るループカウンタである場合には、初期値乱数カウンタＣＩＮＩ１もまた、０〜４９９の範囲のループカウンタである。この初期値乱数カウンタＣＩＮＩ１は、タイマ割込処理（図２３８参照）の実行毎に１回更新されると共に、メイン処理（図２５３参照）の残余時間内で繰り返し更新される。
【１８３５】
特別当たり乱数カウンタＣ１の値は、例えば定期的に（本実施形態ではタイマ割込処理毎に１回）更新され、球が第１入球口６４または第２入球口６４０に入賞したタイミングでＲＡＭ２０３の特別図柄１保留球格納エリア２０３ａまたは特別図柄２保留球格納エリア２０３ｂに格納される。そして、特別図柄の大当たりとなる乱数の値は、主制御装置１１０のＲＯＭ２０２に格納される特別図柄大当たり乱数テーブル２０２ａ（図２２２（ａ）参照）によって設定されており、特別当たり乱数カウンタＣ１の値が、特別図柄大当たり乱数テーブル２０２ａによって設定された大当たりとなる乱数の値と一致する場合に、特別図柄の大当たりと判定する。また、この特別図柄大当たり乱数テーブル２０２ａは、特別図柄の低確率時（特別図柄の低確率状態である期間）用と、その低確率時より特別図柄の大当たりとなる確率の高い高確率時（特別図柄の高確率状態である期間）用との２種類に分けられ、それぞれに含まれる大当たりとなる乱数の個数が異なって設定されている。
【１８３６】
このように、大当たりとなる乱数の個数を異ならせることにより、特別図柄の低確率時と特別図柄の高確率時とで、大当たりとなる確率が変更される。なお、特別図柄の高確率時用の特別図柄大当たり乱数テーブル２０２ａ（図２２２（ａ）参照）と、特別図柄の低確率時用の特別図柄大当たり乱数テーブル２０２ａ（図２２２（ａ）参照）とは、主制御装置１１０のＲＯＭ２０２内に設けられている。
【１８３７】
特別当たり種別カウンタＣ２は、特別図柄の大当たりとなった場合に、第１図柄表示装置３７の表示態様を決定するものであり、所定の範囲（例えば、０〜９９）内で順に１ずつ加算され、最大値（例えば、０〜９９の値を取り得るカウンタの場合は９９）に達した後０に戻る構成となっている。特別当たり種別カウンタＣ２の値は、例えば、定期的に（本実施形態ではタイマ割込処理毎に１回）更新され、球が第１入球口６４または第２入球口６４０に入賞したタイミングでＲＡＭ２０３の特別図柄１保留球格納エリア２０３ａまたは特別図柄２保留球格納エリア２０３ｂに格納される。
【１８３８】
ここで、特別図柄１保留球格納エリア２０３ａまたは特別図柄２保留球格納エリア２０３ｂに格納された特別当たり乱数カウンタＣ１の値が、特別図柄の大当たりとなる乱数でなければ、即ち、特別図柄の外れとなる乱数であれば、第１図柄表示装置３７に表示される停止図柄に対応した表示態様は、特別図柄の外れ時のものとなる。
【１８３９】
一方で、特別図柄１保留球格納エリア２０３ａまたは特別図柄２保留球格納エリア２０３ｂに格納された特別当たり乱数カウンタＣ１の値が、特別図柄の大当たりとなる乱数であれば、第１図柄表示装置３７に表示される停止図柄に対応した表示態様は、特別図柄の大当たり時のものとなる。この場合、その大当たり時の具体的な表示態様は、同じ特別図柄１保留球格納エリア２０３ａまたは特別図柄２保留球格納エリア２０３ｂに格納されている特別当たり種別カウンタＣ２の値が示す表示態様となる。本実施形態では、大当たり種別は、「大当たりＡ」、「大当たりＢ」、「大当たりＣ」、「大当たりＤ」、「大当たりＥ」との５種類が設定されており、特別当たり種別カウンタＣ２によって、いずれかが決定される。そして、その大当たり種別を示す表示態様が大当たり図柄として第１図柄表示装置３７に表示される。
【１８４０】
本制御例のパチンコ機１０における特別当たり乱数カウンタＣ１は、０〜４９９の範囲の２バイトのループカウンタとして構成されている。この特別当たり乱数カウンタＣ１において、特別図柄の低確率時に、特別図柄の大当たりとなる乱数値は５個あり、その乱数値である「０〜４」は、低確率時用の特別図柄大当たり乱数テーブル２０２ａに格納されている。このように特別図柄の低確率時には、乱数値の総数が５００ある中で、大当たりとなる乱数値の総数が５なので、特別図柄の大当たりとなる確率は、「１／１００」となる。
【１８４１】
一方で、特別図柄の高確率時に、特別図柄の大当たりとなる乱数値は６個あり、その値である「４〜９」は、高確率時用の特別図柄大当たり乱数テーブル２０２ａに格納されている。このように特別図柄の高確率時には、乱数値の総数が５００ある中で、大当たりとなる乱数値の総数が６なので、特別図柄の大当たりとなる確率は、「６／５００」となる。
【１８４２】
なお、本制御例では、低確率時用の特別図柄大当たり乱数テーブルに格納されている大当たりとなる乱数値と、高確率時用の特別図柄大当たり乱数テーブルに格納されている大当たりとなる乱数値とで、重複した値とならないように、それぞれの大当たりとなる乱数値を設定している。ここで、大当たりとなる乱数値としてパチンコ機１０の状況にかかわらず常に用いられる値が存在すれば、その乱数値が外部より入力されて、不正に大当たりを引き当てられやすくなるおそれがある。これに対して、本制御例のように、状況に応じて（即ち、パチンコ機１０が特別図柄の高確率状態か、特別図柄の低確率状態かに応じて）、大当たりとなる乱数値を変えることで、特別図柄の大当たりとなる乱数値が予測され難くすることができるので、不正に対する抑制を図ることができる。
【１８４３】
また、本制御例のパチンコ機１０における特別当たり種別カウンタＣ２の値は、０〜９９の範囲のループカウンタとして構成されている。そして、図２２３（ａ）に示すように、大当たり種別を決定するための大当たり種別選択テーブル２０２ｄには、第１特別図柄の抽選に対応して参照される特図１大当たり種別選択テーブル２０２ｄ１と第２特別図柄の抽選に対応して参照される特図２大当たり種別選択テーブル２０２ｄ２とがそれぞれ設定されている。
【１８４４】
特図１大当たり種別選択テーブル２０２ｄ１は、第１特別図柄の変動が停止する場合に、その変動における抽選結果が大当たりであると、特別図柄保留球実行エリアに設定（取得され記憶）されている特別当たり種別カウンタＣ２の値と照合（判定）するための判定値が大当たり種別に対応させて記憶されている。
【１８４５】
図２２３（ｂ）は、この特図１大当たり種別選択テーブル２０２ｄ１の内容を模式的に示したデータテーブルである。特図１大当たり種別選択テーブル２０２ｄ１では、取得している特別当たり種別カウンタにおける乱数値が「０〜４９」であった場合の大当たり種別は、「大当たりＡ」となる。また、値が「５０〜６８」であった場合の大当たり種別は、「大当たりＢ」、「６９〜９８」であった場合の大当たり種別は、「大当たりＣ」、「９９」の値であった場合の大当たり種別は、「大当たりＤ」がそれぞれ設定されている。
【１８４６】
このように、本制御例のパチンコ機１０は、第１特別図柄（特図１）で大当たりに当選した場合には、特別当たり種別カウンタＣ２が示す乱数の値によって、４種類の当たり種別が決定されるように構成されている。
【１８４７】
また、特図２大当たり種別選択テーブル２０２ｄ２は、第２特別図柄の変動が停止する場合に、その変動における抽選結果が大当たりであると、特別図柄保留球実行エリアに設定（取得され記憶）されている特別当たり種別カウンタＣ２の値と照合（判定）するための判定値が大当たり種別に対応させて記憶されている。
【１８４８】
図２２３（ｃ）は、この特図２大当たり種別選択テーブル２０２ｄ２の内容を模式的に示したデータテーブルである。特図２大当たり種別選択テーブル２０２ｄ２では、取得している特別当たり種別カウンタにおける乱数値が「０〜４９」であった場合の大当たり種別は、「大当たりＤ」となる。また、値が「５０〜９９」であった場合の大当たり種別は、「大当たりＥ」が設定されている。
【１８４９】
このように、本制御例のパチンコ機１０は、特別当たり種別カウンタＣ２が示す乱数の値によって、５種類の当たり種別が決定されるように構成されている。また、第１特別図柄と第２特別図柄とで判定結果が大当たりとなった場合に選択される大当たり種別の選択割合が異ならせてあるので、遊技者に第１特別図柄、第２特別図柄とのどちらで抽選が実行されているかに興味を持たせることができる。また、第１特別図柄、第２特別図柄ともに確変が付与される確変大当たりの選択割合は同一（１００％）としたので、第１特別図柄と第２特別図柄とで確変割合が異なり、遊技機全体として確変割合が一定とならない不具合を抑制できる。また、第２特別図柄における大当たりＤの選択割合を高く設定したので、第１特別図柄よりも１６Ｒ確変大当たりが選択される確率が高く設定されており、遊技者に有利となるように構成されている。
【１８５０】
変動種別カウンタＣＳ１は、０〜１９８の範囲内で順に１ずつ加算され、最大値（つまり１９８）に達した後０に戻る構成となっている。上述した停止種別選択カウンタＣ３と変動種別カウンタＣＳ１とによって、いわゆる短時間外れ、長時間外れ、ノーマルリーチ、スーパーリーチ等の大まかな表示態様が決定される。表示態様の決定は、具体的には、図柄変動の変動時間の決定である。停止種別選択カウンタＣ３、変動種別カウンタＣＳ１により決定された変動時間に基づいて、音声ランプ制御装置１１３や表示制御装置１１４により第３図柄表示装置８１で表示される第３図柄のリーチ種別や細かな図柄変動態様が決定される。変動種別カウンタＣＳ１の値は、後述するメイン処理（図２５３参照）が１回実行される毎に１回更新され、当該メイン処理内の残余時間内でも繰り返し更新される。なお、停止種別選択カウンタＣ３、変動種別カウンタＣＳ１の値（乱数値）から、図柄変動の変動時間を決定する乱数値を格納した変動パターン選択テーブル２０２ｂ（図２２４参照）は、主制御装置１１０のＲＯＭ２０２内に設けられている。
【１８５１】
図２２４（ｂ）に示すように、変動パターン選択テーブル２０２ｂには、普通図柄の当否判定確率が低確率である場合の遊技状態（通常状態、潜確状態）に使用される通常・潜確用変動パターン選択テーブル２０２ｂ１と、普通図柄の当否判定確率が高確率である場合の遊技状態（確変状態）に使用される確変用変動パターンテーブル２０２ｂ２とがそれぞれ設定されている。
【１８５２】
なお、本制御例におけるパチンコ機１０は、遊技状態として通常状態（特別図柄の低確率状態、普通図柄の低確率状態）、確変状態（特別図柄の高確率状態、普通図柄の高確率状態）、潜確状態（特別図柄の高確率状態、普通図柄の低確率状態）との３つの遊技状態を設定可能に構成しており、大当たり遊技の終了時に、当選した大当たりの種別、或いは、大当たりに当選した時点において設定されていた遊技状態に応じた遊技状態が設定されるように構成している。
【１８５３】
後述する音声ランプ制御装置１１３における変動パターンの選択についての説明でさらに詳細に説明するが、主制御装置１１０では、当否判定結果と、保留球数と、停止種別選択カウンタＣ３の値と、変動種別カウンタＣＳ１の値とに基づいて、大まかな変動パターンの内容（リーチ、スーパーリーチ、非リーチ等）と変動時間とが決定されて、その決定内容を示した変動パターンコマンドが設定される。
【１８５４】
次に、図２２５、及び図２２６を参照して、主制御装置１１０が変動パターンを選択する場合に使用する変動パターン選択テーブル２０２ｂについて説明する。図２２５は、通常・潜確用変動パターン選択テーブル２０２ｂ１の内容を模式的に示したデータテーブルである。通常・潜確用変動パターン選択テーブル２０２ｂ１では、特別図柄の抽選結果に対応させて、各種変動パターンがそれぞれ設定されており、その変動パターンのそれぞれに対して、停止種別選択カウンタＣ３の値と、変動種別カウンタＣＳ１との値が割り付けされている。また、当否判定結果が当たりである場合には、決定される大当たり種別（取得している特別当たり種別カウンタＣ２の値により大当たり種別選択テーブル２０２ｄより決定される大当たり種別）に対応してそれぞれ変動パターンが設定されている。
【１８５５】
次に、図２２６を参照して、時短用変動パターンテーブル２０２ｂ２の内容を模式的に示したデータテーブルである。時短用変動パターンテーブル２０２ｂ２では、特別図柄の抽選結果に対応させて、各種変動パターンがそれぞれ設定されており、その変動パターンのそれぞれに対して、停止種別選択カウンタＣ３の値と、変動種別カウンタＣＳ１との値が割り付けされている。また、当否判定結果が当たりである場合には、決定される大当たり種別（取得している特別当たり種別カウンタＣ２の値により大当たり種別選択テーブル２０２ｄより決定される大当たり種別）に対応してそれぞれ変動パターンが設定されている。
【１８５６】
普通当たり乱数カウンタＣ４は、例えば０〜２３９の範囲内で順に１ずつ加算され、最大値（つまり２３９）に達した後０に戻るループカウンタとして構成されている。また、普通当たり乱数カウンタＣ４が１周した場合、その時点の普通初期値乱数カウンタＣＩＮＩ２の値が当該普通当たり乱数カウンタＣ４の初期値として読み込まれる。普通当たり乱数カウンタＣ４の値は、本制御例ではタイマ割込処理毎に、例えば定期的に更新され、球が左右何れかの第２入球口（スルーゲート）６７を通過したことが検知された時に取得され、ＲＡＭ２０３の普通図柄保留球格納エリア２０３ｃに格納される。
【１８５７】
そして、普通図柄の当たりとなる乱数の値は、主制御装置のＲＯＭ２０２に格納される普通当たり乱数テーブル２０２ｃ（図２２２（ｃ）参照）によって設定されており、普通当たり乱数カウンタＣ４の値が、普通当たり乱数テーブル２０２ｃによって設定された当たりとなる乱数の値と一致する場合に、普通図柄の当たりと判定する。また、この普通当たり乱数テーブル２０２ｃ（図２２１（ｃ）参照）は、普通図柄の低確率時（普通図柄の通常状態である期間）用と、その低確率時より普通図柄の当たりとなる確率の高い高確率時（普通図柄の時短状態である期間）用との２種類に分けられ、それぞれに含まれる大当たりとなる乱数の個数が異なって設定されている。さらに、普通図柄の当たりの種別は、通常当たりと長時間当たりとが設定されており、それぞれ普通当たり乱数カウンタＣ４の値が設定されている。
【１８５８】
ここで、本制御例では、普通図柄の低確率状態中にのみロング当たりに当選し得るように構成されており、ロング当たりに当選すると、４秒間の開放時間で電動役物６４０ａが開放されるロング当たりが実行される。これにより、通常状態において一時的に特図２抽選を実行することが可能となる。上述したロング当たり以外の普通図柄の通常当たり（ショート当たり）は、０．２秒の開放時間で電動役物６４０ａが開放状態に作動される動作が、１回実行される当たりである。
【１８５９】
なお、本制御例では、通常当たりにおける時短中、確変期間で実行される電動役物６４０ａの開放動作と長時間当たりにおける開放動作とを同じに設定したが、それに限らず、長時間当たりを別の開放動作としてもよい。具体的には、例えば３秒間の間、開放状態となる動作を１回行うようにしてもよい。このように構成することで、長時間当たり時に、より第１入球口６４または第２入球口６４０へ球を入球させることができ、通常遊技中に、第２特別図柄での変動表示を実行させ易くすることができ、新鮮味のある予告表示等が表示される第２特別図柄の変動表示により遊技者に遊技演出の変化を楽しませることができる。
【１８６０】
本制御例では、図２２２（ｃ）に示すように、普通図柄の低確率時において、取得した普通当たり乱数カウンタＣ４の値が「５」であれば普通図柄の通常当たりであると判別され、「６」であれば、ロング当たりであると判別される。一方、普通図柄の高確率時において、取得した普通当たり乱数カウンタＣ４の値が５から２０４のいずれかであれば、普通図柄の通常当たりであると判別される。
【１８６１】
このように、当たりとなる乱数の個数を異ならせることにより、普通図柄の低確率時と普通図柄の高確率時とで、当たりとなる確率が変更される。よって、低確率時には、電動役物６４０ａが動作される頻度を低くして、第１入球口６４または第２入球口６４０へ入球する頻度を少なくすることができる。従って、遊技者の遊技球の消費を多くして、遊技店側の利益を増大させることができる。一方、高確率となる時短中と確変期間では、電動役物６４０ａが動作する機会を「１／１．２」の確率で与えることができ、第１入球口６４または第２入球口６４０への入球機会を増大させることができる。よって、遊技者の遊技球の消費を抑制して、遊技者に有利な遊技状態を設定することができる。従って、遊技者が、高確率での遊技を目指して遊技をすることができ、より多くの時間遊技を行わせることができる。
【１８６２】
普通初期値乱数カウンタＣＩＮＩ２は、普通当たり乱数カウンタＣ４と同一範囲で更新されるループカウンタとして構成され（値＝０〜２３９）、タイマ割込処理（図２３８参照）毎に１回更新されると共に、メイン処理（図２５３参照）の残余時間内で繰り返し更新される。
【１８６３】
このように、ＲＡＭ２０３には種々のカウンタ等が設けられており、主制御装置１１０では、このカウンタ等の値に応じて大当たり抽選や第１図柄表示装置３７および第３図柄表示装置８１における表示の設定、第２図柄表示装置８３における表示結果の抽選といったパチンコ機１０の主要な処理を実行することができる。
【１８６４】
図２１８に戻り、説明を続ける。ＲＡＭ２０３は、図２１９に図示した各種カウンタのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。
【１８６５】
なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【１８６６】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図２５５参照）によって電源遮断時に実行され、ＲＡＭ２０３に書き込まれた各値の復帰は電源投入時の立ち上げ処理（図２５１参照）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図２５３参照）が即座に実行される。
【１８６７】
図２２１（ａ）に示すように、主制御装置１１０のＭＰＵ２０１のＲＯＭ２０２には、上記説明した特別図柄大当たり乱数テーブル２０２ａ（図２２２参照）、変動パターン選択テーブル２０２ｂ（図２２４参照）、普通当たり乱数テーブル２０２ｃ（図２２２（ｃ）参照）、大当たり種別選択テーブル２０２ｄ（図２２３参照）の他に、小当たり乱数テーブル２０２ｅ、大当たりシナリオテーブル２０２ｆ、小当たりシナリオテーブル２０２ｇが設定されている。また、本制御例では省略したが、ＲＯＭ２０２には、上記したものの他、遊技に必要な各種データや、プログラム等が記憶されている。
【１８６８】
小当たり乱数テーブル２０２ｅは、特別図柄の抽選において、大当たりに当選した場合よりは少ない特典が遊技者に付与され得る小当たりに当選したか否かを判別する際に参照されるテーブルである。ここで、図２２２（ｂ）を参照して、小当たり乱数テーブル２０２ｅの内容について説明をする。図２２２（ｂ）に示した通り、本制御例では、特図１の抽選に限り小当たりに当選するように構成している。
【１８６９】
大当たりシナリオテーブル２０２ｆ、小当たりシナリオテーブル２０２ｇは、それぞれ、大当たり遊技中の遊技動作内容、小当たり遊技中の遊技動作内容が、決定された当たり種別に対応付けて記憶されているデータテーブルであって、このデータテーブルに記憶されている情報（シナリオ）に基づいて各当たり中の遊技動作が実行される。
【１８７０】
また、主制御装置１１０のＭＰＵ２０１のＲＡＭ２０３は、図２２１（ｂ）に示すように、特別図柄１保留球格納エリア２０３ａと、特別図柄２保留球格納エリア２０３ｂと、普通図柄保留球格納エリア２０３ｃと、特別図柄１保留球数カウンタ２０３ｄと、特別図柄２保留球数カウンタ２０３ｅ、普通図柄保留球数カウンタ２０３ｆと、小当たり中フラグ２０３ｇと、時短中カウンタ２０３ｊと、確変カウンタ２０３ｍと、その他メモリエリア２０３ｚを有している。
【１８７１】
特別図柄１保留球格納エリア２０３ａは、第１特別図柄に対する１つの実行エリアと、４つの保留エリア（保留第１エリア〜保留第４エリア）とを有しており、これらの各エリアには、特別当たり乱数カウンタＣ１、特別当たり種別カウンタＣ２、及び停止種別選択カウンタＣ３の各値がそれぞれ格納される。
【１８７２】
より具体的には、球が第１入球口６４へ入賞（始動入賞）したタイミングで、各カウンタＣ１〜Ｃ３の各値が取得され、その取得されたデータが、４つの保留エリア（保留第１エリア〜保留第４エリア）の空いているエリアの中で、エリア番号（第１〜第４）の小さいエリアから順番に記憶される。つまり、エリア番号の小さいエリアほど、時間的に古い入賞に対応するデータが記憶され、保留第１エリアには、時間的に最も古い入賞に対応するデータが記憶される。尚、４つの保留エリアの全てにデータが記憶されている場合には、新たに何も記憶されない。
【１８７３】
その後、主制御装置１１０において、特別図柄の抽選が行われる場合には、特別図柄１保留球格納エリア２０３ａの保留第１エリアに記憶されている各カウンタＣ１〜Ｃ３の各値が、実行エリアへシフトされ（移動させられ）、その実行エリアに記憶された各カウンタＣ１〜Ｃ３の各値に基づいて、特別図柄の抽選などの判定が行われる。
【１８７４】
尚、保留第１エリアから実行エリアへデータをシフトすると、保留第１エリアが空き状態となる。そこで、他の保留エリア（保留第２エリア〜保留第４エリア）に記憶されている入賞のデータを、エリア番号の１小さい保留エリア（保留第１エリア〜保留第３エリア）に詰めるシフト処理が行われる。本制御例では、特別図柄１保留球格納エリア２０３ａにおいて、入賞のデータが記憶されている保留エリア（第２保留エリア〜第４保留エリア）についてのみデータのシフトが行われる。また、特別図柄２保留球格納エリア２０３ｂは、特別図柄１保留球格納エリア２０３ａに対して、第２特別図柄に対応する記憶エリアであることが相違するのみである。
【１８７５】
普通図柄保留球格納エリア２０３ｃは、特別図柄１保留球格納エリア２０３ａと同様に、１つの実行エリアと、４つの保留エリア（保留第１エリア〜保留第４エリア）とを有している。これらの各エリアには、普通当たり乱数カウンタＣ４が格納される。
【１８７６】
より具体的には、球が左右何れかのスルーゲート６７を通過したタイミングで、カウンタＣ４の値が取得され、その取得されたデータが、４つの保留エリア（保留第１エリア〜保留第４エリア）の空いているエリアの中で、エリア番号（第１〜第４）の小さいエリアから順番に記憶される。つまり、特別図柄１保留球格納エリア２０３ａと同様に、入賞した順序が保持されつつ、入賞に対応するデータが格納される。尚、４つの保留エリアの全てにデータが記憶されている場合には、新たに何も記憶されない。
【１８７７】
その後、主制御装置１１０において、普通図柄の当たりの抽選が行われる場合には、普通図柄保留球格納エリア２０３ｃの保留第１エリアに記憶されているカウンタＣ４の値が、実行エリアへシフトされ（移動させられ）、その実行エリアに記憶されたカウンタＣ４の値に基づいて、普通図柄の当たりの抽選などの判定が行われる。
【１８７８】
尚、保留第１エリアから実行エリアへデータをシフトすると、保留第１エリアが空き状態となるので、特別図柄１保留球格納エリア２０３ａの場合と同様に、他の保留エリアに記憶されている入賞のデータを、エリア番号の１小さい保留エリアに詰めるシフト処理が行われる。また、データのシフトも、入賞のデータが記憶されている保留エリアについてのみ行われる。
【１８７９】
特別図柄１保留球数カウンタ２０３ｄは、第１入球口６４への入球（始動入賞）に基づいて第１図柄表示装置３７で行われる特別図柄（第１図柄）の変動表示（第３図柄表示装置８１で行われる変動表示）の保留球数（待機回数）を最大４回まで計数するカウンタである。この特別図柄１保留球数カウンタ２０３ｄは、初期値がゼロに設定されており、第１入球口６４へ球が入球して変動表示の保留球数が増加する毎に、最大値４まで１加算される。一方、特別図柄１保留球数カウンタ２０３ｄは、新たに特別図柄の変動表示が実行される毎に、１減算される。
【１８８０】
この特別図柄１保留球数カウンタ２０３ｄの値（特別図柄における変動表示の保留回数Ｎ）は、保留球数コマンドによって音声ランプ制御装置１１３に通知される。保留球数コマンドは、特別図柄１保留球数カウンタ２０３ｄの値が変更される度に、主制御装置１１０から音声ランプ制御装置１１３に対して送信されるコマンドである。
【１８８１】
特別図柄２保留球数カウンタ２０３ｅは、第２入球口６４０に入賞したことに基づく保留球をカウントするカウンタであり、その他の構成については、特別図柄１保留球数カウンタ２０３ｄと同一であるのでその詳細な説明は省略する。
【１８８２】
音声ランプ制御装置１１３は、特別図柄１保留球数カウンタ２０３ｄ、特別図柄２保留球数カウンタ２０３ｅの値が変更される度に、主制御装置１１０より送信される保留球数コマンドによって、主制御装置１１０に保留された変動表示の保留球数そのものの値を取得することができる。これにより、音声ランプ制御装置１１３の特別図柄１保留球数カウンタ２２３ａ、特別図柄２保留球数カウンタ２２３ｂによって管理される変動表示の保留球数が、ノイズ等の影響によって、主制御装置１１０に保留された実際の変動表示の保留球数からずれてしまった場合であっても、次に受信する保留球数コマンドによって、そのずれを修正することができる。
【１８８３】
尚、音声ランプ制御装置１１３は、保留球数コマンドに基づいて保留球数を管理し、保留球数が変化する度に表示制御装置１１４に対して、保留球数を通知するための表示用保留球数コマンドを送信する。表示制御装置１１４は、この表示用保留球数コマンドによって通知された保留球数を基に、第３図柄表示装置８１の小領域Ｄｓ１に保留球数図柄を表示する。
【１８８４】
普通図柄保留球数カウンタ２０３ｆは、スルーゲート６７における球の通過に基づいて第２図柄表示装置８３で行われる普通図柄（第２図柄）の変動表示の保留球数（待機回数）を最大４回まで計数するカウンタである。この普通図柄保留球数カウンタ２０３ｆは、初期値がゼロに設定されており、球がスルーゲート６７を通過して変動表示の保留球数が増加する毎に、最大値４まで１加算される。一方、普通図柄保留球数カウンタ２０３ｆは、新たに普通図柄（第２図柄）の変動表示が実行される毎に、１減算される。
【１８８５】
球が左右何れかのスルーゲート６７を通過した場合に、この普通図柄保留球数カウンタ２０３ｆの値（普通図柄における変動表示の保留回数Ｍ）が４未満であれば、普通当たり乱数カウンタＣ４の値が取得され、その取得されたデータが、普通図柄保留球格納エリア２０３ｃに記憶される。一方、球が左右何れかのスルーゲート６７を通過した場合に、この普通図柄保留球数カウンタ２０３ｆの値が４であれば、普通図柄保留球格納エリア２０３ｃには新たに何も記憶されない。
【１８８６】
小当たり中フラグ２０３ｇは、小当たり遊技が実行されている間オンに設定されるフラグである。確変カウンタ２０３ｍは、確変状態が継続する期間を計測するためのカウンタであって、確変状態が設定された場合に、予め定められた値が設定される。そして、確変状態中に特別図柄抽選の抽選結果が停止表示されたタイミングでカウンタの値が更新され、更新後の値が予め定められた値に到達した場合に、確変状態を終了させる処理が実行される。
【１８８７】
時短中カウンタ２０３ｊは、パチンコ機１０が普通図柄の時短状態であるか否かを示すカウンタであり、時短中カウンタ２０３ｊの値が１以上であれば、パチンコ機１０が普通図柄の時短状態であることを示し、時短中カウンタ２０３ｊの値が０であれば、パチンコ機１０が普通図柄の通常状態であることを示す。この時短中カウンタ２０３ｊは、初期値がゼロに設定されており、主制御装置１１０において特別図柄の抽選が行われ、特別図柄の大当たりと判定される度に、その大当たり種別に応じた値が設定される。即ち、特別図柄の大当たりになった場合には、時短中カウンタ２０３ｊの値が幾つであるかに関わらず、大当たり種別に応じた値が新たに設定される。
【１８８８】
その他メモリエリア２０３ｚには、主制御装置１１０のＭＰＵが実行するその他の制御処理における必要なフラグ、カウンタ、記憶データ等が設定されるが、詳細については省略する。
【１８８９】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８３、第２図柄保留ランプ８４、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【１８９０】
また、入出力ポート２０５には、図示しないスイッチ群やセンサ群などからなる各種スイッチ２０８や、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【１８９１】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【１８９２】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図２５３参照）が即座に実行される。
【１８９３】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【１８９４】
発射制御装置１１２は、主制御装置１１０により球の発射の指示がなされた場合に、操作ハンドル５１の回転操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ２９０により検出し、球の発射を停止させるための打ち止めスイッチ５１ｂがオフ（操作されていないこと）を条件に、操作ハンドル５１の回動量に対応して発射ソレノイドが励磁され、操作ハンドル５１の操作量に応じた強さで球が発射される。
【１８９５】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や連続予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【１８９６】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、枠ボタン２２などがそれぞれ接続されている。
【１８９７】
音声ランプ制御装置１１３は、枠ボタン２２からの入力を監視し、遊技者によって枠ボタン２２が操作された場合は、第３図柄表示装置８１で表示される背景モードを変更したり、スーパーリーチ時の演出内容を変更したりするように、音声出力装置２２６、ランプ表示装置２２７を制御し、また、表示制御装置１１４へ指示する。
【１８９８】
音声ランプ制御装置１１３は、主制御装置１１０からのコマンドや、音声ランプ制御装置１１３に接続された各種装置等の状況に応じてエラーを判定し、そのエラーの種別を含めてエラーコマンドを表示制御装置１１４へ送信する。表示制御装置１１４では、受信したエラーコマンドによって示されるエラー種別（例えば、振動エラー）に応じたエラーメッセージ画像を第３図柄表示装置８１に遅滞無く表示させる制御が行われる。
【１８９９】
音声ランプ制御装置１１３のＲＯＭ２２２には、図２２７（ａ）に示すように、変動パターン選択テーブル２２２ａ、保留ランク選択テーブル２２２ｂ、保留態様選択テーブル２２２ｃ、宝箱態様選択テーブル２２２ｄが格納されている。
【１９００】
変動パターン選択テーブル２２２ａは、主制御装置１１０より出力された変動パターンコマンドに基づいて変動パターンを決定するための選択テーブルである。変動パターンコマンドに対応した変動時間、変動パターン種別に対応してそれぞれ複数の変動パターンが設定されており、図示しない選択用のカウンタ値を取得して１の変動パターンを決定する。
【１９０１】
保留ランク選択テーブル２２２ｂは、主制御装置１１０から受信した入賞コマンドに含まれる入賞情報に基づいて先読み演出の実行の有無に関するランク（保留ランク）を選択するためのデータテーブルである。本制御例では、受信した入賞コマンドに対応する入賞情報の全てに対して保留ランクを設定するように構成し、設定された保留ランクに応じて、先読み演出を実行するか否か、或いは、先読み演出を実行する場合における演出態様を設定するように構成している。
【１９０２】
ここで、図２２８（ａ）を参照して、保留ランク選択テーブル２２２ｂに規定されている内容について説明をする。図２２８（ａ）は、保留ランク選択テーブル２２２ｂの内容を模式的に示したものである。図２２８（ａ）に示した通り、保留ランク選択テーブル２２２ｂは、受信した入賞コマンドに含まれる当否判定結果の種別と、演出カウンタ群２２３ｐが有する保留ランク用カウンタ２２３ｐ１の値とに対応させて、複数の保留ランク（ランク１〜ランク４）が規定されている。
【１９０３】
具体的には、当否判定結果が遊技者にとって最も有利な「大当たりＤ」である場合には、保留ランク用カウンタ２２３ｐ１の値が「０〜６９」の範囲に「ランク２」が、「７０〜８９」の範囲に「ランク３」が、「９０〜９９」の範囲に「ランク１」が規定されており、当否判定結果が「大当たりＡ，Ｂ，Ｅ」である場合には、保留ランク用カウンタ２２３ｐ１の値が「０〜６９」の範囲に「ランク３」が、「７０〜８９」の範囲に「ランク２」が、「９０〜９９」の範囲に「ランク３」が規定されている。
【１９０４】
そして、当否判定結果が「大当たりＣ、小当たり」である場合には、保留ランク用カウンタ２２３ｐ１の値が「０〜６９」の範囲に「ランク３」が、「７０〜８９」の範囲に「ランク４」が、「９０〜９９」の範囲に「ランク２」が規定されており、当否判定結果が遊技者にとって最も不利な「外れ」である場合には、保留ランク用カウンタ２２３ｐ１の値が「０〜６９」の範囲に「ランク４」が、「７０〜８９」の範囲に「ランク４」が、「９０〜９９」の範囲に「ランク３」が規定されている。
【１９０５】
つまり、本制御例では、各入賞情報に対して選択される保留ランクの種別として「ランク１」〜「ランク４」の４種類を選択可能に構成しており、当否判定結果が遊技者に有利なほど、有利なランク（値が少ないランク）が選択され易く設定されている。
【１９０６】
このように、複数の先読み演出を実行する場合において、入賞情報の当否判定結果に基づいて各先読み演出の演出態様を設定するのでは無く、入賞情報の当否判定結果に基づいて保留ランクを設定し、その保留ランクに基づいて各先読み演出の演出態様を設定するように構成することで、実行される先読み演出の演出態様に対して遊技者に違和感を抱かせることを抑制することが可能となる。
【１９０７】
つまり、当否判定結果が外れの場合に先読み演出を実行する際には、遊技者に期待感を抱かせるために、当たりの期待度が高い演出態様を設定可能にしながらも、遊技者に過度な期待を抱かせてしまい遊技意欲が低下してしまうことを抑制するために、当たり期待度の低い演出態様も設定可能に構成することが一般的であり、例えば、当否判定結果が外れであって先読み演出を実行する場合には、約９０％の割合で当たり期待度の低い演出態様が設定され、約１０％の割合で当たり期待度の高い演出態様が設定されるように構成することで、遊技者に不快感を与えること無く先読み演出が実行される。
【１９０８】
このように構成されたパチンコ機１０にて、当否判定結果に基づいて各先読み演出の演出態様を設定してしまうと、一方の先読み演出の演出態様として当たり期待度の低い演出態様が設定され、他方の先読み演出の演出態様として当たり期待度の高い演出態様が設定されてしまい、先読み演出の演出効果を高めることができなくなるという問題があった。
【１９０９】
これに対して、当否判別結果に基づいて予め保留ランクを設定し、設定された保留ランクに応じて各先読み演出の演出態様を設定するように構成することで、例えば、当否判定結果が外れの場合において、各先読み演出の演出態様を当たり期待度の低い演出態様から選択する低期待度先読み演出と、当たり期待度の高い演出態様から選択する高期待度先読み演出と、を区分けして実行することができるため、上述した問題を発生させることなく適正な演出態様を各先読み演出に対して設定することができる。
【１９１０】
また、例えば、当否判定結果の種別よりも多くの保留ランクを設定可能に構成することで、より多彩な先読み演出を違和感無く実行することができる。
【１９１１】
保留態様選択テーブル２２２ｃは、第３図柄表示装置８１の副表示領域Ｄｓの小領域Ｄｓ２に表示される保留図柄の表示態様を選択するためのデータテーブルである。本制御例では、主制御装置１１０から入賞コマンドを受信したタイミング、または、新たな特別図柄変動（抽選）が開始されるタイミングで保留図柄の表示態様を可変させることができるように構成されている。
【１９１２】
ここで、図２２８（ｂ）を参照して、保留態様選択テーブル２２２ｃに規定されている内容について説明をする。図２２８（ｂ）は、保留態様選択テーブル２２２ｃの内容を模式的に示した模式図である。図２２８（ｂ）に示した通り、保留態様選択テーブル２２２ｃは、保留ランク選択テーブル２２２ｂを用いて選択された保留ランクと、演出カウンタ群２２３ｐが有する保留態様用カウンタ２２３ｐ２の値とに対応させて、複数の保留態様が規定されている。
【１９１３】
本制御例では保留態様として保留図柄の色を可変させるように構成しており、通常は「白」で表示されている保留図柄の色を、当たり期待度が高い順に「虹」、「赤」、「緑」、「黄」、「青」へと可変させるように構成している。
【１９１４】
具体的には、当たり期待度が最も高い（大当たりＤに当選している場合にのみ設定される）「保留ランク１」である場合には、保留態様用カウンタ２２３ｐ２の値が「０〜６９」の範囲に「赤」が、「７０〜８９」の範囲に「−（変化なし）」が、「９０〜９３」の範囲に「緑」、「９４〜９６」の範囲に「黄」が、「９７〜９９」の範囲に「虹」が規定されており、「保留ランク２」である場合には、保留態様用カウンタ２２３ｐ２の値が「０〜６９」の範囲に「緑」が、「７０〜７９」の範囲に「黄」が、「８０〜８９」の範囲に「−（変化なし）」が、「９０〜９６」の範囲に「赤」が、「９７〜９９」の範囲に「青」が規定されている。
【１９１５】
そして、「保留ランク３」である場合には、保留態様用カウンタ２２３ｐ２の値が「０〜６９」の範囲に「−（変化なし）」が、「７０〜７９」の範囲に「黄」が、「８０〜８９」の範囲に「緑」が、「９０〜９６」の範囲に「青」が、「９７〜９９」の範囲に「赤」が規定されており、「保留ランク４」である場合には、保留態様用カウンタ２２３ｐ２の値が「０〜８９」の範囲に「−（変化なし）」が、「９０〜９３」の範囲に「青」が、「９４〜９６」の範囲に「黄」が、「９７〜９８」の範囲に「緑」が、「９９」の値に「赤」が規定されている。
【１９１６】
なお、本制御例では、保留態様として保留図柄の色を可変させる態様を選択するように構成しているが、これに限ること無く、保留図柄の形状を可変させるように設定しても良いし、保留図柄の近傍（対象となる保留図柄を遊技者が識別可能な範囲）に先読み演出の演出結果を示す表示態様を表示させるように構成しても良い。
【１９１７】
宝箱態様選択テーブル２２２ｄは、宝箱役物７５０の表示態様（色）を選択する際に参照されるデータテーブルであって、対応する入賞情報に含まれる大当たり種別に基づいて表示態様を設定するものである。
【１９１８】
ここで、図２２９を参照して宝箱態様選択テーブル２２２ｄに規定されている内容について説明をする。図２２９は、宝箱態様選択テーブル２２２ｄの内容を模式的に示した模式図である。図２２９に示した通り、宝箱態様選択テーブル２２２ｄは、入賞情報に含まれる大当たり種別情報（当否判定結果）と、対応する入賞情報を示す保留図柄の表示態様の変化の有無（保留態様が既に可変されているものか否か）、及び、演出カウンタ群２２３ｐが有する宝箱態様用カウンタ２２３ｐ３の値とに対応させて、複数の宝箱態様が規定されている。
【１９１９】
具体的には、当否判定結果が「大当たりＤ」であって、対応する保留図柄の表示態様が可変していない場合では、宝箱態様用カウンタ２２３ｐ３の値が「０〜６９」の範囲に「赤」が、「７０〜８９」の範囲に「虹」が、「９０〜９９」の範囲に「−（変化なし）」が規定され、対応する保留図柄の表示態様が可変している場合では、宝箱態様用カウンタ２２３ｐ３の値が「０〜８９」の範囲に「赤」が、「９０〜９９」の範囲に「虹」が規定されている。
【１９２０】
つまり、本制御例では、「大当たりＤ」に当選していることを示す入賞情報に対応する保留図柄に対して、既に保留図柄の表示態様が可変されている場合には、宝箱役物７５０の表示態様も必ず可変させ、一方、保留図柄の表示態様が可変されていない状態では、宝箱役物７５０の表示態様を可変させない場合があるように構成している。これにより、保留図柄の表示態様も、宝箱役物７５０の表示態様も変化することなく特別図柄の抽選結果が表示される演出パターンを設定することができる。
【１９２１】
また、保留態様が変更されていないほうが、保留態様が変更されている場合よりも、最も当たり期待度が高い「虹」の表示態様が選択される割合がなるように構成している。これにより、先読み演出によって保留図柄の表示態様（保留態様）が可変されることなく宝箱役物７５０が当たり期待度の最も高い表示態様「虹」に可変され易くなるため、遊技者に対して、どの保留図柄に対して宝箱役物７５０の表示態様が可変したのかを予測する楽しみを提供しながら意外性のある演出を実行することができる。
【１９２２】
次いで、当否判定結果が「大当たりＢ」であって、対応する保留図柄の表示態様が可変していない場合では、宝箱態様用カウンタ２２３ｐ３の値が「０〜６９」の範囲に「青」が、「７０〜８９」の範囲に「−（変化なし）」が、「９０〜９９」の範囲に「赤」が規定され、対応する保留図柄の表示態様が可変している場合では、宝箱態様用カウンタ２２３ｐ３の値が「０〜６９」の範囲に「青」が、「７０〜９９」の範囲に「赤」が規定されている。
【１９２３】
そして、当否判定結果が「大当たりＡ，Ｃ，Ｅ、または小当たり」であって、対応する保留図柄の表示態様が可変していない場合では、宝箱態様用カウンタ２２３ｐ３の値が「０〜６９」の範囲に「−（変化なし）」が、「７０〜８９」の範囲に「青」が、「９０〜９９」の範囲に「−（変化なし）」が規定され、対応する保留図柄の表示態様が可変している場合では、宝箱態様用カウンタ２２３ｐ３の値が「０〜８９」の範囲に「青」が、「９０〜９９」の範囲に「赤」が規定されている。
【１９２４】
最後に、当否判定結果が「外れ」であって、対応する保留図柄の表示態様が可変していない場合では、宝箱態様用カウンタ２２３ｐ３の値が「０〜８９」の範囲に「−（変化なし）」が、「９０〜９９」の範囲に「青」が規定され、対応する保留図柄の表示態様が可変している場合では、宝箱態様用カウンタ２２３ｐ３の値が「０〜６９」の範囲に「青」が、「７０〜９９」の範囲に「−（変化なし）」が規定されている。
【１９２５】
また、音声ランプ制御装置１１３のＲＡＭ２２３には、図２２７（ｂ）に示すように、特別図柄１保留球数カウンタ２２３ａ、特別図柄２保留球数カウンタ２２３ｂ、普通保留球数カウンタ２２３ｃ、変動開始フラグ２２３ｄ、停止種別選択フラグ２２３ｅ、入賞情報格納エリア２２３ｆ、状態設定エリア２２３ｇ、操作演出中フラグ２２３ｈ、操作演出種別格納エリア２２３ｉ、押下済みフラグ２２３ｋ、保留演出情報格納エリア２２３ｍ、操作有効タイマ２２３ｎ、演出カウンタ群２２３ｐ、保留演出中フラグ２２３ｑ、宝箱演出中フラグ２２３ｒ、疑似入賞順記憶エリア２２３ｓ、普図用変動開始フラグ２２３ｔ、普図演出禁止フラグ２２３ｕ、普図演出中フラグ２２３ｖ、その他メモリエリア２２３ｚが少なくとも設けられている。
【１９２６】
特別図柄１保留球数カウンタ２２３ａは、第１図柄表示装置３７（および第３図柄表示装置８１）で行われる第１特別図柄の変動表示であって、主制御装置１１０において保留されている第１特別図柄の変動演出の保留球数（待機回数）を特別図柄の種別毎に最大４回まで計数するカウンタで、入賞情報コマンドを受信した場合や、変動パターンコマンドを受信した場合といった保留球数が増減するタイミングに合わせて更新する。
【１９２７】
特別図柄２保留球数カウンタ２２３ｂは、特別図柄１保留球数カウンタ２２３ａと同様に、第１図柄表示装置３７（および第３図柄表示装置８１）で行われる第２特別図柄の変動表示であって、主制御装置１１０において保留されている第２特別図柄の変動演出の保留球数（待機回数）を特別図柄の種別毎に最大４回まで計数するカウンタで、入賞情報コマンドを受信した場合や、変動パターンコマンドを受信した場合といった保留球数が増減するタイミングに合わせて更新する。
【１９２８】
上述したように、音声ランプ制御装置１１３は、主制御装置１１０に直接アクセスして、主制御装置１１０のＲＡＭ２０３に格納されている特別図柄１保留球数カウンタ２０３ｄや特別図柄２保留球数カウンタ２０３ｅの値を取得することができない。よって、音声ランプ制御装置１１３では、主制御装置１１０から送信される保留球数コマンドに基づいて保留球数をカウントし、特別図柄１保留球数カウンタ２２３ａ、および特別図柄２保留球数カウンタ２２３ｂにて、その保留球数を特別図柄の種別毎に管理するようになっている。
【１９２９】
具体的には、主制御装置１１０では、始動入賞を検出して変動表示の保留球数が加算された場合、又は、主制御装置１１０において特別図柄における変動表示が実行されて保留球数が減算された場合に、加算後または減算後の特別図柄１保留球数カウンタ２０３ｄ、または特別図柄２保留球数カウンタ２０３ｅの値を示す保留球数コマンドを、音声ランプ制御装置１１３へ送信する。
【１９３０】
音声ランプ制御装置１１３は、主制御装置１１０より送信される保留球数コマンドを受信すると、その保留球数コマンドから、主制御装置１１０の特別図柄１保留球数カウンタ２０３ｄ、または特別図柄２保留球数カウンタ２０３ｅの値を取得して、特別図柄１保留球数カウンタ２２３ａ、または特別図柄２保留球数カウンタ２２３ｂのうち、コマンドに対応するカウンタに格納する（図２９８のＳ２２０７参照）。このように、音声ランプ制御装置１１３では、主制御装置１１０より送信される保留球数コマンドに従って、特別図柄１保留球数カウンタ２２３ａ、および特別図柄２保留球数カウンタ２２３ｂの値を更新するので、主制御装置１１０の特別図柄１保留球数カウンタ２０３ｄ、および特別図柄２保留球数カウンタ２０３ｅの値と同期させながら、その値を更新することができる。
【１９３１】
特別図柄１保留球数カウンタ２２３ａ、および特別図柄２保留球数カウンタ２２３ｂの値は、第３図柄表示装置８１における保留球数図柄の表示に用いられる。即ち、音声ランプ制御装置１１３は、保留球数コマンドの受信に応じて、そのコマンドにより示される保留球数を特別図柄１保留球数カウンタ２２３ａ、または特別図柄２保留球数カウンタ２２３ｂに格納すると共に、格納後の特別図柄１保留球数カウンタ２２３ａ、または特別図柄２保留球数カウンタ２２３ｂの値を表示制御装置１１４に通知するべく、表示用保留球数コマンドを表示制御装置１１４に対して送信する。
【１９３２】
表示制御装置１１４では、この表示用保留球数コマンドを受信すると、そのコマンドにより示される保留球数の値、即ち、音声ランプ制御装置１１３の特別図柄１保留球数カウンタ２２３ａ、または特別図柄２保留球数カウンタ２２３ｂの値分の保留球数図柄を第３図柄表示装置８１の副表示領域Ｄｓに表示するように、画像の描画を制御する。上述したように、特別図柄１保留球数カウンタ２２３ａは、主制御装置１１０の特別図柄１保留球数カウンタ２０３ｄと同期しながら、その値が変更され、特別図柄２保留球数カウンタ２２３ｂは、主制御装置１１０の特別図柄２保留球数カウンタ２０３ｅと同期しながら、その値が変更される。従って、第３図柄表示装置８１の副表示領域Ｄｓに表示される保留球数図柄の数も、主制御装置１１０の特別図柄１保留球数カウンタ２０３ｄ、特別図柄２保留球数カウンタ２０３ｅの値に同期させながら、変化させることができる。よって、第３図柄表示装置８１には、変動表示が保留されている保留球の数を正確に表示させることができる。
【１９３３】
普通保留球数カウンタ２２３ｃは、上述した特別図柄１保留球数カウンタ２２３ａ、及び特別図柄２保留球数カウンタ２２３ｂと同様の内容を、対象を特別図柄から普通図柄へと変更した点で相違しているだけであり、その技術的制御思想は同一であるため詳細な説明を省略する。
【１９３４】
変動開始フラグ２２３ｄは、主制御装置１１０から送信される第１特別図柄の変動パターンコマンド、または第２特別図柄の変動パターンコマンドを受信した場合にオンされ（図２５９のＳ２３０２参照）、第３図柄表示装置８１における変動表示の設定がなされるときにオフされる（図２６７のＳ３００２参照）。変動開始フラグ２２３ｄがオンになると、受信した変動パターンコマンドから抽出された変動パターンに基づいて、表示用変動パターンコマンドが設定される。
【１９３５】
ここで設定された表示用変動パターンコマンドは、ＲＡＭ２２３に設けられたコマンド送信用のリングバッファに記憶され、ＭＰＵ２２１により実行されるメイン処理（図２５７参照）のコマンド出力処理（Ｓ２１０２）の中で、表示制御装置１１４に向けて送信される。表示制御装置１１４では、この表示用変動パターンコマンドを受信することによって、表示用変動パターンコマンドによって示される変動パターンで、第３図柄表示装置８１において第３図柄の変動表示が行われるように、その変動演出の表示制御が開始される。
【１９３６】
停止種別選択フラグ２２３ｅは、主制御装置１１０から送信される特別図柄の停止種別コマンドを受信した場合にそれぞれオンされ（図２５８のＳ２２０４参照）、第３図柄表示装置８１における停止種別の設定がなされるときにオフされる（図２６７のＳ３００７参照）。停止種別選択フラグ２２３ｅがオンになると、受信した停止種別コマンドから抽出された停止種別（大当たりの場合には大当たり種別）に基づいて、停止種別が決定される。
【１９３７】
入賞情報格納エリア２２３ｆは、１つの実行エリアと、第１特別図柄に対応する４つのエリア（第１エリア〜第４エリア）と、第２特別図柄に対応する４つのエリア（第１エリア〜第４エリア）と、普通図柄に対応する４つのエリア（第１エリア〜第４エリア）を有しており、これらの各エリアには、入賞情報がそれぞれ格納される。本パチンコ機１０では、主制御装置１１０において第１入球口６４、または第２入球口６４０に対する始動入賞が検出された場合に、その始動入賞に応じて取得された特別当たり乱数カウンタＣ１、特別当たり種別カウンタＣ２、及び変動種別カウンタＣＳ１の各値から、その始動入賞に対応する特別図柄の抽選が行われた場合に得られる各種情報（当否、大当たりの場合の大当たり種別、変動パターン）が主制御装置１１０において予測（推定）され、その予測された各種情報が、主制御装置１１０から音声ランプ制御装置１１３へ入賞情報コマンドによって通知される。
【１９３８】
また、スルーゲート６７への球の通過が検出された場合に、その通過に応じて取得された第２当たり乱数カウンタＣ４の値から、その通過に対応する普通図柄の抽選が行われた場合における抽選結果が事前に予測され、その予測された各種情報が主制御装置１１０から音声ランプ制御装置１１３へ入賞情報コマンドによって通知される。
【１９３９】
音声ランプ制御装置１１３では、入賞情報コマンドが受信されると、その入賞情報コマンドにより通知された各種情報（特別図柄の入賞情報の場合は、当否、大当たりの場合の大当たり種別、変動パターン、普通図柄の入賞情報の場合は、当否）が入賞情報として抽出されて、その入賞情報が、入賞情報格納エリア２２３ｆに記憶される。より具体的には、抽出された入賞情報が、入球を検出した入球口の種別（第１入球口６４、または第２入球口６４０）、或いは普通図柄に対応する４つのエリア（第１エリア〜第４エリア）、の空いているエリアの中で、エリア番号（第１〜第４）の小さいエリアから順番に記憶される。つまり、エリア番号の小さいエリアほど、時間的に古い入賞に対応するデータが記憶され、第１エリアには、時間的に最も古い入賞に対応するデータが記憶される。
【１９４０】
なお、本第１制御例では、主制御装置１１０において、始動入賞に対応する特別図柄の抽選が行われた場合に得られる各種情報（当否、大当たりの場合の大当たり種別、変動パターン）に基づいて入賞情報コマンドを設定し、音声ランプ制御装置１１３へ通知する構成を用いているが、それ以外の構成を用いても良い。
【１９４１】
例えば、始動入賞が発生した場合に、その始動入賞に対応して予測された各種情報に、既に、特別図柄１保留球格納エリア２０３ａ或いは特別図柄２保留球格納エリア２０３ｂに格納されている各種情報を加えて入賞情報コマンドを設定する設定手段と、入賞情報コマンドを受信した場合に、既に、入賞情報格納エリア２２３ｆに格納されている各種情報（入賞情報）と、受信した入賞情報コマンドに含まれる各種情報（入賞情報）とが合致するかを判別する判別手段とを設ける構成としてもよい。これにより、入賞情報格納エリア２２３ｆに格納されている各種情報（入賞情報）が適切に格納されているかを判別することが可能となる。
【１９４２】
また、本第１制御例では、新たな始動入賞が発生した場合に入賞情報コマンドを設定し、音声ランプ制御装置１１３へ通知する構成を用いているが、入賞情報コマンドを音声ランプ制御装置１１３へ通知するタイミングは、上述したタイミング（入賞情報コマンドを設定したタイミング）に限定されるものでは無く、例えば、入賞情報コマンドを一時的に記憶する記憶手段を設け、始動入賞したタイミングに加え、定期的（例えば、５秒間隔）、遊技条件可変時（例えば、遊技状態が時短状態から通常状態へと移行した場合や、大当たり遊技が開始又は終了した場合等）、または、特別図柄の変動開始（又は停止）時に、記憶手段に記憶されている入賞情報コマンドを音声ランプ制御装置１１３へ通知する構成を用いても良い。このように構成することで、入賞情報格納エリア２２３ｆに格納されている入賞情報を用いた演出（所謂、先読み演出）を適切に実行することができる。
【１９４３】
本制御例では、入賞情報格納エリア２２３ｆに格納された各入賞情報に基づいて、先読み演出として、保留図柄の表示色の変更等の演出態様の設定等が実行される。このように、入賞情報格納エリア２２３ｆに格納された各入賞情報に基づいて各種演出（先読み演出）を実行することで、変動表示が開始されるよりも前から各保留球に対して遊技者に大当たりとなる期待感を抱かせることができる。また、複数回の変動表示期間を用いた長期間の演出を実行することも可能となる。
【１９４４】
状態設定エリア２２３ｇは、パチンコ機１０に設定されている現在の遊技状態と、所定期間前の遊技状態（例えば、現在が大当たり遊技中であれば、その大当たりに当選した時点における遊技状態）とが設定（記憶）される記憶領域である。
【１９４５】
この状態設定エリア２２３ｇには、主制御装置１１０から出力される各種状態コマンドをコマンド判定処理（図２５８のＳ２１１４参照）によって受信した場合に、受信した状態コマンドに含まれる遊技状態を示す情報を抽出し、現在の遊技状態が設定される。また、コマンド判定処理（図２５８のＳ２１１４参照）において、大当たり遊技が実行されることを示すコマンドを受信したと判別した場合に、現在の遊技状態として設定（記憶）されている情報を、直前に設定されていた遊技状態として設定（記憶）されるように構成されている。これにより、大当たり遊技終了後に実行される変動演出の演出態様を、大当たり当選時に設定されていた遊技状態に応じて可変させることが可能となる。また、例えば、同一の大当たり種別の大当たりであっても、当選時の遊技状態に応じて、大当たり遊技終了後に実行される遊技状態を可変させるような構成を有している場合において、大当たり遊技中に大当たり遊技終了後に設定される遊技状態を音声ランプ制御装置１１３側で予測し、その予測結果を示唆するための大当たり遊技中の演出を実行することができる。
【１９４６】
操作演出中フラグ２２３ｈは、操作演出が実行されていることを示すためのものであって、操作演出が実行されている場合にオンに設定されるフラグであり、操作演出中フラグ２２３ｈの設定状況に応じて、操作手段が操作された際の処理内容を異ならせるように構成している。
【１９４７】
この操作演出中フラグ２２３ｈは、変動演出設定処理（図２６８のＳ３００４参照）において、今回実行する変動パターンに操作演出が含まれていると判別した場合に（図２６８のＳ３１０５：Ｙｅｓ）実行される操作演出設定処理（図２６９のＳ３１０６）においてオンに設定され（図２６９のＳ３２０４参照）、枠ボタン入力監視・演出処理（図２７１のＳ２１０７参照）において参照され（図２７１のＳ３３０４）、オンに設定されている場合に（図２７１のＳ３３０４：Ｙｅｓ）、押下済フラグ２２３ｋをオンに設定する（図２７１のＳ３３０５参照）。そして、操作演出管理処理（図２７３のＳ２１１１参照）においても参照され（図２７３のＳ３５０１参照）、実行中の操作演出に対して枠ボタン２２操作の有無に基づく操作演出の演出態様が設定される。
【１９４８】
操作演出種別格納エリア２２３ｉは、実行される操作演出の種別を一時的に格納するための記憶領域であって、操作演出設定処理（図２６９のＳ３１０６参照）において判別された操作演出の演出種別を示す情報が格納される（図２６９のＳ３２０３，Ｓ３２０７参照）。ここで格納された操作演出の演出種別は、操作演出管理処理（図２７３のＳ２１１１参照）において現在実行中の操作演出が何であるかを判別する際に参照される（図２７３のＳ３５０２，Ｓ３５０９参照）。これにより、操作演出の種別に応じて異なる処理を実行することができる。また、操作演出種別格納エリア２２３ｉに格納された情報は、操作演出が終了した場合に（対応する変動パターン演出が終了した場合に）クリアされる。
【１９４９】
押下済フラグ２２３ｋは、遊技者が枠ボタン２２（操作手段）を押下（操作）したことを示すためのものであって、操作演出中に枠ボタン２２が押下された場合にオンに設定されるものである。
【１９５０】
この押下済フラグ２２３ｋは、枠ボタン入力監視・演出処理（図２７１のＳ２１０７参照）において、枠ボタン２２の操作を操作演出フラグ２２３ｈがオンに設定されている状態で行ったと判別した場合に（図２７１のＳ３３０４：Ｙｅｓ）、オンに設定され（図２７１のＳ３３０５参照）、操作演出管理処理（図２７３のＳ２１１１参照）にて参照される（図２７３のＳ３５０３，Ｓ３５１１，Ｓ３５１８）。そして、参照結果に基づいた操作演出の演出態様が設定された後にオフに設定される（図２７３のＳ３５０５，Ｓ３５１３，Ｓ３５２０）。
【１９５１】
本制御例では、操作演出として、遊技者が操作手段を操作した直後に演出態様を可変させる場合と、所定期間が経過した後に演出態様を可変させる場合とがある。このような場合において、押下済フラグ２２３ｋを用いることで確実に操作手段の操作結果に基づいて操作演出の演出態様を可変させることができる。
【１９５２】
保留演出情報格納エリア２２３ｍは、先読み演出を実行するために設定される各種情報を格納するための記憶領域であって、第１特別図柄の保留球数に対応する４つの格納エリアと、第２特別図柄の保留球数に対応する４つの格納エリアと、から形成されており、各格納エリアに、保留ランク、保留態様、宝箱態様を示す情報が格納されるように構成している。そして、新たな特別図柄変動が開始された場合には入賞情報格納エリア２２３ｆと同様に各格納エリアに格納されている各種情報がシフトするように構成している。
【１９５３】
本制御例では、この保留演出情報格納エリア２２３ｍに格納されている情報を用いることで、入賞コマンドを受信した際に設定された情報（例えば、保留ランクを示す情報）を、特別図柄変動が開始されるまで保持することができるため、その情報を用いた先読み演出をどのタイミングでも実行することが可能となる。これにより、遊技者に対して意外性のある先読み演出を実行することができ、演出効果を高めることができる。
【１９５４】
なお、本制御例では、先読み演出の演出態様を決定したタイミングで、その先読み演出を実行するように構成しているが、これ以外にも例えば、決定した先読み演出の演出態様を保留演出情報格納エリア２２３ｍに格納しておき、所定条件が成立した場合に、格納されている演出態様を用いて先読み演出を実行するように構成しても良い。このように構成することで、例えば、別の保留図柄に対して先読み演出が実行されていることにより、先読み演出の実行が禁止されている期間中に受信した入賞コマンドに含まれる入賞情報を用いて先読み演出の演出態様を決定しておき、別の保留図柄に対して実行される先読み演出が終了したことに基づいて新たな先読み演出を実行することが可能となる。
【１９５５】
また、先読み演出の演出態様を設定する処理を一度実行した場合に、再度先読み演出の演出態様を設定する処理が実行されることを所定期間（例えば、特別図柄の変動が２回実行されるまでの期間）禁止する処理を用いる場合には、その禁止期間が規定された情報を保留演出情報格納エリア２２３ｍに格納するように構成しても良いし、次に実行される特別図柄変動を示す保留図柄に対応する保留演出情報が格納される格納エリアに格納されている保留演出情報に基づく先読み演出の実行を禁止するように特定の格納エリア固有の禁止情報を格納エリア側に設定するように構成しても良い。
【１９５６】
操作有効タイマ２２３ｎは、操作演出中における操作有効期間（遊技者が操作手段（枠ボタン２２）を操作したことを有効に判別する期間）を計時するためのタイマであって、操作演出が実行される場合に対応する期間を計時するための値が設定される。この操作有効タイマ２２３ｎは、音声ランプ制御装置１１３のメイン処理（図２５７参照）において１ミリ秒間隔で実行されるカウンタ更新処理（Ｓ２１１３）にて設定される値が定期的に減算される。
【１９５７】
演出カウンタ群２２３ｐは、各種演出の選択に使用されるカウンタを複数有するカウンタ群である。この演出カウンタ群２２３ｐが有する各種カウンタの内容について図２３０を参照して説明をする。図２３０は、演出カウンタ群２２３ｐの内容を模式的に示した模式図である。図２３０に示した通り、本制御例では、演出カウンタ群２２３ｐとして、保留ランク用カウンタ２２３ｐ１、保留態様カウンタ２２３ｐ２、宝箱態様用カウンタ２２３ｐ３、その他カウンタ２２３ｐｚを有しており、各カウンタが「０〜９９」の範囲で繰り返し更新されるループカウンタで構成されている。
【１９５８】
この演出カウンタ群２２３ｐが有する各カウンタは、音声ランプ制御装置１１３のＭＰＵ２２１が実行するメイン処理（図２５７参照）が実行される毎に１ずつ更新される。そして、各カウンタが同期すること無く所定範囲（例えば、０〜９９）内で更新するように構成されている。
【１９５９】
保留演出中フラグ２２３ｑは、先読み演出の一つである保留演出が実行されていることを示すためのフラグであって、保留演出が実行されている場合にオンに設定されるものである。この保留演出中フラグ２２３ｑは、保留態様選択処理（図２６１のＳ２４０５参照）においてオンに設定され（図２６１のＳ２５０６参照）、オンに設定されている場合には新たな保留態様が設定されないように参照される（図２６１のＳ２５０１参照）。そして、停止処理（図２６６参照）において、保留演出の対象となる特別図柄変動が停止したと判別した場合に（図２６６のＳ２９５７：Ｙｅｓ）、オフに設定される（図２６６のＳ２９５８参照）。
【１９６０】
このように構成することで、複数の保留図柄に対して同時に保留演出が実行されることを防ぐことができるため、遊技者に対して特定の保留図柄に対して実行される先読み演出に注視させることができる。また、既に当否判定結果が外れである先読み演出が実行されている状態で当否判定結果が当たりであることを示す入賞コマンドを受信した場合に、その入賞コマンドに対応する入賞情報に対する先読み演出の実行を抑制することができるので、先読み演出が実行されていない保留図柄に対応する特別図柄変動の変動結果が大当たりとなる意外性のある演出を提供することができる。
【１９６１】
なお、本制御例では、保留演出中フラグ２２３ｑを用いることで複数の保留図柄に対して先読み演出が実行されることを抑制するように構成しているが、これに限ること無く、例えば、２つの保留図柄に対してまで先読み演出を実行するように構成しても良いし、実行中の先読み演出に対応する特別図柄の抽選結果よりも、遊技者に有利な抽選結果を示す入賞情報があると判別した場合に、先読み演出の対象となる保留図柄を切り替えるように構成しても良い。
【１９６２】
宝箱演出中フラグ２２３ｒは、先読み演出の一つである宝箱演出が実行されていることを示すためのフラグであって、宝箱演出が実行されている場合にオンに設定されるものである。この宝箱演出中フラグ２２３ｒは、上述した保留演出中フラグ２２３ｑの対象を宝箱役物７５０の表示態様を可変させる先読み演出に代えた点で相違しているだけであるため、その詳細な説明を省略する。
【１９６３】
疑似入賞順記憶エリア２２３ｓは、特別入賞装置５５０に設けられた各入賞口（右一般入賞口１６３、特定アウト口１６６、特定入賞口６５ａ）に入賞した球に対して算出された疑似アタッカ１６５に到達する順番（疑似入賞順）を一時的に記憶するための記憶エリアである。この疑似入賞順記憶エリア２２３ｓには、右アタッカ大当たり関連処理（図２６４のＳ２７０２参照）にて実行される疑似アタッカ演出処理（図２６５のＳ２８１２参照）において、各入賞口に球が入賞したことを示すコマンドを受信した場合に、各入賞口から疑似アタッカ１６５までの球流下期間を加算することで、疑似アタッカ１６５への入賞順が算出され、その算出結果が記憶される（図２６５のＳ２９０３）。そして、入賞順記憶エリア２２３ｓに記憶されている入賞順が１０以降の疑似入賞情報に対して特定演出態様（オーバーフロー演出態様）を設定する際に参照される。疑似入賞順記憶エリア２２３ｓに記憶されている情報は１回のラウンド遊技が終了する毎にクリアされる（図２６４のＳ２８０８参照）。
【１９６４】
普図演出可能フラグ２２３ｔは、ロング開放当たりに当選した普通図柄の変動パターンが実行されるか否かを示すためのフラグであって、ロング開放当たりに当選した普通図柄の変動パターンが実行される場合にオンに設定される。これにより、特別図柄の抽選結果に基づいてチャージ演出が実行されている最中に、その演出態様を普通図柄の抽選結果に基づいて可変させることが可能な状態であるかを判別することができる。なお、ロング開放当たりに当選した普通図柄の変動パターンが実行されることを示す変動パターンコマンドを受信した際に、チャージ演出の演出態様を差し替えることが出来ない状態であると判別した場合には（図２５９のＳ２３０５：Ｎｏ）、オンに設定されることが無い。
【１９６５】
普図演出禁止フラグ２２３ｕは、普図演出（チャージ演出の演出態様を普通図柄の抽選結果に基づいて可変させる演出）の実行を禁止していることを示すためのフラグであって、普図演出の実行を禁止すると判別した場合にオンに設定されるものである。この普図演出禁止フラグ２２３ｕは、入賞情報関連処理（図２６０のＳ２２０９参照）において、特別図柄の当たり（大当たり、又は小当たり）に当選することを示す入賞情報があると判別した場合に（図２６０のＳ２４０７参照）、オンに設定される（図２６０のＳ２４０８参照）。
【１９６６】
そして、変動パターン受信処理（図２５９のＳ２２０２参照）において、普通図柄のロング開放当たり（普図長当たり）に対応する変動パターンコマンドを受信した場合に参照され（図２５９のＳ２３０５）、参照結果に基づいて普図演出可能フラグ２２３ｔの設定状況が可変される。この普図演出禁止フラグ２２３ｕは、当たり（大当たり、小当たり）を示す特別図柄が停止表示される場合にオフに設定される。
【１９６７】
このように構成することで、遊技者にとって普図のロング開放当たりよりも有利となる特別図柄の当たり（大当たり、小当たり）を示す入賞情報が存在する場合に普通図柄の抽選結果に基づいて特別図柄の変動演出が可変されることを抑制することができる。よって、例えば、当たりを示す入賞情報に基づいて先読み演出が実行されている最中に普図長当たりに基づく演出が実行されることにより遊技者に分かり難い演出が提供されてしまうことを抑制することができる。
【１９６８】
なお、本制御例では、特別図柄の当たり（大当たり、又は小当たり）に当選することを示す入賞情報があると判別した場合に普図演出禁止フラグ２２３ｕをオンにするように構成しているが、それ以外の条件で普図演出禁止フラグ２２３ｕをオンに設定するように構成しても良く、例えば、特別図柄の抽選結果を示す変動演出が高速変動中以外のタイミングでは普図演出禁止フラグ２２３ｕをオンに設定しても良い。これにより、実行中の変動演出が急に切り替わってしまうという違和感を遊技者に与えてしまうことを抑制することができる。
【１９６９】
さらに、普図のロング開放当たりに対応する変動パターンを受信したタイミングに加え、普図ロング開放当たり遊技が実行されるタイミングに基づいて普図演出禁止フラグ２２３ｕをオンに設定するように構成しても良い。
【１９７０】
普図演出中フラグ２２３ｖは、普図演出が実行されていることを示すためのフラグであって、普図演出が実行されている場合にオンに設定されるものである。この普図演出中フラグ２２３ｖは、液晶演出実行管理処理（図２７２のＳ２１１０参照）において普図演出を実行する場合にオンに設定される（図２７２のＳ３４０６参照）。そして、特別図柄の停止タイミングで表示させる第３図柄の表示態様を設定するために、特別図柄の停止コマンドを受信した場合に実行される停止処理（図２６６のＳ２２１３参照）において参照される（図２６６のＳ２９５２）。また、特別図柄の変動開始に合わせて設定される変動演出の変動パターンを設定するためにも参照される（図２６８のＳ３１０３参照）。
【１９７１】
継続フラグ２２３ｘは、複数の特別図柄変動を跨ぐように普図演出が実行されることを判別するためのフラグであって、複数の特別図柄変動を跨ぐように普図演出が実行される場合にオンに設定されるものである。この継続フラグ２２３ｘは、チャージ演出設定処理（図２７０のＳ３１０４参照）において、実行中の特図変動時間よりも普図変動時間のほうが長いと判別した場合（図２７０のＳ３２２４：Ｙｅｓ）、オンに設定される（図２７０のＳ３２３１参照）。そして、停止処理（図２６６のＳ３１０３参照）において参照され（図２６６のＳ２９５３参照）、オンに設定されていると判別した場合は（図２６６のＳ２９５３：Ｙｅｓ）、普図演出（チャージ演出）を違和感無く継続させるために第３図柄を縮小させて停止させるための縮小第３図柄を表示するための処理が実行される。
【１９７２】
このように、特別図柄の抽選結果に基づいてチャージ演出が実行されている最中に、普通図柄の抽選結果に基づいてチャージ演出の演出態様を可変させる処理を行う場合において、普通図柄の変動停止タイミングが特別図柄の変動停止タイミングよりも後になる場合であっても、継続フラグ２２３ｘを用いることで、特別図柄の変動停止タイミングを跨いでチャージ演出を実行することが可能となる。また、特別図柄の変動停止タイミングを跨いでチャージ演出を実行する場合には、特別図柄の抽選結果を示す第３図柄の停止表示態様を通常の停止表示態様よりも遊技者が判別し難くなるように可変設定することにより、遊技者に違和感無くチャージ演出を実行させることができる。
【１９７３】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動表示（変動演出）を制御するものである。この表示制御装置１１４の詳細については、図２３１を参照して後述する。
【１９７４】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【１９７５】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図２５１参照）を正常に実行し完了することができる。
【１９７６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【１９７７】
次に、図２３１を参照して、表示制御装置１１４の電気的構成について説明する。図２３１は、表示制御装置１１４の電気的構成を示すブロック図である。表示制御装置１１４は、ＭＰＵ２３１と、ワークＲＡＭ２３３と、キャラクタＲＯＭ２３４と、常駐用ビデオＲＡＭ２３５と、通常用ビデオＲＡＭ２３６と、画像コントローラ２３７と、入力ポート２３８と、出力ポート２３９と、バスライン２４０，２４１とを有している。
【１９７８】
入力ポート２３８の入力側には音声ランプ制御装置１１３の出力側が接続され、入力ポート２３８の出力側には、ＭＰＵ２３１、ワークＲＡＭ２３３、キャラクタＲＯＭ２３４、画像コントローラ２３７がバスライン２４０を介して接続されている。画像コントローラ２３７には、常駐用ビデオＲＡＭ２３５及び通常用ビデオＲＡＭ２３６が接続されると共に、バスライン２４１を介して出力ポート２３９が接続されている。また、出力ポート２３９の出力側には、第３図柄表示装置８１が接続されている。
【１９７９】
なお、パチンコ機１０は、特別図柄の大当たりとなる抽選確率や、１回の特別図柄の大当たりで払い出される賞球数が異なる別機種であっても、第３図柄表示装置８１で表示される図柄構成が全く同じ仕様の機種があるので、表示制御装置１１４は共通部品化されコスト低減が図られている。
【１９８０】
以下では、先にＭＰＵ２３１、キャラクタＲＯＭ２３４、画像コントローラ２３７、常駐用ビデオＲＡＭ２３５、通常用ビデオＲＡＭ２３６について説明し、次いで、ワークＲＡＭ２３３について説明する。
【１９８１】
まず、ＭＰＵ２３１は、主制御装置１１０の変動パターンコマンドに基づく音声ランプ制御装置１１３から出力された表示用変動パターンコマンドに基づいて、第３図柄表示装置８１の表示内容を制御するものである。ＭＰＵ２３１は、命令ポインタ２３１ａを内蔵しており、命令ポインタ２３１ａで示されるアドレスに格納された命令コードを読み出してフェッチし、その命令コードに従って各種処理を実行する。ＭＰＵ２３１には、電源投入（停電からの復電を含む。以下、同じ。）直後に、電源装置１１５からシステムリセットがかけられるようになっており、そのシステムリセットが解除されると、命令ポインタ２３１ａは、ＭＰＵ２３１のハードウェアによって自動的に「００００Ｈ」に設定される。そして、命令コードがフェッチされる度に、命令ポインタ２３１ａは、その値が１ずつ加算される。また、ＭＰＵ２３１が命令ポインタの設定命令を実行した場合は、その設定命令により指示されたポインタの値が命令ポインタ２３１ａにセットされる。
【１９８２】
なお、詳細については後述するが、本実施形態において、ＭＰＵ２３１によって実行される制御プログラムや、その制御プログラムで使用される各種の固定値データは、従来の遊技機のように専用のプログラムＲＯＭを設けて記憶させるのではなく、第３図柄表示装置８１に表示させる画像のデータを記憶させるために設けられたキャラクタＲＯＭ２３４に記憶させている。
【１９８３】
詳細については後述するが、キャラクタＲＯＭ２３４は、小面積で大容量化を図ることが可能なＮＡＮＤ型フラッシュメモリ２３４ａによって構成されている。これにより、画像データだけでなく制御プログラム等を十分に記憶させておくことができる。そして、キャラクタＲＯＭ２３４に制御プログラム等を記憶させておけば、制御プログラム等を記憶する専用のプログラムＲＯＭを設ける必要がない。よって、表示制御装置１１４における部品点数を削減することができ、製造コストを削減できるほか、部品数増加による故障発生率の増加を抑制することができる。
【１９８４】
一方で、ＮＡＮＤ型フラッシュメモリは、特にランダムアクセスを行う場合において読み出し速度が遅くなるという問題点がある。例えば、複数のページに連続して並んだデータの読み出しを行う場合において、２ページ目以降のデータは高速読み出しが可能であるが、最初の１ページ目のデータの読み出しには、アドレスが指定されてからデータが出力されるまでに大きな時間を要する。また、連続していないデータを読み出す場合は、そのデータを読み出す度に大きな時間を要する。このように、ＮＡＮＤ型フラッシュメモリは、その読み出しに係る速度が遅いため、ＭＰＵ２３１が直接キャラクタＲＯＭ２３４から制御プログラムを読み出して各種処理を実行するように構成すると、制御プログラムを構成する命令の読み出しに時間がかかる場合が発生し、ＭＰＵ２３１として高性能のプロセッサを用いても、表示制御装置１１４の処理性能を悪化させてしまうおそれがある。
【１９８５】
そこで、本実施形態では、ＭＰＵ２３１のシステムリセットが解除されると、まず、キャラクタＲＯＭ２３４のＮＡＮＤ型フラッシュメモリ２３４ａに記憶されている制御プログラムを、各種データの一時記憶用に設けたワークＲＡＭ２３３に転送して格納する。そして、ＭＰＵ２３１はワークＲＡＭ２３３に格納された制御プログラムに従って、各種処理を実行する。ワークＲＡＭ２３３は、後述するようにＤＲＡＭ（Ｄｙｎａｍｉｃ  ＲＡＭ）によって構成され、高速でデータの読み書きが行われるので、ＭＰＵ２３１は遅滞なく制御プログラムを構成する命令の読み出しを行うことができる。よって、表示制御装置１１４において高い処理性能を保つことができ、第３図柄表示装置８１を用いて、多様化、複雑化させた演出を容易に実行することができる。
【１９８６】
キャラクタＲＯＭ２３４は、ＭＰＵ２３１において実行される制御プログラムや、第３図柄表示装置８１に表示される画像のデータを記憶したメモリであり、ＭＰＵ２３１とバスライン２４０を介して接続されている。ＭＰＵ２３１は、バスライン２４０を介してシステムリセット解除後にキャラクタＲＯＭ２３４に直接アクセスし、そのキャラクタＲＯＭ２３４の後述する第２プログラム記憶エリア２３４ａ１に記憶された制御プログラムを、ワークＲＡＭ２３３のプログラム格納エリア２３３ａへ転送する。また、バスライン２４０には画像コントローラ２３７も接続されており、画像コントローラ２３７はキャラクタＲＯＭ２３４の後述するキャラクタ記憶エリア２３４ａ２に格納された画像データを、画像コントローラ２３７に接続されている常駐用ビデオＲＡＭ２３５や通常用ビデオＲＡＭ２３６へ転送する。
【１９８７】
このキャラクタＲＯＭ２３４は、ＮＡＮＤ型フラッシュメモリ２３４ａ、ＲＯＭコントローラ２３４ｂ、バッファＲＡＭ２３４ｃ、ＮＯＲ型ＲＯＭ２３４ｄをモジュール化して構成されている。
【１９８８】
ＮＡＮＤ型フラッシュメモリ２３４ａは、キャラクタＲＯＭ２３４におけるメインの記憶部として設けられる不揮発性のメモリであり、ＭＰＵ２３１によって実行される制御プログラムの大部分や第３図柄表示装置８１を駆動させるための固定値データを記憶する第２プログラム記憶エリア２３４ａ１と、第３図柄表示装置８１に表示させる画像（キャラクタ等）のデータを格納するキャラクタ記憶エリア２３４ａ２とを少なくとも有している。
【１９８９】
ここで、ＮＡＮＤ型フラッシュメモリは、小さな面積で大きな記憶容量が得られる特徴を有しており、キャラクタＲＯＭ２３４を容易に大容量化することができる。これにより、本パチンコ機において、例えば２ギガバイトの容量を持つＮＡＮＤ型フラッシュメモリ２３４ａを用いることにより、第３図柄表示装置８１に表示させる画像として、多くの画像をキャラクタ記憶エリア２３４ａ２に記憶させることができる。よって、遊技者の興趣をより高めるために、第３図柄表示装置８１に表示される画像を多様化、複雑化することができる。
【１９９０】
また、ＮＡＮＤ型フラッシュメモリ２３４ａは、多くの画像データをキャラクタ記憶エリア２３４ａ２に記憶させた状態で、更に、制御プログラムや固定値データも第２プログラム記憶エリア２３４ａ１に記憶させることができる。このように、制御プログラムや固定値データを、従来の遊技機のように専用のプログラムＲＯＭを設けて記憶させることなく、第３図柄表示装置８１に表示させる画像のデータを記憶させるために設けられたキャラクタＲＯＭ２３４に記憶させることができるので、表示制御装置１１４における部品点数を削減することができ、製造コストを削減できるほか、部品数増加による故障発生率の増加を抑制することができる。
【１９９１】
ＲＯＭコントローラ２３４ｂは、キャラクタＲＯＭ２３４の動作を制御するためのコントローラであり、例えば、バスライン２４０を介してＭＰＵ２３１や画像コントローラ２３７から伝達されたアドレスに基づいて、ＮＡＮＤ型フラッシュメモリ２３４ａ等から該当するデータを読み出し、バスライン２４０を介してＭＰＵ２３１又は画像コントローラ２３７へ出力する。
【１９９２】
ここで、ＮＡＮＤ型フラッシュメモリ２３４ａは、その性質上、データの書き込み時にエラービット（誤ったデータが書き込まれたビット）が比較的多く発生したり、データを書き込むことができない不良データブロックが発生したりする。そこで、ＲＯＭコントローラ２３４ｂは、ＮＡＮＤ型フラッシュメモリ２３４ａから読み出したデータに対して公知の誤り訂正を施し、また、不良データブロックを避けてＮＡＮＤ型フラッシュメモリ２３４ａへのデータの読み書きが行われるように公知のデータアドレスの変換を実行する。
【１９９３】
このＲＯＭコントローラ２３４ｂにより、エラービットを含むＮＡＮＤ型フラッシュメモリ２３４ａから読み出されたデータに対して誤り訂正が行われるので、キャラクタＲＯＭ２３４としてＮＡＮＤ型フラッシュメモリ２３４ａを用いたとしても、誤ったデータに基づいてＭＰＵ２３１が処理を行ったり、画像コントローラ２３７が各種画像を生成したりすることを抑制することができる。
【１９９４】
また、ＲＯＭコントローラ２３４ｂによってＮＡＮＤ型フラッシュメモリ２３４ａの不良データブロックが解析され、その不良データブロックへのアクセスが回避されるので、ＭＰＵ２３１や画像コントローラ２３７は、個々のＮＡＮＤ型フラッシュメモリ２３４ａで異なる不良データブロックのアドレス位置を考慮することなく、キャラクタＲＯＭ２３４へのアクセスを容易に行うことができる。よって、キャラクタＲＯＭ２３４にＮＡＮＤ型フラッシュメモリ２３４ａを用いても、キャラクタＲＯＭ２３４へのアクセス制御が複雑化することを抑制することができる。
【１９９５】
バッファＲＡＭ２３４ｃは、ＮＡＮＤ型フラッシュメモリ２３４ａから読み出したデータを一時的に記憶するバッファとして用いられるメモリである。ＭＰＵ２３１や画像コントローラ２３７からバスライン２４０を介してキャラクタＲＯＭ２３４に割り振られたアドレスが指定されると、ＲＯＭコントローラ２３４ｂは、その指定されたアドレスに対応するデータを含む１ページ分（例えば、２キロバイト）のデータがバッファＲＡＭ２３４ｃにセットされているか否かを判断する。そして、セットされていなければ、その指定されたアドレスに対応するデータを含む１ページ分（例えば、２キロバイト）のデータをＮＡＮＤ型フラッシュメモリ２３４ａ（またはＮＯＲ型ＲＯＭ２３４ｄ）より読み出してバッファＲＡＭ２３４ｃに一旦セットする。そして、ＲＯＭコントローラ２３４ｂは、公知の誤り訂正処理を施した上で、指定されたアドレスに対応するデータを、バスライン２４０を介してＭＰＵ２３１や画像コントローラ２３７に出力する。
【１９９６】
このバッファＲＡＭ２３４ｃは、２バンクで構成されており、１バンク当たりＮＡＮＤ型フラッシュメモリ２３４ａの１ページ分のデータがセットできるようになっている。これにより、ＲＯＭコントローラ２３４ｂは、例えば、一方のバンクにデータをセットした状態のまま他方のバンクを使用して、ＮＡＮＤ型フラッシュメモリ２３４ａのデータを外部に出力したり、ＭＰＵ２３１や画像コントローラ２３７より指定されたアドレスに対応するデータを含む１ページ分のデータをＮＡＮＤ型フラッシュメモリ２３４ａから一方のバンクに転送してセットする処理と、ＭＰＵ２３１や画像コントローラ２３７によって指定されたアドレスに対応するデータを他方のバンクから読み出してＭＰＵ２３１や画像コントローラ２３７に対して出力する処理とを、並列して処理したりすることができる。よって、キャラクタＲＯＭ２３４の読み出しにおける応答性を向上させることができる。
【１９９７】
ＮＯＲ型ＲＯＭ２３４ｄは、キャラクタＲＯＭ２３４におけるサブの記憶部として設けられる不揮発性のメモリであり、ＮＡＮＤ型フラッシュメモリ２３４ａを補完することを目的にそのＮＡＮＤ型フラッシュメモリ２３４ａよりも極めて小容量（例えば、２キロバイト）に構成されている。このＮＯＲ型ＲＯＭ２３４ｄには、キャラクタＲＯＭ２３４に記憶される制御プログラムのうち、ＮＡＮＤ型フラッシュメモリ２３４ａの第２プログラム記憶エリア２３４ａ１に記憶されていないプログラム、具体的には、ＭＰＵ２３１においてシステムリセット解除後に最初に実行されるブートプログラムの一部を格納する第１プログラム記憶エリア２３４ｄ１が少なくとも設けられている。
【１９９８】
ブートプログラムは、第３図柄表示装置８１に対する各種制御が実行可能となるように表示制御装置１１４を起動するための制御プログラムであり、システムリセット解除後にＭＰＵ２３１が先ずこのブートプログラムを実行する。これにより、表示制御装置１１４において各種制御が実行可能に状態とすることができる。第１プログラム記憶エリア２３４ｄ１は、このブートプログラムのうち、バッファＲＡＭ２３４ｃの１バンク分（即ち、ＮＡＮＤ型フラッシュメモリ２３４ａの１ページ分）の容量の範囲で、システムリセット解除後にＭＰＵ２３１によって最初に処理すべき命令から所定数の命令（例えば、１ページの容量が２キロバイトであれば、１０２４ワード（１ワード＝２バイト）分の命令）を格納する。なお、第１プログラム記憶エリア２３４ｄ１に格納されるブートプログラムの命令数は、バッファＲＡＭ２３４ｃの１バンク分の容量以下に収まっていればよく、表示制御装置１１４の仕様に合わせて適宜設定されるものであってもよい。
【１９９９】
ＭＰＵ２３１は、システムリセットが解除されると、ハードウェアによって命令ポインタ２３１ａの値を「００００Ｈ」に設定すると共に、バスライン２４０に対して命令ポインタ２３１ａにて示されるアドレス「００００Ｈ」を指定するように構成されている。一方、キャラクタＲＯＭ２３４のＲＯＭコントローラ２３４ｂは、バスライン２４０にアドレス「００００Ｈ」が指定されたことを検知すると、ＮＯＲ型ＲＯＭ２３４ｄの第１プログラム記憶エリア２３４ｄ１に記憶されたブートプログラムをバッファＲＡＭ２３４ｃの一方のバンクにセットして、対応するデータ（命令コード）をＭＰＵ２３１へ出力する。
【２０００】
ＭＰＵ２３１は、キャラクタＲＯＭ２３４から受け取った命令コードをフェッチすると、そのフェッチした命令コードに従って各種処理を実行するとともに、命令ポインタ２３１ａを１だけ加算し、命令ポインタ２３１ａにて示されるアドレスをバスライン２４０に対して指定する。そして、キャラクタＲＯＭ２３４のＲＯＭコントローラ２３４ｂは、バスライン２４０によって指定されたアドレスがＮＯＲ型ＲＯＭ２３４ｄに記憶されたプログラムを指し示すアドレスである間、先にＮＯＲ型ＲＯＭ２３４ｄからバッファＲＡＭ２３４ｃにセットされたプログラムの中から、対応するアドレスの命令コードをバッファＲＡＭ２３４ｃより読み出して、ＭＰＵ２３１に対して出力する。
【２００１】
ここで、本実施形態において、制御プログラムを全てＮＡＮＤ型フラッシュメモリ２３４ａに格納するのではなく、ブートプログラムのうち、システムリセット解除後にＭＰＵ２３１によって最初に処理すべき命令から所定数の命令をＮＯＲ型ＲＯＭ２３４ｄに格納するのは、次の理由による。即ち、ＮＡＮＤ型フラッシュメモリ２３４ａは、上述したように、最初の１ページ目のデータの読み出しにおいて、アドレスを指定してからデータが出力されるまでに大きな時間を要する、というＮＡＮＤ型フラッシュメモリ特有の問題がある。
【２００２】
このようなＮＡＮＤ型フラッシュメモリ２３４ａに対して制御プログラムを全て格納すると、システムリセット解除後にＭＰＵ２３１が最初に実行すべき命令コードをフェッチするためにＭＰＵ２３１からバスライン２４０を介してアドレス「００００Ｈ」が指定された場合、キャラクタＲＯＭ２３４はアドレス「００００Ｈ」に対応するデータ（命令コード）を含む１ページ分のデータをＮＡＮＤ型フラッシュメモリ２３４ａから読み出してバッファＲＡＭ２３４ｃにセットしなければならい。そして、ＮＡＮＤ型フラッシュメモリ２３４ａの性質上、その読み出しからバッファＲＡＭ２３４ｃへのセットに多大な時間を要することになるので、ＭＰＵ２３１は、アドレス「００００Ｈ」を指定してからアドレス「００００Ｈ」に対応する命令コードを受け取るまでに多くの待ち時間を消費する。よって、ＭＰＵ２３１の起動にかかる時間が長くなるので、結果として、表示制御装置１１４における第３図柄表示装置８１の制御が即座に開始されないおそれがあるという問題点が生じる。
【２００３】
これに対し、ＮＯＲ型ＲＯＭは高速にデータを読み出すことが可能なメモリであるので、ブートプログラムのうち、システムリセット解除後にＭＰＵ２３１によって最初に処理すべき命令から所定数の命令をＮＯＲ型ＲＯＭ２３４ｄに格納することによって、システムリセット解除後にＭＰＵ２３１からバスライン２４０を介してアドレス「００００Ｈ」が指定されると、キャラクタＲＯＭ２３４は即座にＮＯＲ型ＲＯＭ２３４ｄの第１プログラム記憶エリア２３４ｄ１に記憶されたブートプログラムをバッファＲＡＭ２３４ｃにセットして、対応するデータ（命令コード）をＭＰＵ２３１へ出力することができる。よって、ＭＰＵ２３１は、アドレス「００００Ｈ」を指定してから短い時間でアドレス「００００Ｈ」に対応する命令コードを受け取ることができ、ＭＰＵ２３１の起動を短時間で行うことができる。従って、読み出し速度の遅いＮＡＮＤ型フラッシュメモリ２３４ａで構成されたキャラクタＲＯＭ２３４に制御プログラムを格納しても、表示制御装置１１４における第３図柄表示装置８１の制御を即座に開始することができる。
【２００４】
さて、ブートプログラムは、ＮＡＮＤ型フラッシュメモリ２３４ａの第２プログラム記憶エリア２３４ａ１に記憶されている制御プログラム、即ち、ＮＯＲ型ＲＯＭ２３４ｄの第１プログラム記憶エリア２３４ｄ１に記憶されているブートプログラムを除く制御プログラムや、その制御プログラムで用いられる固定値データ（例えば、後述する表示データテーブル、転送データテーブルなど）を、所定量（例えば、ＮＡＮＤ型フラッシュメモリ２３４ａの１ページ分の容量）ずつワークＲＡＭ２３３のプログラム格納エリア２３３ａやデータテーブル格納エリア２３３ｂへ転送するようにプログラミングされている。そして、ＭＰＵ２３１は、まず、システムリセット解除後に第１プログラム記憶エリア２３４ｄ１から読み出したブートプログラムに従って、第２プログラム記憶エリア２３４ａ１に記憶されている制御プログラムを、第１プログラム記憶エリア２３４ｄ１のブートプログラムがセットされているバッファＲＡＭ２３４ｃのバンクとは異なるバンクを使用しながら、所定量だけプログラム格納エリア２３３ａに転送し、格納する。
【２００５】
ここで、第１プログラム記憶エリア２３４ｄ１に記憶されているブートプログラムは、上述したように、バッファＲＡＭ２３４ｃの１バンク分に相当する容量で構成されているので、内部バスのアドレスが「００００Ｈ」に指定されたことを受けて第１プログラム記憶エリア２３４ｄ１のブートプログラムがバッファＲＡＭ２３４ｃにセットされる場合、そのブートプログラムはバッファＲＡＭ２３４ｃの一方のバンクにのみセットされる。よって、第１プログラム記憶エリア２３４ｄ１のブートプログラムに従って、第２プログラム記憶エリア２３４ａ１に記憶されている制御プログラムをプログラム格納エリア２３３ａに転送する場合は、バッファＲＡＭ２３４ｃの一方のバンクにセットされた第１プログラム記憶エリア２３４ｄ１のブートプログラムを残したまま、他方のバンクを使用してその転送処理を実行することができる。従って、その転送処理後に、第１プログラム記憶エリア２３４ｄ１のブートプログラムを再度バッファＲＡＭ２３４ｃにセットし直すといった処理が不要であるので、ブート処理に係る時間を短くすることができる。
【２００６】
第１プログラム記憶エリア２３４ｄ１に記憶されているブートプログラムは、第２プログラム記憶エリア２３４ａ１に記憶されている制御プログラムを所定量だけプログラム格納エリア２３３ａに転送すると、命令ポインタ２３１ａをプログラム格納エリア２３３ａ内の第１の所定番地に設定するようにプログラミングされている。これにより、システムリセット解除後、ＭＰＵ２３１によって第２プログラム記憶エリア２３４ａ１に記憶されている制御プログラムが所定量だけプログラム格納エリア２３３ａに転送されると、命令ポインタ２３１ａがプログラム格納エリア２３３ａの第１の所定番地に設定される。
【２００７】
よって、第２プログラム記憶エリア２３４ａ１に記憶されている制御プログラムのうち所定量のプログラムがプログラム格納エリア２３３ａに格納されると、ＭＰＵ２３１は、そのプログラム格納エリア２３３ａに格納された制御プログラムを読み出して、各種処理を実行することができる。即ち、ＭＰＵ２３１は、第２プログラム記憶エリア２３４ａ１を有するＮＡＮＤ型フラッシュメモリ２３４ａから制御プログラムを読み出して命令フェッチするのではなく、プログラム格納エリア２３３ａを有するワークＲＡＭ２３３に転送された制御プログラムを読み出して命令フェッチし、各種処理を実行することになる。後述するように、ワークＲＡＭ２３３はＤＲＡＭによって構成されるため、高速に読み出し動作が行われる。よって、制御プログラムの殆どを読み出し速度の遅いＮＡＮＤ型フラッシュメモリ２３４ａに記憶させた場合であっても、ＭＰＵ２３１は高速に命令をフェッチし、その命令に対する処理を実行することができる。
【２００８】
ここで、第２プログラム記憶エリア２３４ａ１に記憶されている制御プログラムには、第１プログラム記憶エリア２３４ｄ１に記憶されていない残りのブートプログラムが含まれている。一方、第１プログラム記憶エリア２３４ｄ１に記憶されているブートプログラムは、ワークＲＡＭ２３３のプログラム格納エリア２３３ａに所定量だけ第２プログラム記憶エリア２３４ａ１から転送される制御プログラムの中に、その残りのブートプログラムが含まれるようにプログラミングされていると共に、プログラム格納エリア２３３ａに格納されたその残りのブートプログラムの先頭アドレスを第１の所定番地として命令ポインタ２３１ａを設定するようにプログラミングされている。
【２００９】
これにより、ＭＰＵ２３１は、第１プログラム記憶エリア２３４ｄ１に記憶されているブートプログラムによって、第２プログラム記憶エリア２３４ａ１に記憶されている制御プログラムを所定量だけプログラム格納エリア２３３ａに転送した後、その転送した制御プログラムに含まれる残りのブートプログラムを実行する。
【２０１０】
この残りのブートプログラムでは、プログラム格納エリア２３３ａに転送されていない残りの制御プログラムやその制御プログラムで用いられる固定値データ（例えば、後述する表示データテーブル、転送データテーブルなど）を全て第２プログラム記憶エリア２３４ａ１から所定量ずつプログラム格納エリア２３３ａ又はデータテーブル格納エリア２３３ｂに転送する処理を実行する。また、ブートプログラムの最後で、命令ポインタ２３１ａをプログラム格納エリア２３３ａ内の第２の所定番地に設定する。具体的には、この第２の所定番地として、プログラム格納エリア２３３ａに格納された、ブートプログラムによるブート処理（図２７４のＳ６００１参照）の終了後に実行される初期化処理（図２７４のＳ６００２参照）に対応するプログラムの先頭アドレスを設定する。
【２０１１】
ＭＰＵ２３１は、この残りのブートプログラムを実行することによって、第２プログラム記憶エリア２３４ａ１に記憶されている制御プログラムや固定値データが全てプログラム格納エリア２３３ａ又はデータテーブル格納エリア２３３ｂに転送される。そして、ブートプログラムがＭＰＵ２３１により最後まで実行されると、命令ポインタ２３１ａが第２の所定番地に設定され、以後、ＭＰＵ２３１は、ＮＡＮＤ型フラッシュメモリ２３４ａを参照することなく、プログラム格納エリア２３３ａに転送された制御プログラムを用いて各種処理を実行する。
【２０１２】
よって、制御プログラムの殆どを読み出し速度の遅いＮＡＮＤ型フラッシュメモリ２３４ａによって構成されるキャラクタＲＯＭ２３４に記憶させた場合であっても、システムリセット解除後にその制御プログラムをワークＲＡＭ２３３のプログラム格納エリア２３３ａに転送することで、ＭＰＵ２３１は、読み出し速度が高速なＤＲＡＭによって構成されるワークＲＡＭから制御プログラムを読み出して各種制御を行うことができる。従って、表示制御装置１１４において高い処理性能を保つことができ、第３図柄表示装置８１を用いて、多様化、複雑化させた演出を容易に実行することができる。
【２０１３】
また、上述したように、ＮＯＲ型ＲＯＭ２３４ｄにブートプログラムを全て格納せずに、システムリセット解除後にＭＰＵ２３１によって最初に処理すべき命令から所定数の命令を格納しておき、残りのブートプログラムについては、ＮＡＮＤ型フラッシュメモリ２３４ａの第２プログラム記憶エリア２３４ａ１に記憶させても、第２プログラム記憶エリア２３４ａ１に記憶されている制御プログラムを確実にプログラム格納エリア２３３ａに転送することができる。よって、キャラクタＲＯＭ２３４は、極めて小容量のＮＯＲ型ＲＯＭ２３４ｄを追加するだけで、ＭＰＵ２３１の起動を短時間で行うことができるようになるので、その短時間化に伴うキャラクタＲＯＭ２３４のコスト増加を抑制することができる。